【誤訳訂正書】
【提出日】平成22年2月16日(2010.2.16)
【誤訳訂正１】
【訂正対象書類名】明細書
【訂正対象項目名】特許請求の範囲
【訂正方法】変更
【訂正の内容】
【特許請求の範囲】
【請求項１】  配列番号１２０２のアミノ酸配列を含むタンパク質。
【請求項２】  請求項１に記載のタンパク質に対して７０％以上の相同性を有する、タンパク質。
【請求項３】  請求項１〜２のいずれか１項に記載のタンパク質に特異的に結合する、抗体。
【請求項４】  請求項１〜２のいずれか１項に記載のタンパク質をコードする、核酸分子。
【請求項５】  請求項４に記載の核酸分子に相補的なヌクレオチド配列を含む、核酸分子。
【請求項６】  請求項１〜５のいずれかに記載のタンパク質、核酸分子、または抗体を含む、薬学的組成物。
【請求項７】  ワクチン組成物または診断用組成物である、請求項６に記載の薬学的組成物。
【請求項８】  ナイセリア細菌に起因する感染の処置または予防のための医薬の製造における、請求項１〜５のいずれか１項に記載のタンパク質、核酸分子または抗体の、使用。
【請求項９】  請求項１に記載のタンパク質を含む薬学的組成物であって、該組成物が免疫原性である、薬学的組成物。
【請求項１０】  請求項２に記載のタンパク質を含む薬学的組成物であって、該組成物が免疫原性である、薬学的組成物。
【誤訳訂正２】
【訂正対象書類名】明細書
【訂正対象項目名】０２６３
【訂正方法】変更
【訂正の内容】
【０２６３】
【表１】
2004500801.tif 000001
（ＯＲＦの位置決め）
以下のＤＮＡおよびアミノ酸配列は、以下の形式のタイトルによって同定される：［ｇ
、ｍ、またはａ］［＃］．［ｓｅｑまたはｐｅｐ］。ここで「ｇ」は、Ｎ．ｇｏｎｏｒｒ
ｈｏｅａｅ由来の配列を意味し、「ｍ」は、Ｎ．ｍｅｎｉｎｇｉｔｉｄｉｓ  Ｂ由来の配
列を意味し、そして「ａ」は、Ｎ．ｍｅｎｉｎｇｉｔｉｄｉｓ  Ａ由来の配列を意味する
；「＃」は、配列番号を意味する；「ｓｅｑ」はＤＮＡ配列を意味し、そして「ｐｅｐ」
はアミノ酸配列を意味する。例えば、「ｇ００１．ｓｅｑ」は、Ｎ．ｇｏｎｏｒｒｏｈｏ
ｅａｅ  ＤＮＡ配列、番号１をいう。これらの配列への添字「−１」の存在は、同じＯＲ
Ｆについて見出されたさらなる配列を示し、従って、添字を有さない配列の指定および添
字を有する配列の指定の両方を有するＯＲＦについてのデータが、このような指定された
配列の両方に適用する。さらに、オープンリーディングフレームは、ＯＲＦ＃として同定
され、ここで「＃」はＯＲＦの番号を意味し、これはＯＲＦをコードする配列の番号に対
応し、そしてＯＲＦの指定は「．ｎｇ」または「．ａ」の添字を付けられ得、このことは
、そのＯＲＦがそれぞれ、Ｎ．ｇｏｎｏｒｒｈｏｅａｅ配列またはＮ．ｍｅｎｉｎｇｉｔ
ｉｄｉｓ  Ａ配列に対応することを意味する。配列の前の語「部分的」は、その配列が部
分ＯＲＦであるかまたは完全ＯＲＦであり得ることを示す。コンピューター分析が、「ｇ
」、「ｍ」、および「ａ」ペプチド配列の間を理解する比較のために行われた；そしてそ
の中で添字「ｐｅｐ」は、はっきりと言及されていない場合に暗示される。さらに、すぐ
前に先行するテキストと、どの配列が比較されるかの記載との間に矛盾がある場合、そし
て指定された配列が比較された場合、指定された配列は、実際の比較される配列を制御し
、そして実際の比較される配列である。
ＯＲＦ：      コンティーグ：
２７９      ｇｎｍ４．ｓｅｑ
以下の部分的ＤＮＡ配列は、Ｎ．ｍｅｎｉｎｇｉｔｉｄｉｓにおいて同定された（配列
番号３０３９）：
【化１】
2004500801.tif 000002
これは、アミノ酸配列（配列番号３０４０；ＯＲＦ  ２７９）に対応する：
【化２】
2004500801.tif 000003
以下の部分的ＤＮＡ配列は、Ｎ．ｇｏｎｏｒｒｈｏｅａｅにおいて同定された（配列番
号３０４１）：
【化３】
2004500801.tif 000004
これは、アミノ酸配列（配列番号３０４２；ＯＲＦ  ２７９．ｎｇ）に対応する：
【化４】
2004500801.tif 000005
ＯＲＦ  ２７９は、Ｎ．ｇｏｎｏｒｒｈｏｅａｅ由来の推定ＯＲＦ（ＯＲＦ  ２７９．
ｎｇ）と１５２アミノ酸重複にわたって８９．５％の同一性を示す。
【化５】
2004500801.tif 000006
【化６】
2004500801.tif 000007
以下の部分的ＤＮＡ配列は、Ｎ．ｍｅｎｉｎｇｉｔｉｄｉｓにおいて同定された（配列
番号３０４３）：
【化７】
2004500801.tif 000008
これは、アミノ酸配列（配列番号３０４４；ＯＲＦ  ２７９．ａ）に対応する：
【化８】
2004500801.tif 000009
５１９および５１９−１      ｇｎｍ７．ｓｅｑ
以下の部分的ＤＮＡ配列は、Ｎ．ｍｅｎｉｎｇｉｔｉｄｉｓにおいて同定された（配列
番号３０４５）：
【化９】
2004500801.tif 000010
【化１０】
2004500801.tif 000011
これは、アミノ酸配列（配列番号３０４６；ＯＲＦ  ５１９）に対応する：
【化１１】
2004500801.tif 000012
以下の部分的ＤＮＡ配列は、Ｎ．ｇｏｎｏｒｒｈｏｅａｅにおいて同定された（配列番
号３０４７）：
【化１２】
2004500801.tif 000013
これは、アミノ酸配列（配列番号３０４８；ＯＲＦ  ５１９．ｎｇ）に対応する：
【化１３】
2004500801.tif 000014
ＯＲＦ  ５１９は、Ｎ．ｇｏｎｏｒｒｈｏｅａｅ由来の推定ＯＲＦ（ＯＲＦ  ５１９．ｎ
ｇ）と２００アミノ酸重複にわたって、８７．５％の同一性を示す。
【化１４】
2004500801.tif 000015
【化１５】
2004500801.tif 000016
以下の部分的ＤＮＡ配列は、Ｎ．ｍｅｎｉｎｇｉｔｉｄｉｓにおいて同定された（配列
番号３０４９）：
【化１６】
2004500801.tif 000017
これは、アミノ酸配列（配列番号３０５０；ＯＲＦ  ５１９．ａ）に対応する：
【化１７】
2004500801.tif 000018
【化１８】
2004500801.tif 000019
さらなる研究は、Ｎ．ｍｅｎｉｎｇｉｔｉｄｉｓにおいて同定されたＤＮＡ配列を明ら
かにした（配列番号３０５１）：
【化１９】
2004500801.tif 000020
これは、アミノ酸配列（配列番号３０５２；ＯＲＦ  ５１９−１）に対応する：
【化２０】
2004500801.tif 000021
以下のＤＮＡ配列は、Ｎ．ｇｏｎｏｒｒｈｏｅａｅにおいて同定された（配列番号３０
５３）：
【化２１】
2004500801.tif 000022
【化２２】
2004500801.tif 000023
これは、アミノ酸配列（配列番号３０５４；ＯＲＦ  ５１９−１．ｎｇ）に対応する：
【化２３】
2004500801.tif 000024
以下のＤＮＡ配列は、Ｎ．ｍｅｎｉｎｇｉｔｉｄｉｓにおいて同定された（配列番号３
０５５）：
【化２４】
2004500801.tif 000025
【化２５】
2004500801.tif 000026
これは、アミノ酸配列（配列番号３０５６；ＯＲＦ  ５１９−１．ａ）に対応する：
【化２６】
2004500801.tif 000027
【化２７】
2004500801.tif 000028
以下の部分的ＤＮＡ配列は、Ｎ．ｍｅｎｉｎｇｉｔｉｄｉｓにおいて同定された（配列
番号３０５７）：
【化２８】
2004500801.tif 000029
これは、アミノ酸配列（配列番号３０５８；ＯＲＦ  ５７６）に対応する：
【化２９】
2004500801.tif 000030
以下の部分的ＤＮＡ配列は、Ｎ．ｇｏｎｏｒｒｈｏｅａｅにおいて同定された（配列番
号３０５９）：
【化３０】
2004500801.tif 000031
これは、アミノ酸配列（配列番号３０６０；ＯＲＦ  ５７６．ｎｇ）に対応する：
【化３１】
2004500801.tif 000032
このアミノ酸配列のコンピューター分析は以下の結果を示した：
（Ｎ．ｇｏｎｏｒｒｈｏｅａｅ由来の推定ＯＲＦとの相同性）
【化３２】
2004500801.tif 000033
【化３３】
2004500801.tif 000034
以下の部分的ＤＮＡ配列は、Ｎ．ｍｅｎｉｎｇｉｔｉｄｉｓにおいて同定された（配列
番号３０６１）：
【化３４】
2004500801.tif 000035
これは、アミノ酸配列（配列番号３０６２；ＯＲＦ  ５７６．ａ）に対応する：
【化３５】
2004500801.tif 000036
【化３６】
2004500801.tif 000037
さらなる研究は、Ｎ．ｍｅｎｉｎｇｉｔｉｄｉｓにおいて同定されたＤＮＡ配列を明ら
かにした（配列番号３０６３）：
【化３７】
2004500801.tif 000038
これは、アミノ酸配列（配列番号３０６４；ＯＲＦ  ５７６−１）に対応する：
【化３８】
2004500801.tif 000039
以下のＤＮＡ配列は、Ｎ．ｇｏｎｏｒｒｈｏｅａｅにおいて同定された（配列番号３０
６５）：
【化３９】
2004500801.tif 000040
【化４０】
2004500801.tif 000041
これは、アミノ酸配列（配列番号３０６６；ＯＲＦ  ５７６−１．ｎｇ）に対応する：
【化４１】
2004500801.tif 000042
以下のＤＮＡ配列は、Ｎ．ｍｅｎｉｎｇｉｔｉｄｉｓにおいて同定された（配列番号３
０６７）：
【化４２】
2004500801.tif 000043
【化４３】
2004500801.tif 000044
これは、アミノ酸配列（配列番号３０６８；ＯＲＦ  ５７６−１．ａ）に対応する：
【化４４】
2004500801.tif 000045
以下の部分的ＤＮＡ配列は、Ｎ．ｍｅｎｉｎｇｉｔｉｄｉｓにおいて同定された（配列
番号３０６９）：
【化４５】
2004500801.tif 000046
【化４６】
2004500801.tif 000047
これは、アミノ酸配列（配列番号３０７０；ＯＲＦ  ９１９）に対応する：
【化４７】
2004500801.tif 000048
以下の部分的ＤＮＡ配列は、Ｎ．ｇｏｎｏｒｒｈｏｅａｅにおいて同定された（配列番
号３０７１）：
【化４８】
2004500801.tif 000049
これは、アミノ酸配列（配列番号３０７２；ＯＲＦ  ９１９．ｎｇ）に対応する：
【化４９】
2004500801.tif 000050
ＯＲＦ  ９１９は、Ｎ．ｇｏｎｏｒｒｈｏｅａｅ由来の推定ＯＲＦ（ＯＲＦ  ９１９．
ｎｇ）と４４１アミノ酸重複にわたって９５．９％の同一性を示す：
【化５０】
2004500801.tif 000051
【化５１】
2004500801.tif 000052
以下の部分的ＤＮＡ配列は、Ｎ．ｍｅｎｉｎｇｉｔｉｄｉｓにおいて同定された（配列
番号３０７３）：
【化５２】
2004500801.tif 000053
これは、アミノ酸配列（配列番号３０７４；ＯＲＦ  ９１９．ａ）に対応する：
【化５３】
2004500801.tif 000054
ｍ９１９／ａ９１９  ＯＲＦ９１９および９１９．ａは、４４１アミノ酸重複にわたって
９８．６％の同一性を示した。
【化５４】
2004500801.tif 000055
【化５５】
2004500801.tif 000056
以下の部分的ＤＮＡ配列は、Ｎ．ｍｅｎｉｎｇｉｔｉｄｉｓにおいて同定された（配列
番号３０７５）：
【化５６】
2004500801.tif 000057
【化５７】
2004500801.tif 000058
これは、アミノ酸配列（配列番号３０７６；ＯＲＦ  １２１）に対応する：
【化５８】
2004500801.tif 000059
以下の部分的ＤＮＡ配列は、Ｎ．ｇｏｎｏｒｒｈｏｅａｅにおいて同定された（配列番
号３０７７）：
【化５９】
2004500801.tif 000060
これは、アミノ酸配列（配列番号３０７８；ＯＲＦ  １２１．ｎｇ）に対応する：
【化６０】
2004500801.tif 000061
ＯＲＦ  １２１は、Ｎ．ｇｏｎｏｒｒｈｏｅａｅ由来の推定ＯＲＦ（ＯＲＦ１２１．ｎ
ｇ）と３６６アミノ酸重複にわたって７３．５％の同一性を示す：
【化６１】
2004500801.tif 000062
【化６２】
2004500801.tif 000063
以下の部分的ＤＮＡ配列は、Ｎ．ｍｅｎｉｎｇｉｔｉｄｉｓにおいて同定された（配列
番号３０７９）：
【化６３】
2004500801.tif 000064
これは、アミノ酸配列（配列番号３０８０；ＯＲＦ  １２１．ａ）に対応する：
【化６４】
2004500801.tif 000065
【化６５】
2004500801.tif 000066
さらなる研究は、Ｎ．ｍｅｎｉｎｇｉｔｉｄｉｓにおいて同定されたＤＮＡ配列を明らか
にした（配列番号３０８１）：
【化６６】
2004500801.tif 000067
【化６７】
2004500801.tif 000068
これは、アミノ酸配列（配列番号３０８２；ＯＲＦ  １２１−１）に対応する：
【化６８】
2004500801.tif 000069
以下のＤＮＡ配列は、Ｎ．ｍｅｎｉｎｇｉｔｉｄｉｓにおいて同定された（配列番号３
０８３）：
【化６９】
2004500801.tif 000070
【化７０】
2004500801.tif 000071
これは、アミノ酸配列（配列番号３０８４；ＯＲＦ  １２１−１．ａ）に対応する：
【化７１】
2004500801.tif 000072
【化７２】
2004500801.tif 000073
以下の部分的ＤＮＡ配列は、Ｎ．ｍｅｎｉｎｇｉｔｉｄｉｓにおいて同定された（配列
番号３０８５）：
【化７３】
2004500801.tif 000074
これは、アミノ酸配列（配列番号３０８６；ＯＲＦ  １２８）に対応する：
【化７４】
2004500801.tif 000075
以下の部分的ＤＮＡ配列は、Ｎ．ｇｏｎｏｒｒｈｏｅａｅにおいて同定された（配列番
号３０８７）：
【化７５】
2004500801.tif 000076
これは、アミノ酸配列（配列番号３０８８；ＯＲＦ  １２８．ｎｇ）に対応する：
【化７６】
2004500801.tif 000077
【化７７】
2004500801.tif 000078
ＯＲＦ  １２８は、Ｎ．ｇｏｎｏｒｒｈｏｅａｅ由来の推定ＯＲＦ（ＯＲＦ１２８．ｎ
ｇ）と４７５アミノ酸重複にわたって９１．７％の同一性を示す：
【化７８】
2004500801.tif 000079
【化７９】
2004500801.tif 000080
以下の部分的ＤＮＡ配列は、Ｎ．ｍｅｎｉｎｇｉｔｉｄｉｓにおいて同定された（配列
番号３０８９）：
【化８０】
2004500801.tif 000081
これは、アミノ酸配列（配列番号３０９０；ＯＲＦ  １２８．ａ）に対応する：
【化８１】
2004500801.tif 000082
【化８２】
2004500801.tif 000083
【化８３】
2004500801.tif 000084
【化８４】
2004500801.tif 000085
さらなる研究は、Ｎ．ｍｅｎｉｎｇｉｔｉｄｉｓにおいて同定されたＤＮＡ配列を明ら
かにした（配列番号３０９１）：
【化８５】
2004500801.tif 000086
これは、アミノ酸配列（配列番号３０９２；ＯＲＦ  １２８−１）に対応する：
【化８６】
2004500801.tif 000087
【化８７】
2004500801.tif 000088
以下のＤＮＡ配列は、Ｎ．ｇｏｎｏｒｒｈｏｅａｅにおいて同定された（配列番号３０
９３）：
【化８８】
2004500801.tif 000089
これは、アミノ酸配列（配列番号３０９４；ＯＲＦ  １２８−１．ｎｇ）に対応する：
【化８９】
2004500801.tif 000090
【化９０】
2004500801.tif 000091
以下のＤＮＡ配列は、Ｎ．ｍｅｎｉｎｇｉｔｉｄｉｓにおいて同定された（配列番号３
０９５）：
【化９１】
2004500801.tif 000092
【化９２】
2004500801.tif 000093
これは、アミノ酸配列（配列番号３０９６；ＯＲＦ  １２８−１．ａ）に対応する：
【化９３】
2004500801.tif 000094
ｍ１２８−１／ａ１２８−１  ＯＲＦ１２８−１および１２８−１．ａは、６７７アミ
ノ酸重複において９７．８％の同一性を示した。
【化９４】
2004500801.tif 000095
【化９５】
2004500801.tif 000096
以下の部分的ＤＮＡ配列は、Ｎ．ｍｅｎｉｎｇｉｔｉｄｉｓにおいて同定された（配列
番号３０９７）：
【化９６】
2004500801.tif 000097
【化９７】
2004500801.tif 000098
これは、アミノ酸配列（配列番号３０９８；ＯＲＦ  ２０６）に対応する：
【化９８】
2004500801.tif 000099
以下の部分的ＤＮＡ配列は、Ｎ．ｇｏｎｏｒｒｈｏｅａｅにおいて同定された（配列番
号３０９９）：
【化９９】
2004500801.tif 000100
これは、アミノ酸配列（配列番号３１００；ＯＲＦ  ２０６．ｎｇ）に対応する：
【化１００】
2004500801.tif 000101
ＯＲＦ  ２０６は、Ｎ．ｇｏｎｏｒｒｈｏｅａｅ由来の推定ＯＲＦ（ＯＲＦ２０６．ｎ
ｇ）と１７７アミノ酸重複にわたって９６．０％の同一性を示す：
【化１０１】
2004500801.tif 000102
【化１０２】
2004500801.tif 000103
以下の部分的ＤＮＡ配列は、Ｎ．ｍｅｎｉｎｇｉｔｉｄｉｓにおいて同定された（配列
番号３１０１）：
【化１０３】
2004500801.tif 000104
これは、アミノ酸配列（配列番号３１０２；ＯＲＦ  ２０６．ａ）に対応する：
【化１０４】
2004500801.tif 000105
ｍ２０６／２０６ａ  ＯＲＦ２０６および２０６ａ．は、１１７アミノ酸重複において９
９．４％の同一性を示した。
【化１０５】
2004500801.tif 000106
以下の部分的ＤＮＡ配列は、Ｎ．ｍｅｎｉｎｇｉｔｉｄｉｓにおいて同定された（配列
番号３１０３）：
【化１０６】
2004500801.tif 000107
【化１０７】
2004500801.tif 000108
これは、アミノ酸配列（配列番号３１０４；ＯＲＦ  ２８７）に対応する：
【化１０８】
2004500801.tif 000109
以下の部分的ＤＮＡ配列は、Ｎ．ｇｏｎｏｒｒｈｏｅａｅにおいて同定された（配列番
号３１０５）：
【化１０９】
2004500801.tif 000110
これは、アミノ酸配列（配列番号３１０６；ＯＲＦ  ２８７．ｎｇ）に対応する：
【化１１０】
2004500801.tif 000111
【化１１１】
2004500801.tif 000112
ｍ２８７／ｇ２８７  ＯＲＦ２８７および２８７．ｎｇは、４９９アミノ酸重複におい
て７０．１％の同一性を示した。
【化１１２】
2004500801.tif 000113
【化１１３】
2004500801.tif 000114
以下の部分的ＤＮＡ配列は、Ｎ．ｍｅｎｉｎｇｉｔｉｄｉｓにおいて同定された（配列
番号３１０７）：
【化１１４】
2004500801.tif 000115
これは、アミノ酸配列（配列番号３１０８；ＯＲＦ  ２８７．ａ）に対応する：
【化１１５】
2004500801.tif 000116
【化１１６】
2004500801.tif 000117
以下の部分的ＤＮＡ配列は、Ｎ．ｍｅｎｉｎｇｉｔｉｄｉｓにおいて同定された（配列
番号３１０９）：
【化１１７】
2004500801.tif 000118
【化１１８】
2004500801.tif 000119
これは、アミノ酸配列（配列番号３１１０；ＯＲＦ  ４０６）に対応する：
【化１１９】
2004500801.tif 000120
以下の部分的ＤＮＡ配列は、Ｎ．ｇｏｎｏｒｒｈｏｅａｅにおいて同定された（配列番
号３１１１）：
【化１２０】
2004500801.tif 000121
これは、アミノ酸配列（配列番号３１１２；ＯＲＦ  ４０６）に対応する：
【化１２１】
2004500801.tif 000122
ＯＲＦ  ４０６は、Ｎ．ｇｏｎｏｒｒｈｏｅａｅ由来の推定ＯＲＦ（ＯＲＦ４０６．ａ
）と３２０アミノ酸重複にわたって９８．８％の同一性を示す：
【化１２２】
2004500801.tif 000123
【化１２３】
2004500801.tif 000124
以下の部分的ＤＮＡ配列は、Ｎ．ｍｅｎｉｎｇｉｔｉｄｉｓにおいて同定された（配列
番号３１１３）：
【化１２４】
2004500801.tif 000125
これは、アミノ酸配列（配列番号３１１４；ＯＲＦ  ４０６．ａ）に対応する：
【化１２５】
2004500801.tif 000126
【化１２６】
2004500801.tif 000127
（実施例２）
（ＯＲＦ  ９１９の発現）
表１中に記載されるＯＲＦ  ９１９についてのプライマーを使用して、ＯＲＦ  ９１９
を位置付けそしてクローン化した。推定遺伝子９１９をｐＥＴベクター中にクローン化し
、そしてＥ．ｃｏｌｉ中で発現させた。このタンパク質発現および精製産物を、ＳＤＳ−
ＰＡＧＥにより分析した。パネルＡ）は、９１９−Ｈｉｓ融合タンパク質精製分析を示す
。マウスを精製された９１９−Ｈｉｓで免疫し、そして血清をウェスタンブロット（パネ
ルＢ）、ＦＡＣＳ分析（パネルＣ）、殺菌アッセイ（パネルＤ）、およびＥＬＩＳＡアッ
セイ（パネルＥ）に使用した。記号：Ｍ１、分子量マーカー；ＰＰ、精製タンパク質、Ｔ
Ｐ、Ｎ．ｍｅｎｉｎｇｉｔｉｄｉｓ総タンパク質抽出物；ＯＭＶ、Ｎ．ｍｅｎｉｎｇｉｔ
ｉｄｉｓ外膜小胞調製物。矢印は、主な組換えタンパク質産物（Ａ）およびＮ．ｍｅｎｉ
ｎｇｉｔｉｄｉｓ免疫反応性バンド（Ｂ）の位置を示す。これらの実験は、９１９は、表
面露出タンパク質であり、有用な免疫源であることを確かめる。ＯＲＦ  ９１９の親水性
プロット、抗原性指数、および両親媒性領域を図１０に提供する。ＡＭＰＨＩプログラム
を使用して、推定Ｔ細胞エピトープを予測する（Ｇａｏら、１９８９、Ｊ．Ｉｍｍｕｎｏ
ｌ  １４３：３００７；Ｒｏｂｅｒｔｓら、１９９６、ＡＩＤＳ  Ｒｅｓ  Ｈｕｍａｎ  
Ｒｅｔｒｏｖｉｒｕｓｅｓ  １２：５９３；Ｑｕａｋｙｉら、１９９２、Ｓｃａｎｄ  Ｊ
Ｉｍｍｕｎｏｌ  Ｓｕｐｐｌ  １１：９）。ＯＲＦ  ９１９の核酸配列およびそれによ
ってコードされるアミノ酸配列を実施例１に提供する。
（実施例３）
（ＯＲＦ  ２７９の発現）
表１中に記載されるＯＲＦ  ２７９についてのプライマーを使用して、ＯＲＦ  ２７９
を位置付けそしてクローン化した。推定遺伝子２７９をｐＧｅｘベクター中にクローン化
し、そしてＥ．ｃｏｌｉ中で発現させた。このタンパク質発現および精製産物を、ＳＤＳ
−ＰＡＧＥにより分析した。パネルＡ）は、２７９−ＧＳＴ精製分析を示す。マウスを精
製された２７９−ＧＳＴで免疫し、そして血清をウェスタンブロット分析（パネルＢ）、
ＦＡＣＳ分析（パネルＣ）、殺菌アッセイ（パネルＤ）、およびＥＬＩＳＡアッセイ（パ
ネルＥ）に使用した。記号：Ｍ１、分子量マーカー；ＴＰ、Ｎ．ｍｅｎｉｎｇｉｔｉｄｉ
ｓ総タンパク質抽出物；ＯＭＶ、Ｎ．ｍｅｎｉｎｇｉｔｉｄｉｓ外膜小胞調製物。矢印は
、主な組換えタンパク質産物（Ａ）およびＮ．ｍｅｎｉｎｇｉｔｉｄｉｓ免疫反応性バン
ド（Ｂ）の位置を示す。これらの実験は、２７９は、表面露出タンパク質であり、有用な
免疫源であることを確かめる。ＯＲＦ  ２７９の親水性プロット、抗原性指数、および両
親媒性領域を図１１に提供する。ＡＭＰＨＩプログラムを使用して、推定Ｔ細胞エピトー
プを予測する（Ｇａｏら、１９８９、Ｊ．Ｉｍｍｕｎｏｌ  １４３：３００７；Ｒｏｂｅ
ｒｔｓら、１９９６、ＡＩＤＳ  Ｒｅｓ  Ｈｕｍａｎ  Ｒｅｔｒｏｖｉｒｕｓｅｓ  １２
：５９３；Ｑｕａｋｙｉら、１９９２、Ｓｃａｎｄ  Ｊ  Ｉｍｍｕｎｏｌ  Ｓｕｐｐｌ  
１１：９）。ＯＲＦ  ２７９の核酸配列およびそれによってコードされるアミノ酸配列を
実施例１に提供する。
（実施例４）
（ＯＲＦ  ５７６および５７６−１の発現）
表１中に記載されるＯＲＦ  ５７６についてのプライマーを使用して、ＯＲＦ  ５７６
を位置付けそしてクローン化した。推定遺伝子５７６をｐＧｅｘベクター中にクローン化
し、そしてＥ．ｃｏｌｉ中で発現させた。このタンパク質精製産物を、ＳＤＳ−ＰＡＧＥ
により分析した。パネルＡ）は、５７６−ＧＳＴ融合タンパク質精製分析を示す。マウス
を精製された５７６−ＧＳＴで免疫し、そして血清をウェスタンブロット（パネルＢ）、
ＦＡＣＳ分析（パネルＣ）、殺菌アッセイ（パネルＤ）、およびＥＬＩＳＡアッセイ（パ
ネルＥ）に使用した。記号：Ｍ１、分子量マーカー；ＴＰ、Ｎ．ｍｅｎｉｎｇｉｔｉｄｉ
ｓ総タンパク質抽出物；ＯＭＶ、Ｎ．ｍｅｎｉｎｇｉｔｉｄｉｓ外膜小胞調製物。矢印は
、主な組換えタンパク質産物（Ａ）およびＮ．ｍｅｎｉｎｇｉｔｉｄｉｓ免疫反応性バン
ド（Ｂ）の位置を示す。これらの実験は、ＯＲＦ  ５７６は、表面露出タンパク質であり
、有用な免疫源であることを確かめる。ＯＲＦ  ５７６の親水性プロット、抗原性指数、
および両親媒性領域を図１２に提供する。ＡＭＰＨＩプログラムを使用して、推定Ｔ細胞
エピトープを予測する（Ｇａｏら、１９８９、Ｊ．Ｉｍｍｕｎｏｌ  １４３：３００７；
Ｒｏｂｅｒｔｓら、１９９６、ＡＩＤＳ  Ｒｅｓ  Ｈｕｍａｎ  Ｒｅｔｒｏｖｉｒｕｓｅ
ｓ  １２：５９３；Ｑｕａｋｙｉら、１９９２、Ｓｃａｎｄ  Ｊ  Ｉｍｍｕｎｏｌ  Ｓｕ
ｐｐｌ  １１：９）。ＯＲＦ  ５７６の核酸配列およびそれによってコードされるアミノ
酸配列を実施例１に提供する。
（実施例５）
（ＯＲＦ  ５１９および５１９−１の発現）
表１中に記載されるＯＲＦ  ５１９についてのプライマーを使用して、ＯＲＦ  ５１９
を位置付けそしてクローン化した。推定遺伝子５１９をｐＥＴベクター中にクローン化し
、そしてＥ．ｃｏｌｉ中で発現させた。このタンパク質精製産物を、ＳＤＳ−ＰＡＧＥに
より分析した。パネルＡ）は、５１９−Ｈｉｓ融合タンパク質精製分析を示す。マウスを
精製された５１９−Ｈｉｓで免疫し、そして血清をウェスタンブロット（パネルＢ）、Ｆ
ＡＣＳ分析（パネルＣ）、殺菌アッセイ（パネルＤ）、およびＥＬＩＳＡアッセイ（パネ
ルＥ）に使用した。記号：Ｍ１、分子量マーカー；ＴＰ、Ｎ．ｍｅｎｉｎｇｉｔｉｄｉｓ
総タンパク質抽出物；ＯＭＶ、Ｎ．ｍｅｎｉｎｇｉｔｉｄｉｓ外膜小胞調製物。矢印は、
主な組換えタンパク質産物（Ａ）およびＮ．ｍｅｎｉｎｇｉｔｉｄｉｓ免疫反応性バンド
（Ｂ）の位置を示す。これらの実験は、５１９は、表面露出タンパク質であり、有用な免
疫源であることを確かめる。ＯＲＦ  ５１９の親水性プロット、抗原性指数、および両親
媒性領域を図１３に提供する。ＡＭＰＨＩプログラムを使用して、推定Ｔ細胞エピトープ
を予測する（Ｇａｏら、１９８９、Ｊ．Ｉｍｍｕｎｏｌ  １４３：３００７；Ｒｏｂｅｒ
ｔｓら、１９９６、ＡＩＤＳ  Ｒｅｓ  Ｈｕｍａｎ  Ｒｅｔｒｏｖｉｒｕｓｅｓ  １２：
５９３；Ｑｕａｋｙｉら、１９９２、Ｓｃａｎｄ  Ｊ  Ｉｍｍｕｎｏｌ  Ｓｕｐｐｌ  １
１：９）。ＯＲＦ  ５１９の核酸配列およびそれによってコードされるアミノ酸配列を実
施例１に提供する。
（実施例６）
（ＯＲＦ  １２１および１２１−１の発現）
表１中に記載されるＯＲＦ  １２１についてのプライマーを使用して、ＯＲＦ  １２１
を位置付けそしてクローン化した。推定遺伝子１２１をｐＥＴベクター中にクローン化し
、そしてＥ．ｃｏｌｉ中で発現させた。このタンパク質精製産物を、ＳＤＳ−ＰＡＧＥに
より分析した。パネルＡ）は、１２１−Ｈｉｓ融合タンパク質精製分析を示す。マウスを
精製された１２１−Ｈｉｓで免疫し、そして血清をウェスタンブロット分析（パネルＢ）
、ＦＡＣＳ分析（パネルＣ）、殺菌アッセイ（パネルＤ）、およびＥＬＩＳＡアッセイ（
パネルＥ）に使用した。結果は、１２１が表面露出タンパク質であることを示す。記号：
Ｍ１、分子量マーカー；ＴＰ、Ｎ．ｍｅｎｉｎｇｉｔｉｄｉｓ総タンパク質抽出物；ＯＭ
Ｖ、Ｎ．ｍｅｎｉｎｇｉｔｉｄｉｓ外膜小胞調製物。矢印は、主な組換えタンパク質産物
（Ａ）およびＮ．ｍｅｎｉｎｇｉｔｉｄｉｓ免疫反応性バンド（Ｂ）の位置を示す。これ
らの実験は、１２１は、表面露出タンパク質であり、有用な免疫源であることを確かめる
。ＯＲＦ  １２１の親水性プロット、抗原性指数、および両親媒性領域を図１４に提供す
る。ＡＭＰＨＩプログラムを使用して、推定Ｔ細胞エピトープを予測する（Ｇａｏら、１
９８９、Ｊ．Ｉｍｍｕｎｏｌ  １４３：３００７；Ｒｏｂｅｒｔｓら、１９９６、ＡＩＤ
Ｓ  Ｒｅｓ  Ｈｕｍａｎ  Ｒｅｔｒｏｖｉｒｕｓｅｓ  １２：５９３；Ｑｕａｋｙｉら、
１９９２、Ｓｃａｎｄ  Ｊ  Ｉｍｍｕｎｏｌ  Ｓｕｐｐｌ  １１：９）。ＯＲＦ  １２１
の核酸配列およびそれによってコードされるアミノ酸配列を実施例１に提供する。
（実施例７）
（ＯＲＦ  １２８および１２８−１の発現）
表１中に記載されるＯＲＦ  １２８についてのプライマーを使用して、ＯＲＦ  １２８
を位置付けそしてクローン化した。推定遺伝子１２８をｐＥＴベクター中にクローン化し
、そしてＥ．ｃｏｌｉ中で発現させた。このタンパク質精製産物を、ＳＤＳ−ＰＡＧＥに
より分析した。パネルＡ）は、１２８−Ｈｉｓ精製分析を示す。マウスを精製された１２
８−Ｈｉｓで免疫し、そして血清をウェスタンブロット分析（パネルＢ）、ＦＡＣＳ分析
（パネルＣ）、殺菌アッセイ（パネルＤ）、およびＥＬＩＳＡアッセイ（パネルＥ）に使
用した。結果は、１２８が表面露出タンパク質であることを示す。記号：Ｍ１、分子量マ
ーカー；ＴＰ、Ｎ．ｍｅｎｉｎｇｉｔｉｄｉｓ総タンパク質抽出物；ＯＭＶ、Ｎ．ｍｅｎ
ｉｎｇｉｔｉｄｉｓ外膜小胞調製物。矢印は、主な組換えタンパク質産物（Ａ）およびＮ
．ｍｅｎｉｎｇｉｔｉｄｉｓ免疫反応性バンド（Ｂ）の位置を示す。これらの実験は、１
２８は、表面露出タンパク質であり、有用な免疫源であることを確かめる。ＯＲＦ  １２
８の親水性プロット、抗原性指数、および両親媒性領域を図１５に提供する。ＡＭＰＨＩ
プログラムを使用して、推定Ｔ細胞エピトープを予測する（Ｇａｏら、１９８９、Ｊ．Ｉ
ｍｍｕｎｏｌ  １４３：３００７；Ｒｏｂｅｒｔｓら、１９９６、ＡＩＤＳ  Ｒｅｓ  Ｈ
ｕｍａｎ  Ｒｅｔｒｏｖｉｒｕｓｅｓ  １２：５９３；Ｑｕａｋｙｉら、１９９２、Ｓｃ
ａｎｄ  Ｊ  Ｉｍｍｕｎｏｌ  Ｓｕｐｐｌ  １１：９）。ＯＲＦ  １２８の核酸配列およ
びそれによってコードされるアミノ酸配列を実施例１に提供する。
（実施例８）
（ＯＲＦ  ２０６の発現）
表１中に記載されるＯＲＦ  ２０６についてのプライマーを使用して、ＯＲＦ  ２０６
を位置付けそしてクローン化した。推定遺伝子２０６をｐＥＴベクター中にクローン化し
、そしてＥ．ｃｏｌｉ中で発現させた。このタンパク質精製産物を、ＳＤＳ−ＰＡＧＥに
より分析した。パネルＡ）は、２０６−Ｈｉｓ精製分析を示す。マウスを精製された２０
６−Ｈｉｓで免疫し、そして血清をウェスタンブロット分析（パネルＢ）に使用した。髄
膜炎菌由来のタンパク質抽出物における免疫反応性バンドが、１７ｋＤａの代わりに３８
ｋＤａであることは、価値ある知見である（パネルＡ）。この抗体染色の性質の情報を得
るために、本発明者らは、Ｈｉｓ−ｔａｇを含まずかつ推定リーダーペプチドを含むＥ．
ｃｏｌｉにおいてＯＲＦ  ２０６を発現させた。この２０６タンパク質のネイティブな形
態を発現しているＥ．ｃｏｌｉ由来の、総タンパク質抽出物についてのウェスタンブロッ
ト分析は、髄膜炎菌において観察されるように、３８ｋＤａの位置に反応性バンドを示し
た。本発明者らは、パネルＢ）における３８ｋＤａバンドは特異的であり、そして抗２０
６抗体は多量体タンパク質複合体を認識するようであると結論する。パネルＣはＦＡＣＳ
分析を示し、パネルＤは殺菌アッセイを示し、そしてパネルＥはＥＬＩＳＡアッセイを示
す。結果は、２０６が表面露出タンパク質であることを示す。記号：Ｍ１、分子量マーカ
ー；ＴＰ、Ｎ．ｍｅｎｉｎｇｉｔｉｄｉｓ総タンパク質抽出物；ＯＭＶ、Ｎ．ｍｅｎｉｎ
ｇｉｔｉｄｉｓ外膜小胞調製物。矢印は、主な組換えタンパク質産物（Ａ）およびＮ．ｍ
ｅｎｉｎｇｉｔｉｄｉｓ免疫反応性バンド（Ｂ）の位置を示す。これらの実験は、２０６
は、表面露出タンパク質であり、有用な免疫源であることを確かめる。ＯＲＦ  ５１９の
親水性プロット、抗原性指数、および両親媒性領域を図１６に提供する。ＡＭＰＨＩプロ
グラムを使用して、推定Ｔ細胞エピトープを予測する（Ｇａｏら、１９８９、Ｊ．Ｉｍｍ
ｕｎｏｌ  １４３：３００７；Ｒｏｂｅｒｔｓら、１９９６、ＡＩＤＳ  Ｒｅｓ  Ｈｕｍ
ａｎ  Ｒｅｔｒｏｖｉｒｕｓｅｓ  １２：５９３；Ｑｕａｋｙｉら、１９９２、Ｓｃａｎ
ｄ  Ｊ  Ｉｍｍｕｎｏｌ  Ｓｕｐｐｌ  １１：９）。ＯＲＦ  ２０６の核酸配列およびそ
れによってコードされるアミノ酸配列を実施例１に提供する。
（実施例９）
（ＯＲＦ  ２８７の発現）
表１中に記載されるＯＲＦ  ２８７についてのプライマーを使用して、ＯＲＦ  ２８７
を位置付けそしてクローン化した。推定遺伝子２８７をｐＧｅｘベクター中にクローン化
し、そしてＥ．ｃｏｌｉ中で発現させた。タンパク質精製産物を、ＳＤＳ−ＰＡＧＥによ
り分析した。パネルＡ）は、２８７−ＧＳＴ融合タンパク質精製分析を示す。マウスを精
製された２８７−ＧＳＴで免疫し、そして血清をＦＡＣＳ分析（パネルＢ）、殺菌アッセ
イ（パネルＣ）、およびＥＬＩＳＡアッセイ（パネルＤ）に使用した。結果は、２８７が
表面露出タンパク質であることを示す。記号：Ｍ１、分子量マーカー。矢印は、主な組換
えタンパク質産物（Ａ）の位置を示す。これらの実験は、２８７は、表面露出タンパク質
であり、有用な免疫源であることを確かめる。ＯＲＦ  ２８７の親水性プロット、抗原性
指数、および両親媒性領域を図１７に提供する。ＡＭＰＨＩプログラムを使用して、推定
Ｔ細胞エピトープを予測する（Ｇａｏら、１９８９、Ｊ．Ｉｍｍｕｎｏｌ  １４３：３０
０７；Ｒｏｂｅｒｔｓら、１９９６、ＡＩＤＳ  Ｒｅｓ  Ｈｕｍａｎ  Ｒｅｔｒｏｖｉｒ
ｕｓｅｓ  １２：５９３；Ｑｕａｋｙｉら、１９９２、Ｓｃａｎｄ  Ｊ  Ｉｍｍｕｎｏｌ
Ｓｕｐｐｌ  １１：９）。ＯＲＦ  ２８７の核酸配列およびそれによってコードされる
アミノ酸配列を実施例１に提供する。
（実施例１０）
（ＯＲＦ  ４０６の発現）
表１中に記載されるＯＲＦ  ４０６についてのプライマーを使用して、ＯＲＦ  ４０６
を位置付けそしてクローン化した。推定遺伝子４０６をｐＥＴベクター中にクローン化し
、そしてＥ．ｃｏｌｉ中で発現させた。このタンパク質精製産物を、ＳＤＳ−ＰＡＧＥに
より分析した。パネルＡ）は、４０６−Ｈｉｓ融合タンパク質精製分析を示す。マウスを
精製された４０６−Ｈｉｓで免疫し、そして血清をウェスタンブロット分析（パネルＢ）
、ＦＡＣＳ分析（パネルＣ）、殺菌アッセイ（パネルＤ）、およびＥＬＩＳＡアッセイ（
パネルＥ）に使用した。結果は、４０６が表面露出タンパク質であることを示す。記号：
Ｍ１、分子量マーカー；ＴＰ、Ｎ．ｍｅｎｉｎｇｉｔｉｄｉｓ総タンパク質抽出物；ＯＭ
Ｖ、Ｎ．ｍｅｎｉｎｇｉｔｉｄｉｓ外膜小胞調製物。矢印は、主な組換えタンパク質産物
（Ａ）およびＮ．ｍｅｎｉｎｇｉｔｉｄｉｓ免疫反応性バンド（Ｂ）の位置を示す。これ
らの実験は、４０６は、表面露出タンパク質であり、有用な免疫源であることを確かめる
。ＯＲＦ  ４０６の親水性プロット、抗原性指数、および両親媒性領域を図１８に提供す
る。ＡＭＰＨＩプログラムを使用して、推定Ｔ細胞エピトープを予測する（Ｇａｏら、１
９８９、Ｊ．Ｉｍｍｕｎｏｌ  １４３：３００７；Ｒｏｂｅｒｔｓら、１９９６、ＡＩＤ
Ｓ  Ｒｅｓ  Ｈｕｍａｎ  Ｒｅｔｒｏｖｉｒｕｓｅｓ  １２：５９３；Ｑｕａｋｙｉら、
１９９２、Ｓｃａｎｄ  Ｊ  Ｉｍｍｕｎｏｌ  Ｓｕｐｐｌ  １１：９）。ＯＲＦ  ４０６
の核酸配列およびそれによってコードされるアミノ酸配列を実施例１に提供する。
（実施例１１）
表２は、異なる株間でのＯＲＦ  ２２５の配列保存を評価するために使用した、いくつ
かのＮｅｉｓｓｅｒｉａ株を列挙する。
【表２】
2004500801.tif 000128
2004500801.tif 000129
列挙された各株のアミノ酸配列は以下の通りである：
【化１２７】
2004500801.tif 000130
【化１２８】
2004500801.tif 000131
【化１２９】
2004500801.tif 000132
【化１３０】
2004500801.tif 000133
【化１３１】
2004500801.tif 000134
図１９は、これらの各株の配列整列化の結果を示す。暗い影は相同性領域を示し、そし
て灰色の影は類似した特徴を有するアミノ酸の保存を示す。容易に識別可能である場合、
ＯＲＦ  ２２５の種々の株間で有意な保存が存在し、このことはさらに、ワクチンおよび
診断の両方のための抗原としての有用性を確認する。
（実施例１２）
表３は、異なる株間でのＯＲＦ  ２３５の配列保存を評価するために使用した、いくつ
かのＮｅｉｓｓｅｒｉａ株を列挙する。
【表３】
2004500801.tif 000135
2004500801.tif 000136
列挙された各株のアミノ酸配列は以下の通りである：
【化１３２】
2004500801.tif 000137
【化１３３】
2004500801.tif 000138
【化１３４】
2004500801.tif 000139
【化１３５】
2004500801.tif 000140
図２０は、これらの各株の配列整列化の結果を示す。暗い影は相同な領域を示し、そし
て灰色の影は類似した特徴を有するアミノ酸の保存を示す。容易に識別可能である場合、
ＯＲＦ  ２３５の種々の株間で有意な保存が存在し、このことはさらに、ワクチンおよび
診断の両方のための抗原としての有用性を確認する。
（実施例１３）
表４は、異なる株間でのＯＲＦ  ２８７の配列保存を評価するために使用した、いくつ
かのＮｅｉｓｓｅｒｉａ株を列挙する。
【表４】
2004500801.tif 000141
2004500801.tif 000142
列挙された各株のアミノ酸配列は以下の通りである：
【化１３６】
2004500801.tif 000143
【化１３７】
2004500801.tif 000144
図２１は、これらの各株の配列整列化の結果を示す。暗い影は相同な領域を示し、そし
て灰色の影は類似した特徴を有するアミノ酸の保存を示す。容易に識別可能である場合、
ＯＲＦ  ２８７の種々の株間で有意な保存が存在し、このことはさらに、ワクチンおよび
診断の両方のための抗原としての有用性を確認する。
（実施例１４）
表５は、異なる株間でのＯＲＦ  ５１９の配列保存を評価するために使用した、いくつ
かのＮｅｉｓｓｅｒｉａ株を列挙する。
【表５】
2004500801.tif 000145
2004500801.tif 000146
列挙された各株のアミノ酸配列は以下の通りである：
【化１３８】
2004500801.tif 000147
【化１３９】
2004500801.tif 000148
【化１４０】
2004500801.tif 000149
【化１４１】
2004500801.tif 000150
図２２は、これらの各株の配列整列化の結果を示す。暗い影は相同な領域を示し、そし
て灰色の影は類似した特徴を有するアミノ酸の保存を示す。容易に識別可能である場合、
ＯＲＦ  ５１９の種々の株間で有意な保存が存在し、このことはさらに、ワクチンおよび
診断の両方のための抗原としての有用性を確認する。
（実施例１５）
表６は、異なる株間でのＯＲＦ  ９１９の配列保存を評価するために使用した、いくつ
かのＮｅｉｓｓｅｒｉａ株を列挙する。
【表６】
2004500801.tif 000151
2004500801.tif 000152
2004500801.tif 000153
列挙された各株のアミノ酸配列は以下の通りである：
【化１４２】
2004500801.tif 000154
【化１４３】
2004500801.tif 000155
【化１４４】
2004500801.tif 000156
【化１４５】
2004500801.tif 000157
【化１４６】
2004500801.tif 000158
【化１４７】
2004500801.tif 000159
図２３は、これらの各株の配列整列化の結果を示す。暗い影は相同な領域を示し、そし
て灰色の影は類似した特徴を有するアミノ酸の保存を示す。容易に識別可能である場合、
ＯＲＦ  ９１９の種々の株間で有意な保存が存在し、このことはさらに、ワクチンおよび
診断の両方のための抗原としての有用性を確認する。
（実施例１６）
上記の手順により、以下のオリゴヌクレオチドプライマーをポリメラーゼ連鎖反応（Ｐ
ＣＲ）アッセイにおいて使用して、示されるようにＯＲＦをクローン化した：
表７：完全ＯＲＦまたは部分的ＯＲＦを増幅するために、ＰＣＲに使用されたオリゴヌ
クレオチド
【表７】
2004500801.tif 000160
2004500801.tif 000161
2004500801.tif 000162
2004500801.tif 000163
2004500801.tif 000164
2004500801.tif 000165
2004500801.tif 000166
2004500801.tif 000167
2004500801.tif 000168
2004500801.tif 000169
2004500801.tif 000170
2004500801.tif 000171
2004500801.tif 000172
2004500801.tif 000173
2004500801.tif 000174
2004500801.tif 000175
2004500801.tif 000176
2004500801.tif 000177
2004500801.tif 000178
2004500801.tif 000179
2004500801.tif 000180
2004500801.tif 000181
2004500801.tif 000182
2004500801.tif 000183
2004500801.tif 000184
下線を付した配列は、制限認識部位を示す。
以下の部分的ＤＮＡ配列は、Ｎ．ｇｏｎｏｒｒｈｏｅａｅにおいて同定された（配列番
号１）：
【化１４８】
2004500801.tif 000185
これは、アミノ酸配列（配列番号２；ＯＲＦ  ００１．ｎｇ）に対応する：
【化１４９】
2004500801.tif 000186
以下の部分的ＤＮＡ配列は、Ｎ．ｍｅｎｉｎｇｉｔｉｄｉｓにおいて同定された（配列
番号３）：
【化１５０】
2004500801.tif 000187
これは、アミノ酸配列（配列番号４；ＯＲＦ  ００１）に対応する：
【化１５１】
2004500801.tif 000188
以下の部分的ＤＮＡ配列は、Ｎ．ｍｅｎｉｎｇｉｔｉｄｉｓにおいて同定された（配列
番号５）：
【化１５２】
2004500801.tif 000189
これは、アミノ酸配列（配列番号６；ＯＲＦ  ００１．ａ）に対応する：
【化１５３】
2004500801.tif 000190
【化１５４】
2004500801.tif 000191
このアミノ酸配列のコンピューター分析は以下の結果を示した：
（Ｎ．ｇｏｎｏｒｒｈｏｅａｅ由来の推定ＯＲＦとの相同性）
ＯＲＦ  ００１は、Ｎ．ｇｏｎｏｒｒｈｏｅａｅ由来の推定ＯＲＦ（ＯＲＦ  ００１．
ｎｇ）と１３１アミノ酸重複にわたって、８９．３％の同一性を示す。
【化１５５】
2004500801.tif 000192
以下の部分的ＤＮＡ配列は、Ｎ．ｇｏｎｏｒｒｈｏｅａｅにおいて同定された（配列番
号７）：
【化１５６】
2004500801.tif 000193
これは、アミノ酸配列（配列番号８；ＯＲＦ  ００３．ｎｇ）に対応する：
【化１５７】
2004500801.tif 000194
【化１５８】
2004500801.tif 000195
以下の部分的ＤＮＡ配列は、Ｎ．ｍｅｎｉｎｇｉｔｉｄｉｓにおいて同定された（配列
番号９）：
【化１５９】
2004500801.tif 000196
これは、アミノ酸配列（配列番号１０；ＯＲＦ  ００３）に対応する：
【化１６０】
2004500801.tif 000197
以下の部分的ＤＮＡ配列は、Ｎ．ｍｅｎｉｎｇｉｔｉｄｉｓにおいて同定された（配列
番号１１）：
【化１６１】
2004500801.tif 000198
これは、アミノ酸配列（配列番号１２；ＯＲＦ  ００３．ａ）に対応する：
【化１６２】
2004500801.tif 000199
【化１６３】
2004500801.tif 000200
このアミノ酸配列のコンピューター分析は以下の結果を示した：
（Ｎ．ｇｏｎｏｒｒｈｏｅａｅ由来の推定ＯＲＦとの相同性）
ＯＲＦ  ００３は、Ｎ．ｇｏｎｏｒｒｈｏｅａｅ由来の推定ＯＲＦ（ＯＲＦ  ００３．
ｎｇ）と２１９アミノ酸重複にわたって、８８．６％の同一性を示す。
【化１６４】
2004500801.tif 000201
以下の部分的ＤＮＡ配列は、Ｎ．ｇｏｎｏｒｒｈｏｅａｅにおいて同定された（配列番
号１３）：
【化１６５】
2004500801.tif 000202
【化１６６】
2004500801.tif 000203
これは、アミノ酸配列（配列番号１４；ＯＲＦ  ００４．ｎｇ）に対応する：
【化１６７】
2004500801.tif 000204
以下の部分的ＤＮＡ配列は、Ｎ．ｍｅｎｉｎｇｉｔｉｄｉｓにおいて同定された（配列
番号１５）：
【化１６８】
2004500801.tif 000205
これは、アミノ酸配列（配列番号１６；ＯＲＦ  ００４）に対応する：
【化１６９】
2004500801.tif 000206
以下の部分的ＤＮＡ配列は、Ｎ．ｍｅｎｉｎｇｉｔｉｄｉｓにおいて同定された（配列
番号１７）：
【化１７０】
2004500801.tif 000207
これは、アミノ酸配列（配列番号１８；ＯＲＦ００４．ａ）に対応する：
【化１７１】
2004500801.tif 000208
【化１７２】
2004500801.tif 000209
このアミノ酸配列のコンピューター分析は、以下の結果を与えた：
（Ｎ．ｇｏｎｏｒｒｈｏｅａｅ由来の推定ＯＲＦとの相同性）
ＯＲＦ００４は、Ｎ．ｇｏｎｏｒｒｈｏｅａｅ由来の推定ＯＲＦ（ＯＲＦ００４．ｎｇ）
との２５８アミノ酸重複にわたって９３．４％の同一性を示す：
【化１７３】
2004500801.tif 000210
【化１７４】
2004500801.tif 000211
以下の部分ＤＮＡ配列は、Ｎ．ｇｏｎｏｒｒｈｏｅａｅにおいて同定された（配列番号１
９）：
【化１７５】
2004500801.tif 000212
これは、アミノ酸配列（配列番号２０；ＯＲＦ００５．ｎｇ）に対応する：
【化１７６】
2004500801.tif 000213
以下の部分ＤＮＡ配列は、Ｎ．ｍｅｎｉｎｇｉｔｉｄｉｓにおいて同定された（配列番号
２１）：
【化１７７】
2004500801.tif 000214
【化１７８】
2004500801.tif 000215
これは、アミノ酸配列（配列番号２２；ＯＲＦ００５）に対応する：
【化１７９】
2004500801.tif 000216
以下の部分ＤＮＡ配列は、Ｎ．ｍｅｎｉｎｇｉｔｉｄｉｓにおいて同定された（配列番号
２３）：
【化１８０】
2004500801.tif 000217
これは、アミノ酸配列（配列番号２４；ＯＲＦ００５．ａ）に対応する：
【化１８１】
2004500801.tif 000218
【化１８２】
2004500801.tif 000219
このアミノ酸配列のコンピューター分析は、以下の結果を与えた：
（Ｎ．ｇｏｎｏｒｒｈｏｅａｅ由来の推定ＯＲＦとの相同性）
ＯＲＦ００５は、Ｎ．ｇｏｎｏｒｒｈｏｅａｅ由来の推定ＯＲＦ（ＯＲＦ００５．ｎｇ）
との３６６アミノ酸重複にわたって７７．０％の同一性を示す：
【化１８３】
2004500801.tif 000220
【化１８４】
2004500801.tif 000221
以下の部分ＤＮＡ配列は、Ｎ．ｇｏｎｏｒｒｈｏｅａｅにおいて同定された（配列番号２
５）：
【化１８５】
2004500801.tif 000222
これは、アミノ酸配列（配列番号２６；ＯＲＦ００６．ｎｇ）に対応する：
【化１８６】
2004500801.tif 000223
以下の部分ＤＮＡ配列は、Ｎ．ｍｅｎｉｎｇｉｔｉｄｉｓにおいて同定された（配列番号
２７）：
【化１８７】
2004500801.tif 000224
【化１８８】
2004500801.tif 000225
これは、アミノ酸配列（配列番号２８；ＯＲＦ００６）に対応する：
【化１８９】
2004500801.tif 000226
以下の部分ＤＮＡ配列は、Ｎ．ｍｅｎｉｎｇｉｔｉｄｉｓにおいて同定された（配列番号
２９）：
【化１９０】
2004500801.tif 000227
これは、アミノ酸配列（配列番号３０；ＯＲＦ００６．ａ）に対応する：
【化１９１】
2004500801.tif 000228
このアミノ酸配列のコンピューター分析は、以下の結果を与えた：
（Ｎ．ｇｏｎｏｒｒｈｏｅａｅ由来の推定ＯＲＦとの相同性）
ＯＲＦ００６は、Ｎ．ｇｏｎｏｒｒｈｏｅａｅ由来の推定ＯＲＦ（ＯＲＦ００６．ｎｇ）
との１５３アミノ酸重複にわたって９５．４％の同一性を示す：
【化１９２】
2004500801.tif 000229
【化１９３】
2004500801.tif 000230
以下の部分ＤＮＡ配列は、Ｎ．ｇｏｎｏｒｒｈｏｅａｅにおいて同定された（配列番号３
１）：
【化１９４】
2004500801.tif 000231
これは、アミノ酸配列（配列番号３２；ＯＲＦ００６−１．ｎｇ）に対応する：
【化１９５】
2004500801.tif 000232
以下の部分ＤＮＡ配列は、Ｎ．ｍｅｎｉｎｇｉｔｉｄｉｓにおいて同定された（配列番号
３３）：
【化１９６】
2004500801.tif 000233
【化１９７】
2004500801.tif 000234
これは、アミノ酸配列（配列番号３４；ＯＲＦ００６−１）に対応する：
【化１９８】
2004500801.tif 000235
以下の部分ＤＮＡ配列は、Ｎ．ｍｅｎｉｎｇｉｔｉｄｉｓにおいて同定された（配列番号
３５）：
【化１９９】
2004500801.tif 000236
【化２００】
2004500801.tif 000237
これは、アミノ酸配列（配列番号３６；ＯＲＦ００６−１．ａ）に対応する：
【化２０１】
2004500801.tif 000238
以下の部分ＤＮＡ配列は、Ｎ．ｇｏｎｏｒｒｈｏｅａｅにおいて同定された（配列番号３
７）：
【化２０２】
2004500801.tif 000239
これは、アミノ酸配列（配列番号３８；ＯＲＦ００７．ｎｇ）に対応する：
【化２０３】
2004500801.tif 000240
以下の部分ＤＮＡ配列は、Ｎ．ｍｅｎｉｎｇｉｔｉｄｉｓにおいて同定された（配列番号
３９）：
【化２０４】
2004500801.tif 000241
これは、アミノ酸配列（配列番号４０；ＯＲＦ００７）に対応する：
【化２０５】
2004500801.tif 000242
以下の部分ＤＮＡ配列は、Ｎ．ｍｅｎｉｎｇｉｔｉｄｉｓにおいて同定された（配列番号
４１）：
【化２０６】
2004500801.tif 000243
これは、アミノ酸配列（配列番号４２；ＯＲＦ００７．ａ）に対応する：
【化２０７】
2004500801.tif 000244
このアミノ酸配列のコンピューター分析は、以下の結果を与えた：
（Ｎ．ｇｏｎｏｒｒｈｏｅａｅ由来の推定ＯＲＦとの相同性）
ＯＲＦ００７は、Ｎ．ｇｏｎｏｒｒｈｏｅａｅ由来の推定ＯＲＦ（ＯＲＦ００７．ｎｇ）
との１１３アミノ酸重複にわたって８６．７％の同一性を示す：
【化２０８】
2004500801.tif 000245
【化２０９】
2004500801.tif 000246
以下の部分ＤＮＡ配列は、Ｎ．ｇｏｎｏｒｒｈｏｅａｅにおいて同定された（配列番号４
３）：
【化２１０】
2004500801.tif 000247
これは、アミノ酸配列（配列番号４４；ＯＲＦ００７−１．ｎｇ）に対応する：
【化２１１】
2004500801.tif 000248
以下の部分ＤＮＡ配列は、Ｎ．ｍｅｎｉｎｇｉｔｉｄｉｓにおいて同定された（配列番号
４５）：
【化２１２】
2004500801.tif 000249
これは、アミノ酸配列（配列番号４６；ＯＲＦ００７−１）に対応する：
【化２１３】
2004500801.tif 000250
以下の部分ＤＮＡ配列は、Ｎ．ｍｅｎｉｎｇｉｔｉｄｉｓにおいて同定された（配列番号
４７）：
【化２１４】
2004500801.tif 000251
【化２１５】
2004500801.tif 000252
これは、アミノ酸配列（配列番号４８；ＯＲＦ００７−１．ａ）に対応する：
【化２１６】
2004500801.tif 000253
以下の部分ＤＮＡ配列は、Ｎ．ｇｏｎｏｒｒｈｏｅａｅにおいて同定された（配列番号４
９）：
【化２１７】
2004500801.tif 000254
これは、アミノ酸配列（配列番号５０；ＯＲＦ００８．ｎｇ）に対応する：
【化２１８】
2004500801.tif 000255
以下の部分ＤＮＡ配列は、Ｎ．ｍｅｎｉｎｇｉｔｉｄｉｓにおいて同定された（配列番号
５１）：
【化２１９】
2004500801.tif 000256
【化２２０】
2004500801.tif 000257
これは、アミノ酸配列（配列番号５２；ＯＲＦ００８）に対応する：
【化２２１】
2004500801.tif 000258
以下の部分ＤＮＡ配列は、Ｎ．ｍｅｎｉｎｇｉｔｉｄｉｓにおいて同定された（配列番号
５３）：
【化２２２】
2004500801.tif 000259
これは、アミノ酸配列（配列番号５４；ＯＲＦ００８．ａ）に対応する：
【化２２３】
2004500801.tif 000260
このアミノ酸配列のコンピューター分析は、以下の結果を与えた：
（Ｎ．ｇｏｎｏｒｒｈｏｅａｅ由来の推定ＯＲＦとの相同性）
ＯＲＦ００８は、Ｎ．ｇｏｎｏｒｒｈｏｅａｅ由来の推定ＯＲＦ（ＯＲＦ００８．ｎｇ）
との１６４アミノ酸重複にわたって９２．７％の同一性を示す：
【化２２４】
2004500801.tif 000261
【化２２５】
2004500801.tif 000262
以下の部分ＤＮＡ配列は、Ｎ．ｇｏｎｏｒｒｈｏｅａｅにおいて同定された（配列番号５
５）：
【化２２６】
2004500801.tif 000263
これは、アミノ酸配列（配列番号５６；ＯＲＦ００９．ｎｇ）に対応する：
【化２２７】
2004500801.tif 000264
以下の部分ＤＮＡ配列は、Ｎ．ｍｅｎｉｎｇｉｔｉｄｉｓにおいて同定された（配列番号
５７）：
【化２２８】
2004500801.tif 000265
これは、アミノ酸配列（配列番号５８；ＯＲＦ００９）に対応する：
【化２２９】
2004500801.tif 000266
このアミノ酸配列のコンピューター分析は、以下の結果を与えた：
（Ｎ．ｇｏｎｏｒｒｈｏｅａｅ由来の推定ＯＲＦとの相同性）
ＯＲＦ００９は、Ｎ．ｇｏｎｏｒｒｈｏｅａｅ由来の推定ＯＲＦ（ＯＲＦ００９．ｎｇ）
との８６アミノ酸重複にわたって９７．７％の同一性を示す：
【化２３０】
2004500801.tif 000267
以下の部分ＤＮＡ配列は、Ｎ．ｍｅｎｉｎｇｉｔｉｄｉｓにおいて同定された（配列番号
５９）：
【化２３１】
2004500801.tif 000268
これは、アミノ酸配列（配列番号６０；ＯＲＦ００９．ａ）に対応する：
【化２３２】
2004500801.tif 000269
以下の部分ＤＮＡ配列は、Ｎ．ｇｏｎｏｒｒｈｏｅａｅにおいて同定された（配列番号６
１）：
【化２３３】
2004500801.tif 000270
これは、アミノ酸配列（配列番号６２；ＯＲＦ０１０．ｎｇ）に対応する：
【化２３４】
2004500801.tif 000271
【化２３５】
2004500801.tif 000272
以下の部分ＤＮＡ配列は、Ｎ．ｍｅｎｉｎｇｉｔｉｄｉｓにおいて同定された（配列番号
６３）：
【化２３６】
2004500801.tif 000273
これは、アミノ酸配列（配列番号６４；ＯＲＦ０１０）に対応する：
【化２３７】
2004500801.tif 000274
以下の部分ＤＮＡ配列は、Ｎ．ｍｅｎｉｎｇｉｔｉｄｉｓにおいて同定された（配列番号
６５）：
【化２３８】
2004500801.tif 000275
【化２３９】
2004500801.tif 000276
これは、アミノ酸配列（配列番号６６；ＯＲＦ０１０．ａ）に対応する：
【化２４０】
2004500801.tif 000277
このアミノ酸配列のコンピューター分析は、以下の結果を与えた：
（Ｎ．ｇｏｎｏｒｒｈｏｅａｅ由来の推定ＯＲＦとの相同性）
ＯＲＦ０１０は、Ｎ．ｇｏｎｏｒｒｈｏｅａｅ由来の推定ＯＲＦ（ＯＲＦ０１０．ｎｇ）
との２３１アミノ酸重複にわたって９８．７％の同一性を示す：
【化２４１】
2004500801.tif 000278
以下の部分ＤＮＡ配列は、Ｎ．ｇｏｎｏｒｒｈｏｅａｅにおいて同定された（配列番号６
７）：
【化２４２】
2004500801.tif 000279
【化２４３】
2004500801.tif 000280
これは、アミノ酸配列（配列番号６８；ＯＲＦ０１０−１．ｎｇ）に対応する：
【化２４４】
2004500801.tif 000281
以下の部分ＤＮＡ配列は、Ｎ．ｍｅｎｉｎｇｉｔｉｄｉｓにおいて同定された（配列番号
６９）：
【化２４５】
2004500801.tif 000282
【化２４６】
2004500801.tif 000283
これは、アミノ酸配列（配列番号７０；ＯＲＦ０１０−１）に対応する：
【化２４７】
2004500801.tif 000284
【化２４８】
2004500801.tif 000285
以下の部分ＤＮＡ配列は、Ｎ．ｍｅｎｉｎｇｉｔｉｄｉｓにおいて同定された（配列番号
７１）：
【化２４９】
2004500801.tif 000286
これは、アミノ酸配列（配列番号７２；ＯＲＦ０１０−１．ａ）に対応する：
【化２５０】
2004500801.tif 000287
【化２５１】
2004500801.tif 000288
【化２５２】
2004500801.tif 000289
以下の部分ＤＮＡ配列は、Ｎ．ｇｏｎｏｒｒｈｏｅａｅにおいて同定された（配列番号７
３）：
【化２５３】
2004500801.tif 000290
これは、アミノ酸配列（配列番号７４；ＯＲＦ０１１．ｎｇ）に対応する：
【化２５４】
2004500801.tif 000291
以下の部分ＤＮＡ配列は、Ｎ．ｍｅｎｉｎｇｉｔｉｄｉｓにおいて同定された（配列番号
７５）：
【化２５５】
2004500801.tif 000292
これは、アミノ酸配列（配列番号７６；ＯＲＦ０１１）に対応する：
【化２５６】
2004500801.tif 000293
このアミノ酸配列のコンピューター分析は、以下の結果を与えた：
（Ｎ．ｇｏｎｏｒｒｈｏｅａｅ由来の推定ＯＲＦとの相同性）
ＯＲＦ０１１は、Ｎ．ｇｏｎｏｒｒｈｏｅａｅ由来の推定ＯＲＦ（ＯＲＦ０１１．ｎｇ）
との１６５アミノ酸重複にわたって９５．８％の同一性を示す：
【化２５７】
2004500801.tif 000294
【化２５８】
2004500801.tif 000295
以下の部分ＤＮＡ配列は、Ｎ．ｇｏｎｏｒｒｈｏｅａｅにおいて同定された（配列番号７
７）：
【化２５９】
2004500801.tif 000296
これは、アミノ酸配列（配列番号７８；ＯＲＦ０１２．ｎｇ）に対応する：
【化２６０】
2004500801.tif 000297
以下の部分ＤＮＡ配列は、Ｎ．ｍｅｎｉｎｇｉｔｉｄｉｓにおいて同定された（配列番号
７９）：
【化２６１】
2004500801.tif 000298
これは、アミノ酸配列（配列番号８０；ＯＲＦ０１２）に対応する：
【化２６２】
2004500801.tif 000299
以下の部分ＤＮＡ配列は、Ｎ．ｍｅｎｉｎｇｉｔｉｄｉｓにおいて同定された（配列番号
８１）：
【化２６３】
2004500801.tif 000300
これは、アミノ酸配列（配列番号８２；ＯＲＦ０１２．ａ）に対応する：
【化２６４】
2004500801.tif 000301
このアミノ酸配列のコンピューター分析は、以下の結果を与えた：
（Ｎ．ｇｏｎｏｒｒｈｏｅａｅ由来の推定ＯＲＦとの相同性）
ＯＲＦ０１２は、Ｎ．ｇｏｎｏｒｒｈｏｅａｅ由来の推定ＯＲＦ（ＯＲＦ０１２．ｎｇ）
との２１８アミノ酸重複にわたって５８．７％の同一性を示す：
【化２６５】
2004500801.tif 000302
【化２６６】
2004500801.tif 000303
以下の部分ＤＮＡ配列は、Ｎ．ｍｅｎｉｎｇｉｔｉｄｉｓにおいて同定された（配列番号
８３）：
【化２６７】
2004500801.tif 000304
これは、アミノ酸配列（配列番号８４；ＯＲＦ０１２−１）に対応する：
【化２６８】
2004500801.tif 000305
【化２６９】
2004500801.tif 000306
以下の部分ＤＮＡ配列は、Ｎ．ｍｅｎｉｎｇｉｔｉｄｉｓにおいて同定された（配列番号
８５）：
【化２７０】
2004500801.tif 000307
これは、アミノ酸配列（配列番号８６；ＯＲＦ０１２−１．ａ）に対応する：
【化２７１】
2004500801.tif 000308
以下の部分ＤＮＡ配列は、Ｎ．ｇｏｎｏｒｒｈｏｅａｅにおいて同定された（配列番号８
７）：
【化２７２】
2004500801.tif 000309
【化２７３】
2004500801.tif 000310
これは、アミノ酸配列（配列番号８８；ＯＲＦ０１３．ｎｇ）に対応する：
【化２７４】
2004500801.tif 000311
以下の部分ＤＮＡ配列は、Ｎ．ｍｅｎｉｎｇｉｔｉｄｉｓにおいて同定された（配列番号
８９）：
【化２７５】
2004500801.tif 000312
これは、アミノ酸配列（配列番号９０；ＯＲＦ０１３）に対応する：
【化２７６】
2004500801.tif 000313
以下の部分ＤＮＡ配列は、Ｎ．ｍｅｎｉｎｇｉｔｉｄｉｓにおいて同定された（配列番号
９１）：
【化２７７】
2004500801.tif 000314
これは、アミノ酸配列（配列番号９２；ＯＲＦ０１３．ａ）に対応する：
【化２７８】
2004500801.tif 000315
このアミノ酸配列のコンピューター分析は、以下の結果を与えた：
（Ｎ．ｇｏｎｏｒｒｈｏｅａｅ由来の推定ＯＲＦとの相同性）
ＯＲＦ０１３は、Ｎ．ｇｏｎｏｒｒｈｏｅａｅ由来の推定ＯＲＦ（ＯＲＦ０１３．ｎｇ）
との１０１アミノ酸重複にわたって７３．３％の同一性を示す：
【化２７９】
2004500801.tif 000316
以下の部分ＤＮＡ配列は、Ｎ．ｇｏｎｏｒｒｈｏｅａｅにおいて同定された（配列番号９
３）：
【化２８０】
2004500801.tif 000317
これは、アミノ酸配列（配列番号９４；ＯＲＦ０１５．ｎｇ）に対応する：
【化２８１】
2004500801.tif 000318
以下の部分ＤＮＡ配列は、Ｎ．ｍｅｎｉｎｇｉｔｉｄｉｓにおいて同定された（配列番号
９５）：
【化２８２】
2004500801.tif 000319
これは、アミノ酸配列（配列番号９６；ＯＲＦ０１５）に対応する：
【化２８３】
2004500801.tif 000320
以下の部分ＤＮＡ配列は、Ｎ．ｍｅｎｉｎｇｉｔｉｄｉｓにおいて同定された（配列番号
９７）：
【化２８４】
2004500801.tif 000321
これは、アミノ酸配列（配列番号９８；ＯＲＦ０１５．ａ）に対応する：
【化２８５】
2004500801.tif 000322
このアミノ酸配列のコンピューター分析は、以下の結果を与えた：
（Ｎ．ｇｏｎｏｒｒｈｏｅａｅ由来の推定ＯＲＦとの相同性）
ＯＲＦ０１５は、Ｎ．ｇｏｎｏｒｒｈｏｅａｅ由来の推定ＯＲＦ（ＯＲＦ０１５．ｎｇ）
との９１アミノ酸重複にわたって９４．５％の同一性を示す：
【化２８６】
2004500801.tif 000323
以下の部分ＤＮＡ配列は、Ｎ．ｇｏｎｏｒｒｈｏｅａｅにおいて同定された（配列番号９
９）：
【化２８７】
2004500801.tif 000324
これは、アミノ酸配列（配列番号１００；ＯＲＦ０１８．ｎｇ）に対応する：
【化２８８】
2004500801.tif 000325
【化２８９】
2004500801.tif 000326
以下の部分ＤＮＡ配列は、Ｎ．ｍｅｎｉｎｇｉｔｉｄｉｓにおいて同定された（配列番号
１０１）：
【化２９０】
2004500801.tif 000327
これは、アミノ酸配列（配列番号１０２；ＯＲＦ０１８）に対応する：
【化２９１】
2004500801.tif 000328
以下の部分ＤＮＡ配列は、Ｎ．ｍｅｎｉｎｇｉｔｉｄｉｓにおいて同定された（配列番号
１０３）：
【化２９２】
2004500801.tif 000329
これは、アミノ酸配列（配列番号１０４；ＯＲＦ０１８．ａ）に対応する：
【化２９３】
2004500801.tif 000330
このアミノ酸配列のコンピューター分析は、以下の結果を与えた：
（Ｎ．ｇｏｎｏｒｒｈｏｅａｅ由来の推定ＯＲＦとの相同性）
ＯＲＦ０１８は、Ｎ．ｇｏｎｏｒｒｈｏｅａｅ由来の推定ＯＲＦ（ＯＲＦ０１８．ｎｇ）
との１０３アミノ酸重複にわたって８４．５％の同一性を示す：
【化２９４】
2004500801.tif 000331
【化２９５】
2004500801.tif 000332
以下の部分ＤＮＡ配列は、Ｎ．ｇｏｎｏｒｒｈｏｅａｅにおいて同定された（配列番号１
０５）：
【化２９６】
2004500801.tif 000333
これは、アミノ酸配列（配列番号１０６；ＯＲＦ０１９．ｎｇ）に対応する：
【化２９７】
2004500801.tif 000334
以下の部分ＤＮＡ配列は、Ｎ．ｍｅｎｉｎｇｉｔｉｄｉｓにおいて同定された（配列番号
１０７）：
【化２９８】
2004500801.tif 000335
これは、アミノ酸配列（配列番号１０８；ＯＲＦ０１９）に対応する：
【化２９９】
2004500801.tif 000336
【化３００】
2004500801.tif 000337
以下の部分ＤＮＡ配列は、Ｎ．ｍｅｎｉｎｇｉｔｉｄｉｓにおいて同定された（配列番号
１０９）：
【化３０１】
2004500801.tif 000338
これは、アミノ酸配列（配列番号１１０；ＯＲＦ０１９．ａ）に対応する：
【化３０２】
2004500801.tif 000339
【化３０３】
2004500801.tif 000340
このアミノ酸配列のコンピューター分析は、以下の結果を与えた：
（Ｎ．ｇｏｎｏｒｒｈｏｅａｅ由来の推定ＯＲＦとの相同性）
ＯＲＦ０１９は、Ｎ．ｇｏｎｏｒｒｈｏｅａｅ由来の推定ＯＲＦ（ＯＲＦ０１９．ｎｇ）
との８９アミノ酸重複にわたって９５．５％の同一性を示す：
【化３０４】
2004500801.tif 000341
以下の部分ＤＮＡ配列は、Ｎ．ｇｏｎｏｒｒｈｏｅａｅにおいて同定された（配列番号１
１１）：
【化３０５】
2004500801.tif 000342
これは、アミノ酸配列（配列番号１１２；ＯＲＦ０２３．ｎｇ）に対応する：
【化３０６】
2004500801.tif 000343
以下の部分ＤＮＡ配列は、Ｎ．ｍｅｎｉｎｇｉｔｉｄｉｓにおいて同定された（配列番号
１１３）：
【化３０７】
2004500801.tif 000344
これは、アミノ酸配列（配列番号１１４；ＯＲＦ０２３）に対応する：
【化３０８】
2004500801.tif 000345
以下の部分ＤＮＡ配列は、Ｎ．ｍｅｎｉｎｇｉｔｉｄｉｓにおいて同定された（配列番号
１１５）：
【化３０９】
2004500801.tif 000346
【化３１０】
2004500801.tif 000347
これは、アミノ酸配列（配列番号１１６；ＯＲＦ０２３．ａ）に対応する：
【化３１１】
2004500801.tif 000348
このアミノ酸配列のコンピューター分析は、以下の結果を与えた：
（Ｎ．ｇｏｎｏｒｒｈｏｅａｅ由来の推定ＯＲＦとの相同性）
ＯＲＦ０２３は、Ｎ．ｇｏｎｏｒｒｈｏｅａｅ由来の推定ＯＲＦ（ＯＲＦ０２３．ｎｇ）
との１１３アミノ酸重複にわたって９７．３％の同一性を示す：
【化３１２】
2004500801.tif 000349
以下の部分ＤＮＡ配列は、Ｎ．ｇｏｎｏｒｒｈｏｅａｅにおいて同定された（配列番号１
１７）：
【化３１３】
2004500801.tif 000350
【化３１４】
2004500801.tif 000351
これは、アミノ酸配列（配列番号１１８；ＯＲＦ０２５．ｎｇ）に対応する：
【化３１５】
2004500801.tif 000352
以下の部分ＤＮＡ配列は、Ｎ．ｍｅｎｉｎｇｉｔｉｄｉｓにおいて同定された（配列番号
１１９）：
【化３１６】
2004500801.tif 000353
これは、アミノ酸配列（配列番号１１０；ＯＲＦ０２５）に対応する：
【化３１７】
2004500801.tif 000354
以下の部分ＤＮＡ配列は、Ｎ．ｍｅｎｉｎｇｉｔｉｄｉｓにおいて同定された（配列番号
１１１）：
【化３１８】
2004500801.tif 000355
【化３１９】
2004500801.tif 000356
これは、アミノ酸配列（配列番号１１２；ＯＲＦ０２５．ａ）に対応する：
【化３２０】
2004500801.tif 000357
【化３２１】
2004500801.tif 000358
このアミノ酸配列のコンピューター分析は、以下の結果を与えた：
（Ｎ．ｇｏｎｏｒｒｈｏｅａｅ由来の推定ＯＲＦとの相同性）
ＯＲＦ０２５は、Ｎ．ｇｏｎｏｒｒｈｏｅａｅ由来の推定ＯＲＦ（ＯＲＦ０２５．ｎｇ）
との３５３アミノ酸重複にわたって７５．６％の同一性を示す：
【化３２２】
2004500801.tif 000359
【化３２３】
2004500801.tif 000360
以下の部分ＤＮＡ配列は、Ｎ．ｇｏｎｏｒｒｈｏｅａｅにおいて同定された（配列番号１
１３）：
【化３２４】
2004500801.tif 000361
これは、アミノ酸配列（配列番号１１４；ＯＲＦ０３１．ｎｇ）に対応する：
【化３２５】
2004500801.tif 000362
以下の部分ＤＮＡ配列は、Ｎ．ｍｅｎｉｎｇｉｔｉｄｉｓにおいて同定された（配列番号
１１５）：
【化３２６】
2004500801.tif 000363
これは、アミノ酸配列（配列番号１１６；ＯＲＦ０３１）に対応する：
【化３２７】
2004500801.tif 000364
以下の部分ＤＮＡ配列は、Ｎ．ｍｅｎｉｎｇｉｔｉｄｉｓにおいて同定された（配列番号
１１７）：
【化３２８】
2004500801.tif 000365
これは、アミノ酸配列（配列番号１１８；ＯＲＦ０３１．ａ）に対応する：
【化３２９】
2004500801.tif 000366
【化３３０】
2004500801.tif 000367
このアミノ酸配列のコンピューター分析は、以下の結果を与えた：
（Ｎ．ｇｏｎｏｒｒｈｏｅａｅ由来の推定ＯＲＦとの相同性）
ＯＲＦ０３１は、Ｎ．ｇｏｎｏｒｒｈｏｅａｅ由来の推定ＯＲＦ（ＯＲＦ０３１．ｎｇ）
との８５アミノ酸重複にわたって６０．０％の同一性を示す：
【化３３１】
2004500801.tif 000368
以下の部分ＤＮＡ配列は、Ｎ．ｇｏｎｏｒｒｈｏｅａｅにおいて同定された（配列番号１
１９）：
【化３３２】
2004500801.tif 000369
これは、アミノ酸配列（配列番号１１０；ＯＲＦ０３２．ｎｇ）に対応する：
【化３３３】
2004500801.tif 000370
【化３３４】
2004500801.tif 000371
以下の部分ＤＮＡ配列は、Ｎ．ｍｅｎｉｎｇｉｔｉｄｉｓにおいて同定された（配列番号
１１１）：
【化３３５】
2004500801.tif 000372
これは、アミノ酸配列（配列番号１１２；ＯＲＦ０３２）に対応する：
【化３３６】
2004500801.tif 000373
以下の部分ＤＮＡ配列は、Ｎ．ｍｅｎｉｎｇｉｔｉｄｉｓにおいて同定された（配列番号
１１３）：
【化３３７】
2004500801.tif 000374
これは、アミノ酸配列（配列番号１１４；ＯＲＦ０３２．ａ）に対応する：
【化３３８】
2004500801.tif 000375
【化３３９】
2004500801.tif 000376
このアミノ酸配列のコンピューター分析は、以下の結果を与えた：
（Ｎ．ｇｏｎｏｒｒｈｏｅａｅ由来の推定ＯＲＦとの相同性）
ＯＲＦ０３２は、Ｎ．ｇｏｎｏｒｒｈｏｅａｅ由来の推定ＯＲＦ（ＯＲＦ０３２．ｎｇ）
との１７６アミノ酸重複にわたって８６．４％の同一性を示す：
【化３４０】
2004500801.tif 000377
以下の部分ＤＮＡ配列は、Ｎ．ｇｏｎｏｒｒｈｏｅａｅにおいて同定された（配列番号１
１５）：
【化３４１】
2004500801.tif 000378
【化３４２】
2004500801.tif 000379
これは、アミノ酸配列（配列番号１１６；ＯＲＦ０３３．ｎｇ）に対応する：
【化３４３】
2004500801.tif 000380
以下の部分ＤＮＡ配列は、Ｎ．ｍｅｎｉｎｇｉｔｉｄｉｓにおいて同定された（配列番号
１１７）：
【化３４４】
2004500801.tif 000381
【化３４５】
2004500801.tif 000382
これは、アミノ酸配列（配列番号１１８；ＯＲＦ０３３）に対応する：
【化３４６】
2004500801.tif 000383
以下の部分ＤＮＡ配列は、Ｎ．ｍｅｎｉｎｇｉｔｉｄｉｓにおいて同定された（配列番号
１１９）：
【化３４７】
2004500801.tif 000384
これは、アミノ酸配列（配列番号１２０；ＯＲＦ０３３．ａ）に対応する：
【化３４８】
2004500801.tif 000385
【化３４９】
2004500801.tif 000386
このアミノ酸配列のコンピューター分析は、以下の結果を与えた：
（Ｎ．ｇｏｎｏｒｒｈｏｅａｅ由来の推定ＯＲＦとの相同性）
ＯＲＦ０３３は、Ｎ．ｇｏｎｏｒｒｈｏｅａｅ由来の推定ＯＲＦ（ＯＲＦ０３３．ｎｇ）
との５０９アミノ酸重複にわたって９８．４％の同一性を示す：
【化３５０】
2004500801.tif 000387
以下の部分ＤＮＡ配列は、Ｎ．ｇｏｎｏｒｒｈｏｅａｅにおいて同定された（配列番号１
２１）：
【化３５１】
2004500801.tif 000388
【化３５２】
2004500801.tif 000389
これは、アミノ酸配列（配列番号１２２；ＯＲＦ０３４．ｎｇ）に対応する：
【化３５３】
2004500801.tif 000390
以下の部分ＤＮＡ配列は、Ｎ．ｍｅｎｉｎｇｉｔｉｄｉｓにおいて同定された（配列番号
１２３）：
【化３５４】
2004500801.tif 000391
これは、アミノ酸配列（配列番号１２４；ＯＲＦ０３４）に対応する：
【化３５５】
2004500801.tif 000392
以下の部分ＤＮＡ配列は、Ｎ．ｍｅｎｉｎｇｉｔｉｄｉｓにおいて同定された（配列番号
１２５）：
【化３５６】
2004500801.tif 000393
【化３５７】
2004500801.tif 000394
これは、アミノ酸配列（配列番号１２６；ＯＲＦ０３４．ａ）に対応する：
【化３５８】
2004500801.tif 000395
【化３５９】
2004500801.tif 000396
このアミノ酸配列のコンピューター分析は、以下の結果を与えた：
（Ｎ．ｇｏｎｏｒｒｈｏｅａｅ由来の推定ＯＲＦとの相同性）
ＯＲＦ０３４は、Ｎ．ｇｏｎｏｒｒｈｏｅａｅ由来の推定ＯＲＦ（ＯＲＦ０３４．ｎｇ）
との２５７アミノ酸重複にわたって９６．５％の同一性を示す：
【化３６０】
2004500801.tif 000397
以下の部分ＤＮＡ配列は、Ｎ．ｇｏｎｏｒｒｈｏｅａｅにおいて同定された（配列番号１
２７）：
【化３６１】
2004500801.tif 000398
これは、アミノ酸配列（配列番号１２８；ＯＲＦ０３６．ｎｇ）に対応する：
【化３６２】
2004500801.tif 000399
以下の部分ＤＮＡ配列は、Ｎ．ｍｅｎｉｎｇｉｔｉｄｉｓにおいて同定された（配列番号
１２９）：
【化３６３】
2004500801.tif 000400
【化３６４】
2004500801.tif 000401
これは、アミノ酸配列（配列番号１３０；ＯＲＦ０３６）に対応する：
【化３６５】
2004500801.tif 000402
以下の部分ＤＮＡ配列は、Ｎ．ｍｅｎｉｎｇｉｔｉｄｉｓにおいて同定された（配列番号
１３１）：
【化３６６】
2004500801.tif 000403
これは、アミノ酸配列（配列番号１３２；ＯＲＦ０３６．ａ）に対応する：
【化３６７】
2004500801.tif 000404
【化３６８】
2004500801.tif 000405
このアミノ酸配列のコンピューター分析は、以下の結果を与えた：
（Ｎ．ｇｏｎｏｒｒｈｏｅａｅ由来の推定ＯＲＦとの相同性）
ＯＲＦ０３６は、Ｎ．ｇｏｎｏｒｒｈｏｅａｅ由来の推定ＯＲＦ（ＯＲＦ０３６．ｎｇ）
との２７１アミノ酸重複にわたって７４．９％の同一性を示す：
【化３６９】
2004500801.tif 000406
以下の部分ＤＮＡ配列は、Ｎ．ｍｅｎｉｎｇｉｔｉｄｉｓにおいて同定された（配列番号
１３３）：
【化３７０】
2004500801.tif 000407
【化３７１】
2004500801.tif 000408
これは、アミノ酸配列（配列番号１３４；ＯＲＦ００３６−１）に対応する：
【化３７２】
2004500801.tif 000409
以下の部分ＤＮＡ配列は、Ｎ．ｇｏｎｏｒｒｈｏｅａｅにおいて同定された（配列番号１
３５）：
【化３７３】
2004500801.tif 000410
これは、アミノ酸配列（配列番号１３６；ＯＲＦ０３８．ｎｇ）に対応する：
【化３７４】
2004500801.tif 000411
以下の部分ＤＮＡ配列は、Ｎ．ｍｅｎｉｎｇｉｔｉｄｉｓにおいて同定された（配列番号
１３７）：
【化３７５】
2004500801.tif 000412
これは、アミノ酸配列（配列番号１３８；ＯＲＦ０３８）に対応する：
【化３７６】
2004500801.tif 000413
以下の部分ＤＮＡ配列は、Ｎ．ｍｅｎｉｎｇｉｔｉｄｉｓにおいて同定された（配列番号
１３９）：
【化３７７】
2004500801.tif 000414
これは、アミノ酸配列（配列番号１４０；ＯＲＦ０３８．ａ）に対応する：
【化３７８】
2004500801.tif 000415
【化３７９】
2004500801.tif 000416
このアミノ酸配列のコンピューター分析は、以下の結果を与えた：
（Ｎ．ｇｏｎｏｒｒｈｏｅａｅ由来の推定ＯＲＦとの相同性）
ＯＲＦ０３８は、Ｎ．ｇｏｎｏｒｒｈｏｅａｅ由来の推定ＯＲＦ（ＯＲＦ０３８．ｎｇ）
との２１３アミノ酸重複にわたって９８．１％の同一性を示す：
【化３８０】
2004500801.tif 000417
以下の部分ＤＮＡ配列は、Ｎ．ｇｏｎｏｒｒｈｏｅａｅにおいて同定された（配列番号１
４１）：
【化３８１】
2004500801.tif 000418
【化３８２】
2004500801.tif 000419
これは、アミノ酸配列（配列番号１４２；ＯＲＦ０３９．ｎｇ）に対応する：
【化３８３】
2004500801.tif 000420
以下の部分ＤＮＡ配列は、Ｎ．ｍｅｎｉｎｇｉｔｉｄｉｓにおいて同定された（配列番号
１４３）：
【化３８４】
2004500801.tif 000421
これは、アミノ酸配列（配列番号１４４；ＯＲＦ０３９）に対応する：
【化３８５】
2004500801.tif 000422
以下の部分ＤＮＡ配列は、Ｎ．ｍｅｎｉｎｇｉｔｉｄｉｓにおいて同定された（配列番号
１４５）：
【化３８６】
2004500801.tif 000423
これは、アミノ酸配列（配列番号１４６；ＯＲＦ０３９．ａ）に対応する：
【化３８７】
2004500801.tif 000424
【化３８８】
2004500801.tif 000425
このアミノ酸配列のコンピューター分析は、以下の結果を与えた：
（Ｎ．ｇｏｎｏｒｒｈｏｅａｅ由来の推定ＯＲＦとの相同性）
ＯＲＦ０３９は、Ｎ．ｇｏｎｏｒｒｈｏｅａｅ由来の推定ＯＲＦ（ＯＲＦ０３９．ｎｇ）
との１７１アミノ酸重複にわたって６０．８％の同一性を示す：
【化３８９】
2004500801.tif 000426
以下の部分ＤＮＡ配列は、Ｎ．ｇｏｎｏｒｒｈｏｅａｅにおいて同定された（配列番号１
４７）：
【化３９０】
2004500801.tif 000427
【化３９１】
2004500801.tif 000428
これは、アミノ酸配列（配列番号１４８；ＯＲＦ０４０．ｎｇ）に対応する：
【化３９２】
2004500801.tif 000429
以下の部分ＤＮＡ配列は、Ｎ．ｍｅｎｉｎｇｉｔｉｄｉｓにおいて同定された（配列番号
１４９）：
【化３９３】
2004500801.tif 000430
これは、アミノ酸配列（配列番号１５０；ＯＲＦ０４０）に対応する：
【化３９４】
2004500801.tif 000431
以下の部分ＤＮＡ配列は、Ｎ．ｍｅｎｉｎｇｉｔｉｄｉｓにおいて同定された（配列番号
１５１）：
【化３９５】
2004500801.tif 000432
【化３９６】
2004500801.tif 000433
これは、アミノ酸配列（配列番号１５２；ＯＲＦ０４０．ａ）に対応する：
【化３９７】
2004500801.tif 000434
【化３９８】
2004500801.tif 000435
このアミノ酸配列のコンピューター分析は、以下の結果を与えた：
（Ｎ．ｇｏｎｏｒｒｈｏｅａｅ由来の推定ＯＲＦとの相同性）
ＯＲＦ０４０は、Ｎ．ｇｏｎｏｒｒｈｏｅａｅ由来の推定ＯＲＦ（ＯＲＦ０４０．ｎｇ）
との４３６アミノ酸重複にわたって８８．３％の同一性を示す：
【化３９９】
2004500801.tif 000436
以下の部分ＤＮＡ配列は、Ｎ．ｇｏｎｏｒｒｈｏｅａｅにおいて同定された（配列番号１
５３）：
【化４００】
2004500801.tif 000437
これは、アミノ酸配列（配列番号１５４；ＯＲＦ０４１．ｎｇ）に対応する：
【化４０１】
2004500801.tif 000438
以下の部分ＤＮＡ配列は、Ｎ．ｍｅｎｉｎｇｉｔｉｄｉｓにおいて同定された（配列番号
１５５）：
【化４０２】
2004500801.tif 000439
これは、アミノ酸配列（配列番号１５６；ＯＲＦ０４１）に対応する：
【化４０３】
2004500801.tif 000440
以下の部分ＤＮＡ配列は、Ｎ．ｍｅｎｉｎｇｉｔｉｄｉｓにおいて同定された（配列番号
１５７）：
【化４０４】
2004500801.tif 000441
これは、アミノ酸配列（配列番号１５８；ＯＲＦ０４１．ａ）に対応する：
【化４０５】
2004500801.tif 000442
【化４０６】
2004500801.tif 000443
このアミノ酸配列のコンピューター分析は、以下の結果を与えた：
（Ｎ．ｇｏｎｏｒｒｈｏｅａｅ由来の推定ＯＲＦとの相同性）
ＯＲＦ０４１は、Ｎ．ｇｏｎｏｒｒｈｏｅａｅ由来の推定ＯＲＦ（ＯＲＦ０４１．ｎｇ）
との１５４アミノ酸重複にわたって９６．８％の同一性を示す：
【化４０７】
2004500801.tif 000444
以下の部分ＤＮＡ配列は、Ｎ．ｇｏｎｏｒｒｈｏｅａｅにおいて同定された（配列番号１
５９）：
【化４０８】
2004500801.tif 000445
【化４０９】
2004500801.tif 000446
これは、アミノ酸配列（配列番号１６０；ＯＲＦ０４１−１．ｎｇ）に対応する：
【化４１０】
2004500801.tif 000447
以下の部分ＤＮＡ配列は、Ｎ．ｍｅｎｉｎｇｉｔｉｄｉｓにおいて同定された（配列番号
１６１）：
【化４１１】
2004500801.tif 000448
【化４１２】
2004500801.tif 000449
これは、アミノ酸配列（配列番号１６２；ＯＲＦ０４１−１）に対応する：
【化４１３】
2004500801.tif 000450
【化４１４】
2004500801.tif 000451
【化４１５】
2004500801.tif 000452
以下の部分ＤＮＡ配列は、Ｎ．ｍｅｎｉｎｇｉｔｉｄｉｓにおいて同定された（配列番号
１６３）：
【化４１６】
2004500801.tif 000453
【化４１７】
2004500801.tif 000454
これは、アミノ酸配列（配列番号１６４；ＯＲＦ０４１−１．ａ）に対応する：
【化４１８】
2004500801.tif 000455
【化４１９】
2004500801.tif 000456
以下の部分ＤＮＡ配列は、Ｎ．ｇｏｎｏｒｒｈｏｅａｅにおいて同定された（配列番号１
６５）：
【化４２０】
2004500801.tif 000457
これは、アミノ酸配列（配列番号１６６；ＯＲＦ０４２．ｎｇ）に対応する：
【化４２１】
2004500801.tif 000458
以下の部分ＤＮＡ配列は、Ｎ．ｍｅｎｉｎｇｉｔｉｄｉｓにおいて同定された（配列番号
１６７）：
【化４２２】
2004500801.tif 000459
これは、アミノ酸配列（配列番号１６８；ＯＲＦ０４２）に対応する：
【化４２３】
2004500801.tif 000460
以下の部分ＤＮＡ配列は、Ｎ．ｍｅｎｉｎｇｉｔｉｄｉｓにおいて同定された（配列番号
１６９）：
【化４２４】
2004500801.tif 000461
これは、アミノ酸配列（配列番号１７０；ＯＲＦ０４２．ａ）に対応する：
【化４２５】
2004500801.tif 000462
【化４２６】
2004500801.tif 000463
このアミノ酸配列のコンピューター分析は、以下の結果を与えた：
（Ｎ．ｇｏｎｏｒｒｈｏｅａｅ由来の推定ＯＲＦとの相同性）
ＯＲＦ０４２は、Ｎ．ｇｏｎｏｒｒｈｏｅａｅ由来の推定ＯＲＦ（ＯＲＦ０４２．ｎｇ）
との２０１アミノ酸重複にわたって９３．０％の同一性を示す：
【化４２７】
2004500801.tif 000464
以下の部分ＤＮＡ配列は、Ｎ．ｍｅｎｉｎｇｉｔｉｄｉｓにおいて同定された（配列番号
１７１）：
【化４２８】
2004500801.tif 000465
これは、アミノ酸配列（配列番号１７２；ＯＲＦ０４２−１）に対応する：
【化４２９】
2004500801.tif 000466
【化４３０】
2004500801.tif 000467
以下の部分ＤＮＡ配列は、Ｎ．ｍｅｎｉｎｇｉｔｉｄｉｓにおいて同定された（配列番号
１７３）：
【化４３１】
2004500801.tif 000468
これは、アミノ酸配列（配列番号１７４；ＯＲＦ０４２−１．ａ）に対応する：
【化４３２】
2004500801.tif 000469
以下の部分ＤＮＡ配列は、Ｎ．ｇｏｎｏｒｒｈｏｅａｅにおいて同定された（配列番号１
７５）：
【化４３３】
2004500801.tif 000470
これは、アミノ酸配列（配列番号１７６；ＯＲＦ０４３．ｎｇ）に対応する：
【化４３４】
2004500801.tif 000471
以下の部分ＤＮＡ配列は、Ｎ．ｍｅｎｉｎｇｉｔｉｄｉｓにおいて同定された（配列番号
１７７）：
【化４３５】
2004500801.tif 000472
これは、アミノ酸配列（配列番号１７８；ＯＲＦ０４３）に対応する：
【化４３６】
2004500801.tif 000473
このアミノ酸配列のコンピューター分析は、以下の結果を与えた：
（Ｎ．ｍｅｎｉｎｇｉｔｉｄｉｓ  ｍｅｎＡ由来の推定ＯＲＦと、ｍｅｎＢとの相同性）
ＯＲＦ０４３は、Ｎ．ｇｏｎｏｒｒｈｏｅａｅ由来の推定ＯＲＦ（ＯＲＦ０４３．ａ）と
の１２８アミノ酸重複にわたって８９．８％の同一性を示す：
【化４３７】
2004500801.tif 000474
以下の部分ＤＮＡ配列は、Ｎ．ｍｅｎｉｎｇｉｔｉｄｉｓにおいて同定された（配列番号
１７９）：
【化４３８】
2004500801.tif 000475
【化４３９】
2004500801.tif 000476
これは、アミノ酸配列（配列番号１８０；ＯＲＦ０４３．ａ）に対応する：
【化４４０】
2004500801.tif 000477
以下の部分ＤＮＡ配列は、Ｎ．ｇｏｎｏｒｒｈｏｅａｅにおいて同定された（配列番号１
８１）：
【化４４１】
2004500801.tif 000478
これは、アミノ酸配列（配列番号１８２；ＯＲＦ０４４．ｎｇ）に対応する：
【化４４２】
2004500801.tif 000479
以下の部分ＤＮＡ配列は、Ｎ．ｍｅｎｉｎｇｉｔｉｄｉｓにおいて同定された（配列番号
１８３）：
【化４４３】
2004500801.tif 000480
これは、アミノ酸配列（配列番号１８４；ＯＲＦ０４４）に対応する：
【化４４４】
2004500801.tif 000481
以下の部分ＤＮＡ配列は、Ｎ．ｍｅｎｉｎｇｉｔｉｄｉｓにおいて同定された（配列番号
１８５）：
【化４４５】
2004500801.tif 000482
これは、アミノ酸配列（配列番号１８６；ＯＲＦ０４４．ａ）に対応する：
【化４４６】
2004500801.tif 000483
このアミノ酸配列のコンピューター分析は、以下の結果を与えた：
（Ｎ．ｇｏｎｏｒｒｈｏｅａｅ由来の推定ＯＲＦとの相同性）
ＯＲＦ０４４は、Ｎ．ｇｏｎｏｒｒｈｏｅａｅ由来の推定ＯＲＦ（ＯＲＦ０４４．ｎｇ）
との８９アミノ酸重複にわたって８６．５％の同一性を示す：
【化４４７】
2004500801.tif 000484
以下の部分ＤＮＡ配列は、Ｎ．ｇｏｎｏｒｒｈｏｅａｅにおいて同定された（配列番号１
８７）：
【化４４８】
2004500801.tif 000485
【化４４９】
2004500801.tif 000486
これは、アミノ酸配列（配列番号１８８；ＯＲＦ０４６．ｎｇ）に対応する：
【化４５０】
2004500801.tif 000487
以下の部分ＤＮＡ配列は、Ｎ．ｍｅｎｉｎｇｉｔｉｄｉｓにおいて同定された（配列番号
１８９）：
【化４５１】
2004500801.tif 000488
これは、アミノ酸配列（配列番号１９０；ＯＲＦ０４６）に対応する：
【化４５２】
2004500801.tif 000489
以下の部分ＤＮＡ配列は、Ｎ．ｍｅｎｉｎｇｉｔｉｄｉｓにおいて同定された（配列番号
１９１）：
【化４５３】
2004500801.tif 000490
これは、アミノ酸配列（配列番号１９２；ＯＲＦ０４６．ａ）に対応する：
【化４５４】
2004500801.tif 000491
【化４５５】
2004500801.tif 000492
このアミノ酸配列のコンピューター分析は、以下の結果を与えた：
（Ｎ．ｇｏｎｏｒｒｈｏｅａｅ由来の推定ＯＲＦとの相同性）
ＯＲＦ０４６は、Ｎ．ｇｏｎｏｒｒｈｏｅａｅ由来の推定ＯＲＦ（ＯＲＦ０４６．ｎｇ）
との１８５アミノ酸重複にわたって９７．３％の同一性を示す：
【化４５６】
2004500801.tif 000493
以下の部分ＤＮＡ配列は、Ｎ．ｇｏｎｏｒｒｈｏｅａｅにおいて同定された（配列番号１
９３）：
【化４５７】
2004500801.tif 000494
【化４５８】
2004500801.tif 000495
これは、アミノ酸配列（配列番号１９４；ＯＲＦ０４７．ｎｇ）に対応する：
【化４５９】
2004500801.tif 000496
以下の部分ＤＮＡ配列は、Ｎ．ｍｅｎｉｎｇｉｔｉｄｉｓにおいて同定された（配列番号
１９５）：
【化４６０】
2004500801.tif 000497
これは、アミノ酸配列（配列番号１９６；ＯＲＦ０４７）に対応する：
【化４６１】
2004500801.tif 000498
以下の部分ＤＮＡ配列は、Ｎ．ｍｅｎｉｎｇｉｔｉｄｉｓにおいて同定された（配列番号
１９７）：
【化４６２】
2004500801.tif 000499
【化４６３】
2004500801.tif 000500
これは、アミノ酸配列（配列番号１９８；ＯＲＦ０４７．ａ）に対応する：
【化４６４】
2004500801.tif 000501
【化４６５】
2004500801.tif 000502
このアミノ酸配列のコンピューター分析は、以下の結果を与えた：
（Ｎ．ｇｏｎｏｒｒｈｏｅａｅ由来の推定ＯＲＦとの相同性）
ＯＲＦ０４７は、Ｎ．ｇｏｎｏｒｒｈｏｅａｅ由来の推定ＯＲＦ（ＯＲＦ０４７．ｎｇ）
との３１２アミノ酸重複にわたって９６．２％の同一性を示す：
【化４６６】
2004500801.tif 000503
以下の部分ＤＮＡ配列は、Ｎ．ｇｏｎｏｒｒｈｏｅａｅにおいて同定された（配列番号１
９９）：
【化４６７】
2004500801.tif 000504
これは、アミノ酸配列（配列番号２００；ＯＲＦ０４８．ｎｇ）に対応する：
【化４６８】
2004500801.tif 000505
以下の部分ＤＮＡ配列は、Ｎ．ｍｅｎｉｎｇｉｔｉｄｉｓにおいて同定された（配列番号
２０１）：
【化４６９】
2004500801.tif 000506
【化４７０】
2004500801.tif 000507
これは、アミノ酸配列（配列番号２０２；ＯＲＦ０４８）に対応する：
【化４７１】
2004500801.tif 000508
以下の部分ＤＮＡ配列は、Ｎ．ｍｅｎｉｎｇｉｔｉｄｉｓにおいて同定された（配列番号
２０３）：
【化４７２】
2004500801.tif 000509
これは、アミノ酸配列（配列番号２０４；ＯＲＦ０４８．ａ）に対応する：
【化４７３】
2004500801.tif 000510
このアミノ酸配列のコンピューター分析は、以下の結果を与えた：
（Ｎ．ｇｏｎｏｒｒｈｏｅａｅ由来の推定ＯＲＦとの相同性）
ＯＲＦ０４８は、Ｎ．ｇｏｎｏｒｒｈｏｅａｅ由来の推定ＯＲＦ（ＯＲＦ０４８．ｎｇ）
との１５０アミノ酸重複にわたって９６．４％の同一性を示す：
【化４７４】
2004500801.tif 000511
以下の部分ＤＮＡ配列は、Ｎ．ｇｏｎｏｒｒｈｏｅａｅにおいて同定された（配列番号２
０５）：
【化４７５】
2004500801.tif 000512
これは、アミノ酸配列（配列番号２０６；ＯＲＦ０４９．ｎｇ）に対応する：
【化４７６】
2004500801.tif 000513
以下の部分ＤＮＡ配列は、Ｎ．ｍｅｎｉｎｇｉｔｉｄｉｓにおいて同定された（配列番号
２０７）：
【化４７７】
2004500801.tif 000514
これは、アミノ酸配列（配列番号２０８；ＯＲＦ０４９）に対応する：
【化４７８】
2004500801.tif 000515
以下の部分ＤＮＡ配列は、Ｎ．ｍｅｎｉｎｇｉｔｉｄｉｓにおいて同定された（配列番号
２０９）：
【化４７９】
2004500801.tif 000516
【化４８０】
2004500801.tif 000517
これは、アミノ酸配列（配列番号２１０；ＯＲＦ０４９．ａ）に対応する：
【化４８１】
2004500801.tif 000518
このアミノ酸配列のコンピューター分析は、以下の結果を与えた：
（Ｎ．ｇｏｎｏｒｒｈｏｅａｅ由来の推定ＯＲＦとの相同性）
ＯＲＦ０４９は、Ｎ．ｇｏｎｏｒｒｈｏｅａｅ由来の推定ＯＲＦ（ＯＲＦ０４９．ｎｇ）
との１３９アミノ酸重複にわたって８６．３％の同一性を示す：
【化４８２】
2004500801.tif 000519
以下の部分ＤＮＡ配列は、Ｎ．ｇｏｎｏｒｒｈｏｅａｅにおいて同定された（配列番号２
１１）：
【化４８３】
2004500801.tif 000520
これは、アミノ酸配列（配列番号２１２；ＯＲＦ０５０．ｎｇ）に対応する：
【化４８４】
2004500801.tif 000521
以下の部分ＤＮＡ配列は、Ｎ．ｍｅｎｉｎｇｉｔｉｄｉｓにおいて同定された（配列番号
２１３）：
【化４８５】
2004500801.tif 000522
これは、アミノ酸配列（配列番号２１４；ＯＲＦ０５０）に対応する：
【化４８６】
2004500801.tif 000523
以下の部分ＤＮＡ配列は、Ｎ．ｍｅｎｉｎｇｉｔｉｄｉｓにおいて同定された（配列番号
２１５）：
【化４８７】
2004500801.tif 000524
これは、アミノ酸配列（配列番号２１６；ＯＲＦ０５０．ａ）に対応する：
【化４８８】
2004500801.tif 000525
【化４８９】
2004500801.tif 000526
このアミノ酸配列のコンピューター分析は、以下の結果を与えた：
（Ｎ．ｇｏｎｏｒｒｈｏｅａｅ由来の推定ＯＲＦとの相同性）
ＯＲＦ０５０は、Ｎ．ｇｏｎｏｒｒｈｏｅａｅ由来の推定ＯＲＦ（ＯＲＦ０５０．ｎｇ）
との１２７アミノ酸重複にわたって９８．４％の同一性を示す：
【化４９０】
2004500801.tif 000527
以下の部分ＤＮＡ配列は、Ｎ．ｇｏｎｏｒｒｈｏｅａｅにおいて同定された（配列番号２
１７）：
【化４９１】
2004500801.tif 000528
【化４９２】
2004500801.tif 000529
これは、アミノ酸配列（配列番号２１８；ＯＲＦ０５０−１．ｎｇ）に対応する：
【化４９３】
2004500801.tif 000530
以下の部分ＤＮＡ配列は、Ｎ．ｍｅｎｉｎｇｉｔｉｄｉｓにおいて同定された（配列番号
２１９）：
【化４９４】
2004500801.tif 000531
【化４９５】
2004500801.tif 000532
これは、アミノ酸配列（配列番号２２０；ＯＲＦ０５０−１）に対応する：
【化４９６】
2004500801.tif 000533
【化４９７】
2004500801.tif 000534
以下の部分ＤＮＡ配列は、Ｎ．ｍｅｎｉｎｇｉｔｉｄｉｓにおいて同定された（配列番号
２２１）：
【化４９８】
2004500801.tif 000535
これは、アミノ酸配列（配列番号２２２；ＯＲＦ０５０−１．ａ）に対応する：
【化４９９】
2004500801.tif 000536
【化５００】
2004500801.tif 000537
以下の部分ＤＮＡ配列は、Ｎ．ｇｏｎｏｒｒｈｏｅａｅにおいて同定された（配列番号２
２３）：
【化５０１】
2004500801.tif 000538
これは、アミノ酸配列（配列番号２２４；ＯＲＦ０５２．ｎｇ）に対応する：
【化５０２】
2004500801.tif 000539
【化５０３】
2004500801.tif 000540
以下の部分ＤＮＡ配列は、Ｎ．ｍｅｎｉｎｇｉｔｉｄｉｓにおいて同定された（配列番号
２２５）：
【化５０４】
2004500801.tif 000541
これは、アミノ酸配列（配列番号２２６；ＯＲＦ０５２）に対応する：
【化５０５】
2004500801.tif 000542
以下の部分ＤＮＡ配列は、Ｎ．ｍｅｎｉｎｇｉｔｉｄｉｓにおいて同定された（配列番号
２２７）：
【化５０６】
2004500801.tif 000543
これは、アミノ酸配列（配列番号２２８；ＯＲＦ０５２．ａ）に対応する：
【化５０７】
2004500801.tif 000544
このアミノ酸配列のコンピューター分析は、以下の結果を与えた：
（Ｎ．ｇｏｎｏｒｒｈｏｅａｅ由来の推定ＯＲＦとの相同性）
ＯＲＦ０５２は、Ｎ．ｇｏｎｏｒｒｈｏｅａｅ由来の推定ＯＲＦ（ＯＲＦ０５２．ｎｇ）
との１１９アミノ酸重複にわたって９５．８％の同一性を示す：
【化５０８】
2004500801.tif 000545
【化５０９】
2004500801.tif 000546
以下の部分ＤＮＡ配列は、Ｎ．ｇｏｎｏｒｒｈｏｅａｅにおいて同定された（配列番号２
２９）：
【化５１０】
2004500801.tif 000547
これは、アミノ酸配列（配列番号２３０；ＯＲＦ０７３．ｎｇ）に対応する：
【化５１１】
2004500801.tif 000548
以下の部分ＤＮＡ配列は、Ｎ．ｍｅｎｉｎｇｉｔｉｄｉｓにおいて同定された（配列番号
２３１）：
【化５１２】
2004500801.tif 000549
これは、アミノ酸配列（配列番号２３２；ＯＲＦ０７３）に対応する：
【化５１３】
2004500801.tif 000550
以下の部分ＤＮＡ配列は、Ｎ．ｍｅｎｉｎｇｉｔｉｄｉｓにおいて同定された（配列番号
２３３）：
【化５１４】
2004500801.tif 000551
これは、アミノ酸配列（配列番号２３４；ＯＲＦ０７３．ａ）に対応する：
【化５１５】
2004500801.tif 000552
【化５１６】
2004500801.tif 000553
このアミノ酸配列のコンピューター分析は、以下の結果を与えた：
（Ｎ．ｇｏｎｏｒｒｈｏｅａｅ由来の推定ＯＲＦとの相同性）
ＯＲＦ０７３は、Ｎ．ｇｏｎｏｒｒｈｏｅａｅ由来の推定ＯＲＦ（ＯＲＦ０７３．ｎｇ）
との１３１アミノ酸重複にわたって８７．０％の同一性を示す：
【化５１７】
2004500801.tif 000554
以下の部分ＤＮＡ配列は、Ｎ．ｇｏｎｏｒｒｈｏｅａｅにおいて同定された（配列番号２
３５）：
【化５１８】
2004500801.tif 000555
これは、アミノ酸配列（配列番号２３６；ＯＲＦ０７５．ｎｇ）に対応する：
【化５１９】
2004500801.tif 000556
以下の部分ＤＮＡ配列は、Ｎ．ｍｅｎｉｎｇｉｔｉｄｉｓにおいて同定された（配列番号
２３７）：
【化５２０】
2004500801.tif 000557
これは、アミノ酸配列（配列番号２３８；ＯＲＦ０７５）に対応する：
【化５２１】
2004500801.tif 000558
このアミノ酸配列のコンピューター分析は、以下の結果を与えた：
（Ｎ．ｇｏｎｏｒｒｈｏｅａｅ由来の推定ＯＲＦとの相同性）
ＯＲＦ０７５は、Ｎ．ｇｏｎｏｒｒｈｏｅａｅ由来の推定ＯＲＦ（ＯＲＦ０７５．ｎｇ）
との１３７アミノ酸重複にわたって６５．７％の同一性を示す：
【化５２２】
2004500801.tif 000559
以下の部分ＤＮＡ配列は、Ｎ．ｍｅｎｉｎｇｉｔｉｄｉｓにおいて同定された（配列番号
２３９）：
【化５２３】
2004500801.tif 000560
これは、アミノ酸配列（配列番号２４０；ＯＲＦ０７５．ａ）に対応する：
【化５２４】
2004500801.tif 000561
【化５２５】
2004500801.tif 000562
以下の部分ＤＮＡ配列は、Ｎ．ｇｏｎｏｒｒｈｏｅａｅにおいて同定された（配列番号２
４１）：
【化５２６】
2004500801.tif 000563
これは、アミノ酸配列（配列番号２４２；ＯＲＦ０８０．ｎｇ）に対応する：
【化５２７】
2004500801.tif 000564
以下の部分ＤＮＡ配列は、Ｎ．ｍｅｎｉｎｇｉｔｉｄｉｓにおいて同定された（配列番号
２４３）：
【化５２８】
2004500801.tif 000565
【化５２９】
2004500801.tif 000566
これは、アミノ酸配列（配列番号２４４１；ＯＲＦ０８０）に対応する：
【化５２９ａ】
2004500801.tif 000567
このアミノ酸配列のコンピューター分析は、以下の結果を与えた：
（Ｎ．ｇｏｎｏｒｒｈｏｅａｅ由来の推定ＯＲＦとの相同性）
ＯＲＦ０８０は、Ｎ．ｇｏｎｏｒｒｈｏｅａｅ由来の推定ＯＲＦ（ＯＲＦ０８０．ｎｇ）
との２４２アミノ酸重複にわたって９７．９％の同一性を示す：
【化５３０】
2004500801.tif 000568
以下の部分ＤＮＡ配列は、Ｎ．ｍｅｎｉｎｇｉｔｉｄｉｓにおいて同定された（配列番号
２４５）：
【化５３１】
2004500801.tif 000569
【化５３２】
2004500801.tif 000570
これは、アミノ酸配列（配列番号２４６；ＯＲＦ０８０．ａ）に対応する：
【化５３３】
2004500801.tif 000571
以下の部分ＤＮＡ配列は、Ｎ．ｇｏｎｏｒｒｈｏｅａｅにおいて同定された（配列番号２
４７）：
【化５３４】
2004500801.tif 000572
【化５３５】
2004500801.tif 000573
これは、アミノ酸配列（配列番号２４８；ＯＲＦ０８１．ｎｇ）に対応する：
【化５３６】
2004500801.tif 000574
以下の部分ＤＮＡ配列は、Ｎ．ｍｅｎｉｎｇｉｔｉｄｉｓにおいて同定された（配列番号
２４９）：
【化５３７】
2004500801.tif 000575
これは、アミノ酸配列（配列番号２５０；ＯＲＦ０８１）に対応する：
【化５３８】
2004500801.tif 000576
【化５３９】
2004500801.tif 000577
このアミノ酸配列のコンピューター分析は、以下の結果を与えた：
（Ｎ．ｇｏｎｏｒｒｈｏｅａｅ由来の推定ＯＲＦとの相同性）
ＯＲＦ０８１は、Ｎ．ｇｏｎｏｒｒｈｏｅａｅ由来の推定ＯＲＦ（ＯＲＦ０８１．ｎｇ）
との４５５アミノ酸重複にわたって９４．１％の同一性を示す：
【化５４０】
2004500801.tif 000578
以下の部分ＤＮＡ配列は、Ｎ．ｍｅｎｉｎｇｉｔｉｄｉｓにおいて同定された（配列番号
２５１）：
【化５４１】
2004500801.tif 000579
これは、アミノ酸配列（配列番号２５２；ＯＲＦ０８１．ａ）に対応する：
【化５４２】
2004500801.tif 000580
【化５４３】
2004500801.tif 000581
以下の部分的なＤＮＡ配列は、Ｎ．ｇｏｎｏｒｒｈｏｅａｅにおいて同定された（配列番
号２５３）：
【化５４４】
2004500801.tif 000582
これはアミノ酸配列（配列番号２５４；ＯＲＦ０８２．ｎｇ）に対応する：
【化５４５】
2004500801.tif 000583
以下の部分的なＤＮＡ配列は、Ｎ．ｍｅｎｉｎｇｉｔｉｄｉｓにおいて同定された（配列
番号２５５）：
【化５４６】
2004500801.tif 000584
【化５４７】
2004500801.tif 000585
これはアミノ酸配列（配列番号２５６；ＯＲＦ０８２）に対応する：
【化５４８】
2004500801.tif 000586
このアミノ酸配列のコンピューター分析は以下の結果を示した：
（Ｎ．ｇｏｎｏｒｒｈｏｅａｅ由来の推定ＯＲＦとの相同性）
ＯＲＦ０８２は、Ｎ．ｇｏｎｏｒｒｈｏｅａｅ由来の推定ＯＲＦ（ＯＲＦ０８２．ｎｇ）
と２４７アミノ酸重複にわたって９２．７％の同一性を示す：
【化５４９】
2004500801.tif 000587
以下の部分的なＤＮＡ配列は、Ｎ．ｍｅｎｉｎｇｉｔｉｄｉｓにおいて同定された（配列
番号２５７）：
【化５５０】
2004500801.tif 000588
【化５５１】
2004500801.tif 000589
これはアミノ酸配列（配列番号２５８；ＯＲＦ０８２．ａ）に対応する：
【化５５２】
2004500801.tif 000590
以下の部分的なＤＮＡ配列は、Ｎ．ｇｏｎｏｒｒｈｏｅａｅにおいて同定された（配列番
号２５９）：
【化５５３】
2004500801.tif 000591
【化５５４】
2004500801.tif 000592
これはアミノ酸配列（配列番号２６０；ＯＲＦ０８４．ｎｇ）に対応する：
【化５５５】
2004500801.tif 000593
以下の部分的なＤＮＡ配列は、Ｎ．ｍｅｎｉｎｇｉｔｉｄｉｓにおいて同定された（配列
番号２６１）：
【化５５６】
2004500801.tif 000594
これはアミノ酸配列（配列番号２６２；ＯＲＦ０８４）に対応する：
【化５５７】
2004500801.tif 000595
このアミノ酸配列のコンピューター分析は以下の結果を示した：
（Ｎ．ｇｏｎｏｒｒｈｏｅａｅ由来の推定ＯＲＦとの相同性）
ＯＲＦ０８４は、Ｎ．ｇｏｎｏｒｒｈｏｅａｅ由来の推定ＯＲＦ（ＯＲＦ０８４．ｎｇ）
と２３１アミノ酸重複にわたって９０．５％の同一性を示す：
【化５５８】
2004500801.tif 000596
【化５５９】
2004500801.tif 000597
以下の部分的なＤＮＡ配列は、Ｎ．ｍｅｎｉｎｇｉｔｉｄｉｓにおいて同定された（配列
番号２６３）：
【化５６０】
2004500801.tif 000598
これはアミノ酸配列（配列番号２６４；ＯＲＦ０８４．ａ）に対応する：
【化５６１】
2004500801.tif 000599
【化５６２】
2004500801.tif 000600
以下の部分的なＤＮＡ配列は、Ｎ．ｇｏｎｏｒｒｈｏｅａｅにおいて同定された（配列番
号２６５）：
【化５６３】
2004500801.tif 000601
【化５６４】
2004500801.tif 000602
これはアミノ酸配列（配列番号２６６；ＯＲＦ０８５．ｎｇ）に対応する：
【化５６５】
2004500801.tif 000603
以下の部分的なＤＮＡ配列は、Ｎ．ｍｅｎｉｎｇｉｔｉｄｉｓにおいて同定された（配列
番号２６７）：
【化５６６】
2004500801.tif 000604
これはアミノ酸配列（配列番号２６８；ＯＲＦ０８５）に対応する：
【化５６７】
2004500801.tif 000605
このアミノ酸配列のコンピューター分析は以下の結果を示した：
（Ｎ．ｇｏｎｏｒｒｈｏｅａｅ由来の推定ＯＲＦとの相同性）
ＯＲＦ０８５は、Ｎ．ｇｏｎｏｒｒｈｏｅａｅ由来の推定ＯＲＦ（ＯＲＦ０８５．ｎｇ）
と９４アミノ酸重複にわたって９４．７％の同一性を示す：
【化５６８】
2004500801.tif 000606
以下の部分的なＤＮＡ配列は、Ｎ．ｍｅｎｉｎｇｉｔｉｄｉｓにおいて同定された（配列
番号２６９）：
【化５６９】
2004500801.tif 000607
これはアミノ酸配列（配列番号２７０；ＯＲＦ０８５．ａ）に対応する：
【化５６０ａ】
2004500801.tif 000608
【化５６１ａ】
2004500801.tif 000609
以下の部分的なＤＮＡ配列は、Ｎ．ｇｏｎｏｒｒｈｏｅａｅにおいて同定された（配列番
号２７１）：
【化５６２ａ】
2004500801.tif 000610
これはアミノ酸配列（配列番号２７２；ＯＲＦ０８６．ｎｇ）に対応する：
【化５６３ａ】
2004500801.tif 000611
以下の部分的なＤＮＡ配列は、Ｎ．ｍｅｎｉｎｇｉｔｉｄｉｓにおいて同定された（配列
番号２７３）：
【化５６４ａ】
2004500801.tif 000612
【化５６５ａ】
2004500801.tif 000613
これはアミノ酸配列（配列番号２７４；ＯＲＦ０８６）に対応する：
【化５６６ａ】
2004500801.tif 000614
このアミノ酸配列のコンピューター分析は以下の結果を示した：
（Ｎ．ｇｏｎｏｒｒｈｏｅａｅ由来の推定ＯＲＦとの相同性）
ＯＲＦ０８６は、Ｎ．ｇｏｎｏｒｒｈｏｅａｅ由来の推定ＯＲＦ（ＯＲＦ０８６．ｎｇ）
と３９６アミノ酸重複にわたって９６．７％の同一性を示す：
【化５６７ａ】
2004500801.tif 000615
【化５６８ａ】
2004500801.tif 000616
以下の部分的なＤＮＡ配列は、Ｎ．ｍｅｎｉｎｇｉｔｉｄｉｓにおいて同定された（配列
番号２７５）：
【化５６９ａ】
2004500801.tif 000617
これはアミノ酸配列（配列番号２７６；ＯＲＦ０８６．ａ）に対応する：
【化５７０】
2004500801.tif 000618
【化５７１】
2004500801.tif 000619
以下の部分的なＤＮＡ配列は、Ｎ．ｇｏｎｏｒｒｈｏｅａｅにおいて同定された（配列番
号２７７）：
【化５７２】
2004500801.tif 000620
これはアミノ酸配列（配列番号２７８；ＯＲＦ０８７．ｎｇ）に対応する：
【化５７３】
2004500801.tif 000621
【化５７４】
2004500801.tif 000622
以下の部分的なＤＮＡ配列は、Ｎ．ｍｅｎｉｎｇｉｔｉｄｉｓにおいて同定された（配列
番号２７９）：
【化５７５】
2004500801.tif 000623
これはアミノ酸配列（配列番号２８０；ＯＲＦ０８７）に対応する：
【化５７６】
2004500801.tif 000624
このアミノ酸配列のコンピューター分析は以下の結果を示した：
（Ｎ．ｇｏｎｏｒｒｈｏｅａｅ由来の推定ＯＲＦとの相同性）
ＯＲＦ０８７は、Ｎ．ｇｏｎｏｒｒｈｏｅａｅ由来の推定ＯＲＦ（ＯＲＦ０８７．ｎｇ）
と３５５アミノ酸重複にわたって８３．９％の同一性を示す：
【化５７７】
2004500801.tif 000625
【化５７８】
2004500801.tif 000626
以下の部分的なＤＮＡ配列は、Ｎ．ｍｅｎｉｎｇｉｔｉｄｉｓにおいて同定された（配列
番号２８１）：
【化５７９】
2004500801.tif 000627
これはアミノ酸配列（配列番号２８２；ＯＲＦ０８７．ａ）に対応する：
【化５８０】
2004500801.tif 000628
【化５８１】
2004500801.tif 000629
以下の部分的なＤＮＡ配列は、Ｎ．ｇｏｎｏｒｒｈｏｅａｅにおいて同定された（配列番
号２８３）：
【化５８２】
2004500801.tif 000630
これはアミノ酸配列（配列番号２８４；ＯＲＦ０８８．ｎｇ）に対応する：
【化５８３】
2004500801.tif 000631
【化５８４】
2004500801.tif 000632
以下の部分的なＤＮＡ配列は、Ｎ．ｍｅｎｉｎｇｉｔｉｄｉｓにおいて同定された（配列
番号２８５）：
【化５８５】
2004500801.tif 000633
これはアミノ酸配列（配列番号２８６；ＯＲＦ０８８）に対応する：
【化５８６】
2004500801.tif 000634
このアミノ酸配列のコンピューター分析は以下の結果を示した：
（Ｎ．ｇｏｎｏｒｒｈｏｅａｅ由来の推定ＯＲＦとの相同性）
ＯＲＦ０８８は、Ｎ．ｇｏｎｏｒｒｈｏｅａｅ由来の推定ＯＲＦ（ＯＲＦ０８８８．ｎｇ
）と２０５アミノ酸重複にわたって９１．７％の同一性を示す：
【化５８７】
2004500801.tif 000635
【化５８８】
2004500801.tif 000636
以下の部分的なＤＮＡ配列は、Ｎ．ｍｅｎｉｎｇｉｔｉｄｉｓにおいて同定された（配列
番号２８７）：
【化５８９】
2004500801.tif 000637
これはアミノ酸配列（配列番号２８８；ＯＲＦ０８８．ａ）に対応する：
【化５９０】
2004500801.tif 000638
【化５９１】
2004500801.tif 000639
【化５９２】
2004500801.tif 000640
以下の部分的なＤＮＡ配列は、Ｎ．ｇｏｎｏｒｒｈｏｅａｅにおいて同定された（配列番
号２８９）：
【化５９３】
2004500801.tif 000641
これはアミノ酸配列（配列番号２９０；ＯＲＦ０８９．ｎｇ）に対応する：
【化５９４】
2004500801.tif 000642
以下の部分的なＤＮＡ配列は、Ｎ．ｍｅｎｉｎｇｉｔｉｄｉｓにおいて同定された（配列
番号２９１）：
【化５９５】
2004500801.tif 000643
これはアミノ酸配列（配列番号２９２；ＯＲＦ０８９）に対応する：
【化５９６】
2004500801.tif 000644
このアミノ酸配列のコンピューター分析は以下の結果を示した：
（Ｎ．ｇｏｎｏｒｒｈｏｅａｅ由来の推定ＯＲＦとの相同性）
ＯＲＦ０８９は、Ｎ．ｇｏｎｏｒｒｈｏｅａｅ由来の推定ＯＲＦ（ＯＲＦ０８９．ｎｇ）
と１４９アミノ酸重複にわたって８８．６％の同一性を示す：
【化５９７】
2004500801.tif 000645
【化５９８】
2004500801.tif 000646
以下の部分的なＤＮＡ配列は、Ｎ．ｍｅｎｉｎｇｉｔｉｄｉｓにおいて同定された（配列
番号２９３）：
【化５９９】
2004500801.tif 000647
これはアミノ酸配列（配列番号２９４；ＯＲＦ０８９．ａ）に対応する：
【化６００】
2004500801.tif 000648
以下の部分的なＤＮＡ配列は、Ｎ．ｇｏｎｏｒｒｈｏｅａｅにおいて同定された（配列番
号２９５）：
【化６０１】
2004500801.tif 000649
【化６０２】
2004500801.tif 000650
これはアミノ酸配列（配列番号２９６；ＯＲＦ０９０．ｎｇ）に対応する：
【化６０３】
2004500801.tif 000651
以下の部分的なＤＮＡ配列は、Ｎ．ｍｅｎｉｎｇｉｔｉｄｉｓにおいて同定された（配列
番号２９７）：
【化６０４】
2004500801.tif 000652
これはアミノ酸配列（配列番号２９８；ＯＲＦ０９０）に対応する：
【化６０５】
2004500801.tif 000653
このアミノ酸配列のコンピューター分析は以下の結果を示した：
（Ｎ．ｇｏｎｏｒｒｈｏｅａｅ由来の推定ＯＲＦとの相同性）
ＯＲＦ０９０は、Ｎ．ｇｏｎｏｒｒｈｏｅａｅ由来の推定ＯＲＦ（ＯＲＦ０９０．ｎｇ）
と１１８アミノ酸重複にわたって８３．９％の同一性を示す：
【化６０６】
2004500801.tif 000654
以下の部分的なＤＮＡ配列は、Ｎ．ｍｅｎｉｎｇｉｔｉｄｉｓにおいて同定された（配列
番号２９９）：
【化６０７】
2004500801.tif 000655
これはアミノ酸配列（配列番号３００；ＯＲＦ０９０．ａ）に対応する：
【化６０８】
2004500801.tif 000656
以下の部分的なＤＮＡ配列は、Ｎ．ｇｏｎｏｒｒｈｏｅａｅにおいて同定された
【化６０９】
2004500801.tif 000657
これはアミノ酸配列（ＯＲＦ０９０−１．ｎｇ）に対応する：
【化６１０】
2004500801.tif 000658
以下の部分的なＤＮＡ配列は、Ｎ．ｍｅｎｉｎｇｉｔｉｄｉｓにおいて同定された（配列
番号２）：
【化６１１】
2004500801.tif 000659
これはアミノ酸配列（配列番号３；ＯＲＦ０９０−１）に対応する：
【化６１２】
2004500801.tif 000660
以下の部分的なＤＮＡ配列は、Ｎ．ｇｏｎｏｒｒｈｏｅａｅにおいて同定された（配列番
号３０３）：
【化６１３】
2004500801.tif 000661
これはアミノ酸配列（配列番号３０４；ＯＲＦ０９１．ｎｇ）に対応する：
【化６１４】
2004500801.tif 000662
以下の部分的なＤＮＡ配列は、Ｎ．ｍｅｎｉｎｇｉｔｉｄｉｓにおいて同定された（配列
番号３０５）：
【化６１５】
2004500801.tif 000663
これはアミノ酸配列（配列番号３０６；ＯＲＦ０９１）に対応する：
【化６１６】
2004500801.tif 000664
このアミノ酸配列のコンピューター分析は以下の結果を示した：
（Ｎ．ｇｏｎｏｒｒｈｏｅａｅ由来の推定ＯＲＦとの相同性）
ＯＲＦ０９１は、Ｎ．ｇｏｎｏｒｒｈｏｅａｅ由来の推定ＯＲＦ（ＯＲＦ０９１．ｎｇ）
と１０１アミノ酸重複にわたって８４．２％の同一性を示す：
【化６１７】
2004500801.tif 000665
以下の部分的なＤＮＡ配列は、Ｎ．ｍｅｎｉｎｇｉｔｉｄｉｓにおいて同定された（配列
番号３０７）：
【化６１８】
2004500801.tif 000666
これはアミノ酸配列（配列番号３０８；ＯＲＦ０９１．ａ）に対応する：
【化６１９】
2004500801.tif 000667
以下の部分的なＤＮＡ配列は、Ｎ．ｇｏｎｏｒｒｈｏｅａｅにおいて同定された（配列番
号３０９）：
【化６２０】
2004500801.tif 000668
これはアミノ酸配列（配列番号３１０；ＯＲＦ０９２．ｎｇ）に対応する：
【化６２１】
2004500801.tif 000669
【化６２２】
2004500801.tif 000670
以下の部分的なＤＮＡ配列は、Ｎ．ｍｅｎｉｎｇｉｔｉｄｉｓにおいて同定された（配列
番号３１１）：
【化６２３】
2004500801.tif 000671
これはアミノ酸配列（配列番号３１２；ＯＲＦ０９２）に対応する：
【化６２４】
2004500801.tif 000672
このアミノ酸配列のコンピューター分析は以下の結果を示した：
（Ｎ．ｇｏｎｏｒｒｈｏｅａｅ由来の推定ＯＲＦとの相同性）
ＯＲＦ０９２は、Ｎ．ｇｏｎｏｒｒｈｏｅａｅ由来の推定ＯＲＦ（ＯＲＦ０９２．ｎｇ）
と５０６アミノ酸重複にわたって９６．６％の同一性を示す：
【化６２５】
2004500801.tif 000673
【化６２６】
2004500801.tif 000674
以下の部分的なＤＮＡ配列は、Ｎ．ｍｅｎｉｎｇｉｔｉｄｉｓにおいて同定された（配列
番号３１３）：
【化６２７】
2004500801.tif 000675
【化６２８】
2004500801.tif 000676
これはアミノ酸配列（配列番号３１４；ＯＲＦ０９２．ａ）に対応する：
【化６２９】
2004500801.tif 000677
【化６３０】
2004500801.tif 000678
以下の部分的なＤＮＡ配列は、Ｎ．ｇｏｎｏｒｒｈｏｅａｅにおいて同定された（配列番
号３１５）：
【化６３１】
2004500801.tif 000679
これはアミノ酸配列（配列番号３１６；ＯＲＦ０９３．ｎｇ）に対応する：
【化６３２】
2004500801.tif 000680
以下の部分的なＤＮＡ配列は、Ｎ．ｍｅｎｉｎｇｉｔｉｄｉｓにおいて同定された（配列
番号３１７）：
【化６３３】
2004500801.tif 000681
【化６３４】
2004500801.tif 000682
これはアミノ酸配列（配列番号３１８；ＯＲＦ０９３）に対応する：
【化６３５】
2004500801.tif 000683
このアミノ酸配列のコンピューター分析は以下の結果を示した：
（Ｎ．ｇｏｎｏｒｒｈｏｅａｅ由来の推定ＯＲＦとの相同性）
ＯＲＦ０９３は、Ｎ．ｇｏｎｏｒｒｈｏｅａｅ由来の推定ＯＲＦ（ＯＲＦ０９３．ｎｇ）
と２７６アミノ酸重複にわたって９６．７％の同一性を示す：
【化６３６】
2004500801.tif 000684
以下の部分的なＤＮＡ配列は、Ｎ．ｍｅｎｉｎｇｉｔｉｄｉｓにおいて同定された（配列
番号３１９）：
【化６３７】
2004500801.tif 000685
これはアミノ酸配列（配列番号３２０；ＯＲＦ０９３．ａ）に対応する：
【化６３８】
2004500801.tif 000686
以下の部分的なＤＮＡ配列は、Ｎ．ｇｏｎｏｒｒｈｏｅａｅにおいて同定された（配列番
号３２１）：
【化６３９】
2004500801.tif 000687
これはアミノ酸配列（配列番号３２２；ＯＲＦ０９４．ｎｇ）に対応する：
【化６４０】
2004500801.tif 000688
以下の部分的なＤＮＡ配列は、Ｎ．ｍｅｎｉｎｇｉｔｉｄｉｓにおいて同定された（配列
番号３２３）：
【化６４１】
2004500801.tif 000689
これはアミノ酸配列（配列番号３２４；ＯＲＦ０９４）に対応する：
【化６４２】
2004500801.tif 000690
このアミノ酸配列のコンピューター分析は以下の結果を示した：
（Ｎ．ｇｏｎｏｒｒｈｏｅａｅ由来の推定ＯＲＦとの相同性）
ＯＲＦ０９４は、Ｎ．ｇｏｎｏｒｒｈｏｅａｅ由来の推定ＯＲＦ（ＯＲＦ０９４．ｎｇ）
と１０３アミノ酸重複にわたって９５．１％の同一性を示す：
【化６４３】
2004500801.tif 000691
以下の部分的なＤＮＡ配列は、Ｎ．ｍｅｎｉｎｇｉｔｉｄｉｓにおいて同定された（配列
番号３２５）：
【化６４４】
2004500801.tif 000692
これはアミノ酸配列（配列番号３２６；ＯＲＦ０９４．ａ）に対応する：
【化６４５】
2004500801.tif 000693
以下の部分的なＤＮＡ配列は、Ｎ．ｇｏｎｏｒｒｈｏｅａｅにおいて同定された（配列番
号３２７）：
【化６４６】
2004500801.tif 000694
これはアミノ酸配列（配列番号３２８；ＯＲＦ０９５．ｎｇ）に対応する：
【化６４７】
2004500801.tif 000695
以下の部分的なＤＮＡ配列は、Ｎ．ｍｅｎｉｎｇｉｔｉｄｉｓにおいて同定された（配列
番号３２９）：
【化６４８】
2004500801.tif 000696
これはアミノ酸配列（配列番号３３０；ＯＲＦ０９５）に対応する：
【化６４９】
2004500801.tif 000697
このアミノ酸配列のコンピューター分析は以下の結果を示した：
（Ｎ．ｇｏｎｏｒｒｈｏｅａｅ由来の推定ＯＲＦとの相同性）
ＯＲＦ０９５は、Ｎ．ｇｏｎｏｒｒｈｏｅａｅ由来の推定ＯＲＦ（ＯＲＦ０９５．ｎｇ）
と１２４アミノ酸重複にわたって９７．６％の同一性を示す：
【化６５０】
2004500801.tif 000698
【化６５１】
2004500801.tif 000699
以下の部分的なＤＮＡ配列は、Ｎ．ｍｅｎｉｎｇｉｔｉｄｉｓにおいて同定された（配列
番号３３１）：
【化６５２】
2004500801.tif 000700
これはアミノ酸配列（配列番号３３２；ＯＲＦ０９５．ａ）に対応する：
【化６５３】
2004500801.tif 000701
以下の部分的なＤＮＡ配列は、Ｎ．ｇｏｎｏｒｒｈｏｅａｅにおいて同定された（配列番
号３３３）：
【化６５４】
2004500801.tif 000702
【化６５５】
2004500801.tif 000703
これはアミノ酸配列（配列番号３３４；ＯＲＦ０９６．ｎｇ）に対応する：
【化６５６】
2004500801.tif 000704
以下の部分的なＤＮＡ配列は、Ｎ．ｍｅｎｉｎｇｉｔｉｄｉｓにおいて同定された（配列
番号３３５）：
【化６５７】
2004500801.tif 000705
これはアミノ酸配列（配列番号３３６；ＯＲＦ０９６）に対応する：
【化６５８】
2004500801.tif 000706
以下の部分的なＤＮＡ配列は、Ｎ．ｍｅｎｉｎｇｉｔｉｄｉｓにおいて同定された（配列
番号３３７）：
【化６５９】
2004500801.tif 000707
これはアミノ酸配列（配列番号３３８；ＯＲＦ０９６．ｎｇ）に対応する：
【化６６０】
2004500801.tif 000708
【化６６１】
2004500801.tif 000709
以下の部分的なＤＮＡ配列は、Ｎ．ｇｏｎｏｒｒｈｏｅａｅにおいて同定された（配列番
号３３９）：
【化６６２】
2004500801.tif 000710
これはアミノ酸配列（配列番号３４０；ＯＲＦ０９７．ｎｇ）に対応する：
【化６６３】
2004500801.tif 000711
【化６６４】
2004500801.tif 000712
以下の部分的なＤＮＡ配列は、Ｎ．ｍｅｎｉｎｇｉｔｉｄｉｓにおいて同定された（配列
番号３４１）：
【化６６５】
2004500801.tif 000713
これはアミノ酸配列（配列番号３４２；ＯＲＦ０９７）に対応する：
【化６６６】
2004500801.tif 000714
このアミノ酸配列のコンピューター分析は以下の結果を示した：
（Ｎ．ｇｏｎｏｒｒｈｏｅａｅ由来の推定ＯＲＦとの相同性）
ＯＲＦ０９７は、Ｎ．ｇｏｎｏｒｒｈｏｅａｅ由来の推定ＯＲＦ（ＯＲＦ０９７．ｎｇ）
と４３６アミノ酸重複にわたって９６．３％の同一性を示す：
【化６６７】
2004500801.tif 000715
【化６６８】
2004500801.tif 000716
以下の部分的なＤＮＡ配列は、Ｎ．ｍｅｎｉｎｇｉｔｉｄｉｓにおいて同定された（配列
番号３４３）：
【化６６９】
2004500801.tif 000717
【化６７０】
2004500801.tif 000718
これはアミノ酸配列（配列番号３４４；ＯＲＦ０９７．ａ）に対応する：
【化６７１】
2004500801.tif 000719
以下の部分的なＤＮＡ配列は、Ｎ．ｇｏｎｏｒｒｈｏｅａｅにおいて同定された（配列番
号３４５）：
【化６７２】
2004500801.tif 000720
これはアミノ酸配列（配列番号３４６；ＯＲＦ０９８．ｎｇ）に対応する：
【化６７３】
2004500801.tif 000721
以下の部分的なＤＮＡ配列は、Ｎ．ｍｅｎｉｎｇｉｔｉｄｉｓにおいて同定された（配列
番号３４７）：
【化６７４】
2004500801.tif 000722
これはアミノ酸配列（配列番号３４８；ＯＲＦ０９８）に対応する：
【化６７５】
2004500801.tif 000723
このアミノ酸配列のコンピューター分析は以下の結果を示した：
（Ｎ．ｇｏｎｏｒｒｈｏｅａｅ由来の推定ＯＲＦとの相同性）
ＯＲＦ０９８は、Ｎ．ｇｏｎｏｒｒｈｏｅａｅ由来の推定ＯＲＦ（ＯＲＦ０９８．ｎｇ）
と１２５アミノ酸重複にわたって８９．６％の同一性を示す：
【化６７６】
2004500801.tif 000724
以下の部分的なＤＮＡ配列は、Ｎ．ｍｅｎｉｎｇｉｔｉｄｉｓにおいて同定された（配列
番号３４９）：
【化６７７】
2004500801.tif 000725
【化６７８】
2004500801.tif 000726
これはアミノ酸配列（配列番号３５０；ＯＲＦ０９８．ａ）に対応する：
【化６７９】
2004500801.tif 000727
以下の部分的なＤＮＡ配列は、Ｎ．ｇｏｎｏｒｒｈｏｅａｅにおいて同定された（配列番
号３５１）：
【化６８０】
2004500801.tif 000728
【化６８１】
2004500801.tif 000729
これはアミノ酸配列（配列番号３５２；ＯＲＦ０９９．ｎｇ）に対応する：
【化６８２】
2004500801.tif 000730
以下の部分的なＤＮＡ配列は、Ｎ．ｍｅｎｉｎｇｉｔｉｄｉｓにおいて同定された（配列
番号３５３）：
【化６８３】
2004500801.tif 000731
【化６８４】
2004500801.tif 000732
これはアミノ酸配列（配列番号３５４；ＯＲＦ０９９）に対応する：
【化６８５】
2004500801.tif 000733
このアミノ酸配列のコンピューター分析は以下の結果を示した：
（Ｎ．ｇｏｎｏｒｒｈｏｅａｅ由来の推定ＯＲＦとの相同性）
ＯＲＦ０９９は、Ｎ．ｇｏｎｏｒｒｈｏｅａｅ由来の推定ＯＲＦ（ＯＲＦ０９９．ｎｇ）
と６３９アミノ酸重複にわたって９６．２％の同一性を示す：
【化６８６】
2004500801.tif 000734
【化６８７】
2004500801.tif 000735
以下の部分的なＤＮＡ配列は、Ｎ．ｍｅｎｉｎｇｉｔｉｄｉｓにおいて同定された（配列
番号３５５）：
【化６８８】
2004500801.tif 000736
【化６８９】
2004500801.tif 000737
これはアミノ酸配列（配列番号３５６；ＯＲＦ０９９．ａ）に対応する：
【化６９０】
2004500801.tif 000738
【化６９１】
2004500801.tif 000739
以下の部分的なＤＮＡ配列は、Ｎ．ｇｏｎｏｒｒｈｏｅａｅにおいて同定された（配列番
号３５７）：
【化６９２】
2004500801.tif 000740
これはアミノ酸配列（配列番号３５８；ＯＲＦ１０２．ｎｇ）に対応する：
【化６９３】
2004500801.tif 000741
【化６９４】
2004500801.tif 000742
以下の部分的なＤＮＡ配列は、Ｎ．ｍｅｎｉｎｇｉｔｉｄｉｓにおいて同定された（配列
番号３５９）：
【化６９５】
2004500801.tif 000743
これはアミノ酸配列（配列番号３６０；ＯＲＦ１０２）に対応する：
【化６９６】
2004500801.tif 000744
【化６９７】
2004500801.tif 000745
以下の部分的なＤＮＡ配列は、Ｎ．ｍｅｎｉｎｇｉｔｉｄｉｓにおいて同定された（配列
番号３６１）：
【化６９８】
2004500801.tif 000746
これはアミノ酸配列（配列番号３６２；ＯＲＦ１０２．ａ）に対応する：
【化６９９】
2004500801.tif 000747
【化７００】
2004500801.tif 000748
以下の部分的なＤＮＡ配列は、Ｎ．ｇｏｎｏｒｒｈｏｅａｅにおいて同定された（配列番
号３６３）：
【化７０１】
2004500801.tif 000749
これはアミノ酸配列（配列番号３６４；ＯＲＦ１０５．ａ）に対応する：
【化７０２】
2004500801.tif 000750
以下の部分的なＤＮＡ配列は、Ｎ．ｍｅｎｉｎｇｉｔｉｄｉｓにおいて同定された（配列
番号３６５）：
【化７０３】
2004500801.tif 000751
これはアミノ酸配列（配列番号３６６；ＯＲＦ１０５）に対応する：
【化７０４】
2004500801.tif 000752
このアミノ酸配列のコンピューター分析は以下の結果を示した：
（Ｎ．ｇｏｎｏｒｒｈｏｅａｅ由来の推定ＯＲＦとの相同性）
ＯＲＦ０１０５は、Ｎ．ｇｏｎｏｒｒｈｏｅａｅ由来の推定ＯＲＦ（ＯＲＦ１０５．ｎｇ
）と２８９アミノ酸重複にわたって７９．９％の同一性を示す：
【化７０５】
2004500801.tif 000753
【化７０６】
2004500801.tif 000754
以下の部分的なＤＮＡ配列は、Ｎ．ｍｅｎｉｎｇｉｔｉｄｉｓにおいて同定された（配列
番号３６７）：
【化７０７】
2004500801.tif 000755
これはアミノ酸配列（配列番号３６８；ＯＲＦ１０５．ａ）に対応する：
【化７０８】
2004500801.tif 000756
【化７０９】
2004500801.tif 000757
以下の部分的なＤＮＡ配列は、Ｎ．ｇｏｎｏｒｒｈｏｅａｅにおいて同定された（配列番
号３６９）：
【化７１０】
2004500801.tif 000758
これはアミノ酸配列（配列番号３７０；ＯＲＦ１０５−１．ｎｇ）に対応する：
【化７１１】
2004500801.tif 000759
以下の部分的なＤＮＡ配列は、Ｎ．ｍｅｎｉｎｇｉｔｉｄｉｓにおいて同定された（配列
番号３７１）：
【化７１２】
2004500801.tif 000760
これはアミノ酸配列（配列番号３７２；ＯＲＦ１０５−１）に対応する：
【化７１３】
2004500801.tif 000761
【化７１４】
2004500801.tif 000762
以下の部分的なＤＮＡ配列は、Ｎ．ｍｅｎｉｎｇｉｔｉｄｉｓにおいて同定された（配列
番号３７３）：
【化７１５】
2004500801.tif 000763
これはアミノ酸配列（配列番号３７４；ＯＲＦ１０５−１．ａ）に対応する：
【化７１６】
2004500801.tif 000764
【化７１７】
2004500801.tif 000765
以下の部分的なＤＮＡ配列は、Ｎ．ｇｏｎｏｒｒｈｏｅａｅにおいて同定された（配列番
号３７５）：
【化７１８】
2004500801.tif 000766
これはアミノ酸配列（配列番号３７６；ＯＲＦ１０７．ｎｇ）に対応する：
【化７１９】
2004500801.tif 000767
以下の部分的なＤＮＡ配列は、Ｎ．ｍｅｎｉｎｇｉｔｉｄｉｓにおいて同定された（配列
番号３７７）：
【化７２０】
2004500801.tif 000768
これはアミノ酸配列（配列番号３７８；ＯＲＦ１０７）に対応する：
【化７２１】
2004500801.tif 000769
【化７２２】
2004500801.tif 000770
このアミノ酸配列のコンピューター分析は以下の結果を示した：
（Ｎ．ｇｏｎｏｒｒｈｏｅａｅ由来の推定ＯＲＦとの相同性）
ＯＲＦ１０７は、Ｎ．ｇｏｎｏｒｒｈｏｅａｅ由来の推定ＯＲＦ（ＯＲＦ１０７．ｎｇ）
と１７０アミノ酸重複にわたって８９．４％の同一性を示す：
【化７２３】
2004500801.tif 000771
以下の部分的なＤＮＡ配列は、Ｎ．ｍｅｎｉｎｇｉｔｉｄｉｓにおいて同定された（配列
番号３７９）：
【化７２４】
2004500801.tif 000772
これはアミノ酸配列（配列番号３８０；ＯＲＦ１０７．ａ）に対応する：
【化７２５】
2004500801.tif 000773
【化７２６】
2004500801.tif 000774
以下の部分的なＤＮＡ配列は、Ｎ．ｇｏｎｏｒｒｈｏｅａｅにおいて同定された（配列番
号３８１）：
【化７２７】
2004500801.tif 000775
これはアミノ酸配列（配列番号３８２；ＯＲＦ１０８．ｎｇ）に対応する：
【化７２８】
2004500801.tif 000776
以下の部分的なＤＮＡ配列は、Ｎ．ｍｅｎｉｎｇｉｔｉｄｉｓにおいて同定された（配列
番号３８３）：
【化７２９】
2004500801.tif 000777
これはアミノ酸配列（配列番号３８４；ＯＲＦ１０８）に対応する：
【化７３０】
2004500801.tif 000778
このアミノ酸配列のコンピューター分析は以下の結果を示した：
（Ｎ．ｇｏｎｏｒｒｈｏｅａｅ由来の推定ＯＲＦとの相同性）
ＯＲＦ１０８は、Ｎ．ｇｏｎｏｒｒｈｏｅａｅ由来の推定ＯＲＦ（ＯＲＦ１０８．ｎｇ）
と１７３アミノ酸重複にわたって８９．６％の同一性を示す：
【化７３１】
2004500801.tif 000779
【化７３２】
2004500801.tif 000780
以下の部分的なＤＮＡ配列は、Ｎ．ｍｅｎｉｎｇｉｔｉｄｉｓにおいて同定された（配列
番号３８５）：
【化７３３】
2004500801.tif 000781
これはアミノ酸配列（配列番号３８６；ＯＲＦ１０８．ａ）に対応する：
【化７３４】
2004500801.tif 000782
以下の部分的なＤＮＡ配列は、Ｎ．ｇｏｎｏｒｒｈｏｅａｅにおいて同定された（配列番
号３８７）：
【化７３５】
2004500801.tif 000783
これはアミノ酸配列（配列番号３８８；ＯＲＦ１０９．ｎｇ）に対応する：
【化７３６】
2004500801.tif 000784
以下の部分的なＤＮＡ配列は、Ｎ．ｍｅｎｉｎｇｉｔｉｄｉｓにおいて同定された（配列
番号３８９）：
【化７３７】
2004500801.tif 000785
これはアミノ酸配列（配列番号４；ＯＲＦ１０９）に対応する：
【化７３８】
2004500801.tif 000786
このアミノ酸配列のコンピューター分析は以下の結果を示した：
（Ｎ．ｇｏｎｏｒｒｈｏｅａｅ由来の推定ＯＲＦとの相同性）
ＯＲＦ１０９は、Ｎ．ｇｏｎｏｒｒｈｏｅａｅ由来の推定ＯＲＦ（ＯＲＦ１０９．ｎｇ）
と１２６アミノ酸重複にわたって９２．９％の同一性を示す：
【化７３９】
2004500801.tif 000787
以下の部分的なＤＮＡ配列は、Ｎ．ｍｅｎｉｎｇｉｔｉｄｉｓにおいて同定された（配列
番号３９１）：
【化７４０】
2004500801.tif 000788
【化７４１】
2004500801.tif 000789
これはアミノ酸配列（配列番号３９２；ＯＲＦ１０９）に対応する：
【化７４２】
2004500801.tif 000790
以下の部分的なＤＮＡ配列は、Ｎ．ｇｏｎｏｒｒｈｏｅａｅにおいて同定された（配列番
号３９３）：
【化７４３】
2004500801.tif 000791
これはアミノ酸配列（配列番号３９４；ＯＲＦ１１１．ｎｇ）に対応する：
【化７４４】
2004500801.tif 000792
以下の部分的なＤＮＡ配列は、Ｎ．ｍｅｎｉｎｇｉｔｉｄｉｓにおいて同定された（配列
番号３９５）：
【化７４５】
2004500801.tif 000793
【化７４６】
2004500801.tif 000794
これはアミノ酸配列（配列番号３９６；ＯＲＦ１１１）に対応する：
【化７４７】
2004500801.tif 000795
ＯＲＦ１１１は、Ｎ．ｇｏｎｏｒｒｈｏｅａｅ由来の推定ＯＲＦ（ＯＲＦ１１１．ｎｇ）
と９７アミノ酸重複にわたって８８．７％の同一性を示す：
【化７４８】
2004500801.tif 000796
以下の部分的なＤＮＡ配列は、Ｎ．ｍｅｎｉｎｇｉｔｉｄｉｓにおいて同定された（配列
番号３９７）：
【化７４９】
2004500801.tif 000797
【化７５０】
2004500801.tif 000798
これはアミノ酸配列（配列番号３９８；ＯＲＦ１１１．ａ）に対応する：
【化７５１】
2004500801.tif 000799
以下の部分的なＤＮＡ配列は、Ｎ．ｇｏｎｏｒｒｈｏｅａｅにおいて同定された（配列番
号３９９）：
【化７５２】
2004500801.tif 000800
【化７５３】
2004500801.tif 000801
これはアミノ酸配列（配列番号４００；ＯＲＦ１１１−１．ｎｇ）に対応する：
【化７５４】
2004500801.tif 000802
以下の部分的なＤＮＡ配列は、Ｎ．ｍｅｎｉｎｇｉｔｉｄｉｓにおいて同定された（配列
番号４０１）：
【化７５５】
2004500801.tif 000803
これはアミノ酸配列（配列番号４０２；ＯＲＦ１１１−１）に対応する：
【化７５６】
2004500801.tif 000804
【化７５７】
2004500801.tif 000805
以下の部分的なＤＮＡ配列は、Ｎ．ｍｅｎｉｎｇｉｔｉｄｉｓにおいて同定された（配列
番号４０３）：
【化７５８】
2004500801.tif 000806
【化７５９】
2004500801.tif 000807
これはアミノ酸配列（配列番号４０４；ＯＲＦ１１１−１．ａ）に対応する：
【化７６０】
2004500801.tif 000808
以下の部分的なＤＮＡ配列は、Ｎ．ｇｏｎｏｒｒｈｏｅａｅにおいて同定された（配列番
号４０５）：
【化７６１】
2004500801.tif 000809
【化７６２】
2004500801.tif 000810
これはアミノ酸配列（配列番号４０６；ＯＲＦ１１４．ｎｇ）に対応する：
【化７６３】
2004500801.tif 000811
以下の部分的なＤＮＡ配列は、Ｎ．ｍｅｎｉｎｇｉｔｉｄｉｓにおいて同定された（配列
番号４０７）：
【化７６４】
2004500801.tif 000812
これはアミノ酸配列（配列番号４０８；ＯＲＦ１１４）に対応する：
【化７６５】
2004500801.tif 000813
以下の部分的なＤＮＡ配列は、Ｎ．ｇｏｎｏｒｒｈｏｅａｅにおいて同定された（配列番
号４０９）：
【化７６６】
2004500801.tif 000814
これはアミノ酸配列（配列番号４１０；ＯＲＦ１１４．ａ）に対応する：
【化７６７】
2004500801.tif 000815
以下の部分的なＤＮＡ配列は、Ｎ．ｇｏｎｏｒｒｈｏｅａｅにおいて同定された（配列番
号４１１）：
【化７６８】
2004500801.tif 000816
【化７６９】
2004500801.tif 000817
これはアミノ酸配列（配列番号４１２；ＯＲＦ１１７．ｎｇ）に対応する：
【化７７０】
2004500801.tif 000818
以下の部分的なＤＮＡ配列は、Ｎ．ｍｅｎｉｎｇｉｔｉｄｉｓにおいて同定された（配列
番号４１３）：
【化７７１】
2004500801.tif 000819
これはアミノ酸配列（配列番号４１４；ＯＲＦ１１７）に対応する：
【化７７２】
2004500801.tif 000820
【化７７３】
2004500801.tif 000821
このアミノ酸配列のコンピューター分析は以下の結果を示した：
（Ｎ．ｇｏｎｏｒｒｈｏｅａｅ由来の推定ＯＲＦとの相同性）
ＯＲＦ１１７は、Ｎ．ｇｏｎｏｒｒｈｏｅａｅ由来の推定ＯＲＦ（ＯＲＦ１１７．ｎｇ）
と４９０アミノ酸重複にわたって９７．６％の同一性を示す：
【化７７４】
2004500801.tif 000822
【化７７５】
2004500801.tif 000823
以下の部分的なＤＮＡ配列は、Ｎ．ｍｅｎｉｎｇｉｔｉｄｉｓにおいて同定された（配列
番号４１５）：
【化７７６】
2004500801.tif 000824
これはアミノ酸配列（配列番号４１６；ＯＲＦ１１７．ａ）に対応する：
【化７７７】
2004500801.tif 000825
【化７７８】
2004500801.tif 000826
以下の部分的なＤＮＡ配列は、Ｎ．ｇｏｎｏｒｒｈｏｅａｅにおいて同定された（配列番
号４１７）：
【化７７９】
2004500801.tif 000827
これはアミノ酸配列（配列番号４１８；ＯＲＦ１１７−１．ｎｇ）に対応する：
【化７８０】
2004500801.tif 000828
以下の部分的なＤＮＡ配列は、Ｎ．ｍｅｎｉｎｇｉｔｉｄｉｓにおいて同定された（配列
番号４１９）：
【化７８１】
2004500801.tif 000829
【化７８２】
2004500801.tif 000830
これはアミノ酸配列（配列番号４２０；ＯＲＦ１１７−１）に対応する：
【化７８３】
2004500801.tif 000831
【化７８４】
2004500801.tif 000832
【化７８５】
2004500801.tif 000833
以下の部分的なＤＮＡ配列は、Ｎ．ｍｅｎｉｎｇｉｔｉｄｉｓにおいて同定された（配列
番号４２１）：
【化７８６】
2004500801.tif 000834
【化７８７】
2004500801.tif 000835
これはアミノ酸配列（配列番号４２２；ＯＲＦ１１７−１．ａ）に対応する：
【化７８８】
2004500801.tif 000836
【化７８９】
2004500801.tif 000837
以下の部分的なＤＮＡ配列は、Ｎ．ｇｏｎｏｒｒｈｏｅａｅにおいて同定された（配列番
号４２３）：
【化７９０】
2004500801.tif 000838
これはアミノ酸配列（配列番号４２４；ＯＲＦ１１８．ｎｇ）に対応する：
【化７９１】
2004500801.tif 000839
以下の部分的なＤＮＡ配列は、Ｎ．ｍｅｎｉｎｇｉｔｉｄｉｓにおいて同定された（配列
番号４２５）：
【化７９２】
2004500801.tif 000840
これはアミノ酸配列（配列番号４２６；ＯＲＦ１１８）に対応する：
【化７９３】
2004500801.tif 000841
このアミノ酸配列のコンピューター分析は以下の結果を示した：
（Ｎ．ｇｏｎｏｒｒｈｏｅａｅ由来の推定ＯＲＦとの相同性）
ＯＲＦ１１８は、Ｎ．ｇｏｎｏｒｒｈｏｅａｅ由来の推定ＯＲＦ（ＯＲＦ１１８．ｎｇ）
と１２５アミノ酸重複にわたって９２．８％の同一性を示す：
【化７９４】
2004500801.tif 000842
以下の部分的なＤＮＡ配列は、Ｎ．ｍｅｎｉｎｇｉｔｉｄｉｓにおいて同定された（配列
番号４２７）：
【化７９５】
2004500801.tif 000843
これはアミノ酸配列（配列番号４２８；ＯＲＦ１１８．ａ）に対応する：
【化７９６】
2004500801.tif 000844
【化７９７】
2004500801.tif 000845
以下の部分的なＤＮＡ配列は、Ｎ．ｇｏｎｏｒｒｈｏｅａｅにおいて同定された（配列番
号４２９）：
【化７９８】
2004500801.tif 000846
これはアミノ酸配列（配列番号４３０；ＯＲＦ１２０．ｎｇ）に対応する：
【化７９９】
2004500801.tif 000847
以下の部分的なＤＮＡ配列は、Ｎ．ｍｅｎｉｎｇｉｔｉｄｉｓにおいて同定された（配列
番号４３１）：
【化８００】
2004500801.tif 000848
これはアミノ酸配列（配列番号４３２；ＯＲＦ１２０）に対応する：
【化８０１】
2004500801.tif 000849
このアミノ酸配列のコンピューター分析は以下の結果を示した：
（Ｎ．ｇｏｎｏｒｒｈｏｅａｅ由来の推定ＯＲＦとの相同性）
ＯＲＦ１２０は、Ｎ．ｇｏｎｏｒｒｈｏｅａｅ由来の推定ＯＲＦ（ＯＲＦ１２０．ｎｇ）
と２２３アミノ酸重複にわたって９７．３％の同一性を示す：
【化８０２】
2004500801.tif 000850
以下の部分的なＤＮＡ配列は、Ｎ．ｍｅｎｉｎｇｉｔｉｄｉｓにおいて同定された（配列
番号４３３）：
【化８０３】
2004500801.tif 000851
これはアミノ酸配列（配列番号４３４；ＯＲＦ１２０．ａ）に対応する：
【化８０４】
2004500801.tif 000852
【化８０５】
2004500801.tif 000853
以下の部分的なＤＮＡ配列は、Ｎ．ｇｏｎｏｒｒｈｏｅａｅにおいて同定された（配列番
号４３５）：
【化８０６】
2004500801.tif 000854
これはアミノ酸配列（配列番号４３６；ＯＲＦ１２１．ｎｇ）に対応する：
【化８０７】
2004500801.tif 000855
以下の部分的なＤＮＡ配列は、Ｎ．ｍｅｎｉｎｇｉｔｉｄｉｓにおいて同定された（配列
番号４３７）：
【化８０８】
2004500801.tif 000856
【化８０９】
2004500801.tif 000857
これはアミノ酸配列（配列番号４３８；ＯＲＦ１２１）に対応する：
【化８１０】
2004500801.tif 000858
このアミノ酸配列のコンピューター分析は以下の結果を示した：
（Ｎ．ｇｏｎｏｒｒｈｏｅａｅ由来の推定ＯＲＦとの相同性）
ＯＲＦ１２１は、Ｎ．ｇｏｎｏｒｒｈｏｅａｅ由来の推定ＯＲＦ（ＯＲＦ１２１．ｎｇ）
と３３６アミノ酸重複にわたって７３．５％の同一性を示す：
【化８１１】
2004500801.tif 000859
【化８１２】
2004500801.tif 000860
以下の部分的なＤＮＡ配列は、Ｎ．ｍｅｎｉｎｇｉｔｉｄｉｓにおいて同定された（配列
番号４３９）：
【化８１３】
2004500801.tif 000861
これはアミノ酸配列（配列番号４４０；ＯＲＦ１２１．ａ）に対応する：
【化８１４】
2004500801.tif 000862
【化８１５】
2004500801.tif 000863
以下の部分的なＤＮＡ配列は、Ｎ．ｍｅｎｉｎｇｉｔｉｄｉｓにおいて同定された（配列
番号４４１）：
【化８１６】
2004500801.tif 000864
これはアミノ酸配列（配列番号４４２；ＯＲＦ１２１−１）に対応する：
【化８１７】
2004500801.tif 000865
【化８１８】
2004500801.tif 000866
以下の部分的なＤＮＡ配列は、Ｎ．ｍｅｎｉｎｇｉｔｉｄｉｓにおいて同定された（配列
番号４４３）：
【化８１９】
2004500801.tif 000867
これはアミノ酸配列（配列番号４４４；ＯＲＦ１２１−１．ａ）に対応する：
【化８２０】
2004500801.tif 000868
【化８２１】
2004500801.tif 000869
以下の部分的なＤＮＡ配列は、Ｎ．ｇｏｎｏｒｒｈｏｅａｅにおいて同定された（配列番
号４４５）：
【化８２２】
2004500801.tif 000870
これはアミノ酸配列（配列番号４４６；ＯＲＦ１２２．ｎｇ）に対応する：
【化８２３】
2004500801.tif 000871
以下の部分的なＤＮＡ配列は、Ｎ．ｍｅｎｉｎｇｉｔｉｄｉｓにおいて同定された（配列
番号４４７）：
【化８２４】
2004500801.tif 000872
これはアミノ酸配列（配列番号４４８；ＯＲＦ１２２）に対応する：
【化８２５】
2004500801.tif 000873
このアミノ酸配列のコンピューター分析は以下の結果を示した：
（Ｎ．ｇｏｎｏｒｒｈｏｅａｅ由来の推定ＯＲＦとの相同性）
ＯＲＦ１２２は、Ｎ．ｇｏｎｏｒｒｈｏｅａｅ由来の推定ＯＲＦ（ＯＲＦ１２２．ｎｇ）
と２４６アミノ酸重複にわたって４７．２％の同一性を示す：
【化８２６】
2004500801.tif 000874
【化８２７】
2004500801.tif 000875
以下の部分的なＤＮＡ配列は、Ｎ．ｍｅｎｉｎｇｉｔｉｄｉｓにおいて同定された（配列
番号４４９）：
【化８２８】
2004500801.tif 000876
これはアミノ酸配列（配列番号４５０；ＯＲＦ１２２．ａ）に対応する：
【化８２９】
2004500801.tif 000877
【化８３０】
2004500801.tif 000878
以下の部分的なＤＮＡ配列は、Ｎ．ｇｏｎｏｒｒｈｏｅａｅにおいて同定された（配列番
号４５１）：
【化８３１】
2004500801.tif 000879
これはアミノ酸配列（配列番号４５２；ＯＲＦ１２２−１．ｎｇ）に対応する：
【化８３２】
2004500801.tif 000880
以下の部分的なＤＮＡ配列は、Ｎ．ｍｅｎｉｎｇｉｔｉｄｉｓにおいて同定された（配列
番号４５３）：
【化８３３】
2004500801.tif 000881
これはアミノ酸配列（配列番号４５４；ＯＲＦ１２２−１）に対応する：
【化８３４】
2004500801.tif 000882
【化８３５】
2004500801.tif 000883
以下の部分的なＤＮＡ配列は、Ｎ．ｍｅｎｉｎｇｉｔｉｄｉｓにおいて同定された（配列
番号４５５）：
【化８３６】
2004500801.tif 000884
これはアミノ酸配列（配列番号４５６；ＯＲＦ１２２−１．ａ）に対応する：
【化８３７】
2004500801.tif 000885
【化８３８】
2004500801.tif 000886
以下の部分的なＤＮＡ配列は、Ｎ．ｇｏｎｏｒｒｈｏｅａｅにおいて同定された（配列番
号４５７）：
【化８３９】
2004500801.tif 000887
これはアミノ酸配列（配列番号４５８；ＯＲＦ１２５．ｎｇ）に対応する：
以下の部分的なＤＮＡ配列は、Ｎ．ｍｅｎｉｎｇｉｔｉｄｉｓにおいて同定された（配列
番号４５９）：
【化８４０】
2004500801.tif 000888
【化８４１】
2004500801.tif 000889
これはアミノ酸配列（配列番号４６０；ＯＲＦ１２５）に対応する：
【化８４２】
2004500801.tif 000890
このアミノ酸配列のコンピューター分析は以下の結果を示した：
（Ｎ．ｇｏｎｏｒｒｈｏｅａｅ由来の推定ＯＲＦとの相同性）
ＯＲＦ１２５は、Ｎ．ｇｏｎｏｒｒｈｏｅａｅ由来の推定ＯＲＦ（ＯＲＦ１２５．ｎｇ）
と３４３アミノ酸重複にわたって９２．１％の同一性を示す：
【化８４３】
2004500801.tif 000891
以下の部分的なＤＮＡ配列は、Ｎ．ｍｅｎｉｎｇｉｔｉｄｉｓにおいて同定された（配列
番号４６１）：
【化８４４】
2004500801.tif 000892
【化８４５】
2004500801.tif 000893
これはアミノ酸配列（配列番号４６２；ＯＲＦ１２５．ａ）に対応する：
【化８４６】
2004500801.tif 000894
【化８４７】
2004500801.tif 000895
以下の部分的なＤＮＡ配列は、Ｎ．ｇｏｎｏｒｒｈｏｅａｅにおいて同定された（配列番
号４６３）：
【化８４８】
2004500801.tif 000896
これはアミノ酸配列（配列番号４６４；ＯＲＦ１２６．ｎｇ）に対応する：
【化８４９】
2004500801.tif 000897
以下の部分的なＤＮＡ配列は、Ｎ．ｍｅｎｉｎｇｉｔｉｄｉｓにおいて同定された（配列
番号４６５）：
【化８５０】
2004500801.tif 000898
これはアミノ酸配列（配列番号４４６；ＯＲＦ１２６）に対応する：
【化８５１】
2004500801.tif 000899
【化８５２】
2004500801.tif 000900
このアミノ酸配列のコンピューター分析は以下の結果を示した：
（Ｎ．ｇｏｎｏｒｒｈｏｅａｅ由来の推定ＯＲＦとの相同性）
ＯＲＦ１２６は、Ｎ．ｇｏｎｏｒｒｈｏｅａｅ由来の推定ＯＲＦ（ＯＲＦ１２６．ｎｇ）
と２６９アミノ酸重複にわたって９５．９％の同一性を示す：
【化８５３】
2004500801.tif 000901
以下の部分的なＤＮＡ配列は、Ｎ．ｍｅｎｉｎｇｉｔｉｄｉｓにおいて同定された（配列
番号４６７）：
【化８５４】
2004500801.tif 000902
これはアミノ酸配列（配列番号４６８；ＯＲＦ１２６．ａ）に対応する：
【化８５５】
2004500801.tif 000903
【化８５６】
2004500801.tif 000904
以下の部分的なＤＮＡ配列は、Ｎ．ｇｏｎｏｒｒｈｏｅａｅにおいて同定された（配列番
号４６９）：
【化８５７】
2004500801.tif 000905
これはアミノ酸配列（配列番号４７０；ＯＲＦ１２６−１．ｎｇ）に対応する：
【化８５８】
2004500801.tif 000906
【化８５９】
2004500801.tif 000907
以下の部分的なＤＮＡ配列は、Ｎ．ｍｅｎｉｎｇｉｔｉｄｉｓにおいて同定された（配列
番号４７１）：
【化８６０】
2004500801.tif 000908
これはアミノ酸配列（配列番号５；ＯＲＦ１２６−１）に対応する：
【化８６１】
2004500801.tif 000909
以下の部分的なＤＮＡ配列は、Ｎ．ｍｅｎｉｎｇｉｔｉｄｉｓにおいて同定された（配列
番号４７３）：
【化８６２】
2004500801.tif 000910
【化８６３】
2004500801.tif 000911
これはアミノ酸配列（配列番号４７４；ＯＲＦ１２６−１．ａ）に対応する：
【化８６４】
2004500801.tif 000912
以下の部分的なＤＮＡ配列は、Ｎ．ｇｏｎｏｒｒｈｏｅａｅにおいて同定された（配列番
号４７５）：
【化８６５】
2004500801.tif 000913
【化８６６】
2004500801.tif 000914
これはアミノ酸配列（配列番号４７６；ＯＲＦ１２７．ｎｇ）に対応する：
【化８６７】
2004500801.tif 000915
以下の部分的なＤＮＡ配列は、Ｎ．ｍｅｎｉｎｇｉｔｉｄｉｓにおいて同定された（配列
番号４７７）：
【化８６８】
2004500801.tif 000916
これはアミノ酸配列（配列番号４７８；ＯＲＦ１２７）に対応する：
【化８６９】
2004500801.tif 000917
このアミノ酸配列のコンピューター分析は以下の結果を示した：
（Ｎ．ｇｏｎｏｒｒｈｏｅａｅ由来の推定ＯＲＦとの相同性）
ＯＲＦ１２７は、Ｎ．ｇｏｎｏｒｒｈｏｅａｅ由来の推定ＯＲＦ（ＯＲＦ１２７．ｎｇ）
と２９０アミノ酸重複にわたって９７．９％の同一性を示す：
【化８７０】
2004500801.tif 000918
【化８７１】
2004500801.tif 000919
以下の部分的なＤＮＡ配列は、Ｎ．ｍｅｎｉｎｇｉｔｉｄｉｓにおいて同定された（配列
番号４７９）：
【化８７２】
2004500801.tif 000920
これはアミノ酸配列（配列番号４８０；ＯＲＦ１２７．ａ）に対応する：
【化８７３】
2004500801.tif 000921
【化８７４】
2004500801.tif 000922
以下の部分的なＤＮＡ配列は、Ｎ．ｇｏｎｏｒｒｈｏｅａｅにおいて同定された（配列番
号４８１）：
【化８７５】
2004500801.tif 000923
【化８７６】
2004500801.tif 000924
これは、以下のアミノ酸配列（配列番号４８２；ＯＲＦ  １２８．ｎｇ）に対応する：
【化８７７】
2004500801.tif 000925
以下の部分的ＤＮＡ配列は、Ｎ．ｍｅｎｉｎｇｉｔｉｄｉｓにおいて同定された（配列
番号４８３）：
【化８７８】
2004500801.tif 000926
これは、以下のアミノ酸配列（配列番号４８４；ＯＲＦ１２８）に対応する：
【化８７９】
2004500801.tif 000927
【化８８０】
2004500801.tif 000928
このアミノ酸配列のコンピューター分析は、以下の結果を与えた：
（Ｎ．ｇｏｎｏｒｒｈｏｅａｅ由来の推定ＯＲＦとの相同性）
ＯＲＦ１２８は、Ｎ．ｇｏｎｏｒｒｈｏｅａｅ由来のＯＲＦ（ＯＲＦ１２８．ｎｇ）と
４７５アミノ酸の重複にわたって９１．７％の同一性を示す：
【化８８１】
2004500801.tif 000929
【化８８２】
2004500801.tif 000930
以下の部分的ＤＮＡ配列は、Ｎ．ｍｅｎｉｎｇｉｔｉｄｉｓにおいて同定された（配列
番号４８５）：
【化８８３】
2004500801.tif 000931
これは、以下のアミノ酸配列（配列番号４８６；ＯＲＦ１２８．ａ）に対応する：
【化８８４】
2004500801.tif 000932
【化８８５】
2004500801.tif 000933
【化８８６】
2004500801.tif 000934
以下の部分的ＤＮＡ配列は、Ｎ．ｇｏｎｏｒｒｈｏｅａｅにおいて同定された（配列番
号４８７）：
【化８８７】
2004500801.tif 000935
これは、以下のアミノ酸配列（配列番号４８８；ＯＲＦ１２８−１．ｎｇ）に対応する
：
【化８８８】
2004500801.tif 000936
以下の部分的ＤＮＡ配列は、Ｎ．ｍｅｎｉｎｇｉｔｉｄｉｓにおいて同定された（配列
番号４８９）：
【化８８９】
2004500801.tif 000937
【化８９０】
2004500801.tif 000938
これは、以下のアミノ酸配列（配列番号４９０；ＯＲＦ１２８−１）に対応する：
【化８９１】
2004500801.tif 000939
【化８９２】
2004500801.tif 000940
以下の部分的ＤＮＡ配列は、Ｎ．ｍｅｎｉｎｇｉｔｉｄｉｓにおいて同定された（配列
番号４９１）：
【化８９３】
2004500801.tif 000941
【化８９４】
2004500801.tif 000942
これは、以下のアミノ酸配列（配列番号４９２；ＯＲＦ１２８−１．ａ）に対応する：
【化８９５】
2004500801.tif 000943
【化８９６】
2004500801.tif 000944
【化８９７】
2004500801.tif 000945
以下の部分的ＤＮＡ配列は、Ｎ．ｇｏｎｏｒｒｈｏｅａｅにおいて同定された（配列番
号４９３）：
【化８９８】
2004500801.tif 000946
これは、以下のアミノ酸配列（配列番号４９４；ＯＲＦ１２９．ｎｇ）に対応する：
【化８９９】
2004500801.tif 000947
以下の部分的ＤＮＡ配列は、Ｎ．ｍｅｎｉｎｇｉｔｉｄｉｓにおいて同定された（配列
番号４９５）：
【化９００】
2004500801.tif 000948
これは、以下のアミノ酸配列（配列番号４９６；ＯＲＦ１２９）に対応する：
【化９０１】
2004500801.tif 000949
このアミノ酸配列のコンピューター分析は、以下の結果を与えた：
（Ｎ．ｇｏｎｏｒｒｈｏｅａｅ由来の推定ＯＲＦとの相同性）
ＯＲＦ１２９は、Ｎ．ｇｏｎｏｒｒｈｏｅａｅ由来の推定ＯＲＦ（ＯＲＦ１２９．ｎｇ
）と１１０アミノ酸の重複にわたって７９．１％の同一性を示す：
【化９０２】
2004500801.tif 000950
以下の部分的ＤＮＡ配列は、Ｎ．ｍｅｎｉｎｇｉｔｉｄｉｓにおいて同定された（配列
番号４９７）：
【化９０３】
2004500801.tif 000951
これは、以下のアミノ酸配列（配列番号４９８；ＯＲＦ１２９．ａ）に対応する：
【化９０４】
2004500801.tif 000952
以下の部分的ＤＮＡ配列は、Ｎ．ｇｏｎｏｒｒｈｏｅａｅにおいて同定された（配列番
号４９９）：
【化９０５】
2004500801.tif 000953
【化９０６】
2004500801.tif 000954
これは、以下のアミノ酸配列（配列番号５００；ＯＲＦ１３０．ｎｇ）に対応する：
【化９０７】
2004500801.tif 000955
以下の部分的ＤＮＡ配列は、Ｎ．ｍｅｎｉｎｇｉｔｉｄｉｓにおいて同定された（配列
番号５０１）：
【化９０８】
2004500801.tif 000956
これは、以下のアミノ酸配列（配列番号５０２；ＯＲＦ１３０）に対応する：
【化９０９】
2004500801.tif 000957
このアミノ酸配列のコンピューター分析は、以下の結果を与えた：
（Ｎ．ｇｏｎｏｒｒｈｏｅａｅ由来の推定ＯＲＦとの相同性）
ＯＲＦ１３０は、Ｎ．ｇｏｎｏｒｒｈｏｅａｅ由来の推定ＯＲＦ（ＯＲＦ１３０．ｎｇ
）と２０６アミノ酸の重複にわたって９８．１％の同一性を示す：
【化９１０】
2004500801.tif 000958
【化９１１】
2004500801.tif 000959
以下の部分的ＤＮＡ配列は、Ｎ．ｍｅｎｉｎｇｉｔｉｄｉｓにおいて同定された（配列
番号５０３）：
【化９１２】
2004500801.tif 000960
これは、以下のアミノ酸配列（配列番号５０４；ＯＲＦ１３０．ａ）に対応する：
【化９１３】
2004500801.tif 000961
【化９１４】
2004500801.tif 000962
以下の部分的ＤＮＡ配列は、Ｎ．ｇｏｎｏｒｒｈｏｅａｅにおいて同定された（配列番
号５０５）：
【化９１５】
2004500801.tif 000963
これは、以下のアミノ酸配列（配列番号５０６；ＯＲＦ１３２．ｎｇ）に対応する：
【化９１６】
2004500801.tif 000964
以下の部分的ＤＮＡ配列は、Ｎ．ｍｅｎｉｎｇｉｔｉｄｉｓにおいて同定された（配列
番号５０７）：
【化９１７】
2004500801.tif 000965
これは、以下のアミノ酸配列（配列番号５０８；ＯＲＦ１３２）に対応する：
【化９１８】
2004500801.tif 000966
このアミノ酸配列のコンピューター分析は、以下の結果を与えた：
（Ｎ．ｇｏｎｏｒｒｈｏｅａｅ由来の推定ＯＲＦとの相同性）
ＯＲＦ１３２は、Ｎ．ｇｏｎｏｒｒｈｏｅａｅ由来の推定ＯＲＦ（ＯＲＦ１３２．ｎｇ
）と３８アミノ酸の重複にわたって８９．５％の同一性を示す：
【化９１９】
2004500801.tif 000967
以下の部分的ＤＮＡ配列は、Ｎ．ｍｅｎｉｎｇｉｔｉｄｉｓにおいて同定された（配列
番号５０９）：
【化９２０】
2004500801.tif 000968
これは、以下のアミノ酸配列（配列番号５１０；ＯＲＦ１３２．ａ）に対応する：
【化９２１】
2004500801.tif 000969
【化９２２】
2004500801.tif 000970
以下の部分的ＤＮＡ配列は、Ｎ．ｇｏｎｏｒｒｈｏｅａｅにおいて同定された（配列番
号５１１）：
【化９２３】
2004500801.tif 000971
これは、以下のアミノ酸配列（配列番号５１２；ＯＲＦ１３４．ｎｇ）に対応する：
【化９２４】
2004500801.tif 000972
以下の部分的ＤＮＡ配列は、Ｎ．ｍｅｎｉｎｇｉｔｉｄｉｓにおいて同定された（配列
番号５１３）：
【化９２５】
2004500801.tif 000973
【化９２６】
2004500801.tif 000974
これは、以下のアミノ酸配列（配列番号５１４；ＯＲＦ１３４）に対応する：
【化９２７】
2004500801.tif 000975
このアミノ酸配列のコンピューター分析は、以下の結果を与えた：
（Ｎ．ｇｏｎｏｒｒｈｏｅａｅ由来の推定ＯＲＦとの相同性）
ＯＲＦ１３４は、Ｎ．ｇｏｎｏｒｒｈｏｅａｅ由来の推定ＯＲＦ（ＯＲＦ１３４．ｎｇ
）と５３１アミノ酸の重複にわたって９８．７％の同一性を示す：
【化９２８】
2004500801.tif 000976
【化９２９】
2004500801.tif 000977
以下の部分的ＤＮＡ配列は、Ｎ．ｍｅｎｉｎｇｉｔｉｄｉｓにおいて同定された（配列
番号５１５）：
【化９３０】
2004500801.tif 000978
【化９３１】
2004500801.tif 000979
これは、以下のアミノ酸配列（配列番号５１６；ＯＲＦ１３４．ａ）に対応する：
【化９３２】
2004500801.tif 000980
【化９３３】
2004500801.tif 000981
以下の部分的ＤＮＡ配列は、Ｎ．ｇｏｎｏｒｒｈｏｅａｅにおいて同定された（配列番
号５１７）：
【化９３４】
2004500801.tif 000982
これは、以下のアミノ酸配列（配列番号５１８；ＯＲＦ１３５．ｎｇ）に対応する：
【化９３５】
2004500801.tif 000983
以下の部分的ＤＮＡ配列は、Ｎ．ｍｅｎｉｎｇｉｔｉｄｉｓにおいて同定された（配列
番号５１９）：
【化９３６】
2004500801.tif 000984
【化９３７】
2004500801.tif 000985
これは、以下のアミノ酸配列（配列番号５２０；ＯＲＦ１３５）に対応する：
【化９３８】
2004500801.tif 000986
このアミノ酸配列のコンピューター分析は、以下の結果を与えた：
（Ｎ．ｇｏｎｏｒｒｈｏｅａｅ由来の推定ＯＲＦとの相同性）
ＯＲＦ１３５は、Ｎ．ｇｏｎｏｒｒｈｏｅａｅ由来の推定ＯＲＦ（ＯＲＦ１３５．ｎｇ
）と２９４アミノ酸の重複にわたって９７．６％の同一性を示す：
【化９３９】
2004500801.tif 000987
【化９４０】
2004500801.tif 000988
以下の部分的ＤＮＡ配列は、Ｎ．ｍｅｎｉｎｇｉｔｉｄｉｓにおいて同定された（配列
番号５２１）：
【化９４１】
2004500801.tif 000989
これは、以下のアミノ酸配列（配列番号５２２；ＯＲＦ１３５．ａ）に対応する：
【化９４２】
2004500801.tif 000990
【化９４３】
2004500801.tif 000991
以下の部分的ＤＮＡ配列は、Ｎ．ｇｏｎｏｒｒｈｏｅａｅにおいて同定された（配列番
号５２３）：
【化９４４】
2004500801.tif 000992
これは、以下のアミノ酸配列（配列番号５２４；ＯＲＦ１３６．ｎｇ）に対応する：
【化９４５】
2004500801.tif 000993
以下の部分的ＤＮＡ配列は、Ｎ．ｍｅｎｉｎｇｉｔｉｄｉｓにおいて同定された（配列
番号５２５）：
【化９４６】
2004500801.tif 000994
これは、以下のアミノ酸配列（配列番号５２６；ＯＲＦ１３６）に対応する：
【化９４７】
2004500801.tif 000995
このアミノ酸配列のコンピューター分析は、以下の結果を与えた：
（Ｎ．ｇｏｎｏｒｒｈｏｅａｅ由来の推定ＯＲＦとの相同性）
ＯＲＦ１３６は、Ｎ．ｇｏｎｏｒｒｈｏｅａｅ由来の推定ＯＲＦ（ＯＲＦ１３６．ｎｇ
）と２０９アミノ酸の重複にわたって８５．６％の同一性を示す：
【化９４８】
2004500801.tif 000996
以下の部分的ＤＮＡ配列は、Ｎ．ｍｅｎｉｎｇｉｔｉｄｉｓにおいて同定された（配列
番号５２７）：
【化９４９】
2004500801.tif 000997
これは、以下のアミノ酸配列（配列番号５２８；ＯＲＦ１３６．ａ）に対応する：
【化９５０】
2004500801.tif 000998
【化９５１】
2004500801.tif 000999
以下の部分的ＤＮＡ配列は、Ｎ．ｇｏｎｏｒｒｈｏｅａｅにおいて同定された（配列番
号５２９）：
【化９５２】
2004500801.tif 001000
これは、以下のアミノ酸配列（配列番号５３０；ＯＲＦ１３７．ｎｇ）に対応する：
【化９５３】
2004500801.tif 001001
【化９５４】
2004500801.tif 001002
以下の部分的ＤＮＡ配列は、Ｎ．ｍｅｎｉｎｇｉｔｉｄｉｓにおいて同定された（配列
番号５３１）：
【化９５５】
2004500801.tif 001003
これは、以下のアミノ酸配列（配列番号５３２；ＯＲＦ１３７）に対応する：
【化９５６】
2004500801.tif 001004
このアミノ酸配列のコンピューター分析は、以下の結果を与えた：
（Ｎ．ｇｏｎｏｒｒｈｏｅａｅ由来の推定ＯＲＦとの相同性）
ＯＲＦ１３７は、Ｎ．ｇｏｎｏｒｒｈｏｅａｅ由来の推定ＯＲＦ（ＯＲＦ１３７．ｎｇ
）と２８３アミノ酸の重複にわたって９５．４％の同一性を示す：
【化９５７】
2004500801.tif 001005
【化９５８】
2004500801.tif 001006
以下の部分的ＤＮＡ配列は、Ｎ．ｍｅｎｉｎｇｉｔｉｄｉｓにおいて同定された（配列
番号５３３）：
【化９５９】
2004500801.tif 001007
これは、以下のアミノ酸配列（配列番号５３４；ＯＲＦ１３７．ａ）に対応する：
【化９６０】
2004500801.tif 001008
【化９６１】
2004500801.tif 001009
以下の部分的ＤＮＡ配列は、Ｎ．ｇｏｎｏｒｒｈｏｅａｅにおいて同定された（配列番
号５３５）：
【化９６２】
2004500801.tif 001010
これは、以下のアミノ酸配列（配列番号５３６；ＯＲＦ１３８．ｎｇ）に対応する：
【化９６３】
2004500801.tif 001011
以下の部分的ＤＮＡ配列は、Ｎ．ｍｅｎｉｎｇｉｔｉｄｉｓにおいて同定された（配列
番号５３７）：
【化９６４】
2004500801.tif 001012
これは、以下のアミノ酸配列（配列番号５３８；ＯＲＦ１３８）に対応する：
【化９６５】
2004500801.tif 001013
【化９６６】
2004500801.tif 001014
このアミノ酸配列のコンピューター分析は、以下の結果を与えた：
（Ｎ．ｇｏｎｏｒｒｈｏｅａｅ由来の推定ＯＲＦとの相同性）
ＯＲＦ１３８は、Ｎ．ｇｏｎｏｒｒｈｏｅａｅ由来の推定ＯＲＦ（ＯＲＦ１３８．ｎｇ
）と２９８アミノ酸の重複にわたって９８．０％の同一性を示す：
【化９６７】
2004500801.tif 001015
以下の部分的ＤＮＡ配列は、Ｎ．ｍｅｎｉｎｇｉｔｉｄｉｓにおいて同定された（配列
番号５３９）：
【化９６８】
2004500801.tif 001016
これは、以下のアミノ酸配列（配列番号５４０；ＯＲＦ１３８．ａ）に対応する：
【化９６９】
2004500801.tif 001017
以下の部分的ＤＮＡ配列は、Ｎ．ｇｏｎｏｒｒｈｏｅａｅにおいて同定された（配列番
号５４１）：
【化９７０】
2004500801.tif 001018
これは、以下のアミノ酸配列（配列番号５４２；ＯＲＦ１３８．ｎｇ）に対応する：
【化９７１】
2004500801.tif 001019
以下の部分的ＤＮＡ配列は、Ｎ．ｍｅｎｉｎｇｉｔｉｄｉｓにおいて同定された（配列
番号５４３）：
【化９７２】
2004500801.tif 001020
これは、以下のアミノ酸配列（配列番号５４４；ＯＲＦ１３８）に対応する：
【化９７３】
2004500801.tif 001021
このアミノ酸配列のコンピューター分析は、以下の結果を与えた：
（Ｎ．ｇｏｎｏｒｒｈｏｅａｅ由来の推定ＯＲＦとの相同性）
ＯＲＦ１３８は、Ｎ．ｇｏｎｏｒｒｈｏｅａｅ由来の推定ＯＲＦ（ＯＲＦ１３８．ｎｇ
）と１７９アミノ酸の重複にわたって９２．２％の同一性を示す：
【化９７４】
2004500801.tif 001022
以下の部分的ＤＮＡ配列は、Ｎ．ｍｅｎｉｎｇｉｔｉｄｉｓにおいて同定された（配列
番号５４５）：
【化９７５】
2004500801.tif 001023
これは、以下のアミノ酸配列（配列番号５４６；ＯＲＦ１３９．ａ）に対応する：
【化９７６】
2004500801.tif 001024
【化９７７】
2004500801.tif 001025
以下の部分的ＤＮＡ配列は、Ｎ．ｇｏｎｏｒｒｈｏｅａｅにおいて同定された（配列番
号５４７）：
【化９７８】
2004500801.tif 001026
これは、以下のアミノ酸配列（配列番号５４８；ＯＲＦ１４０．ｎｇ）に対応する：
【化９７９】
2004500801.tif 001027
【化９８０】
2004500801.tif 001028
以下の部分的ＤＮＡ配列は、Ｎ．ｍｅｎｉｎｇｉｔｉｄｉｓにおいて同定された（配列
番号５４９）：
【化９８１】
2004500801.tif 001029
これは、以下のアミノ酸配列（配列番号５５０；ＯＲＦ１４０）に対応する：
【化９８２】
2004500801.tif 001030
このアミノ酸配列のコンピューター分析は、以下の結果を与えた：
（Ｎ．ｇｏｎｏｒｒｈｏｅａｅ由来の推定ＯＲＦとの相同性）
ＯＲＦ１４０は、Ｎ．ｇｏｎｏｒｒｈｏｅａｅ由来の推定ＯＲＦ（ＯＲＦ１４０．ｎｇ
）と４５４アミノ酸の重複にわたって９４．５％の同一性を示す：
【化９８３】
2004500801.tif 001031
【化９８４】
2004500801.tif 001032
以下の部分的ＤＮＡ配列は、Ｎ．ｍｅｎｉｎｇｉｔｉｄｉｓにおいて同定された（配列
番号５５１）：
【化９８５】
2004500801.tif 001033
【化９８６】
2004500801.tif 001034
これは、以下のアミノ酸配列（配列番号５５２；ＯＲＦ１４０．ａ）に対応する：
【化９８７】
2004500801.tif 001035
【化９８８】
2004500801.tif 001036
以下の部分的ＤＮＡ配列は、Ｎ．ｇｏｎｏｒｒｈｏｅａｅにおいて同定された（配列番
号５５３）：
【化９８９】
2004500801.tif 001037
これは、以下のアミノ酸配列（配列番号５５４；ＯＲＦ１４１．ｎｇ）に対応する：
【化９９０】
2004500801.tif 001038
以下の部分的ＤＮＡ配列は、Ｎ．ｍｅｎｉｎｇｉｔｉｄｉｓにおいて同定された（配列
番号５５５）：
【化９９１】
2004500801.tif 001039
これは、以下のアミノ酸配列（配列番号５５６；ＯＲＦ１４１）に対応する：
【化９９２】
2004500801.tif 001040
このアミノ酸配列のコンピューター分析は、以下の結果を与えた：
（Ｎ．ｇｏｎｏｒｒｈｏｅａｅ由来の推定ＯＲＦとの相同性）
ＯＲＦ１４１は、Ｎ．ｇｏｎｏｒｒｈｏｅａｅ由来の推定ＯＲＦ（ＯＲＦ１４１．ｎｇ
）と５５８アミノ酸の重複にわたって９７．５％の同一性を示す：
【化９９３】
2004500801.tif 001041
【化９９４】
2004500801.tif 001042
以下の部分的ＤＮＡ配列は、Ｎ．ｍｅｎｉｎｇｉｔｉｄｉｓにおいて同定された（配列
番号５５７）：
【化９９５】
2004500801.tif 001043
【化９９６】
2004500801.tif 001044
これは、以下のアミノ酸配列（配列番号５５８；ＯＲＦ１４１．ａ）に対応する：
【化９９７】
2004500801.tif 001045
【化９９８】
2004500801.tif 001046
以下の部分的ＤＮＡ配列は、Ｎ．ｇｏｎｏｒｒｈｏｅａｅにおいて同定された（配列番
号５５９）：
【化９９９】
2004500801.tif 001047
これは、以下のアミノ酸配列（配列番号５６０；ＯＲＦ１４２．ｎｇ）に対応する：
【化１０００】
2004500801.tif 001048
以下の部分的ＤＮＡ配列は、Ｎ．ｍｅｎｉｎｇｉｔｉｄｉｓにおいて同定された（配列
番号５６１）：
【化１００１】
2004500801.tif 001049
これは、以下のアミノ酸配列（配列番号５６２；ＯＲＦ１４２）に対応する：
【化１００２】
2004500801.tif 001050
このアミノ酸配列のコンピューター分析は、以下の結果を与えた：
（Ｎ．ｇｏｎｏｒｒｈｏｅａｅ由来の推定ＯＲＦとの相同性）
ＯＲＦ１４２は、Ｎ．ｇｏｎｏｒｒｈｏｅａｅ由来の推定ＯＲＦ（ＯＲＦ１４２．ｎｇ
）と１５８アミノ酸の重複にわたって９３．７％の同一性を示す：
【化１００３】
2004500801.tif 001051
以下の部分的ＤＮＡ配列は、Ｎ．ｍｅｎｉｎｇｉｔｉｄｉｓにおいて同定された（配列
番号５６３）：
【化１００４】
2004500801.tif 001052
【化１００５】
2004500801.tif 001053
これは、以下のアミノ酸配列（配列番号５６４；ＯＲＦ１４２．ａ）に対応する：
【化１００６】
2004500801.tif 001054
以下の部分的ＤＮＡ配列は、Ｎ．ｇｏｎｏｒｒｈｏｅａｅにおいて同定された（配列番
号５６５）：
【化１００７】
2004500801.tif 001055
【化１００８】
2004500801.tif 001056
これは、以下のアミノ酸配列（配列番号５６６；ＯＲＦ１４３．ｎｇ）に対応する：
【化１００９】
2004500801.tif 001057
以下の部分的ＤＮＡ配列は、Ｎ．ｍｅｎｉｎｇｉｔｉｄｉｓにおいて同定された（配列
番号５６７）：
【化１０１０】
2004500801.tif 001058
これは、以下のアミノ酸配列（配列番号５６８；ＯＲＦ１４３）に対応する：
【化１０１１】
2004500801.tif 001059
このアミノ酸配列のコンピューター分析は、以下の結果を与えた：
（Ｎ．ｇｏｎｏｒｒｈｏｅａｅ由来の推定ＯＲＦとの相同性）
【化１０１２】
2004500801.tif 001060
【化１０１３】
2004500801.tif 001061
以下の部分的ＤＮＡ配列は、Ｎ．ｍｅｎｉｎｇｉｔｉｄｉｓにおいて同定された（配列
番号５６９）：
【化１０１４】
2004500801.tif 001062
【化１０１５】
2004500801.tif 001063
これは、以下のアミノ酸配列（配列番号５７０；ＯＲＦ１４３．ａ）に対応する：
【化１０１６】
2004500801.tif 001064
【化１０１７】
2004500801.tif 001065
以下の部分的ＤＮＡ配列は、Ｎ．ｇｏｎｏｒｒｈｏｅａｅにおいて同定された（配列番
号５７１）：
【化１０１８】
2004500801.tif 001066
これは、以下のアミノ酸配列（配列番号５７２；ＯＲＦ１４４．ｎｇ）に対応する：
【化１０１９】
2004500801.tif 001067
以下の部分的ＤＮＡ配列は、Ｎ．ｍｅｎｉｎｇｉｔｉｄｉｓにおいて同定された（配列
番号５７３）：
【化１０２０】
2004500801.tif 001068
これは、以下のアミノ酸配列（配列番号５７４；ＯＲＦ１４４）に対応する：
【化１０２１】
2004500801.tif 001069
このアミノ酸配列のコンピューター分析は、以下の結果を与えた：
（Ｎ．ｇｏｎｏｒｒｈｏｅａｅ由来の推定ＯＲＦとの相同性）
【化１０２２】
2004500801.tif 001070
以下の部分的ＤＮＡ配列は、Ｎ．ｍｅｎｉｎｇｉｔｉｄｉｓにおいて同定された（配列
番号５７５）：
【化１０２３】
2004500801.tif 001071
これは、以下のアミノ酸配列（配列番号５７６；ＯＲＦ１４４．ａ）に対応する：
【化１０２４】
2004500801.tif 001072
【化１０２５】
2004500801.tif 001073
以下の部分的ＤＮＡ配列は、Ｎ．ｇｏｎｏｒｒｈｏｅａｅにおいて同定された（配列番
号５７７）：
【化１０２６】
2004500801.tif 001074
これは、以下のアミノ酸配列（配列番号５７８  ；ＯＲＦ１４６．ｎｇ）に対応する：
【化１０２７】
2004500801.tif 001075
以下の部分的ＤＮＡ配列は、Ｎ．ｍｅｎｉｎｇｉｔｉｄｉｓにおいて同定された（配列
番号５７９）：
【化１０２８】
2004500801.tif 001076
これは、以下のアミノ酸配列（配列番号５８０；ＯＲＦ１４６）に対応する：
【化１０２９】
2004500801.tif 001077
このアミノ酸配列のコンピューター分析は、以下の結果を与えた：
（Ｎ．ｇｏｎｏｒｒｈｏｅａｅ由来の推定ＯＲＦとの相同性）
【化１０３０】
2004500801.tif 001078
以下の部分的ＤＮＡ配列は、Ｎ．ｍｅｎｉｎｇｉｔｉｄｉｓにおいて同定された（配列
番号５８１）：
【化１０３１】
2004500801.tif 001079
これは、以下のアミノ酸配列（配列番号５８２；ＯＲＦ１４６．ａ）に対応する：
【化１０３２】
2004500801.tif 001080
【化１０３３】
2004500801.tif 001081
以下の部分的ＤＮＡ配列は、Ｎ．ｇｏｎｏｒｒｈｏｅａｅにおいて同定された（配列番
号５８３）：
【化１０３４】
2004500801.tif 001082
これは、以下のアミノ酸配列（配列番号５８４；ＯＲＦ１４７．ｎｇ）に対応する：
【化１０３５】
2004500801.tif 001083
以下の部分的ＤＮＡ配列は、Ｎ．ｍｅｎｉｎｇｉｔｉｄｉｓにおいて同定された（配列
番号５８５）：
【化１０３６】
2004500801.tif 001084
【化１０３７】
2004500801.tif 001085
これは、以下のアミノ酸配列（配列番号５８６；ＯＲＦ１４７）に対応する：
【化１０３８】
2004500801.tif 001086
このアミノ酸配列のコンピューター分析は、以下の結果を与えた：
（Ｎ．ｇｏｎｏｒｒｈｏｅａｅ由来の推定ＯＲＦとの相同性）
【化１０３９】
2004500801.tif 001087
以下の部分的ＤＮＡ配列は、Ｎ．ｍｅｎｉｎｇｉｔｉｄｉｓにおいて同定された（配列
番号５８７）：
【化１０４０】
2004500801.tif 001088
これは、以下のアミノ酸配列（配列番号５８８；ＯＲＦ１４７．ａ）に対応する：
【化１０４１】
2004500801.tif 001089
【化１０４２】
2004500801.tif 001090
【化１０４３】
2004500801.tif 001091
以下の部分的ＤＮＡ配列は、Ｎ．ｇｏｎｏｒｒｈｏｅａｅにおいて同定された（配列番
号５８９）：
【化１０４４】
2004500801.tif 001092
これは、以下のアミノ酸配列（配列番号５９０；ＯＲＦ１４８．ｎｇ）に対応する：
【化１０４５】
2004500801.tif 001093
以下の部分的ＤＮＡ配列は、Ｎ．ｍｅｎｉｎｇｉｔｉｄｉｓにおいて同定された（配列
番号５９１）：
【化１０４６】
2004500801.tif 001094
これは、以下のアミノ酸配列（配列番号５９２；ＯＲＦ１４８）に対応する：
【化１０４７】
2004500801.tif 001095
【化１０４８】
2004500801.tif 001096
このアミノ酸配列のコンピューター分析は、以下の結果を与えた：
（Ｎ．ｇｏｎｏｒｒｈｏｅａｅ由来の推定ＯＲＦとの相同性）
【化１０４９】
2004500801.tif 001097
以下の部分的ＤＮＡ配列は、Ｎ．ｍｅｎｉｎｇｉｔｉｄｉｓにおいて同定された（配列
番号５９３）：
【化１０５０】
2004500801.tif 001098
これは、以下のアミノ酸配列（配列番号５９４；ＯＲＦ１４８．ａ）に対応する：
【化１０５１】
2004500801.tif 001099
【化１０５２】
2004500801.tif 001100
以下の部分的ＤＮＡ配列は、Ｎ．ｇｏｎｏｒｒｈｏｅａｅにおいて同定された（配列番
号５９５）：
【化１０５３】
2004500801.tif 001101
これは、以下のアミノ酸配列（配列番号５９６；ＯＲＦ１４９．ｎｇ）に対応する：
【化１０５４】
2004500801.tif 001102
以下の部分的ＤＮＡ配列は、Ｎ．ｍｅｎｉｎｇｉｔｉｄｉｓにおいて同定された（配列
番号５９７）：
【化１０５５】
2004500801.tif 001103
【化１０５６】
2004500801.tif 001104
これは、以下のアミノ酸配列（配列番号５９８；ＯＲＦ１４９）に対応する：
【化１０５７】
2004500801.tif 001105
このアミノ酸配列のコンピューター分析は、以下の結果を与えた：
（Ｎ．ｇｏｎｏｒｒｈｏｅａｅ由来の推定ＯＲＦとの相同性）
ＯＲＦ１４９は、Ｎ．ｇｏｎｏｒｒｈｏｅａｅ由来の推定ＯＲＦ（ＯＲＦ１４９．ｎｇ
）と３３９アミノ酸の重複にわたって９５．９％の同一性を示す：
【化１０５８】
2004500801.tif 001106
【化１０５９】
2004500801.tif 001107
以下の部分的ＤＮＡ配列は、Ｎ．ｍｅｎｉｎｇｉｔｉｄｉｓにおいて同定された（配列
番号５９９）：
【化１０５９ａ】
2004500801.tif 001108
これは、以下のアミノ酸配列（配列番号６００；ＯＲＦ１４９．ａ）に対応する：
【化１０６０】
2004500801.tif 001109
【化１０６１】
2004500801.tif 001110
以下の部分的ＤＮＡ配列は、Ｎ．ｇｏｎｏｒｒｈｏｅａｅにおいて同定された（配列番
号６０１）：
【化１０６２】
2004500801.tif 001111
これは、以下のアミノ酸配列（配列番号６０２；ＯＲＦ１４９−１．ｎｇ）に対応する
：
【化１０６３】
2004500801.tif 001112
【化１０６４】
2004500801.tif 001113
以下の部分的ＤＮＡ配列は、Ｎ．ｍｅｎｉｎｇｉｔｉｄｉｓにおいて同定された（配列
番号６０３）：
【化１０６５】
2004500801.tif 001114
これは、以下のアミノ酸配列（配列番号６０４；ＯＲＦ１４９−１）に対応する：
【化１０６６】
2004500801.tif 001115
【化１０６７】
2004500801.tif 001116
【化１０６８】
2004500801.tif 001117
以下の部分的ＤＮＡ配列は、Ｎ．ｍｅｎｉｎｇｉｔｉｄｉｓにおいて同定された（配列
番号６０５）：
【化１０６９】
2004500801.tif 001118
これは、以下のアミノ酸配列（配列番号６０６；ＯＲＦ１４９−１．ａ）に対応する：
【化１０７０】
2004500801.tif 001119
【化１０７１】
2004500801.tif 001120
【化１０７２】
2004500801.tif 001121
以下の部分的ＤＮＡ配列は、Ｎ．ｇｏｎｏｒｒｈｏｅａｅにおいて同定された（配列番
号６０７）：
【化１０７３】
2004500801.tif 001122
これは、以下のアミノ酸配列（配列番号６０８；ＯＲＦ１５０．ｎｇ）に対応する：
【化１０７４】
2004500801.tif 001123
以下の部分的ＤＮＡ配列は、Ｎ．ｍｅｎｉｎｇｉｔｉｄｉｓにおいて同定された（配列
番号６０９）：
【化１０７５】
2004500801.tif 001124
【化１０７６】
2004500801.tif 001125
これは、以下のアミノ酸配列（配列番号６１０；ＯＲＦ１５０）に対応する：
【化１０７７】
2004500801.tif 001126
このアミノ酸配列のコンピューター分析は、以下の結果を与えた：
（Ｎ．ｇｏｎｏｒｒｈｏｅａｅ由来の推定ＯＲＦとの相同性）
ＯＲＦ１５０は、Ｎ．ｇｏｎｏｒｒｈｏｅａｅ由来の推定ＯＲＦ（ＯＲＦ１５０．ｎｇ
）と３６９アミノ酸の重複にわたって９１．３％の同一性を示す：
【化１０７８】
2004500801.tif 001127
【化１０７９】
2004500801.tif 001128
以下の部分的ＤＮＡ配列は、Ｎ．ｍｅｎｉｎｇｉｔｉｄｉｓにおいて同定された（配列
番号６１１）：
【化１０８０】
2004500801.tif 001129
【化１０８１】
2004500801.tif 001130
これは、以下のアミノ酸配列（配列番号６１２；ＯＲＦ１５０．ａ）に対応する：
【化１０８２】
2004500801.tif 001131
【化１０８３】
2004500801.tif 001132
以下の部分的ＤＮＡ配列は、Ｎ．ｇｏｎｏｒｒｈｏｅａｅにおいて同定された（配列番
号６１３）：
【化１０８４】
2004500801.tif 001133
これは、以下のアミノ酸配列（配列番号６１４；ＯＲＦ１５１．ｎｇ）に対応する：
【化１０８５】
2004500801.tif 001134
【化１０８６】
2004500801.tif 001135
以下の部分的ＤＮＡ配列は、Ｎ．ｍｅｎｉｎｇｉｔｉｄｉｓにおいて同定された（配列
番号６１５）：
【化１０８７】
2004500801.tif 001136
これは、以下のアミノ酸配列（配列番号６１６；ＯＲＦ１５１）に対応する：
【化１０８８】
2004500801.tif 001137
このアミノ酸配列のコンピューター分析は、以下の結果を与えた：
（Ｎ．ｇｏｎｏｒｒｈｏｅａｅ由来の推定ＯＲＦとの相同性）
ＯＲＦ１５１は、Ｎ．ｇｏｎｏｒｒｈｏｅａｅ由来の推定ＯＲＦ（ＯＲＦ１５１．ｎｇ
）と６０３アミノ酸の重複にわたって９９．２％の同一性を示す：
【化１０８９】
2004500801.tif 001138
【化１０９０】
2004500801.tif 001139
以下の部分的ＤＮＡ配列は、Ｎ．ｍｅｎｉｎｇｉｔｉｄｉｓにおいて同定された（配列
番号６１７）：
【化１０９１】
2004500801.tif 001140
これは、以下のアミノ酸配列（配列番号６１８；ＯＲＦ１５１．ａ）に対応する：
【化１０９２】
2004500801.tif 001141
【化１０９３】
2004500801.tif 001142
以下の部分的ＤＮＡ配列は、Ｎ．ｇｏｎｏｒｒｈｏｅａｅにおいて同定された（配列番
号６１９）：
【化１０９４】
2004500801.tif 001143
【化１０９５】
2004500801.tif 001144
これは、以下のアミノ酸配列（配列番号６２０；ＯＲＦ１５２．ｎｇ）に対応する：
【化１０９６】
2004500801.tif 001145
以下の部分的ＤＮＡ配列は、Ｎ．ｍｅｎｉｎｇｉｔｉｄｉｓにおいて同定された（配列
番号６２１）：
【化１０９７】
2004500801.tif 001146
これは、以下のアミノ酸配列（配列番号６２２；ＯＲＦ１５２）に対応する：
【化１０９８】
2004500801.tif 001147
このアミノ酸配列のコンピューター分析は、以下の結果を与えた：
（Ｎ．ｇｏｎｏｒｒｈｏｅａｅ由来の推定ＯＲＦとの相同性）
ＯＲＦ１５２は、Ｎ．ｇｏｎｏｒｒｈｏｅａｅ由来の推定ＯＲＦ（ＯＲＦ１５２．ｎｇ
）と２１８アミノ酸の重複にわたって９５．４％の同一性を示す：
【化１０９９】
2004500801.tif 001148
【化２０００】
2004500801.tif 001149
以下の部分的ＤＮＡ配列は、Ｎ．ｍｅｎｉｎｇｉｔｉｄｉｓにおいて同定された（配列
番号６２３）：
【化２００１】
2004500801.tif 001150
これは、以下のアミノ酸配列（配列番号６２４；ＯＲＦ１５２．ａ）に対応する：
【化２００２】
2004500801.tif 001151
以下の部分的ＤＮＡ配列は、Ｎ．ｇｏｎｏｒｒｈｏｅａｅにおいて同定された（配列番
号６２５）：
【化２００３】
2004500801.tif 001152
これは、以下のアミノ酸配列（配列番号６２６；ＯＲＦ１５３．ｎｇ）に対応する：
【化２００４】
2004500801.tif 001153
以下の部分的ＤＮＡ配列は、Ｎ．ｍｅｎｉｎｇｉｔｉｄｉｓにおいて同定された（配列
番号６２７）：
【化２００５】
2004500801.tif 001154
これは、以下のアミノ酸配列（配列番号６２８；ＯＲＦ１５３）に対応する：
【化２００６】
2004500801.tif 001155
【化２００７】
2004500801.tif 001156
以下の部分的ＤＮＡ配列は、Ｎ．ｍｅｎｉｎｇｉｔｉｄｉｓにおいて同定された（配列
番号６２９）：
【化２００８】
2004500801.tif 001157
【化２００９】
2004500801.tif 001158
これは、以下のアミノ酸配列（配列番号６３０；ＯＲＦ１５３．ａ）に対応する：
【化２０１０】
2004500801.tif 001159
以下の部分的ＤＮＡ配列は、Ｎ．ｇｏｎｏｒｒｈｏｅａｅにおいて同定された（配列番
号６３１）：
【化２０１１】
2004500801.tif 001160
【化２０１２】
2004500801.tif 001161
これは、以下のアミノ酸配列（配列番号６３２；ＯＲＦ１５４．ｎｇ）に対応する：
【化２０１３】
2004500801.tif 001162
以下の部分的ＤＮＡ配列は、Ｎ．ｍｅｎｉｎｇｉｔｉｄｉｓにおいて同定された（配列
番号６３３）：
【化２０１４】
2004500801.tif 001163
【化２０１５】
2004500801.tif 001164
これは、以下のアミノ酸配列（配列番号６３４；ＯＲＦ１５４．ａ）に対応する：
【化２０１６】
2004500801.tif 001165
【化２０１７】
2004500801.tif 001166
以下の部分的ＤＮＡ配列は、Ｎ．ｍｅｎｉｎｇｉｔｉｄｉｓにおいて同定された（配列
番号６３５）：
【化２０１８】
2004500801.tif 001167
これは、以下のアミノ酸配列（配列番号６３６；ＯＲＦ１５４．ａ）に対応する：
【化２０１９】
2004500801.tif 001168
【化２０２０】
2004500801.tif 001169
【化２０２１】
2004500801.tif 001170
以下の部分的ＤＮＡ配列は、Ｎ．ｇｏｎｏｒｒｈｏｅａｅにおいて同定された（配列番
号６３７）：
【化２０２２】
2004500801.tif 001171
これは、以下のアミノ酸配列（配列番号６３８；ＯＲＦ１５５．ｎｇ）に対応する：
【化２０２３】
2004500801.tif 001172
以下の部分的ＤＮＡ配列は、Ｎ．ｍｅｎｉｎｇｉｔｉｄｉｓにおいて同定された（配列
番号６３９）：
【化２０２４】
2004500801.tif 001173
【化２０２５】
2004500801.tif 001174
これは、以下のアミノ酸配列（配列番号６４０；ＯＲＦ１５５）に対応する：
【化２０２６】
2004500801.tif 001175
このアミノ酸配列のコンピューター分析は、以下の結果を与えた：
（Ｎ．ｇｏｎｏｒｒｈｏｅａｅ由来の推定ＯＲＦとの相同性）
ＯＲＦ１５５は、Ｎ．ｇｏｎｏｒｒｈｏｅａｅ由来の推定ＯＲＦ（ＯＲＦ１５５．ｎｇ
）と５１３アミノ酸の重複にわたって９７．９％の同一性を示す：
【化２０２７】
2004500801.tif 001176
【化２０２８】
2004500801.tif 001177
以下の部分的ＤＮＡ配列は、Ｎ．ｍｅｎｉｎｇｉｔｉｄｉｓにおいて同定された（配列
番号６４１）：
【化２０２９】
2004500801.tif 001178
【化２０３０】
2004500801.tif 001179
これは、以下のアミノ酸配列（配列番号６４２；ＯＲＦ１５５．ａ）に対応する：
【化２０３１】
2004500801.tif 001180
【化２０３２】
2004500801.tif 001181
以下の部分的ＤＮＡ配列は、Ｎ．ｇｏｎｏｒｒｈｏｅａｅにおいて同定された（配列番
号６４３）：
【化２０３３】
2004500801.tif 001182
これは、以下のアミノ酸配列（配列番号６４４；ＯＲＦ１５６．ｎｇ）に対応する：
【化２０３４】
2004500801.tif 001183
以下の部分的ＤＮＡ配列は、Ｎ．ｍｅｎｉｎｇｉｔｉｄｉｓにおいて同定された（配列
番号６４５）：
【化２０３５】
2004500801.tif 001184
これは、以下のアミノ酸配列（配列番号６４６；ＯＲＦ１５６）に対応する：
【化２０３６】
2004500801.tif 001185
このアミノ酸配列のコンピューター分析は、以下の結果を与えた：
（Ｎ．ｇｏｎｏｒｒｈｏｅａｅ由来の推定ＯＲＦとの相同性）
【化２０３７】
2004500801.tif 001186
【化２０３８】
2004500801.tif 001187
以下の部分的ＤＮＡ配列は、Ｎ．ｍｅｎｉｎｇｉｔｉｄｉｓにおいて同定された（配列
番号６４７）：
【化２０３９】
2004500801.tif 001188
これは、以下のアミノ酸配列（配列番号６４８；ＯＲＦ１５６．ａ）に対応する：
【化２０４０】
2004500801.tif 001189
以下の部分的ＤＮＡ配列は、Ｎ．ｇｏｎｏｒｒｈｏｅａｅにおいて同定された（配列番
号６４９）：
【化２０４１】
2004500801.tif 001190
これは、以下のアミノ酸配列（配列番号６５０；ＯＲＦ１５７．ｎｇ）に対応する：
【化２０４２】
2004500801.tif 001191
以下の部分的ＤＮＡ配列は、Ｎ．ｍｅｎｉｎｇｉｔｉｄｉｓにおいて同定された（配列
番号６５１）：
【化２０４３】
2004500801.tif 001192
これは、以下のアミノ酸配列（配列番号６５２；ＯＲＦ１５７）に対応する：
【化２０４４】
2004500801.tif 001193
このアミノ酸配列のコンピューター分析は、以下の結果を与えた：
（Ｎ．ｇｏｎｏｒｒｈｏｅａｅ由来の推定ＯＲＦとの相同性）
【化２０４５】
2004500801.tif 001194
以下の部分的ＤＮＡ配列は、Ｎ．ｍｅｎｉｎｇｉｔｉｄｉｓにおいて同定された（配列
番号６５３）：
【化２０４６】
2004500801.tif 001195
【化２０４７】
2004500801.tif 001196
これは、以下のアミノ酸配列（配列番号６５４；ＯＲＦ１５７．ａ）に対応する：
【化２０４８】
2004500801.tif 001197
以下の部分的ＤＮＡ配列は、Ｎ．ｇｏｎｏｒｒｈｏｅａｅにおいて同定された（配列番
号６５５）：
【化２０４９】
2004500801.tif 001198
【化２０５０】
2004500801.tif 001199
これは、以下のアミノ酸配列（配列番号６５６；ＯＲＦ１５８．ｎｇ）に対応する：
【化２０５１】
2004500801.tif 001200
以下の部分的ＤＮＡ配列は、Ｎ．ｍｅｎｉｎｇｉｔｉｄｉｓにおいて同定された（配列
番号６５７）：
【化２０５２】
2004500801.tif 001201
これは、以下のアミノ酸配列（配列番号６５８；ＯＲＦ１５８）に対応する：
【化２０５３】
2004500801.tif 001202
このアミノ酸配列のコンピューター分析は、以下の結果を与えた：
（Ｎ．ｇｏｎｏｒｒｈｏｅａｅ由来の推定ＯＲＦとの相同性）
【化２０５４】
2004500801.tif 001203
【化２０５５】
2004500801.tif 001204
以下の部分的ＤＮＡ配列は、Ｎ．ｍｅｎｉｎｇｉｔｉｄｉｓにおいて同定された（配列
番号６５９）：
【化２０５６】
2004500801.tif 001205
これは、以下のアミノ酸配列（配列番号６６０；ＯＲＦ１５８．ａ）に対応する：
【化２０５７】
2004500801.tif 001206
【化２０５８】
2004500801.tif 001207
以下の部分的ＤＮＡ配列は、Ｎ．ｇｏｎｏｒｒｈｏｅａｅにおいて同定された（配列番
号６６１）：
【化２０５９】
2004500801.tif 001208
これは、以下のアミノ酸配列（配列番号６６２；ＯＲＦ１６０．ｎｇ）に対応する：
【化２０６０】
2004500801.tif 001209
以下の部分的ＤＮＡ配列は、Ｎ．ｍｅｎｉｎｇｉｔｉｄｉｓにおいて同定された（配列
番号６６３）：
【化２０６１】
2004500801.tif 001210
【化２０６２】
2004500801.tif 001211
これは、以下のアミノ酸配列（配列番号６６４；ＯＲＦ１６０）に対応する：
【化２０６３】
2004500801.tif 001212
このアミノ酸配列のコンピューター分析は、以下の結果を与えた：
（Ｎ．ｇｏｎｏｒｒｈｏｅａｅ由来の推定ＯＲＦとの相同性）
【化２０６４】
2004500801.tif 001213
以下の部分的ＤＮＡ配列は、Ｎ．ｍｅｎｉｎｇｉｔｉｄｉｓにおいて同定された（配列
番号６６５）：
【化２０６５】
2004500801.tif 001214
【化２０６６】
2004500801.tif 001215
これは、以下のアミノ酸配列（配列番号６６６；ＯＲＦ１６０．ａ）に対応する：
【化２０６７】
2004500801.tif 001216
以下の部分的ＤＮＡ配列は、Ｎ．ｇｏｎｏｒｒｈｏｅａｅにおいて同定された（配列番
号６６７）：
【化２０６８】
2004500801.tif 001217
これは、以下のアミノ酸配列（配列番号６６８；ＯＲＦ１６１．ｎｇ）に対応する：
【化２０６９】
2004500801.tif 001218
以下の部分的ＤＮＡ配列は、Ｎ．ｍｅｎｉｎｇｉｔｉｄｉｓにおいて同定された（配列
番号６６９）：
【化２０７０】
2004500801.tif 001219
これは、以下のアミノ酸配列（配列番号６７０；ＯＲＦ１６１）に対応する：
【化２０７１】
2004500801.tif 001220
【化２０７２】
2004500801.tif 001221
このアミノ酸配列のコンピューター分析は、以下の結果を与えた：
（Ｎ．ｇｏｎｏｒｒｈｏｅａｅ由来の推定ＯＲＦとの相同性）
【化２０７３】
2004500801.tif 001222
以下の部分的ＤＮＡ配列は、Ｎ．ｍｅｎｉｎｇｉｔｉｄｉｓにおいて同定された（配列
番号６７１）：
【化２０７４】
2004500801.tif 001223
【化２０７５】
2004500801.tif 001224
これは、以下のアミノ酸配列（配列番号６７２；ＯＲＦ１６１．ａ）に対応する：
【化２０７６】
2004500801.tif 001225
以下の部分的ＤＮＡ配列は、Ｎ．ｇｏｎｏｒｒｈｏｅａｅにおいて同定された（配列番
号６７３）：
【化２０７７】
2004500801.tif 001226
【化２０７８】
2004500801.tif 001227
これは、以下のアミノ酸配列（配列番号６７４；ＯＲＦ．ｎｇ）に対応する：
【化２０７９】
2004500801.tif 001228
以下の部分的ＤＮＡ配列は、Ｎ．ｍｅｎｉｎｇｉｔｉｄｉｓ中で同定された（配列番号
６７５）：
【化２０８０】
2004500801.tif 001229
【化２０８１】
2004500801.tif 001230
これは、以下のアミノ酸配列（配列番号６７６；ＯＲＦ  １６３）に対応する：
【化２０８２】
2004500801.tif 001231
このアミノ酸配列のコンピューター分析により、以下の結果を得た：
（Ｎ．ｇｏｎｏｒｒｈｏｅａｅ由来の推定ＯＲＦとの相同性）
【化２０８３】
2004500801.tif 001232
【化２０８４】
2004500801.tif 001233
以下の部分的なＤＮＡ配列は、Ｎ．ｍｅｎｉｎｇｉｔｉｄｉｓ中で同定された（配列番
号６７７）：
【化２０８５】
2004500801.tif 001234
【化２０８６】
2004500801.tif 001235
これは、以下のアミノ酸配列（配列番号６７８；ＯＲＦ  １６３．ａ）に対応する：
【化２０８７】
2004500801.tif 001236
【化２０８８】
2004500801.tif 001237
以下の部分的なＤＮＡ配列は、Ｎ．ｇｏｎｏｒｒｈｏｅａｅ中で同定された（配列番号
６７９）：
【化２０８９】
2004500801.tif 001238
これは、以下のアミノ酸配列（配列番号６８０；ＯＲＦ  １６４．ｎｇ）に対応する：
【化２０９０】
2004500801.tif 001239
以下の部分的ＤＮＡ配列は、Ｎ．ｍｅｎｉｎｇｉｔｉｄｉｓ中で同定された（配列番号
６８１）：
【化２０９１】
2004500801.tif 001240
【化２０９２】
2004500801.tif 001241
これは、以下のアミノ酸配列（配列番号６８２；ＯＲＦ  １６４）に対応する：
【化２０９３】
2004500801.tif 001242
このアミノ酸配列のコンピューター分析により、以下の結果を得た：
（Ｎ．ｇｏｎｏｒｒｈｏｅａｅ由来の推定ＯＲＦ）
ｍ１６４／ｇｐ１６４
４３２アミノ酸重複中で９８．６％の同一性
【化２０９４】
2004500801.tif 001243
【化２０９５】
2004500801.tif 001244
以下の部分的なＤＮＡ配列は、Ｎ．ｍｅｎｉｎｇｉｔｉｄｉｓ中で同定された（配列番
号６８３）：
【化２０９６】
2004500801.tif 001245
これは、以下のアミノ酸配列（配列番号６８４；ＯＲＦ  １６４．ａ）に対応する：
【化２０９７】
2004500801.tif 001246
【化２０９８】
2004500801.tif 001247
以下の部分的なＤＮＡ配列は、Ｎ．ｇｏｎｏｒｒｈｏｅａｅ中で同定された（配列番号
６８５）：
【化２０９９】
2004500801.tif 001248
【化２１００】
2004500801.tif 001249
これは、以下のアミノ酸配列（配列番号６８６；ＯＲＦ  １６５．ｎｇ）に対応する：
【化２１０１】
2004500801.tif 001250
以下の部分的なＤＮＡ配列は、Ｎ．ｍｅｎｉｎｇｉｔｉｄｉｓ中で同定された（配列番
号６８７）：
【化２１０２】
2004500801.tif 001251
これは、以下のアミノ酸配列（配列番号６８８；ＯＲＦ  １６５）に対応する：
【化２１０３】
2004500801.tif 001252
【化２１０４】
2004500801.tif 001253
このアミノ酸配列のコンピューター分析により、以下の結果を得た：
（Ｎ．ｇｏｎｏｒｒｈｏｅａｅ由来の推定ＯＲＦとの相同性）
【化２１０５】
2004500801.tif 001254
以下の部分的なＤＮＡ配列は、Ｎ．ｍｅｎｉｎｇｉｔｉｄｉｓ中で同定された（配列番
号６８９）：
【化２１０６】
2004500801.tif 001255
【化２１０７】
2004500801.tif 001256
これは、以下のアミノ酸配列（配列番号６９０；ＯＲＦ  １６５．ａ）に対応する：
【化２１０８】
2004500801.tif 001257
【化２１０９】
2004500801.tif 001258
以下の部分的なＤＮＡ配列は、Ｎ．ｇｏｎｏｒｒｈｏｅａｅ中で同定された（配列番号
６９１）：
【化２１１０】
2004500801.tif 001259
これは、以下のアミノ酸配列（配列番号６９２；ＯＲＦ  １６５−１．ｎｇ）に対応す
る：
【化２１１１】
2004500801.tif 001260
以下の部分的ＤＮＡ配列は、Ｎ．ｍｅｎｉｎｇｉｔｉｄｉｓ中で同定された（配列番号
６９３）：
【化２１１２】
2004500801.tif 001261
【化２１１３】
2004500801.tif 001262
これは、以下のアミノ酸配列（配列番号６９４；ＯＲＦ  １６５−１）に対応する：
【化２１１４】
2004500801.tif 001263
【化２１１５】
2004500801.tif 001264
以下の部分的なＤＮＡ配列は、Ｎ．ｍｅｎｉｎｇｉｔｉｄｉｓ中で同定された（配列番
号６９５）：
【化２１１６】
2004500801.tif 001265
これは、以下のアミノ酸配列（配列番号６９６；ＯＲＦ  １６５−１．ａ）に対応する
：
【化２１１７】
2004500801.tif 001266
【化２１１８】
2004500801.tif 001267
【化２１１９】
2004500801.tif 001268
以下の部分的ＤＮＡ配列は、Ｎ．ｇｏｎｏｒｒｈｏｅａｅ中で同定された（配列番号６
９７）：
【化２１２０】
2004500801.tif 001269
これは、以下のアミノ酸配列（配列番号６９８；ＯＲＦ  ２０４．ｎｇ）に対応する：
【化２１２１】
2004500801.tif 001270
以下の部分的なＤＮＡ配列は、Ｎ．ｍｅｎｉｎｇｉｔｉｄｉｓ中で同定された（配列番
号６９９）：
【化２１２２】
2004500801.tif 001271
これは、以下のアミノ酸配列（配列番号７００；ＯＲＦ  ２０４）に対応する：
【化２１２３】
2004500801.tif 001272
このアミノ酸配列のコンピューター分析により、以下の結果を得た：
（Ｎ．ｇｏｎｏｒｒｈｏｅａｅ由来の推定ＯＲＦと相同性）
ＯＲＦ２０４は、Ｎ．ｇｏｎｏｒｒｈｏｅａｅ由来の推定ＯＲＦ（ＯＲＦ  ２０４．ｎｇ
）と２５０アミノ酸にわたって８２．０％の同一性を示す：
【化２１２４】
2004500801.tif 001273
以下の部分的なＤＮＡ配列は、Ｎ．ｍｅｎｉｎｇｉｔｉｄｉｓ中で同定された（配列番
号７０１）：
【化２１２５】
2004500801.tif 001274
これは、以下のアミノ酸配列（配列番号７０２；ＯＲＦ  ２０４．ａ）に対応する：
【化２１２６】
2004500801.tif 001275
【化２１２７】
2004500801.tif 001276
以下の部分的ＤＮＡ配列は、Ｎ．ｇｏｎｏｒｒｈｏｅａｅ中で同定された（配列番号７
０３）：
【化２１２８】
2004500801.tif 001277
これは、以下のアミノ酸配列（配列番号７０４；ＯＲＦ  ２０５．ｎｇ）に対応する：
【化２１２９】
2004500801.tif 001278
以下の部分的なＤＮＡ配列は、Ｎ．ｍｅｎｉｎｇｉｔｉｄｉｓ中で同定された（配列番
号７０５）：
【化２１３０】
2004500801.tif 001279
これは、以下のアミノ酸配列（配列番号７０６；ＯＲＦ  ２０５）に対応する：
【化２１３１】
2004500801.tif 001280
このアミノ酸配列のコンピューター分析により、以下の結果を得た：
（Ｎ．ｇｏｎｏｒｒｈｏｅａｅ由来の推定ＯＲＦとの相同性）
ＯＲＦ２０５は、Ｎ．ｇｏｎｏｒｒｈｏｅａｅ由来の推定ＯＲＦ（ＯＲＦ  ２０５．ｎｇ
）と１８１アミノ酸にわたって８８．４％の同一性を示す：
【化２１３２】
2004500801.tif 001281
以下の部分的なＤＮＡ配列は、Ｎ．ｍｅｎｉｎｇｉｔｉｄｉｓ中で同定された（配列番
号７０７）：
【化２１３３】
2004500801.tif 001282
これは、以下のアミノ酸配列（配列番号７０８；ＯＲＦ  ２０５．ａ）に対応する：
【化２１３４】
2004500801.tif 001283
【化２１３５】
2004500801.tif 001284
以下の部分的なＤＮＡ配列は、Ｎ．ｇｏｎｏｒｒｈｏｅａｅ中で同定された（配列番号
７０９）：
【化２１３６】
2004500801.tif 001285
これは、以下のアミノ酸配列（配列番号７１０；ＯＲＦ  ２０５−１．ｎｇ）に対応す
る：
【化２１３７】
2004500801.tif 001286
以下の部分的ＤＮＡ配列は、Ｎ．ｍｅｎｉｎｇｉｔｉｄｉｓ中で同定された（配列番号
７１１）：
【化２１３８】
2004500801.tif 001287
これは、以下のアミノ酸配列（配列番号７１２；ＯＲＦ  ２０５−１）に対応する：
【化２１３９】
2004500801.tif 001288
【化２１４０】
2004500801.tif 001289
以下の部分的なＤＮＡ配列は、Ｎ．ｍｅｎｉｎｇｉｔｉｄｉｓ中で同定された（配列番
号７１３）：
【化２１４１】
2004500801.tif 001290
これは、以下のアミノ酸配列（配列番号７１４；ＯＲＦ  ２０５−１．ａ）に対応する
：
【化２１４２】
2004500801.tif 001291
以下の部分的ＤＮＡ配列は、Ｎ．ｇｏｎｏｒｒｈｏｅａｅ中で同定された（配列番号７
１５）：
【化２１４３】
2004500801.tif 001292
これは、以下のアミノ酸配列（配列番号７１６；ＯＲＦ  ２０６．ｎｇ）に対応する：
【化２１４４】
2004500801.tif 001293
【化２１４５】
2004500801.tif 001294
以下の部分的なＤＮＡ配列は、Ｎ．ｍｅｎｉｎｇｉｔｉｄｉｓ中で同定された（配列番
号７１７）：
【化２１４６】
2004500801.tif 001295
これは、以下のアミノ酸配列（配列番号７１８；ＯＲＦ  ２０６）に対応する：
【化２１４７】
2004500801.tif 001296
このアミノ酸配列のコンピューター分析により、以下の結果を得た：
（Ｎ．ｇｏｎｏｒｒｈｏｅａｅ由来の推定ＯＲＦとの相同性）
ＯＲＦ２０６は、Ｎ．ｇｏｎｏｒｒｈｏｅａｅ由来の推定ＯＲＦ（ＯＲＦ  ２０６．ｎｇ
）と１７７アミノ酸にわたって９６．０％の同一性を示す：
【化２１４８】
2004500801.tif 001297
以下の部分的なＤＮＡ配列は、Ｎ．ｍｅｎｉｎｇｉｔｉｄｉｓ中で同定された（配列番
号７１９）：
【化２１４９】
2004500801.tif 001298
これは、以下のアミノ酸配列（配列番号７２０；ＯＲＦ  ２０６．ａ）に対応する：
【化２１５０】
2004500801.tif 001299
【化２１５１】
2004500801.tif 001300
以下の部分的ＤＮＡ配列は、Ｎ．ｇｏｎｏｒｒｈｏｅａｅ中で同定された（配列番号７
２１）：
【化２１５２】
2004500801.tif 001301
これは、以下のアミノ酸配列（配列番号７２２；ＯＲＦ  ２０９．ｎｇ）に対応する：
【化２１５３】
2004500801.tif 001302
以下の部分的なＤＮＡ配列は、Ｎ．ｍｅｎｉｎｇｉｔｉｄｉｓ中で同定された（配列番
号７２３）：
【化２１５４】
2004500801.tif 001303
【化２１５５】
2004500801.tif 001304
これは、以下のアミノ酸配列（配列番号７２４；ＯＲＦ  ２０９）に対応する：
【化２１５６】
2004500801.tif 001305
このアミノ酸配列のコンピューター分析により、以下の結果を得た：
（Ｎ．ｇｏｎｏｒｒｈｏｅａｅ由来の推定ＯＲＦとの相同性）
ＯＲＦ２０９は、Ｎ．ｇｏｎｏｒｒｈｏｅａｅ由来の推定ＯＲＦ（ＯＲＦ  ２０９．ｎｇ
）と２５３アミノ酸にわたって８８．５％の同一性を示す：
【化２１５７】
2004500801.tif 001306
以下の部分的なＤＮＡ配列は、Ｎ．ｍｅｎｉｎｇｉｔｉｄｉｓ中で同定された（配列番
号７２５）：
【化２１５８】
2004500801.tif 001307
【化２１５９】
2004500801.tif 001308
これは、以下のアミノ酸配列（配列番号７２６；ＯＲＦ  ２０９．ａ）に対応する：
【化２１６０】
2004500801.tif 001309
【化２１６１】
2004500801.tif 001310
以下の部分的なＤＮＡ配列は、Ｎ．ｇｏｎｏｒｒｈｏｅａｅ中で同定された（配列番号
７２７）：
【化２１６２】
2004500801.tif 001311
これは、以下のアミノ酸配列（配列番号７２８；ＯＲＦ  ２１１．ｎｇ）に対応する：
【化２１６３】
2004500801.tif 001312
以下の部分的ＤＮＡ配列は、Ｎ．ｍｅｎｉｎｇｉｔｉｄｉｓ中で同定された（配列番号
７２９）：
【化２１６４】
2004500801.tif 001313
これは、以下のアミノ酸配列（配列番号７３０；ＯＲＦ  ２１１）に対応する：
【化２１６５】
2004500801.tif 001314
このアミノ酸配列のコンピューター分析により、以下の結果を得た：
（Ｎ．ｇｏｎｏｒｒｈｏｅａｅ由来の推定ＯＲＦとの相同性）
ＯＲＦ２１１は、Ｎ．ｇｏｎｏｒｒｈｏｅａｅ由来の推定ＯＲＦ（ＯＲＦ  ２１１．ｎｇ
）と１７４アミノ酸にわたって８９．１％の同一性を示す：
【化２１６６】
2004500801.tif 001315
【化２１６７】
2004500801.tif 001316
以下の部分的なＤＮＡ配列は、Ｎ．ｍｅｎｉｎｇｉｔｉｄｉｓ中で同定された（配列番
号７３１）：
【化２１６８】
2004500801.tif 001317
これは、以下のアミノ酸配列（配列番号７３２；ＯＲＦ  ２１１．ａ）に対応する：
【化２１６９】
2004500801.tif 001318
以下の部分的ＤＮＡ配列は、Ｎ．ｇｏｎｏｒｒｈｏｅａｅ中で同定された（配列番号７
３３）：
【化２１７０】
2004500801.tif 001319
【化２１７１】
2004500801.tif 001320
これは、以下のアミノ酸配列（配列番号７３４；ＯＲＦ  ２１２．ｎｇ）に対応する：
【化２１７２】
2004500801.tif 001321
以下の部分的なＤＮＡ配列は、Ｎ．ｍｅｎｉｎｇｉｔｉｄｉｓ中で同定された（配列番
号７３５）：
【化２１７３】
2004500801.tif 001322
【化２１７４】
2004500801.tif 001323
これは、以下のアミノ酸配列（配列番号７３６；ＯＲＦ  ２１２）に対応する：
【化２１７５】
2004500801.tif 001324
このアミノ酸配列のコンピューター分析により、以下の結果を得た：
（Ｎ．ｇｏｎｏｒｒｈｏｅａｅ由来の推定ＯＲＦとの相同性）
ＯＲＦ２１２は、Ｎ．ｇｏｎｏｒｒｈｏｅａｅ由来の推定ＯＲＦ（ＯＲＦ  ２１２．ｎｇ
）と４２１アミノ酸にわたって９２．９％の同一性を示す：
【化２１７６】
2004500801.tif 001325
【化２１７７】
2004500801.tif 001326
以下の部分的なＤＮＡ配列は、Ｎ．ｍｅｎｉｎｇｉｔｉｄｉｓ中で同定された（配列番
号７３７）：
【化２１７８】
2004500801.tif 001327
これは、以下のアミノ酸配列（配列番号７３８；ＯＲＦ  ２１２．ａ）に対応する：
【化２１７９】
2004500801.tif 001328
【化２１８０】
2004500801.tif 001329
以下の部分的なＤＮＡ配列は、Ｎ．ｇｏｎｏｒｒｈｏｅａｅ中で同定された（配列番号
７３９）：
【化２１８１】
2004500801.tif 001330
これは、以下のアミノ酸配列（配列番号７４０；ＯＲＦ  ２１４．ｎｇ）に対応する：
【化２１８２】
2004500801.tif 001331
【化２１８３】
2004500801.tif 001332
以下の部分的ＤＮＡ配列は、Ｎ．ｍｅｎｉｎｇｉｔｉｄｉｓ中で同定された（配列番号
７４１）：
【化２１８４】
2004500801.tif 001333
これは、以下のアミノ酸配列（配列番号４１２；ＯＲＦ  ２１４）に対応する：
【化２１８５】
2004500801.tif 001334
このアミノ酸配列のコンピューター分析により、以下の結果を得た：
（Ｎ．ｇｏｎｏｒｒｈｏｅａｅ由来の推定ＯＲＦとの相同性）ＯＲＦ２１４は、Ｎ．ｇｏ
ｎｏｒｒｈｏｅａｅ由来の推定ＯＲＦ（ＯＲＦ２１４．ｎｇ）と１５２アミノ酸にわたっ
て８０．３％の同一性を示す：
【化２１８６】
2004500801.tif 001335
以下の部分的なＤＮＡ配列は、Ｎ．ｍｅｎｉｎｇｉｔｉｄｉｓ中で同定された（配列番
号７４３）：
【化２１８７】
2004500801.tif 001336
【化２１８８】
2004500801.tif 001337
これは、以下のアミノ酸配列（配列番号７４４；ＯＲＦ  ２１４．ａ）に対応する：
【化２１８９】
2004500801.tif 001338
以下の部分的なＤＮＡ配列は、Ｎ．ｇｏｎｏｒｒｈｏｅａｅ中で同定された（配列番号
７４５）：
【化２１９０】
2004500801.tif 001339
これは、以下のアミノ酸配列（配列番号７４６；ＯＲＦ  ２１４−１．ｎｇ）に対応す
る：
【化２１９１】
2004500801.tif 001340
以下の部分的なＤＮＡ配列は、Ｎ．ｍｅｎｉｎｇｉｔｉｄｉｓ中で同定された（配列番
号７４７）：
【化２１９２】
2004500801.tif 001341
【化２１９３】
2004500801.tif 001342
これは、以下のアミノ酸配列（配列番号７４８；ＯＲＦ  ２１４−１）に対応する：
【化２１９４】
2004500801.tif 001343
以下の部分的なＤＮＡ配列は、Ｎ．ｍｅｎｉｎｇｉｔｉｄｉｓ中で同定された（配列番
号７４９）：
【化２１９５】
2004500801.tif 001344
これは、以下のアミノ酸配列（配列番号７５０；ＯＲＦ  ２１４−１．ａ）に対応する
：
【化２１９６】
2004500801.tif 001345
【化２１９７】
2004500801.tif 001346
以下の部分的ＤＮＡ配列は、Ｎ．ｇｏｎｏｒｒｈｏｅａｅ中で同定された（配列番号７
５１）：
【化２１９８】
2004500801.tif 001347
これは、以下のアミノ酸配列（配列番号７５２；ＯＲＦ  ２１５．ｎｇ）に対応する：
【化２１９９】
2004500801.tif 001348
以下の部分的ＤＮＡ配列は、Ｎ．ｍｅｎｉｎｇｉｔｉｄｉｓ中で同定された（配列番号
７５３）：
【化２２００】
2004500801.tif 001349
これは、以下のアミノ酸配列（配列番号７５４；ＯＲＦ  ２１５）に対応する：
【化２２０１】
2004500801.tif 001350
【化２２０２】
2004500801.tif 001351
このアミノ酸配列のコンピューター分析により、以下の結果を得た：
（Ｎ．ｇｏｎｏｒｒｈｏｅａｅ由来の推定ＯＲＦとの相同性）
ＯＲＦ２１５は、Ｎ．ｇｏｎｏｒｒｈｏｅａｅ由来の推定ＯＲＦ（ＯＲＦ２１５．ｎｇ）
と１７３アミノ酸にわたって９６．０％の同一性を示す：
【化２２０３】
2004500801.tif 001352
以下の部分的なＤＮＡ配列は、Ｎ．ｍｅｎｉｎｇｉｔｉｄｉｓ中で同定された（配列番
号７５５）：
【化２２０４】
2004500801.tif 001353
これは、以下のアミノ酸配列（配列番号７５６；ＯＲＦ  ２１５．ａ）に対応する：
【化２２０５】
2004500801.tif 001354
【化２２０６】
2004500801.tif 001355
以下の部分的なＤＮＡ配列は、Ｎ．ｇｏｎｏｒｒｈｏｅａｅ中で同定された（配列番号
７５７）：
【化２２０７】
2004500801.tif 001356
これは、以下のアミノ酸配列（配列番号７５８；ＯＲＦ  ２１６．ｎｇ）に対応する：
【化２２０８】
2004500801.tif 001357
以下の部分的ＤＮＡ配列は、Ｎ．ｍｅｎｉｎｇｉｔｉｄｉｓ中で同定された（配列番号
７５９）：
【化２２０９】
2004500801.tif 001358
これは、以下のアミノ酸配列（配列番号７６０；ＯＲＦ  ２１６）に対応する：
【化２２１０】
2004500801.tif 001359
【化２２１１】
2004500801.tif 001360
このアミノ酸配列のコンピューター分析により、以下の結果を得た：
（Ｎ．ｇｏｎｏｒｒｈｏｅａｅ由来の推定ＯＲＦとの相同性）
ＯＲＦ２１６は、Ｎ．ｇｏｎｏｒｒｈｏｅａｅ由来の推定ＯＲＦ（ＯＲＦ２１６．ｎｇ）
と１４７アミノ酸にわたって９１．８％の同一性を示す：
【化２２１２】
2004500801.tif 001361
以下の部分的なＤＮＡ配列は、Ｎ．ｍｅｎｉｎｇｉｔｉｄｉｓ中で同定された（配列番
号７６１）：
【化２２１３】
2004500801.tif 001362
これは、以下のアミノ酸配列（配列番号７６２；ＯＲＦ  ２１６．ａ）に対応する：
【化２２１４】
2004500801.tif 001363
【化２２１５】
2004500801.tif 001364
以下の部分的なＤＮＡ配列は、Ｎ．ｇｏｎｏｒｒｈｏｅａｅ中で同定された（配列番号
７６３）：
【化２２１６】
2004500801.tif 001365
これは、以下のアミノ酸配列（配列番号７６４；ＯＲＦ  ２１７．ｎｇ）に対応する：
【化２２１７】
2004500801.tif 001366
【化２２１８】
2004500801.tif 001367
以下の部分的なＤＮＡ配列は、Ｎ．ｍｅｎｉｎｇｉｔｉｄｉｓ中で同定された（配列番
号７６５）：
【化２２１９】
2004500801.tif 001368
これは、以下のアミノ酸配列（配列番号７６６；ＯＲＦ  ２１７）に対応する：
【化２２２０】
2004500801.tif 001369
このアミノ酸配列のコンピューター分析により、以下の結果を得た：
（Ｎ．ｇｏｎｏｒｒｈｏｅａｅ由来の推定ＯＲＦとの相同性）
ＯＲＦ２１７は、Ｎ．ｇｏｎｏｒｒｈｏｅａｅ由来の推定ＯＲＦ（ＯＲＦ２１７．ｎｇ）
と２２６アミノ酸重複にわたって８０．５％の同一性を示す：
【化２２２１】
2004500801.tif 001370
以下の部分的なＤＮＡ配列は、Ｎ．ｍｅｎｉｎｇｉｔｉｄｉｓ中で同定された（配列番
号７６７）：
【化２２２２】
2004500801.tif 001371
【化２２２３】
2004500801.tif 001372
これは、以下のアミノ酸配列（配列番号７６８；ＯＲＦ  ２１７．ａ）に対応する：
【化２２２４】
2004500801.tif 001373
以下の部分的ＤＮＡ配列は、Ｎ．ｇｏｎｏｒｒｈｏｅａｅ中で同定された（配列番号７
６９）：
【化２２２５】
2004500801.tif 001374
これは、以下のアミノ酸配列（配列番号７７０；ＯＲＦ  ２１８．ｎｇ）に対応する：
【化２２２６】
2004500801.tif 001375
【化２２２７】
2004500801.tif 001376
以下の部分的なＤＮＡ配列は、Ｎ．ｍｅｎｉｎｇｉｔｉｄｉｓ中で同定された（配列番
号７７１）：
【化２２２８】
2004500801.tif 001377
これは、以下のアミノ酸配列（配列番号７７２；ＯＲＦ  ２１８）に対応する：
【化２２２９】
2004500801.tif 001378
このアミノ酸配列のコンピューター分析により、以下の結果を得た：
（Ｎ．ｇｏｎｏｒｒｈｏｅａｅ由来の推定ＯＲＦとの相同性）
ＯＲＦ２１８は、Ｎ．ｇｏｎｏｒｒｈｏｅａｅ由来の推定ＯＲＦ（ＯＲＦ２１８．ｎｇ）
と２１８アミノ酸にわたって８７．２％の同一性を示す：
【化２２３０】
2004500801.tif 001379
以下の部分的ＤＮＡ配列は、Ｎ．ｍｅｎｉｎｇｉｔｉｄｉｓ中で同定された（配列番号
７７３）：
【化２２３１】
2004500801.tif 001380
これは、以下のアミノ酸配列（配列番号７７４；ＯＲＦ  ２１８．ａ）に対応する：
【化２２３２】
2004500801.tif 001381
以下の部分的なＤＮＡ配列は、Ｎ．ｇｏｎｏｒｒｈｏｅａｅ中で同定された（配列番号
７７５）：
【化２２３３】
2004500801.tif 001382
これは、以下のアミノ酸配列（配列番号７７６；ＯＲＦ  ２１９．ｎｇ）に対応する：
【化２２３４】
2004500801.tif 001383
以下の部分的なＤＮＡ配列は、Ｎ．ｍｅｎｉｎｇｉｔｉｄｉｓ中で同定された（配列番
号７７７）：
【化２２３５】
2004500801.tif 001384
これは、以下のアミノ酸配列（配列番号７７８；ＯＲＦ  ２１９）に対応する：
【化２２３６】
2004500801.tif 001385
このアミノ酸配列のコンピューター分析により、以下の結果を得た：
（Ｎ．ｇｏｎｏｒｒｈｏｅａｅ由来の推定ＯＲＦと相同性）
ＯＲＦ２１９は、Ｎ．ｇｏｎｏｒｒｈｏｅａｅ由来の推定ＯＲＦ（ＯＲＦ  ２１９．ｎｇ
）と２１３アミノ酸にわたって８６．９％の同一性を示す：
【化２２３７】
2004500801.tif 001386
【化２２３８】
2004500801.tif 001387
以下の部分的なＤＮＡ配列は、Ｎ．ｍｅｎｉｎｇｉｔｉｄｉｓ中で同定された（配列番
号７７９）：
【化２２３９】
2004500801.tif 001388
これは、以下のアミノ酸配列（配列番号７８０；ＯＲＦ  ２１９．ａ）に対応する：
【化２２４０】
2004500801.tif 001389
以下の部分的ＤＮＡ配列は、Ｎ．ｇｏｎｏｒｒｈｏｅａｅ中で同定された（配列番号７
８１）：
【化２２４１】
2004500801.tif 001390
これは、以下のアミノ酸配列（配列番号７８２；ＯＲＦ  ２２１．ｎｇ）に対応する：
【化２２４２】
2004500801.tif 001391
以下の部分的なＤＮＡ配列は、Ｎ．ｍｅｎｉｎｇｉｔｉｄｉｓ中で同定された（配列番
号７８３）：
【化２２４３】
2004500801.tif 001392
これは、以下のアミノ酸配列（配列番号７８４；ＯＲＦ  ２２１）に対応する：
【化２２４４】
2004500801.tif 001393
このアミノ酸配列のコンピューター分析により、以下の結果を得た：
（Ｎ．ｇｏｎｏｒｒｈｏｅａｅ由来の推定ＯＲＦとの相同性）
ＯＲＦ２２１は、Ｎ．ｇｏｎｏｒｒｈｏｅａｅ由来の推定ＯＲＦ（ＯＲＦ  ２２１．ｎｇ
）と１７０アミノ酸にわたって８７．６％の同一性を示す：
【化２２４５】
2004500801.tif 001394
【化２２４６】
2004500801.tif 001395
以下の部分的なＤＮＡ配列は、Ｎ．ｍｅｎｉｎｇｉｔｉｄｉｓ中で同定された（配列番
号７８５）：
【化２２４７】
2004500801.tif 001396
これは、以下のアミノ酸配列（配列番号７８６；ＯＲＦ  ２２１．ａ）に対応する：
【化２２４８】
2004500801.tif 001397
以下の部分的なＤＮＡ配列は、Ｎ．ｇｏｎｏｒｒｈｏｅａｅ中で同定された（配列番号
７８７）：
【化２２４９】
2004500801.tif 001398
これは、以下のアミノ酸配列（配列番号７８８；ＯＲＦ  ２２３．ｎｇ）に対応する：
【化２２５０】
2004500801.tif 001399
【化２２５１】
2004500801.tif 001400
以下の部分的ＤＮＡ配列は、Ｎ．ｍｅｎｉｎｇｉｔｉｄｉｓ中で同定された（配列番号
７８９）：
【化２２５２】
2004500801.tif 001401
これは、以下のアミノ酸配列（配列番号７９０；ＯＲＦ  ２２３）に対応する：
【化２２５３】
2004500801.tif 001402
このアミノ酸配列のコンピューター分析により、以下の結果を得た：
（Ｎ．ｇｏｎｏｒｒｈｏｅａｅ由来の推定ＯＲＦとの相同性）
ＯＲＦ２２３は、Ｎ．ｇｏｎｏｒｒｈｏｅａｅ由来の推定ＯＲＦ（ＯＲＦ２２３．ｎｇ）
と１１９アミノ酸にわたって８０．７％の同一性を示す：
【化２２５４】
2004500801.tif 001403
以下の部分的なＤＮＡ配列は、Ｎ．ｍｅｎｉｎｇｉｔｉｄｉｓ中で同定された（配列番
号７９１）：
【化２２５５】
2004500801.tif 001404
これは、以下のアミノ酸配列（配列番号７９２；ＯＲＦ  ２２３．ａ）に対応する：
【化２２５６】
2004500801.tif 001405
【化２２５７】
2004500801.tif 001406
以下の部分的ＤＮＡ配列は、Ｎ．ｇｏｎｏｒｒｈｏｅａｅ中で同定された（配列番号７
９３）：
【化２２５８】
2004500801.tif 001407
これは、以下のアミノ酸配列（配列番号７９４；ＯＲＦ  ２２５．ｎｇ）に対応する：
【化２２５９】
2004500801.tif 001408
以下の部分的なＤＮＡ配列は、Ｎ．ｍｅｎｉｎｇｉｔｉｄｉｓ中で同定された（配列番
号７９５）：
【化２２６０】
2004500801.tif 001409
これは、以下のアミノ酸配列（配列番号７９６；ＯＲＦ  ２２５）に対応する：
【化２２６１】
2004500801.tif 001410
このアミノ酸配列のコンピューター分析により、以下の結果を得た：
（Ｎ．ｇｏｎｏｒｒｈｏｅａｅ由来の推定ＯＲＦとの相同性）
ＯＲＦ２２５は、Ｎ．ｇｏｎｏｒｒｈｏｅａｅ由来の推定ＯＲＦ（ＯＲＦ  ２２．５．ｎ
ｇ）と２４８アミノ酸重複にわたって８３．５％の同一性を示す：
【化２２６２】
2004500801.tif 001411
【化２２６３】
2004500801.tif 001412
以下の部分的なＤＮＡ配列は、Ｎ．ｍｅｎｉｎｇｉｔｉｄｉｓ中で同定された（配列番
号７９７）：
【化２２６４】
2004500801.tif 001413
これは、以下のアミノ酸配列（配列番号７９８；ＯＲＦ  ２２５．ａ）に対応する：
【化２２６５】
2004500801.tif 001414
【化２２６６】
2004500801.tif 001415
以下の部分的ＤＮＡ配列は、Ｎ．ｇｏｎｏｒｒｈｏｅａｅ中で同定された（配列番号７
９９）：
【化２２６７】
2004500801.tif 001416
これは、以下のアミノ酸配列（配列番号８００；ＯＲＦ  ２２５−１．ｎｇ）に対応す
る：
【化２２６８】
2004500801.tif 001417
以下の部分的なＤＮＡ配列は、Ｎ．ｍｅｎｉｎｇｉｔｉｄｉｓ中で同定された（配列番
号８０１）：
【化２２６９】
2004500801.tif 001418
これは、以下のアミノ酸配列（配列番号８０２；ＯＲＦ  ２１７）に対応する：
【化２２７０】
2004500801.tif 001419
以下の部分的なＤＮＡ配列は、Ｎ．ｍｅｎｉｎｇｉｔｉｄｉｓ中で同定された（配列番
号８０３）：
【化２２７１】
2004500801.tif 001420
これは、以下のアミノ酸配列（配列番号８０４；ＯＲＦ  ２２５−１．ａ）に対応する
：
【化２２７２】
2004500801.tif 001421
【化２２７３】
2004500801.tif 001422
以下の部分的なＤＮＡ配列は、Ｎ．ｇｏｎｏｒｒｈｏｅａｅ中で同定された（配列番号
８０５）：
【化２２７４】
2004500801.tif 001423
これは、以下のアミノ酸配列（配列番号８０６；ＯＲＦ  ２２６．ｎｇ）に対応する：
【化２２７５】
2004500801.tif 001424
以下の部分的なＤＮＡ配列は、Ｎ．ｍｅｎｉｎｇｉｔｉｄｉｓ中で同定された（配列番
号８０７）：
【化２２７６】
2004500801.tif 001425
【化２２７７】
2004500801.tif 001426
これは、以下のアミノ酸配列（配列番号８０８；ＯＲＦ  ２２６）に対応する：
【化２２７８】
2004500801.tif 001427
このアミノ酸配列のコンピューター分析により、以下の結果を得た：
（Ｎ．ｇｏｎｏｒｒｈｏｅａｅ由来の推定ＯＲＦとの相同性）
ＯＲＦ２２６は、Ｎ．ｇｏｎｏｒｒｈｏｅａｅ由来の推定ＯＲＦ（ＯＲＦ  ２２６．ｎｇ
）と１２１アミノ酸重複にわたって９４．２％の同一性を示す：
【化２２７９】
2004500801.tif 001428
以下の部分的なＤＮＡ配列は、Ｎ．ｍｅｎｉｎｇｉｔｉｄｉｓ中で同定された（配列番
号８０９）：
【化２２８０】
2004500801.tif 001429
これは、以下のアミノ酸配列（配列番号８１０；ＯＲＦ  ２２６．ａ）に対応する：
【化２２８１】
2004500801.tif 001430
【化２２８２】
2004500801.tif 001431
以下の部分的ＤＮＡ配列は、Ｎ．ｇｏｎｏｒｒｈｏｅａｅ中で同定された（配列番号８
１１）：
【化２２８３】
2004500801.tif 001432
これは、以下のアミノ酸配列（配列番号８１２；ＯＲＦ  ２２７．ｎｇ）に対応する：
【化２２８４】
2004500801.tif 001433
以下の部分的なＤＮＡ配列は、Ｎ．ｍｅｎｉｎｇｉｔｉｄｉｓ中で同定された（配列番
号８１３）：
【化２２８５】
2004500801.tif 001434
これは、以下のアミノ酸配列（配列番号８１４；ＯＲＦ  ２２７）に対応する：
【化２２８６】
2004500801.tif 001435
このアミノ酸配列のコンピューター分析により、以下の結果を得た：
（Ｎ．ｇｏｎｏｒｒｈｏｅａｅ由来の推定ＯＲＦとの相同性）
ＯＲＦ２２７は、Ｎ．ｇｏｎｏｒｒｈｏｅａｅ由来の推定ＯＲＦ（ＯＲＦ  ２２７．ｎｇ
）と６６アミノ酸にわたって９５．５％の同一性を示す：
【化２２８７】
2004500801.tif 001436
【化２２８８】
2004500801.tif 001437
以下の部分的なＤＮＡ配列は、Ｎ．ｍｅｎｉｎｇｉｔｉｄｉｓ中で同定された（配列番
号８１５）：
【化２２８９】
2004500801.tif 001438
これは、以下のアミノ酸配列（配列番号８１６；ＯＲＦ  ２２７．ａ）に対応する：
【化２２９０】
2004500801.tif 001439
以下の部分的なＤＮＡ配列は、Ｎ．ｍｅｎｉｎｇｉｔｉｄｉｓ中で同定された（配列番
号８１７）：
【化２２９１】
2004500801.tif 001440
これは、以下のアミノ酸配列（配列番号８１８；ＯＲＦ  ２２８）に対応する：
【化２２９２】
2004500801.tif 001441
このアミノ酸配列のコンピューター分析により、以下の結果を得た：
以下の部分的なＤＮＡ配列は、Ｎ．ｍｅｎｉｎｇｉｔｉｄｉｓ中で同定された（配列番
号８１９）：
【化２２９３】
2004500801.tif 001442
これは、以下のアミノ酸配列（配列番号８２０；ＯＲＦ  ２２８．ａ）に対応する：
【化２２９４】
2004500801.tif 001443
以下の部分的なＤＮＡ配列は、Ｎ．ｇｏｎｏｒｒｈｏｅａｅ中で同定された（配列番号
８２１）：
【化２２９５】
2004500801.tif 001444
これは、以下のアミノ酸配列（配列番号８２２；ＯＲＦ  ２２９．ｎｇ）に対応する：
【化２２９６】
2004500801.tif 001445
以下の部分的なＤＮＡ配列は、Ｎ．ｍｅｎｉｎｇｉｔｉｄｉｓ中で同定された（配列番
号８２３）：
【化２２９７】
2004500801.tif 001446
これは、以下のアミノ酸配列（配列番号８２４；ＯＲＦ  ２２９）に対応する：
【化２２９８】
2004500801.tif 001447
このアミノ酸配列のコンピューター分析により、以下の結果を得た：
（Ｎ．ｇｏｎｏｒｒｈｏｅａｅ由来の推定ＯＲＦとの相同性）
ＯＲＦ２２９は、Ｎ．ｇｏｎｏｒｒｈｏｅａｅ由来の推定ＯＲＦ（ＯＲＦ２２９．ｎｇ）
と１６９アミノ酸にわたって８０．５％の同一性を示す：
【化２２９９】
2004500801.tif 001448
以下の部分的なＤＮＡ配列は、Ｎ．ｍｅｎｉｎｇｉｔｉｄｉｓ中で同定された（配列番
号８２５）：
【化２３００】
2004500801.tif 001449
これは、以下のアミノ酸配列（配列番号８２６；ＯＲＦ  ２２９．ａ）に対応する：
【化２３０１】
2004500801.tif 001450
【化２３０２】
2004500801.tif 001451
以下の部分的なＤＮＡ配列は、Ｎ．ｇｏｎｏｒｒｈｏｅａｅ中で同定された（配列番号
８２７）：
【化２３０３】
2004500801.tif 001452
これは、以下のアミノ酸配列（配列番号８２８；ＯＲＦ  ２３０．ｎｇ）に対応する：
【化２３０４】
2004500801.tif 001453
以下の部分的なＤＮＡ配列は、Ｎ．ｍｅｎｉｎｇｉｔｉｄｉｓ中で同定された（配列番
号８２９）：
【化２３０５】
2004500801.tif 001454
【化２３０６】
2004500801.tif 001455
これは、以下のアミノ酸配列（配列番号８３０；ＯＲＦ  ２３０）に対応する：
【化２３０７】
2004500801.tif 001456
このアミノ酸配列のコンピューター分析により、以下の結果を得た：
（Ｎ．ｇｏｎｏｒｒｈｏｅａｅ由来の推定ＯＲＦとの相同性）
ＯＲＦ２２１は、Ｎ．ｇｏｎｏｒｒｈｏｅａｅ由来の推定ＯＲＦ（ＯＲＦ  ２３０．ｎｇ
）と３８６アミノ酸にわたって９５．９％の同一性を示す：
【化２３０８】
2004500801.tif 001457
【化２３０９】
2004500801.tif 001458
以下の部分的なＤＮＡ配列は、Ｎ．ｍｅｎｉｎｇｉｔｉｄｉｓ中で同定された（配列番
号８３１）：
【化２３１０】
2004500801.tif 001459
これは、以下のアミノ酸配列（配列番号８３２；ＯＲＦ  ２３０．ａ）に対応する：
【化２３１１】
2004500801.tif 001460
【化２３１２】
2004500801.tif 001461
以下の部分的なＤＮＡ配列は、Ｎ．ｇｏｎｏｒｒｈｏｅａｅ中で同定された（配列番号
８３３）：
【化２３１３】
2004500801.tif 001462
これは、以下のアミノ酸配列（配列番号８３４；ＯＲＦ  ２３０．１．ｎｇ）に対応す
る：
【化２３１４】
2004500801.tif 001463
【化２３１５】
2004500801.tif 001464
以下の部分的ＤＮＡ配列は、Ｎ．ｍｅｎｉｎｇｉｔｉｄｉｓ中で同定された（配列番号
８３５）：
【化２３１６】
2004500801.tif 001465
これは、以下のアミノ酸配列（配列番号８３６；ＯＲＦ  ２３０−１）に対応する：
【化２３１７】
2004500801.tif 001466
【化２３１８】
2004500801.tif 001467
以下の部分的なＤＮＡ配列は、Ｎ．ｍｅｎｉｎｇｉｔｉｄｉｓ中で同定された（配列番
号８３７）：
【化２３１９】
2004500801.tif 001468
これは、以下のアミノ酸配列（配列番号８３８；ＯＲＦ  ２３０−１．ａ）に対応する
：
【化２３２０】
2004500801.tif 001469
以下の部分的ＤＮＡ配列は、Ｎ．ｇｏｎｏｒｒｈｏｅａｅ中で同定された（配列番号８
３９）：
【化２３２１】
2004500801.tif 001470
これは、以下のアミノ酸配列（配列番号８４０；ＯＲＦ  ２３１．ｎｇ）に対応する：
【化２３２２】
2004500801.tif 001471
以下の部分的なＤＮＡ配列は、Ｎ．ｍｅｎｉｎｇｉｔｉｄｉｓ中で同定された（配列番
号８４１）：
【化２３２３】
2004500801.tif 001472
これは、以下のアミノ酸配列（配列番号８４２；ＯＲＦ  ２３１）に対応する：
【化２３２４】
2004500801.tif 001473
このアミノ酸配列のコンピューター分析により、以下の結果を得た：
（Ｎ．ｇｏｎｏｒｒｈｏｅａｅ由来の推定ＯＲＦとの相同性）
ＯＲＦ２３１は、Ｎ．ｇｏｎｏｒｒｈｏｅａｅ由来の推定ＯＲＦ（ＯＲＦ  ２３１．ｎｇ
）と７３アミノ酸重複にわたって９８．６％の同一性を示す：
【化２３２５】
2004500801.tif 001474
以下の部分的なＤＮＡ配列は、Ｎ．ｍｅｎｉｎｇｉｔｉｄｉｓ中で同定された（配列番
号８４３）：
【化２３２６】
2004500801.tif 001475
これは、以下のアミノ酸配列（配列番号８４４；ＯＲＦ  ２１７．ａ）に対応する：
【化２３２７】
2004500801.tif 001476
以下の部分的ＤＮＡ配列は、Ｎ．ｇｏｎｏｒｒｈｏｅａｅ中で同定された（配列番号８
４５）：
【化２３２８】
2004500801.tif 001477
これは、以下のアミノ酸配列（配列番号８４６；ＯＲＦ  ２３１−１．ｎｇ）に対応す
る：
【化２３２９】
2004500801.tif 001478
【化２３３０】
2004500801.tif 001479
以下の部分的なＤＮＡ配列は、Ｎ．ｍｅｎｉｎｇｉｔｉｄｉｓ中で同定された（配列番
号８４７）：
【化２３３１】
2004500801.tif 001480
これは、以下のアミノ酸配列（配列番号８４８；ＯＲＦ  ２３１−１）に対応する：
【化２３３２】
2004500801.tif 001481
以下の部分的なＤＮＡ配列は、Ｎ．ｍｅｎｉｎｇｉｔｉｄｉｓ中で同定された（配列番
号８４９）：
【化２３３３】
2004500801.tif 001482
【化２３３４】
2004500801.tif 001483
これは、以下のアミノ酸配列（配列番号８５０；ＯＲＦ  ２３１−１．ａ）に対応する
：
【化２３３５】
2004500801.tif 001484
以下の部分的なＤＮＡ配列は、Ｎ．ｇｏｎｏｒｒｈｏｅａｅ中で同定された（配列番号
８５１）：
【化２３３６】
2004500801.tif 001485
【化２３３７】
2004500801.tif 001486
これは、以下のアミノ酸配列（配列番号８５２；ＯＲＦ  ２３２．ｎｇ）に対応する：
【化２３３８】
2004500801.tif 001487
以下の部分的なＤＮＡ配列は、Ｎ．ｍｅｎｉｎｇｉｔｉｄｉｓ中で同定された（配列番
号８５３）：
【化２３３９】
2004500801.tif 001488
これは、以下のアミノ酸配列（配列番号８５４；ＯＲＦ  ２３２）に対応する：
【化２３４０】
2004500801.tif 001489
このアミノ酸配列のコンピューター分析により、以下の結果を得た：
（Ｎ．ｇｏｎｏｒｒｈｏｅａｅ由来の推定ＯＲＦとの相同性）
ＯＲＦ２３２は、Ｎ．ｇｏｎｏｒｒｈｏｅａｅ由来の推定ＯＲＦ（ＯＲＦ  ２３２．ｎｇ
）と２９０アミノ酸重複にわたって９４．１％の同一性を示す：
【化２３４１】
2004500801.tif 001490
【化２３４２】
2004500801.tif 001491
以下の部分的なＤＮＡ配列は、Ｎ．ｍｅｎｉｎｇｉｔｉｄｉｓ中で同定された（配列番
号８５５）：
【化２３４３】
2004500801.tif 001492
これは、以下のアミノ酸配列（配列番号８５６；ＯＲＦ  ２３２．ａ）に対応する：
【化２３４４】
2004500801.tif 001493
【化２３４５】
2004500801.tif 001494
以下の部分的ＤＮＡ配列は、Ｎ．ｇｏｎｏｒｒｈｏｅａｅ中で同定された（配列番号８
５７）：
【化２３４６】
2004500801.tif 001495
これは、以下のアミノ酸配列（配列番号８５８；ＯＲＦ  ２３３．ｎｇ）に対応する：
【化２３４７】
2004500801.tif 001496
【化２３４８】
2004500801.tif 001497
以下の部分的なＤＮＡ配列は、Ｎ．ｍｅｎｉｎｇｉｔｉｄｉｓ中で同定された（配列番
号８５９）：
【化２３４９】
2004500801.tif 001498
これは、以下のアミノ酸配列（配列番号８６０；ＯＲＦ  ２３３）に対応する：
【化２３５０】
2004500801.tif 001499
このアミノ酸配列のコンピューター分析により、以下の結果を得た：
（Ｎ．ｇｏｎｏｒｒｈｏｅａｅ由来の推定ＯＲＦとの相同性）
ＯＲＦ２３３は、Ｎ．ｇｏｎｏｒｒｈｏｅａｅ由来の推定ＯＲＦ（ＯＲＦ  ２３３．ｎｇ
）と１５２アミノ酸にわたって９３．４％の同一性を示す：
【化２３５１】
2004500801.tif 001500
以下の部分的なＤＮＡ配列は、Ｎ．ｍｅｎｉｎｇｉｔｉｄｉｓ中で同定された（配列番
号８６１）：
【化２３５２】
2004500801.tif 001501
これは、以下のアミノ酸配列（配列番号８６２；ＯＲＦ  ２３３．ａ）に対応する：
【化２３５３】
2004500801.tif 001502
以下の部分的なＤＮＡ配列は、Ｎ．ｇｏｎｏｒｒｈｏｅａｅ中で同定された（配列番号
８６３）：
【化２３５４】
2004500801.tif 001503
これは、以下のアミノ酸配列（配列番号８６４；ＯＲＦ  ２３４．ｎｇ）に対応する：
【化２３５５】
2004500801.tif 001504
以下の部分的なＤＮＡ配列は、Ｎ．ｍｅｎｉｎｇｉｔｉｄｉｓ中で同定された（配列番
号８６５）：
【化２３５６】
2004500801.tif 001505
これは、以下のアミノ酸配列（配列番号８６６；ＯＲＦ  ２３４）に対応する：
【化２３５７】
2004500801.tif 001506
このアミノ酸配列のコンピューター分析により、以下の結果を得た：
（Ｎ．ｇｏｎｏｒｒｈｏｅａｅ由来の推定ＯＲＦとの相同性）
ＯＲＦ２３４は、Ｎ．ｇｏｎｏｒｒｈｏｅａｅ由来の推定ＯＲＦ（ＯＲＦ２３４．ｎｇ）
と５４アミノ酸にわたって９４．４％の同一性を示す：
【化２３５８】
2004500801.tif 001507
以下の部分的なＤＮＡ配列は、Ｎ．ｇｏｎｏｒｒｈｏｅａｅ中で同定された（配列番号
８６７）：
【化２３５９】
2004500801.tif 001508
これは、以下のアミノ酸配列（配列番号８６８；ＯＲＦ  ２３４．ａ）に対応する：
【化２３６０】
2004500801.tif 001509
以下の部分的なＤＮＡ配列は、Ｎ．ｍｅｎｉｎｇｉｔｉｄｉｓ中で同定された（配列番
号８６９）：
【化２３６１】
2004500801.tif 001510
【化２３６２】
2004500801.tif 001511
これは、以下のアミノ酸配列（配列番号８７０；ＯＲＦ  ２３５．ｎｇ）に対応する：
【化２３６３】
2004500801.tif 001512
以下の部分的なＤＮＡ配列は、Ｎ．ｍｅｎｉｎｇｉｔｉｄｉｓ中で同定された（配列番
号８７１）
【化２３６４】
2004500801.tif 001513
これは、以下のアミノ酸配列（配列番号８７２；ＯＲＦ  ２３５）に対応する：
【化２３６５】
2004500801.tif 001514
このアミノ酸配列のコンピューター分析により、以下の結果を得た：
（Ｎ．ｇｏｎｏｒｒｈｏｅａｅ由来の推定ＯＲＦと相同性）
ＯＲＦ２３５は、Ｎ．ｇｏｎｏｒｒｈｏｅａｅ由来の推定ＯＲＦ（ＯＲＦ  ２３５．ｎｇ
）と２１５アミノ酸にわたって９６．７％の同一性を示す：
【化２３６６】
2004500801.tif 001515
【化２３６７】
2004500801.tif 001516
以下の部分的ＤＮＡ配列は、Ｎ．ｍｅｎｉｎｇｉｔｉｄｉｓ中で同定された（配列番号
８７３）：
【化２３６８】
2004500801.tif 001517
これは、以下のアミノ酸配列（配列番号８７４；ＯＲＦ  ２３５．ａ）に対応する：
【化２３６９】
2004500801.tif 001518
以下の部分的なＤＮＡ配列は、Ｎ．ｇｏｎｏｒｒｈｏｅａｅ中で同定された（配列番号
８７５）：
【化２３７０】
2004500801.tif 001519
【化２３７１】
2004500801.tif 001520
これは、以下のアミノ酸配列（配列番号８７６；ＯＲＦ  ２３６．ｎｇ）に対応する：
【化２３７２】
2004500801.tif 001521
以下の部分的なＤＮＡ配列は、Ｎ．ｍｅｎｉｎｇｉｔｉｄｉｓ中で同定された（配列番
号８７７）：
【化２３７３】
2004500801.tif 001522
これは、以下のアミノ酸配列（配列番号８７８；ＯＲＦ  ２３６）に対応する：
【化２３７４】
2004500801.tif 001523
このアミノ酸配列のコンピューター分析により、以下の結果を得た：
（Ｎ．ｇｏｎｏｒｒｈｏｅａｅ由来の推定ＯＲＦとの相同性）
ＯＲＦ２３６は、Ｎ．ｇｏｎｏｒｒｈｏｅａｅ由来の推定ＯＲＦ（ＯＲＦ２３６．ｎｇ）
と２５８アミノ酸にわたって８２．９％の同一性を示す：
【化２３７５】
2004500801.tif 001524
【化２３７６】
2004500801.tif 001525
以下の部分的なＤＮＡ配列は、Ｎ．ｍｅｎｉｎｇｉｔｉｄｉｓ中で同定された（配列番
号８７９）：
【化２３７７】
2004500801.tif 001526
これは、以下のアミノ酸配列（配列番号８８０；ＯＲＦ  ２３６．ａ）に対応する：
【化２３７８】
2004500801.tif 001527
【化２３７９】
2004500801.tif 001528
以下の部分的ＤＮＡ配列は、Ｎ．ｇｏｎｏｒｒｈｏｅａｅ中で同定された（配列番号８
８１）：
【化２３８０】
2004500801.tif 001529
これは、以下のアミノ酸配列（配列番号８８２；ＯＲＦ  ２３７．ｎｇ）に対応する：
【化２３８１】
2004500801.tif 001530
【化２３８２】
2004500801.tif 001531
以下の部分的なＤＮＡ配列は、Ｎ．ｍｅｎｉｎｇｉｔｉｄｉｓ中で同定された（配列番
号８８３）：
【化２３８３】
2004500801.tif 001532
これは、以下のアミノ酸配列（配列番号８８４；ＯＲＦ  ２３７）に対応する：
【化２３８４】
2004500801.tif 001533
このアミノ酸配列のコンピューター分析により、以下の結果を得た：
（Ｎ．ｇｏｎｏｒｒｈｏｅａｅ由来の推定ＯＲＦとの相同性）
ＯＲＦ２３７は、Ｎ．ｇｏｎｏｒｒｈｏｅａｅ由来の推定ＯＲＦ（ＯＲＦ  ２３７．ｎｇ
）と３８２アミノ酸重複にわたって８６．１％の同一性を示す：
【化２３８５】
2004500801.tif 001534
【化２３８６】
2004500801.tif 001535
以下の部分的なＤＮＡ配列は、Ｎ．ｍｅｎｉｎｇｉｔｉｄｉｓ中で同定された（配列番
号８８５）：
【化２３８７】
2004500801.tif 001536
これは、以下のアミノ酸配列（配列番号８８６；ＯＲＦ  ２３７．ａ）に対応する：
【化２３８８】
2004500801.tif 001537
【化２３８９】
2004500801.tif 001538
以下の部分的ＤＮＡ配列は、Ｎ．ｇｏｎｏｒｒｈｏｅａｅ中で同定された（配列番号８
８７）：
【化２３９０】
2004500801.tif 001539
【化２３９１】
2004500801.tif 001540
これは、以下のアミノ酸配列（配列番号８８８；ＯＲＦ  ２３８．ｎｇ）に対応する：
【化２３９２】
2004500801.tif 001541
以下の部分的なＤＮＡ配列は、Ｎ．ｍｅｎｉｎｇｉｔｉｄｉｓ中で同定された（配列番
号８８９）：
【化２３９３】
2004500801.tif 001542
これは、以下のアミノ酸配列（配列番号８９０；ＯＲＦ  ２３８）に対応する：
【化２３９４】
2004500801.tif 001543
【化２３９５】
2004500801.tif 001544
このアミノ酸配列のコンピューター分析により、以下の結果を得た：
（Ｎ．ｇｏｎｏｒｒｈｏｅａｅ由来の推定ＯＲＦとの相同性）
ＯＲＦ２３８は、Ｎ．ｇｏｎｏｒｒｈｏｅａｅ由来の推定ＯＲＦ（ＯＲＦ  ２３８．ｎｇ
）と４０１アミノ酸重複にわたって８６．０％の同一性を示す：
【化２３９６】
2004500801.tif 001545
以下の部分的なＤＮＡ配列は、Ｎ．ｍｅｎｉｎｇｉｔｉｄｉｓ中で同定された（配列番
号８９１）：
【化２３９７】
2004500801.tif 001546
これは、以下のアミノ酸配列（配列番号８９２；ＯＲＦ  ２３８．ａ）に対応する：
【化２３９８】
2004500801.tif 001547
【化２３９９】
2004500801.tif 001548
以下の部分的ＤＮＡ配列は、Ｎ．ｇｏｎｏｒｒｈｏｅａｅ中で同定された（配列番号８
９３）：
【化２４００】
2004500801.tif 001549
これは、以下のアミノ酸配列（配列番号８９４；ＯＲＦ  ２３９．ｎｇ）に対応する：
【化２４０１】
2004500801.tif 001550
以下の部分的なＤＮＡ配列は、Ｎ．ｍｅｎｉｎｇｉｔｉｄｉｓ中で同定された（配列番
号８９５）：
【化２４０２】
2004500801.tif 001551
これは、以下のアミノ酸配列（配列番号８９６；ＯＲＦ  ２３９）に対応する：
【化２４０３】
2004500801.tif 001552
このアミノ酸配列のコンピューター分析により、以下の結果を得た：
（Ｎ．ｇｏｎｏｒｒｈｏｅａｅ由来の推定ＯＲＦとの相同性）
ＯＲＦ２３９は、Ｎ．ｇｏｎｏｒｒｈｏｅａｅ由来の推定ＯＲＦ（ＯＲＦ  ２３９．ｎｇ
）と２５５アミノ酸にわたって９３．７％の同一性を示す：
【化２４０４】
2004500801.tif 001553
以下の部分的なＤＮＡ配列は、Ｎ．ｍｅｎｉｎｇｉｔｉｄｉｓ中で同定された（配列番
号８９７）：
【化２４０５】
2004500801.tif 001554
これは、以下のアミノ酸配列（配列番号８９８；ＯＲＦ  ２３９．ａ）に対応する：
【化２４０６】
2004500801.tif 001555
以下の部分的なＤＮＡ配列は、Ｎ．ｇｏｎｏｒｒｈｏｅａｅ中で同定された（配列番号
８９９）：
【化２４０７】
2004500801.tif 001556
これは、以下のアミノ酸配列（配列番号９００；ＯＲＦ  ２４０．ｎｇ）に対応する：
【化２４０８】
2004500801.tif 001557
【化２４０９】
2004500801.tif 001558
以下の部分的なＤＮＡ配列は、Ｎ．ｍｅｎｉｎｇｉｔｉｄｉｓ中で同定された（配列番
号９０１）：
【化２４１０】
2004500801.tif 001559
これは、以下のアミノ酸配列（配列番号９０２；ＯＲＦ  ２４０）に対応する：
【化２４１１】
2004500801.tif 001560
このアミノ酸配列のコンピューター分析により、以下の結果を得た：
（Ｎ．ｇｏｎｏｒｒｈｏｅａｅ由来の推定ＯＲＦとの相同性）
ＯＲＦ２４０は、Ｎ．ｇｏｎｏｒｒｈｏｅａｅ由来の推定ＯＲＦ（ＯＲＦ２４０．ｎｇ）
と２２０アミノ酸にわたって９４．５％の同一性を示す：
【化２４１２】
2004500801.tif 001561
以下の部分的なＤＮＡ配列は、Ｎ．ｍｅｎｉｎｇｉｔｉｄｉｓ中で同定された（配列番
号９０３）：
【化２４１３】
2004500801.tif 001562
【化２４１４】
2004500801.tif 001563
これは、以下のアミノ酸配列（配列番号９０４；ＯＲＦ  ２４０．ａ）に対応する：
【化２４１５】
2004500801.tif 001564
以下の部分的なＤＮＡ配列は、Ｎ．ｇｏｎｏｒｒｈｏｅａｅ中で同定された（配列番号
９０５）：
【化２４１６】
2004500801.tif 001565
これは、以下のアミノ酸配列（配列番号９０６；ＯＲＦ  ２４１．ｎｇ）に対応する：
【化２４１７】
2004500801.tif 001566
【化２４１８】
2004500801.tif 001567
以下の部分的なＤＮＡ配列は、Ｎ．ｍｅｎｉｎｇｉｔｉｄｉｓ中で同定された（配列番
号９０７）：
【化２４１９】
2004500801.tif 001568
これは、以下のアミノ酸配列（配列番号９０８；ＯＲＦ  ２４１）に対応する：
【化２４２０】
2004500801.tif 001569
このアミノ酸配列のコンピューター分析により、以下の結果を得た：
（Ｎ．ｇｏｎｏｒｒｈｏｅａｅ由来の推定ＯＲＦとの相同性）
ＯＲＦ２４１は、Ｎ．ｇｏｎｏｒｒｈｏｅａｅ由来の推定ＯＲＦ（ＯＲＦ  ２４１．ｎｇ
）と１７７アミノ酸にわたって９１．５％の同一性を示す：
【化２４２１】
2004500801.tif 001570
以下の部分的なＤＮＡ配列は、Ｎ．ｍｅｎｉｎｇｉｔｉｄｉｓ中で同定された（配列番
号９０９）：
【化２４２２】
2004500801.tif 001571
【化２４２３】
2004500801.tif 001572
これは、以下のアミノ酸配列（配列番号９１０；ＯＲＦ  ２４１．ａ）に対応する：
【化２４２４】
2004500801.tif 001573
以下の部分的なＤＮＡ配列は、Ｎ．ｇｏｎｏｒｒｈｏｅａｅ中で同定された（配列番号
９１１）：
【化２４２５】
2004500801.tif 001574
これは、以下のアミノ酸配列（配列番号９１２；ＯＲＦ  ２４１−１．ｎｇ）に対応す
る：
【化２４２６】
2004500801.tif 001575
以下の部分的ＤＮＡ配列は、Ｎ．ｍｅｎｉｎｇｉｔｉｄｉｓ中で同定された（配列番号
９１３）：
【化２４２７】
2004500801.tif 001576
これは、以下のアミノ酸配列（配列番号９１４；ＯＲＦ  ２４１−１）に対応する：
【化２４２８】
2004500801.tif 001577
以下の部分的なＤＮＡ配列は、Ｎ．ｍｅｎｉｎｇｉｔｉｄｉｓ中で同定された（配列番
号９１５）：
【化２４２９】
2004500801.tif 001578
【化２４３０】
2004500801.tif 001579
これは、以下のアミノ酸配列（配列番号９１６；ＯＲＦ  ２４１−１．ａ）に対応する
：
【化２４３１】
2004500801.tif 001580
以下の部分的ＤＮＡ配列は、Ｎ．ｇｏｎｏｒｒｈｏｅａｅ中で同定された（配列番号９
１７）：
【化２４３２】
2004500801.tif 001581
【化２４３３】
2004500801.tif 001582
これは、以下のアミノ酸配列（配列番号９１８；ＯＲＦ  ２４２．ｎｇ）に対応する：
【化２４３４】
2004500801.tif 001583
以下の部分的なＤＮＡ配列は、Ｎ．ｍｅｎｉｎｇｉｔｉｄｉｓ中で同定された（配列番
号９１９）：
【化２４３５】
2004500801.tif 001584
これは、以下のアミノ酸配列（配列番号９２０；ＯＲＦ  ２４２）に対応する：
【化２４３６】
2004500801.tif 001585
このアミノ酸配列のコンピューター分析により、以下の結果を得た：
（Ｎ．ｇｏｎｏｒｒｈｏｅａｅ由来の推定ＯＲＦとの相同性）
ＯＲＦ２４２は、Ｎ．ｇｏｎｏｒｒｈｏｅａｅ由来の推定ＯＲＦ（ＯＲＦ  ２４２．ｎｇ
）と２８９アミノ酸重複にわたって９０．３％の同一性を示す：
【化２４３７】
2004500801.tif 001586
【化２４３８】
2004500801.tif 001587
以下の部分的ＤＮＡ配列は、Ｎ．ｍｅｎｉｎｇｉｔｉｄｉｓ中で同定された（配列番号
９２１）：
【化２４３９】
2004500801.tif 001588
これは、以下のアミノ酸配列（配列番号９２２；ＯＲＦ２４２．ａ）に対応する：
【化２４４０】
2004500801.tif 001589
【化２４４１】
2004500801.tif 001590
以下の部分的ＤＮＡ配列は、Ｎ．ｇｏｎｏｒｒｈｏｅａｅ中で同定された（配列番号９
２３）：
【化２４４２】
2004500801.tif 001591
これは、以下のアミノ酸配列（配列番号９２４；ＯＲＦ２４３．ｎｇ）に対応する：
【化２４４３】
2004500801.tif 001592
以下の部分的ＤＮＡ配列は、Ｎ．ｍｅｎｉｎｇｉｔｉｄｉｓ中で同定された（配列番号
９２５）：
【化２４４４】
2004500801.tif 001593
これは、以下のアミノ酸配列（配列番号９２６；ＯＲＦ２４３）に対応する：
【化２４４５】
2004500801.tif 001594
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２４３は、Ｎ．ｇｏｎｏｒｒｈｏｅａｅ由来の推定ＯＲＦ（ＯＲＦ２４３．ｎｇ
）との１１０アミノ酸にわたる重複において９２．７％の同一性を示す：
【化２４４６】
2004500801.tif 001595
【化２４４６ａ】
2004500801.tif 001596
以下の部分的ＤＮＡ配列は、Ｎ．ｍｅｎｉｎｇｉｔｉｄｉｓ中で同定された（配列番号
９２７）：
【化２４４７】
2004500801.tif 001597
これは、以下のアミノ酸配列（配列番号９２８；ＯＲＦ２４３．ａ）に対応する：
【化２４４８】
2004500801.tif 001598
以下の部分的ＤＮＡ配列は、Ｎ．ｇｏｎｏｒｒｈｏｅａｅ中で同定された（配列番号９
２９）：
【化２４４９】
2004500801.tif 001599
これは、以下のアミノ酸配列（配列番号９３０；ＯＲＦ２４４．ｎｇ）に対応する：
【化２４５０】
2004500801.tif 001600
以下の部分的ＤＮＡ配列は、Ｎ．ｍｅｎｉｎｇｉｔｉｄｉｓ中で同定された（配列番号
９３１）：
【化２４５１】
2004500801.tif 001601
【化２４５２】
2004500801.tif 001602
これは、以下のアミノ酸配列（配列番号９３２；ＯＲＦ２４４）に対応する：
【化２４５３】
2004500801.tif 001603
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２４４は、Ｎ．ｇｏｎｏｒｒｈｏｅａｅ由来の推定ＯＲＦ（ＯＲＦ２４４．ｎｇ
）との２７７アミノ酸にわたる重複において８６．３％の同一性を示す：
【化２４５４】
2004500801.tif 001604
以下の部分的ＤＮＡ配列は、Ｎ．ｍｅｎｉｎｇｉｔｉｄｉｓ中で同定された（配列番号
９３３）：
【化２４５５】
2004500801.tif 001605
これは、以下のアミノ酸配列（配列番号９３４；ＯＲＦ２４４．ａ）に対応する：
【化２４５６】
2004500801.tif 001606
以下の部分的ＤＮＡ配列は、Ｎ．ｇｏｎｏｒｒｈｏｅａｅ中で同定された（配列番号９
３５）：
【化２４５７】
2004500801.tif 001607
【化２４５８】
2004500801.tif 001608
これは、以下のアミノ酸配列（配列番号９３６；ＯＲＦ２４４−１．ｎｇ）に対応する
：
【化２４５９】
2004500801.tif 001609
以下の部分的ＤＮＡ配列は、Ｎ．ｍｅｎｉｎｇｉｔｉｄｉｓ中で同定された（配列番号
９３７）：
【化２４６０】
2004500801.tif 001610
これは、以下のアミノ酸配列（配列番号９３８；ＯＲＦ２４４−１）に対応する：
【化２４６１】
2004500801.tif 001611
【化２４６２】
2004500801.tif 001612
以下の部分的ＤＮＡ配列は、Ｎ．ｍｅｎｉｎｇｉｔｉｄｉｓ中で同定された（配列番号
９３９）：
【化２４６３】
2004500801.tif 001613
これは、以下のアミノ酸配列（配列番号９４０；ＯＲＦ２４４−１．ａ）に対応する：
【化２４６４】
2004500801.tif 001614
【化２４６５】
2004500801.tif 001615
以下の部分的ＤＮＡ配列は、Ｎ．ｇｏｎｏｒｒｈｏｅａｅ中で同定された（配列番号９
４１）：
【化２４６６】
2004500801.tif 001616
これは、以下のアミノ酸配列（配列番号９４２；ＯＲＦ２４６．ｎｇ）に対応する：
【化２４６７】
2004500801.tif 001617
以下の部分的ＤＮＡ配列は、Ｎ．ｍｅｎｉｎｇｉｔｉｄｉｓ中で同定された（配列番号
９４３）：
【化２４６８】
2004500801.tif 001618
これは、以下のアミノ酸配列（配列番号９４４；ＯＲＦ２４６）に対応する：
【化２４６９】
2004500801.tif 001619
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２４６は、Ｎ．ｇｏｎｏｒｒｈｏｅａｅ由来の推定ＯＲＦ（ＯＲＦ２４６．ｎｇ
）との１５０アミノ酸にわたる重複において８０．０％の同一性を示す：
【化２４７０】
2004500801.tif 001620
【化２４７１】
2004500801.tif 001621
以下の部分的ＤＮＡ配列は、Ｎ．ｍｅｎｉｎｇｉｔｉｄｉｓ中で同定された（配列番号
９４５）：
【化２４７２】
2004500801.tif 001622
これは、以下のアミノ酸配列（配列番号９４６；ＯＲＦ２４６．ａ）に対応する：
【化２４７３】
2004500801.tif 001623
以下の部分的ＤＮＡ配列は、Ｎ．ｇｏｎｏｒｒｈｏｅａｅ中で同定された（配列番号９
４７）：
【化２４７４】
2004500801.tif 001624
【化２４７５】
2004500801.tif 001625
これは、以下のアミノ酸配列（配列番号９４８；ＯＲＦ２４７．ｎｇ）に対応する：
【化２４７６】
2004500801.tif 001626
以下の部分的ＤＮＡ配列は、Ｎ．ｍｅｎｉｎｇｉｔｉｄｉｓ中で同定された（配列番号
９４９）：
【化２４７７】
2004500801.tif 001627
これは、以下のアミノ酸配列（配列番号９５０；ＯＲＦ２４７）に対応する：
【化２４７８】
2004500801.tif 001628
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２４７は、Ｎ．ｇｏｎｏｒｒｈｏｅａｅ由来の推定ＯＲＦ（ＯＲＦ２４７．ｎｇ
）との２３８アミノ酸にわたる重複において６９．３％の同一性を示す：
【化２４７９】
2004500801.tif 001629
【化２４８０】
2004500801.tif 001630
以下の部分的ＤＮＡ配列は、Ｎ．ｍｅｎｉｎｇｉｔｉｄｉｓ中で同定された（配列番号
９５１）：
【化２４８１】
2004500801.tif 001631
これは、以下のアミノ酸配列（配列番号９５２；ＯＲＦ２４７．ａ）に対応する：
【化２４８２】
2004500801.tif 001632
【化２４８３】
2004500801.tif 001633
以下の部分的ＤＮＡ配列は、Ｎ．ｇｏｎｏｒｒｈｏｅａｅ中で同定された（配列番号９
５３）：
【化２４８４】
2004500801.tif 001634
これは、以下のアミノ酸配列（配列番号９５４；ＯＲＦ２４７−１．ｎｇ）に対応する
：
【化２４８５】
2004500801.tif 001635
以下の部分的ＤＮＡ配列は、Ｎ．ｍｅｎｉｎｇｉｔｉｄｉｓ中で同定された（配列番号
９５５）：
【化２４８６】
2004500801.tif 001636
これは、以下のアミノ酸配列（配列番号９５６；ＯＲＦ２４７−１）に対応する：
【化２４８７】
2004500801.tif 001637
【化２４８８】
2004500801.tif 001638
以下の部分的ＤＮＡ配列は、Ｎ．ｍｅｎｉｎｇｉｔｉｄｉｓ中で同定された（配列番号
９５７）：
【化２４８９】
2004500801.tif 001639
これは、以下のアミノ酸配列（配列番号９５８；ＯＲＦ２４７−１．ａ）に対応する：
【化２４９０】
2004500801.tif 001640
【化２４９１】
2004500801.tif 001641
以下の部分的ＤＮＡ配列は、Ｎ．ｇｏｎｏｒｒｈｏｅａｅ中で同定された（配列番号９
５９）：
【化２４９２】
2004500801.tif 001642
これは、以下のアミノ酸配列（配列番号９６０；ＯＲＦ２４８．ｎｇ）に対応する：
【化２４９３】
2004500801.tif 001643
以下の部分的ＤＮＡ配列は、Ｎ．ｍｅｎｉｎｇｉｔｉｄｉｓ中で同定された（配列番号
９６１）：
【化２４９４】
2004500801.tif 001644
これは、以下のアミノ酸配列（配列番号９６２；ＯＲＦ２４８）に対応する：
【化２４９５】
2004500801.tif 001645
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２４８は、Ｎ．ｇｏｎｏｒｒｈｏｅａｅ由来の推定ＯＲＦ（ＯＲＦ２４８．ｎｇ
）との１８５アミノ酸にわたる重複において８１．１％の同一性を示す：
【化２４９６】
2004500801.tif 001646
【化２４９７】
2004500801.tif 001647
以下の部分的ＤＮＡ配列は、Ｎ．ｍｅｎｉｎｇｉｔｉｄｉｓ中で同定された（配列番号
９６３）：
【化２４９８】
2004500801.tif 001648
これは、以下のアミノ酸配列（配列番号９６４；ＯＲＦ２４８．ａ）に対応する：
【化２４９９】
2004500801.tif 001649
【化２５００】
2004500801.tif 001650
以下の部分的ＤＮＡ配列は、Ｎ．ｍｅｎｉｎｇｉｔｉｄｉｓ中で同定された（配列番号
９６５）：
【化２５０１】
2004500801.tif 001651
これは、以下のアミノ酸配列（配列番号９６６；ＯＲＦ２４８−１）に対応する：
【化２５０２】
2004500801.tif 001652
【化２５０３】
2004500801.tif 001653
以下の部分的ＤＮＡ配列は、Ｎ．ｇｏｎｏｒｒｈｏｅａｅ中で同定された（配列番号９
６７）：
【化２５０４】
2004500801.tif 001654
これは、以下のアミノ酸配列（配列番号９６８；ＯＲＦ２４９．ｎｇ）に対応する：
【化２５０５】
2004500801.tif 001655
以下の部分的ＤＮＡ配列は、Ｎ．ｍｅｎｉｎｇｉｔｉｄｉｓ中で同定された（配列番号
９６９）：
【化２５０６】
2004500801.tif 001656
これは、以下のアミノ酸配列（配列番号９７０；ＯＲＦ２４９）に対応する：
【化２５０７】
2004500801.tif 001657
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２４９は、Ｎ．ｇｏｎｏｒｒｈｏｅａｅ由来の推定ＯＲＦ（ＯＲＦ２４９．ｎｇ
）との２０３アミノ酸にわたる重複において８１．３％の同一性を示す：
【化２５０８】
2004500801.tif 001658
【化２５０９】
2004500801.tif 001659
以下の部分的ＤＮＡ配列は、Ｎ．ｍｅｎｉｎｇｉｔｉｄｉｓ中で同定された（配列番号
９７１）：
【化２５１０】
2004500801.tif 001660
これは、以下のアミノ酸配列（配列番号９７２；ＯＲＦ２４９．ａ）に対応する：
【化２５１１】
2004500801.tif 001661
【化２５１２】
2004500801.tif 001662
以下の部分的ＤＮＡ配列は、Ｎ．ｍｅｎｉｎｇｉｔｉｄｉｓ中で同定された（配列番号
９７３）：
【化２５１３】
2004500801.tif 001663
これは、以下のアミノ酸配列（配列番号９７４；ＯＲＦ２４９−１）に対応する：
【化２４１４】
2004500801.tif 001664
【化２５１５】
2004500801.tif 001665
以下の部分的ＤＮＡ配列は、Ｎ．ｇｏｎｏｒｒｈｏｅａｅ中で同定された（配列番号９
７５）：
【化２５１６】
2004500801.tif 001666
これは、以下のアミノ酸配列（配列番号９７６；ＯＲＦ２５０．ｎｇ）に対応する：
【化２５１７】
2004500801.tif 001667
以下の部分的ＤＮＡ配列は、Ｎ．ｍｅｎｉｎｇｉｔｉｄｉｓ中で同定された（配列番号
９７７）：
【化２５１８】
2004500801.tif 001668
これは、以下のアミノ酸配列（配列番号９７８；ＯＲＦ２５０）に対応する：
【化２５１９】
2004500801.tif 001669
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２５０は、Ｎ．ｇｏｎｏｒｒｈｏｅａｅ由来の推定ＯＲＦ（ＯＲＦ２５０．ｎｇ
）との１１１アミノ酸にわたる重複において９１．０％の同一性を示す：
【化２５２０】
2004500801.tif 001670
以下の部分的ＤＮＡ配列は、Ｎ．ｍｅｎｉｎｇｉｔｉｄｉｓ中で同定された（配列番号
９７９）：
【化２５２１】
2004500801.tif 001671
これは、以下のアミノ酸配列（配列番号９８０；ＯＲＦ２５０．ａ）に対応する：
【化２５２２】
2004500801.tif 001672
以下の部分的ＤＮＡ配列は、Ｎ．ｇｏｎｏｒｒｈｏｅａｅ中で同定された（配列番号９
８１）：
【化２５２３】
2004500801.tif 001673
【化２５２４】
2004500801.tif 001674
これは、以下のアミノ酸配列（配列番号９８２；ＯＲＦ２５１．ｎｇ）に対応する：
【化２５２５】
2004500801.tif 001675
以下の部分的ＤＮＡ配列は、Ｎ．ｍｅｎｉｎｇｉｔｉｄｉｓ中で同定された（配列番号
９８３）：
【化２５２６】
2004500801.tif 001676
これは、以下のアミノ酸配列（配列番号９８４；ＯＲＦ２５１）に対応する：
【化２５２７】
2004500801.tif 001677
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２５１は、Ｎ．ｇｏｎｏｒｒｈｏｅａｅ由来の推定ＯＲＦ（ＯＲＦ２５１．ｎｇ
）との２４３アミノ酸にわたる重複において８５．２％の同一性を示す：
【化２５２８】
2004500801.tif 001678
【化２５２９】
2004500801.tif 001679
以下の部分的ＤＮＡ配列は、Ｎ．ｍｅｎｉｎｇｉｔｉｄｉｓ中で同定された（配列番号
９８５）：
【化２５３０】
2004500801.tif 001680
これは、以下のアミノ酸配列（配列番号９８６；ＯＲＦ２５１．ａ）に対応する：
【化２５３１】
2004500801.tif 001681
【化２５３２】
2004500801.tif 001682
以下の部分的ＤＮＡ配列は、Ｎ．ｇｏｎｏｒｒｈｏｅａｅ中で同定された（配列番号９
８７）：
【化２５３３】
2004500801.tif 001683
これは、以下のアミノ酸配列（配列番号９８８；ＯＲＦ２５３．ｎｇ）に対応する：
【化２５３４】
2004500801.tif 001684
【化２５３５】
2004500801.tif 001685
以下の部分的ＤＮＡ配列は、Ｎ．ｍｅｎｉｎｇｉｔｉｄｉｓ中で同定された（配列番号
９８９）：
【化２５３６】
2004500801.tif 001686
これは、以下のアミノ酸配列（配列番号９９０；ＯＲＦ２５３）に対応する：
【化２５３７】
2004500801.tif 001687
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２５３は、Ｎ．ｇｏｎｏｒｒｈｏｅａｅ由来の推定ＯＲＦ（ＯＲＦ２５３．ｎｇ
）との３９７アミノ酸にわたる重複において９４．７％の同一性を示す：
【化２５３８】
2004500801.tif 001688
【化２５３９】
2004500801.tif 001689
以下の部分的ＤＮＡ配列は、Ｎ．ｍｅｎｉｎｇｉｔｉｄｉｓ中で同定された（配列番号
９９１）：
【化２５４０】
2004500801.tif 001690
これは、以下のアミノ酸配列（配列番号９９２；ＯＲＦ２５３．ａ）に対応する：
【化２５４１】
2004500801.tif 001691
【化２５４２】
2004500801.tif 001692
以下の部分的ＤＮＡ配列は、Ｎ．ｇｏｎｏｒｒｈｏｅａｅ中で同定された（配列番号９
９３）：
【化２５４３】
2004500801.tif 001693
これは、以下のアミノ酸配列（配列番号９９４；ＯＲＦ２５４．ｎｇ）に対応する：
【化２５４４】
2004500801.tif 001694
【化２５４５】
2004500801.tif 001695
以下の部分的ＤＮＡ配列は、Ｎ．ｍｅｎｉｎｇｉｔｉｄｉｓ中で同定された（配列番号
９９５）：
【化２５４６】
2004500801.tif 001696
これは、以下のアミノ酸配列（配列番号９９６；ＯＲＦ２５４）に対応する：
【化２５４７】
2004500801.tif 001697
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２５４は、Ｎ．ｇｏｎｏｒｒｈｏｅａｅ由来の推定ＯＲＦ（ＯＲＦ２５４．ｎｇ
）との１６７アミノ酸にわたる重複において９７．６％の同一性を示す：
【化２５４８】
2004500801.tif 001698
以下の部分的ＤＮＡ配列は、Ｎ．ｍｅｎｉｎｇｉｔｉｄｉｓ中で同定された（配列番号
９９７）：
【化２５４９】
2004500801.tif 001699
【化２５５０】
2004500801.tif 001700
これは、以下のアミノ酸配列（配列番号９９８；ＯＲＦ２５４．ａ）に対応する：
【化２５５１】
2004500801.tif 001701
以下の部分的ＤＮＡ配列は、Ｎ．ｇｏｎｏｒｒｈｏｅａｅ中で同定された（配列番号９
９９）：
【化２５５２】
2004500801.tif 001702
これは、以下のアミノ酸配列（配列番号１０００；ＯＲＦ２５５．ｎｇ）に対応する：
【化２５５３】
2004500801.tif 001703
以下の部分的ＤＮＡ配列は、Ｎ．ｍｅｎｉｎｇｉｔｉｄｉｓ中で同定された（配列番号
１００１）：
【化２５５４】
2004500801.tif 001704
これは、以下のアミノ酸配列（配列番号９１００２；ＯＲＦ２５５）に対応する：
【化２５５５】
2004500801.tif 001705
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２５５は、由来の推定ＯＲＦ（ＯＲＦ２５５．ｎｇ）との１８８アミノ酸にわた
る重複において８８．８％の同一性を示す：
【化２５５６】
2004500801.tif 001706
【化２５５７】
2004500801.tif 001707
以下の部分的ＤＮＡ配列は、Ｎ．ｍｅｎｉｎｇｉｔｉｄｉｓ中で同定された（配列番号
１００３）：
【化２５５８】
2004500801.tif 001708
これは、以下のアミノ酸配列（配列番号１００４；ＯＲＦ２５５．ａ）に対応する：
【化２５５９】
2004500801.tif 001709
以下の部分的ＤＮＡ配列は、Ｎ．ｇｏｎｏｒｒｈｏｅａｅ中で同定された（配列番号１
００５）：
【化２５６０】
2004500801.tif 001710
【化２５６１】
2004500801.tif 001711
これは、以下のアミノ酸配列（配列番号１００６；ＯＲＦ２５６．ｎｇ）に対応する：
【化２５６２】
2004500801.tif 001712
以下の部分的ＤＮＡ配列は、Ｎ．ｍｅｎｉｎｇｉｔｉｄｉｓ中で同定された（配列番号
１００７）：
【化２５６３】
2004500801.tif 001713
これは、以下のアミノ酸配列（配列番号１００８；ＯＲＦ２５６）に対応する：
【化２５６４】
2004500801.tif 001714
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２５６は、Ｎ．ｇｏｎｏｒｒｈｏｅａｅ由来の推定ＯＲＦ（ＯＲＦ２５６．ｎ
ｇ）と２３９のアミノ酸にわたる重複において９２．９％の同一性を示す：
【化２５６５】
2004500801.tif 001715
【化２５６６】
2004500801.tif 001716
以下の部分的ＤＮＡ配列は、Ｎ．ｍｅｎｉｎｇｉｔｉｄｉｓ中で同定された（配列番号
１００９）：
【化２５６７】
2004500801.tif 001717
これは、以下のアミノ酸配列（配列番号１１０；ＯＲＦ２５６．ａ）に対応する：
【化２５６８】
2004500801.tif 001718
以下の部分的ＤＮＡ配列は、Ｎ．ｇｏｎｏｒｒｈｏｅａｅ中で同定された（配列番号１
０１１）：
【化２５６９】
2004500801.tif 001719
【化２５７０】
2004500801.tif 001720
これは、以下のアミノ酸配列（配列番号１０１２；ＯＲＦ２５６−１．ｎｇ）に対応す
る：
【化２５７１】
2004500801.tif 001721
以下の部分的ＤＮＡ配列は、Ｎ．ｍｅｎｉｎｇｉｔｉｄｉｓ中で同定された（配列番号
１０１３）：
【化２５７２】
2004500801.tif 001722
これは、以下のアミノ酸配列（配列番号１０１４；ＯＲＦ２５６−１）に対応する：
【化２５７３】
2004500801.tif 001723
【化２５７４】
2004500801.tif 001724
以下の部分的ＤＮＡ配列は、Ｎ．ｍｅｎｉｎｇｉｔｉｄｉｓ中で同定された（配列番号
１０１５）：
【化２５７５】
2004500801.tif 001725
これは、以下のアミノ酸配列（配列番号１０１６；ＯＲＦ２５６−１．ａ）に対応する
：
【化２５７６】
2004500801.tif 001726
【化２５７７】
2004500801.tif 001727
以下の部分的ＤＮＡ配列は、Ｎ．ｇｏｎｏｒｒｈｏｅａｅ中で同定された（配列番号１
０１７）：
【化２５７８】
2004500801.tif 001728
これは、以下のアミノ酸配列（配列番号１０１８；ＯＲＦ２５７．ｎｇ）に対応する：
【化２５７９】
2004500801.tif 001729
以下の部分的ＤＮＡ配列は、Ｎ．ｍｅｎｉｎｇｉｔｉｄｉｓ中で同定された（配列番号
１０１９）：
【化２５８０】
2004500801.tif 001730
これは、以下のアミノ酸配列（配列番号１０２０；ＯＲＦ２５７）に対応する：
【化２５８１】
2004500801.tif 001731
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２５７は、Ｎ．ｇｏｎｏｒｒｈｏｅａｅ由来の推定ＯＲＦ（ＯＲＦ２５７．ｎｇ
）と１２５のアミノ酸にわたる重複において８８．０％の同一性を示す：
【化２５８２】
2004500801.tif 001732
【化２５８３】
2004500801.tif 001733
以下の部分的ＤＮＡ配列は、Ｎ．ｍｅｎｉｎｇｉｔｉｄｉｓ中で同定された（配列番号
１０２１）：
【化２５８４】
2004500801.tif 001734
これは、以下のアミノ酸配列（配列番号１０２２；ＯＲＦ２５７．ａ）に対応する：
【化２５８５】
2004500801.tif 001735
以下の部分的ＤＮＡ配列は、Ｎ．ｇｏｎｏｒｒｈｏｅａｅ中で同定された（配列番号１
０２３）：
【化２５８６】
2004500801.tif 001736
これは、以下のアミノ酸配列（配列番号１０２４；ＯＲＦ２５８．ｎｇ）に対応する：
【化２５８７】
2004500801.tif 001737
以下の部分的ＤＮＡ配列は、Ｎ．ｍｅｎｉｎｇｉｔｉｄｉｓ中で同定された（配列番号
１０２５）：
【化２５８８】
2004500801.tif 001738
【化２５８９】
2004500801.tif 001739
これは、以下のアミノ酸配列（配列番号１０２６；ＯＲＦ２５８）に対応する：
【化２５９０】
2004500801.tif 001740
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２５８は、Ｎ．ｇｏｎｏｒｒｈｏｅａｅ由来の推定ＯＲＦ（ＯＲＦ２５８．ｎｇ
）と３８６のアミノ酸にわたる重複において９０．９％の同一性を示す：
【化２５９１】
2004500801.tif 001741
【化２５９２】
2004500801.tif 001742
以下の部分的ＤＮＡ配列は、Ｎ．ｍｅｎｉｎｇｉｔｉｄｉｓ中で同定された（配列番号
１０２７）：
【化２５９３】
2004500801.tif 001743
これは、以下のアミノ酸配列（配列番号１０２８；ＯＲＦ２５８．ａ）に対応する：
【化２５９４】
2004500801.tif 001744
【化２５９５】
2004500801.tif 001745
以下の部分的ＤＮＡ配列は、Ｎ．ｇｏｎｏｒｒｈｏｅａｅ中で同定された（配列番号１
０２９）：
【化２５９６】
2004500801.tif 001746
これは、以下のアミノ酸配列（配列番号１０３０；ＯＲＦ２５９．ａ）に対応する：
【化２５９７】
2004500801.tif 001747
以下の部分的ＤＮＡ配列は、Ｎ．ｍｅｎｉｎｇｉｔｉｄｉｓ中で同定された（配列番号
１０３１）：
【化２５９８】
2004500801.tif 001748
これは、以下のアミノ酸配列（配列番号１０３２；ＯＲＦ２５９）に対応する：
【化２５９９】
2004500801.tif 001749
【化２６００】
2004500801.tif 001750
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２５９は、Ｎ．ｇｏｎｏｒｒｈｏｅａｅ由来の推定ＯＲＦ（ＯＲＦ２５９．ｎｇ
）と２１２のアミノ酸にわたる重複において９４．３％の同一性を示す：
【化２６０１】
2004500801.tif 001751
以下の部分的ＤＮＡ配列は、Ｎ．ｍｅｎｉｎｇｉｔｉｄｉｓ中で同定された（配列番号
１０３３）：
【化２６０２】
2004500801.tif 001752
これは、以下のアミノ酸配列（配列番号１０３４；ＯＲＦ２５９．ａ）に対応する：
【化２６０３】
2004500801.tif 001753
【化２６０４】
2004500801.tif 001754
以下の部分的ＤＮＡ配列は、Ｎ．ｇｏｎｏｒｒｈｏｅａｅ中で同定された（配列番号１
０３５）：
【化２６０５】
2004500801.tif 001755
これは、以下のアミノ酸配列（配列番号１０３６；ＯＲＦ２５９−１．ｎｇ）に対応す
る：
【化２６０６】
2004500801.tif 001756
以下の部分的ＤＮＡ配列は、Ｎ．ｍｅｎｉｎｇｉｔｉｄｉｓ中で同定された（配列番号
１０３７）：
【化２６０７】
2004500801.tif 001757
これは、以下のアミノ酸配列（配列番号１０３８；ＯＲＦ２５９−１）に対応する：
【化２６０８】
2004500801.tif 001758
【化２６０９】
2004500801.tif 001759
以下の部分的ＤＮＡ配列は、Ｎ．ｍｅｎｉｎｇｉｔｉｄｉｓ中で同定された（配列番号
１０３９）：
【化２６１０】
2004500801.tif 001760
これは、以下のアミノ酸配列（配列番号１０４０；ＯＲＦ２５９−１．ａ）に対応する
：
【化２６１１】
2004500801.tif 001761
以下の部分的ＤＮＡ配列は、Ｎ．ｇｏｎｏｒｒｈｏｅａｅ中で同定された（配列番号１
０４１）：
【化２６１２】
2004500801.tif 001762
【化２６１３】
2004500801.tif 001763
これは、以下のアミノ酸配列（配列番号１０４２；ＯＲＦ２６０．ｎｇ）に対応する：
【化２６１４】
2004500801.tif 001764
以下の部分的ＤＮＡ配列は、Ｎ．ｍｅｎｉｎｇｉｔｉｄｉｓ中で同定された（配列番号
１０４３）：
【化２６１５】
2004500801.tif 001765
これは、以下のアミノ酸配列（配列番号１０４４；ＯＲＦ２６０）に対応する：
【化２６１６】
2004500801.tif 001766
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２６０は、Ｎ．ｇｏｎｏｒｒｈｏｅａｅ由来の推定ＯＲＦ（ＯＲＦ２６０．ｎｇ
）と１７１のアミノ酸にわたる重複において８９．５％の同一性を示す：
【化２６１７】
2004500801.tif 001767
【化２６１８】
2004500801.tif 001768
以下の部分的ＤＮＡ配列は、Ｎ．ｍｅｎｉｎｇｉｔｉｄｉｓ中で同定された（配列番号
１０４５）：
【化２６１９】
2004500801.tif 001769
これは、以下のアミノ酸配列（配列番号１０４６；ＯＲＦ２６０．ａ）に対応する：
【化２６２０】
2004500801.tif 001770
以下の部分的ＤＮＡ配列は、Ｎ．ｇｏｎｏｒｒｈｏｅａｅ中で同定された（配列番号１
０４７）：
【化２６２１】
2004500801.tif 001771
【化２６２２】
2004500801.tif 001772
これは、以下のアミノ酸配列（配列番号１０４８；ＯＲＦ２６１．ｎｇ）に対応する：
【化２６２３】
2004500801.tif 001773
以下の部分的ＤＮＡ配列は、Ｎ．ｍｅｎｉｎｇｉｔｉｄｉｓ中で同定された（配列番号
１０４９）：
【化２６２４】
2004500801.tif 001774
これは、以下のアミノ酸配列（配列番号１０５０；ＯＲＦ２６１）に対応する：
【化２６２５】
2004500801.tif 001775
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２６１は、Ｎ．ｇｏｎｏｒｒｈｏｅａｅ由来の推定ＯＲＦ（ＯＲＦ２６１．ｎｇ
）と２３７のアミノ酸にわたる重複において７９．７％の同一性を示す：
【化２６２６】
2004500801.tif 001776
以下の部分的ＤＮＡ配列は、Ｎ．ｍｅｎｉｎｇｉｔｉｄｉｓ中で同定された（配列番号
１０５１）：
【化２６２７】
2004500801.tif 001777
これは、以下のアミノ酸配列（配列番号１０５２；ＯＲＦ２６１．ａ）に対応する：
【化２６２８】
2004500801.tif 001778
以下の部分的ＤＮＡ配列は、Ｎ．ｇｏｎｏｒｒｈｏｅａｅ中で同定された（配列番号１
０５３）：
【化２６２９】
2004500801.tif 001779
【化２６３０】
2004500801.tif 001780
これは、以下のアミノ酸配列（配列番号１０５４；ＯＲＦ２６４．ｎｇ）に対応する：
【化２６３１】
2004500801.tif 001781
以下の部分的ＤＮＡ配列は、Ｎ．ｍｅｎｉｎｇｉｔｉｄｉｓ中で同定された（配列番号
１０５５）：
【化２６３２】
2004500801.tif 001782
これは、以下のアミノ酸配列（配列番号１０５６；ＯＲＦ２６３）に対応する：
【化２６３３】
2004500801.tif 001783
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２６３は、Ｎ．ｇｏｎｏｒｒｈｏｅａｅ由来の推定ＯＲＦ（ＯＲＦ２６３．ｎｇ
）と７７のアミノ酸にわたる重複において８５．７％の同一性を示す：
【化２６３４】
2004500801.tif 001784
以下の部分的ＤＮＡ配列は、Ｎ．ｍｅｎｉｎｇｉｔｉｄｉｓ中で同定された（配列番号
１０５７）：
【化２６３５】
2004500801.tif 001785
これは、以下のアミノ酸配列（配列番号１０５８；ＯＲＦ２６３．ａ）に対応する：
【化２６３６】
2004500801.tif 001786
【化２６３７】
2004500801.tif 001787
以下の部分的ＤＮＡ配列は、Ｎ．ｇｏｎｏｒｒｈｏｅａｅ中で同定された（配列番号１
０５９）：
【化２６３８】
2004500801.tif 001788
これは、以下のアミノ酸配列（配列番号１０６０；ＯＲＦ２６３．ｎｇ）に対応する：
【化２６３９】
2004500801.tif 001789
以下の部分的ＤＮＡ配列は、Ｎ．ｍｅｎｉｎｇｉｔｉｄｉｓ中で同定された（配列番号
１０６１）：
【化２６４０】
2004500801.tif 001790
これは、以下のアミノ酸配列（配列番号１０６２；ＯＲＦ２６４）に対応する：
【化２６４１】
2004500801.tif 001791
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２６４は、Ｎ．ｇｏｎｏｒｒｈｏｅａｅ由来の推定ＯＲＦ（ＯＲＦ２６４．ｎｇ
）と２３９のアミノ酸にわたる重複において９１．６％の同一性を示す：
【化２６４２】
2004500801.tif 001792
以下の部分的ＤＮＡ配列は、Ｎ．ｍｅｎｉｎｇｉｔｉｄｉｓ中で同定された（配列番号
１０６３）：
【化２６４３】
2004500801.tif 001793
これは、以下のアミノ酸配列（配列番号１０６４；ＯＲＦ２６４．ａ）に対応する：
【化２６４４】
2004500801.tif 001794
【化２６４５】
2004500801.tif 001795
以下の部分的ＤＮＡ配列は、Ｎ．ｍｅｎｉｎｇｉｔｉｄｉｓ中で同定された（配列番号
１０６５）：
【化２６４６】
2004500801.tif 001796
これは、以下のアミノ酸配列（配列番号１０６６；ＯＲＦ２６５）に対応する：
【化２６４７】
2004500801.tif 001797
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２６５は、Ｎ．ｇｏｎｏｒｒｈｏｅａｅ由来の推定ＯＲＦ（ＯＲＦ２６５．ｎｇ
）と１２３のアミノ酸にわたる重複において８８．６％の同一性を示す：
【化２６４８】
2004500801.tif 001798
以下の部分的ＤＮＡ配列は、Ｎ．ｍｅｎｉｎｇｉｔｉｄｉｓ中で同定された（配列番号
１０６７）：
【化２６４９】
2004500801.tif 001799
これは、以下のアミノ酸配列（配列番号１０６８；ＯＲＦ２６５．ａ）に対応する：
【化２６５０】
2004500801.tif 001800
以下の部分的ＤＮＡ配列は、Ｎ．ｇｏｎｏｒｒｈｏｅａｅ中で同定された（配列番号１
０６９）：
【化２６５１】
2004500801.tif 001801
これは、以下のアミノ酸配列（配列番号１０７０；ＯＲＦ２６６．ｎｇ）に対応する：
【化２６５２】
2004500801.tif 001802
以下の部分的ＤＮＡ配列は、Ｎ．ｍｅｎｉｎｇｉｔｉｄｉｓ中で同定された（配列番号
１０７１）：
【化２６５３】
2004500801.tif 001803
これは、以下のアミノ酸配列（配列番号１０７２；ＯＲＦ２６６）に対応する：
【化２６５４】
2004500801.tif 001804
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２６６は、Ｎ．ｇｏｎｏｒｒｈｏｅａｅ由来の推定ＯＲＦ（ＯＲＦ２６６．ｎｇ
）と１１４のアミノ酸にわたる重複において９２．１％の同一性を示す：
【化２６５５】
2004500801.tif 001805
以下の部分的ＤＮＡ配列は、Ｎ．ｍｅｎｉｎｇｉｔｉｄｉｓ中で同定された（配列番号
１０７３）：
【化２６５６】
2004500801.tif 001806
これは、以下のアミノ酸配列（配列番号１０７４；ＯＲＦ２６６．ａ）に対応する：
【化２６５７】
2004500801.tif 001807
以下の部分的ＤＮＡ配列は、Ｎ．ｇｏｎｏｒｒｈｏｅａｅ中で同定された（配列番号１
０７５）：
【化２６５８】
2004500801.tif 001808
【化２６５９】
2004500801.tif 001809
これは、以下のアミノ酸配列（配列番号１０７６；ＯＲＦ２６７．ｎｇ）に対応する：
【化２６６０】
2004500801.tif 001810
以下の部分的ＤＮＡ配列は、Ｎ．ｍｅｎｉｎｇｉｔｉｄｉｓ中で同定された（配列番号
１０７７）：
【化２６６１】
2004500801.tif 001811
これは、以下のアミノ酸配列（配列番号１０７８；ＯＲＦ２６７）に対応する：
【化２６６２】
2004500801.tif 001812
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２６７は、Ｎ．ｇｏｎｏｒｒｈｏｅａｅ由来の推定ＯＲＦ（ＯＲＦ２６７．ｎｇ
）と１２７のアミノ酸にわたる重複において８２．７％の同一性を示す：
【化２６６３】
2004500801.tif 001813
以下の部分的ＤＮＡ配列は、Ｎ．ｍｅｎｉｎｇｉｔｉｄｉｓ中で同定された（配列番号
１０７９）：
【化２６６４】
2004500801.tif 001814
これは、以下のアミノ酸配列（配列番号１０８０；ＯＲＦ２６７．ａ）に対応する：
【化２６６５】
2004500801.tif 001815
以下の部分的ＤＮＡ配列は、Ｎ．ｇｏｎｏｒｒｈｏｅａｅ中で同定された（配列番号１
０８１）：
【化２６６６】
2004500801.tif 001816
これは、以下のアミノ酸配列（配列番号１０８２；ＯＲＦ２６８．ｎｇ）に対応する：
【化２６６７】
2004500801.tif 001817
以下の部分的ＤＮＡ配列は、Ｎ．ｍｅｎｉｎｇｉｔｉｄｉｓ中で同定された（配列番号
１０８３）：
【化２６６８】
2004500801.tif 001818
【化２６６９】
2004500801.tif 001819
これは、以下のアミノ酸配列（配列番号１０８４；ＯＲＦ２６８）に対応する：
【化２６７０】
2004500801.tif 001820
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２６８は、Ｎ．ｇｏｎｏｒｒｈｏｅａｅ由来の推定ＯＲＦ（ＯＲＦ２６８．ｎｇ
）と１５０のアミノ酸にわたる重複において８６．０％の同一性を示す：
【化２６７１】
2004500801.tif 001821
以下の部分的ＤＮＡ配列は、Ｎ．ｍｅｎｉｎｇｉｔｉｄｉｓ中で同定された（配列番号
１０８５）：
【化２６７２】
2004500801.tif 001822
これは、以下のアミノ酸配列（配列番号１０８６；ＯＲＦ２６８．ａ）に対応する：
【化２６７３】
2004500801.tif 001823
【化２６７４】
2004500801.tif 001824
以下の部分的ＤＮＡ配列は、Ｎ．ｍｅｎｉｎｇｉｔｉｄｉｓ中で同定された（配列番号
１０８７）：
【化２６７５】
2004500801.tif 001825
これは、以下のアミノ酸配列（配列番号１０８８；ＯＲＦ２６８−１）に対応する：
【化２６７６】
2004500801.tif 001826
以下の部分的ＤＮＡ配列は、Ｎ．ｍｅｎｉｎｇｉｔｉｄｉｓ中で同定された（配列番号
１０８９）：
【化２６７７】
2004500801.tif 001827
【化２６７８】
2004500801.tif 001828
これは、以下のアミノ酸配列（配列番号１０９０；ＯＲＦ２６８−１．ａ）に対応する
：
【化２６７９】
2004500801.tif 001829
以下の部分的ＤＮＡ配列は、Ｎ．ｇｏｎｏｒｒｈｏｅａｅ中で同定された（配列番号１
０９１）：
【化２６８０】
2004500801.tif 001830
これは、以下のアミノ酸配列（配列番号１０９２；ＯＲＦ２６９．ｎｇ）に対応する：
【化２６８１】
2004500801.tif 001831
以下の部分的ＤＮＡ配列は、Ｎ．ｍｅｎｉｎｇｉｔｉｄｉｓ中で同定された（配列番号
１０９３）：
【化２６８２】
2004500801.tif 001832
これは、以下のアミノ酸配列（配列番号１０９４；ＯＲＦ２６９）に対応する：
【化２６８３】
2004500801.tif 001833
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２６９は、Ｎ．ｇｏｎｏｒｒｈｏｅａｅ由来の推定ＯＲＦ（ＯＲＦ２６９．ｎｇ
）と１２１のアミノ酸にわたる重複において８７．６％の同一性を示す：
【化２６８４】
2004500801.tif 001834
以下の部分的ＤＮＡ配列は、Ｎ．ｍｅｎｉｎｇｉｔｉｄｉｓ中で同定された（配列番号
１０９５）：
【化２６８５】
2004500801.tif 001835
これは、以下のアミノ酸配列（配列番号１０９６；ＯＲＦ２６９．ａ）に対応する：
【化２６８６】
2004500801.tif 001836
以下の部分的ＤＮＡ配列は、Ｎ．ｇｏｎｏｒｒｈｏｅａｅ中で同定された（配列番号１
０９７）：
【化２６８７】
2004500801.tif 001837
これは、以下のアミノ酸配列（配列番号１０９８；ＯＲＦ２７０．ｎｇ）に対応する：
【化２６８８】
2004500801.tif 001838
以下の部分的ＤＮＡ配列は、Ｎ．ｍｅｎｉｎｇｉｔｉｄｉｓ中で同定された（配列番号
１０９９）：
【化２６８９】
2004500801.tif 001839
これは、以下のアミノ酸配列（配列番号１１１０；ＯＲＦ２７０）に対応する：
【化２６９０】
2004500801.tif 001840
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２７０は、Ｎ．ｇｏｎｏｒｒｈｏｅａｅ由来の推定ＯＲＦ（ＯＲＦ２７０．ｎｇ
）と１４０のアミノ酸にわたる重複において９６．４％の同一性を示す：
【化２６９１】
2004500801.tif 001841
以下の部分的ＤＮＡ配列は、Ｎ．ｍｅｎｉｎｇｉｔｉｄｉｓ中で同定された（配列番号
１１０１）：
【化２６９２】
2004500801.tif 001842
これは、以下のアミノ酸配列（配列番号１１０２；ＯＲＦ２７０．ａ）に対応する：
【化２６９３】
2004500801.tif 001843
【化２６９４】
2004500801.tif 001844
以下の部分的ＤＮＡ配列は、Ｎ．ｇｏｎｏｒｒｈｏｅａｅ中で同定された（配列番号１
１０３）：
【化２６９５】
2004500801.tif 001845
これは、以下のアミノ酸配列（配列番号１１０４；ＯＲＦ２７１．ｎｇ）に対応する：
【化２６９６】
2004500801.tif 001846
以下の部分的ＤＮＡ配列は、Ｎ．ｍｅｎｉｎｇｉｔｉｄｉｓ中で同定された（配列番号
１１０５）：
【化２６９７】
2004500801.tif 001847
これは、以下のアミノ酸配列（配列番号１１０６；ＯＲＦ２７１）に対応する：
【化２６９８】
2004500801.tif 001848
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２７１は、Ｎ．ｇｏｎｏｒｒｈｏｅａｅ由来の推定ＯＲＦ（ＯＲＦ２７１．ｎｇ
）と１８９のアミノ酸にわたる重複において９５．２％の同一性を示す：
【化２６９９】
2004500801.tif 001849
以下の部分的ＤＮＡ配列は、Ｎ．ｍｅｎｉｎｇｉｔｉｄｉｓ中で同定された（配列番号
１１０７）：
【化２７００】
2004500801.tif 001850
これは、以下のアミノ酸配列（配列番号１１０８；ＯＲＦ２７１．ａ）に対応する：
【化２７０１】
2004500801.tif 001851
【化２７０２】
2004500801.tif 001852
以下の部分的ＤＮＡ配列は、Ｎ．ｇｏｎｏｒｒｈｏｅａｅ中で同定された（配列番号１
１０９）：
【化２７０３】
2004500801.tif 001853
これは、以下のアミノ酸配列（配列番号１１１０；ＯＲＦ２７２．ｎｇ）に対応する：
【化２７０４】
2004500801.tif 001854
以下の部分的ＤＮＡ配列は、Ｎ．ｍｅｎｉｎｇｉｔｉｄｉｓ中で同定された（配列番号
１１１１）：
【化２７０５】
2004500801.tif 001855
【化２７０６】
2004500801.tif 001856
これは、以下のアミノ酸配列（配列番号１１１２；ＯＲＦ２７２）に対応する：
【化２７０７】
2004500801.tif 001857
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２７２は、Ｎ．ｇｏｎｏｒｒｈｏｅａｅ由来の推定ＯＲＦ（ＯＲＦ２７２．ｎｇ
）と３７０のアミノ酸にわたる重複において９７．６％の同一性を示す：
【化２７０８】
2004500801.tif 001858
【化２７０９】
2004500801.tif 001859
以下の部分的ＤＮＡ配列は、Ｎ．ｍｅｎｉｎｇｉｔｉｄｉｓ中で同定された（配列番号
１１１３）：
【化２７１０】
2004500801.tif 001860
これは、以下のアミノ酸配列（配列番号１１１４；ＯＲＦ２７２．ａ）に対応する：
【化２７１１】
2004500801.tif 001861
【化２７１２】
2004500801.tif 001862
以下の部分的ＤＮＡ配列は、Ｎ．ｇｏｎｏｒｒｈｏｅａｅ中で同定された（配列番号１
１１５）：
【化２７１３】
2004500801.tif 001863
これは、以下のアミノ酸配列（配列番号１１１６；ＯＲＦ２７３．ｎｇ）に対応する：
【化２７１４】
2004500801.tif 001864
以下の部分的ＤＮＡ配列は、Ｎ．ｍｅｎｉｎｇｉｔｉｄｉｓ中で同定された（配列番号
１１１７）：
【化２７１５】
2004500801.tif 001865
これは、以下のアミノ酸配列（配列番号１１１８；ＯＲＦ２７３）に対応する：
【化２７１６】
2004500801.tif 001866
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２７３は、Ｎ．ｇｏｎｏｒｒｈｏｅａｅ由来の推定ＯＲＦ（ＯＲＦ２７３．ｎｇ
）と１７１のアミノ酸にわたる重複において８６．０％の同一性を示す：
【化２７１７】
2004500801.tif 001867
以下の部分的ＤＮＡ配列は、Ｎ．ｍｅｎｉｎｇｉｔｉｄｉｓ中で同定された（配列番号
１１１９）：
【化２７１８】
2004500801.tif 001868
これは、以下のアミノ酸配列（配列番号１１２０；ＯＲＦ２７３．ａ）に対応する：
【化２７１９】
2004500801.tif 001869
以下の部分的ＤＮＡ配列は、Ｎ．ｇｏｎｏｒｒｈｏｅａｅ中で同定された（配列番号１
１２１）：
【化２７２０】
2004500801.tif 001870
これは、以下のアミノ酸配列（配列番号１１２２；ＯＲＦ２７４．ｎｇ）に対応する：
【化２７２１】
2004500801.tif 001871
以下の部分的ＤＮＡ配列は、Ｎ．ｍｅｎｉｎｇｉｔｉｄｉｓ中で同定された（配列番号
１１２３）：
【化２７２２】
2004500801.tif 001872
これは、以下のアミノ酸配列（配列番号１１２４；ＯＲＦ２７４）に対応する：
【化２７２３】
2004500801.tif 001873
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２７４は、Ｎ．ｇｏｎｏｒｒｈｏｅａｅ由来の推定ＯＲＦ（ＯＲＦ２７４．ｎｇ
）と１６３のアミノ酸にわたる重複において９７．５％の同一性を示す：
【化２７２４】
2004500801.tif 001874
以下の部分的ＤＮＡ配列は、Ｎ．ｍｅｎｉｎｇｉｔｉｄｉｓ中で同定された（配列番号
１１２５）：
【化２７２５】
2004500801.tif 001875
これは、以下のアミノ酸配列（配列番号１１２６；ＯＲＦ２７４．ａ）に対応する：
【化２７２６】
2004500801.tif 001876
以下の部分的ＤＮＡ配列は、Ｎ．ｇｏｎｏｒｒｈｏｅａｅ中で同定された（配列番号１
１２７）：
【化２７２７】
2004500801.tif 001877
これは、以下のアミノ酸配列（配列番号１１２８；ＯＲＦ２７６．ｎｇ）に対応する：
【化２７２８】
2004500801.tif 001878
【化２７２９】
2004500801.tif 001879
以下の部分的ＤＮＡ配列は、Ｎ．ｍｅｎｉｎｇｉｔｉｄｉｓ中で同定された（配列番号
１１２９）：
【化２７３０】
2004500801.tif 001880
これは、以下のアミノ酸配列（配列番号１１３０；ＯＲＦ２７６）に対応する：
【化２７３１】
2004500801.tif 001881
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２７６は、Ｎ．ｇｏｎｏｒｒｈｏｅａｅ由来の推定ＯＲＦ（ＯＲＦ２７６．ｎｇ
）と２７８のアミノ酸にわたる重複において９６．８％の同一性を示す：
【化２７３２】
2004500801.tif 001882
【化２７３３】
2004500801.tif 001883
以下の部分的ＤＮＡ配列は、Ｎ．ｍｅｎｉｎｇｉｔｉｄｉｓ中で同定された（配列番号
１１３１）：
【化２７３４】
2004500801.tif 001884
これは、以下のアミノ酸配列（配列番号１１３２；ＯＲＦ２７６．ａ）に対応する：
【化２７３５】
2004500801.tif 001885
【化２７３６】
2004500801.tif 001886
以下の部分的ＤＮＡ配列は、Ｎ．ｇｏｎｏｒｒｈｏｅａｅ中で同定された（配列番号１
１３３）：
【化２７３７】
2004500801.tif 001887
これは、以下のアミノ酸配列（配列番号１１３４；ＯＲＦ２７７．ｎｇ）に対応する：
【化２７３８】
2004500801.tif 001888
以下の部分的ＤＮＡ配列は、Ｎ．ｍｅｎｉｎｇｉｔｉｄｉｓ中で同定された（配列番号
１１３５）：
【化２７３９】
2004500801.tif 001889
これは、以下のアミノ酸配列（配列番号１１３６；ＯＲＦ２７７）に対応する：
【化２７４０】
2004500801.tif 001890
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２７７は、Ｎ．ｇｏｎｏｒｒｈｏｅａｅ由来の推定ＯＲＦ（ＯＲＦ２７７．ｎｇ
）と２２１のアミノ酸にわたる重複において９０．０％の同一性を示す：
【化２７４１】
2004500801.tif 001891
【化２７４２】
2004500801.tif 001892
以下の部分的ＤＮＡ配列は、Ｎ．ｍｅｎｉｎｇｉｔｉｄｉｓ中で同定された（配列番号
１１３７）：
【化２７４３】
2004500801.tif 001893
これは、以下のアミノ酸配列（配列番号１１３８；ＯＲＦ２７７．ａ）に対応する：
【化２７４４】
2004500801.tif 001894
【化２７４５】
2004500801.tif 001895
以下の部分的ＤＮＡ配列は、Ｎ．ｇｏｎｏｒｒｈｏｅａｅ中で同定された（配列番号１
１３９）：
【化２７４６】
2004500801.tif 001896
これは、以下のアミノ酸配列（配列番号１１４０；ＯＲＦ２７８．ｎｇ）に対応する：
【化２７４７】
2004500801.tif 001897
以下の部分的ＤＮＡ配列は、Ｎ．ｍｅｎｉｎｇｉｔｉｄｉｓ中で同定された（配列番号
１１４１）：
【化２７４８】
2004500801.tif 001898
これは、以下のアミノ酸配列（配列番号１１４２；ＯＲＦ２７８）に対応する：
【化２７４９】
2004500801.tif 001899
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２７８は、Ｎ．ｇｏｎｏｒｒｈｏｅａｅ由来の推定ＯＲＦ（ＯＲＦ２７８．ｎｇ
）と１７０のアミノ酸にわたる重複において９５．９％の同一性を示す：
【化２７５０】
2004500801.tif 001900
以下の部分的ＤＮＡ配列は、Ｎ．ｍｅｎｉｎｇｉｔｉｄｉｓ中で同定された（配列番号
１１４３）：
【化２７５１】
2004500801.tif 001901
これは、以下のアミノ酸配列（配列番号１１４４；ＯＲＦ２７８．ａ）に対応する：
【化２７５２】
2004500801.tif 001902
【化２７５３】
2004500801.tif 001903
以下の部分的ＤＮＡ配列は、Ｎ．ｇｏｎｏｒｒｈｏｅａｅ中で同定された（配列番号１
１４５）：
【化２７５４】
2004500801.tif 001904
これは、以下のアミノ酸配列（配列番号１１４６；ＯＲＦ２７９．ｎｇ）に対応する：
【化２７５５】
2004500801.tif 001905
以下の部分的ＤＮＡ配列は、Ｎ．ｍｅｎｉｎｇｉｔｉｄｉｓ中で同定された（配列番号
１１４７）：
【化２７５６】
2004500801.tif 001906
これは、以下のアミノ酸配列（配列番号１１４８；ＯＲＦ２７９）に対応する：
【化２７５７】
2004500801.tif 001907
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２７９は、Ｎ．ｇｏｎｏｒｒｈｏｅａｅ由来の推定ＯＲＦ（ＯＲＦ２７９．ｎ
ｇ）と１５２のアミノ酸にわたる重複において８９．５％の同一性を示す：
【化２７５８】
2004500801.tif 001908
【化２７５９】
2004500801.tif 001909
以下の部分的ＤＮＡ配列は、Ｎ．ｍｅｎｉｎｇｉｔｉｄｉｓ中で同定された（配列番号
１１４９）：
【化２７６０】
2004500801.tif 001910
これは、以下のアミノ酸配列（配列番号１１５０；ＯＲＦ２７９．ａ）に対応する：
【化２７６１】
2004500801.tif 001911
（ＯＲＦ２７９の発現）
ＯＲＦ２７９についての表１に記載されるプライマーを使用して、そしてＯＲＦ２７９
を位置付けしクローニングした。ＯＲＦ２７９を、上記のように、ｐＥＴベクターおよび
ｐＧｅｘベクターにクローニングし、そしてＥ．ｃｏｌｉにおける発現させた。タンパク
質発現産物および精製物を、ＳＤＳ−ＰＡＧＥにより分析した。図２Ａは、アフィニティ
ー精製の結果を示し、そして図２Ｂは、Ｅ．ｃｏｌｉにおける発現を示す。精製したＨｉ
ｓ融合タンパク質を使用して、マウスを免疫化し、その血清をＥＬＩＳＡ（陽性結果）、
ＦＡＣＳ分析（図２Ｃ）、ウエスタンブロット（図２Ｄ）のために使用した。これらの実
験は、ＯＲＦ２７９が、表面露出タンパク質であり、有用な免疫原であることを確証する
。ＯＲＦ２７９の親水性プロット、抗原インデックス、および両親媒性領域を図６に提供
する。推定Ｔ細胞エピトープを推測するために、ＡＭＰＨＩプログラムを使用する（Ｇａ
ｏら、１９８９、Ｊ．Ｉｍｍｕｎｏｌ  １４３：３００７；Ｒｏｂｅｒｔｓら、１９９６
，ＡＩＤＳ  Ｒｅｓ  Ｈｕｍａｎ  Ｒｅｔｒｏｖｉｒｕｅｓ  １２：５９３；Ｑｕａｋｙ
ｉら、１９９２，Ｓｃａｎｄ  Ｊ  Ｉｍｍｕｎｏｌ  Ｓｕｐｐｌ  １１：９）。ＯＲＦ２
７９の核酸配列およびそれによりコードされるアミノ酸配列を、本明細書中に提供する。
以下の部分的ＤＮＡ配列は、Ｎ．ｇｏｎｏｒｒｈｏｅａｅ中で同定された（配列番号１
１５１）：
【化２７６２】
2004500801.tif 001912
これは、以下のアミノ酸配列（配列番号１１５２；ＯＲＦ２８０．ｎｇ）に対応する：
【化２７６３】
2004500801.tif 001913
以下の部分的ＤＮＡ配列は、Ｎ．ｍｅｎｉｎｇｉｔｉｄｉｓ中で同定された（配列番号
１１５３）：
【化２７６４】
2004500801.tif 001914
これは、以下のアミノ酸配列（配列番号１１５４；ＯＲＦ２８０）に対応する：
【化２７６５】
2004500801.tif 001915
【化２７６６】
2004500801.tif 001916
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２８０は、Ｎ．ｇｏｎｏｒｒｈｏｅａｅ由来の推定ＯＲＦ（ＯＲＦ２８０．ｎｇ
）と３０８のアミノ酸にわたる重複において９３．８％の同一性を示す：
【化２７６７】
2004500801.tif 001917
以下の部分的ＤＮＡ配列は、Ｎ．ｍｅｎｉｎｇｉｔｉｄｉｓ中で同定された（配列番号
１１５５）：
【化２７６８】
2004500801.tif 001918
【化２７６９】
2004500801.tif 001919
これは、以下のアミノ酸配列（配列番号１１５６；ＯＲＦ２８０．ａ）に対応する：
【化２７７０】
2004500801.tif 001920
以下の部分的ＤＮＡ配列は、Ｎ．ｇｏｎｏｒｒｈｏｅａｅ中で同定された（配列番号１
１５７）：
【化２７７１】
2004500801.tif 001921
【化２７７２】
2004500801.tif 001922
これは、以下のアミノ酸配列（配列番号１１５８；ＯＲＦ２８１．ｎｇ）に対応する：
【化２７７３】
2004500801.tif 001923
以下の部分的ＤＮＡ配列は、Ｎ．ｍｅｎｉｎｇｉｔｉｄｉｓ中で同定された（配列番号
１１５９）：
【化２７７４】
2004500801.tif 001924
これは、以下のアミノ酸配列（配列番号１１６０；ＯＲＦ２８１）に対応する：
【化２７７５】
2004500801.tif 001925
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２８１は、Ｎ．ｇｏｎｏｒｒｈｏｅａｅ由来の推定ＯＲＦ（ＯＲＦ２８１．ｎｇ
）と２６３のアミノ酸にわたる重複において９３．５％の同一性を示す：
【化２７７６】
2004500801.tif 001926
【化２７７７】
2004500801.tif 001927
以下の部分的ＤＮＡ配列は、Ｎ．ｍｅｎｉｎｇｉｔｉｄｉｓ中で同定された（配列番号
１１６１）：
【化２７７８】
2004500801.tif 001928
これは、以下のアミノ酸配列（配列番号１１６２；ＯＲＦ２８１．ａ）に対応する：
【化２７７９】
2004500801.tif 001929
【化２７８０】
2004500801.tif 001930
以下の部分的ＤＮＡ配列は、Ｎ．ｇｏｎｏｒｒｈｏｅａｅ中で同定された（配列番号１
１６３）：
【化２７８１】
2004500801.tif 001931
これは、以下のアミノ酸配列（配列番号１１６４；ＯＲＦ２８２．ｎｇ）に対応する：
【化２７８２】
2004500801.tif 001932
以下の部分的ＤＮＡ配列は、Ｎ．ｍｅｎｉｎｇｉｔｉｄｉｓ中で同定された（配列番号
１１６５）：
【化２７８３】
2004500801.tif 001933
これは、以下のアミノ酸配列（配列番号１１６６；ＯＲＦ２８２．ｎｇ）に対応する：
【化２７８４】
2004500801.tif 001934
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ２８２は、Ｎ．ｇｏｎｏｒｒｈｏｅａｅ由来の推定ＯＲＦ（ＯＲＦ２８２．ｎｇ
）と２１７のアミノ酸にわたる重複において９８．６％の同一性を示す：
【化２７８５】
2004500801.tif 001935
以下の部分的ＤＮＡ配列は、Ｎ．ｍｅｎｉｎｇｉｔｉｄｉｓ中で同定された（配列番号
１１６７）：
【化２７８６】
2004500801.tif 001936
これは、以下のアミノ酸配列（配列番号１１６８；ＯＲＦ２８２．ａ）に対応する：
【化２７８７】
2004500801.tif 001937
【化２７８８】
2004500801.tif 001938
以下の部分的ＤＮＡ配列は、Ｎ．ｇｏｎｏｒｒｈｏｅａｅ中で同定された（配列番号１
１６９）：
【化２７８９】
2004500801.tif 001939
これは、以下のアミノ酸配列（配列番号１１７０；ＯＲＦ２８３．ｎｇ）に対応する：
【化２７９０】
2004500801.tif 001940
以下の部分的ＤＮＡ配列は、Ｎ．ｍｅｎｉｎｇｉｔｉｄｉｓ中で同定された（配列番号
１１７１）：
【化２７９１】
2004500801.tif 001941
これは、以下のアミノ酸配列（配列番号１１７２；ＯＲＦ２８３）に対応する：
【化２７９２】
2004500801.tif 001942
このアミノ酸配列に関するコンピューター分析は、以下の結果を与えた：
（Ｎ．ｇｏｎｏｒｒｈｏｅａｅ由来の推定ＯＲＦとの相同性）
【化２７９３】
2004500801.tif 001943
【化２７９４】
2004500801.tif 001944
以下の部分的ＤＮＡ配列は、Ｎ．ｍｅｎｉｎｇｉｔｉｄｉｓ中で同定された（配列番号
１１７３）：
【化２７９５】
2004500801.tif 001945
これは、以下のアミノ酸配列（配列番号１１７４；ＯＲＦ２８３．ａ）に対応する：
【化２７９６】
2004500801.tif 001946
以下の部分的ＤＮＡ配列は、Ｎ．ｇｏｎｏｒｒｈｏｅａｅ中で同定された（配列番号１
１７５）：
【化２７９７】
2004500801.tif 001947
【化２７９８】
2004500801.tif 001948
これは、以下のアミノ酸配列（配列番号１１７６；ＯＲＦ２８４．ｎｇ）に対応する：
【化２７９９】
2004500801.tif 001949
以下の部分的ＤＮＡ配列は、Ｎ．ｍｅｎｉｎｇｉｔｉｄｉｓ中で同定された（配列番号
１１７７）：
【化２８００】
2004500801.tif 001950
これは、以下のアミノ酸配列（配列番号１１７８；ＯＲＦ２８４）に対応する：
【化２８０１】
2004500801.tif 001951
このアミノ酸配列に関するコンピューター分析は、以下の結果を与えた：
（Ｎ．ｇｏｎｏｒｒｈｏｅａｅ由来の推定ＯＲＦとの相同性）
【化２８０２】
2004500801.tif 001952
【化２８０３】
2004500801.tif 001953
以下の部分的ＤＮＡ配列は、Ｎ．ｍｅｎｉｎｇｉｔｉｄｉｓ中で同定された（配列番号
１１７９）：
【化２８０４】
2004500801.tif 001954
これは、以下のアミノ酸配列（配列番号１１８０；ＯＲＦ２８４．ａ）に対応する：
【化２８０５】
2004500801.tif 001955
【化２８０６】
2004500801.tif 001956
以下の部分的ＤＮＡ配列は、Ｎ．ｇｏｎｏｒｒｈｏｅａｅ中で同定された（配列番号１
１８１）：
【化２８０７】
2004500801.tif 001957
【化２８０８】
2004500801.tif 001958
【化２８０９】
2004500801.tif 001959
これは、以下のアミノ酸配列（配列番号１１８２；ＯＲＦ２８５．ｎｇ）に対応する：
【化２８１０】
2004500801.tif 001960
以下の部分的ＤＮＡ配列は、Ｎ．ｍｅｎｉｎｇｉｔｉｄｉｓ中で同定された（配列番号
１１８３）：
【化２８１１】
2004500801.tif 001961
【化２８１２】
2004500801.tif 001962
【化２８１３】
2004500801.tif 001963
これは、以下のアミノ酸配列（配列番号１１８４；ＯＲＦ２８５）に対応する：
【化２８１４】
2004500801.tif 001964
このアミノ酸配列に関するコンピューター分析は、以下の結果を与えた：
（Ｎ．ｇｏｎｏｒｒｈｏｅａｅ由来の推定ＯＲＦとの相同性）
【化２８１５】
2004500801.tif 001965
【化２８１６】
2004500801.tif 001966
【化２８１７】
2004500801.tif 001967
以下の部分ＤＮＡ配列を、Ｎ．ｍｅｎｉｎｇｉｔｉｄｉｓにおいて同定した（配列番号
１１８５）：
【化２８１８】
2004500801.tif 001968
【化２８１９】
2004500801.tif 001969
【化２８２０】
2004500801.tif 001970
これはアミノ酸配列（配列番号１１８６；ＯＲＦ２８５．ａ）に対応する：
【化２８２１】
2004500801.tif 001971
【化２８２２】
2004500801.tif 001972
【化２８２３】
2004500801.tif 001973
以下の部分ＤＮＡ配列を、Ｎ．ｇｏｎｏｒｒｈｏｅａｅにおいて同定した（配列番号１
１８７）：
【化２８２４】
2004500801.tif 001974
【化２８２５】
2004500801.tif 001975
これはアミノ酸配列（配列番号１１８８；ＯＲＦ２８５−１．ｎｇ）に対応する：
【化２８２６】
2004500801.tif 001976
【化２８２７】
2004500801.tif 001977
以下の部分ＤＮＡ配列を、Ｎ．ｍｅｎｉｎｇｉｔｉｄｉｓにおいて同定した（配列番号
１１８９）：
【化２８２８】
2004500801.tif 001978
【化２８２９】
2004500801.tif 001979
これはアミノ酸配列（配列番号１１９０；ＯＲＦ２８５−１）に対応する：
【化２８３０】
2004500801.tif 001980
【化２８３１】
2004500801.tif 001981
【化２８３２】
2004500801.tif 001982
以下の部分ＤＮＡ配列を、Ｎ．ｍｅｎｉｎｇｉｔｉｄｉｓにおいて同定した（配列番号
１１９１）：
【化２８３３】
2004500801.tif 001983
【化２８３４】
2004500801.tif 001984
これはアミノ酸配列（配列番号１１９２；ＯＲＦ２８５−１．ａ）に対応する：
【化２８３５】
2004500801.tif 001985
【化２８３６】
2004500801.tif 001986
【化２８３７】
2004500801.tif 001987
以下の部分ＤＮＡ配列を、Ｎ．ｇｏｎｏｒｒｈｏｅａｅにおいて同定した（配列番号１
１９３）：
【化２８３８】
2004500801.tif 001988
これはアミノ酸配列（配列番号１１９４；ＯＲＦ２８６．ｎｇ）に対応する：
【化２８３９】
2004500801.tif 001989
【化２８４０】
2004500801.tif 001990
以下の部分ＤＮＡ配列を、Ｎ．ｍｅｎｉｎｇｉｔｉｄｉｓにおいて同定した（配列番号
１１９５）：
【化２８４１】
2004500801.tif 001991
これはアミノ酸配列（配列番号１１９６；ＯＲＦ２８６）に対応する：
【化２８４２】
2004500801.tif 001992
このアミノ酸配列のコンピューター分析は以下の結果を与えた：
（Ｎ．ｇｏｎｏｒｒｈｏｅａｅ由来の推定ＯＲＦとの相同性）
【化２８４３】
2004500801.tif 001993
【化２８４４】
2004500801.tif 001994
以下の部分ＤＮＡ配列を、Ｎ．ｍｅｎｉｎｇｉｔｉｄｉｓにおいて同定した（配列番号
１１９７）：
【化２８４５】
2004500801.tif 001995
【化２８４６】
2004500801.tif 001996
これはアミノ酸配列（配列番号１１９８；ＯＲＦ２８６．ａ）に対応する：
【化２８４７】
2004500801.tif 001997
【化２８４８】
2004500801.tif 001998
以下の部分ＤＮＡ配列を、Ｎ．ｇｏｎｏｒｒｈｏｅａｅにおいて同定した（配列番号１
１９９）：
【化２８４９】
2004500801.tif 001999
これはアミノ酸配列（配列番号１２００；ＯＲＦ２８７．ｎｇ）に対応する：
【化２８５０】
2004500801.tif 002000
【化２８５１】
2004500801.tif 002001
以下の部分ＤＮＡ配列を、Ｎ．ｍｅｎｉｎｇｉｔｉｄｉｓにおいて同定した（配列番号
１２０１）：
【化２８５２】
2004500801.tif 002002
これはアミノ酸配列（配列番号１２０２；ＯＲＦ２８７）に対応する：
【化２８５３】
2004500801.tif 002003
このアミノ酸配列のコンピューター分析は以下の結果を与えた：
（Ｎ．ｇｏｎｏｒｒｈｏｅａｅ由来の推定ＯＲＦとの相同性）
【化２８５４】
2004500801.tif 002004
【化２８５５】
2004500801.tif 002005
以下の部分ＤＮＡ配列を、Ｎ．ｍｅｎｉｎｇｉｔｉｄｉｓにおいて同定した（配列番号
１２０３）：
【化２８５６】
2004500801.tif 002006
【化２８５７】
2004500801.tif 002007
これはアミノ酸配列（配列番号１２０４；ＯＲＦ２８７．ａ）に対応する：
【化２８５８】
2004500801.tif 002008
【化２８５９】
2004500801.tif 002009
以下の部分ＤＮＡ配列を、Ｎ．ｇｏｎｏｒｒｈｏｅａｅにおいて同定した（配列番号１
２０５）：
【化２８６０】
2004500801.tif 002010
これはアミノ酸配列（配列番号１２０６；ＯＲＦ２８８．ｎｇ
）に対応する：
【化２８６１】
2004500801.tif 002011
以下の部分ＤＮＡ配列を、Ｎ．ｍｅｎｉｎｇｉｔｉｄｉｓにおいて同定した（配列番号
１２０７）：
【化２８６２】
2004500801.tif 002012
これはアミノ酸配列（配列番号１２０８；ＯＲＦ２８８）に対応する：
【化２８６３】
2004500801.tif 002013
このアミノ酸配列のコンピューター分析は以下の結果を与えた：
（Ｎ．ｇｏｎｏｒｒｈｏｅａｅ由来の推定ＯＲＦとの相同性）
【化２８６４】
2004500801.tif 002014
以下の部分ＤＮＡ配列を、Ｎ．ｍｅｎｉｎｇｉｔｉｄｉｓにおいて同定した（配列番号
１２０９）：
【化２８６５】
2004500801.tif 002015
これはアミノ酸配列（配列番号１２１０；ＯＲＦ２８８．ａ）に対応する：
【化２８６６】
2004500801.tif 002016
【化２８６７】
2004500801.tif 002017
以下の部分ＤＮＡ配列を、Ｎ．ｇｏｎｏｒｒｈｏｅａｅにおいて同定した（配列番号１
２１１）：
【化２８６８】
2004500801.tif 002018
これはアミノ酸配列（配列番号１２１２；ＯＲＦ２９０．ｎｇ）に対応する：
【化２８６９】
2004500801.tif 002019
以下の部分ＤＮＡ配列を、Ｎ．ｍｅｎｉｎｇｉｔｉｄｉｓにおいて同定した（配列番号
１２１３）：
【化２８７０】
2004500801.tif 002020
【化２８７１】
2004500801.tif 002021
これはアミノ酸配列（配列番号１２１４；ＯＲＦ２９０）に対応する：
【化２８７２】
2004500801.tif 002022
このアミノ酸配列のコンピューター分析は以下の結果を与えた：
（Ｎ．ｇｏｎｏｒｒｈｏｅａｅ由来の推定ＯＲＦとの相同性）
【化２８７３】
2004500801.tif 002023
以下の部分ＤＮＡ配列を、Ｎ．ｍｅｎｉｎｇｉｔｉｄｉｓにおいて同定した（配列番号
１２１５）：
【化２８７４】
2004500801.tif 002024
これはアミノ酸配列（配列番号１２１６；ＯＲＦ２９０．ａ）に対応する：
【化２８７５】
2004500801.tif 002025
【化２８７６】
2004500801.tif 002026
以下の部分ＤＮＡ配列を、Ｎ．ｇｏｎｏｒｒｈｏｅａｅにおいて同定した（配列番号１
２１７）：
【化２８７７】
2004500801.tif 002027
これはアミノ酸配列（配列番号１２１８；ＯＲＦ２９２．ｎｇ）に対応する：
【化２８７８】
2004500801.tif 002028
以下の部分ＤＮＡ配列を、Ｎ．ｍｅｎｉｎｇｉｔｉｄｉｓにおいて同定した（配列番号
１２１９）：
【化２８７９】
2004500801.tif 002029
これはアミノ酸配列（配列番号１２２０；ＯＲＦ２９２）に対応する：
【化２８８０】
2004500801.tif 002030
このアミノ酸配列のコンピューター分析は以下の結果を与えた：
（Ｎ．ｇｏｎｏｒｒｈｏｅａｅ由来の推定ＯＲＦとの相同性）
【化２８８１】
2004500801.tif 002031
以下の部分ＤＮＡ配列を、Ｎ．ｍｅｎｉｎｇｉｔｉｄｉｓにおいて同定した（配列番号
１２２１）：
【化２８８２】
2004500801.tif 002032
これはアミノ酸配列（配列番号１２２２；ＯＲＦ２９２．ａ）に対応する：
【化２８８３】
2004500801.tif 002033
以下の部分ＤＮＡ配列を、Ｎ．ｇｏｎｏｒｒｈｏｅａｅにおいて同定した（配列番号１
２２３）：
【化２８８４】
2004500801.tif 002034
これはアミノ酸配列（配列番号１２２４；ＯＲＦ２９４．ｎｇ）に対応する：
【化２８８５】
2004500801.tif 002035
以下の部分ＤＮＡ配列を、Ｎ．ｍｅｎｉｎｇｉｔｉｄｉｓにおいて同定した（配列番号
１２２５）：
【化２８８６】
2004500801.tif 002036
これはアミノ酸配列（配列番号１２２６；ＯＲＦ２９４）に対応する：
【化２８８７】
2004500801.tif 002037
以下の部分ＤＮＡ配列を、Ｎ．ｍｅｎｉｎｇｉｔｉｄｉｓにおいて同定した（配列番号
１２２７）：
【化２８８８】
2004500801.tif 002038
【化２８８９】
2004500801.tif 002039
これはアミノ酸配列（配列番号１２２８；ＯＲＦ２９４．ａ）に対応する：
【化２８９０】
2004500801.tif 002040
以下の部分ＤＮＡ配列を、Ｎ．ｇｏｎｏｒｒｈｏｅａｅにおいて同定した（配列番号１
２２９）：
【化２８９１】
2004500801.tif 002041
これはアミノ酸配列（配列番号１２３０；ＯＲＦ２９５．ｎｇ）に対応する：
【化２８９２】
2004500801.tif 002042
以下の部分ＤＮＡ配列を、Ｎ．ｍｅｎｉｎｇｉｔｉｄｉｓにおいて同定した（配列番号
１２３１）：
【化２８９３】
2004500801.tif 002043
これはアミノ酸配列（配列番号１２３２；ＯＲＦ２９５）に対応する：
【化２８９４】
2004500801.tif 002044
以下の部分ＤＮＡ配列を、Ｎ．ｍｅｎｉｎｇｉｔｉｄｉｓにおいて同定した（配列番号
１２３３）：
【化２８９５】
2004500801.tif 002045
これはアミノ酸配列（配列番号１２３４；ＯＲＦ２９５．ａ）に対応する：
【化２８９６】
2004500801.tif 002046
以下の部分ＤＮＡ配列を、Ｎ．ｇｏｎｏｒｒｈｏｅａｅにおいて同定した（配列番号１
２３５）：
【化２８９７】
2004500801.tif 002047
【化２８９８】
2004500801.tif 002048
これはアミノ酸配列（配列番号１２３６；ＯＲＦ２９７．ｎｇ）に対応する：
【化２８９９】
2004500801.tif 002049
以下の部分ＤＮＡ配列を、Ｎ．ｍｅｎｉｎｇｉｔｉｄｉｓにおいて同定した（配列番号
１２３７）：
【化２９００】
2004500801.tif 002050
これはアミノ酸配列（配列番号１２３８；ＯＲＦ２９７）に対応する：
【化２９０１】
2004500801.tif 002051
【化２９０２】
2004500801.tif 002052
以下の部分ＤＮＡ配列を、Ｎ．ｍｅｎｉｎｇｉｔｉｄｉｓにおいて同定した（配列番号
１２３９）：
【化２９０３】
2004500801.tif 002053
【化２９０４】
2004500801.tif 002054
これはアミノ酸配列（配列番号１２４０；ＯＲＦ２９７．ａ）に対応する：
【化２９０５】
2004500801.tif 002055
【化２９０６】
2004500801.tif 002056
以下の部分ＤＮＡ配列を、Ｎ．ｇｏｎｏｒｒｈｏｅａｅにおいて同定した（配列番号１
２４１）：
【化２９０７】
2004500801.tif 002057
これはアミノ酸配列（配列番号１２４２；ＯＲＦ２９８．ｎｇ）に対応する：
【化２９０８】
2004500801.tif 002058
以下の部分ＤＮＡ配列を、Ｎ．ｍｅｎｉｎｇｉｔｉｄｉｓにおいて同定した（配列番号
１２４３）：
【化２９０９】
2004500801.tif 002059
これはアミノ酸配列（配列番号１２４４；ＯＲＦ２９８）に対応する：
【化２９１０】
2004500801.tif 002060
以下の部分ＤＮＡ配列を、Ｎ．ｍｅｎｉｎｇｉｔｉｄｉｓにおいて同定した（配列番号
１２４５）：
【化２９１１】
2004500801.tif 002061
【化２９１２】
2004500801.tif 002062
これはアミノ酸配列（配列番号１２４６；ＯＲＦ２９８．ａ）に対応する：
【化２９１３】
2004500801.tif 002063
以下の部分ＤＮＡ配列を、Ｎ．ｇｏｎｏｒｒｈｏｅａｅにおいて同定した（配列番号１
２４７）：
【化２９１４】
2004500801.tif 002064
これはアミノ酸配列（配列番号１２４８；ＯＲＦ２９９．ｎｇ）に対応する：
【化２９１５】
2004500801.tif 002065
以下の部分ＤＮＡ配列を、Ｎ．ｍｅｎｉｎｇｉｔｉｄｉｓにおいて同定した（配列番号
１２４９）：
【化２９１６】
2004500801.tif 002066
これはアミノ酸配列（配列番号１２５０；ＯＲＦ２９９）に対応する：
【化２９１７】
2004500801.tif 002067
【化２９１８】
2004500801.tif 002068
以下の部分ＤＮＡ配列を、Ｎ．ｍｅｎｉｎｇｉｔｉｄｉｓにおいて同定した（配列番号
１２５１）：
【化２９１９】
2004500801.tif 002069
これはアミノ酸配列（配列番号１２５２；ＯＲＦ２９９．ａ）に対応する：
【化２９２０】
2004500801.tif 002070
以下の部分ＤＮＡ配列を、Ｎ．ｇｏｎｏｒｒｈｏｅａｅにおいて同定した（配列番号１
２５３）：
【化２９２１】
2004500801.tif 002071
【化２９２２】
2004500801.tif 002072
これはアミノ酸配列（配列番号１２５４；ＯＲＦ３０２．ｎｇ）に対応する：
【化２９２３】
2004500801.tif 002073
以下の部分ＤＮＡ配列を、Ｎ．ｍｅｎｉｎｇｉｔｉｄｉｓにおいて同定した（配列番号
１２５５）：
【化２９２４】
2004500801.tif 002074
【化２９２５】
2004500801.tif 002075
これはアミノ酸配列（配列番号１２５６；ＯＲＦ３０２）に対応する：
【化２９２６】
2004500801.tif 002076
このアミノ酸配列のコンピューター分析は以下の結果を与えた：
（Ｎ．ｇｏｎｏｒｒｈｏｅａｅ由来の推定ＯＲＦとの相同性）
ＯＲＦ３０２は、Ｎ．ｇｏｎｏｒｒｈｏｅａｅ由来の推定ＯＲＦ（ＯＲＦ３０２．ｎｇ
）との５３３アミノ酸の重複にわたって、９４．０％の同一性を示す：
【化２９２７】
2004500801.tif 002077
【化２９２８】
2004500801.tif 002078
以下の部分ＤＮＡ配列を、Ｎ．ｍｅｎｉｎｇｉｔｉｄｉｓにおいて同定した（配列番号
１２５７）：
【化２９２９】
2004500801.tif 002079
これはアミノ酸配列（配列番号１２５８；ＯＲＦ３０２．ａ）に対応する：
【化２９３０】
2004500801.tif 002080
【化２９３１】
2004500801.tif 002081
以下の部分ＤＮＡ配列を、Ｎ．ｇｏｎｏｒｒｈｏｅａｅにおいて同定した（配列番号１
２５９）：
【化２９３２】
2004500801.tif 002082
これはアミノ酸配列（配列番号１２６０；ＯＲＦ３０５．ｎｇ）に対応する：
【化２９３３】
2004500801.tif 002083
以下の部分ＤＮＡ配列を、Ｎ．ｍｅｎｉｎｇｉｔｉｄｉｓにおいて同定した（配列番号
１２６１）：
【化２９３４】
2004500801.tif 002084
これはアミノ酸配列（配列番号１２６２；ＯＲＦ３０５）に対応する：
【化２９３５】
2004500801.tif 002085
このアミノ酸配列のコンピューター分析は以下の結果を与えた：
（Ｎ．ｇｏｎｏｒｒｈｏｅａｅ由来の推定ＯＲＦとの相同性）
ＯＲＦ３０５は、Ｎ．ｇｏｎｏｒｒｈｏｅａｅ由来の推定ＯＲＦ（ＯＲＦ３０５．ｎｇ
）との２４３アミノ酸の重複にわたって、９６．７％の同一性を示す：
【化２９３６】
2004500801.tif 002086
【化２９３７】
2004500801.tif 002087
以下の部分ＤＮＡ配列を、Ｎ．ｍｅｎｉｎｇｉｔｉｄｉｓにおいて同定した（配列番号
１２６３）：
【化２９３８】
2004500801.tif 002088
これはアミノ酸配列（配列番号１２６４；ＯＲＦ３０５．ａ）に対応する：
【化２９３９】
2004500801.tif 002089
【化２９４０】
2004500801.tif 002090
以下の部分ＤＮＡ配列を、Ｎ．ｇｏｎｏｒｒｈｏｅａｅにおいて同定した（配列番号１
２６５）：
【化２９４１】
2004500801.tif 002091
これはアミノ酸配列（配列番号１２６６；ＯＲＦ３０６．ｎｇ）に対応する：
【化２９４２】
2004500801.tif 002092
以下の部分ＤＮＡ配列を、Ｎ．ｍｅｎｉｎｇｉｔｉｄｉｓにおいて同定した（配列番号
１２６７）：
【化２９４３】
2004500801.tif 002093
【化２９４４】
2004500801.tif 002094
これはアミノ酸配列（配列番号１２６８；ＯＲＦ３０６）に対応する：
【化２９４５】
2004500801.tif 002095
このアミノ酸配列のコンピューター分析は以下の結果を与えた：
（Ｎ．ｇｏｎｏｒｒｈｏｅａｅ由来の推定ＯＲＦとの相同性）
ＯＲＦ３０６は、Ｎ．ｇｏｎｏｒｒｈｏｅａｅ由来の推定ＯＲＦ（ＯＲＦ３０６．ｎｇ
）との２５３アミノ酸の重複にわたって、８８．９％の同一性を示す：
【化２９４６】
2004500801.tif 002096
以下の部分ＤＮＡ配列を、Ｎ．ｍｅｎｉｎｇｉｔｉｄｉｓにおいて同定した（配列番号
１２６９）：
【化２９４７】
2004500801.tif 002097
【化２９４８】
2004500801.tif 002098
これはアミノ酸配列（配列番号１２７０；ＯＲＦ３０６．ａ）に対応する：
【化２９４９】
2004500801.tif 002099
以下の部分ＤＮＡ配列を、Ｎ．ｇｏｎｏｒｒｈｏｅａｅにおいて同定した（配列番号１
２７１）：
【化２９５０】
2004500801.tif 002100
【化２９５１】
2004500801.tif 002101
これはアミノ酸配列（配列番号１２７２；ＯＲＦ３０７．ｎｇ）に対応する：
【化２９５２】
2004500801.tif 002102
以下の部分ＤＮＡ配列を、Ｎ．ｍｅｎｉｎｇｉｔｉｄｉｓにおいて同定した（配列番号
１２７３）：
【化２９５３】
2004500801.tif 002103
これはアミノ酸配列（配列番号１２７４；ＯＲＦ３０７）に対応する：
【化２９５４】
2004500801.tif 002104
このアミノ酸配列のコンピューター分析は以下の結果を与えた：
（Ｎ．ｇｏｎｏｒｒｈｏｅａｅ由来の推定ＯＲＦとの相同性）
ＯＲＦ３０７は、Ｎ．ｇｏｎｏｒｒｈｏｅａｅ由来の推定ＯＲＦ（ＯＲＦ３０７．ｎｇ
）との３８アミノ酸の重複にわたって、９７．４％の同一性を示す：
【化２９５５】
2004500801.tif 002105
以下の部分ＤＮＡ配列を、Ｎ．ｍｅｎｉｎｇｉｔｉｄｉｓにおいて同定した（配列番号
１２７５）：
【化２９５６】
2004500801.tif 002106
これはアミノ酸配列（配列番号１２７６；ＯＲＦ３０７．ａ）に対応する：
【化２９５７】
2004500801.tif 002107
【化２９５８】
2004500801.tif 002108
以下の部分ＤＮＡ配列を、Ｎ．ｇｏｎｏｒｒｈｏｅａｅにおいて同定した（配列番号１
２７７）：
【化２９５９】
2004500801.tif 002109
これはアミノ酸配列（配列番号１２７８；ＯＲＦ３０８．ｎｇ）に対応する：
【化２９６０】
2004500801.tif 002110
以下の部分ＤＮＡ配列を、Ｎ．ｍｅｎｉｎｇｉｔｉｄｉｓにおいて同定した（配列番号
１２７９）：
【化２９６１】
2004500801.tif 002111
これはアミノ酸配列（配列番号１２８０；ＯＲＦ３０８）に対応する：
【化２９６２】
2004500801.tif 002112
【化２９６３】
2004500801.tif 002113
このアミノ酸配列のコンピューター分析は以下の結果を与えた：
（Ｎ．ｇｏｎｏｒｒｈｏｅａｅ由来の推定ＯＲＦとの相同性）
ＯＲＦ３０８は、Ｎ．ｇｏｎｏｒｒｈｏｅａｅ由来の推定ＯＲＦ（ＯＲＦ３０８．ｎｇ
）との２３１アミノ酸の重複にわたって、９６．５％の同一性を示す：
【化２９６４】
2004500801.tif 002114
以下の部分ＤＮＡ配列を、Ｎ．ｍｅｎｉｎｇｉｔｉｄｉｓにおいて同定した（配列番号
１２８１）：
【化２９６５】
2004500801.tif 002115
これはアミノ酸配列（配列番号１２８２；ＯＲＦ３０８．ａ）に対応する：
【化２９６６】
2004500801.tif 002116
【化２９６７】
2004500801.tif 002117
以下の部分ＤＮＡ配列を、Ｎ．ｇｏｎｏｒｒｈｏｅａｅにおいて同定した（配列番号１
２８３）：
【化２９６８】
2004500801.tif 002118
これはアミノ酸配列（配列番号１２８４；ＯＲＦ３０８−１．ｎｇ）に対応する：
【化２９６９】
2004500801.tif 002119
以下の部分ＤＮＡ配列を、Ｎ．ｍｅｎｉｎｇｉｔｉｄｉｓにおいて同定した（配列番号
１２８５）：
【化２９７０】
2004500801.tif 002120
これはアミノ酸配列（配列番号１２８６；ＯＲＦ３０８−１）に対応する：
【化２９７１】
2004500801.tif 002121
【化２９７２】
2004500801.tif 002122
以下の部分ＤＮＡ配列を、Ｎ．ｍｅｎｉｎｇｉｔｉｄｉｓにおいて同定した（配列番号
１２８７）：
【化２９７３】
2004500801.tif 002123
これはアミノ酸配列（配列番号１２８８；ＯＲＦ３０１−８．ａ）に対応する：
【化２９７４】
2004500801.tif 002124
【化２９７５】
2004500801.tif 002125
以下の部分ＤＮＡ配列を、Ｎ．ｇｏｎｏｒｒｈｏｅａｅにおいて同定した（配列番号１
２８９）：
【化２９７６】
2004500801.tif 002126
これはアミノ酸配列（配列番号１２９０；ＯＲＦ３１１．ｎｇ）に対応する：
【化２９７７】
2004500801.tif 002127
以下の部分ＤＮＡ配列を、Ｎ．ｍｅｎｉｎｇｉｔｉｄｉｓにおいて同定した（配列番号
１２９１）：
【化２９７８】
2004500801.tif 002128
【化２９７９】
2004500801.tif 002129
これはアミノ酸配列（配列番号１２９２；ＯＲＦ３１１）に対応する：
【化２９８０】
2004500801.tif 002130
このアミノ酸配列のコンピューター分析は以下の結果を与えた：
（Ｎ．ｇｏｎｏｒｒｈｏｅａｅ由来の推定ＯＲＦとの相同性）
ＯＲＦ３１１は、Ｎ．ｇｏｎｏｒｒｈｏｅａｅ由来の推定ＯＲＦ（ＯＲＦ３１１．ｎｇ
）との４５５アミノ酸の重複にわたって、７８．５％の同一性を示す：
【化２９８１】
2004500801.tif 002131
【化２９８２】
2004500801.tif 002132
以下の部分ＤＮＡ配列を、Ｎ．ｍｅｎｉｎｇｉｔｉｄｉｓにおいて同定した（配列番号
１２９３）：
【化２９８３】
2004500801.tif 002133
これはアミノ酸配列（配列番号１２９４；ＯＲＦ３１１．ａ）に対応する：
【化２９８４】
2004500801.tif 002134
【化２９８５】
2004500801.tif 002135
以下の部分ＤＮＡ配列を、Ｎ．ｇｏｎｏｒｒｈｏｅａｅにおいて同定した（配列番号１
２９５）：
【化２９８６】
2004500801.tif 002136
【化２９８７】
2004500801.tif 002137
これはアミノ酸配列（配列番号１２９６；ＯＲＦ３１１−１．ｎｇ）に対応する：
【化２９８８】
2004500801.tif 002138
以下の部分ＤＮＡ配列を、Ｎ．ｍｅｎｉｎｇｉｔｉｄｉｓにおいて同定した（配列番号
１２９７）：
【化２９８９】
2004500801.tif 002139
【化２９９０】
2004500801.tif 002140
これはアミノ酸配列（配列番号１２９８；ＯＲＦ３１１−１）に対応する：
【化２９９１】
2004500801.tif 002141
【化２９９２】
2004500801.tif 002142
以下の部分ＤＮＡ配列を、Ｎ．ｍｅｎｉｎｇｉｔｉｄｉｓにおいて同定した（配列番号
１２９９）：
【化２９９３】
2004500801.tif 002143
これはアミノ酸配列（配列番号１３００；ＯＲＦ３１１−１．ａ）に対応する：
【化２９９４】
2004500801.tif 002144
【化２９９５】
2004500801.tif 002145
以下の部分ＤＮＡ配列を、Ｎ．ｇｏｎｏｒｒｈｏｅａｅにおいて同定した（配列番号１
３０１）：
【化２９９６】
2004500801.tif 002146
【化２９９７】
2004500801.tif 002147
これはアミノ酸配列（配列番号１３０２；ＯＲＦ３１２．ｎｇ）に対応する：
【化２９９８】
2004500801.tif 002148
以下の部分ＤＮＡ配列を、Ｎ．ｍｅｎｉｎｇｉｔｉｄｉｓにおいて同定した（配列番号
１３０３）：
【化２９９９】
2004500801.tif 002149
これはアミノ酸配列（配列番号１３０４；ＯＲＦ３１２）に対応する：
【化３０００】
2004500801.tif 002150
このアミノ酸配列のコンピューター分析は以下の結果を与えた：
（Ｎ．ｇｏｎｏｒｒｈｏｅａｅ由来の推定ＯＲＦとの相同性）
ＯＲＦ３１２は、Ｎ．ｇｏｎｏｒｒｈｏｅａｅ由来の推定ＯＲＦ（ＯＲＦ３１２．ｎｇ
）との４５１アミノ酸の重複にわたって、９５．６％の同一性を示す：
【化３００１】
2004500801.tif 002151
以下の部分ＤＮＡ配列を、Ｎ．ｍｅｎｉｎｇｉｔｉｄｉｓにおいて同定した（配列番号
１３０５）：
【化３００２】
2004500801.tif 002152
【化３００３】
2004500801.tif 002153
これはアミノ酸配列（配列番号１３０６；ＯＲＦ３１２．ａ）に対応する：
【化３００４】
2004500801.tif 002154
【化３００５】
2004500801.tif 002155
以下の部分ＤＮＡ配列を、Ｎ．ｇｏｎｏｒｒｈｏｅａｅにおいて同定した（配列番号１
３０７）：
【化３００６】
2004500801.tif 002156
これはアミノ酸配列（配列番号１３０８；ＯＲＦ３１３．ｎｇ）に対応する：
【化３００７】
2004500801.tif 002157
以下の部分ＤＮＡ配列を、Ｎ．ｍｅｎｉｎｇｉｔｉｄｉｓにおいて同定した（配列番号
１３０９）：
【化３００８】
2004500801.tif 002158
これはアミノ酸配列（配列番号１３１０；ＯＲＦ３１３）に対応する：
【化３００９】
2004500801.tif 002159
このアミノ酸配列のコンピューター分析は以下の結果を与えた：
（Ｎ．ｇｏｎｏｒｒｈｏｅａｅ由来の推定ＯＲＦとの相同性）
ＯＲＦ３１３は、Ｎ．ｇｏｎｏｒｒｈｏｅａｅ由来の推定ＯＲＦ（ＯＲＦ３１３．ｎｇ
）との１７３アミノ酸の重複にわたって、９０．２％の同一性を示す：
【化３０１０】
2004500801.tif 002160
以下の部分ＤＮＡ配列を、Ｎ．ｍｅｎｉｎｇｉｔｉｄｉｓにおいて同定した（配列番号
１３１１）：
【化３０１１】
2004500801.tif 002161
これはアミノ酸配列（配列番号１３１２；ＯＲＦ３１３．ａ）に対応する：
【化３０１２】
2004500801.tif 002162
以下の部分ＤＮＡ配列を、Ｎ．ｇｏｎｏｒｒｈｏｅａｅにおいて同定した（配列番号１
３１３）：
【化３０１３】
2004500801.tif 002163
これはアミノ酸配列（配列番号１３１４；ＯＲＦ４０１．ｎｇ）に対応する：
【化３０１４】
2004500801.tif 002164
以下の部分ＤＮＡ配列を、Ｎ．ｍｅｎｉｎｇｉｔｉｄｉｓにおいて同定した（配列番号
１３１５）：
【化３０１５】
2004500801.tif 002165
これはアミノ酸配列（配列番号１３１６；ＯＲＦ４０１）に対応する：
【化３０１６】
2004500801.tif 002166
このアミノ酸配列のコンピューター分析は以下の結果を与えた：
（Ｎ．ｇｏｎｏｒｒｈｏｅａｅ由来の推定ＯＲＦとの相同性）
ＯＲＦ４０１は、Ｎ．ｇｏｎｏｒｒｈｏｅａｅ由来の推定ＯＲＦ（ＯＲＦ４０１．ｎｇ
）との２０３アミノ酸の重複にわたって、１００．０％の同一性を示す：
【化３０１７】
2004500801.tif 002167
【化３０１８】
2004500801.tif 002168
以下の部分ＤＮＡ配列を、Ｎ．ｍｅｎｉｎｇｉｔｉｄｉｓにおいて同定した（配列番号
１３１７）：
【化３０１９】
2004500801.tif 002169
これはアミノ酸配列（配列番号１３１８；ＯＲＦ４０１．ａ）に対応する：
【化３０２０】
2004500801.tif 002170
以下の部分ＤＮＡ配列を、Ｎ．ｇｏｎｏｒｒｈｏｅａｅにおいて同定した（配列番号１
３１９）：
【化３０２１】
2004500801.tif 002171
これはアミノ酸配列（配列番号１３２０；ＯＲＦ４０２．ｎｇ）に対応する：
【化３０２２】
2004500801.tif 002172
以下の部分ＤＮＡ配列を、Ｎ．ｍｅｎｉｎｇｉｔｉｄｉｓにおいて同定した（配列番号
１３２１）：
【化３０２３】
2004500801.tif 002173
【化３０２４】
2004500801.tif 002174
これはアミノ酸配列（配列番号１３２２；ＯＲＦ４０２）に対応する：
【化３０２５】
2004500801.tif 002175
このアミノ酸配列のコンピューター分析は以下の結果を与えた：
（Ｎ．ｇｏｎｏｒｒｈｏｅａｅ由来の推定ＯＲＦとの相同性）
ＯＲＦ４０２は、Ｎ．ｇｏｎｏｒｒｈｏｅａｅ由来の推定ＯＲＦ（ＯＲＦ４０２．ｎｇ
）との４９７アミノ酸の重複にわたって、９７．０％の同一性を示す：
【化３０２６】
2004500801.tif 002176
【化３０２７】
2004500801.tif 002177
以下の部分ＤＮＡ配列を、Ｎ．ｍｅｎｉｎｇｉｔｉｄｉｓにおいて同定した（配列番号
１３２３）：
【化３０２８】
2004500801.tif 002178
これはアミノ酸配列（配列番号１３２４；ＯＲＦ４０２．ａ）に対応する：
【化３０２９】
2004500801.tif 002179
【化３０３０】
2004500801.tif 002180
以下の部分ＤＮＡ配列を、Ｎ．ｇｏｎｏｒｒｈｏｅａｅにおいて同定した（配列番号１
３２５）：
【化３０３１】
2004500801.tif 002181
これはアミノ酸配列（配列番号１３２６；ＯＲＦ４０６）に対応する：
【化３０３２】
2004500801.tif 002182
以下の部分ＤＮＡ配列を、Ｎ．ｍｅｎｉｎｇｉｔｉｄｉｓにおいて同定した（配列番号
１３２７）：
【化３０３３】
2004500801.tif 002183
これはアミノ酸配列（配列番号１３２８；ＯＲＦ４０６）に対応する：
【化３０３４】
2004500801.tif 002184
【化３０３５】
2004500801.tif 002185
このアミノ酸配列のコンピューター分析は以下の結果を与えた：
（Ｎ．ｇｏｎｏｒｒｈｏｅａｅ由来の推定ＯＲＦとの相同性）
ＯＲＦ４０６は、Ｎ．ｇｏｎｏｒｒｈｏｅａｅ由来の推定ＯＲＦ（ＯＲＦ４０６．ａ）
との３２０アミノ酸の重複にわたって、９８．８％の同一性を示す：
【化３０３６】
2004500801.tif 002186
以下の部分ＤＮＡ配列を、Ｎ．ｍｅｎｉｎｇｉｔｉｄｉｓにおいて同定した（配列番号
１３２９）：
【化３０３７】
2004500801.tif 002187
【化３０３８】
2004500801.tif 002188
これはアミノ酸配列（配列番号１３３０；ＯＲＦ４０６．ａ）に対応する：
【化３０３９】
2004500801.tif 002189
以下の部分ＤＮＡ配列を、Ｎ．ｇｏｎｏｒｒｈｏｅａｅにおいて同定した（配列番号１
３３１）：
【化３０４０】
2004500801.tif 002190
【化３０４１】
2004500801.tif 002191
これはアミノ酸配列（配列番号１３３２；ＯＲＦ５０１．ｎｇ）に対応する：
【化３０４２】
2004500801.tif 002192
以下の部分ＤＮＡ配列を、Ｎ．ｍｅｎｉｎｇｉｔｉｄｉｓにおいて同定した（配列番号
１３３３）：
【化３０４３】
2004500801.tif 002193
【化３０４４】
2004500801.tif 002194
これはアミノ酸配列（配列番号１３３４；ＯＲＦ５０１）に対応する：
【化３０４５】
2004500801.tif 002195
このアミノ酸配列のコンピューター分析は以下の結果を与えた：
（Ｎ．ｇｏｎｏｒｒｈｏｅａｅ由来の推定ＯＲＦとの相同性）
ＯＲＦ５０１は、Ｎ．ｇｏｎｏｒｒｈｏｅａｅ由来の推定ＯＲＦ（ＯＲＦ５０１．ｎｇ
）との５５８アミノ酸の重複にわたって、８６．２％の同一性を示す：
【化３０４６】
2004500801.tif 002196
【化３０４７】
2004500801.tif 002197
以下の部分ＤＮＡ配列を、Ｎ．ｍｅｎｉｎｇｉｔｉｄｉｓにおいて同定した（配列番号
１３３５）：
【化３０４８】
2004500801.tif 002198
【化３０４９】
2004500801.tif 002199
これはアミノ酸配列（配列番号１３３６；ＯＲＦ５０１．ａ）に対応する：
【化３０５０】
2004500801.tif 002200
【化３０５１】
2004500801.tif 002201
以下の部分ＤＮＡ配列を、Ｎ．ｇｏｎｏｒｒｈｏｅａｅにおいて同定した（配列番号１
３３７）：
【化３０５２】
2004500801.tif 002202
これはアミノ酸配列（配列番号１３３８；ＯＲＦ５０２．ｎｇ）に対応する：
【化３０５３】
2004500801.tif 002203
以下の部分ＤＮＡ配列を、Ｎ．ｍｅｎｉｎｇｉｔｉｄｉｓにおいて同定した（配列番号
１３３９）：
【化３０５４】
2004500801.tif 002204
これはアミノ酸配列（配列番号１３４０；ＯＲＦ５０２．ｎｇ）に対応する：
【化３０５５】
2004500801.tif 002205
このアミノ酸配列のコンピューター分析は以下の結果を与えた：
（Ｎ．ｇｏｎｏｒｒｈｏｅａｅ由来の推定ＯＲＦとの相同性）
ＯＲＦ５０２は、Ｎ．ｇｏｎｏｒｒｈｏｅａｅ由来の推定ＯＲＦ（ＯＲＦ５０２．ｎｇ
）との１６８アミノ酸の重複にわたって、９５．８％の同一性を示す：
【化３０５６】
2004500801.tif 002206
以下の部分ＤＮＡ配列を、Ｎ．ｍｅｎｉｎｇｉｔｉｄｉｓにおいて同定した（配列番号
１３４１）：
【化３０５７】
2004500801.tif 002207
これはアミノ酸配列（配列番号１３４２；５０２  ２１７．ａ）に対応する：
【化３０５８】
2004500801.tif 002208
以下の部分ＤＮＡ配列を、Ｎ．ｇｏｎｏｒｒｈｏｅａｅにおいて同定した（配列番号１
３４３）：
【化３０５９】
2004500801.tif 002209
これはアミノ酸配列（配列番号１３４４；ＯＲＦ５０２−１．ｎｇ）に対応する：
【化３０６０】
2004500801.tif 002210
以下の部分ＤＮＡ配列を、Ｎ．ｍｅｎｉｎｇｉｔｉｄｉｓにおいて同定した（配列番号
１３４５）：
【化３０６１】
2004500801.tif 002211
これはアミノ酸配列（配列番号１３４６；ＯＲＦ５０２−１）に対応する：
【化３０６２】
2004500801.tif 002212
【化３０６３】
2004500801.tif 002213
以下の部分ＤＮＡ配列を、Ｎ．ｍｅｎｉｎｇｉｔｉｄｉｓにおいて同定した（配列番号
１３４７）：
【化３０６４】
2004500801.tif 002214
これはアミノ酸配列（配列番号１３４８；ＯＲＦ５０２−１．ａ）に対応する：
【化３０６５】
2004500801.tif 002215
以下の部分ＤＮＡ配列を、Ｎ．ｇｏｎｏｒｒｈｏｅａｅにおいて同定した（配列番号１
３４９）：
【化３０６６】
2004500801.tif 002216
これはアミノ酸配列（配列番号１３５０；ＯＲＦ５０３．ｎｇ）に対応する：
【化３０６７】
2004500801.tif 002217
以下の部分ＤＮＡ配列を、Ｎ．ｍｅｎｉｎｇｉｔｉｄｉｓにおいて同定した（配列番号
１３５１）：
【化３０６８】
2004500801.tif 002218
これはアミノ酸配列（配列番号１３５２；ＯＲＦ５０３）に対応する：
【化３０６９】
2004500801.tif 002219
このアミノ酸配列のコンピューター分析は以下の結果を与えた：
（Ｎ．ｇｏｎｏｒｒｈｏｅａｅ由来の推定ＯＲＦとの相同性）
ＯＲＦ５０３は、Ｎ．ｇｏｎｏｒｒｈｏｅａｅ由来の推定ＯＲＦ（ＯＲＦ５０３．ｎｇ
）との６８アミノ酸の重複にわたって、９１．２％の同一性を示す：
【化３０７０】
2004500801.tif 002220
以下の部分ＤＮＡ配列を、Ｎ．ｍｅｎｉｎｇｉｔｉｄｉｓ）において同定した（配列番
号１３５３：
【化３０７１】
2004500801.tif 002221
これはアミノ酸配列（配列番号１３５４；ＯＲＦ５０３．ａ）に対応する：
【化３０７２】
2004500801.tif 002222
以下の部分ＤＮＡ配列を、Ｎ．ｇｏｎｏｒｒｈｏｅａｅにおいて同定した（配列番号１
３５５）：
【化３０７３】
2004500801.tif 002223
これはアミノ酸配列（配列番号１３５６；ＯＲＦ２１４．ｎｇ）に対応する：
【化３０７４】
2004500801.tif 002224
以下の部分ＤＮＡ配列を、Ｎ．ｍｅｎｉｎｇｉｔｉｄｉｓにおいて同定した（配列番号
１３５７）：
【化３０７５】
2004500801.tif 002225
これはアミノ酸配列（配列番号１３５８；ＯＲＦ５０３−１）に対応する：
【化３０７６】
2004500801.tif 002226
以下の部分ＤＮＡ配列を、Ｎ．ｍｅｎｉｎｇｉｔｉｄｉｓにおいて同定した（配列番号
１３５９）：
【化３０７７】
2004500801.tif 002227
これはアミノ酸配列（配列番号１３６０；ＯＲＦ５０３−１．ａ）に対応する：
【化３０７８】
2004500801.tif 002228
以下の部分ＤＮＡ配列を、Ｎ．ｇｏｎｏｒｒｈｏｅａｅにおいて同定した（配列番号１
３６１）：
【化３０７９】
2004500801.tif 002229
これはアミノ酸配列（配列番号１３６２；ＯＲＦ５０４．ｎｇ）に対応する：
【化３０８０】
2004500801.tif 002230
以下の部分ＤＮＡ配列を、Ｎ．ｍｅｎｉｎｇｉｔｉｄｉｓにおいて同定した（配列番号
１３６３）：
【化３０８１】
2004500801.tif 002231
【化３０８２】
2004500801.tif 002232
これはアミノ酸配列（配列番号１３６４；ＯＲＦ５０４）に対応する：
【化３０８３】
2004500801.tif 002233
このアミノ酸配列のコンピューター分析は以下の結果を与えた：
（Ｎ．ｇｏｎｏｒｒｈｏｅａｅ由来の推定ＯＲＦとの相同性）
ＯＲＦ５０４は、Ｎ．ｇｏｎｏｒｒｈｏｅａｅ由来の推定ＯＲＦ（ＯＲＦ５０４．ｎｇ
）との４２５アミノ酸の重複にわたって、９６．７％の同一性を示す：
【化３０８４】
2004500801.tif 002234
【化３０８５】
2004500801.tif 002235
以下の部分ＤＮＡ配列を、Ｎ．ｍｅｎｉｎｇｉｔｉｄｉｓにおいて同定した（配列番号
１３６５）：
【化３０８６】
2004500801.tif 002236
これはアミノ酸配列（配列番号１３６６；ＯＲＦ５０４．ａ）に対応する：
【化３０８７】
2004500801.tif 002237
【化３０８８】
2004500801.tif 002238
以下の部分ＤＮＡ配列を、Ｎ．ｇｏｎｏｒｒｈｏｅａｅにおいて同定した（配列番号１
３６７）：
【化３０８９】
2004500801.tif 002239
これはアミノ酸配列（配列番号１３６８；ＯＲＦ５０５．ｎｇ）に対応する：
【化３０９０】
2004500801.tif 002240
以下の部分ＤＮＡ配列を、Ｎ．ｍｅｎｉｎｇｉｔｉｄｉｓにおいて同定した（配列番号
１３６９）：
【化３０９１】
2004500801.tif 002241
これはアミノ酸配列（配列番号１３７０；ＯＲＦ５０５）に対応する：
【化３０９２】
2004500801.tif 002242
このアミノ酸配列のコンピューター分析は以下の結果を与えた：
（Ｎ．ｇｏｎｏｒｒｈｏｅａｅ由来の推定ＯＲＦとの相同性）
ＯＲＦ５０５は、Ｎ．ｇｏｎｏｒｒｈｏｅａｅ由来の推定ＯＲＦ（ＯＲＦ５０５．ｎｇ
）との２８７アミノ酸の重複にわたって、９３．７％の同一性を示す：
【化３０９３】
2004500801.tif 002243
以下の部分ＤＮＡ配列を、Ｎ．ｍｅｎｉｎｇｉｔｉｄｉｓにおいて同定した（配列番号
１３７１）：
【化３０９４】
2004500801.tif 002244
これはアミノ酸配列（配列番号１３７２；ＯＲＦ５０５．ａ）に対応する：
【化３０９５】
2004500801.tif 002245
以下の部分ＤＮＡ配列を、Ｎ．ｍｅｎｉｎｇｉｔｉｄｉｓにおいて同定した（配列番号
１３７３）：
【化３０９６】
2004500801.tif 002246
これはアミノ酸配列（配列番号１３７４；ＯＲＦ５０５−１）に対応する：
【化３０９７】
2004500801.tif 002247
【化３０９８】
2004500801.tif 002248
以下の部分ＤＮＡ配列を、Ｎ．ｇｏｎｏｒｒｈｏｅａｅにおいて同定した（配列番号１
３７５）：
【化３０９９】
2004500801.tif 002249
これはアミノ酸配列（配列番号１３７６；ＯＲＦ５０６．ｎｇ）に対応する：
【化３１００】
2004500801.tif 002250
【化３１０１】
2004500801.tif 002251
以下の部分ＤＮＡ配列を、Ｎ．ｍｅｎｉｎｇｉｔｉｄｉｓにおいて同定した（配列番号
１３７７）：
【化３１０２】
2004500801.tif 002252
これはアミノ酸配列（配列番号１３７８；ＯＲＦ５０６）に対応する：
【化３１０３】
2004500801.tif 002253
このアミノ酸配列のコンピューター分析は以下の結果を与えた：
（Ｎ．ｇｏｎｏｒｒｈｏｅａｅ由来の推定ＯＲＦとの相同性）
ＯＲＦ５０６は、Ｎ．ｇｏｎｏｒｒｈｏｅａｅ由来の推定ＯＲＦ（ＯＲＦ５０６．ｎｇ
）との５２０アミノ酸の重複にわたって、８９．２％の同一性を示す：
【化３１０４】
2004500801.tif 002254
【化３１０５】
2004500801.tif 002255
以下の部分ＤＮＡ配列を、Ｎ．ｍｅｎｉｎｇｉｔｉｄｉｓにおいて同定した（配列番号
１３７９）：
【化３１０６】
2004500801.tif 002256
【化３１０７】
2004500801.tif 002257
これは、このアミノ酸配列＜配列番号１３８０；ＯＲＦ  ５０６．ａ＞に対応する：
【化３１０８】
2004500801.tif 002258
【化３１０９】
2004500801.tif 002259
以下の部分ＤＮＡ配列は、Ｎ．ｇｏｎｏｒｒｈｏｅａｅにおいて同定された＜配列番号１
３８１＞：
【化３１１０】
2004500801.tif 002260
これは、このアミノ酸配列＜配列番号１３８２；ＯＲＦ  ５０７．ｎｇ＞に対応する：
【化３１１１】
2004500801.tif 002261
以下の部分ＤＮＡ配列は、Ｎ．ｍｅｎｉｎｇｉｔｉｄｉｓにおいて同定された＜配列番号
１３８３＞：
【化３１１２】
2004500801.tif 002262
これは、このアミノ酸配列＜配列番号１３８４；ＯＲＦ  ５０７＞に対応する：
【化３１１３】
2004500801.tif 002263
【化３１１４】
2004500801.tif 002264
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５０７は、Ｎ．ｇｏｎｏｒｒｈｏｅａｅ由来の予想されるＯＲＦ（ＯＲＦ  ５０
７．ｎｇ）との１８５アミノ酸重複に対して８７．０％同一性を示す：
【化３１１５】
2004500801.tif 002265
以下の部分ＤＮＡ配列は、Ｎ．ｍｅｎｉｎｇｉｔｉｄｉｓにおいて同定された＜配列番号
１３８５＞：
【化３１１６】
2004500801.tif 002266
これは、このアミノ酸配列＜配列番号１３８６；ＯＲＦ  ５０７．ａ＞に対応する：
【化３１１７】
2004500801.tif 002267
【化３１１８】
2004500801.tif 002268
以下の部分ＤＮＡ配列は、Ｎ．ｇｏｎｏｒｒｈｏｅａｅにおいて同定された＜配列番号１
３８７＞：
【化３１１９】
2004500801.tif 002269
これは、このアミノ酸配列＜配列番号１３８８；ＯＲＦ  ５０８．ｎｇ＞に対応する：
【化３１２０】
2004500801.tif 002270
以下の部分ＤＮＡ配列は、Ｎ．ｍｅｎｉｎｇｉｔｉｄｉｓにおいて同定された＜配列番号
１３８９＞：
【化３１２１】
2004500801.tif 002271
これは、このアミノ酸配列＜配列番号１３９０；ＯＲＦ  ５０８．ｎｇ＞に対応する：
【化３１２２】
2004500801.tif 002272
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５０８は、Ｎ．ｇｏｎｏｒｒｈｏｅａｅ由来の予想されるＯＲＦ（ＯＲＦ  ５０
８．ｎｇ）との１６７アミノ酸重複に対して８６．８％同一性を示す：
【化３１２３】
2004500801.tif 002273
【化３１２４】
2004500801.tif 002274
以下の部分ＤＮＡ配列は、Ｎ．ｍｅｎｉｎｇｉｔｉｄｉｓにおいて同定された＜配列番号
１３９１＞：
【化３１２５】
2004500801.tif 002275
これは、このアミノ酸配列＜配列番号１３９２；ＯＲＦ  ５０８．ａ＞に対応する：
【化３１２６】
2004500801.tif 002276
以下の部分ＤＮＡ配列は、Ｎ．ｇｏｎｏｒｒｈｏｅａｅにおいて同定された＜配列番号１
３９３＞：
【化３１２７】
2004500801.tif 002277
【化３１２８】
2004500801.tif 002278
これは、このアミノ酸配列＜配列番号１３９４；ＯＲＦ  ５０９．ｎｇ＞に対応する：
【化３１２９】
2004500801.tif 002279
以下の部分ＤＮＡ配列は、Ｎ．ｍｅｎｉｎｇｉｔｉｄｉｓにおいて同定された＜配列番号
１３９５＞：
【化３１３０】
2004500801.tif 002280
【化３１３１】
2004500801.tif 002281
これは、このアミノ酸配列＜配列番号１３９６；ＯＲＦ  ５０９＞に対応する：
【化３１３２】
2004500801.tif 002282
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５０９は、Ｎ．ｇｏｎｏｒｒｈｏｅａｅ由来の予想されるＯＲＦ（ＯＲＦ  ５０
９．ｎｇ）との５７５アミノ酸重複に対して８７．８％同一性を示す：
【化３１３３】
2004500801.tif 002283
【化３１３４】
2004500801.tif 002284
以下の部分ＤＮＡ配列は、Ｎ．ｍｅｎｉｎｇｉｔｉｄｉｓにおいて同定された＜配列番号
１３９７＞：
【化３１３５】
2004500801.tif 002285
【化３１３６】
2004500801.tif 002286
これは、このアミノ酸配列＜配列番号１３９８；ＯＲＦ  ５０９．ａ＞に対応する：
【化３１３７】
2004500801.tif 002287
【化３１３８】
2004500801.tif 002288
以下の部分ＤＮＡ配列は、Ｎ．ｇｏｎｏｒｒｈｏｅａｅにおいて同定された＜配列番号１
３９９＞：
【化３１３９】
2004500801.tif 002289
これは、このアミノ酸配列＜配列番号１４００；ＯＲＦ  ５１０．ｎｇ＞に対応する：
【化３１４０】
2004500801.tif 002290
以下の部分ＤＮＡ配列は、Ｎ．ｍｅｎｉｎｇｉｔｉｄｉｓにおいて同定された＜配列番号
１４０１＞：
【化３１４１】
2004500801.tif 002291
これは、このアミノ酸配列＜配列番号１４０２；ＯＲＦ  ５１０＞に対応する：
【化３１４２】
2004500801.tif 002292
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５１０は、Ｎ．ｇｏｎｏｒｒｈｏｅａｅ由来の予想されるＯＲＦ（ＯＲＦ  ５１
０．ｎｇ）との１３２アミノ酸重複に対して９６．２％同一性を示す：
【化３１４３】
2004500801.tif 002293
以下の部分ＤＮＡ配列は、Ｎ．ｍｅｎｉｎｇｉｔｉｄｉｓにおいて同定された＜配列番号
１４０３＞：
【化３１４４】
2004500801.tif 002294
これは、このアミノ酸配列＜配列番号１４０４；ＯＲＦ  ５１０．ａ＞に対応する：
【化３１４５】
2004500801.tif 002295
以下の部分ＤＮＡ配列は、Ｎ．ｇｏｎｏｒｒｈｏｅａｅにおいて同定された＜配列番号１
４０５＞：
【化３１４６】
2004500801.tif 002296
【化３１４７】
2004500801.tif 002297
これは、このアミノ酸配列＜配列番号１４０６；ＯＲＦ  ５１２．ｎｇ＞に対応する：
【化３１４８】
2004500801.tif 002298
以下の部分ＤＮＡ配列は、Ｎ．ｍｅｎｉｎｇｉｔｉｄｉｓにおいて同定された＜配列番号
１４０７＞：
【化３１４９】
2004500801.tif 002299
これは、このアミノ酸配列＜配列番号１４０８；ＯＲＦ  ５１２＞に対応する：
【化３１５０】
2004500801.tif 002300
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５１２は、Ｎ．ｇｏｎｏｒｒｈｏｅａｅ由来の予想されるＯＲＦ（ＯＲＦ  ５１
２．ｎｇ）との１２２アミノ酸重複に対して９３．４％同一性を示す：
【化３１５１】
2004500801.tif 002301
【化３１５２】
2004500801.tif 002302
以下の部分ＤＮＡ配列は、Ｎ．ｍｅｎｉｎｇｉｔｉｄｉｓにおいて同定された＜配列番号
１４０９＞：
【化３１５２ａ】
2004500801.tif 002303
これは、このアミノ酸配列＜配列番号１４１０；ＯＲＦ  ５１２．ａ＞に対応する：
【化３１５３】
2004500801.tif 002304
以下の部分ＤＮＡ配列は、Ｎ．ｇｏｎｏｒｒｈｏｅａｅにおいて同定された＜配列番号１
４１１＞：
【化３１５４】
2004500801.tif 002305
【化３１５５】
2004500801.tif 002306
これは、このアミノ酸配列＜配列番号１４１２；ＯＲＦ  ５１３．ｎｇ＞に対応する：
【化３１５６】
2004500801.tif 002307
以下の部分ＤＮＡ配列は、Ｎ．ｍｅｎｉｎｇｉｔｉｄｉｓにおいて同定された＜配列番号
１４１３＞：
【化３１５７】
2004500801.tif 002308
これは、このアミノ酸配列＜配列番号１４１４；ＯＲＦ  ５１３．ｎｇ＞に対応する：
【化３１５８】
2004500801.tif 002309
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５１３は、Ｎ．ｇｏｎｏｒｒｈｏｅａｅ由来の予想されるＯＲＦ（ＯＲＦ  ５１
３）との１９１アミノ酸重複に対して９９．５％同一性を示す：
【化３１５９】
2004500801.tif 002310
以下の部分ＤＮＡ配列は、Ｎ．ｍｅｎｉｎｇｉｔｉｄｉｓにおいて同定された＜配列番号
１４１５＞：
【化３１６０】
2004500801.tif 002311
【化３１６１】
2004500801.tif 002312
これは、このアミノ酸配列＜配列番号１４１６；ＯＲＦ  ５１３．ａ＞に対応する：
【化３１６２】
2004500801.tif 002313
【化３１６３】
2004500801.tif 002314
以下の部分ＤＮＡ配列は、Ｎ．ｇｏｎｏｒｒｈｏｅａｅにおいて同定された＜配列番号１
４１７＞：
【化３１６４】
2004500801.tif 002315
これは、このアミノ酸配列＜配列番号１４１８；ＯＲＦ  ５１５．ｎｇ＞に対応する：
【化３１６５】
2004500801.tif 002316
以下の部分ＤＮＡ配列は、Ｎ．ｍｅｎｉｎｇｉｔｉｄｉｓにおいて同定された＜配列番号
１４１９＞：
【化３１６６】
2004500801.tif 002317
これは、このアミノ酸配列＜配列番号１４２０；ＯＲＦ  ５１５＞に対応する：
【化３１６７】
2004500801.tif 002318
【化３１６８】
2004500801.tif 002319
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５１５は、Ｎ．ｇｏｎｏｒｒｈｏｅａｅ由来の予想されるＯＲＦ（ＯＲＦ  ５１
５．ｎｇ）との３０４アミノ酸重複に対して８５．９％同一性を示す：
【化３１６９】
2004500801.tif 002320
以下の部分ＤＮＡ配列は、Ｎ．ｍｅｎｉｎｇｉｔｉｄｉｓにおいて同定された＜配列番号
１４２１＞：
【化３１７０】
2004500801.tif 002321
【化３１７１】
2004500801.tif 002322
これは、このアミノ酸配列＜配列番号１４２２；ＯＲＦ  ５１５．ａ＞に対応する：
【化３１７２】
2004500801.tif 002323
以下の部分ＤＮＡ配列は、Ｎ．ｇｏｎｏｒｒｈｏｅａｅにおいて同定された＜配列番号１
４２３＞：
【化３１７３】
2004500801.tif 002324
【化３１７４】
2004500801.tif 002325
これは、このアミノ酸配列＜配列番号１４２４；ＯＲＦ  ５１５−１．ｎｇ＞に対応する
：
【化３１７５】
2004500801.tif 002326
以下の部分ＤＮＡ配列は、Ｎ．ｍｅｎｉｎｇｉｔｉｄｉｓにおいて同定された＜配列番号
１４２５＞：
【化３１７６】
2004500801.tif 002327
これは、このアミノ酸配列＜配列番号１４２６；ＯＲＦ  ５１５−１＞に対応する：
【化３１７７】
2004500801.tif 002328
【化３１７８】
2004500801.tif 002329
以下の部分ＤＮＡ配列は、Ｎ．ｍｅｎｉｎｇｉｔｉｄｉｓにおいて同定された＜配列番号
１４２７＞：
【化３１７９】
2004500801.tif 002330
これは、このアミノ酸配列＜配列番号１４２８；ＯＲＦ  ５１５−１．ａ＞に対応する：
【化３１８０】
2004500801.tif 002331
【化３１８１】
2004500801.tif 002332
以下の部分ＤＮＡ配列は、Ｎ．ｇｏｎｏｒｒｈｏｅａｅにおいて同定された＜配列番号１
４２９＞：
【化３１８２】
2004500801.tif 002333
これは、このアミノ酸配列＜配列番号１４３０；ＯＲＦ  ５１６．ｎｇ＞に対応する：
【化３１８３】
2004500801.tif 002334
以下の部分ＤＮＡ配列は、Ｎ．ｍｅｎｉｎｇｉｔｉｄｉｓにおいて同定された＜配列番号
１４３１＞：
【化３１８４】
2004500801.tif 002335
【化３１８５】
2004500801.tif 002336
これは、このアミノ酸配列＜配列番号１４３２；ＯＲＦ  ５１６＞に対応する：
【化３１８６】
2004500801.tif 002337
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５１６は、Ｎ．ｇｏｎｏｒｒｈｏｅａｅ由来の予想されるＯＲＦ（ＯＲＦ  ５１
６．ｎｇ）との２３１アミノ酸重複に対して９０．０％同一性を示す：
【化３１８７】
2004500801.tif 002338
以下の部分ＤＮＡ配列は、Ｎ．ｍｅｎｉｎｇｉｔｉｄｉｓにおいて同定された＜配列番号
１４３３＞：
【化３１８８】
2004500801.tif 002339
これは、このアミノ酸配列＜配列番号１４３４；ＯＲＦ  ５１６．ａ＞に対応する：
【化３１８９】
2004500801.tif 002340
【化３１９０】
2004500801.tif 002341
以下の部分ＤＮＡ配列は、Ｎ．ｇｏｎｏｒｒｈｏｅａｅにおいて同定された＜配列番号１
４３５＞：
【化３１９１】
2004500801.tif 002342
これは、このアミノ酸配列＜配列番号１４３６；ＯＲＦ  ５１７．ｎｇ＞に対応する：
【化３１９２】
2004500801.tif 002343
以下の部分ＤＮＡ配列は、Ｎ．ｍｅｎｉｎｇｉｔｉｄｉｓにおいて同定された＜配列番号
１４３７＞：
【化３１９３】
2004500801.tif 002344
【化３１９４】
2004500801.tif 002345
これは、このアミノ酸配列＜配列番号１４３８；ＯＲＦ  ５１７．ｎｇ＞に対応する：
【化３１９５】
2004500801.tif 002346
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５１７は、Ｎ．ｇｏｎｏｒｒｈｏｅａｅ由来の予想されるＯＲＦ（ＯＲＦ  ５０
８．ｎｇ）との１６４アミノ酸重複に対して９２．７％同一性を示す：
【化３１９６】
2004500801.tif 002347
以下の部分ＤＮＡ配列は、Ｎ．ｍｅｎｉｎｇｉｔｉｄｉｓにおいて同定された＜配列番号
１４３９＞：
【化３１９７】
2004500801.tif 002348
これは、このアミノ酸配列＜配列番号１４４０；ＯＲＦ  ５１７．ａ＞に対応する：
【化３１９８】
2004500801.tif 002349
【化３１９９】
2004500801.tif 002350
以下の部分ＤＮＡ配列は、Ｎ．ｇｏｎｏｒｒｈｏｅａｅにおいて同定された＜配列番号１
４４１＞：
【化３２００】
2004500801.tif 002351
これは、このアミノ酸配列＜配列番号１４４２；ＯＲＦ  ５１８．ｎｇ＞に対応する：
【化３２０１】
2004500801.tif 002352
以下の部分ＤＮＡ配列は、Ｎ．ｍｅｎｉｎｇｉｔｉｄｉｓにおいて同定された＜配列番号
１４４３＞：
【化３２０２】
2004500801.tif 002353
これは、このアミノ酸配列＜配列番号１４４４；ＯＲＦ  ５１８＞に対応する：
【化３２０３】
2004500801.tif 002354
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５１８は、Ｎ．ｇｏｎｏｒｒｈｏｅａｅ由来の予想されるＯＲＦ（ＯＲＦ  ５１
８．ｎｇ）との１３５アミノ酸重複に対して７４．１％同一性を示す：
【化３２０４】
2004500801.tif 002355
以下の部分ＤＮＡ配列は、Ｎ．ｍｅｎｉｎｇｉｔｉｄｉｓにおいて同定された＜配列番号
１４４５＞：
【化３２０５】
2004500801.tif 002356
これは、このアミノ酸配列＜配列番号１４４６；ＯＲＦ  ５１８．ａ＞に対応する：
【化３２０６】
2004500801.tif 002357
以下の部分ＤＮＡ配列は、Ｎ．ｇｏｎｏｒｒｈｏｅａｅにおいて同定された＜配列番号１
４４７＞：
【化３２０７】
2004500801.tif 002358
これは、このアミノ酸配列＜配列番号１４４８；ＯＲＦ  ５１９．ｎｇ＞に対応する：
【化３２０８】
2004500801.tif 002359
【化３２０９】
2004500801.tif 002360
以下の部分ＤＮＡ配列は、Ｎ．ｍｅｎｉｎｇｉｔｉｄｉｓにおいて同定された＜配列番号
１４４９＞：
【化３２１０】
2004500801.tif 002361
これは、このアミノ酸配列＜配列番号１４５０；ＯＲＦ  ５１９＞に対応する：
【化３２１１】
2004500801.tif 002362
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５１９は、Ｎ．ｇｏｎｏｒｒｈｏｅａｅ由来の予想されるＯＲＦ（ＯＲＦ  ５１
９．ｎｇ）との２００アミノ酸重複に対して８７．５％同一性を示す：
【化３２１２】
2004500801.tif 002363
以下の部分ＤＮＡ配列は、Ｎ．ｍｅｎｉｎｇｉｔｉｄｉｓにおいて同定された＜配列番号
１４５１＞：
【化３２１３】
2004500801.tif 002364
【化３２１４】
2004500801.tif 002365
これは、このアミノ酸配列＜配列番号１４５２；ＯＲＦ  ５１９．ａ＞に対応する：
【化３２１５】
2004500801.tif 002366
以下の部分ＤＮＡ配列は、Ｎ．ｇｏｎｏｒｒｈｏｅａｅにおいて同定された＜配列番号１
４５３＞：
【化３２１６】
2004500801.tif 002367
【化３２１７】
2004500801.tif 002368
これは、このアミノ酸配列＜配列番号１４５４；ＯＲＦ  ５１９−１．ｎｇ＞に対応する
：
【化３２１８】
2004500801.tif 002369
以下の部分ＤＮＡ配列は、Ｎ．ｍｅｎｉｎｇｉｔｉｄｉｓにおいて同定された＜配列番号
１４５５＞：
【化３２１９】
2004500801.tif 002370
これは、このアミノ酸配列＜配列番号１４５６；ＯＲＦ  ５１９−１＞に対応する：
【化３２２０】
2004500801.tif 002371
【化３２２１】
2004500801.tif 002372
以下の部分ＤＮＡ配列は、Ｎ．ｍｅｎｉｎｇｉｔｉｄｉｓにおいて同定された＜配列番号
１４５７＞：
【化３２２２】
2004500801.tif 002373
これは、このアミノ酸配列＜配列番号１４５８；ＯＲＦ  ５１９−１．ａ＞に対応する：
【化３２２３】
2004500801.tif 002374
【化３２２４】
2004500801.tif 002375
（ＯＲＦ  ５１９の発現）
表１に記載されるＯＲＦ５１９についてのプライマーを使用して、ＯＲＦ  ５１９を位
置決定およびクローニングした。ＯＲＦ  ５１９を、上記のようにｐＥＴベクターおよび
ｐＧｅｘベクターにクローニングし、そしてＥ．ｃｏｌｉ中で発現させた。タンパク質発
現産物および精製物を、ＳＤＳ−ＰＡＧＥにより分析した。図４Ａは、アフィニティー精
製の結果を示し、そして図４Ｂは、Ｅ．ｃｏｌｉにおける発現を示す。精製したＮｉｓ融
合タンパク質を使用してマウスを免疫し、その血清をＥＬＩＳＡ（陽性の結果）、ＦＡＣ
Ｓ分析（図４Ｃ）、ウェスタンブロット（図１Ｅ）、および殺菌アッセイ（図４Ｄ）に使
用した。これらの実験により、５１９が表面に露出されたタンパク質であること、および
これが有用な免疫原であることが確認される。ＯＲＦ  ５１９の親水性プロット、抗原性
指標、および両親媒性領域を、図８に提供する。ＡＭＰＨＩプログラムを使用して、推定
Ｔ細胞エピトープを推測する（Ｇａｏら、１９８９、Ｊ．Ｉｍｍｕｎｏｌ  １４３：３０
０７；Ｒｏｂｅｒｔｓら、１９９６、ＡＩＤＳ  Ｒｅｓ  Ｈｕｍａｎ  Ｒｅｔｒｏｖｉｒ
ｕｓ  １２：５９３；Ｑｕａｋｙｉら、１９９２、Ｓｃａｎｄ  Ｊ  Ｉｍｍｕｎｏｌ  Ｓ
ｕｐｐｌ  １１：９）。ＯＲＦ  ５１９核酸配列およびこれによりコードされるアミノ酸
配列は、本明細書中に提供されるものである。
以下の部分ＤＮＡ配列は、Ｎ．ｇｏｎｏｒｒｈｏｅａｅにおいて同定された＜配列番号
１４５９＞：
【化３２２５】
2004500801.tif 002376
これは、このアミノ酸配列＜配列番号１４６０；ＯＲＦ  ５２０．ｎｇ＞に対応する：
【化３２２６】
2004500801.tif 002377
以下の部分ＤＮＡ配列は、Ｎ．ｍｅｎｉｎｇｉｔｉｄｉｓにおいて同定された＜配列番号
１４６１＞：
【化３２２７】
2004500801.tif 002378
【化３２２８】
2004500801.tif 002379
これは、このアミノ酸配列＜配列番号１４６２；ＯＲＦ  ５２０＞に対応する：
【化３２２９】
2004500801.tif 002380
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５２０は、Ｎ．ｇｏｎｏｒｒｈｏｅａｅ由来の予想されるＯＲＦ（ＯＲＦ  ５２
０．ｎｇ）との１９７アミノ酸重複に対して８７．３％同一性を示す：
【化３２３０】
2004500801.tif 002381
以下の部分ＤＮＡ配列は、Ｎ．ｍｅｎｉｎｇｉｔｉｄｉｓにおいて同定された＜配列番号
１４６３＞：
【化３２３１】
2004500801.tif 002382
これは、このアミノ酸配列＜配列番号１４６４；ＯＲＦ  ５２０．ａ＞に対応する：
【化３２３２】
2004500801.tif 002383
【化３２３３】
2004500801.tif 002384
以下の部分ＤＮＡ配列は、Ｎ．ｇｏｎｏｒｒｈｏｅａｅにおいて同定された＜配列番号１
４６５＞：
【化３２３４】
2004500801.tif 002385
これは、このアミノ酸配列＜配列番号１４６６；ＯＲＦ  ５２０−１．ｎｇ＞に対応する
：
【化３２３５】
2004500801.tif 002386
以下の部分ＤＮＡ配列は、Ｎ．ｍｅｎｉｎｇｉｔｉｄｉｓにおいて同定された＜配列番号
１４６７＞：
【化３２３６】
2004500801.tif 002387
これは、このアミノ酸配列＜配列番号１４６８；ＯＲＦ  ５２０−１＞に対応する：
【化３２３７】
2004500801.tif 002388
【化３２３８】
2004500801.tif 002389
以下の部分ＤＮＡ配列は、Ｎ．ｍｅｎｉｎｇｉｔｉｄｉｓにおいて同定された＜配列番号
１４６９＞：
【化３２３９】
2004500801.tif 002390
これは、このアミノ酸配列＜配列番号１４７０；ＯＲＦ  ５２０−１．ａ＞に対応する：
【化３２４０】
2004500801.tif 002391
以下の部分ＤＮＡ配列は、Ｎ．ｇｏｎｏｒｒｈｏｅａｅにおいて同定された＜配列番号１
４７１＞：
【化３２４１】
2004500801.tif 002392
【化３２４２】
2004500801.tif 002393
これは、このアミノ酸配列＜配列番号１４７２；ＯＲＦ  ５２１．ｎｇ＞に対応する：
【化３２４３】
2004500801.tif 002394
以下の部分ＤＮＡ配列は、Ｎ．ｍｅｎｉｎｇｉｔｉｄｉｓにおいて同定された＜配列番号
１４７３＞：
【化３２４４】
2004500801.tif 002395
これは、このアミノ酸配列＜配列番号１４７４；ＯＲＦ  ５２１＞に対応する：
【化３２４５】
2004500801.tif 002396
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５２１は、Ｎ．ｇｏｎｏｒｒｈｏｅａｅ由来の予想されるＯＲＦ（ＯＲＦ  ５２
１．ｎｇ）との１７１アミノ酸重複に対して９０．６％同一性を示す：
【化３２４６】
2004500801.tif 002397
以下の部分ＤＮＡ配列は、Ｎ．ｍｅｎｉｎｇｉｔｉｄｉｓにおいて同定された＜配列番号
１４７５＞：
【化３２４７】
2004500801.tif 002398
【化３２４８】
2004500801.tif 002399
これは、このアミノ酸配列＜配列番号１４７６；ＯＲＦ  ５２１．ａ＞に対応する：
【化３２４９】
2004500801.tif 002400
以下の部分ＤＮＡ配列は、Ｎ．ｇｏｎｏｒｒｈｏｅａｅにおいて同定された＜配列番号１
４７７＞：
【化３２５０】
2004500801.tif 002401
これは、このアミノ酸配列＜配列番号１４７８；ＯＲＦ  ５２２．ｎｇ＞に対応する：
【化３２５１】
2004500801.tif 002402
以下の部分ＤＮＡ配列は、Ｎ．ｍｅｎｉｎｇｉｔｉｄｉｓにおいて同定された＜配列番号
１４７９＞：
【化３２５２】
2004500801.tif 002403
【化３２５３】
2004500801.tif 002404
これは、このアミノ酸配列＜配列番号１４８０；ＯＲＦ  ５２２＞に対応する：
【化３２５４】
2004500801.tif 002405
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５２２は、Ｎ．ｇｏｎｏｒｒｈｏｅａｅ由来の予想されるＯＲＦ（ＯＲＦ  ５２
２．ｎｇ）との１４４アミノ酸重複に対して９１．０％同一性を示す：
【化３２５５】
2004500801.tif 002406
以下の部分ＤＮＡ配列は、Ｎ．ｍｅｎｉｎｇｉｔｉｄｉｓにおいて同定された＜配列番号
１４８１＞：
【化３２５６】
2004500801.tif 002407
これは、このアミノ酸配列＜配列番号１４８２；ＯＲＦ  ５２２．ａ＞に対応する：
【化３２５７】
2004500801.tif 002408
【化３２５８】
2004500801.tif 002409
以下の部分ＤＮＡ配列は、Ｎ．ｇｏｎｏｒｒｈｏｅａｅにおいて同定された＜配列番号１
４８３＞：
【化３２５９】
2004500801.tif 002410
これは、このアミノ酸配列＜配列番号１４８４；ＯＲＦ  ５２３．ｎｇ＞に対応する：
【化３２６０】
2004500801.tif 002411
以下の部分ＤＮＡ配列は、Ｎ．ｍｅｎｉｎｇｉｔｉｄｉｓにおいて同定された＜配列番号
１４８５＞：
【化３２６１】
2004500801.tif 002412
これは、このアミノ酸配列＜配列番号１４８６；ＯＲＦ  ５２３＞に対応する：
【化３２６２】
2004500801.tif 002413
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５２３は、Ｎ．ｇｏｎｏｒｒｈｏｅａｅ由来の予想されるＯＲＦ（ＯＲＦ  ５２
３．ｎｇ）との１２６アミノ酸重複に対して９１．３％同一性を示す：
【化３２６３】
2004500801.tif 002414
【化３２６４】
2004500801.tif 002415
以下の部分ＤＮＡ配列は、Ｎ．ｍｅｎｉｎｇｉｔｉｄｉｓにおいて同定された＜配列番号
１４８７＞：
【化３２６５】
2004500801.tif 002416
これは、このアミノ酸配列＜配列番号１４８８；ＯＲＦ  ５２３．ａ＞に対応する：
【化３２６６】
2004500801.tif 002417
以下の部分ＤＮＡ配列は、Ｎ．ｇｏｎｏｒｒｈｏｅａｅにおいて同定された＜配列番号１
４８９＞：
【化３２６７】
2004500801.tif 002418
これは、このアミノ酸配列＜配列番号１４９０；ＯＲＦ  ５２５．ｎｇ＞に対応する：
【化３２６８】
2004500801.tif 002419
以下の部分ＤＮＡ配列は、Ｎ．ｍｅｎｉｎｇｉｔｉｄｉｓにおいて同定された＜配列番号
１４９１＞：
【化３２６９】
2004500801.tif 002420
これは、このアミノ酸配列＜配列番号１４９２；ＯＲＦ  ５２５＞に対応する：
【化３２７０】
2004500801.tif 002421
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５２５は、Ｎ．ｇｏｎｏｒｒｈｏｅａｅ由来の予想されるＯＲＦ（ＯＲＦ  ５２
５．ｎｇ）との１８６アミノ酸重複に対して９４．１％同一性を示す：
【化３２７１】
2004500801.tif 002422
以下の部分ＤＮＡ配列は、Ｎ．ｍｅｎｉｎｇｉｔｉｄｉｓにおいて同定された＜配列番号
１４９３＞：
【化３２７２】
2004500801.tif 002423
これは、このアミノ酸配列＜配列番号１４９４；ＯＲＦ  ５２５．ａ＞に対応する：
【化３２７３】
2004500801.tif 002424
以下の部分ＤＮＡ配列は、Ｎ．ｇｏｎｏｒｒｈｏｅａｅにおいて同定された＜配列番号１
４９５＞：
【化３２７４】
2004500801.tif 002425
これは、このアミノ酸配列＜配列番号１４９６；ＯＲＦ  ５２５−１．ｎｇ＞に対応する
：
【化３２７５】
2004500801.tif 002426
以下の部分ＤＮＡ配列は、Ｎ．ｍｅｎｉｎｇｉｔｉｄｉｓにおいて同定された＜配列番号
１４９７＞：
【化３２７６】
2004500801.tif 002427
【化３２７７】
2004500801.tif 002428
これは、このアミノ酸配列＜配列番号１４９８；ＯＲＦ  ５２５−１．ｎｇ＞に対応する
：
【化３２７８】
2004500801.tif 002429
以下の部分ＤＮＡ配列は、Ｎ．ｍｅｎｉｎｇｉｔｉｄｉｓにおいて同定された＜配列番号
１４９９＞：
【化３２７９】
2004500801.tif 002430
これは、このアミノ酸配列＜配列番号１５００；ＯＲＦ  ５２５−１．ａ＞に対応する：
【化３２８０】
2004500801.tif 002431
以下の部分ＤＮＡ配列は、Ｎ．ｇｏｎｏｒｒｈｏｅａｅにおいて同定された＜配列番号１
５０１＞：
【化３２８１】
2004500801.tif 002432
これは、このアミノ酸配列＜配列番号１５０２；ＯＲＦ  ５２７．ｎｇ＞に対応する：
【化３２８２】
2004500801.tif 002433
以下の部分ＤＮＡ配列は、Ｎ．ｍｅｎｉｎｇｉｔｉｄｉｓにおいて同定された＜配列番号
１５０３＞：
【化３２８３】
2004500801.tif 002434
【化３２８４】
2004500801.tif 002435
これは、このアミノ酸配列＜配列番号１５０４；ＯＲＦ  ５２７＞に対応する：
【化３２８５】
2004500801.tif 002436
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５２７は、Ｎ．ｇｏｎｏｒｒｈｏｅａｅ由来の予想されるＯＲＦ（ＯＲＦ  ５２
７．ｎｇ）との１５０アミノ酸重複に対して９０．０％同一性を示す：
【化３２８６】
2004500801.tif 002437
以下の部分ＤＮＡ配列は、Ｎ．ｍｅｎｉｎｇｉｔｉｄｉｓにおいて同定された＜配列番号
１５０５＞：
【化３２８７】
2004500801.tif 002438
これは、このアミノ酸配列＜配列番号１５０６；ＯＲＦ  ５２７．ａ＞に対応する：
【化３２８８】
2004500801.tif 002439
【化３２８９】
2004500801.tif 002440
以下の部分ＤＮＡ配列は、Ｎ．ｇｏｎｏｒｒｈｏｅａｅにおいて同定された＜配列番号１
５０７＞：
【化３２９０】
2004500801.tif 002441
これは、このアミノ酸配列＜配列番号１５０８；ＯＲＦ  ５２８．ｎｇ＞に対応する：
【化３２９１】
2004500801.tif 002442
以下の部分ＤＮＡ配列は、Ｎ．ｍｅｎｉｎｇｉｔｉｄｉｓにおいて同定された＜配列番号
１５０９＞：
【化３２９２】
2004500801.tif 002443
これは、このアミノ酸配列＜配列番号１５１０；ＯＲＦ  ５２８＞に対応する：
【化３２９３】
2004500801.tif 002444
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５２８は、Ｎ．ｇｏｎｏｒｒｈｏｅａｅ由来の予想されるＯＲＦ（ＯＲＦ  ５２
８．ｎｇ）との１２１アミノ酸重複に対して８９．３％同一性を示す：
【化３２９４】
2004500801.tif 002445
【化３２９５】
2004500801.tif 002446
以下の部分ＤＮＡ配列は、Ｎ．ｍｅｎｉｎｇｉｔｉｄｉｓにおいて同定された＜配列番号
１５１１＞：
【化３２９６】
2004500801.tif 002447
これは、このアミノ酸配列＜配列番号１５１２；ＯＲＦ  ５２８．ａ＞に対応する：
【化３２９７】
2004500801.tif 002448
以下の部分ＤＮＡ配列は、Ｎ．ｇｏｎｏｒｒｈｏｅａｅにおいて同定された＜配列番号１
５１３＞：
【化３２９８】
2004500801.tif 002449
これは、このアミノ酸配列＜配列番号１５１４；ＯＲＦ  ５２８−１．ｎｇ＞に対応する
：
【化３２９９】
2004500801.tif 002450
以下の部分ＤＮＡ配列は、Ｎ．ｍｅｎｉｎｇｉｔｉｄｉｓにおいて同定された＜配列番号
１５１５＞：
【化３３００】
2004500801.tif 002451
【化３３０１】
2004500801.tif 002452
これは、このアミノ酸配列＜配列番号１５１６；ＯＲＦ  ５２８−１＞に対応する：
【化３３０２】
2004500801.tif 002453
以下の部分ＤＮＡ配列は、Ｎ．ｍｅｎｉｎｇｉｔｉｄｉｓにおいて同定された＜配列番号
１５１７＞：
【化３３０３】
2004500801.tif 002454
これは、このアミノ酸配列＜配列番号１５１８；ＯＲＦ  ５２８−１．ａ＞に対応する：
【化３３０４】
2004500801.tif 002455
以下の部分ＤＮＡ配列は、Ｎ．ｇｏｎｏｒｒｈｏｅａｅにおいて同定された＜配列番号
１５１９＞：
【化３３０５】
2004500801.tif 002456
これは、このアミノ酸配列＜配列番号１５２０；ＯＲＦ  ５２９．ｎｇ＞に対応する：
【化３３０６】
2004500801.tif 002457
以下の部分ＤＮＡ配列は、Ｎ．ｍｅｎｉｎｇｉｔｉｄｉｓにおいて同定された＜配列番号
１５２１＞：
【化３３０７】
2004500801.tif 002458
これは、このアミノ酸配列＜配列番号１５２２；ＯＲＦ  ５２９＞に対応する：
【化３３０８】
2004500801.tif 002459
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５２９は、Ｎ．ｇｏｎｏｒｒｈｏｅａｅ由来の予想されるＯＲＦ（ＯＲＦ  ５２
９．ｎｇ）との１１５アミノ酸重複に対して８３．５％同一性を示す：
【化３３０９】
2004500801.tif 002460
【化３３１０】
2004500801.tif 002461
以下の部分ＤＮＡ配列は、Ｎ．ｍｅｎｉｎｇｉｔｉｄｉｓにおいて同定された＜配列番号
１５２３＞：
【化３３１１】
2004500801.tif 002462
これは、このアミノ酸配列＜配列番号１５２４；ＯＲＦ  ５２９．ａ＞に対応する：
【化３３１２】
2004500801.tif 002463
【化３３１３】
2004500801.tif 002464
以下の部分ＤＮＡ配列は、Ｎ．ｇｏｎｏｒｒｈｏｅａｅにおいて同定された＜配列番号１
５２５＞：
【化３３１４】
2004500801.tif 002465
これは、このアミノ酸配列＜配列番号１５２６；ＯＲＦ  ５３０．ｎｇ＞に対応する：
【化３３１５】
2004500801.tif 002466
以下の部分ＤＮＡ配列は、Ｎ．ｍｅｎｉｎｇｉｔｉｄｉｓにおいて同定された＜配列番号
１５２７＞：
【化３３１６】
2004500801.tif 002467
これは、このアミノ酸配列＜配列番号１５２８；ＯＲＦ  ５３０＞に対応する：
【化３３１７】
2004500801.tif 002468
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５３０は、Ｎ．ｇｏｎｏｒｒｈｏｅａｅ由来の予想されるＯＲＦ（ＯＲＦ  ５３
０．ｎｇ）との９８アミノ酸重複に対して８８．８％同一性を示す：
【化３３１８】
2004500801.tif 002469
【化３３１９】
2004500801.tif 002470
以下の部分ＤＮＡ配列は、Ｎ．ｍｅｎｉｎｇｉｔｉｄｉｓにおいて同定された＜配列番号
１５２９＞：
【化３３２０】
2004500801.tif 002471
これは、このアミノ酸配列＜配列番号１５３０；ＯＲＦ  ５３０．ａ＞に対応する：
【化３３２１】
2004500801.tif 002472
以下の部分ＤＮＡ配列は、Ｎ．ｇｏｎｏｒｒｈｏｅａｅにおいて同定された＜配列番号１
５３１＞：
【化３３２２】
2004500801.tif 002473
これは、このアミノ酸配列＜配列番号１５３２；ＯＲＦ  ５３１．ｎｇ＞に対応する：
【化３３２３】
2004500801.tif 002474
以下の部分ＤＮＡ配列は、Ｎ．ｍｅｎｉｎｇｉｔｉｄｉｓにおいて同定された＜配列番号
１５３３＞：
【化３３２４】
2004500801.tif 002475
【化３３２５】
2004500801.tif 002476
これは、このアミノ酸配列＜配列番号１５３４；ＯＲＦ  ５３１＞に対応する：
【化３３２６】
2004500801.tif 002477
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５３１は、Ｎ．ｇｏｎｏｒｒｈｏｅａｅ由来の予想されるＯＲＦ（ＯＲＦ  ５３
１．ｎｇ）との１６２アミノ酸重複に対して９４．４％同一性を示す：
【化３３２７】
2004500801.tif 002478
以下の部分ＤＮＡ配列は、Ｎ．ｍｅｎｉｎｇｉｔｉｄｉｓにおいて同定された＜配列番号
１５３５＞：
【化３３２８】
2004500801.tif 002479
これは、このアミノ酸配列＜配列番号１５３６；ＯＲＦ  ５３１．ａ＞に対応する：
【化３３２９】
2004500801.tif 002480
【化３３３０】
2004500801.tif 002481
以下の部分ＤＮＡ配列は、Ｎ．ｇｏｎｏｒｒｈｏｅａｅにおいて同定された＜配列番号１
５３７＞：
【化３３３１】
2004500801.tif 002482
これは、このアミノ酸配列＜配列番号１５３８；ＯＲＦ  ５３２．ｎｇ＞に対応する：
【化３３３２】
2004500801.tif 002483
以下の部分ＤＮＡ配列は、Ｎ．ｍｅｎｉｎｇｉｔｉｄｉｓにおいて同定された＜配列番号
１５３９＞：
【化３３３３】
2004500801.tif 002484
これは、このアミノ酸配列＜配列番号１５４０；ＯＲＦ  ５３２＞に対応する：
【化３３３４】
2004500801.tif 002485
【化３３３５】
2004500801.tif 002486
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５３２は、Ｎ．ｇｏｎｏｒｒｈｏｅａｅ由来の予想されるＯＲＦ（ＯＲＦ  ５３
２．ｎｇ）との９３アミノ酸重複に対して９１．４％同一性を示す：
【化３３３６】
2004500801.tif 002487
以下の部分ＤＮＡ配列は、Ｎ．ｍｅｎｉｎｇｉｔｉｄｉｓにおいて同定された＜配列番号
１５４１＞：
【化３３３７】
2004500801.tif 002488
これは、このアミノ酸配列＜配列番号１５４２；ＯＲＦ  ５３２．ａ＞に対応する：
【化３３３８】
2004500801.tif 002489
【化３３３９】
2004500801.tif 002490
以下の部分ＤＮＡ配列は、Ｎ．ｇｏｎｏｒｒｈｏｅａｅにおいて同定された＜配列番号１
５４３＞：
【化３３４０】
2004500801.tif 002491
【化３３４１】
2004500801.tif 002492
これは、このアミノ酸配列＜配列番号１５４４；ＯＲＦ  ５３５．ｎｇ＞に対応する：
【化３３４２】
2004500801.tif 002493
以下の部分ＤＮＡ配列は、Ｎ．ｍｅｎｉｎｇｉｔｉｄｉｓにおいて同定された＜配列番号
１５４５＞：
【化３３４３】
2004500801.tif 002494
これは、このアミノ酸配列＜配列番号１５４６；ＯＲＦ  ５３５＞に対応する：
【化３３４４】
2004500801.tif 002495
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５３５は、Ｎ．ｇｏｎｏｒｒｈｏｅａｅ由来の予想されるＯＲＦ（ＯＲＦ  ５３
５．ｎｇ）との２６２アミノ酸重複に対して８０．９％同一性を示す：
【化３３４５】
2004500801.tif 002496
【化３３４６】
2004500801.tif 002497
以下の部分ＤＮＡ配列は、Ｎ．ｍｅｎｉｎｇｉｔｉｄｉｓにおいて同定された＜配列番号
１５４７＞：
【化３３４７】
2004500801.tif 002498
これは、このアミノ酸配列＜配列番号１５４８；ＯＲＦ  ５３５．ａ＞に対応する：
【化３３４８】
2004500801.tif 002499
【化３３４９】
2004500801.tif 002500
以下の部分ＤＮＡ配列は、Ｎ．ｇｏｎｏｒｒｈｏｅａｅにおいて同定された＜配列番号１
５４９＞：
【化３３５０】
2004500801.tif 002501
これは、このアミノ酸配列＜配列番号１５５０；ＯＲＦ  ５３７．ｎｇ＞に対応する：
【化３３５１】
2004500801.tif 002502
以下の部分ＤＮＡ配列は、Ｎ．ｍｅｎｉｎｇｉｔｉｄｉｓにおいて同定された＜配列番号
１５５１＞：
【化３３５２】
2004500801.tif 002503
【化３３５３】
2004500801.tif 002504
これは、このアミノ酸配列＜配列番号１５５２；ＯＲＦ  ５３７＞に対応する：
【化３３５４】
2004500801.tif 002505
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５３７は、Ｎ．ｇｏｎｏｒｒｈｏｅａｅ由来の予想されるＯＲＦ（ＯＲＦ  ５３
７．ｎｇ）との１６４アミノ酸重複に対して９５．７％同一性を示す：
【化３３５５】
2004500801.tif 002506
以下の部分ＤＮＡ配列は、Ｎ．ｍｅｎｉｎｇｉｔｉｄｉｓにおいて同定された＜配列番号
１５５３＞：
【化３３５６】
2004500801.tif 002507
【化３３５７】
2004500801.tif 002508
これは、このアミノ酸配列＜配列番号１５５４；ＯＲＦ  ５３７．ａ＞に対応する：
【化３３５８】
2004500801.tif 002509
以下の部分ＤＮＡ配列は、Ｎ．ｇｏｎｏｒｒｈｏｅａｅにおいて同定された＜配列番号１
５５５＞：
【化３３５９】
2004500801.tif 002510
これは、このアミノ酸配列＜配列番号１５５６；ＯＲＦ  ５３８．ｎｇ＞に対応する：
【化３３６０】
2004500801.tif 002511
以下の部分ＤＮＡ配列は、Ｎ．ｍｅｎｉｎｇｉｔｉｄｉｓにおいて同定された＜配列番号
１５５７＞：
【化３３６１】
2004500801.tif 002512
これは、このアミノ酸配列＜配列番号１５５８；ＯＲＦ  ５３８＞に対応する：
【化３３６２】
2004500801.tif 002513
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５３８は、Ｎ．ｇｏｎｏｒｒｈｏｅａｅ由来の予想されるＯＲＦ（ＯＲＦ  ５３
８．ｎｇ）との３９２アミノ酸重複に対して９２．１％同一性を示す：
【化３３６３】
2004500801.tif 002514
【化３３６４】
2004500801.tif 002515
以下の部分ＤＮＡ配列は、Ｎ．ｍｅｎｉｎｇｉｔｉｄｉｓにおいて同定された＜配列番号
１５５９＞：
【化３３６５】
2004500801.tif 002516
これは、このアミノ酸配列＜配列番号１５６０；ＯＲＦ  ５３８．ａ＞に対応する：
【化３３６６】
2004500801.tif 002517
【化３３６７】
2004500801.tif 002518
以下の部分ＤＮＡ配列は、Ｎ．ｇｏｎｏｒｒｈｏｅａｅにおいて同定された＜配列番号１
５６１＞：
【化３３６８】
2004500801.tif 002519
【化３３６９】
2004500801.tif 002520
これは、このアミノ酸配列＜配列番号１５６２；ＯＲＦ  ５３９．ｎｇ＞に対応する：
【化３３７０】
2004500801.tif 002521
以下の部分ＤＮＡ配列は、Ｎ．ｍｅｎｉｎｇｉｔｉｄｉｓにおいて同定された＜配列番号
１５６３＞：
【化３３７１】
2004500801.tif 002522
これは、このアミノ酸配列＜配列番号１５６４；ＯＲＦ  ５３９＞に対応する：
【化３３７２】
2004500801.tif 002523
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５３９は、Ｎ．ｇｏｎｏｒｒｈｏｅａｅ由来の予想されるＯＲＦ（ＯＲＦ  ５３
９．ｎｇ）との３４５アミノ酸重複に対して８９％同一性を示す：
【化３３７３】
2004500801.tif 002524
【化３３７４】
2004500801.tif 002525
以下の部分ＤＮＡ配列は、Ｎ．ｍｅｎｉｎｇｉｔｉｄｉｓにおいて同定された＜配列番号
１５６５＞：
【化３３７５】
2004500801.tif 002526
これは、このアミノ酸配列＜配列番号１５６６；ＯＲＦ  ５３９．ａ＞に対応する：
【化３３７６】
2004500801.tif 002527
【化３３７７】
2004500801.tif 002528
以下の部分ＤＮＡ配列は、Ｎ．ｇｏｎｏｒｒｈｏｅａｅにおいて同定された＜配列番号１
５６７＞：
【化３３７８】
2004500801.tif 002529
これは、このアミノ酸配列＜配列番号１５６８；ＯＲＦ  ５４０．ｎｇ＞に対応する：
【化３３７９】
2004500801.tif 002530
【化３３８０】
2004500801.tif 002531
以下の部分ＤＮＡ配列は、Ｎ．ｍｅｎｉｎｇｉｔｉｄｉｓにおいて同定された＜配列番号
１５６９＞：
【化３３８１】
2004500801.tif 002532
これは、このアミノ酸配列＜配列番号１５７０；ＯＲＦ  ５４０＞に対応する：
【化３３８２】
2004500801.tif 002533
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５４０は、Ｎ．ｇｏｎｏｒｒｈｏｅａｅ由来の予想されるＯＲＦ（ＯＲＦ  ５４
０．ｎｇ）との１１２アミノ酸重複に対して８５．７％同一性を示す：
【化３３８３】
2004500801.tif 002534
以下の部分ＤＮＡ配列は、Ｎ．ｍｅｎｉｎｇｉｔｉｄｉｓにおいて同定された＜配列番号
１５７１＞：
【化３３８４】
2004500801.tif 002535
これは、このアミノ酸配列＜配列番号１５７２；ＯＲＦ  ５４０．ａ＞に対応する：
【化３３８５】
2004500801.tif 002536
【化３３８６】
2004500801.tif 002537
以下の部分ＤＮＡ配列は、Ｎ．ｇｏｎｏｒｒｈｏｅａｅにおいて同定された＜配列番号１
５７３＞：
【化３３８７】
2004500801.tif 002538
これは、このアミノ酸配列＜配列番号１５７４；ＯＲＦ  ５４２．ｎｇ＞に対応する：
【化３３８８】
2004500801.tif 002539
以下の部分ＤＮＡ配列は、Ｎ．ｍｅｎｉｎｇｉｔｉｄｉｓにおいて同定された＜配列番号
１５７５＞：
【化３３８９】
2004500801.tif 002540
これは、このアミノ酸配列＜配列番号１５７６；ＯＲＦ  ５４２＞に対応する：
【化３３９０】
2004500801.tif 002541
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５４２は、Ｎ．ｇｏｎｏｒｒｈｏｅａｅ由来の予想されるＯＲＦ（ＯＲＦ  ５４
２．ｎｇ）との１１１アミノ酸重複に対して９３．７％同一性を示す：
【化３３９１】
2004500801.tif 002542
【化３３９２】
2004500801.tif 002543
以下の部分ＤＮＡ配列は、Ｎ．ｍｅｎｉｎｇｉｔｉｄｉｓにおいて同定された＜配列番号
１５７７＞：
【化３３９３】
2004500801.tif 002544
これは、このアミノ酸配列＜配列番号１５７８；ＯＲＦ  ５４２．ａ＞に対応する：
【化３３９４】
2004500801.tif 002545
以下の部分ＤＮＡ配列は、Ｎ．ｇｏｎｏｒｒｈｏｅａｅにおいて同定された＜配列番号１
５７９＞：
【化３３９５】
2004500801.tif 002546
これは、このアミノ酸配列＜配列番号１５８０；ＯＲＦ  ５４３．ｎｇ＞に対応する：
【化３３９６】
2004500801.tif 002547
【化３３９７】
2004500801.tif 002548
以下の部分ＤＮＡ配列は、Ｎ．ｍｅｎｉｎｇｉｔｉｄｉｓにおいて同定された＜配列番号
１５８１＞：
【化３３９８】
2004500801.tif 002549
これは、このアミノ酸配列＜配列番号１５８２；ＯＲＦ  ５４３＞に対応する：
【化３３９９】
2004500801.tif 002550
このアミノ酸配列のコンピューター分析は、以下の結果を与えた：
ＯＲＦ  ５４３は、Ｎ．ｇｏｎｏｒｒｈｏｅａｅ由来の予想されるＯＲＦ（ＯＲＦ  ５４
３．ｎｇ）との３７９アミノ酸重複に対して８４．２％同一性を示す：
【化３４００】
2004500801.tif 002551
【化３４０１】
2004500801.tif 002552
以下の部分ＤＮＡ配列は、Ｎ．ｍｅｎｉｎｇｉｔｉｄｉｓにおいて同定された＜配列番号
１５８３＞：
【化３４０２】
2004500801.tif 002553
これは、このアミノ酸配列＜配列番号１５８４；ＯＲＦ  ５４３．ａ＞に対応する：
【化３４０３】
2004500801.tif 002554
【化３４０４】
2004500801.tif 002555
以下の部分ＤＮＡ配列は、Ｎ．ｇｏｎｏｒｒｈｏｅａｅにおいて同定された＜配列番号１
５８５＞：
【化３４０５】
2004500801.tif 002556
これは、このアミノ酸配列＜配列番号１５８６；ＯＲＦ  ５４４．ｎｇ＞に対応する：
【化３４０６】
2004500801.tif 002557
【化３４０７】
2004500801.tif 002558
以下の部分ＤＮＡ配列は、Ｎ．ｍｅｎｉｎｇｉｔｉｄｉｓにおいて同定された＜配列番号
１５８７＞：
【化３４０８】
2004500801.tif 002559
これは、このアミノ酸配列＜配列番号１５８８；ＯＲＦ  ５４４＞に対応する：
【化３４０９】
2004500801.tif 002560
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５４４は、Ｎ．ｇｏｎｏｒｒｈｏｅａｅ由来の予想されるＯＲＦ（ＯＲＦ  ５４
４．ｎｇ）との１６２アミノ酸重複に対して９０．７％同一性を示す：
【化３４１０】
2004500801.tif 002561
以下の部分ＤＮＡ配列は、Ｎ．ｍｅｎｉｎｇｉｔｉｄｉｓにおいて同定された＜配列番号
１５８９＞：
【化３４１１】
2004500801.tif 002562
これは、このアミノ酸配列＜配列番号１５９０；ＯＲＦ  ５４４．ａ＞に対応する：
【化３４１２】
2004500801.tif 002563
【化３４１３】
2004500801.tif 002564
以下の部分ＤＮＡ配列は、Ｎ．ｇｏｎｏｒｒｈｏｅａｅにおいて同定された＜配列番号１
５９１＞：
【化３４１４】
2004500801.tif 002565
これは、このアミノ酸配列＜配列番号１５９２；ＯＲＦ  ５４７．ｎｇ＞に対応する：
【化３４１５】
2004500801.tif 002566
以下の部分ＤＮＡ配列は、Ｎ．ｍｅｎｉｎｇｉｔｉｄｉｓにおいて同定された＜配列番号
１５９３＞：
【化３４１６】
2004500801.tif 002567
これは、このアミノ酸配列＜配列番号１５９４；ＯＲＦ  ５４７＞に対応する：
【化３４１７】
2004500801.tif 002568
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５４７は、Ｎ．ｇｏｎｏｒｒｈｏｅａｅ由来の予想されるＯＲＦ（ＯＲＦ  ５４
７．ｎｇ）との１４２アミノ酸重複に対して９７．２％同一性を示す：
【化３４１８】
2004500801.tif 002569
【化３４１９】
2004500801.tif 002570
以下の部分ＤＮＡ配列は、Ｎ．ｍｅｎｉｎｇｉｔｉｄｉｓにおいて同定された＜配列番号
１５９５＞：
【化３４２０】
2004500801.tif 002571
これは、このアミノ酸配列＜配列番号１５９６；ＯＲＦ  ５４７．ａ＞に対応する：
【化３４２１】
2004500801.tif 002572
以下の部分ＤＮＡ配列は、Ｎ．ｇｏｎｏｒｒｈｏｅａｅにおいて同定された＜配列番号１
５９７＞：
【化３４２２】
2004500801.tif 002573
【化３４２３】
2004500801.tif 002574
これは、このアミノ酸配列＜配列番号１５９８；ＯＲＦ  ５４８．ｎｇ＞に対応する：
【化３４２４】
2004500801.tif 002575
以下の部分ＤＮＡ配列は、Ｎ．ｍｅｎｉｎｇｉｔｉｄｉｓにおいて同定された＜配列番号
１５９９＞：
【化３４２５】
2004500801.tif 002576
これは、このアミノ酸配列＜配列番号１６００；ＯＲＦ  ５４８＞に対応する：
【化３４２６】
2004500801.tif 002577
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５４８は、Ｎ．ｇｏｎｏｒｒｈｏｅａｅ由来の予想されるＯＲＦ（ＯＲＦ  ５４
８．ｎｇ）との２１７アミノ酸重複に対して９５．９％同一性を示す：
【化３４２７】
2004500801.tif 002578
【化３４２８】
2004500801.tif 002579
以下の部分ＤＮＡ配列は、Ｎ．ｍｅｎｉｎｇｉｔｉｄｉｓにおいて同定された＜配列番号
１６０１＞：
【化３４２９】
2004500801.tif 002580
これは、このアミノ酸配列＜配列番号１６０２；ＯＲＦ  ５４８．ａ＞に対応する：
【化３４３０】
2004500801.tif 002581
以下の部分ＤＮＡ配列は、Ｎ．ｇｏｎｏｒｒｈｏｅａｅにおいて同定された＜配列番号１
６０３＞：
【化３４３１】
2004500801.tif 002582
【化３４３２】
2004500801.tif 002583
これは、このアミノ酸配列＜配列番号１６０４；ＯＲＦ  ５５０．ｎｇ＞に対応する：
【化３４３３】
2004500801.tif 002584
以下の部分ＤＮＡ配列は、Ｎ．ｍｅｎｉｎｇｉｔｉｄｉｓにおいて同定された＜配列番号
１６０５＞：
【化３４３４】
2004500801.tif 002585
これは、このアミノ酸配列＜配列番号１６０６；ＯＲＦ  ５５０＞に対応する：
【化３４３５】
2004500801.tif 002586
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５５０は、Ｎ．ｇｏｎｏｒｒｈｏｅａｅ由来の予想されるＯＲＦ（ＯＲＦ  ５５
０．ｎｇ）とのアミノ酸重複に対して％同一性を示す：
【化３４３６】
2004500801.tif 002587
【化３４３７】
2004500801.tif 002588
以下の部分ＤＮＡ配列は、Ｎ．ｍｅｎｉｎｇｉｔｉｄｉｓにおいて同定された＜配列番号
１６０７＞：
【化３４３８】
2004500801.tif 002589
これは、このアミノ酸配列＜配列番号１６０８；ＯＲＦ  ５５０．ａ＞に対応する：
【化３４３９】
2004500801.tif 002590
以下の部分ＤＮＡ配列は、Ｎ．ｇｏｎｏｒｒｈｏｅａｅにおいて同定された＜配列番号１
６０９＞：
【化３４４０】
2004500801.tif 002591
【化３４４１】
2004500801.tif 002592
これは、このアミノ酸配列＜配列番号１６１０；ＯＲＦ  ５５２．ｎｇ＞に対応する：
【化３４４２】
2004500801.tif 002593
以下の部分ＤＮＡ配列は、Ｎ．ｍｅｎｉｎｇｉｔｉｄｉｓにおいて同定された＜配列番号
１６１１＞：
【化３４４３】
2004500801.tif 002594
これは、このアミノ酸配列＜配列番号１６１２；ＯＲＦ  ５５２＞に対応する：
【化３４４４】
2004500801.tif 002595
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５５２は、Ｎ．ｇｏｎｏｒｒｈｏｅａｅ由来の予想されるＯＲＦ（ＯＲＦ  ５５
２．ｎｇ）との１７４アミノ酸重複に対して９７．１％同一性を示す：
【化３４４５】
2004500801.tif 002596
以下の部分ＤＮＡ配列は、Ｎ．ｍｅｎｉｎｇｉｔｉｄｉｓにおいて同定された＜配列番号
１６１３＞：
【化３４４６】
2004500801.tif 002597
【化３４４７】
2004500801.tif 002598
これは、このアミノ酸配列＜配列番号１６１４；ＯＲＦ  ５５２．ａ＞に対応する：
【化３４４８】
2004500801.tif 002599
以下の部分ＤＮＡ配列は、Ｎ．ｍｅｎｉｎｇｉｔｉｄｉｓにおいて同定された＜配列番号
１６１５＞：
【化３４４９】
2004500801.tif 002600
これは、このアミノ酸配列＜配列番号１６１６；ＯＲＦ  ５５２−１＞に対応する：
【化３４５０】
2004500801.tif 002601
以下の部分ＤＮＡ配列は、Ｎ．ｍｅｎｉｎｇｉｔｉｄｉｓにおいて同定された＜配列番号
１６１７＞：
【化３４５１】
2004500801.tif 002602
【化３４５２】
2004500801.tif 002603
これは、このアミノ酸配列＜配列番号１６１８；ＯＲＦ  ５５２−１．ａ＞に対応する：
【化３４５３】
2004500801.tif 002604
以下の部分ＤＮＡ配列は、Ｎ．ｇｏｎｏｒｒｈｏｅａｅにおいて同定された＜配列番号１
６１９＞：
【化３４５４】
2004500801.tif 002605
これは、このアミノ酸配列＜配列番号１６２０；ＯＲＦ  ５５３．ｎｇ＞に対応する：
【化３４５５】
2004500801.tif 002606
【化３４５６】
2004500801.tif 002607
以下の部分ＤＮＡ配列は、Ｎ．ｍｅｎｉｎｇｉｔｉｄｉｓにおいて同定された＜配列番号
１６２１＞：
【化３４５７】
2004500801.tif 002608
これは、このアミノ酸配列＜配列番号１６２２；ＯＲＦ  ５５３＞に対応する：
【化３４５８】
2004500801.tif 002609
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５５３は、Ｎ．ｇｏｎｏｒｒｈｏｅａｅ由来の予想されるＯＲＦ（ＯＲＦ  ５５
３．ｎｇ）との１８５アミノ酸重複に対して６５．５％同一性を示す：
【化３４５９】
2004500801.tif 002610
以下の部分ＤＮＡ配列は、Ｎ．ｍｅｎｉｎｇｉｔｉｄｉｓにおいて同定された＜配列番号
１６２３＞：
【化３４６０】
2004500801.tif 002611
これは、このアミノ酸配列＜配列番号１６２４；ＯＲＦ  ５５３．ａ＞に対応する：
【化３４６１】
2004500801.tif 002612
以下の部分ＤＮＡ配列は、Ｎ．ｇｏｎｏｒｒｈｏｅａｅにおいて同定された＜配列番号１
６２５＞：
【化３４６２】
2004500801.tif 002613
これは、このアミノ酸配列＜配列番号１６２６；ＯＲＦ  ５５４．ｎｇ＞に対応する：
【化３４６３】
2004500801.tif 002614
以下の部分ＤＮＡ配列は、Ｎ．ｍｅｎｉｎｇｉｔｉｄｉｓにおいて同定された＜配列番号
１６２７＞：
【化３４６４】
2004500801.tif 002615
【化３４６５】
2004500801.tif 002616
これは、このアミノ酸配列＜配列番号１６２８；ＯＲＦ  ５５４＞に対応する：
【化３４６６】
2004500801.tif 002617
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５５４は、Ｎ．ｇｏｎｏｒｒｈｏｅａｅ由来の予想されるＯＲＦ（ＯＲＦ  ５５
４．ｎｇ）との３８９アミノ酸重複に対して９６．１％同一性を示す：
【化３４６７】
2004500801.tif 002618
【化３４６８】
2004500801.tif 002619
以下の部分ＤＮＡ配列は、Ｎ．ｍｅｎｉｎｇｉｔｉｄｉｓにおいて同定された＜配列番号
１６２９＞：
【化３４６９】
2004500801.tif 002620
これは、このアミノ酸配列＜配列番号１６３０；ＯＲＦ  ５５４．ａ＞に対応する：
【化３４７０】
2004500801.tif 002621
【化３４７１】
2004500801.tif 002622
以下の部分ＤＮＡ配列は、Ｎ．ｇｏｎｏｒｒｈｏｅａｅにおいて同定された＜配列番号１
６３１＞：
【化３４７２】
2004500801.tif 002623
これは、このアミノ酸配列＜配列番号１６３２；ＯＲＦ  ５５６．ｎｇ＞に対応する：
【化３４７３】
2004500801.tif 002624
以下の部分ＤＮＡ配列は、Ｎ．ｍｅｎｉｎｇｉｔｉｄｉｓにおいて同定された＜配列番号
１６３３＞：
【化３４７４】
2004500801.tif 002625
これは、このアミノ酸配列＜配列番号１６３４；ＯＲＦ  ５５６＞に対応する：
【化３４７５】
2004500801.tif 002626
【化３４７６】
2004500801.tif 002627
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５５６は、Ｎ．ｇｏｎｏｒｒｈｏｅａｅ由来の予想されるＯＲＦ（ＯＲＦ  ５５
６．ｎｇ）との１３９アミノ酸重複に対して１００．０％同一性を示す：
【化３４７７】
2004500801.tif 002628
以下の部分ＤＮＡ配列は、Ｎ．ｍｅｎｉｎｇｉｔｉｄｉｓにおいて同定された＜配列番号
１６３５＞：
【化３４７８】
2004500801.tif 002629
これは、このアミノ酸配列＜配列番号１６３６；ＯＲＦ  ５５６．ａ＞に対応する：
【化３４７９】
2004500801.tif 002630
以下の部分ＤＮＡ配列は、Ｎ．ｇｏｎｏｒｒｈｏｅａｅにおいて同定された＜配列番号１
６３７＞：
【化３４８０】
2004500801.tif 002631
これは、このアミノ酸配列＜配列番号１６３８；ＯＲＦ  ５５７．ｎｇ＞に対応する：
【化３４８１】
2004500801.tif 002632
以下の部分ＤＮＡ配列は、Ｎ．ｍｅｎｉｎｇｉｔｉｄｉｓにおいて同定された＜配列番号
１６３９＞：
【化３４８２】
2004500801.tif 002633
これは、このアミノ酸配列＜配列番号１６４０；ＯＲＦ  ５５７．ｎｇ＞に対応する：
【化３４８３】
2004500801.tif 002634
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５５７は、Ｎ．ｇｏｎｏｒｒｈｏｅａｅ由来の予想されるＯＲＦ（ＯＲＦ  ５５
７．ｎｇ）との１５９アミノ酸重複に対して９４．３％同一性を示す：
【化３４８４】
2004500801.tif 002635
以下の部分ＤＮＡ配列は、Ｎ．ｍｅｎｉｎｇｉｔｉｄｉｓにおいて同定された＜配列番号
１６４１＞：
【化３４８５】
2004500801.tif 002636
これは、このアミノ酸配列＜配列番号１６４２；ＯＲＦ  ５５７．ｎｇ＞に対応する：
【化３４８６】
2004500801.tif 002637
以下の部分ＤＮＡ配列は、Ｎ．ｇｏｎｏｒｒｈｏｅａｅにおいて同定された＜配列番号１
６４３＞：
【化３４８７】
2004500801.tif 002638
これは、このアミノ酸配列＜配列番号１６４４；ＯＲＦ  ５５８．ｎｇ＞に対応する：
【化３４８８】
2004500801.tif 002639
以下の部分ＤＮＡ配列は、Ｎ．ｍｅｎｉｎｇｉｔｉｄｉｓにおいて同定された＜配列番号
１６４５＞：
【化３４８９】
2004500801.tif 002640
これは、このアミノ酸配列＜配列番号１６４６；ＯＲＦ  ５５８＞に対応する：
【化３４９０】
2004500801.tif 002641
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５５８は、Ｎ．ｇｏｎｏｒｒｈｏｅａｅ由来の予想されるＯＲＦ（ＯＲＦ  ５５
８．ｎｇ）との１０６アミノ酸重複に対して９２．５％同一性を示す：
【化３４９１】
2004500801.tif 002642
以下の部分ＤＮＡ配列は、Ｎ．ｍｅｎｉｎｇｉｔｉｄｉｓにおいて同定された＜配列番号
１６４７＞：
【化３４９２】
2004500801.tif 002643
これは、このアミノ酸配列＜配列番号１６４８；ＯＲＦ  ５５８．ａ＞に対応する：
【化３４９３】
2004500801.tif 002644
以下の部分ＤＮＡ配列は、Ｎ．ｇｏｎｏｒｒｈｏｅａｅにおいて同定された＜配列番号１
６４９＞：
【化３４９４】
2004500801.tif 002645
【化３４９５】
2004500801.tif 002646
これは、このアミノ酸配列＜配列番号１６５０；ＯＲＦ  ５６０．ｎｇ＞に対応する：
【化３４９６】
2004500801.tif 002647
以下の部分ＤＮＡ配列は、Ｎ．ｍｅｎｉｎｇｉｔｉｄｉｓにおいて同定された＜配列番号
１６５１＞：
【化３４９７】
2004500801.tif 002648
これは、このアミノ酸配列＜配列番号１６５２；ＯＲＦ  ５６０＞に対応する：
【化３４９８】
2004500801.tif 002649
このアミノ酸配列のコンピューター分析は、以下の結果を与えた：
（Ｎ．ｇｏｎｏｒｒｈｏｅａｅ由来の予想されるＯＲＦとの相同性）
ＯＲＦ  ５６０は、Ｎ．ｇｏｎｏｒｒｈｏｅａｅ由来の予想されるＯＲＦ（ＯＲＦ  ５６
０．ｎｇ）との２４６アミノ酸重複に対して９７．２％同一性を示す：
【化３４９９】
2004500801.tif 002650
【化３５００】
2004500801.tif 002651
以下の部分ＤＮＡ配列は、Ｎ．ｍｅｎｉｎｇｉｔｉｄｉｓにおいて同定された＜配列番号
１６５３＞：
【化３５０１】
2004500801.tif 002652
これは、このアミノ酸配列＜配列番号１６５４；ＯＲＦ  ５６０．ａ＞に対応する：
【化３５０２】
2004500801.tif 002653
【化３５０３】
2004500801.tif 002654
以下の部分ＤＮＡ配列は、Ｎ．ｍｅｎｉｎｇｉｔｉｄｉｓにおいて同定された＜配列番号
１６５５＞：
【化３５０４】
2004500801.tif 002655
これは、このアミノ酸配列＜配列番号１６５６；ＯＲＦ  ５６１＞に対応する：
【化３５０５】
2004500801.tif 002656
【化３５０６】
2004500801.tif 002657
このアミノ酸配列のコンピューター分析は、以下の結果を与えた：
（Ｎ．ｇｏｎｏｒｒｈｏｅａｅ由来の予想されるＯＲＦとの相同性）
【化３５０７】
2004500801.tif 002658
以下の部分ＤＮＡ配列は、Ｎ．ｍｅｎｉｎｇｉｔｉｄｉｓにおいて同定された＜配列番号
１６５７＞：
【化３５０８】
2004500801.tif 002659
【化３５０９】
2004500801.tif 002660
これは、このアミノ酸配列＜配列番号１６５８；ＯＲＦ  ５６１．ａ＞に対応する：
【化３５１０】
2004500801.tif 002661
【化３５１１】
2004500801.tif 002662
以下の部分ＤＮＡ配列は、Ｎ．ｇｏｎｏｒｒｈｏｅａｅにおいて同定された（配列番号
１６５９）：
【化３５１２】
2004500801.tif 002663
これは、以下のアミノ酸配列（配列番号１６６０；ＯＲＦ５６２．ｎｇ）に対応する：
【化３５１３】
2004500801.tif 002664
以下の部分ＤＮＡ配列は、Ｎ．ｍｅｎｉｎｇｉｔｉｄｉｓにおいて同定された（配列番
号１６６１）：
【化３５１４】
2004500801.tif 002665
これは、以下のアミノ酸配列（配列番号１６６２；ＯＲＦ５６２）に対応する：
【化３５１５】
2004500801.tif 002666
【化３５１６】
2004500801.tif 002667
このアミノ酸配列のコンピューター分析は以下の結果を示した：
（Ｎ．ｇｏｎｏｒｒｈｏｅａｅからの推定ＯＲＦとの相同性）
【化３５１７】
2004500801.tif 002668
以下の部分ＤＮＡ配列は、Ｎ．ｍｅｎｉｎｇｉｔｉｄｉｓにおいて同定された（配列番
号１６６３）：
【化３５１８】
2004500801.tif 002669
これは、以下のアミノ酸配列（配列番号１６６４；ＯＲＦ５６２．ａ）に対応する：
【化３５１９】
2004500801.tif 002670
【化３５２０】
2004500801.tif 002671
以下の部分ＤＮＡ配列は、Ｎ．ｇｏｎｏｒｒｈｏｅａｅにおいて同定された（配列番号
１６６５）：
【化３５２１】
2004500801.tif 002672
【化３５２２】
2004500801.tif 002673
【化３５２３】
2004500801.tif 002674
これは、以下のアミノ酸配列（配列番号１６６６；ＯＲＦ５６３．ｎｇ）に対応する：
【化３５２４】
2004500801.tif 002675
以下の部分ＤＮＡ配列は、Ｎ．ｍｅｎｉｎｇｉｔｉｄｉｓにおいて同定された（配列番
号１６６７）：
【化３５２５】
2004500801.tif 002676
【化３５２６】
2004500801.tif 002677
【化３５２７】
2004500801.tif 002678
これは、以下のアミノ酸配列（配列番号１６６８；ＯＲＦ５６３）に対応する：
【化３５２８】
2004500801.tif 002679
【化３５２９】
2004500801.tif 002680
このアミノ酸配列のコンピューター分析は以下の結果を示した：
（Ｎ．ｇｏｎｏｒｒｈｏｅａｅからの推定ＯＲＦとの相同性）
ＯＲＦ５６３は、Ｎ．ｇｏｎｏｒｒｈｏｅａｅからの推定ＯＲＦ（ＯＲＦ５６３．ｎｇ
）との２３１６ａａ重複部分にわたって７９．１％の相同性を示す。
【化３５３０】
2004500801.tif 002681
【化３５３１】
2004500801.tif 002682
【化３５３２】
2004500801.tif 002683
【化３５３３】
2004500801.tif 002684
【化３５３４】
2004500801.tif 002685
以下の部分ＤＮＡ配列は、Ｎ．ｍｅｎｉｎｇｉｔｉｄｉｓにおいて同定された（配列番
号１６６９）：
【化３５３５】
2004500801.tif 002686
【化３５３６】
2004500801.tif 002687
【化３５３７】
2004500801.tif 002688
これは、以下のアミノ酸配列（配列番号１６７０；ＯＲＦ５６４）に対応する：
【化３５３８】
2004500801.tif 002689
【化３５３９】
2004500801.tif 002690
このアミノ酸配列のコンピューター分析は以下の結果を示した：
（ｆｈａとの相同性）
【化３５４０】
2004500801.tif 002691
【化３５４１】
2004500801.tif 002692
【化３５４２】
2004500801.tif 002693
【化３５４３】
2004500801.tif 002694
【化３５４４】
2004500801.tif 002695
以下の部分ＤＮＡ配列は、Ｎ．ｇｏｎｏｒｒｈｏｅａｅにおいて同定された（配列番号
１６７１）：
【化３５４５】
2004500801.tif 002696
これは、以下のアミノ酸配列（配列番号１６７２；ＯＲＦ５６５．ｎｇ）に対応する：
【化３５４６】
2004500801.tif 002697
以下の部分ＤＮＡ配列は、Ｎ．ｍｅｎｉｎｇｉｔｉｄｉｓにおいて同定された（配列番
号１６７３）：
【化３５４７】
2004500801.tif 002698
【化３５４８】
2004500801.tif 002699
これは、以下のアミノ酸配列（配列番号１６７４；ＯＲＦ５６５）に対応する：
【化３５４９】
2004500801.tif 002700
このアミノ酸配列のコンピューター分析は以下の結果を示した：
（Ｎ．ｇｏｎｏｒｒｈｏｅａｅからの推定ＯＲＦとの相同性）
【化３５５０】
2004500801.tif 002701
以下の部分ＤＮＡ配列は、Ｎ．ｍｅｎｉｎｇｉｔｉｄｉｓにおいて同定された（配列番
号１６７５）：
【化３５５１】
2004500801.tif 002702
これは、以下のアミノ酸配列（配列番号１６７６；ＯＲＦ５６５．ａ）に対応する：
【化３５５２】
2004500801.tif 002703
【化３５５３】
2004500801.tif 002704
以下の部分ＤＮＡ配列は、Ｎ．ｇｏｎｏｒｒｈｏｅａｅにおいて同定された（配列番号
１６７７）：
【化３５５４】
2004500801.tif 002705
これは、以下のアミノ酸配列（配列番号１６７８；ＯＲＦ５６６．ｎｇ）に対応する：
【化３５５５】
2004500801.tif 002706
以下の部分ＤＮＡ配列は、Ｎ．ｍｅｎｉｎｇｉｔｉｄｉｓにおいて同定された（配列番
号１６７９）：
【化３５５６】
2004500801.tif 002707
これは、以下のアミノ酸配列（配列番号１６８０；ＯＲＦ５６６）に対応する：
【化３５５７】
2004500801.tif 002708
このアミノ酸配列のコンピューター分析は以下の結果を示した：
（Ｎ．ｇｏｎｏｒｒｈｏｅａｅからの推定ＯＲＦとの相同性）
【化３５５８】
2004500801.tif 002709
【化３５５９】
2004500801.tif 002710
以下の部分ＤＮＡ配列は、Ｎ．ｍｅｎｉｎｇｉｔｉｄｉｓにおいて同定された（配列番
号１６８１）：
【化３５６０】
2004500801.tif 002711
これは、以下のアミノ酸配列（配列番号１６８２；ＯＲＦ５６６．ａ）に対応する：
【化３５６１】
2004500801.tif 002712
以下の部分ＤＮＡ配列は、Ｎ．ｇｏｎｏｒｒｈｏｅａｅにおいて同定された（配列番号
１６８３）：
【化３５６２】
2004500801.tif 002713
これは、以下のアミノ酸配列（配列番号１６８４；ＯＲＦ５６７．ｎｇ）に対応する：
【化３５６３】
2004500801.tif 002714
以下の部分ＤＮＡ配列は、Ｎ．ｍｅｎｉｎｇｉｔｉｄｉｓにおいて同定された（配列番
号１６８５）：
【化３５６４】
2004500801.tif 002715
これは、以下のアミノ酸配列（配列番号１６８６；ＯＲＦ５６７）に対応する：
【化３５６５】
2004500801.tif 002716
このアミノ酸配列のコンピューター分析は以下の結果を示した：
（Ｎ．ｇｏｎｏｒｒｈｏｅａｅからの推定ＯＲＦとの相同性）
【化３５６６】
2004500801.tif 002717
以下の部分ＤＮＡ配列は、Ｎ．ｍｅｎｉｎｇｉｔｉｄｉｓにおいて同定された（配列番
号１６８７）：
【化３５６７】
2004500801.tif 002718
【化３５６８】
2004500801.tif 002719
これは、以下のアミノ酸配列（配列番号１６８８；ＯＲＦ５６７．ａ）に対応する：
【化３５６９】
2004500801.tif 002720
以下の部分ＤＮＡ配列は、Ｎ．ｇｏｎｏｒｒｈｏｅａｅにおいて同定された（配列番号
１６８９）：
【化３５７０】
2004500801.tif 002721
【化３５７１】
2004500801.tif 002722
これはアミノ酸配列（配列番号１６９０；ＯＲＦ５６８．ｎｇ）に対応する：
【化３５７２】
2004500801.tif 002723
以下の部分ＤＮＡ配列を、Ｎ．ｍｅｎｉｎｇｉｔｉｄｉｓ（配列番号１６９１）におい
て同定した：
【化３５７３】
2004500801.tif 002724
これはアミノ酸配列（配列番号１６９２；ＯＲＦ５６８）に対応する：
【化３５７４】
2004500801.tif 002725
このアミノ酸配列のコンピューター分析は以下の結果を与えた：
（Ｎ．ｇｏｎｏｒｒｈｏｅａｅ由来の推定ＯＲＦとの相同性）
【化３５７５】
2004500801.tif 002726
以下の部分ＤＮＡ配列を、Ｎ．ｍｅｎｉｎｇｉｔｉｄｉｓ（配列番号１６９３）におい
て同定した：
【化３５７６】
2004500801.tif 002727
これはアミノ酸配列（配列番号１６９４；ＯＲＦ５６８．ａ）に対応する：
【化３５７７】
2004500801.tif 002728
以下の部分ＤＮＡ配列を、Ｎ．ｇｏｎｏｒｒｈｏｅａｅ（配列番号１６９５）において
同定した：
【化３５７８】
2004500801.tif 002729
【化３５７９】
2004500801.tif 002730
これはアミノ酸配列（配列番号１６９６；ＯＲＦ５６９．ｎｇ）に対応する：
【化３５８０】
2004500801.tif 002731
以下の部分ＤＮＡ配列を、Ｎ．ｍｅｎｉｎｇｉｔｉｄｉｓ（配列番号１６９７）におい
て同定した：
【化３５８１】
2004500801.tif 002732
これはアミノ酸配列（配列番号１６９８；ＯＲＦ５６９）に対応する：
【化３５８２】
2004500801.tif 002733
以下の部分ＤＮＡ配列を、Ｎ．ｍｅｎｉｎｇｉｔｉｄｉｓ（配列番号１６９９）におい
て同定した：
【化３５８３】
2004500801.tif 002734
【化３５８４】
2004500801.tif 002735
これはアミノ酸配列（配列番号１７００；ＯＲＦ５６９．ａ）に対応する：
【化３５８５】
2004500801.tif 002736
以下の部分ＤＮＡ配列を、Ｎ．ｇｏｎｏｒｒｈｏｅａｅ（配列番号１７０１）において
同定した：
【化３５８６】
2004500801.tif 002737
【化３５８７】
2004500801.tif 002738
これはアミノ酸配列（配列番号１７０２；ＯＲＦ５７０．ｎｇ）に対応する：
【化３５８８】
2004500801.tif 002739
以下の部分ＤＮＡ配列を、Ｎ．ｍｅｎｉｎｇｉｔｉｄｉｓ（配列番号１７０３）におい
て同定した：
【化３５８９】
2004500801.tif 002740
これはアミノ酸配列（配列番号１７０４；ＯＲＦ５７０）に対応する：
【化３５９０】
2004500801.tif 002741
以下の部分ＤＮＡ配列を、Ｎ．ｍｅｎｉｎｇｉｔｉｄｉｓ（配列番号１７０５）におい
て同定した：
【化３５９１】
2004500801.tif 002742
【化３５９２】
2004500801.tif 002743
これはアミノ酸配列（配列番号１７０６；ＯＲＦ５７０．ａ）に対応する：
【化３５９３】
2004500801.tif 002744
以下の部分ＤＮＡ配列を、Ｎ．ｇｏｎｏｒｒｈｏｅａｅ（配列番号１７０７）において
同定した：
【化３５９４】
2004500801.tif 002745
これはアミノ酸配列（配列番号１７０８；ＯＲＦ５７１．ｎｇ）に対応する：
【化３５９５】
2004500801.tif 002746
以下の部分ＤＮＡ配列を、Ｎ．ｍｅｎｉｎｇｉｔｉｄｉｓ（配列番号１７０９）におい
て同定した：
【化３５９６】
2004500801.tif 002747
これはアミノ酸配列（配列番号１７１０；ＯＲＦ５７１）に対応する：
【化３５９７】
2004500801.tif 002748
【化３５９８】
2004500801.tif 002749
以下の部分ＤＮＡ配列を、Ｎ．ｍｅｎｉｎｇｉｔｉｄｉｓ（配列番号１７１１）におい
て同定した：
【化３５９９】
2004500801.tif 002750
これはアミノ酸配列（配列番号１７１２；ＯＲＦ５７１．ａ）に対応する：
【化３６００】
2004500801.tif 002751
以下の部分ＤＮＡ配列を、Ｎ．ｇｏｎｏｒｒｈｏｅａｅ（配列番号１７１３）において
同定した：
【化３６０１】
2004500801.tif 002752
【化３６０２】
2004500801.tif 002753
これはアミノ酸配列（配列番号１７１４；ＯＲＦ５７２．ｎｇ）に対応する：
【化３６０３】
2004500801.tif 002754
以下の部分ＤＮＡ配列を、Ｎ．ｍｅｎｉｎｇｉｔｉｄｉｓ（配列番号１７１５）におい
て同定した：
【化３６０４】
2004500801.tif 002755
これはアミノ酸配列（配列番号１７１６；ＯＲＦ５７２）に対応する：
【化３６０５】
2004500801.tif 002756
【化３６０６】
2004500801.tif 002757
以下の部分ＤＮＡ配列を、Ｎ．ｍｅｎｉｎｇｉｔｉｄｉｓ（配列番号１７１７）におい
て同定した：
【化３６０７】
2004500801.tif 002758
これはアミノ酸配列（配列番号１７１８；ＯＲＦ５７２．ａ）に対応する：
【化３６０８】
2004500801.tif 002759
【化３６０９】
2004500801.tif 002760
以下の部分ＤＮＡ配列を、Ｎ．ｇｏｎｏｒｒｈｏｅａｅ（配列番号１７１９）において
同定した：
【化３６１０】
2004500801.tif 002761
これはアミノ酸配列（配列番号１７２０；ＯＲＦ５７３．ｎｇ）に対応する：
【化３６１１】
2004500801.tif 002762
以下の部分ＤＮＡ配列を、Ｎ．ｍｅｎｉｎｇｉｔｉｄｉｓ（配列番号１７２１）におい
て同定した：
【化３６１２】
2004500801.tif 002763
【化３６１３】
2004500801.tif 002764
これはアミノ酸配列（配列番号１７２２；ＯＲＦ５７３）に対応する：
【化３６１４】
2004500801.tif 002765
以下の部分ＤＮＡ配列を、Ｎ．ｍｅｎｉｎｇｉｔｉｄｉｓ（配列番号１７２３）におい
て同定した：
【化３６１５】
2004500801.tif 002766
これはアミノ酸配列（配列番号１７２４；ＯＲＦ５７３．ａ）に対応する：
【化３６１６】
2004500801.tif 002767
【化３６１７】
2004500801.tif 002768
以下の部分ＤＮＡ配列を、Ｎ．ｇｏｎｏｒｒｈｏｅａｅ（配列番号１７２５）において
同定した：
【化３６１８】
2004500801.tif 002769
これはアミノ酸配列（配列番号１７２６；ＯＲＦ５７４．ｎｇ）に対応する：
【化３６１９】
2004500801.tif 002770
以下の部分ＤＮＡ配列を、Ｎ．ｍｅｎｉｎｇｉｔｉｄｉｓ（配列番号１７２７）におい
て同定した：
【化３６２０】
2004500801.tif 002771
【化３６２１】
2004500801.tif 002772
これはアミノ酸配列（配列番号１７２８；ＯＲＦ５７４）に対応する：
【化３６２２】
2004500801.tif 002773
以下の部分ＤＮＡ配列を、Ｎ．ｍｅｎｉｎｇｉｔｉｄｉｓ（配列番号１７２９）におい
て同定した：
【化３６２３】
2004500801.tif 002774
これはアミノ酸配列（配列番号１７３０；ＯＲＦ５７４．ａ）に対応する：
【化３６２４】
2004500801.tif 002775
【化３６２５】
2004500801.tif 002776
以下の部分ＤＮＡ配列を、Ｎ．ｇｏｎｏｒｒｈｏｅａｅ（配列番号１７３１）において
同定した：
【化３６２６】
2004500801.tif 002777
これはアミノ酸配列（配列番号１７３２；ＯＲＦ５７５．ｎｇ）に対応する：
【化３６２７】
2004500801.tif 002778
以下の部分ＤＮＡ配列を、Ｎ．ｍｅｎｉｎｇｉｔｉｄｉｓ（配列番号１７３３）におい
て同定した：
【化３６２８】
2004500801.tif 002779
これはアミノ酸配列（配列番号１７３４；ＯＲＦ５７５）に対応する：
【化３６２９】
2004500801.tif 002780
以下の部分ＤＮＡ配列を、Ｎ．ｍｅｎｉｎｇｉｔｉｄｉｓ（配列番号１７３５）におい
て同定した：
【化３６３０】
2004500801.tif 002781
これはアミノ酸配列（配列番号１７３６；ＯＲＦ５７５．ａ）に対応する：
【化３６３１】
2004500801.tif 002782
【化３６３２】
2004500801.tif 002783
以下の部分ＤＮＡ配列を、Ｎ．ｇｏｎｏｒｒｈｏｅａｅ（配列番号１７３７）において
同定した：
【化３６３３】
2004500801.tif 002784
これはアミノ酸配列（配列番号１７３８；ＯＲＦ５７６．ｎｇ）に対応する：
【化３６３４】
2004500801.tif 002785
以下の部分ＤＮＡ配列を、Ｎ．ｍｅｎｉｎｇｉｔｉｄｉｓ（配列番号１７３９）におい
て同定した：
【化３６３５】
2004500801.tif 002786
【化３６３６】
2004500801.tif 002787
これはアミノ酸配列（配列番号１７４０；ＯＲＦ５７６）に対応する：
【化３６３７】
2004500801.tif 002788
このアミノ酸配列のコンピューター分析は以下の結果を与えた：
（Ｎ．ｇｏｎｏｒｒｈｏｅａｅ由来の推定ＯＲＦとの相同性）
【化３６３８】
2004500801.tif 002789
以下の部分ＤＮＡ配列を、Ｎ．ｍｅｎｉｎｇｉｔｉｄｉｓ（配列番号１７４１）におい
て同定した：
【化３６３９】
2004500801.tif 002790
【化３６４０】
2004500801.tif 002791
これはアミノ酸配列（配列番号１７４２；ＯＲＦ５７６．ａ）に対応する：
【化３６４１】
2004500801.tif 002792
以下の部分ＤＮＡ配列を、Ｎ．ｇｏｎｏｒｒｈｏｅａｅ（配列番号１７４３）において
同定した：
【化３６４２】
2004500801.tif 002793
これはアミノ酸配列（配列番号１７４４；ＯＲＦ５７６−１．ｎｇ）に対応する：
【化３６４３】
2004500801.tif 002794
以下の部分ＤＮＡ配列を、Ｎ．ｍｅｎｉｎｇｉｔｉｄｉｓ（配列番号１７４５）におい
て同定した：
【化３６４４】
2004500801.tif 002795
これはアミノ酸配列（配列番号１７４６；ＯＲＦ５７６−１）に対応する：
【化３６４５】
2004500801.tif 002796
以下の部分ＤＮＡ配列を、Ｎ．ｍｅｎｉｎｇｉｔｉｄｉｓ（配列番号１７４７）におい
て同定した：
【化３６４６】
2004500801.tif 002797
【化３６４７】
2004500801.tif 002798
これはアミノ酸配列（配列番号１７４８；ＯＲＦ５７６−１．ａ）に対応する：
【化３６４８】
2004500801.tif 002799
（ＯＲＦ５７６の発現）
ＯＲＦ５７６についての表１に記載されるプライマーを使用して、ＯＲＦ５７６を位置
付けし、そしてクローニングした。ＯＲＦ５７６を、上記のように、ｐＥＴベクターおよ
びｐＧｅｘベクターにクローニングし、そしてＥ．ｃｏｌｉにおいて発現させた。タンパ
ク質発現産物および精製物を、ＳＤＳ−ＰＡＧＥにより分析した。図３Ａは、アフィニテ
ィー精製の結果を示し、そして図３Ｂは、Ｅ．ｃｏｌｉにおける発現を示す。精製したＨ
ｉｓ融合タンパク質を使用して、マウスを免疫化し、その血清をＥＬＩＳＡ（陽性結果）
、ＦＡＣＳ分析（図３Ｃ）、ウエスタンブロット（図３Ｄ）のために使用した。これらの
実験は、ＯＲＦ５７６が、表面露出タンパク質であり、有用な免疫原であることを確証す
る。ＯＲＦ５７６の親水性プロット、抗原インデックス、および両親媒性領域を図７に提
供する。推定Ｔ細胞エピトープを推測するために、ＡＭＰＨＩプログラムを使用する（Ｇ
ａｏら、１９８９、Ｊ．Ｉｍｍｕｎｏｌ  １４３：３００７；Ｒｏｂｅｒｔｓら、１９９
６，ＡＩＤＳ  Ｒｅｓ  Ｈｕｍａｎ  Ｒｅｔｒｏｖｉｒｕｅｓ  １２：５９３；Ｑｕａｋ
ｙｉら、１９９２，Ｓｃａｎｄ  Ｊ  Ｉｍｍｕｎｏｌ  Ｓｕｐｐｌ  １１：９）。ＯＲＦ
５７６の核酸配列およびそれによりコードされるアミノ酸配列を、実施例１に提供する。
以下の部分ＤＮＡ配列を、Ｎ．ｇｏｎｏｒｒｈｏｅａｅ（配列番号１７４９）において
同定した：
【化３６４９】
2004500801.tif 002800
これはアミノ酸配列（配列番号１７５０；ＯＲＦ５７７．ｎｇ）に対応する：
【化３６５０】
2004500801.tif 002801
以下の部分ＤＮＡ配列を、Ｎ．ｍｅｎｉｎｇｉｔｉｄｉｓ（配列番号１７５１）におい
て同定した：
【化３６５１】
2004500801.tif 002802
これはアミノ酸配列（配列番号１７５２；ＯＲＦ５７７）に対応する：
【化３６５２】
2004500801.tif 002803
このアミノ酸配列のコンピューター分析は以下の結果を与えた：
（Ｎ．ｇｏｎｏｒｒｈｏｅａｅ由来の推定ＯＲＦとの相同性）
【化３６５３】
2004500801.tif 002804
【化３６５４】
2004500801.tif 002805
以下の部分ＤＮＡ配列を、Ｎ．ｍｅｎｉｎｇｉｔｉｄｉｓ（配列番号１７５３）におい
て同定した：
【化３６５５】
2004500801.tif 002806
これはアミノ酸配列（配列番号１７５４；ＯＲＦ５７７．ａ）に対応する：
【化３６５６】
2004500801.tif 002807
以下の部分ＤＮＡ配列を、Ｎ．ｇｏｎｏｒｒｈｏｅａｅ（配列番号１７５５）において
同定した：
【化３６５７】
2004500801.tif 002808
これはアミノ酸配列（配列番号１７５６；ＯＲＦ５７８．ｎｇ）に対応する：
【化３６５８】
2004500801.tif 002809
【化３６５９】
2004500801.tif 002810
以下の部分ＤＮＡ配列を、Ｎ．ｍｅｎｉｎｇｉｔｉｄｉｓ（配列番号１７５７）におい
て同定した：
【化３６６０】
2004500801.tif 002811
これはアミノ酸配列（配列番号１７５８；ＯＲＦ５７８）に対応する：
【化３６６１】
2004500801.tif 002812
以下の部分ＤＮＡ配列を、Ｎ．ｍｅｎｉｎｇｉｔｉｄｉｓ（配列番号１７５９）におい
て同定した：
【化３６６２】
2004500801.tif 002813
これはアミノ酸配列（配列番号１７６０；ＯＲＦ５７８．ａ）に対応する：
【化３６６３】
2004500801.tif 002814
以下の部分ＤＮＡ配列を、Ｎ．ｇｏｎｏｒｒｈｏｅａｅ（配列番号１７６１）において
同定した：
【化３６６４】
2004500801.tif 002815
【化３６６５】
2004500801.tif 002816
これはアミノ酸配列（配列番号１７６２；ＯＲＦ５７９．ｎｇ）に対応する：
【化３６６６】
2004500801.tif 002817
以下の部分ＤＮＡ配列を、Ｎ．ｍｅｎｉｎｇｉｔｉｄｉｓ（配列番号１７６３）におい
て同定した：
【化３６６７】
2004500801.tif 002818
これはアミノ酸配列（配列番号１７６４；ＯＲＦ５７９）に対応する：
【化３６６８】
2004500801.tif 002819
このアミノ酸配列のコンピューター分析は以下の結果を与えた：
（Ｎ．ｇｏｎｏｒｒｈｏｅａｅ由来の推定ＯＲＦとの相同性）
【化３６６９】
2004500801.tif 002820
【化３６７０】
2004500801.tif 002821
以下の部分ＤＮＡ配列を、Ｎ．ｍｅｎｉｎｇｉｔｉｄｉｓ（配列番号１７６５）におい
て同定した：
【化３６７１】
2004500801.tif 002822
これはアミノ酸配列（配列番号１７６６；ＯＲＦ５７９．ａ）に対応する：
【化３６７２】
2004500801.tif 002823
以下の部分ＤＮＡ配列を、Ｎ．ｇｏｎｏｒｒｈｏｅａｅ（配列番号１７６７）において
同定した：
【化３６７３】
2004500801.tif 002824
【化３６７４】
2004500801.tif 002825
これはアミノ酸配列（配列番号１７６８；ＯＲＦ００８．ｎｇ）に対応する：
【化３６７５】
2004500801.tif 002826
以下の部分ＤＮＡ配列を、Ｎ．ｍｅｎｉｎｇｉｔｉｄｉｓ（配列番号１７６９）におい
て同定した：
【化３６７６】
2004500801.tif 002827
これはアミノ酸配列（配列番号１７７０；ＯＲＦ５７９−１）に対応する：
【化３６７７】
2004500801.tif 002828
【化３６７８】
2004500801.tif 002829
以下の部分ＤＮＡ配列を、Ｎ．ｍｅｎｉｎｇｉｔｉｄｉｓ（配列番号１７７１）におい
て同定した：
【化３６７９】
2004500801.tif 002830
これはアミノ酸配列（配列番号１７７２；ＯＲＦ５７９−１．ａ）に対応する：
【化３６８０】
2004500801.tif 002831
【化３６８１】
2004500801.tif 002832
以下の部分ＤＮＡ配列を、Ｎ．ｇｏｎｏｒｒｈｏｅａｅ（配列番号１７７３）において
同定した：
【化３６８２】
2004500801.tif 002833
これはアミノ酸配列（配列番号１７７４；ＯＲＦ５８０．ｎｇ）に対応する：
【化３６８３】
2004500801.tif 002834
以下の部分ＤＮＡ配列を、Ｎ．ｍｅｎｉｎｇｉｔｉｄｉｓ（配列番号１７７５）におい
て同定した：
【化３６８４】
2004500801.tif 002835
これはアミノ酸配列（配列番号１７７６；ＯＲＦ５８０）に対応する：
【化３６８５】
2004500801.tif 002836
以下の部分ＤＮＡ配列を、Ｎ．ｍｅｎｉｎｇｉｔｉｄｉｓ（配列番号１７７７）におい
て同定した：
【化３６８６】
2004500801.tif 002837
これはアミノ酸配列（配列番号１７７８；ＯＲＦ５８０．ａ）に対応する：
【化３６８７】
2004500801.tif 002838
【化３６８８】
2004500801.tif 002839
以下の部分ＤＮＡ配列を、Ｎ．ｇｏｎｏｒｒｈｏｅａｅ（配列番号１７７９）において
同定した：
【化３６８９】
2004500801.tif 002840
これはアミノ酸配列（配列番号１７８０；ＯＲＦ５８１．ｎｇ）に対応する：
【化３６９０】
2004500801.tif 002841
以下の部分ＤＮＡ配列を、Ｎ．ｍｅｎｉｎｇｉｔｉｄｉｓ（配列番号１７８１）におい
て同定した：
【化３６９１】
2004500801.tif 002842
これはアミノ酸配列（配列番号１７８２；ＯＲＦ５８１）に対応する：
【化３６９２】
2004500801.tif 002843
以下の部分ＤＮＡ配列を、Ｎ．ｍｅｎｉｎｇｉｔｉｄｉｓ（配列番号１７８３）におい
て同定した：
【化３６９３】
2004500801.tif 002844
これはアミノ酸配列（配列番号１７８４；ＯＲＦ５８１．ａ）に対応する：
【化３６９４】
2004500801.tif 002845
以下の部分ＤＮＡ配列を、Ｎ．ｇｏｎｏｒｒｈｏｅａｅ（配列番号１７８５）において
同定した：
【化３６９５】
2004500801.tif 002846
これはアミノ酸配列（配列番号１７８６；ＯＲＦ５８２．ｎｇ）に対応する：
【化３６９６】
2004500801.tif 002847
以下の部分ＤＮＡ配列を、Ｎ．ｍｅｎｉｎｇｉｔｉｄｉｓ（配列番号１７８７）におい
て同定した：
【化３６９７】
2004500801.tif 002848
これはアミノ酸配列（配列番号１７８８；ＯＲＦ５８２）に対応する：
【化３６９８】
2004500801.tif 002849
【化３６９９】
2004500801.tif 002850
以下の部分ＤＮＡ配列を、Ｎ．ｍｅｎｉｎｇｉｔｉｄｉｓ（配列番号１７８９）におい
て同定した：
【化３７００】
2004500801.tif 002851
これはアミノ酸配列（配列番号１７９０；ＯＲＦ５８２．ａ）に対応する：
【化３７０１】
2004500801.tif 002852
【化３７０２】
2004500801.tif 002853
以下の部分ＤＮＡ配列を、Ｎ．ｇｏｎｏｒｒｈｏｅａｅ（配列番号１７９１）において
同定した：
【化３７０３】
2004500801.tif 002854
これはアミノ酸配列（配列番号１７９２；ＯＲＦ５８３．ｎｇ）に対応する：
【化３７０４】
2004500801.tif 002855
以下の部分ＤＮＡ配列を、Ｎ．ｍｅｎｉｎｇｉｔｉｄｉｓ（配列番号１７９３）におい
て同定した：
【化３７０５】
2004500801.tif 002856
【化３７０６】
2004500801.tif 002857
これはアミノ酸配列（配列番号１７９４；ＯＲＦ５８３）に対応する：
【化３７０７】
2004500801.tif 002858
以下の部分ＤＮＡ配列を、Ｎ．ｍｅｎｉｎｇｉｔｉｄｉｓ（配列番号１７９５）におい
て同定した：
【化３７０８】
2004500801.tif 002859
これはアミノ酸配列（配列番号１７９６；ＯＲＦ５８３．ａ）に対応する：
【化３７０９】
2004500801.tif 002860
【化３７１０】
2004500801.tif 002861
以下の部分ＤＮＡ配列を、Ｎ．ｇｏｎｏｒｒｈｏｅａｅ（配列番号１７９７）において
同定した：
【化３７１１】
2004500801.tif 002862
これはアミノ酸配列（配列番号１７９８；ＯＲＦ５８４．ｎｇ）に対応する：
【化３７１２】
2004500801.tif 002863
以下の部分ＤＮＡ配列を、Ｎ．ｍｅｎｉｎｇｉｔｉｄｉｓ（配列番号１７９９）におい
て同定した：
【化３７１３】
2004500801.tif 002864
これはアミノ酸配列（配列番号１８００；ＯＲＦ５８４）に対応する：
【化３７１４】
2004500801.tif 002865
以下の部分ＤＮＡ配列を、Ｎ．ｍｅｎｉｎｇｉｔｉｄｉｓ（配列番号１８０１）におい
て同定した：
【化３７１５】
2004500801.tif 002866
これはアミノ酸配列（配列番号１８０２；ＯＲＦ５８４．ａ）に対応する：
【化３７１６】
2004500801.tif 002867
【化３７１７】
2004500801.tif 002868
以下の部分ＤＮＡ配列を、Ｎ．ｇｏｎｏｒｒｈｏｅａｅ（配列番号１８０３）において
同定した：
【化３７１８】
2004500801.tif 002869
これはアミノ酸配列（配列番号１８０４；ＯＲＦ５８５．ｎｇ）に対応する：
【化３７１９】
2004500801.tif 002870
以下の部分ＤＮＡ配列を、Ｎ．ｍｅｎｉｎｇｉｔｉｄｉｓ（配列番号１８０５）におい
て同定した：
【化３７２０】
2004500801.tif 002871
【化３７２１】
2004500801.tif 002872
これはアミノ酸配列（配列番号１８０６；ＯＲＦ５８５）に対応する：
【化３７２２】
2004500801.tif 002873
以下の部分ＤＮＡ配列を、Ｎ．ｍｅｎｉｎｇｉｔｉｄｉｓ（配列番号１８０７）におい
て同定した：
【化３７２３】
2004500801.tif 002874
【化３７２４】
2004500801.tif 002875
これはアミノ酸配列（配列番号１８０８；ＯＲＦ５８５．ａ）に対応する：
【化３７２５】
2004500801.tif 002876
【化３７２６】
2004500801.tif 002877
以下の部分ＤＮＡ配列を、Ｎ．ｇｏｎｏｒｒｈｏｅａｅ（配列番号１８０９）において
同定した：
【化３７２７】
2004500801.tif 002878
これはアミノ酸配列（配列番号１８１０；ＯＲＦ５８６．ｎｇ）に対応する：
【化３７２８】
2004500801.tif 002879
以下の部分ＤＮＡ配列を、Ｎ．ｍｅｎｉｎｇｉｔｉｄｉｓ（配列番号１８１１）におい
て同定した：
【化３７２９】
2004500801.tif 002880
これはアミノ酸配列（配列番号１８１２；ＯＲＦ５８６）に対応する：
【化３７３０】
2004500801.tif 002881
【化３７３１】
2004500801.tif 002882
以下の部分ＤＮＡ配列を、Ｎ．ｍｅｎｉｎｇｉｔｉｄｉｓ（配列番号１８１３）におい
て同定した：
【化３７３２】
2004500801.tif 002883
これはアミノ酸配列（配列番号１８１４；ＯＲＦ５８６．ａ）に対応する：
【化３７３３】
2004500801.tif 002884
【化３７３４】
2004500801.tif 002885
以下の部分ＤＮＡ配列を、Ｎ．ｇｏｎｏｒｒｈｏｅａｅ（配列番号１８１５）において
同定した：
【化３７３５】
2004500801.tif 002886
これはアミノ酸配列（配列番号１８１６；ＯＲＦ５８７．ｎｇ）に対応する：
【化３７３６】
2004500801.tif 002887
以下の部分ＤＮＡ配列を、Ｎ．ｍｅｎｉｎｇｉｔｉｄｉｓ（配列番号１８１７）におい
て同定した：
【化３７３７】
2004500801.tif 002888
これはアミノ酸配列（配列番号１８１８；ＯＲＦ５８７）に対応する：
【化３７３８】
2004500801.tif 002889
このアミノ酸配列のコンピューター分析は以下の結果を与えた：
（Ｎ．ｇｏｎｏｒｒｈｏｅａｅ由来の推定ＯＲＦとの相同性）
【化３７３９】
2004500801.tif 002890
【化３７４０】
2004500801.tif 002891
以下の部分ＤＮＡ配列を、Ｎ．ｍｅｎｉｎｇｉｔｉｄｉｓ（配列番号１８１９）におい
て同定した：
【化３７４１】
2004500801.tif 002892
これはアミノ酸配列（配列番号１８２０；ＯＲＦ５８７．ａ）に対応する：
【化３７４２】
2004500801.tif 002893
【化３７４３】
2004500801.tif 002894
以下の部分ＤＮＡ配列を、Ｎ．ｇｏｎｏｒｒｈｏｅａｅ（配列番号１８２１）において
同定した：
【化３７４４】
2004500801.tif 002895
これはアミノ酸配列（配列番号１８２２；ＯＲＦ５８８．ｎｇ）に対応する：
【化３７４５】
2004500801.tif 002896
以下の部分ＤＮＡ配列を、Ｎ．ｍｅｎｉｎｇｉｔｉｄｉｓ（配列番号１８２３）におい
て同定した：
【化３７４６】
2004500801.tif 002897
これはアミノ酸配列（配列番号１８２４；ＯＲＦ５８８）に対応する：
【化３７４７】
2004500801.tif 002898
このアミノ酸配列のコンピューター分析は以下の結果を与えた：
（Ｎ．ｇｏｎｏｒｒｈｏｅａｅ由来の推定ＯＲＦとの相同性）
【化３７４８】
2004500801.tif 002899
【化３７４９】
2004500801.tif 002900
以下の部分ＤＮＡ配列を、Ｎ．ｍｅｎｉｎｇｉｔｉｄｉｓ（配列番号１８２５）におい
て同定した：
【化３７５０】
2004500801.tif 002901
これはアミノ酸配列（配列番号１８２６；ＯＲＦ５８８．ａ）に対応する：
【化３７５１】
2004500801.tif 002902
以下の部分ＤＮＡ配列を、Ｎ．ｇｏｎｏｒｒｈｏｅａｅ（配列番号１８２７）において
同定した：
【化３７５２】
2004500801.tif 002903
【化３７５３】
2004500801.tif 002904
これはアミノ酸配列（配列番号１８２８；ＯＲＦ５８９．ｎｇ）に対応する：
【化３７５４】
2004500801.tif 002905
以下の部分ＤＮＡ配列を、Ｎ．ｍｅｎｉｎｇｉｔｉｄｉｓ（配列番号１８２９）におい
て同定した：
【化３７５５】
2004500801.tif 002906
【化３７５６】
2004500801.tif 002907
これはアミノ酸配列（配列番号１８３０；ＯＲＦ５８９）に対応する：
【化３７５７】
2004500801.tif 002908
このアミノ酸配列のコンピューター分析は以下の結果を与えた：
（Ｎ．ｇｏｎｏｒｒｈｏｅａｅ由来の推定ＯＲＦとの相同性）
【化３７５８】
2004500801.tif 002909
【化３７５９】
2004500801.tif 002910
【化３７６０】
2004500801.tif 002911
以下の部分ＤＮＡ配列を、Ｎ．ｍｅｎｉｎｇｉｔｉｄｉｓ（配列番号１８３１）におい
て同定した：
【化３７６１】
2004500801.tif 002912
【化３７６２】
2004500801.tif 002913
これはアミノ酸配列（配列番号１８３２；ＯＲＦ５８９．ａ）に対応する：
【化３７６３】
2004500801.tif 002914
【化３７６４】
2004500801.tif 002915
以下の部分ＤＮＡ配列を、Ｎ．ｇｏｎｏｒｒｈｏｅａｅ（配列番号１８３３）において
同定した：
【化３７６５】
2004500801.tif 002916
【化３７６６】
2004500801.tif 002917
これはアミノ酸配列（配列番号１８３４；ＯＲＦ５９０．ｎｇ）に対応する：
【化３７６７】
2004500801.tif 002918
以下の部分ＤＮＡ配列を、Ｎ．ｍｅｎｉｎｇｉｔｉｄｉｓ（配列番号１８３５）におい
て同定した：
【化３７６８】
2004500801.tif 002919
これはアミノ酸配列（配列番号１８３６；ＯＲＦ５９０）に対応する：
【化３７６９】
2004500801.tif 002920
以下の部分ＤＮＡ配列を、Ｎ．ｍｅｎｉｎｇｉｔｉｄｉｓ（配列番号１８３７）におい
て同定した：
【化３７７０】
2004500801.tif 002921
これはアミノ酸配列（配列番号１８３８；ＯＲＦ５９０．ａ）に対応する：
【化３７７１】
2004500801.tif 002922
【化３７７２】
2004500801.tif 002923
以下の部分ＤＮＡ配列を、Ｎ．ｍｅｎｉｎｇｉｔｉｄｉｓ（配列番号１８３９）におい
て同定した：
【化３７７３】
2004500801.tif 002924
【化３７７４】
2004500801.tif 002925
これはアミノ酸配列（配列番号１８４０；ＯＲＦ５９０−１）に対応する：
【化３７７５】
2004500801.tif 002926
【化３７７６】
2004500801.tif 002927
以下の部分ＤＮＡ配列を、Ｎ．ｇｏｎｏｒｒｈｏｅａｅ（配列番号１８４１）において
同定した：
【化３７７７】
2004500801.tif 002928
【化３７７８】
2004500801.tif 002929
これはアミノ酸配列（配列番号１８４２；ＯＲＦ５９１．ｎｇ）に対応する：
【化３７７９】
2004500801.tif 002930
以下の部分ＤＮＡ配列を、Ｎ．ｍｅｎｉｎｇｉｔｉｄｉｓ（配列番号１８４３）におい
て同定した：
【化３７８０】
2004500801.tif 002931
これはアミノ酸配列（配列番号１８４４；ＯＲＦ５９１）に対応する：
【化３７８１】
2004500801.tif 002932
【化３７８２】
2004500801.tif 002933
このアミノ酸配列のコンピューター分析は以下の結果を与えた：
（Ｎ．ｇｏｎｏｒｒｈｏｅａｅ由来の推定ＯＲＦとの相同性）
【化３７８３】
2004500801.tif 002934
以下の部分ＤＮＡ配列を、Ｎ．ｍｅｎｉｎｇｉｔｉｄｉｓ（配列番号１８４５）におい
て同定した：
【化３７８４】
2004500801.tif 002935
【化３７８５】
2004500801.tif 002936
これはアミノ酸配列（配列番号１８４６；ＯＲＦ５９１．ａ）に対応する：
【化３７８６】
2004500801.tif 002937
【化３７８７】
2004500801.tif 002938
以下の部分ＤＮＡ配列を、Ｎ．ｇｏｎｏｒｒｈｏｅａｅ（配列番号１８４７）において
同定した：
【化３７８８】
2004500801.tif 002939
これはアミノ酸配列（配列番号１８４８；ＯＲＦ５９２．ｎｇ）に対応する：
【化３７８９】
2004500801.tif 002940
以下の部分ＤＮＡ配列を、Ｎ．ｍｅｎｉｎｇｉｔｉｄｉｓ（配列番号１８４９）におい
て同定した：
【化３７９０】
2004500801.tif 002941
【化３７９１】
2004500801.tif 002942
これはアミノ酸配列（配列番号１８５０；ＯＲＦ５９２）に対応する：
【化３７９２】
2004500801.tif 002943
以下の部分ＤＮＡ配列を、Ｎ．ｍｅｎｉｎｇｉｔｉｄｉｓ（配列番号１８５１）におい
て同定した：
【化３７９３】
2004500801.tif 002944
これはアミノ酸配列（配列番号１８５２；ＯＲＦ５９２．ａ）に対応する：
【化３７９４】
2004500801.tif 002945
【化３７９５】
2004500801.tif 002946
以下の部分ＤＮＡ配列を、Ｎ．ｇｏｎｏｒｒｈｏｅａｅ（配列番号１８５３）において
同定した：
【化３７９６】
2004500801.tif 002947
これはアミノ酸配列（配列番号１８５４；ＯＲＦ５９３．ｎｇ）に対応する：
【化３７９７】
2004500801.tif 002948
以下の部分ＤＮＡ配列を、Ｎ．ｍｅｎｉｎｇｉｔｉｄｉｓ（配列番号１８５５）におい
て同定した：
【化３７９８】
2004500801.tif 002949
【化３７９９】
2004500801.tif 002950
これはアミノ酸配列（配列番号１８５６；ＯＲＦ５９３）に対応する：
【化３８００】
2004500801.tif 002951
このアミノ酸配列のコンピューター分析は以下の結果を与えた：
（Ｎ．ｇｏｎｏｒｒｈｏｅａｅ由来の推定ＯＲＦとの相同性）
【化３８０１】
2004500801.tif 002952
【化３８０２】
2004500801.tif 002953
以下の部分ＤＮＡ配列を、Ｎ．ｍｅｎｉｎｇｉｔｉｄｉｓ（配列番号１８５７）におい
て同定した：
【化３８０３】
2004500801.tif 002954
これはアミノ酸配列（配列番号１８５８；ＯＲＦ５９３．ａ）に対応する：
【化３８０４】
2004500801.tif 002955
【化３８０５】
2004500801.tif 002956
以下の部分ＤＮＡ配列を、Ｎ．ｇｏｎｏｒｒｈｏｅａｅ（配列番号１８５９）において
同定した：
【化３８０６】
2004500801.tif 002957
これはアミノ酸配列（配列番号１８６０；ＯＲＦ５９４．ｎｇ）に対応する：
【化３８０７】
2004500801.tif 002958
以下の部分ＤＮＡ配列を、Ｎ．ｍｅｎｉｎｇｉｔｉｄｉｓ（配列番号１８６１）におい
て同定した：
【化３８０８】
2004500801.tif 002959
これはアミノ酸配列（配列番号１８６２；ＯＲＦ５９４）に対応する：
【化３８０９】
2004500801.tif 002960
このアミノ酸配列のコンピューター分析は以下の結果を与えた：
（Ｎ．ｇｏｎｏｒｒｈｏｅａｅ由来の推定ＯＲＦとの相同性）
【化３８１０】
2004500801.tif 002961
【化３８１１】
2004500801.tif 002962
以下の部分ＤＮＡ配列を、Ｎ．ｍｅｎｉｎｇｉｔｉｄｉｓ（配列番号１８６３）におい
て同定した：
【化３８１２】
2004500801.tif 002963
これはアミノ酸配列（配列番号１８６４；ＯＲＦ５９４．ａ）に対応する：
【化３８１３】
2004500801.tif 002964
以下の部分ＤＮＡ配列を、Ｎ．ｇｏｎｏｒｒｈｏｅａｅ（配列番号１８６５）において
同定した：
【化３８１４】
2004500801.tif 002965
【化３８１５】
2004500801.tif 002966
【化３８１６】
2004500801.tif 002967
これはアミノ酸配列（配列番号１８６６；ＯＲＦ５９５．ｎｇ）に対応する：
【化３８１７】
2004500801.tif 002968
以下の部分ＤＮＡ配列を、Ｎ．ｍｅｎｉｎｇｉｔｉｄｉｓ（配列番号１８６７）におい
て同定した：
【化３８１８】
2004500801.tif 002969
これはアミノ酸配列（配列番号１８６８；ＯＲＦ５９５）に対応する：
【化３８１９】
2004500801.tif 002970
このアミノ酸配列のコンピューター分析は以下の結果を与えた：
（Ｎ．ｇｏｎｏｒｒｈｏｅａｅ由来の推定ＯＲＦとの相同性）
【化３８２０】
2004500801.tif 002971
【化３８２１】
2004500801.tif 002972
以下の部分ＤＮＡ配列を、Ｎ．ｍｅｎｉｎｇｉｔｉｄｉｓ（配列番号１８６９）におい
て同定した：
【化３８２２】
2004500801.tif 002973
これはアミノ酸配列（配列番号１８７０；ＯＲＦ５９５．ａ）に対応する：
【化３８２３】
2004500801.tif 002974
【化３８２４】
2004500801.tif 002975
以下の部分ＤＮＡ配列は、Ｎ．ｇｏｎｏｒｒｈｏｅａｅにおいて同定された（配列番号
１８７１）：
【化３８２５】
2004500801.tif 002976
【化３８２６】
2004500801.tif 002977
これは、以下のアミノ酸配列（配列番号１８７２；ＯＲＦ  ５９６．ｎｇ）に対応する
：
【化３８２７】
2004500801.tif 002978
以下の部分ＤＮＡ配列は、Ｎ．ｍｅｎｉｎｇｉｔｉｄｉｓにおいて同定された（配列番
号１８７３）：
【化３８２８】
2004500801.tif 002979
これは、以下のアミノ酸配列（配列番号１８７４；ＯＲＦ  ５９６）に対応する：
【化３８２９】
2004500801.tif 002980
【化３８３０】
2004500801.tif 002981
このアミノ酸配列に関するコンピューター分析は、以下の結果を与えた：
（Ｎ．ｇｏｎｏｒｒｈｏｅａｅ由来の推定ＯＲＦとの相同性）
【化３８３１】
2004500801.tif 002982
【化３８３２】
2004500801.tif 002983
以下の部分ＤＮＡ配列は、Ｎ．ｍｅｎｉｎｇｉｔｉｄｉｓにおいて同定された（配列番
号１８７５）：
【化３８３３】
2004500801.tif 002984
これは、以下のアミノ酸配列（配列番号１８７６；ＯＲＦ  ５９６．ａ）に対応する：
【化３８３４】
2004500801.tif 002985
【化３８３５】
2004500801.tif 002986
以下の部分ＤＮＡ配列は、Ｎ．ｇｏｎｏｒｒｈｏｅａｅにおいて同定された（配列番号
１８７７）：
【化３８３６】
2004500801.tif 002987
【化３８３７】
2004500801.tif 002988
これは、以下のアミノ酸配列（配列番号１８７８；ＯＲＦ  ５９７）に対応する：
【化３８３８】
2004500801.tif 002989
以下の部分ＤＮＡ配列は、Ｎ．ｍｅｎｉｎｇｉｔｉｄｉｓにおいて同定された（配列番
号１８７９）：
【化３８３９】
2004500801.tif 002990
これは、以下のアミノ酸配列（配列番号１８８０；ＯＲＦ  ５９７）に対応する：
【化３８４０】
2004500801.tif 002991
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ５９７は、Ｎ．ｇｏｎｏｒｒｈｏｅａｅ由来の推定ＯＲＦ（ＯＲＦ５９７）との
３８９アミノ酸にわたる重複で９６．１％の同一性を示す：
【化３８４１】
2004500801.tif 002992
以下の部分ＤＮＡ配列は、Ｎ．ｍｅｎｉｎｇｉｔｉｄｉｓにおいて同定された（配列番
号１８８１）：
【化３８４２】
2004500801.tif 002993
【化３８４３】
2004500801.tif 002994
これは、以下のアミノ酸配列（配列番号１８８２；ＯＲＦ５９７．ａ）に対応する：
【化３８４４】
2004500801.tif 002995
このアミノ酸配列に関するコンピューター分析は、以下の結果を与えた：
（Ｎ．ｍｅｎｉｎｇｉｔｉｄｉｓ由来の推定ＯＲＦとの相同性）
ＯＲＦ５９７は、Ｎ．ｍｅｎｉｎｇｉｔｉｄｉｓ由来の推定ＯＲＦ（ＯＲＦ５９７）と
の３８９アミノ酸にわたる重複で９８．５％の同一性を示す：
【化３８４５】
2004500801.tif 002996
以下の部分ＤＮＡ配列は、Ｎ．ｇｏｎｏｒｒｈｏｅａｅにおいて同定された（配列番号
１８８３）：
【化３８４６】
2004500801.tif 002997
これは、以下のアミノ酸配列（配列番号１８８４；ＯＲＦ６０１．ｎｇ）に対応する：
【化３８４７】
2004500801.tif 002998
以下の部分ＤＮＡ配列は、Ｎ．ｍｅｎｉｎｇｉｔｉｄｉｓにおいて同定された（配列番
号１８８５）：
【化３８４８】
2004500801.tif 002999
これは、以下のアミノ酸配列（配列番号１８８６；ＯＲＦ６０１）に対応する：
【化３８４９】
2004500801.tif 003000
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ６０１は、Ｎ．ｇｏｎｏｒｒｈｏｅａｅ由来の推定ＯＲＦ（ＯＲＦ６０１．ｎｇ
）との２０５アミノ酸にわたる重複で９４．１％の同一性を示す：
【化３８５０】
2004500801.tif 003001
【化３８５１】
2004500801.tif 003002
以下の部分ＤＮＡ配列は、Ｎ．ｍｅｎｉｎｇｉｔｉｄｉｓにおいて同定された（配列番
号１８８７）：
【化３８５２】
2004500801.tif 003003
これは、以下のアミノ酸配列（配列番号１８８８；ＯＲＦ６０１．ａ）に対応する：
【化３８５３】
2004500801.tif 003004
以下の部分ＤＮＡ配列は、Ｎ．ｇｏｎｏｒｒｈｏｅａｅにおいて同定された（配列番号
１８８９）：
【化３８５４】
2004500801.tif 003005
これは、以下のアミノ酸配列（配列番号１８９０；ＯＲＦ６０２．ｎｇ）に対応する：
【化３８５５】
2004500801.tif 003006
以下の部分ＤＮＡ配列は、Ｎ．ｍｅｎｉｎｇｉｔｉｄｉｓにおいて同定された（配列番
号１８９１）：
【化３８５６】
2004500801.tif 003007
これは、以下のアミノ酸配列（配列番号１８９２；ＯＲＦ６０２）に対応する：
【化３８５７】
2004500801.tif 003008
以下の部分ＤＮＡ配列は、Ｎ．ｍｅｎｉｎｇｉｔｉｄｉｓにおいて同定された（配列番
号１８９３）：
【化３８５８】
2004500801.tif 003009
これは、以下のアミノ酸配列（配列番号１８９４；ＯＲＦ６０２．ａ）に対応する：
【化３８５９】
2004500801.tif 003010
【化３８６０】
2004500801.tif 003011
以下の部分ＤＮＡ配列は、Ｎ．ｇｏｎｏｒｒｈｏｅａｅにおいて同定された（配列番号
１８９５）：
【化３８６１】
2004500801.tif 003012
これは、以下のアミノ酸配列（配列番号１８９６；ＯＲＦ６０３．ｎｇ）に対応する：
【化３８６２】
2004500801.tif 003013
以下の部分ＤＮＡ配列は、Ｎ．ｍｅｎｉｎｇｉｔｉｄｉｓにおいて同定された（配列番
号１８９７）：
【化３８６３】
2004500801.tif 003014
【化３８６４】
2004500801.tif 003015
これは、以下のアミノ酸配列（配列番号１８９８；ＯＲＦ６０３）に対応する：
【化３８６５】
2004500801.tif 003016
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ６０３は、Ｎ．ｇｏｎｏｒｒｈｏｅａｅ由来の推定ＯＲＦ（ＯＲＦ６０３．ｎｇ
）との４５０アミノ酸にわたる重複で９１．６％の同一性を示す：
【化３８６６】
2004500801.tif 003017
【化３８６７】
2004500801.tif 003018
以下の部分ＤＮＡ配列は、Ｎ．ｍｅｎｉｎｇｉｔｉｄｉｓにおいて同定された（配列番
号１８９９）：
【化３８６８】
2004500801.tif 003019
これは、以下のアミノ酸配列（配列番号１９００；ＯＲＦ６０３．ａ）に対応する：
【化３８６９】
2004500801.tif 003020
【化３８７０】
2004500801.tif 003021
以下の部分ＤＮＡ配列は、Ｎ．ｇｏｎｏｒｒｈｏｅａｅにおいて同定された（配列番号
１９０１）：
【化３８７１】
2004500801.tif 003022
【化３８７２】
2004500801.tif 003023
これは、以下のアミノ酸配列（配列番号１９０２；ＯＲＦ６０４．ｎｇ）に対応する：
【化３８７３】
2004500801.tif 003024
以下の部分ＤＮＡ配列は、Ｎ．ｍｅｎｉｎｇｉｔｉｄｉｓにおいて同定された（配列番
号１９０３）：
【化３８７４】
2004500801.tif 003025
これは、以下のアミノ酸配列（配列番号１９０４；ＯＲＦ６０４）に対応する：
【化３８７５】
2004500801.tif 003026
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ６０４は、Ｎ．ｇｏｎｏｒｒｈｏｅａｅ由来の推定ＯＲＦ（ＯＲＦ６０４．ｎｇ
）との１６９アミノ酸にわたる重複で８３．４％の同一性を示す：
【化３８７６】
2004500801.tif 003027
以下の部分ＤＮＡ配列は、Ｎ．ｍｅｎｉｎｇｉｔｉｄｉｓにおいて同定された（配列番
号１９０５）：
【化３８７７】
2004500801.tif 003028
【化３８７８】
2004500801.tif 003029
これは、以下のアミノ酸配列（配列番号１９０６；ＯＲＦ６０４．ａ）に対応する：
【化３８７９】
2004500801.tif 003030
以下の部分ＤＮＡ配列は、Ｎ．ｇｏｎｏｒｒｈｏｅａｅにおいて同定された（配列番号
１９０７）：
【化３８８０】
2004500801.tif 003031
【化３８８１】
2004500801.tif 003032
これは、以下のアミノ酸配列（配列番号１９０８；ＯＲＦ６０５．ｎｇ）に対応する：
【化３８８２】
2004500801.tif 003033
以下の部分ＤＮＡ配列は、Ｎ．ｍｅｎｉｎｇｉｔｉｄｉｓにおいて同定された（配列番
号１９０９）：
【化３８８３】
2004500801.tif 003034
これは、以下のアミノ酸配列（配列番号１９１０；ＯＲＦ６０５）に対応する：
【化３８８４】
2004500801.tif 003035
【化３８８５】
2004500801.tif 003036
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ６０５は、Ｎ．ｇｏｎｏｒｒｈｏｅａｅ由来の推定ＯＲＦ（ＯＲＦ６０５．ｎｇ
）との５１３アミノ酸にわたる重複で９７．９％の同一性を示す：
【化３８８６】
2004500801.tif 003037
【化３８８７】
2004500801.tif 003038
以下の部分ＤＮＡ配列は、Ｎ．ｍｅｎｉｎｇｉｔｉｄｉｓにおいて同定された（配列番
号１９１１）：
【化３８８８】
2004500801.tif 003039
これは、以下のアミノ酸配列（配列番号１９１２；ＯＲＦ６０５．ａ）に対応する：
【化３８８９】
2004500801.tif 003040
【化３８９０】
2004500801.tif 003041
以下の部分ＤＮＡ配列は、Ｎ．ｇｏｎｏｒｒｈｏｅａｅにおいて同定された（配列番号
１９１３）：
【化３８９１】
2004500801.tif 003042
これは、以下のアミノ酸配列（配列番号１９１４；ＯＲＦ６０６．ｎｇ）に対応する：
【化３８９２】
2004500801.tif 003043
以下の部分ＤＮＡ配列は、Ｎ．ｍｅｎｉｎｇｉｔｉｄｉｓにおいて同定された（配列番
号１９１５）：
【化３８９３】
2004500801.tif 003044
これは、以下のアミノ酸配列（配列番号１９１６；ＯＲＦ６０６）に対応する：
【化３８９４】
2004500801.tif 003045
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ６０６は、Ｎ．ｇｏｎｏｒｒｈｏｅａｅ由来の推定ＯＲＦ（ＯＲＦ６０６．ｎｇ
）との２２５アミノ酸にわたる重複で１００．０％の同一性を示す：
【化３８９５】
2004500801.tif 003046
以下の部分ＤＮＡ配列は、Ｎ．ｍｅｎｉｎｇｉｔｉｄｉｓにおいて同定された（配列番
号１９１７）：
【化３８９６】
2004500801.tif 003047
【化３８９７】
2004500801.tif 003048
これは、以下のアミノ酸配列（配列番号１９１８；ＯＲＦ６０６．ａ）に対応する：
【化３８９８】
2004500801.tif 003049
以下の部分ＤＮＡ配列は、Ｎ．ｇｏｎｏｒｒｈｏｅａｅにおいて同定された（配列番号
１９１９）：
【化３８９９】
2004500801.tif 003050
【化３９００】
2004500801.tif 003051
これは、以下のアミノ酸配列（配列番号１９２０；ＯＲＦ６０７．ｎｇ）に対応する：
【化３９０１】
2004500801.tif 003052
以下の部分ＤＮＡ配列は、Ｎ．ｍｅｎｉｎｇｉｔｉｄｉｓにおいて同定された（配列番
号１９２１）：
【化３９０２】
2004500801.tif 003053
これは、以下のアミノ酸配列（配列番号１９２２；ＯＲＦ６０７）に対応する：
【化３９０３】
2004500801.tif 003054
【化３９０４】
2004500801.tif 003055
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ６０７は、Ｎ．ｇｏｎｏｒｒｈｏｅａｅ由来の推定ＯＲＦ（ＯＲＦ６０７．ｎｇ
）との４５９アミノ酸にわたる重複で９４．８％の同一性を示す：
【化３９０５】
2004500801.tif 003056
以下の部分ＤＮＡ配列は、Ｎ．ｍｅｎｉｎｇｉｔｉｄｉｓにおいて同定された（配列番
号１９２３）：
【化３９０６】
2004500801.tif 003057
これは、以下のアミノ酸配列（配列番号１９２４；ＯＲＦ６０７．ａ）に対応する：
【化３９０７】
2004500801.tif 003058
【化３９０８】
2004500801.tif 003059
以下の部分ＤＮＡ配列は、Ｎ．ｇｏｎｏｒｒｈｏｅａｅにおいて同定された（配列番号
１９２５）：
【化３９０９】
2004500801.tif 003060
これは、以下のアミノ酸配列（配列番号１９２６；ＯＲＦ６０８．ｎｇ）に対応する：
【化３９１０】
2004500801.tif 003061
以下の部分ＤＮＡ配列は、Ｎ．ｍｅｎｉｎｇｉｔｉｄｉｓにおいて同定された（配列番
号１９２７）：
【化３９１１】
2004500801.tif 003062
【化３９１２】
2004500801.tif 003063
これは、以下のアミノ酸配列（配列番号１９２８；ＯＲＦ６０８）に対応する：
【化３９１３】
2004500801.tif 003064
このアミノ酸配列に関するコンピューター分析は、以下の結果を与えた：
（Ｎ．ｇｏｎｏｒｒｈｏｅａｅ由来の推定ＯＲＦとの相同性）
ＯＲＦ６０８は、Ｎ．ｇｏｎｏｒｒｈｏｅａｅ由来の推定ＯＲＦ（ＯＲＦ６０８．ｎｇ
）との１８８アミノ酸にわたる重複で９５．２％の同一性を示す：
【化３９１４】
2004500801.tif 003065
以下の部分ＤＮＡ配列は、Ｎ．ｍｅｎｉｎｇｉｔｉｄｉｓにおいて同定された（配列番
号１９２９）：
【化３９１５】
2004500801.tif 003066
これは、以下のアミノ酸配列（配列番号１９３０；ＯＲＦ６０８．ａ）に対応する：
【化３９１６】
2004500801.tif 003067
【化３９１７】
2004500801.tif 003068
以下の部分ＤＮＡ配列は、Ｎ．ｇｏｎｏｒｒｈｏｅａｅにおいて同定された（配列番号
１９３１）：
【化３９１８】
2004500801.tif 003069
これは、以下のアミノ酸配列（配列番号１９３２；ＯＲＦ６０９．ｎｇ）に対応する：
【化３９１９】
2004500801.tif 003070
以下の部分ＤＮＡ配列は、Ｎ．ｍｅｎｉｎｇｉｔｉｄｉｓにおいて同定された（配列番
号１９３３）：
【化３９２０】
2004500801.tif 003071
これは、以下のアミノ酸配列（配列番号１９３４；ＯＲＦ６０９）に対応する：
【化３９２１】
2004500801.tif 003072
【化３９２２】
2004500801.tif 003073
以下の部分ＤＮＡ配列は、Ｎ．ｍｅｎｉｎｇｉｔｉｄｉｓにおいて同定された（配列番
号１９３５）：
【化３９２３】
2004500801.tif 003074
これは、以下のアミノ酸配列（配列番号１９３６；ＯＲＦ６０９．ａ）に対応する：
【化３９２４】
2004500801.tif 003075
以下の部分ＤＮＡ配列は、Ｎ．ｇｏｎｏｒｒｈｏｅａｅにおいて同定された（配列番号
１９３７）：
【化３９２５】
2004500801.tif 003076
【化３９２６】
2004500801.tif 003077
これは、以下のアミノ酸配列（配列番号１９３８；ＯＲＦ６１０．ｎｇ）に対応する：
【化３９２７】
2004500801.tif 003078
以下の部分ＤＮＡ配列は、Ｎ．ｍｅｎｉｎｇｉｔｉｄｉｓにおいて同定された（配列番
号１９３９）：
【化３９２８】
2004500801.tif 003079
これは、以下のアミノ酸配列（配列番号１９４０；ＯＲＦ６１０）に対応する：
【化３９２９】
2004500801.tif 003080
【化３９３０】
2004500801.tif 003081
以下の部分ＤＮＡ配列は、Ｎ．ｍｅｎｉｎｇｉｔｉｄｉｓにおいて同定された（配列番
号１９４１）：
【化３９３１】
2004500801.tif 003082
これは、以下のアミノ酸配列（配列番号１９４２；ＯＲＦ６１０．ａ）に対応する：
【化３９３２】
2004500801.tif 003083
【化３９３３】
2004500801.tif 003084
以下の部分ＤＮＡ配列は、Ｎ．ｇｏｎｏｒｒｈｏｅａｅにおいて同定された（配列番号
１９４３）：
【化３９３４】
2004500801.tif 003085
これは、以下のアミノ酸配列（配列番号１９４４；ＯＲＦ６１１．ｎｇ）に対応する：
【化３９３５】
2004500801.tif 003086
以下の部分ＤＮＡ配列は、Ｎ．ｍｅｎｉｎｇｉｔｉｄｉｓにおいて同定された（配列番
号１９４５）：
【化３９３６】
2004500801.tif 003087
これは、以下のアミノ酸配列（配列番号１９４６；ＯＲＦ６１１）に対応する：
【化３９３７】
2004500801.tif 003088
【化３９３８】
2004500801.tif 003089
以下の部分ＤＮＡ配列は、Ｎ．ｍｅｎｉｎｇｉｔｉｄｉｓにおいて同定された（配列番
号１９４７）：
【化３９３９】
2004500801.tif 003090
これは、以下のアミノ酸配列（配列番号１９４８；ＯＲＦ６１１．ａ）に対応する：
【化３９４０】
2004500801.tif 003091
【化３９４１】
2004500801.tif 003092
以下の部分ＤＮＡ配列は、Ｎ．ｇｏｎｏｒｒｈｏｅａｅにおいて同定された（配列番号
１９４９）：
【化３９４２】
2004500801.tif 003093
これは、以下のアミノ酸配列（配列番号１９５０；ＯＲＦ６１２．ｎｇ）に対応する：
【化３９４３】
2004500801.tif 003094
以下の部分ＤＮＡ配列は、Ｎ．ｍｅｎｉｎｇｉｔｉｄｉｓにおいて同定された（配列番
号１９５１）：
【化３９４４】
2004500801.tif 003095
これは、以下のアミノ酸配列（配列番号１９５２；ＯＲＦ６１２）に対応する：
【化３９４５】
2004500801.tif 003096
以下の部分ＤＮＡ配列は、Ｎ．ｍｅｎｉｎｇｉｔｉｄｉｓにおいて同定された（配列番
号１９５３）：
【化３９４６】
2004500801.tif 003097
これは、以下のアミノ酸配列（配列番号１９５４；ＯＲＦ６１２．ａ）に対応する：
【化３９４７】
2004500801.tif 003098
以下の部分ＤＮＡ配列は、Ｎ．ｇｏｎｏｒｒｈｏｅａｅにおいて同定された（配列番号
１９５５）：
【化３９４８】
2004500801.tif 003099
これは、以下のアミノ酸配列（配列番号１９５６；ＯＲＦ６１３．ｎｇ）に対応する：
【化３９４９】
2004500801.tif 003100
以下の部分ＤＮＡ配列は、Ｎ．ｍｅｎｉｎｇｉｔｉｄｉｓにおいて同定された（配列番
号１９５７）：
【化３９５０】
2004500801.tif 003101
【化３９５１】
2004500801.tif 003102
これは、以下のアミノ酸配列（配列番号１９５８；ＯＲＦ６１３）に対応する：
【化３９５２】
2004500801.tif 003103
このアミノ酸配列に関するコンピューター分析は、以下の結果を与えた：
（Ｎ．ｇｏｎｏｒｒｈｏｅａｅ由来の推定ＯＲＦとの相同性）
【化３９５３】
2004500801.tif 003104
【化３９５４】
2004500801.tif 003105
以下の部分ＤＮＡ配列は、Ｎ．ｍｅｎｉｎｇｉｔｉｄｉｓにおいて同定された（配列番
号１９５９）：
【化３９５５】
2004500801.tif 003106
これは、以下のアミノ酸配列（配列番号１９６０；ＯＲＦ６１３．ａ）に対応する：
【化３９５６】
2004500801.tif 003107
以下の部分ＤＮＡ配列は、Ｎ．ｇｏｎｏｒｒｈｏｅａｅにおいて同定された（配列番号
１９６１）：
【化３９５７】
2004500801.tif 003108
これは、以下のアミノ酸配列（配列番号１９６２；ＯＲＦ６１４．ｎｇ）に対応する：
【化３９５８】
2004500801.tif 003109
以下の部分ＤＮＡ配列は、Ｎ．ｍｅｎｉｎｇｉｔｉｄｉｓにおいて同定された（配列番
号１９６３）：
【化３９５９】
2004500801.tif 003110
これは、以下のアミノ酸配列（配列番号１９６４；ＯＲＦ６１４）に対応する：
【化３９６０】
2004500801.tif 003111
このアミノ酸配列に関するコンピューター分析は、以下の結果を与えた：
（Ｎ．ｇｏｎｏｒｒｈｏｅａｅ由来の推定ＯＲＦとの相同性）
【化３９６１】
2004500801.tif 003112
以下の部分ＤＮＡ配列は、Ｎ．ｍｅｎｉｎｇｉｔｉｄｉｓにおいて同定された（配列番
号１９６５）：
【化３９６２】
2004500801.tif 003113
【化３９６３】
2004500801.tif 003114
これは、以下のアミノ酸配列（配列番号１９９６；ＯＲＦ６１４．ａ）に対応する：
【化３９６４】
2004500801.tif 003115
【化３９６５】
2004500801.tif 003116
以下の部分ＤＮＡ配列は、Ｎ．ｇｏｎｏｒｒｈｏｅａｅにおいて同定された（配列番号
１９６７）：
【化３９６６】
2004500801.tif 003117
これは、以下のアミノ酸配列（配列番号１９６８；ＯＲＦ６１５．ｎｇ）に対応する：
【化３９６７】
2004500801.tif 003118
以下の部分ＤＮＡ配列は、Ｎ．ｍｅｎｉｎｇｉｔｉｄｉｓにおいて同定された（配列番
号１９６９）：
【化３９６８】
2004500801.tif 003119
【化３９６９】
2004500801.tif 003120
これは、以下のアミノ酸配列（配列番号１９７０；ＯＲＦ６１５）に対応する：
【化３９７０】
2004500801.tif 003121
このアミノ酸配列に関するコンピューター分析は、以下の結果を与えた：
（Ｎ．ｇｏｎｏｒｒｈｏｅａｅ由来の推定ＯＲＦとの相同性）
【化３９７１】
2004500801.tif 003122
以下の部分ＤＮＡ配列は、Ｎ．ｍｅｎｉｎｇｉｔｉｄｉｓにおいて同定された（配列番
号１９７１）：
【化３９７２】
2004500801.tif 003123
これは、以下のアミノ酸配列（配列番号１９７２；ＯＲＦ６１５．ａ）に対応する：
【化３９７３】
2004500801.tif 003124
【化３９７４】
2004500801.tif 003125
以下の部分ＤＮＡ配列は、Ｎ．ｇｏｎｏｒｒｈｏｅａｅにおいて同定された（配列番号
１９７３）：
【化３９７５】
2004500801.tif 003126
これは、以下のアミノ酸配列（配列番号１９７４；ＯＲＦ６１６．ｎｇ）に対応する：
【化３９７６】
2004500801.tif 003127
以下の部分ＤＮＡ配列は、Ｎ．ｍｅｎｉｎｇｉｔｉｄｉｓにおいて同定された（配列番
号１９７５）：
【化３９７７】
2004500801.tif 003128
【化３９７８】
2004500801.tif 003129
これは、以下のアミノ酸配列（配列番号１９７６；ＯＲＦ６１６）に対応する：
【化３９７９】
2004500801.tif 003130
以下の部分ＤＮＡ配列は、Ｎ．ｍｅｎｉｎｇｉｔｉｄｉｓにおいて同定された（配列番
号１９７７）：
【化３９８０】
2004500801.tif 003131
これは、以下のアミノ酸配列（配列番号１９７８；ＯＲＦ６１６．ａ）に対応する：
【化３９８１】
2004500801.tif 003132
【化３９８２】
2004500801.tif 003133
以下の部分ＤＮＡ配列は、Ｎ．ｇｏｎｏｒｒｈｏｅａｅにおいて同定された（配列番号
１９７９）：
【化３９８３】
2004500801.tif 003134
これは、以下のアミノ酸配列（配列番号１９８０；ＯＲＦ６１９．ａ）に対応する：
【化３９８４】
2004500801.tif 003135
以下の部分ＤＮＡ配列は、Ｎ．ｍｅｎｉｎｇｉｔｉｄｉｓにおいて同定された（配列番
号１９８１）：
【化３９８５】
2004500801.tif 003136
【化３９８６】
2004500801.tif 003137
これは、以下のアミノ酸配列（配列番号１９８２；ＯＲＦ６１９）に対応する：
【化３９８７】
2004500801.tif 003138
以下の部分ＤＮＡ配列は、Ｎ．ｍｅｎｉｎｇｉｔｉｄｉｓにおいて同定された（配列番
号１９８３）：
【化３９８８】
2004500801.tif 003139
【化３９８９】
2004500801.tif 003140
これは、以下のアミノ酸配列（配列番号１９８４；ＯＲＦ６１９．ａ）に対応する：
【化３９９０】
2004500801.tif 003141
以下の部分ＤＮＡ配列は、Ｎ．ｇｏｎｏｒｒｈｏｅａｅにおいて同定された（配列番号
１９８５）：
【化３９９１】
2004500801.tif 003142
これは、以下のアミノ酸配列（配列番号１９８６；ＯＲＦ６２０．ｎｇ）に対応する：
【化３９９２】
2004500801.tif 003143
以下の部分ＤＮＡ配列は、Ｎ．ｍｅｎｉｎｇｉｔｉｄｉｓにおいて同定された（配列番
号１９８７）：
【化３９９３】
2004500801.tif 003144
これは、以下のアミノ酸配列（配列番号１９８８；ＯＲＦ６２０）に対応する：
【化３９９４】
2004500801.tif 003145
以下の部分ＤＮＡ配列は、Ｎ．ｍｅｎｉｎｇｉｔｉｄｉｓにおいて同定された（配列番
号１９８９）：
【化３９９５】
2004500801.tif 003146
これは、以下のアミノ酸配列（配列番号１９９０；ＯＲＦ６２０．ａ）に対応する：
【化３９９６】
2004500801.tif 003147
【化３９９７】
2004500801.tif 003148
以下の部分ＤＮＡ配列は、Ｎ．ｇｏｎｏｒｒｈｏｅａｅにおいて同定された（配列番号
１９９１）：
【化３９９８】
2004500801.tif 003149
これは、以下のアミノ酸配列（配列番号１９９２；ＯＲＦ６２２．ｎｇ）に対応する：
【化３９９９】
2004500801.tif 003150
以下の部分ＤＮＡ配列は、Ｎ．ｍｅｎｉｎｇｉｔｉｄｉｓにおいて同定された（配列番
号１９９３）：
【化４０００】
2004500801.tif 003151
【化４００１】
2004500801.tif 003152
これは、以下のアミノ酸配列（配列番号１９９４；ＯＲＦ６２２）に対応する：
【化４００２】
2004500801.tif 003153
【化４００３】
2004500801.tif 003154
以下の部分ＤＮＡ配列は、Ｎ．ｍｅｎｉｎｇｉｔｉｄｉｓにおいて同定された（配列番
号１９９５）：
【化４００４】
2004500801.tif 003155
これは、以下のアミノ酸配列（配列番号１９９６；ＯＲＦ６２２．ａ）に対応する：
【化４００５】
2004500801.tif 003156
【化４００６】
2004500801.tif 003157
以下の部分ＤＮＡ配列は、Ｎ．ｇｏｎｏｒｒｈｏｅａｅにおいて同定された（配列番号
１９９７）：
【化４００７】
2004500801.tif 003158
これは、以下のアミノ酸配列（配列番号１９９８；ＯＲＦ６２４．ｎｇ）に対応する：
【化４００８】
2004500801.tif 003159
以下の部分ＤＮＡ配列は、Ｎ．ｍｅｎｉｎｇｉｔｉｄｉｓにおいて同定された（配列番
号１９９９）：
【化４００９】
2004500801.tif 003160
これは、以下のアミノ酸配列（配列番号２０００；ＯＲＦ６２４）に対応する：
【化４０１０】
2004500801.tif 003161
【化４０１１】
2004500801.tif 003162
以下の部分ＤＮＡ配列は、Ｎ．ｍｅｎｉｎｇｉｔｉｄｉｓにおいて同定された（配列番
号２００１）：
【化４０１２】
2004500801.tif 003163
これは、以下のアミノ酸配列（配列番号２００２；ＯＲＦ６２４．ａ）に対応する：
【化４０１３】
2004500801.tif 003164
以下の部分ＤＮＡ配列は、Ｎ．ｍｅｎｉｎｇｉｔｉｄｉｓにおいて同定された（配列番
号２００３）：
【化４０１４】
2004500801.tif 003165
以下の部分ＤＮＡ配列は、Ｎ．ｇｏｎｏｒｒｈｏｅａｅにおいて同定された（配列番号
２００４）：
【化４０１５】
2004500801.tif 003166
これは、以下のアミノ酸配列（配列番号２００５；ＯＲＦ６２５．ｎｇ）に対応する：
【化４０１６】
2004500801.tif 003167
【化４０１７】
2004500801.tif 003168
以下の部分ＤＮＡ配列は、Ｎ．ｍｅｎｉｎｇｉｔｉｄｉｓにおいて同定された（配列番
号２００６）：
【化４０１８】
2004500801.tif 003169
これは、以下のアミノ酸配列（配列番号２００７；ＯＲＦ６２５）に対応する：
【化４０１９】
2004500801.tif 003170
これは、以下のアミノ酸配列（配列番号２００８；ＯＲＦ６２５．ａ）に対応する：
【化４０２０】
2004500801.tif 003171
以下の部分ＤＮＡ配列は、Ｎ．ｇｏｎｏｒｒｈｏｅａｅにおいて同定された（配列番号
２００９）：
【化４０２１】
2004500801.tif 003172
【化４０２２】
2004500801.tif 003173
これは、以下のアミノ酸配列（配列番号２０１０；ＯＲＦ６２７．ｎｇ）に対応する：
【化４０２３】
2004500801.tif 003174
以下の部分ＤＮＡ配列は、Ｎ．ｍｅｎｉｎｇｉｔｉｄｉｓにおいて同定された（配列番
号２０１１）：
【化４０２４】
2004500801.tif 003175
これは、以下のアミノ酸配列（配列番号２０１２；ＯＲＦ６２７）に対応する：
【化４０２５】
2004500801.tif 003176
このアミノ酸配列に関するコンピューター分析は、以下の結果を与えた：
（Ｎ．ｇｏｎｏｒｒｈｏｅａｅ由来の推定ＯＲＦとの相同性）
【化４０２６】
2004500801.tif 003177
【化４０２７】
2004500801.tif 003178
以下の部分ＤＮＡ配列は、Ｎ．ｍｅｎｉｎｇｉｔｉｄｉｓにおいて同定された（配列番
号２０１３）：
【化４０２８】
2004500801.tif 003179
これは、以下のアミノ酸配列（配列番号２０１４；ＯＲＦ６２７．ａ）に対応する：
【化４０２９】
2004500801.tif 003180
【化４０３０】
2004500801.tif 003181
以下の部分ＤＮＡ配列は、Ｎ．ｇｏｎｏｒｒｈｏｅａｅにおいて同定された（配列番号
２０１５）：
【化４０３１】
2004500801.tif 003182
これは、以下のアミノ酸配列（配列番号２０１６；ＯＲＦ６２８．ｎｇ）に対応する：
【化４０３２】
2004500801.tif 003183
以下の部分ＤＮＡ配列は、Ｎ．ｍｅｎｉｎｇｉｔｉｄｉｓにおいて同定された（配列番
号２０１７）：
【化４０３３】
2004500801.tif 003184
これは、以下のアミノ酸配列（配列番号２０１８；ＯＲＦ６２８）に対応する：
【化４０３４】
2004500801.tif 003185
このアミノ酸配列に関するコンピューター分析は、以下の結果を与えた：
（Ｎ．ｇｏｎｏｒｒｈｏｅａｅ由来の推定ＯＲＦとの相同性）
【化４０３５】
2004500801.tif 003186
以下の部分ＤＮＡ配列は、Ｎ．ｍｅｎｉｎｇｉｔｉｄｉｓにおいて同定された（配列番
号２０１９）：
【化４０３６】
2004500801.tif 003187
これは、以下のアミノ酸配列（配列番号２０２０；ＯＲＦ６２８．ａ）に対応する：
【化４０３７】
2004500801.tif 003188
以下の部分ＤＮＡ配列は、Ｎ．ｇｏｎｏｒｒｈｏｅａｅにおいて同定された（配列番号
２０２１）：
【化４０３８】
2004500801.tif 003189
これは、以下のアミノ酸配列（配列番号２０２２；ＯＲＦ６２９．ｎｇ）に対応する：
【化４０３９】
2004500801.tif 003190
【化４０４０】
2004500801.tif 003191
以下の部分ＤＮＡ配列は、Ｎ．ｍｅｎｉｎｇｉｔｉｄｉｓにおいて同定された（配列番
号２０２３）：
【化４０４１】
2004500801.tif 003192
これは、以下のアミノ酸配列（配列番号２０２４；ＯＲＦ６２９）に対応する：
【化４０４２】
2004500801.tif 003193
このアミノ酸配列に関するコンピューター分析は、以下の結果を与えた：
（Ｎ．ｇｏｎｏｒｒｈｏｅａｅ由来の推定ＯＲＦとの相同性）
【化４０４３】
2004500801.tif 003194
【化４０４４】
2004500801.tif 003195
以下の部分ＤＮＡ配列は、Ｎ．ｍｅｎｉｎｇｉｔｉｄｉｓにおいて同定された（配列番
号２０２５）：
【化４０４５】
2004500801.tif 003196
これは、以下のアミノ酸配列（配列番号２０２６；ＯＲＦ６２９．ａ）に対応する：
【化４０４６】
2004500801.tif 003197
【化４０４７】
2004500801.tif 003198
以下の部分ＤＮＡ配列は、Ｎ．ｇｏｎｏｒｒｈｏｅａｅにおいて同定された（配列番号
２０２７）：
【化４０４８】
2004500801.tif 003199
これは、以下のアミノ酸配列（配列番号２０２８；ＯＲＦ６３０．ｎｇ）に対応する：
【化４０４９】
2004500801.tif 003200
以下の部分ＤＮＡ配列は、Ｎ．ｍｅｎｉｎｇｉｔｉｄｉｓにおいて同定された（配列番
号２０２９）：
【化４０５０】
2004500801.tif 003201
【化４０５１】
2004500801.tif 003202
これは、以下のアミノ酸配列（配列番号２０３０；ＯＲＦ６３０）に対応する：
【化４０５２】
2004500801.tif 003203
以下の部分ＤＮＡ配列は、Ｎ．ｍｅｎｉｎｇｉｔｉｄｉｓにおいて同定された（配列番
号２０３１）：
【化４０５３】
2004500801.tif 003204
【化４０５４】
2004500801.tif 003205
これは、以下のアミノ酸配列（配列番号２０３２；ＯＲＦ６３０．ａ）に対応する：
【化４０５５】
2004500801.tif 003206
以下の部分ＤＮＡ配列は、Ｎ．ｇｏｎｏｒｒｈｏｅａｅにおいて同定された（配列番号
２０３３）：
【化４０５６】
2004500801.tif 003207
【化４０５７】
2004500801.tif 003208
これは、以下のアミノ酸配列（配列番号２０３４；ＯＲＦ６３５．ｎｇ）に対応する：
【化４０５８】
2004500801.tif 003209
以下の部分ＤＮＡ配列は、Ｎ．ｍｅｎｉｎｇｉｔｉｄｉｓにおいて同定された（配列番
号２０３５）：
【化４０５９】
2004500801.tif 003210
これは、以下のアミノ酸配列（配列番号２０３６；ＯＲＦ６３５）に対応する：
【化４０６０】
2004500801.tif 003211
以下の部分ＤＮＡ配列は、Ｎ．ｍｅｎｉｎｇｉｔｉｄｉｓにおいて同定された（配列番
号２０３７）：
【化４０６１】
2004500801.tif 003212
これは、以下のアミノ酸配列（配列番号２０３８；ＯＲＦ６３５．ａ）に対応する：
【化４０６２】
2004500801.tif 003213
【化４０６３】
2004500801.tif 003214
以下の部分ＤＮＡ配列は、Ｎ．ｇｏｎｏｒｒｈｏｅａｅにおいて同定された（配列番号
２０３９）：
【化４０６４】
2004500801.tif 003215
これは、以下のアミノ酸配列（配列番号２０４０；ＯＲＦ６３８．ｎｇ）に対応する：
【化４０６５】
2004500801.tif 003216
以下の部分ＤＮＡ配列は、Ｎ．ｍｅｎｉｎｇｉｔｉｄｉｓにおいて同定された（配列番
号２０４１）：
【化４０６６】
2004500801.tif 003217
これは、以下のアミノ酸配列（配列番号２０４２；ＯＲＦ６３８）に対応する：
【化４０６７】
2004500801.tif 003218
以下の部分ＤＮＡ配列は、Ｎ．ｍｅｎｉｎｇｉｔｉｄｉｓにおいて同定された（配列番
号２０４３）：
【化４０６８】
2004500801.tif 003219
これは、以下のアミノ酸配列（配列番号２０４４；ＯＲＦ６３８．ａ）に対応する：
【化４０６９】
2004500801.tif 003220
【化４０７０】
2004500801.tif 003221
以下の部分ＤＮＡ配列は、Ｎ．ｇｏｎｏｒｒｈｏｅａｅにおいて同定された（配列番号
２０４５）：
【化４０７１】
2004500801.tif 003222
これは、以下のアミノ酸配列（配列番号２０４６；ＯＲＦ６３９−１．ｎｇ）に対応す
る：
【化４０７２】
2004500801.tif 003223
以下の部分ＤＮＡ配列は、Ｎ．ｍｅｎｉｎｇｉｔｉｄｉｓにおいて同定された（配列番
号２０４７）：
【化４０７３】
2004500801.tif 003224
これは、以下のアミノ酸配列（配列番号２０４８；ＯＲＦ６３９−１）に対応する：
【化４０７４】
2004500801.tif 003225
以下の部分ＤＮＡ配列は、Ｎ．ｍｅｎｉｎｇｉｔｉｄｉｓにおいて同定された（配列番
号２０４９）：
【化４０７５】
2004500801.tif 003226
【化４０７６】
2004500801.tif 003227
これは、以下のアミノ酸配列（配列番号２０５０；ＯＲＦ６３９−１．ａ）に対応する
：
【化４０７７】
2004500801.tif 003228
以下の部分ＤＮＡ配列は、Ｎ．ｇｏｎｏｒｒｈｏｅａｅにおいて同定された（配列番号
２０５１）：
【化４０７８】
2004500801.tif 003229
これは、以下のアミノ酸配列（配列番号２０５２；ＯＲＦ６４０．ｎｇ）に対応する：
【化４０７９】
2004500801.tif 003230
以下の部分ＤＮＡ配列は、Ｎ．ｍｅｎｉｎｇｉｔｉｄｉｓにおいて同定された（配列番
号２０５３）：
【化４０８０】
2004500801.tif 003231
これは、以下のアミノ酸配列（配列番号２０５４；ＯＲＦ６４０）に対応する：
【化４０８１】
2004500801.tif 003232
【化４０８２】
2004500801.tif 003233
以下の部分ＤＮＡ配列は、Ｎ．ｍｅｎｉｎｇｉｔｉｄｉｓにおいて同定された（配列番
号２０５５）：
【化４０８３】
2004500801.tif 003234
これは、以下のアミノ酸配列（配列番号２０５６；ＯＲＦ６４０．ａ）に対応する：
【化４０８４】
2004500801.tif 003235
以下の部分ＤＮＡ配列は、Ｎ．ｇｏｎｏｒｒｈｏｅａｅにおいて同定された（配列番号
２０５７）：
【化４０８５】
2004500801.tif 003236
【化４０８６】
2004500801.tif 003237
これは、以下のアミノ酸配列（配列番号２０５８；ＯＲＦ６４２．ｎｇ）に対応する：
【化４０８７】
2004500801.tif 003238
以下の部分ＤＮＡ配列は、Ｎ．ｍｅｎｉｎｇｉｔｉｄｉｓにおいて同定された（配列番
号２０５９）：
【化４０８８】
2004500801.tif 003239
これは、以下のアミノ酸配列（配列番号２０６０；ＯＲＦ６４２）に対応する：
【化４０８９】
2004500801.tif 003240
【化４０９０】
2004500801.tif 003241
以下の部分ＤＮＡ配列は、Ｎ．ｍｅｎｉｎｇｉｔｉｄｉｓにおいて同定された（配列番
号２０６１）：
【化４０９１】
2004500801.tif 003242
【化４０９２】
2004500801.tif 003243
これは、以下のアミノ酸配列（配列番号２０６２；ＯＲＦ６４２．ａ）に対応する：
【化４０９３】
2004500801.tif 003244
【化４０９４】
2004500801.tif 003245
以下の部分ＤＮＡ配列は、Ｎ．ｇｏｎｏｒｒｈｏｅａｅにおいて同定された（配列番号
２０６３）：
【化４０９５】
2004500801.tif 003246
これは、以下のアミノ酸配列（配列番号２０６４；ＯＲＦ６４３）に対応する：
【化４０９６】
2004500801.tif 003247
以下の部分ＤＮＡ配列は、Ｎ．ｍｅｎｉｎｇｉｔｉｄｉｓにおいて同定された（配列番
号２０６５）：
【化４０９７】
2004500801.tif 003248
これは、以下のアミノ酸配列（配列番号２０６６；ＯＲＦ６４３）に対応する：
【化４０９８】
2004500801.tif 003249
このアミノ酸配列に関するコンピューター分析は、以下の結果を与えた：
（Ｎ．ｍｅｎｉｎｇｉｔｉｄｉｓ  ｍｅｎＡとｍｅｎＢ由来の推定ＯＲＦとの相同性）
ＯＲＦ６４３は、Ｎ．ｇｏｎｏｒｒｈｏｅａｅ由来の推定ＯＲＦ（ＯＲＦ６４３．ａ）
との１３６アミノ酸にわたる重複で９４．９％の同一性を示す：
【化４０９９】
2004500801.tif 003250
以下の部分ＤＮＡ配列は、Ｎ．ｍｅｎｉｎｇｉｔｉｄｉｓにおいて同定された（配列番
号２０６７）：
【化４１００】
2004500801.tif 003251
これは、以下のアミノ酸配列（配列番号２０６８；ＯＲＦ６４３．ａ）に対応する：
【化４１０１】
2004500801.tif 003252
以下の部分ＤＮＡ配列は、Ｎ．ｇｏｎｏｒｒｈｏｅａｅにおいて同定された（配列番号
２０６９）：
【化４１０２】
2004500801.tif 003253
【化４１０３】
2004500801.tif 003254
これは、以下のアミノ酸配列（配列番号２０７０；ＯＲＦ６４４．ｎｇ）に対応する：
【化４１０４】
2004500801.tif 003255
以下の部分ＤＮＡ配列は、Ｎ．ｍｅｎｉｎｇｉｔｉｄｉｓにおいて同定された（配列番
号２０７１）：
【化４１０５】
2004500801.tif 003256
これは、以下のアミノ酸配列（配列番号２０７２；ＯＲＦ６４４）に対応する：
【化４１０６】
2004500801.tif 003257
【化４１０７】
2004500801.tif 003258
以下の部分ＤＮＡ配列は、Ｎ．ｍｅｎｉｎｇｉｔｉｄｉｓにおいて同定された（配列番
号２０７３）：
【化４１０８】
2004500801.tif 003259
【化４１０９】
2004500801.tif 003260
これは、以下のアミノ酸配列（配列番号２０７４；ＯＲＦ６４４．ａ）に対応する：
【化４１１０】
2004500801.tif 003261
【化４１１１】
2004500801.tif 003262
以下の部分ＤＮＡ配列は、Ｎ．ｇｏｎｏｒｒｈｏｅａｅにおいて同定された（配列番号
２０７５）：
【化４１１２】
2004500801.tif 003263
これは、以下のアミノ酸配列（配列番号２０７６；ＯＲＦ６４５．ｎｇ）に対応する：
【化４１１３】
2004500801.tif 003264
以下の部分ＤＮＡ配列は、Ｎ．ｍｅｎｉｎｇｉｔｉｄｉｓにおいて同定された（配列番
号２０７７）：
【化４１１４】
2004500801.tif 003265
【化４１１５】
2004500801.tif 003266
これは、以下のアミノ酸配列（配列番号２０７８；ＯＲＦ６４５）に対応する：
【化４１１６】
2004500801.tif 003267
以下の部分ＤＮＡ配列は、Ｎ．ｍｅｎｉｎｇｉｔｉｄｉｓにおいて同定された（配列番
号２０７９）：
【化４１１７】
2004500801.tif 003268
これは、以下のアミノ酸配列（配列番号２０８０；ＯＲＦ６４５．ａ）に対応する：
【化４１１８】
2004500801.tif 003269
【化４１１９】
2004500801.tif 003270
以下の部分ＤＮＡ配列は、Ｎ．ｇｏｎｏｒｒｈｏｅａｅにおいて同定された（配列番号
２０８１）：
【化４１２０】
2004500801.tif 003271
これは、以下のアミノ酸配列（配列番号２０８２；ＯＲＦ６４７．ｎｇ）に対応する：
【化４１２１】
2004500801.tif 003272
以下の部分ＤＮＡ配列は、Ｎ．ｍｅｎｉｎｇｉｔｉｄｉｓにおいて同定された（配列番
号２０８３）：
【化４１２２】
2004500801.tif 003273
これは、以下のアミノ酸配列（配列番号２０８４；ＯＲＦ６４７）に対応する：
【化４１２３】
2004500801.tif 003274
【化４１２４】
2004500801.tif 003275
以下の部分ＤＮＡ配列は、Ｎ．ｍｅｎｉｎｇｉｔｉｄｉｓにおいて同定された（配列番
号２０８５）：
【化４１２５】
2004500801.tif 003276
これは、以下のアミノ酸配列（配列番号２０８６；ＯＲＦ６４７．ａ）に対応する：
【化４１２６】
2004500801.tif 003277
以下の部分ＤＮＡ配列は、Ｎ．ｇｏｎｏｒｒｈｏｅａｅにおいて同定された（配列番号
２０８７）：
【化４１２７】
2004500801.tif 003278
これは、以下のアミノ酸配列（配列番号２０８８；ＯＲＦ６４８．ｎｇ）に対応する：
【化４１２８】
2004500801.tif 003279
【化４１２９】
2004500801.tif 003280
以下の部分ＤＮＡ配列は、Ｎ．ｍｅｎｉｎｇｉｔｉｄｉｓにおいて同定された（配列番
号２０８９）：
【化４１３０】
2004500801.tif 003281
これは、以下のアミノ酸配列（配列番号２０９０；ＯＲＦ６４８）に対応する：
【化４１３１】
2004500801.tif 003282
以下の部分ＤＮＡ配列は、Ｎ．ｍｅｎｉｎｇｉｔｉｄｉｓにおいて同定された（配列番
号２０９１）：
【化４１３２】
2004500801.tif 003283
【化４１３３】
2004500801.tif 003284
これは、以下のアミノ酸配列（配列番号２０９２；ＯＲＦ６４８．ａ）に対応する：
【化４１３４】
2004500801.tif 003285
以下の部分ＤＮＡ配列は、Ｎ．ｇｏｎｏｒｒｈｏｅａｅにおいて同定された（配列番号
２０９３）：
【化４１３５】
2004500801.tif 003286
これは、以下のアミノ酸配列（配列番号２０９４；ＯＲＦ６４９．ｎｇ）に対応する：
【化４１３６】
2004500801.tif 003287
以下の部分ＤＮＡ配列は、Ｎ．ｍｅｎｉｎｇｉｔｉｄｉｓにおいて同定された（配列番
号２０９５）：
【化４１３７】
2004500801.tif 003288
これは、以下のアミノ酸配列（配列番号２０９６；ＯＲＦ６４９）に対応する：
【化４１３８】
2004500801.tif 003289
【化４１３９】
2004500801.tif 003290
以下の部分ＤＮＡ配列は、Ｎ．ｍｅｎｉｎｇｉｔｉｄｉｓにおいて同定された（配列番
号２０９７）：
【化４１４０】
2004500801.tif 003291
これは、以下のアミノ酸配列（配列番号２０９８；ＯＲＦ６４９．ａ）に対応する：
【化４１４１】
2004500801.tif 003292
以下の部分ＤＮＡ配列は、Ｎ．ｇｏｎｏｒｒｈｏｅａｅにおいて同定された（配列番号
２０９９）：
【化４１４２】
2004500801.tif 003293
【化４１４３】
2004500801.tif 003294
これは、以下のアミノ酸配列（配列番号２１００；ＯＲＦ６５０．ｎｇ）に対応する：
【化４１４４】
2004500801.tif 003295
以下の部分ＤＮＡ配列は、Ｎ．ｍｅｎｉｎｇｉｔｉｄｉｓにおいて同定された（配列番
号２１０１）：
【化４１４５】
2004500801.tif 003296
これは、以下のアミノ酸配列（配列番号２１０２；ＯＲＦ６５０）に対応する：
【化４１４６】
2004500801.tif 003297
【化４１４７】
2004500801.tif 003298
以下の部分ＤＮＡ配列は、Ｎ．ｍｅｎｉｎｇｉｔｉｄｉｓにおいて同定された（配列番
号２１０３）：
【化４１４８】
2004500801.tif 003299
【化４１４９】
2004500801.tif 003300
これは、以下のアミノ酸配列（配列番号２１０４；ＯＲＦ６５０．ａ）に対応する：
【化４１５０】
2004500801.tif 003301
【化４１５１】
2004500801.tif 003302
以下の部分ＤＮＡ配列は、Ｎ．ｇｏｎｏｒｒｈｏｅａｅにおいて同定された（配列番号
２１０５）：
【化４１５２】
2004500801.tif 003303
これは、以下のアミノ酸配列（配列番号２１０６；ＯＲＦ６５２．ｎｇ）に対応する：
【化４１５３】
2004500801.tif 003304
以下の部分ＤＮＡ配列は、Ｎ．ｍｅｎｉｎｇｉｔｉｄｉｓにおいて同定された（配列番
号２１０７）：
【化４１５４】
2004500801.tif 003305
これは、以下のアミノ酸配列（配列番号２１０８；ＯＲＦ６５２）に対応する：
【化４１５５】
2004500801.tif 003306
【化４１５６】
2004500801.tif 003307
以下の部分ＤＮＡ配列は、Ｎ．ｍｅｎｉｎｇｉｔｉｄｉｓにおいて同定された（配列番
号２１０９）：
【化４１５７】
2004500801.tif 003308
これは、以下のアミノ酸配列（配列番号２１１０；ＯＲＦ６５２．ａ）に対応する：
【化４１５８】
2004500801.tif 003309
【化４１５９】
2004500801.tif 003310
以下の部分ＤＮＡ配列は、Ｎ．ｇｏｎｏｒｒｈｏｅａｅにおいて同定された（配列番号
２１１１）：
【化４１６０】
2004500801.tif 003311
これは、以下のアミノ酸配列（配列番号２１１２；ＯＲＦ６５２−１．ｎｇ）に対応す
る：
【化４１６１】
2004500801.tif 003312
以下の部分ＤＮＡ配列は、Ｎ．ｍｅｎｉｎｇｉｔｉｄｉｓにおいて同定された（配列番
号２１１３）：
【化４１６２】
2004500801.tif 003313
これは、以下のアミノ酸配列（配列番号２１１４；ＯＲＦ６５２−１）に対応する：
【化４１６３】
2004500801.tif 003314
【化４１６４】
2004500801.tif 003315
以下の部分ＤＮＡ配列は、Ｎ．ｍｅｎｉｎｇｉｔｉｄｉｓにおいて同定された（配列番
号２１１５）：
【化４１６５】
2004500801.tif 003316
これは、以下のアミノ酸配列（配列番号２１１６；ＯＲＦ６５２−１．ａ）に対応する
：
【化４１６６】
2004500801.tif 003317
【化４１６７】
2004500801.tif 003318
以下の部分的ＤＮＡ配列は、Ｎ．ｇｏｎｏｒｒｈｏｅａｅにおいて同定された（配列番
号２１１７）：
【化４１６８】
2004500801.tif 003319
これは、以下のアミノ酸配列に対応する（配列番号２１１８；ＯＲＦ  ６５３．ｎｇ）
：
【化４１６９】
2004500801.tif 003320
以下の部分的ＤＮＡ配列は、Ｎ．ｍｅｎｉｎｇｉｔｉｄｉｓにおいて同定された（配列
番号２１１９）：
【化４１７０】
2004500801.tif 003321
【化４１７１】
2004500801.tif 003322
これは、以下のアミノ酸配列に対応する（配列番号２１２０；ＯＲＦ  ６５３）：
【化４１７２】
2004500801.tif 003323
以下の部分的ＤＮＡ配列は、Ｎ．ｍｅｎｉｎｇｉｔｉｄｉｓにおいて同定された（配列
番号２１２１）：
【化４１７３】
2004500801.tif 003324
これは、以下のアミノ酸配列に対応する（配列番号２１２２；ＯＲＦ  ６５３．ａ）：
【化４１７４】
2004500801.tif 003325
【化４１７５】
2004500801.tif 003326
以下の部分的ＤＮＡ配列は、Ｎ．ｇｏｎｏｒｒｈｏｅａｅにおいて同定された（配列番
号２１２３）：
【化４１７６】
2004500801.tif 003327
これは、以下のアミノ酸配列に対応する（配列番号２１２４；ＯＲＦ  ６５６．ｎｇ）
：
【化４１７７】
2004500801.tif 003328
以下の部分的ＤＮＡ配列は、Ｎ．ｍｅｎｉｎｇｉｔｉｄｉｓにおいて同定された（配列
番号２１２５）：
【化４１７８】
2004500801.tif 003329
これは、以下のアミノ酸配列に対応する（配列番号２１２６；ＯＲＦ  ６５６）：
【化４１７９】
2004500801.tif 003330
このアミノ酸配列のコンピュータ解析により、以下の結果が得られた：
Ｎ．ｇｏｎｏｒｒｈｏｅａｅ由来の推定ＯＲＦとの相同性
【化４１８０】
2004500801.tif 003331
以下の部分的ＤＮＡ配列は、Ｎ．ｍｅｎｉｎｇｉｔｉｄｉｓにおいて同定された（配列
番号２１２７）：
【化４１８１】
2004500801.tif 003332
これは、以下のアミノ酸配列に対応する（配列番号２１２８；ＯＲＦ  ６５６．ａ）：
【化４１８２】
2004500801.tif 003333
以下の部分的ＤＮＡ配列は、Ｎ．ｇｏｎｏｒｒｈｏｅａｅにおいて同定された（配列番
号２１２９）：
【化４１８３】
2004500801.tif 003334
これは、以下のアミノ酸配列に対応する（配列番号２１３０；ＯＲＦ  ６５７．ｎｇ）
：
【化４１８４】
2004500801.tif 003335
【化４１８５】
2004500801.tif 003336
以下の部分的ＤＮＡ配列は、Ｎ．ｍｅｎｉｎｇｉｔｉｄｉｓにおいて同定された（配列
番号２１３１）：
【化４１８６】
2004500801.tif 003337
これは、以下のアミノ酸配列に対応する（配列番号２１３２；ＯＲＦ  ６５７）：
【化４１８７】
2004500801.tif 003338
このアミノ酸配列のコンピュータ解析により、以下の結果が得られた：
Ｎ．ｇｏｎｏｒｒｈｏｅａｅ由来の推定ＯＲＦとの相同性
【化４１８８】
2004500801.tif 003339
【化４１８９】
2004500801.tif 003340
以下の部分的ＤＮＡ配列は、Ｎ．ｍｅｎｉｎｇｉｔｉｄｉｓにおいて同定された（配列
番号２１３３）：
【化４１９０】
2004500801.tif 003341
これは、以下のアミノ酸配列に対応する（配列番号２１３４；ＯＲＦ  ６５７．ａ）：
【化４１９１】
2004500801.tif 003342
【化４１９２】
2004500801.tif 003343
以下の部分的ＤＮＡ配列は、Ｎ．ｇｏｎｏｒｒｈｏｅａｅにおいて同定された（配列番
号２１３５）：
【化４１９３】
2004500801.tif 003344
これは、以下のアミノ酸配列に対応する（配列番号２１３６；ＯＲＦ  ６５８．ｎｇ）
：
【化４１９４】
2004500801.tif 003345
【化４１９５】
2004500801.tif 003346
以下の部分的ＤＮＡ配列は、Ｎ．ｍｅｎｉｎｇｉｔｉｄｉｓにおいて同定された（配列
番号２１３７）：
【化４１９６】
2004500801.tif 003347
これは、以下のアミノ酸配列に対応する（配列番号２１３８；ＯＲＦ  ６５８）：
【化４１９７】
2004500801.tif 003348
このアミノ酸配列のコンピュータ解析により、以下の結果が得られた：
Ｎ．ｇｏｎｏｒｒｈｏｅａｅ由来の推定ＯＲＦとの相同性
【化４１９８】
2004500801.tif 003349
【化４１９９】
2004500801.tif 003350
以下の部分的ＤＮＡ配列は、Ｎ．ｍｅｎｉｎｇｉｔｉｄｉｓにおいて同定された（配列
番号２１３９）：
【化４２００】
2004500801.tif 003351
これは、以下のアミノ酸配列に対応する（配列番号２１４０；ＯＲＦ  ６５８．ａ）：
【化４２０１】
2004500801.tif 003352
以下の部分的ＤＮＡ配列は、Ｎ．ｇｏｎｏｒｒｈｏｅａｅにおいて同定された（配列番
号２１４１）：
【化４２０２】
2004500801.tif 003353
これは、以下のアミノ酸配列に対応する（配列番号２１４２；ＯＲＦ  ６６１．ｎｇ）
：
【化４２０３】
2004500801.tif 003354
以下の部分的4ＤＮＡ配列は、Ｎ．ｍｅｎｉｎｇｉｔｉｄｉｓにおいて同定された（配
列番号２１４３）：
【化４２０４】
2004500801.tif 003355
これは、以下のアミノ酸配列に対応する（配列番号２１４４；ＯＲＦ  ６６１）：
【化４２０５】
2004500801.tif 003356
このアミノ酸配列のコンピュータ解析により、以下の結果が得られた：
Ｎ．ｇｏｎｏｒｒｈｏｅａｅ由来の推定ＯＲＦとの相同性
【化４２０６】
2004500801.tif 003357
【化４２０７】
2004500801.tif 003358
以下の部分的ＤＮＡ配列は、Ｎ．ｍｅｎｉｎｇｉｔｉｄｉｓにおいて同定された（配列
番号２１４５）：
【化４２０８】
2004500801.tif 003359
これは、以下のアミノ酸配列に対応する（配列番号２１４６；ＯＲＦ  ６６１．ａ）：
【化４２０９】
2004500801.tif 003360
【化４２１０】
2004500801.tif 003361
以下の部分的ＤＮＡ配列は、Ｎ．ｇｏｎｏｒｒｈｏｅａｅにおいて同定された（配列番
号２１４７）：
【化４２１１】
2004500801.tif 003362
これは、以下のアミノ酸配列に対応する（配列番号２１４８；ＯＲＦ  ６６３．ｎｇ）
：
【化４２１２】
2004500801.tif 003363
以下の部分的ＤＮＡ配列は、Ｎ．ｍｅｎｉｎｇｉｔｉｄｉｓにおいて同定された（配列
番号２１４９）：
【化４２１３】
2004500801.tif 003364
【化４２１４】
2004500801.tif 003365
これは、以下のアミノ酸配列に対応する（配列番号２１５０；ＯＲＦ  ６６３）：
【化４２１５】
2004500801.tif 003366
このアミノ酸配列のコンピュータ解析により、以下の結果が得られた：
Ｎ．ｇｏｎｏｒｒｈｏｅａｅ由来の推定ＯＲＦとの相同性
【化４２１６】
2004500801.tif 003367
以下の部分的ＤＮＡ配列は、Ｎ．ｍｅｎｉｎｇｉｔｉｄｉｓにおいて同定された（配列
番号２１５１）：
【化４２１７】
2004500801.tif 003368
【化４２１８】
2004500801.tif 003369
これは、以下のアミノ酸配列に対応する（配列番号２１５２；ＯＲＦ  ６６３．ａ）：
【化４２１９】
2004500801.tif 003370
以下の部分的ＤＮＡ配列は、Ｎ．ｇｏｎｏｒｒｈｏｅａｅにおいて同定された（配列番
号２１５３）：
【化４２２０】
2004500801.tif 003371
【化４２２１】
2004500801.tif 003372
これは、以下のアミノ酸配列に対応する（配列番号２１５４；ＯＲＦ  ６６４．ｎｇ）
：
【化４２２２】
2004500801.tif 003373
以下の部分的ＤＮＡ配列は、Ｎ．ｍｅｎｉｎｇｉｔｉｄｉｓにおいて同定された（配列
番号２１５５）：
【化４２２３】
2004500801.tif 003374
これは、以下のアミノ酸配列に対応する（配列番号２１５６；ＯＲＦ  ６６４）：
【化４２２４】
2004500801.tif 003375
このアミノ酸配列のコンピュータ解析により、以下の結果が得られた：
Ｎ．ｇｏｎｏｒｒｈｏｅａｅ由来の推定ＯＲＦとの相同性
【化４２２５】
2004500801.tif 003376
以下の部分的ＤＮＡ配列は、Ｎ．ｍｅｎｉｎｇｉｔｉｄｉｓにおいて同定された（配列
番号２１５７）：
【化４２２６】
2004500801.tif 003377
【化４２２７】
2004500801.tif 003378
これは、以下のアミノ酸配列に対応する（配列番号２１５８；ＯＲＦ  ６６４．ａ）：
【化４２２８】
2004500801.tif 003379
以下の部分的ＤＮＡ配列は、Ｎ．ｇｏｎｏｒｒｈｏｅａｅにおいて同定された（配列番
号２１５９）：
【化４２２９】
2004500801.tif 003380
【化４２３０】
2004500801.tif 003381
これは、以下のアミノ酸配列に対応する（配列番号２１６０；ＯＲＦ  ６６５．ｎｇ）
：
【化４２３１】
2004500801.tif 003382
以下の部分的ＤＮＡ配列は、Ｎ．ｍｅｎｉｎｇｉｔｉｄｉｓにおいて同定された（配列
番号２１６１）：
【化４２３２】
2004500801.tif 003383
【化４２３３】
2004500801.tif 003384
これは、以下のアミノ酸配列に対応する（配列番号２１６２；ＯＲＦ  ６６５）：
【化４２３４】
2004500801.tif 003385
このアミノ酸配列のコンピュータ解析により、以下の結果が得られた：
Ｎ．ｇｏｎｏｒｒｈｏｅａｅ由来の推定ＯＲＦとの相同性
【化４２３５】
2004500801.tif 003386
【化４２３６】
2004500801.tif 003387
以下の部分的ＤＮＡ配列は、Ｎ．ｍｅｎｉｎｇｉｔｉｄｉｓにおいて同定された（配列
番号２１６３）：
【化４２３７】
2004500801.tif 003388
【化４２３８】
2004500801.tif 003389
これは、以下のアミノ酸配列に対応する（配列番号２１６４；ＯＲＦ  ６６５．ａ）：
【化４２３９】
2004500801.tif 003390
【化４２４０】
2004500801.tif 003391
以下の部分的ＤＮＡ配列は、Ｎ．ｇｏｎｏｒｒｈｏｅａｅにおいて同定された（配列番
号２１６５）：
【化４２４１】
2004500801.tif 003392
【化４２４２】
2004500801.tif 003393
これは、以下のアミノ酸配列に対応する（配列番号２１６６；ＯＲＦ  ６６５−１．ｎ
ｇ）：
【化４２４３】
2004500801.tif 003394
以下の部分的ＤＮＡ配列は、Ｎ．ｍｅｎｉｎｇｉｔｉｄｉｓにおいて同定された（配列
番号２１６７）：
【化４２４４】
2004500801.tif 003395
【化４２４５】
2004500801.tif 003396
これは、以下のアミノ酸配列に対応する（配列番号２１６８；ＯＲＦ  ６６５−１）：
【化４２４６】
2004500801.tif 003397
【化４２４７】
2004500801.tif 003398
以下の部分的ＤＮＡ配列は、Ｎ．ｍｅｎｉｎｇｉｔｉｄｉｓにおいて同定された（配列
番号２１６９）：
【化４２４８】
2004500801.tif 003399
【化４２４９】
2004500801.tif 003400
これは、以下のアミノ酸配列に対応する（配列番号２１７０；ＯＲＦ  ６６５−１．ａ
）：
【化４２５０】
2004500801.tif 003401
【化４２５１】
2004500801.tif 003402
【化４２５２】
2004500801.tif 003403
以下の部分的ＤＮＡ配列は、Ｎ．ｇｏｎｏｒｒｈｏｅａｅにおいて同定された（配列番
号２１７１）：
【化４２５３】
2004500801.tif 003404
これは、以下のアミノ酸配列に対応する（配列番号２１７２；ＯＲＦ  ６６６．ｎｇ）
：
【化４２５４】
2004500801.tif 003405
以下の部分的ＤＮＡ配列は、Ｎ．ｍｅｎｉｎｇｉｔｉｄｉｓにおいて同定された（配列
番号２１７３）：
【化４２５５】
2004500801.tif 003406
これは、以下のアミノ酸配列に対応する（配列番号２１７４；ＯＲＦ  ６６６）：
【化４２５６】
2004500801.tif 003407
このアミノ酸配列のコンピュータ解析により、以下の結果が得られた：
Ｎ．ｇｏｎｏｒｒｈｏｅａｅ由来の推定ＯＲＦとの相同性
【化４２５７】
2004500801.tif 003408
【化４２５８】
2004500801.tif 003409
以下の部分的ＤＮＡ配列は、Ｎ．ｍｅｎｉｎｇｉｔｉｄｉｓにおいて同定された（配列
番号２１７５）：
【化４２５９】
2004500801.tif 003410
これは、以下のアミノ酸配列に対応する（配列番号２１７６；ＯＲＦ  ６６６．ａ）：
【化４２６０】
2004500801.tif 003411
以下の部分的ＤＮＡ配列は、Ｎ．ｇｏｎｏｒｒｈｏｅａｅにおいて同定された（配列番
号２１７７）：
【化４２６１】
2004500801.tif 003412
これは、以下のアミノ酸配列に対応する（配列番号２１７８；ＯＲＦ  ６６７．ｎｇ）
：
【化４２６２】
2004500801.tif 003413
以下の部分的ＤＮＡ配列は、Ｎ．ｍｅｎｉｎｇｉｔｉｄｉｓにおいて同定された（配列
番号２１７９）：
【化４２６３】
2004500801.tif 003414
これは、以下のアミノ酸配列に対応する（配列番号２１８０；ＯＲＦ  ６６７）：
【化４２６４】
2004500801.tif 003415
このアミノ酸配列のコンピュータ解析により、以下の結果が得られた：
Ｎ．ｇｏｎｏｒｒｈｏｅａｅ由来の推定ＯＲＦとの相同性
【化４２６５】
2004500801.tif 003416
【化４２６６】
2004500801.tif 003417
以下の部分的ＤＮＡ配列は、Ｎ．ｍｅｎｉｎｇｉｔｉｄｉｓにおいて同定された（配列
番号２１８１）：
【化４２６７】
2004500801.tif 003418
これは、以下のアミノ酸配列に対応する（配列番号２１８２；ＯＲＦ  ６６７．ａ）：
【化４２６８】
2004500801.tif 003419
【化４２６９】
2004500801.tif 003420
以下の部分的ＤＮＡ配列は、Ｎ．ｇｏｎｏｒｒｈｏｅａｅにおいて同定された（配列番
号２１８３）：
【化４２７０】
2004500801.tif 003421
これは、以下のアミノ酸配列に対応する（配列番号２１８４；ＯＲＦ  ６６９．ｎｇ）
：
【化４２７１】
2004500801.tif 003422
以下の部分的ＤＮＡ配列は、Ｎ．ｍｅｎｉｎｇｉｔｉｄｉｓにおいて同定された（配列
番号２１８５）：
【化４２７２】
2004500801.tif 003423
これは、以下のアミノ酸配列に対応する（配列番号２１８６；ＯＲＦ  ６６９）：
【化４２７３】
2004500801.tif 003424
このアミノ酸配列のコンピュータ解析により、以下の結果が得られた：
Ｎ．ｇｏｎｏｒｒｈｏｅａｅ由来の推定ＯＲＦとの相同性
【化４２７４】
2004500801.tif 003425
【化４２７５】
2004500801.tif 003426
以下の部分的ＤＮＡ配列は、Ｎ．ｍｅｎｉｎｇｉｔｉｄｉｓにおいて同定された（配列
番号２１８７）：
【化４２７６】
2004500801.tif 003427
これは、以下のアミノ酸配列に対応する（配列番号２１８８；ＯＲＦ  ６６９．ａ）：
【化４２７７】
2004500801.tif 003428
以下の部分的ＤＮＡ配列は、Ｎ．ｇｏｎｏｒｒｈｏｅａｅにおいて同定された（配列番
号２１８９）：
【化４２７８】
2004500801.tif 003429
これは、以下のアミノ酸配列に対応する（配列番号２１９０；ＯＲＦ  ６７０．ｎｇ）
：
【化４２７９】
2004500801.tif 003430
以下の部分的ＤＮＡ配列は、Ｎ．ｍｅｎｉｎｇｉｔｉｄｉｓにおいて同定された（配列
番号２１９１）：
【化４２８０】
2004500801.tif 003431
【化４２８１】
2004500801.tif 003432
これは、以下のアミノ酸配列に対応する（配列番号２１９２；ＯＲＦ  ６７０）：
【化４２８２】
2004500801.tif 003433
このアミノ酸配列のコンピュータ解析により、以下の結果が得られた：
Ｎ．ｇｏｎｏｒｒｈｏｅａｅ由来の推定ＯＲＦとの相同性
【化４２８３】
2004500801.tif 003434
以下の部分的ＤＮＡ配列は、Ｎ．ｍｅｎｉｎｇｉｔｉｄｉｓにおいて同定された（配列
番号２１９３）：
【化４２８４】
2004500801.tif 003435
これは、以下のアミノ酸配列に対応する（配列番号２１９４；ＯＲＦ  ６７０．ａ）：
【化４２８５】
2004500801.tif 003436
【化４２８６】
2004500801.tif 003437
以下の部分的ＤＮＡ配列は、Ｎ．ｇｏｎｏｒｒｈｏｅａｅにおいて同定された（配列番
号２１９５）：
【化４２８７】
2004500801.tif 003438
これは、以下のアミノ酸配列に対応する（配列番号２１９６；ＯＲＦ  ６７１．ｎｇ）
：
【化４２８８】
2004500801.tif 003439
以下の部分的ＤＮＡ配列は、Ｎ．ｍｅｎｉｎｇｉｔｉｄｉｓにおいて同定された（配列
番号２１９７）：
【化４２８９】
2004500801.tif 003440
これは、以下のアミノ酸配列に対応する（配列番号２１９８；ＯＲＦ  ６７１）：
【化４２９０】
2004500801.tif 003441
このアミノ酸配列のコンピュータ解析により、以下の結果が得られた：
Ｎ．ｇｏｎｏｒｒｈｏｅａｅ由来の推定ＯＲＦとの相同性
【化４２９１】
2004500801.tif 003442
【化４２９２】
2004500801.tif 003443
以下の部分的ＤＮＡ配列は、Ｎ．ｍｅｎｉｎｇｉｔｉｄｉｓにおいて同定された（配列
番号２１９９）：
【化４２９３】
2004500801.tif 003444
これは、以下のアミノ酸配列に対応する（配列番号２２００；ＯＲＦ  ６７１．ａ）：
【化４２９４】
2004500801.tif 003445
以下の部分的ＤＮＡ配列は、Ｎ．ｇｏｎｏｒｒｈｏｅａｅにおいて同定された（配列番
号２２０１）：
【化４２９５】
2004500801.tif 003446
これは、以下のアミノ酸配列に対応する（配列番号２２０２；ＯＲＦ  ６７２．ｎｇ）
：
【化４２９６】
2004500801.tif 003447
以下の部分的ＤＮＡ配列は、Ｎ．ｍｅｎｉｎｇｉｔｉｄｉｓにおいて同定された（配列
番号２２０３）：
【化４２９７】
2004500801.tif 003448
これは、以下のアミノ酸配列に対応する（配列番号２２０４；ＯＲＦ  ６７２）：
【化４２９８】
2004500801.tif 003449
このアミノ酸配列のコンピュータ解析により、以下の結果が得られた：
Ｎ．ｇｏｎｏｒｒｈｏｅａｅ由来の推定ＯＲＦとの相同性
【化４２９９】
2004500801.tif 003450
以下の部分的ＤＮＡ配列は、Ｎ．ｍｅｎｉｎｇｉｔｉｄｉｓにおいて同定された（配列
番号２２０５）：
【化４３００】
2004500801.tif 003451
【化４３０１】
2004500801.tif 003452
これは、以下のアミノ酸配列に対応する（配列番号２２０６；ＯＲＦ  ６７２．ａ）：
【化４３０２】
2004500801.tif 003453
以下の部分的ＤＮＡ配列は、Ｎ．ｇｏｎｏｒｒｈｏｅａｅにおいて同定された（配列番
号２２０７）：
【化４３０３】
2004500801.tif 003454
【化４３０４】
2004500801.tif 003455
これは、以下のアミノ酸配列に対応する（配列番号２２０８；ＯＲＦ  ６７３．ｎｇ）
：
【化４３０５】
2004500801.tif 003456
以下の部分的ＤＮＡ配列は、Ｎ．ｍｅｎｉｎｇｉｔｉｄｉｓにおいて同定された（配列
番号２２０９）：
【化４３０６】
2004500801.tif 003457
これは、以下のアミノ酸配列に対応する（配列番号２２１０；ＯＲＦ  ６７３）：
【化４３０７】
2004500801.tif 003458
このアミノ酸配列のコンピュータ解析により、以下の結果が得られた：
Ｎ．ｇｏｎｏｒｒｈｏｅａｅ由来の推定ＯＲＦとの相同性
【化４３０８】
2004500801.tif 003459
【化４３０９】
2004500801.tif 003460
以下の部分的ＤＮＡ配列は、Ｎ．ｍｅｎｉｎｇｉｔｉｄｉｓにおいて同定された（配列
番号２２１１）：
【化４３１０】
2004500801.tif 003461
これは、以下のアミノ酸配列に対応する（配列番号２２１２；ＯＲＦ  ６７３．ａ）：
【化４３１１】
2004500801.tif 003462
【化４３１２】
2004500801.tif 003463
以下の部分的ＤＮＡ配列は、Ｎ．ｇｏｎｏｒｒｈｏｅａｅにおいて同定された（配列番
号２２１３）：
【化４３１３】
2004500801.tif 003464
これは、以下のアミノ酸配列に対応する（配列番号２２１４；ＯＲＦ  ６７４．ｎｇ）
：
【化４３１４】
2004500801.tif 003465
以下の部分的ＤＮＡ配列は、Ｎ．ｍｅｎｉｎｇｉｔｉｄｉｓにおいて同定された（配列
番号２２１５）：
【化４３１５】
2004500801.tif 003466
これは、以下のアミノ酸配列に対応する（配列番号２２１６；ＯＲＦ  ６７４）：
【化４３１６】
2004500801.tif 003467
【化４３１７】
2004500801.tif 003468
このアミノ酸配列のコンピュータ解析により、以下の結果が得られた：
Ｎ．ｇｏｎｏｒｒｈｏｅａｅ由来の推定ＯＲＦとの相同性
【化４３１８】
2004500801.tif 003469
以下の部分的ＤＮＡ配列は、Ｎ．ｍｅｎｉｎｇｉｔｉｄｉｓにおいて同定された（配列
番号２２１７）：
【化４３１９】
2004500801.tif 003470
これは、以下のアミノ酸配列に対応する（配列番号２２１８；ＯＲＦ  ６７４．ａ）：
【化４３２０】
2004500801.tif 003471
以下の部分的ＤＮＡ配列は、Ｎ．ｇｏｎｏｒｒｈｏｅａｅにおいて同定された（配列番
号２２１９）：
【化４３２１】
2004500801.tif 003472
これは、以下のアミノ酸配列に対応する（配列番号２２２０；ＯＲＦ  ６７５．ｎｇ）
：
【化４３２２】
2004500801.tif 003473
以下の部分的ＤＮＡ配列は、Ｎ．ｍｅｎｉｎｇｉｔｉｄｉｓにおいて同定された（配列
番号２２２１）：
【化４３２３】
2004500801.tif 003474
これは、以下のアミノ酸配列に対応する（配列番号２２２２；ＯＲＦ  ６７５）：
【化４３２４】
2004500801.tif 003475
このアミノ酸配列のコンピュータ解析により、以下の結果が得られた：
Ｎ．ｇｏｎｏｒｒｈｏｅａｅ由来の推定ＯＲＦとの相同性
【化４３２５】
2004500801.tif 003476
以下の部分的ＤＮＡ配列は、Ｎ．ｍｅｎｉｎｇｉｔｉｄｉｓにおいて同定された（配列
番号２２２３）：
【化４３２６】
2004500801.tif 003477
これは、以下のアミノ酸配列に対応する（配列番号２２２４；ＯＲＦ  ６７５．ａ）：
【化４３２７】
2004500801.tif 003478
【化４３２８】
2004500801.tif 003479
以下の部分的ＤＮＡ配列は、Ｎ．ｇｏｎｏｒｒｈｏｅａｅにおいて同定された（配列番
号２２２５）：
【化４３２９】
2004500801.tif 003480
これは、以下のアミノ酸配列に対応する（配列番号２２２６；ＯＲＦ  ６７７．ｎｇ）
：
【化４３３０】
2004500801.tif 003481
以下の部分的ＤＮＡ配列は、Ｎ．ｍｅｎｉｎｇｉｔｉｄｉｓにおいて同定された（配列
番号２２２７）：
【化４３３１】
2004500801.tif 003482
これは、以下のアミノ酸配列に対応する（配列番号２２２８；ＯＲＦ  ６７７）：
【化４３３２】
2004500801.tif 003483
【化４３３３】
2004500801.tif 003484
このアミノ酸配列のコンピュータ解析により、以下の結果が得られた：
Ｎ．ｇｏｎｏｒｒｈｏｅａｅ由来の推定ＯＲＦとの相同性
【化４３３４】
2004500801.tif 003485
以下の部分的ＤＮＡ配列は、Ｎ．ｍｅｎｉｎｇｉｔｉｄｉｓにおいて同定された（配列
番号２２２９）：
【化４３３５】
2004500801.tif 003486
これは、以下のアミノ酸配列に対応する（配列番号２２３０；ＯＲＦ  ６７７．ａ）：
【化４３３６】
2004500801.tif 003487
【化４３３７】
2004500801.tif 003488
以下の部分的ＤＮＡ配列は、Ｎ．ｇｏｎｏｒｒｈｏｅａｅにおいて同定された（配列番
号２２３１）：
【化４３３８】
2004500801.tif 003489
これは、以下のアミノ酸配列に対応する（配列番号２２３２；ＯＲＦ  ６７８．ｎｇ）
：
【化４３３９】
2004500801.tif 003490
以下の部分的ＤＮＡ配列は、Ｎ．ｍｅｎｉｎｇｉｔｉｄｉｓにおいて同定された（配列
番号２２３３）：
【化４３４０】
2004500801.tif 003491
これは、以下のアミノ酸配列に対応する（配列番号２２３４；ＯＲＦ  ６７８）：
【化４３４１】
2004500801.tif 003492
このアミノ酸配列のコンピュータ解析により、以下の結果が得られた：
Ｎ．ｇｏｎｏｒｒｈｏｅａｅ由来の推定ＯＲＦとの相同性
【化４３４２】
2004500801.tif 003493
【化４３４３】
2004500801.tif 003494
以下の部分的ＤＮＡ配列は、Ｎ．ｍｅｎｉｎｇｉｔｉｄｉｓにおいて同定された（配列
番号２２３５）：
【化４３４４】
2004500801.tif 003495
これは、以下のアミノ酸配列に対応する（配列番号２２３６；ＯＲＦ  ６７８．ａ）：
【化４３４５】
2004500801.tif 003496
以下の部分的ＤＮＡ配列は、Ｎ．ｇｏｎｏｒｒｈｏｅａｅにおいて同定された（配列番
号２２３７）：
【化４３４６】
2004500801.tif 003497
【化４３４７】
2004500801.tif 003498
これは、以下のアミノ酸配列に対応する（配列番号２２３８；ＯＲＦ  ６８０．ｎｇ）
：
【化４３４８】
2004500801.tif 003499
以下の部分的ＤＮＡ配列は、Ｎ．ｍｅｎｉｎｇｉｔｉｄｉｓにおいて同定された（配列
番号２２３９）：
【化４３４９】
2004500801.tif 003500
これは、以下のアミノ酸配列に対応する（配列番号２２４０；ＯＲＦ  ６８０）：
【化４３５０】
2004500801.tif 003501
このアミノ酸配列のコンピュータ解析により、以下の結果が得られた：
Ｎ．ｇｏｎｏｒｒｈｏｅａｅ由来の推定ＯＲＦとの相同性
【化４３５１】
2004500801.tif 003502
【化４３５２】
2004500801.tif 003503
以下の部分的ＤＮＡ配列は、Ｎ．ｍｅｎｉｎｇｉｔｉｄｉｓにおいて同定された（配列
番号２２４１）：
【化４３５３】
2004500801.tif 003504
これは、以下のアミノ酸配列に対応する（配列番号２２４２；ＯＲＦ  ６８０．ａ）：
【化４３５４】
2004500801.tif 003505
以下の部分的ＤＮＡ配列は、Ｎ．ｇｏｎｏｒｒｈｏｅａｅにおいて同定された（配列番
号２２４３）：
【化４３５５】
2004500801.tif 003506
【化４３５６】
2004500801.tif 003507
これは、以下のアミノ酸配列に対応する（配列番号２２４４；ＯＲＦ  ６８１）：
【化４３５７】
2004500801.tif 003508
以下の部分的ＤＮＡ配列は、Ｎ．ｍｅｎｉｎｇｉｔｉｄｉｓにおいて同定された（配列
番号２２４５）：
【化４３５８】
2004500801.tif 003509
これは、以下のアミノ酸配列に対応する（配列番号２２４６；ＯＲＦ  ６８１）：
【化４３５９】
2004500801.tif 003510
このアミノ酸配列のコンピュータ解析により、以下の結果が得られた：
Ｎ．ｍｅｎｉｎｇｉｔｉｄｉｓ  ｍｅｎＡ由来の推定ＯＲＦと、Ｎ．ｍｅｎｉｎｇｉｔ
ｉｄｉｓ  ｍｅｎＢ由来の推定ＯＲＦとの相同性
ＯＲＦ６８１は、Ｎ．ｇｏｎｏｒｒｈｏｅａｅ由来の推定ＯＲＦ（ＯＲＦ６８１．ａ）
と、２６１アミノ酸の重複にわたって９４．６％の同一性を示す。
【化４３６０】
2004500801.tif 003511
【化４３６１】
2004500801.tif 003512
以下の部分的ＤＮＡ配列は、Ｎ．ｍｅｎｉｎｇｉｔｉｄｉｓにおいて同定された（配列
番号２２４７）：
【化４３６２】
2004500801.tif 003513
これは、以下のアミノ酸配列に対応する（配列番号２２４８；ＯＲＦ  ６８１．ａ）：
【化４３６３】
2004500801.tif 003514
【化４３６４】
2004500801.tif 003515
以下の部分的ＤＮＡ配列は、Ｎ．ｇｏｎｏｒｒｈｏｅａｅにおいて同定された（配列番
号２２４９）：
【化４３６５】
2004500801.tif 003516
これは、以下のアミノ酸配列に対応する（配列番号２２５０；ＯＲＦ  ６８２）：
【化４３６６】
2004500801.tif 003517
以下の部分的ＤＮＡ配列は、Ｎ．ｍｅｎｉｎｇｉｔｉｄｉｓにおいて同定された（配列
番号２２５１）：
【化４３６７】
2004500801.tif 003518
これは、以下のアミノ酸配列に対応する（配列番号２２５２；ＯＲＦ  ６８２）：
【化４３６８】
2004500801.tif 003519
このアミノ酸配列のコンピュータ解析により、以下の結果が得られた：
Ｎ．ｍｅｎｉｎｇｉｔｉｄｉｓ  ｍｅｎＡ由来の推定ＯＲＦと、Ｎ．ｍｅｎｉｎｇｉｔ
ｉｄｉｓ  ｍｅｎＢ由来の推定ＯＲＦとの相同性
ＯＲＦ６８２は、Ｎ．ｇｏｎｏｒｒｈｏｅａｅ由来の推定ＯＲＦ（ＯＲＦ６８２．ａ）
と、１３４アミノ酸の重複にわたって８８．１％の同一性を示す。
【化４３６９】
2004500801.tif 003520
【化４３７０】
2004500801.tif 003521
以下の部分的ＤＮＡ配列は、Ｎ．ｍｅｎｉｎｇｉｔｉｄｉｓにおいて同定された（配列
番号２２５３）：
【化４３７１】
2004500801.tif 003522
これは、以下のアミノ酸配列に対応する（配列番号２２５４；ＯＲＦ  ６８２．ａ）：
【化４３７２】
2004500801.tif 003523
以下の部分的ＤＮＡ配列は、Ｎ．ｇｏｎｏｒｒｈｏｅａｅにおいて同定された（配列番
号２２５５）：
【化４３７３】
2004500801.tif 003524
【化４３７４】
2004500801.tif 003525
これは、以下のアミノ酸配列に対応する（配列番号２２５６；ＯＲＦ  ６８３）：
【化４３７５】
2004500801.tif 003526
以下の部分的ＤＮＡ配列は、Ｎ．ｍｅｎｉｎｇｉｔｉｄｉｓにおいて同定された（配列
番号２２５７）：
【化４３７６】
2004500801.tif 003527
これは、以下のアミノ酸配列に対応する（配列番号２２５８；ＯＲＦ  ６８３）：
【化４３７７】
2004500801.tif 003528
このアミノ酸配列のコンピュータ解析により、以下の結果が得られた：
Ｎ．ｇｏｎｏｒｒｈｏｅａｅ由来の推定ＯＲＦとの相同性
ＯＲＦ６８３は、Ｎ．ｇｏｎｏｒｒｈｏｅａｅ由来の推定ＯＲＦ（ＯＲＦ６８３）と、
１４６アミノ酸の重複にわたって９９．３％の同一性を示す。
【化４３７８】
2004500801.tif 003529
以下の部分的ＤＮＡ配列は、Ｎ．ｍｅｎｉｎｇｉｔｉｄｉｓにおいて同定された（配列
番号２２５９）：
【化４３７９】
2004500801.tif 003530
これは、以下のアミノ酸配列に対応する（配列番号２２６０；ＯＲＦ  ６８３．ａ）：
【化４３８０】
2004500801.tif 003531
【化４３８１】
2004500801.tif 003532
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６８３は、Ｎ．ｍｅｎｉｎｇｉｔｉｄｉｓ由来の推定ＯＲＦ（ＯＲＦ６８３）と
、１４６アミノ酸の重複にわたって９７．９％の同一性を示す。
【化４３８２】
2004500801.tif 003533
以下の部分的ＤＮＡ配列は、Ｎ．ｇｏｎｏｒｒｈｏｅａｅにおいて同定された（配列番
号２２６１）：
【化４３８３】
2004500801.tif 003534
これは、以下のアミノ酸配列に対応する（配列番号２２６２；ＯＲＦ  ６８４）：
【化４３８４】
2004500801.tif 003535
以下の部分的ＤＮＡ配列は、Ｎ．ｍｅｎｉｎｇｉｔｉｄｉｓにおいて同定された（配列
番号２２６３）：
【化４３８５】
2004500801.tif 003536
これは、以下のアミノ酸配列に対応する（配列番号２２６４；ＯＲＦ  ６８４）：
【化４３８６】
2004500801.tif 003537
【化４３８７】
2004500801.tif 003538
このアミノ酸配列のコンピュータ解析により、以下の結果が得られた：
Ｎ．ｇｏｎｏｒｒｈｏｅａｅ由来の推定ＯＲＦとの相同性
ＯＲＦ６８４は、Ｎ．ｇｏｎｏｒｒｈｏｅａｅ由来の推定ＯＲＦ（ＯＲＦ６８４）と、
１７２アミノ酸の重複にわたって９７．７％の同一性を示す。
【化４３８８】
2004500801.tif 003539
以下の部分的ＤＮＡ配列は、Ｎ．ｍｅｎｉｎｇｉｔｉｄｉｓにおいて同定された（配列
番号２２６５）：
【化４３８９】
2004500801.tif 003540
これは、以下のアミノ酸配列に対応する（配列番号２２６６；ＯＲＦ  ６８４．ａ）：
【化４３９０】
2004500801.tif 003541
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６８４は、Ｎ．ｍｅｎｉｎｇｉｔｉｄｉｓ由来の推定ＯＲＦ（ＯＲＦ６８４）と
、１７２アミノ酸の重複にわたって９９．４％の同一性を示す。
【化４３９１】
2004500801.tif 003542
【化４３９２】
2004500801.tif 003543
以下の部分的ＤＮＡ配列は、Ｎ．ｇｏｎｏｒｒｈｏｅａｅにおいて同定された（配列番
号２２６７）：
【化４３９３】
2004500801.tif 003544
これは、以下のアミノ酸配列に対応する（配列番号２２６８；ＯＲＦ  ６８５）：
【化４３９４】
2004500801.tif 003545
以下の部分的ＤＮＡ配列は、Ｎ．ｍｅｎｉｎｇｉｔｉｄｉｓにおいて同定された（配列
番号２２６９）：
【化４３９５】
2004500801.tif 003546
これは、以下のアミノ酸配列に対応する（配列番号２２７０；ＯＲＦ  ６８５）：
【化４３９６】
2004500801.tif 003547
【化４３９７】
2004500801.tif 003548
このアミノ酸配列のコンピュータ解析により、以下の結果が得られた：
Ｎ．ｇｏｎｏｒｒｈｏｅａｅ由来の推定ＯＲＦとの相同性
ＯＲＦ６８５は、Ｎ．ｇｏｎｏｒｒｈｏｅａｅ由来の推定ＯＲＦ（ＯＲＦ６８５）と、
３５６アミノ酸の重複にわたって９４．４％の同一性を示す。
【化４３９８】
2004500801.tif 003549
以下の部分的ＤＮＡ配列は、Ｎ．ｍｅｎｉｎｇｉｔｉｄｉｓにおいて同定された（配列
番号２２７１）：
【化４３９９】
2004500801.tif 003550
【化４４００】
2004500801.tif 003551
これは、以下のアミノ酸配列に対応する（配列番号２２７２；ＯＲＦ  ６８５．ａ）：
【化４４０１】
2004500801.tif 003552
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６８５は、Ｎ．ｍｅｎｉｎｇｉｔｉｄｉｓ由来の推定ＯＲＦ（ＯＲＦ６８５）と
、３５５アミノ酸の重複にわたって９８．９％の同一性を示す。
【化４４０２】
2004500801.tif 003553
以下の部分的ＤＮＡ配列は、Ｎ．ｇｏｎｏｒｒｈｏｅａｅにおいて同定された（配列番
号２２７３）：
【化４４０３】
2004500801.tif 003554
これは、以下のアミノ酸配列に対応する（配列番号２２７４；ＯＲＦ  ６８６）：
【化４４０４】
2004500801.tif 003555
以下の部分的ＤＮＡ配列は、Ｎ．ｍｅｎｉｎｇｉｔｉｄｉｓにおいて同定された（配列
番号２２７５）：
【化４４０５】
2004500801.tif 003556
これは、以下のアミノ酸配列に対応する（配列番号２２７６；ＯＲＦ  ６８６）：
【化４４０６】
2004500801.tif 003557
このアミノ酸配列のコンピュータ解析により、以下の結果が得られた：
Ｎ．ｇｏｎｏｒｒｈｏｅａｅ由来の推定ＯＲＦとの相同性
ＯＲＦ６８６は、Ｎ．ｇｏｎｏｒｒｈｏｅａｅ由来の推定ＯＲＦ（ＯＲＦ６８６）と、
１３１アミノ酸の重複にわたって９５．４％の同一性を示す。
【化４４０７】
2004500801.tif 003558
以下の部分的ＤＮＡ配列は、Ｎ．ｍｅｎｉｎｇｉｔｉｄｉｓにおいて同定された（配列
番号２２７７）：
【化４４０８】
2004500801.tif 003559
これは、以下のアミノ酸配列に対応する（配列番号２２７８；ＯＲＦ  ６８６．ａ）：
【化４４０９】
2004500801.tif 003560
【化４４１０】
2004500801.tif 003561
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６８６は、Ｎ．ｍｅｎｉｎｇｉｔｉｄｉｓ由来の推定ＯＲＦ（ＯＲＦ６８６）と
、１３１アミノ酸の重複にわたって９６．２％の同一性を示す。
【化４４１１】
2004500801.tif 003562
以下の部分的ＤＮＡ配列は、Ｎ．ｇｏｎｏｒｒｈｏｅａｅにおいて同定された（配列番
号２２７９）：
【化４４１２】
2004500801.tif 003563
これは、以下のアミノ酸配列に対応する（配列番号２２８０；ＯＲＦ  ６８７）：
【化４４１３】
2004500801.tif 003564
以下の部分的ＤＮＡ配列は、Ｎ．ｍｅｎｉｎｇｉｔｉｄｉｓにおいて同定された（配列
番号２２８１）：
【化４４１４】
2004500801.tif 003565
【化４４１５】
2004500801.tif 003566
これは、以下のアミノ酸配列に対応する（配列番号２２８２；ＯＲＦ  ６８７）：
【化４４１６】
2004500801.tif 003567
このアミノ酸配列のコンピュータ解析により、以下の結果が得られた：
Ｎ．ｇｏｎｏｒｒｈｏｅａｅ由来の推定ＯＲＦとの相同性
ＯＲＦ６８７は、Ｎ．ｇｏｎｏｒｒｈｏｅａｅ由来の推定ＯＲＦ（ＯＲＦ６８７）と、
２３４アミノ酸の重複にわたって９７．０％の同一性を示す。
【化４４１７】
2004500801.tif 003568
以下の部分的ＤＮＡ配列は、Ｎ．ｍｅｎｉｎｇｉｔｉｄｉｓにおいて同定された（配列
番号２２８３）：
【化４４１８】
2004500801.tif 003569
これは、以下のアミノ酸配列に対応する（配列番号２２８４；ＯＲＦ  ６８７．ａ）：
【化４４１９】
2004500801.tif 003570
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６８７は、Ｎ．ｍｅｎｉｎｇｉｔｉｄｉｓ由来の推定ＯＲＦ（ＯＲＦ６８７）と
、２３２アミノ酸の重複にわたって９８．７％の同一性を示す。
【化４４２０】
2004500801.tif 003571
以下の部分的ＤＮＡ配列は、Ｎ．ｇｏｎｏｒｒｈｏｅａｅにおいて同定された（配列番
号２２８５）：
【化４４２１】
2004500801.tif 003572
これは、以下のアミノ酸配列に対応する（配列番号２２８６；ＯＲＦ  ６８８）：
【化４４２２】
2004500801.tif 003573
以下の部分的ＤＮＡ配列は、Ｎ．ｍｅｎｉｎｇｉｔｉｄｉｓにおいて同定された（配列
番号２２８７）：
【化４４２３】
2004500801.tif 003574
これは、以下のアミノ酸配列に対応する（配列番号２２８８；ＯＲＦ  ６８８）：
【化４４２４】
2004500801.tif 003575
このアミノ酸配列のコンピュータ解析により、以下の結果が得られた：
Ｎ．ｇｏｎｏｒｒｈｏｅａｅ由来の推定ＯＲＦとの相同性
ＯＲＦ６８８は、Ｎ．ｇｏｎｏｒｒｈｏｅａｅ由来の推定ＯＲＦ（ＯＲＦ６８８）と、
１３８アミノ酸の重複にわたって９０．６％の同一性を示す。
【化４４２５】
2004500801.tif 003576
以下の部分的ＤＮＡ配列は、Ｎ．ｍｅｎｉｎｇｉｔｉｄｉｓにおいて同定された（配列
番号２２８９）：
【化４４２６】
2004500801.tif 003577
これは、以下のアミノ酸配列に対応する（配列番号２２９０；ＯＲＦ  ６８８．ａ）：
【化４４２７】
2004500801.tif 003578
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６８８は、Ｎ．ｍｅｎｉｎｇｉｔｉｄｉｓ由来の推定ＯＲＦ（ＯＲＦ６８８）と
、１３８アミノ酸の重複にわたって９３．５％の同一性を示す。
【化４４２８】
2004500801.tif 003579
以下の部分的ＤＮＡ配列は、Ｎ．ｇｏｎｏｒｒｈｏｅａｅにおいて同定された（配列番
号２２９１）：
【化４４２９】
2004500801.tif 003580
これは、以下のアミノ酸配列に対応する（配列番号２２９２；ＯＲＦ  ６８９）：
【化４４３０】
2004500801.tif 003581
以下の部分的ＤＮＡ配列は、Ｎ．ｍｅｎｉｎｇｉｔｉｄｉｓにおいて同定された（配列
番号２２９３）：
【化４４３１】
2004500801.tif 003582
【化４４３２】
2004500801.tif 003583
これは、以下のアミノ酸配列に対応する（配列番号２２９４；ＯＲＦ  ６８９）：
【化４４３３】
2004500801.tif 003584
このアミノ酸配列のコンピュータ解析により、以下の結果が得られた：
Ｎ．ｇｏｎｏｒｒｈｏｅａｅ由来の推定ＯＲＦとの相同性
ＯＲＦ６８９は、Ｎ．ｇｏｎｏｒｒｈｏｅａｅ由来の推定ＯＲＦ（ＯＲＦ６８９）と、
４０８アミノ酸の重複にわたって８８．０％の同一性を示す。
【化４４３４】
2004500801.tif 003585
以下の部分的ＤＮＡ配列は、Ｎ．ｍｅｎｉｎｇｉｔｉｄｉｓにおいて同定された（配列
番号２２９５）：
【化４４３５】
2004500801.tif 003586
これは、以下のアミノ酸配列に対応する（配列番号２２９６；ＯＲＦ  ６８９．ａ）：
【化４４３６】
2004500801.tif 003587
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６８９は、Ｎ．ｍｅｎｉｎｇｉｔｉｄｉｓ由来の推定ＯＲＦ（ＯＲＦ６８９）と
、４５９アミノ酸の重複にわたって９９．１％の同一性を示す。
【化４４３７】
2004500801.tif 003588
【化４４３８】
2004500801.tif 003589
以下の部分的ＤＮＡ配列は、Ｎ．ｇｏｎｏｒｒｈｏｅａｅにおいて同定された（配列番
号２２９７）：
【化４４３９】
2004500801.tif 003590
これは、以下のアミノ酸配列に対応する（配列番号２２９８；ＯＲＦ  ６９０）：
【化４４４０】
2004500801.tif 003591
以下の部分的ＤＮＡ配列は、Ｎ．ｍｅｎｉｎｇｉｔｉｄｉｓにおいて同定された（配列
番号２２９９）：
【化４４４１】
2004500801.tif 003592
【化４４４２】
2004500801.tif 003593
これは、以下のアミノ酸配列に対応する（配列番号２３００；ＯＲＦ  ６９０）：
【化４４４３】
2004500801.tif 003594
このアミノ酸配列のコンピュータ解析により、以下の結果が得られた：
Ｎ．ｇｏｎｏｒｒｈｏｅａｅ由来の推定ＯＲＦとの相同性
ＯＲＦ６９０は、Ｎ．ｇｏｎｏｒｒｈｏｅａｅ由来の推定ＯＲＦ（ＯＲＦ６９０）と、
４０８アミノ酸の重複にわたって８９．３％の同一性を示す。
【化４４４４】
2004500801.tif 003595
以下の部分的ＤＮＡ配列は、Ｎ．ｍｅｎｉｎｇｉｔｉｄｉｓにおいて同定された（配列
番号２３０１）：
【化４４４５】
2004500801.tif 003596
【化４４４６】
2004500801.tif 003597
これは、以下のアミノ酸配列に対応する（配列番号２３０２；ＯＲＦ  ６９０．ａ）：
【化４４４７】
2004500801.tif 003598
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６９０は、Ｎ．ｍｅｎｉｎｇｉｔｉｄｉｓ由来の推定ＯＲＦ（ＯＲＦ６９０）と
、２８０アミノ酸の重複にわたって９３．９％の同一性を示す。
【化４４４８】
2004500801.tif 003599
以下の部分的ＤＮＡ配列は、Ｎ．ｇｏｎｏｒｒｈｏｅａｅにおいて同定された（配列番
号２３０３）：
【化４４４９】
2004500801.tif 003600
これは、以下のアミノ酸配列に対応する（配列番号２３０４；ＯＲＦ  ６９１）：
【化４４５０】
2004500801.tif 003601
以下の部分的ＤＮＡ配列は、Ｎ．ｍｅｎｉｎｇｉｔｉｄｉｓにおいて同定された（配列
番号２３０５）：
【化４４５１】
2004500801.tif 003602
これは、以下のアミノ酸配列に対応する（配列番号２３０６；ＯＲＦ  ６９１）：
【化４４５２】
2004500801.tif 003603
このアミノ酸配列のコンピュータ解析により、以下の結果が得られた：
Ｎ．ｇｏｎｏｒｒｈｏｅａｅ由来の推定ＯＲＦとの相同性
ＯＲＦ６９１は、Ｎ．ｇｏｎｏｒｒｈｏｅａｅ由来の推定ＯＲＦ（ＯＲＦ６９１）と、
１４４アミノ酸の重複にわたって９７．２％の同一性を示す。
【化４４５３】
2004500801.tif 003604
以下の部分的ＤＮＡ配列は、Ｎ．ｍｅｎｉｎｇｉｔｉｄｉｓにおいて同定された（配列
番号２３０７）：
【化４４５４】
2004500801.tif 003605
これは、以下のアミノ酸配列に対応する（配列番号２３０８；ＯＲＦ  ６９１．ａ）：
【化４４５５】
2004500801.tif 003606
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６９１は、Ｎ．ｍｅｎｉｎｇｉｔｉｄｉｓ由来の推定ＯＲＦ（ＯＲＦ６９１）と
、１４４アミノ酸の重複にわたって９７．２％の同一性を示す。
【化４４５６】
2004500801.tif 003607
以下の部分的ＤＮＡ配列は、Ｎ．ｇｏｎｏｒｒｈｏｅａｅにおいて同定された（配列番
号２３０９）：
【化４４５７】
2004500801.tif 003608
これは、以下のアミノ酸配列に対応する（配列番号２３１０；ＯＲＦ  ６９２）：
【化４４５８】
2004500801.tif 003609
以下の部分的ＤＮＡ配列は、Ｎ．ｍｅｎｉｎｇｉｔｉｄｉｓにおいて同定された（配列
番号２３１１）：
【化４４５９】
2004500801.tif 003610
【化４４６０】
2004500801.tif 003611
これは、以下のアミノ酸配列に対応する（配列番号２３１２；ＯＲＦ  ６９２）：
【化４４６１】
2004500801.tif 003612
このアミノ酸配列のコンピュータ解析により、以下の結果が得られた：
Ｎ．ｇｏｎｏｒｒｈｏｅａｅ由来の推定ＯＲＦとの相同性
ＯＲＦ６９２は、Ｎ．ｇｏｎｏｒｒｈｏｅａｅ由来の推定ＯＲＦ（ＯＲＦ６９２）と、
３３８アミノ酸の重複にわたって９１．１％の同一性を示す。
【化４４６２】
2004500801.tif 003613
以下の部分的ＤＮＡ配列は、Ｎ．ｍｅｎｉｎｇｉｔｉｄｉｓにおいて同定された（配列
番号２３１３）：
【化４４６３】
2004500801.tif 003614
【化４４６４】
2004500801.tif 003615
これは、以下のアミノ酸配列に対応する（配列番号２３１４；ＯＲＦ  ６９２．ａ）：
【化４４６５】
2004500801.tif 003616
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６９２は、Ｎ．ｍｅｎｉｎｇｉｔｉｄｉｓ由来の推定ＯＲＦ（ＯＲＦ６９２）と
、３３６アミノ酸の重複にわたって９８．８％の同一性を示す。
【化４４６６】
2004500801.tif 003617
【化４４６７】
2004500801.tif 003618
以下の部分的ＤＮＡ配列は、Ｎ．ｇｏｎｏｒｒｈｏｅａｅにおいて同定された（配列番
号２３１５）：
【化４４６８】
2004500801.tif 003619
これは、以下のアミノ酸配列に対応する（配列番号２３１６；ＯＲＦ  ６９４）：
【化４４６９】
2004500801.tif 003620
以下の部分的ＤＮＡ配列は、Ｎ．ｍｅｎｉｎｇｉｔｉｄｉｓにおいて同定された（配列
番号２３１７）：
【化４４７０】
2004500801.tif 003621
これは、以下のアミノ酸配列に対応する（配列番号２３１８；ＯＲＦ  ６９４）：
【化４４７１】
2004500801.tif 003622
【化４４７２】
2004500801.tif 003623
このアミノ酸配列のコンピュータ解析により、以下の結果が得られた：
Ｎ．ｇｏｎｏｒｒｈｏｅａｅ由来の推定ＯＲＦとの相同性
ＯＲＦ６９４は、Ｎ．ｇｏｎｏｒｒｈｏｅａｅ由来の推定ＯＲＦ（ＯＲＦ６９４）と、
３７２アミノ酸の重複にわたって８６．８％の同一性を示す。
【化４４７３】
2004500801.tif 003624
以下の部分的ＤＮＡ配列は、Ｎ．ｍｅｎｉｎｇｉｔｉｄｉｓにおいて同定された（配列
番号２３１９）：
【化４４７４】
2004500801.tif 003625
【化４４７５】
2004500801.tif 003626
これは、以下のアミノ酸配列に対応する（配列番号２３２０；ＯＲＦ  ６９４．ａ）：
【化４４７６】
2004500801.tif 003627
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６９４は、Ｎ．ｍｅｎｉｎｇｉｔｉｄｉｓ由来の推定ＯＲＦ（ＯＲＦ６９４）と
、３８５アミノ酸の重複にわたって１００％の同一性を示す。
【化４４７７】
2004500801.tif 003628
以下の部分的ＤＮＡ配列は、Ｎ．ｇｏｎｏｒｒｈｏｅａｅにおいて同定された（配列番
号２３２１）：
【化４４７８】
2004500801.tif 003629
これは、以下のアミノ酸配列に対応する（配列番号２３２２；ＯＲＦ  ６９５）：
【化４４７９】
2004500801.tif 003630
以下の部分的ＤＮＡ配列は、Ｎ．ｍｅｎｉｎｇｉｔｉｄｉｓにおいて同定された（配列
番号２３２３）：
【化４４８０】
2004500801.tif 003631
これは、以下のアミノ酸配列に対応する（配列番号２３２４；ＯＲＦ  ６９５）：
【化４４８１】
2004500801.tif 003632
このアミノ酸配列のコンピュータ解析により、以下の結果が得られた：
Ｎ．ｇｏｎｏｒｒｈｏｅａｅ由来の推定ＯＲＦとの相同性
ＯＲＦ６９４は、Ｎ．ｇｏｎｏｒｒｈｏｅａｅ由来の推定ＯＲＦ（ＯＲＦ６９５）と、
３０５アミノ酸の重複にわたって９０．８％の同一性を示す。
【化４４８２】
2004500801.tif 003633
以下の部分的ＤＮＡ配列は、Ｎ．ｍｅｎｉｎｇｉｔｉｄｉｓにおいて同定された（配列
番号２３２５）：
【化４４８３】
2004500801.tif 003634
これは、以下のアミノ酸配列に対応する（配列番号２３２６；ＯＲＦ  ６９５．ａ）：
【化４４８４】
2004500801.tif 003635
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６９５は、Ｎ．ｍｅｎｉｎｇｉｔｉｄｉｓ由来の推定ＯＲＦ（ＯＲＦ６９５）と
、３０８アミノ酸の重複にわたって８８．３％の同一性を示す。
【化４４８５】
2004500801.tif 003636
以下の部分的ＤＮＡ配列は、Ｎ．ｇｏｎｏｒｒｈｏｅａｅにおいて同定された：
【化４４８６】
2004500801.tif 003637
これは、以下のアミノ酸配列に対応する（ＯＲＦ  ６９６．ｎｇ）：
【化４４８７】
2004500801.tif 003638
以下の部分的ＤＮＡ配列は、Ｎ．ｍｅｎｉｎｇｉｔｉｄｉｓにおいて同定された（配列
番号２３２７）：
【化４４８８】
2004500801.tif 003639
これは、以下のアミノ酸配列に対応する（配列番号２３２８；ＯＲＦ  ６９６）：
【化４４８９】
2004500801.tif 003640
以下の部分的ＤＮＡ配列は、Ｎ．ｍｅｎｉｎｇｉｔｉｄｉｓにおいて同定された（配列
番号２３２９）：
【化４４９０】
2004500801.tif 003641
【化４４９１】
2004500801.tif 003642
これは、以下のアミノ酸配列に対応する（配列番号２３３０；ＯＲＦ  ６９６．ａ）：
【化４４９２】
2004500801.tif 003643
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ６９６は、Ｎ．ｍｅｎｉｎｇｉｔｉｄｉｓ由来の推定ＯＲＦ（ＯＲＦ６９６．ａ
）と、１２０アミノ酸の重複にわたって１００．０％の同一性を示す。
【化４４９３】
2004500801.tif 003644
以下の部分的ＤＮＡ配列は、Ｎ．ｇｏｎｏｒｒｈｏｅａｅにおいて同定された（配列番
号２３３１）：
【化４４９４】
2004500801.tif 003645
これは、以下のアミノ酸配列に対応する（配列番号２３３２；ＯＲＦ  ７００）：
【化４４９５】
2004500801.tif 003646
【化４４９６】
2004500801.tif 003647
以下の部分的ＤＮＡ配列は、Ｎ．ｍｅｎｉｎｇｉｔｉｄｉｓにおいて同定された（配列
番号２３３３）：
【化４４９７】
2004500801.tif 003648
これは、以下のアミノ酸配列に対応する（配列番号２３３４；ＯＲＦ  ７００）：
【化４４９８】
2004500801.tif 003649
このアミノ酸配列のコンピュータ解析により、以下の結果が得られた：
Ｎ．ｇｏｎｏｒｒｈｏｅａｅ由来の推定ＯＲＦと、ｍｅｎＢとの相同性
ＯＲＦ７００は、Ｎ．ｇｏｎｏｒｒｈｏｅａｅ由来の推定ＯＲＦ（ＯＲＦ７００）と、
３００アミノ酸の重複にわたって９４．７％の同一性を示す。
【化４４９９】
2004500801.tif 003650
【化４５００】
2004500801.tif 003651
以下の部分的ＤＮＡ配列は、Ｎ．ｍｅｎｉｎｇｉｔｉｄｉｓにおいて同定された（配列
番号２３３５）：
【化４５０１】
2004500801.tif 003652
これは、以下のアミノ酸配列に対応する（配列番号２３３６；ＯＲＦ  ７００．ａ）：
【化４５０２】
2004500801.tif 003653
【化４５０３】
2004500801.tif 003654
以下の部分的ＤＮＡ配列は、Ｎ．ｇｏｎｏｒｒｈｏｅａｅにおいて同定された（配列番
号２３３７）：
【化４５０４】
2004500801.tif 003655
これは、以下のアミノ酸配列に対応する（配列番号２３３８；ＯＲＦ  ７０１）：
【化４５０５】
2004500801.tif 003656
以下の部分的ＤＮＡ配列は、Ｎ．ｍｅｎｉｎｇｉｔｉｄｉｓにおいて同定された（配列
番号２３３９）：
【化４５０６】
2004500801.tif 003657
これは、以下のアミノ酸配列に対応する（配列番号２３４０；ＯＲＦ  ７０１）：
【化４５０７】
2004500801.tif 003658
このアミノ酸配列のコンピュータ解析により、以下の結果が得られた：
Ｎ．ｇｏｎｏｒｒｈｏｅａｅ由来の推定ＯＲＦと、ｍｅｎＢとの相同性
ＯＲＦ７０１は、Ｎ．ｇｏｎｏｒｒｈｏｅａｅ由来の推定ＯＲＦ（ＯＲＦ７０１．ｎｇ
）と、１２８アミノ酸の重複にわたって９２．２％の同一性を示す。
【化４５０８】
2004500801.tif 003659
【化４５０９】
2004500801.tif 003660
以下の部分的ＤＮＡ配列は、Ｎ．ｍｅｎｉｎｇｉｔｉｄｉｓにおいて同定された（配列
番号２３４１）：
【化４５１０】
2004500801.tif 003661
これは、以下のアミノ酸配列に対応する（配列番号２３４２；ＯＲＦ  ７０１．ａ）：
【化４５１１】
2004500801.tif 003662
以下の部分的ＤＮＡ配列は、Ｎ．ｇｏｎｏｒｒｈｏｅａｅにおいて同定された（配列番
号２３４３）：
【化４５１２】
2004500801.tif 003663
これは、以下のアミノ酸配列に対応する（配列番号２３４４；ＯＲＦ  ７０２）：
【化４５１３】
2004500801.tif 003664
【化４５１４】
2004500801.tif 003665
以下の部分的ＤＮＡ配列は、Ｎ．ｍｅｎｉｎｇｉｔｉｄｉｓにおいて同定された（配列
番号２３４５）：
【化４５１５】
2004500801.tif 003666
これは、以下のアミノ酸配列に対応する（配列番号２３４６；ＯＲＦ  ７０２）：
【化４５１６】
2004500801.tif 003667
ＯＲＦ７０２は、Ｎ．ｇｏｎｏｒｒｈｏｅａｅ由来の推定ＯＲＦ（ＯＲＦ７０２．ｎｇ
）と、１２４アミノ酸の重複にわたって９１．９％の同一性を示す。
【化４５１７】
2004500801.tif 003668
以下の部分的ＤＮＡ配列は、Ｎ．ｍｅｎｉｎｇｉｔｉｄｉｓにおいて同定された（配列
番号２３４７）：
【化４５１８】
2004500801.tif 003669
これは、以下のアミノ酸配列に対応する（配列番号２３４８；ＯＲＦ  ７０２．ａ）：
【化４５１９】
2004500801.tif 003670
【化４５２０】
2004500801.tif 003671
以下の部分的ＤＮＡ配列は、Ｎ．ｇｏｎｏｒｒｈｏｅａｅにおいて同定された（配列番
号２３４９）：
【化４５２１】
2004500801.tif 003672
これは、以下のアミノ酸配列に対応する（配列番号２３５０；ＯＲＦ  ７０３）：
【化４５２２】
2004500801.tif 003673
以下の部分的ＤＮＡ配列は、Ｎ．ｍｅｎｉｎｇｉｔｉｄｉｓにおいて同定された（配列
番号２３５１）：
【化４５２３】
2004500801.tif 003674
【化４５２４】
2004500801.tif 003675
これは、以下のアミノ酸配列に対応する（配列番号２３５２；ＯＲＦ  ７０３）：
【化４５２５】
2004500801.tif 003676
ＯＲＦ７０３は、Ｎ．ｇｏｎｏｒｒｈｏｅａｅ由来の推定ＯＲＦ（ＯＲＦ７０３．ｎｇ
）と、２８８アミノ酸の重複にわたって９８．３％の同一性を示す。
【化４５２６】
2004500801.tif 003677
以下の部分的ＤＮＡ配列は、Ｎ．ｍｅｎｉｎｇｉｔｉｄｉｓにおいて同定された（配列
番号２３５３）：
【化４５２７】
2004500801.tif 003678
【化４５２８】
2004500801.tif 003679
これは、以下のアミノ酸配列に対応する（配列番号２３５４；ＯＲＦ  ７０３．ａ）：
【化４５２９】
2004500801.tif 003680
以下の部分的ＤＮＡ配列は、Ｎ．ｍｅｎｉｎｇｉｔｉｄｉｓにおいて同定された（配列
番号２３５５）：
【化４５３０】
2004500801.tif 003681
【化４５３１】
2004500801.tif 003682
これは、以下のアミノ酸配列に対応する（配列番号２３５６；ＯＲＦ  ７０３）：
【化４５３２】
2004500801.tif 003683
【化４５３３】
2004500801.tif 003684
以下の部分的ＤＮＡ配列は、Ｎ．ｇｏｎｏｒｒｈｏｅａｅにおいて同定された（配列番
号２３５７）：
【化４５３４】
2004500801.tif 003685
これは、以下のアミノ酸配列に対応する（配列番号２３５８；ＯＲＦ  ７０５）：
【化４５３５】
2004500801.tif 003686
以下の部分的ＤＮＡ配列は、Ｎ．ｍｅｎｉｎｇｉｔｉｄｉｓにおいて同定された（配列
番号２３５９）：
【化４５３６】
2004500801.tif 003687
これは、以下のアミノ酸配列に対応する（配列番号２３６０；ＯＲＦ  ７０５）：
【化４５３７】
2004500801.tif 003688
このアミノ酸配列のコンピュータ解析により、以下の結果が得られた：
Ｎ．ｇｏｎｏｒｒｈｏｅａｅ由来の推定ＯＲＦとの相同性
ＯＲＦ７０５は、Ｎ．ｇｏｎｏｒｒｈｏｅａｅ由来の推定ＯＲＦ（ＯＲＦ７０５）と、
２３８アミノ酸の重複にわたって９５．０％の同一性を示す。
【化４５３８】
2004500801.tif 003689
【化４５３９】
2004500801.tif 003690
以下の部分的ＤＮＡ配列は、Ｎ．ｍｅｎｉｎｇｉｔｉｄｉｓにおいて同定された（配列
番号２３６１）：
【化４５４０】
2004500801.tif 003691
これは、以下のアミノ酸配列に対応する（配列番号２３６２；ＯＲＦ  ７０５．ａ）：
【化４５４１】
2004500801.tif 003692
このアミノ酸配列のコンピュータ解析により、以下の結果が得られた：
Ｎ．ｍｅｎｉｎｇｉｔｉｄｉｓ由来の推定ＯＲＦとの相同性
ＯＲＦ７０５は、Ｎ．ｍｅｎｉｎｇｉｔｉｄｉｓ由来の推定ＯＲＦ（ＯＲＦ７０５）と
、２３８アミノ酸の重複にわたって１００．０％の同一性を示す。
【化４５４２】
2004500801.tif 003693
以下の部分的ＤＮＡ配列は、Ｎ．ｇｏｎｏｒｒｈｏｅａｅにおいて同定された（配列番
号２３６３）：
【化４５４３】
2004500801.tif 003694
これは、以下のアミノ酸配列に対応する（配列番号２３６４；ＯＲＦ  ７０６．ｎｇ）
：
【化４５４４】
2004500801.tif 003695
以下の部分的ＤＮＡ配列は、Ｎ．ｍｅｎｉｎｇｉｔｉｄｉｓにおいて同定された（配列
番号２３６５）：
【化４５４５】
2004500801.tif 003696
これは、以下のアミノ酸配列に対応する（配列番号２３６６；ＯＲＦ  ７０６）：
【化４５４６】
2004500801.tif 003697
【化４５４７】
2004500801.tif 003698
以下の部分的ＤＮＡ配列は、Ｎ．ｍｅｎｉｎｇｉｔｉｄｉｓにおいて同定された（配列
番号２３６７）：
【化４５４８】
2004500801.tif 003699
【化４５４９】
2004500801.tif 003700
これは、以下のアミノ酸配列に対応する（配列番号２３６８；ＯＲＦ  ７０６．ａ）：
【化４５５０】
2004500801.tif 003701
以下の部分的ＤＮＡ配列は、Ｎ．ｍｅｎｉｎｇｉｔｉｄｉｓにおいて同定された（配列
番号２３６９）：
【化４５５１】
2004500801.tif 003702
これは、以下のアミノ酸配列に対応する（配列番号２３７０；ＯＲＦ  ７０７）：
【化４５５２】
2004500801.tif 003703
以下の部分的ＤＮＡ配列は、Ｎ．ｍｅｎｉｎｇｉｔｉｄｉｓにおいて同定された（配列
番号２３７１）：
【化４５５３】
2004500801.tif 003704
【化４５５４】
2004500801.tif 003705
これは、アミノ酸配列（配列番号２３７２；ＯＲＦ７０７．ａ）に対応する：
【化４５５５】
2004500801.tif 003706
【化４５５６】
2004500801.tif 003707
Ｎ．ｇｏｎｏｒｒｈｏｅａｅにおいて、以下の部分ＤＮＡ配列を同定した（配列番号２３
７３）：
【化４５５７】
2004500801.tif 003708
これは、アミノ酸配列（配列番号２３７４；ＯＲＦ７０８．ｎｇ）に対応する：
【化４５５８】
2004500801.tif 003709
Ｎ．ｍｅｎｉｎｇｉｔｉｄｉｓにおいて、以下の部分ＤＮＡ配列を同定した（配列番号２
３７５）：
【化４５５９】
2004500801.tif 003710
これは、アミノ酸配列（配列番号２３７６；ＯＲＦ７０８）に対応する：
【化４５６０】
2004500801.tif 003711
【化４５６１】
2004500801.tif 003712
Ｎ．ｍｅｎｉｎｇｉｔｉｄｉｓにおいて、以下の部分ＤＮＡ配列を同定した（配列番号２
３７７）：
【化４５６２】
2004500801.tif 003713
これは、アミノ酸配列（配列番号２３７８；ＯＲＦ７０８．ａ）に対応する：
【化４５６３】
2004500801.tif 003714
【化４５６４】
2004500801.tif 003715
Ｎ．ｇｏｎｏｒｒｈｏｅａｅにおいて、以下の部分ＤＮＡ配列を同定した（配列番号２３
６３）：
【化４５６５】
2004500801.tif 003716
これは、アミノ酸配列（配列番号２３８０；ＯＲＦ７０９．ｎｇ）に対応する：
【化４５６６】
2004500801.tif 003717
【化４５６７】
2004500801.tif 003718
Ｎ．ｍｅｎｉｎｇｉｔｉｄｉｓにおいて、以下の部分ＤＮＡ配列を同定した（配列番号２
３８１）：
【化４５６８】
2004500801.tif 003719
これは、アミノ酸配列（配列番号２３８２；ＯＲＦ７０９）に対応する：
【化４５６９】
2004500801.tif 003720
【化４５７０】
2004500801.tif 003721
Ｎ．ｍｅｎｉｎｇｉｔｉｄｉｓにおいて、以下の部分ＤＮＡ配列を同定した（配列番号２
３８３）：
【化４５７１】
2004500801.tif 003722
これは、アミノ酸配列（配列番号２３８４；ＯＲＦ７０９．ａ）に対応する：
【化４５７２】
2004500801.tif 003723
【化４５７３】
2004500801.tif 003724
Ｎ．ｍｅｎｉｎｇｉｔｉｄｉｓにおいて、以下の部分ＤＮＡ配列を同定した（配列番号２
３８５）：
【化４５７４】
2004500801.tif 003725
【化４５７５】
2004500801.tif 003726
これは、アミノ酸配列（配列番号２３８６；ＯＲＦ７１０）に対応する：
【化４５７６】
2004500801.tif 003727
Ｎ．ｍｅｎｉｎｇｉｔｉｄｉｓにおいて、以下の部分ＤＮＡ配列を同定した（配列番号２
３８７）：
【化４５７７】
2004500801.tif 003728
これは、アミノ酸配列（配列番号２３８８；ＯＲＦ７１０．ａ）に対応する：
【化４５７８】
2004500801.tif 003729
【化４５７９】
2004500801.tif 003730
Ｎ．ｍｅｎｉｎｇｉｔｉｄｉｓにおいて、以下の部分ＤＮＡ配列を同定した（配列番号２
３８９）：
【化４５８０】
2004500801.tif 003731
これは、アミノ酸配列（配列番号２３９０；ＯＲＦ７１１）に対応する：
【化４５８１】
2004500801.tif 003732
Ｎ．ｍｅｎｉｎｇｉｔｉｄｉｓにおいて、以下の部分ＤＮＡ配列を同定した（配列番号２
３９１）：
【化４５８２】
2004500801.tif 003733
【化４５８３】
2004500801.tif 003734
これは、アミノ酸配列（配列番号２３９２；ＯＲＦ７１１．ａ）に対応する：
【化４５８４】
2004500801.tif 003735
【化４５８５】
2004500801.tif 003736
【化４５８６】
2004500801.tif 003737
Ｎ．ｍｅｎｉｎｇｉｔｉｄｉｓにおいて、以下の部分ＤＮＡ配列を同定した（配列番号２
３９３）：
【化４５８７】
2004500801.tif 003738
これは、アミノ酸配列（配列番号２３９４；ＯＲＦ７１２）に対応する：
【化４５８８】
2004500801.tif 003739
【化４５８９】
2004500801.tif 003740
Ｎ．ｍｅｎｉｎｇｉｔｉｄｉｓにおいて、以下の部分ＤＮＡ配列を同定した（配列番号２
３９５）：
【化４５９０】
2004500801.tif 003741
これは、アミノ酸配列（配列番号２３９６；ＯＲＦ７１３）に対応する：
【化４５９１】
2004500801.tif 003742
Ｎ．ｍｅｎｉｎｇｉｔｉｄｉｓにおいて、以下の部分ＤＮＡ配列を同定した（配列番号２
３９７）：
【化４５９２】
2004500801.tif 003743
【化４５９３】
2004500801.tif 003744
これは、アミノ酸配列（配列番号２３９８；ＯＲＦ７１３．ａ）に対応する：
【化４５９４】
2004500801.tif 003745
【化４５９５】
2004500801.tif 003746
Ｎ．ｍｅｎｉｎｇｉｔｉｄｉｓにおいて、以下の部分ＤＮＡ配列を同定した（配列番号２
３９９）：
【化４５９６】
2004500801.tif 003747
これは、アミノ酸配列（配列番号２４００；ＯＲＦ７１４）に対応する：
【化４５９７】
2004500801.tif 003748
Ｎ．ｍｅｎｉｎｇｉｔｉｄｉｓにおいて、以下の部分ＤＮＡ配列を同定した（配列番号２
４０１）：
【化４５９８】
2004500801.tif 003749
これは、アミノ酸配列（配列番号２４０２；ＯＲＦ７１４．ａ）に対応する：
【化４５９９】
2004500801.tif 003750
【化４６００】
2004500801.tif 003751
Ｎ．ｍｅｎｉｎｇｉｔｉｄｉｓにおいて、以下部分ＤＮＡ配列を同定した（配列番号２４
０３）：
【化４６０１】
2004500801.tif 003752
これは、アミノ酸配列（配列番号２４０４；ＯＲＦ７１５）に対応する：
【化４６０２】
2004500801.tif 003753
Ｎ．ｍｅｎｉｎｇｉｔｉｄｉｓにおいて、以下の部分ＤＮＡ配列を同定した（配列番号２
４０５）：
【化４６０３】
2004500801.tif 003754
これは、アミノ酸配列（配列番号２４０６；ＯＲＦ７１５．ａ）に対応する：
【化４６０４】
2004500801.tif 003755
Ｎ．ｇｏｎｏｒｒｈｏｅａｅにおいて、以下の部分ＤＮＡ配列を同定した（配列番号２４
０７）：
【化４６０５】
2004500801.tif 003756
これは、アミノ酸配列（配列番号２４０８；ＯＲＦ７１６．ｎｇ）に対応する：
【化４６０６】
2004500801.tif 003757
【化４６０７】
2004500801.tif 003758
Ｎ．ｍｅｎｉｎｇｉｔｉｄｉｓにおいて、以下の部分ＤＮＡ配列を同定した（配列番号２
４０９）：
【化４６０８】
2004500801.tif 003759
これは、アミノ酸配列（配列番号２４１０；ＯＲＦ７１６）に対応する：
【化４６０９】
2004500801.tif 003760
Ｎ．ｍｅｎｉｎｇｉｔｉｄｉｓにおいて、以下の部分ＤＮＡ配列を同定した（配列番号２
４１１）：
【化４６１０】
2004500801.tif 003761
Ｎ．ｍｅｎｉｎｇｉｔｉｄｉｓにおいて、以下の部分ＤＮＡ配列を同定した（配列番号２
４１２．ａ）：
【化４６１１】
2004500801.tif 003762
Ｎ．ｇｏｎｏｒｒｈｏｅａｅにおいて、以下の部分ＤＮＡ配列を同定した（配列番号２４
１３）：
【化４６１２】
2004500801.tif 003763
【化４６１３】
2004500801.tif 003764
これは、アミノ酸配列（配列番号２４１４；ＯＲＦ７１７．ｎｇ）に対応する：
【化４６１４】
2004500801.tif 003765
Ｎ．ｍｅｎｉｎｇｉｔｉｄｉｓにおいて、以下の部分ＤＮＡ配列を同定した（配列番号２
４１５）：
【化４６１５】
2004500801.tif 003766
これは、アミノ酸配列（配列番号２４１６；ＯＲＦ７１７）に対応する：
【化４６１６】
2004500801.tif 003767
Ｎ．ｍｅｎｉｎｇｉｔｉｄｉｓにおいて、以下の部分ＤＮＡ配列を同定した（配列番号２
４１７）：
【化４６１７】
2004500801.tif 003768
【化４６１８】
2004500801.tif 003769
これは、アミノ酸配列（配列番号２４１８；ＯＲＦ７１７．ａ）に対応する：
【化４６１９】
2004500801.tif 003770
【化４６２０】
2004500801.tif 003771
Ｎ．ｍｅｎｉｎｇｉｔｉｄｉｓにおいて、以下の部分ＤＮＡ配列を同定した（配列番号２
４１９）：
【化４６２１】
2004500801.tif 003772
これは、アミノ酸配列（配列番号２４２０；ＯＲＦ７１８）に対応する：
【化４６２２】
2004500801.tif 003773
Ｎ．ｍｅｎｉｎｇｉｔｉｄｉｓにおいて、以下の部分ＤＮＡ配列を同定した（配列番号２
４２１）：
【化４６２３】
2004500801.tif 003774
これは、アミノ酸配列（配列番号２４２２；ＯＲＦ７１８．ａ）に対応する：
【化４６２４】
2004500801.tif 003775
【化４６２５】
2004500801.tif 003776
Ｎ．ｍｅｎｉｎｇｉｔｉｄｉｓにおいて、以下の部分ＤＮＡ配列を同定した（配列番号２
４２３）：
【化４６２６】
2004500801.tif 003777
これは、アミノ酸配列（配列番号２４２４；ＯＲＦ７１８−１）に対応する：
【化４６２７】
2004500801.tif 003778
【化４６２８】
2004500801.tif 003779
Ｎ．ｍｅｎｉｎｇｉｔｉｄｉｓにおいて、以下の部分ＤＮＡ配列を同定した（配列番号２
４２５）：
【化４６２９】
2004500801.tif 003780
これは、アミノ酸配列（配列番号２４２６；ＯＲＦ７１８−１．ａ）に対応する：
【化４６３０】
2004500801.tif 003781
【化４６３１】
2004500801.tif 003782
Ｎ．ｍｅｎｉｎｇｉｔｉｄｉｓにおいて、以下の部分ＤＮＡ配列を同定した（配列番号２
４２７）：
【化４６３２】
2004500801.tif 003783
【化４６３３】
2004500801.tif 003784
これは、アミノ酸配列（配列番号２４２８；ＯＲＦ７１９）に対応する：
【化４６３４】
2004500801.tif 003785
Ｎ．ｍｅｎｉｎｇｉｔｉｄｉｓにおいて、以下の部分ＤＮＡ配列を同定した（配列番号２
４２９）：
【化４６３５】
2004500801.tif 003786
【化４６３６】
2004500801.tif 003787
これは、アミノ酸配列（配列番号２４３０；ＯＲＦ７２０）に対応する：
【化４６３７】
2004500801.tif 003788
Ｎ．ｍｅｎｉｎｇｉｔｉｄｉｓにおいて、以下の部分ＤＮＡ配列を同定した（配列番号２
４３１）：
【化４６３８】
2004500801.tif 003789
これは、アミノ酸配列（配列番号２４３２；ＯＲＦ７２０．ａ）に対応する：
【化４６３９】
2004500801.tif 003790
【化４６４０】
2004500801.tif 003791
Ｎ．ｍｅｎｉｎｇｉｔｉｄｉｓにおいて、以下の部分ＤＮＡ配列を同定した（配列番号２
４３３）：
【化４６４１】
2004500801.tif 003792
これは、アミノ酸配列（配列番号２４３４；ＯＲＦ７２１）に対応する：
【化４６４２】
2004500801.tif 003793
Ｎ．ｍｅｎｉｎｇｉｔｉｄｉｓにおいて、以下の部分ＤＮＡ配列を同定した（配列番号２
４３５）：
【化４６４３】
2004500801.tif 003794
【化４６４４】
2004500801.tif 003795
これは、アミノ酸配列（配列番号２４３６；ＯＲＦ７２１．ａ）に対応する：
【化４６４５】
2004500801.tif 003796
Ｎ．ｍｅｎｉｎｇｉｔｉｄｉｓにおいて、以下の部分ＤＮＡ配列を同定した（配列番号２
４３７）：
【化４６４６】
2004500801.tif 003797
【化４６４７】
2004500801.tif 003798
これは、アミノ酸配列（配列番号２４３８；ＯＲＦ７２２）に対応する：
【化４６４８】
2004500801.tif 003799
Ｎ．ｍｅｎｉｎｇｉｔｉｄｉｓにおいて、以下の部分ＤＮＡ配列を同定した（配列番号２
４３９）：
【化４６４９】
2004500801.tif 003800
これは、アミノ酸配列（配列番号２４４０；ＯＲＦ７２２．ａ）に対応する：
【化４６５０】
2004500801.tif 003801
【化４６５１】
2004500801.tif 003802
Ｎ．ｍｅｎｉｎｇｉｔｉｄｉｓにおいて、以下の部分ＤＮＡ配列を同定した（配列番号２
４４１）：
【化４６５２】
2004500801.tif 003803
これは、アミノ酸配列（配列番号２４４２；ＯＲＦ７２３）に対応する：
【化４６５３】
2004500801.tif 003804
Ｎ．ｍｅｎｉｎｇｉｔｉｄｉｓにおいて、そのコードされるアミノ酸配列とともに示され
る、以下の部分ＤＮＡ配列を同定した（配列番号２４４３）：
【化４６５４】
2004500801.tif 003805
【化４６５５】
2004500801.tif 003806
これは、アミノ酸配列（配列番号２４４４；ＯＲＦ７２４）に対応する：
【化４６５６】
2004500801.tif 003807
Ｎ．ｍｅｎｉｎｇｉｔｉｄｉｓにおいて、以下の部分ＤＮＡ配列を同定した（配列番号２
４４５）：
【化４６５７】
2004500801.tif 003808
【化４６５８】
2004500801.tif 003809
これは、アミノ酸配列（配列番号２４４６；ＯＲＦ７２４．ａ）に対応する：
【化４６５９】
2004500801.tif 003810
Ｎ．ｍｅｎｉｎｇｉｔｉｄｉｓにおいて、以下の部分ＤＮＡ配列を同定した（配列番号２
４４７）：
【化４６６０】
2004500801.tif 003811
これは、アミノ酸配列（配列番号２４４８；ＯＲＦ７２５）に対応する：
【化４６６１】
2004500801.tif 003812
【化４６６２】
2004500801.tif 003813
Ｎ．ｍｅｎｉｎｇｉｔｉｄｉｓにおいて、以下の部分ＤＮＡ配列を同定した（配列番号２
４４９）：
【化４６６３】
2004500801.tif 003814
これは、アミノ酸配列（配列番号２４５０；ＯＲＦ７２６）に対応する：
【化４６６４】
2004500801.tif 003815
Ｎ．ｍｅｎｉｎｇｉｔｉｄｉｓにおいて、以下の部分ＤＮＡ配列を同定した（配列番号２
４５１）：
【化４６６５】
2004500801.tif 003816
これは、アミノ酸配列（配列番号２４５２；ＯＲＦ７２６．ａ）に対応する：
【化４６６６】
2004500801.tif 003817
【化４６６７】
2004500801.tif 003818
Ｎ．ｍｅｎｉｎｇｉｔｉｄｉｓにおいて、以下の部分ＤＮＡ配列を同定した（配列番号２
４５３）：
【化４６６８】
2004500801.tif 003819
これは、アミノ酸配列（配列番号２４５４；ＯＲＦ７２７）に対応する：
【化４６６９】
2004500801.tif 003820
Ｎ．ｍｅｎｉｎｇｉｔｉｄｉｓにおいて、以下の部分ＤＮＡ配列を同定した（配列番号２
４５５）：
【化４６７０】
2004500801.tif 003821
これは、アミノ酸配列（配列番号２４５６；ＯＲＦ７２７．ａ）に対応する：
【化４６７１】
2004500801.tif 003822
【化４６７２】
2004500801.tif 003823
Ｎ．ｇｏｎｏｒｒｈｏｅａｅにおいて、以下の部分ＤＮＡ配列を同定した（配列番号２４
５７）：
【化４６７３】
2004500801.tif 003824
これは、アミノ酸配列（配列番号２４５８；ＯＲＦ７２８）に対応する（配列番号２４５
８；ＯＲＦ７２８）：
【化４６７４】
2004500801.tif 003825
Ｎ．ｍｅｎｉｎｇｉｔｉｄｉｓにおいて、以下の部分ＤＮＡ配列を同定した（配列番号２
４５９）：
【化４６７５】
2004500801.tif 003826
【化４６７６】
2004500801.tif 003827
これは、アミノ酸配列（配列番号２４６０；ＯＲＦ７２８）に対応する：
【化４６７７】
2004500801.tif 003828
このアミノ酸配列のコンピュータ分析は、以下の結果を導いた：
Ｎ．ｍｅｎｉｎｇｉｔｉｄｉｓ  ｍｅｎＡ  ｗｉｔｈ  ｍｅｎＢ由来の推定ＯＲＦとの相
同性
ＯＲＦ７２８は、Ｎ．ｇｏｎｏｒｒｈｏｅａｅ由来の推定ＯＲＦ（ＯＲＦ７２８．ａ）と
の３７７アミノ酸の重複にわたって、９６．３％の同一性を示す：
【化４６７８】
2004500801.tif 003829
【化４６７９】
2004500801.tif 003830
Ｎ．ｍｅｎｉｎｇｉｔｉｄｉｓにおいて、以下の部分ＤＮＡ配列を同定した（配列番号２
４６１）：
【化４６８０】
2004500801.tif 003831
これは、アミノ酸配列（配列番号２４６２；ＯＲＦ７２８．ａ）に対応する：
【化４６８１】
2004500801.tif 003832
【化４６８２】
2004500801.tif 003833
Ｎ．ｇｏｎｏｒｒｈｏｅａｅにおいて、以下の部分ＤＮＡ配列を同定した（配列番号２４
６３）：
【化４６８３】
2004500801.tif 003834
これは、アミノ酸配列（配列番号２４６４；ＯＲＦ７２９）に対応する：
【化４６８４】
2004500801.tif 003835
【化４６８５】
2004500801.tif 003836
Ｎ．ｍｅｎｉｎｇｉｔｉｄｉｓにおいて、以下の部分ＤＮＡ配列を同定した（配列番号２
４６５）：
【化４６８６】
2004500801.tif 003837
これは、アミノ酸配列（配列番号２４６６；ＯＲＦ７２９）に対応する：
【化４６８７】
2004500801.tif 003838
このアミノ酸配列のコンピュータ分析は、以下の結果を導いた：
Ｎ．ｍｅｎｉｎｇｉｔｉｄｉｓ  ｍｅｎＡ  ｗｉｔｈ  ｍｅｎＢ由来の推定ＯＲＦとの相
同性
ＯＲＦ７２９は、Ｎ．ｇｏｎｏｒｒｈｏｅａｅ由来の推定ＯＲＦ（ＯＲＦ７２９．ａ）と
の４６７アミノ酸の重複にわたって、９５．７％の同一性を示す：
【化４６８８】
2004500801.tif 003839
【化４６８９】
2004500801.tif 003840
Ｎ．ｍｅｎｉｎｇｉｔｉｄｉｓにおいて、以下の部分ＤＮＡ配列を同定した（配列番号２
４６７）：
【化４６９０】
2004500801.tif 003841
【化４６９１】
2004500801.tif 003842
これは、アミノ酸配列（配列番号２４６８；ＯＲＦ７２９．ａ）に対応する：
【化４６９２】
2004500801.tif 003843
【化４６９３】
2004500801.tif 003844
Ｎ．ｇｏｎｏｒｒｈｏｅａｅにおいて、以下の部分ＤＮＡ配列を同定した（配列番号２４
６９）：
【化４６９４】
2004500801.tif 003845
これは、アミノ酸配列（配列番号２４７０；ＯＲＦ７３０．ｎｇ）に対応する：
【化４６９５】
2004500801.tif 003846
Ｎ．ｍｅｎｉｎｇｉｔｉｄｉｓにおいて、以下の部分ＤＮＡ配列を同定した（配列番号２
４７１）：
【化４６９６】
2004500801.tif 003847
【化４６９７】
2004500801.tif 003848
これは、アミノ酸配列（配列番号２４７２；ＯＲＦ７３０）に対応する：
【化４６９８】
2004500801.tif 003849
【化４６９９】
2004500801.tif 003850
Ｎ．ｍｅｎｉｎｇｉｔｉｄｉｓにおいて、以下の部分ＤＮＡ配列を同定した（配列番号２
４７３）：
【化４７００】
2004500801.tif 003851
これは、アミノ酸配列（配列番号２４７４；ＯＲＦ７３０．ａ）に対応する：
【化４７０１】
2004500801.tif 003852
【化４７０２】
2004500801.tif 003853
Ｎ．ｇｏｎｏｒｒｈｏｅａｅにおいて、以下の部分ＤＮＡ配列を同定した（配列番号２４
７５）：
【化４７０３】
2004500801.tif 003854
これは、アミノ酸配列（配列番号２４７６；ＯＲＦ７３１，ｎｇ）に対応する：
【化４７０４】
2004500801.tif 003855
Ｎ．ｍｅｎｉｎｇｉｔｉｄｉｓにおいて、以下の部分ＤＮＡ配列を同定した（配列番号２
４７７）：
【化４７０５】
2004500801.tif 003856
【化４７０６】
2004500801.tif 003857
これは、アミノ酸配列（配列番号２４７８；ＯＲＦ７３１）に対応する：
【化４７０７】
2004500801.tif 003858
Ｎ．ｍｅｎｉｎｇｉｔｉｄｉｓにおいて、以下の部分ＤＮＡ配列を同定した（配列番号２
４７９）：
【化４７０８】
2004500801.tif 003859
これは、アミノ酸配列（配列番号２４８０；ＯＲＦ７３１．ａ）に対応する：
【化４７０９】
2004500801.tif 003860
Ｎ．ｇｏｎｏｒｒｈｏｅａｅにおいて、以下の部分ＤＮＡ配列を同定した（配列番号２４
８１）：
【化４７１０】
2004500801.tif 003861
【化４７１１】
2004500801.tif 003862
これは、アミノ酸配列（配列番号２４８２；ＯＲＦ７３２）に対応する：
【化４７１２】
2004500801.tif 003863
Ｎ．ｍｅｎｉｎｇｉｔｉｄｉｓにおいて、以下の部分ＤＮＡ配列を同定した（配列番号２
４８３）：
【化４７１３】
2004500801.tif 003864
【化４７１４】
2004500801.tif 003865
これは、アミノ酸配列（配列番号２４８４；ＯＲＦ７３２）に対応する：
【化４７１５】
2004500801.tif 003866
このアミノ酸配列のコンピュータ分析は、以下の結果を導いた：
Ｎ．ｍｅｎｉｎｇｉｔｉｄｉｓ  ｍｅｎＡ  ｗｉｔｈ  ｍｅｎＢ由来の推定ＯＲＦとの相
同性
ＯＲＦ７３２は、Ｎ．ｇｏｎｏｒｒｈｏｅａｅ由来の推定ＯＲＦ（ＯＲＦ７３２．ａ）
と４９１アミノ酸の重複にわたって、９８．２％の同一性を示す：
【化４７１６】
2004500801.tif 003867
【化４７１７】
2004500801.tif 003868
Ｎ．ｍｅｎｉｎｇｉｔｉｄｉｓにおいて、以下の部分ＤＮＡ配列を同定した（配列番号２
４８５）：
【化４７１８】
2004500801.tif 003869
これは、アミノ酸配列（配列番号２４８６；ＯＲＦ７３２．ａ）に対応する：
【化４７１９】
2004500801.tif 003870
【化４７２０】
2004500801.tif 003871
Ｎ．ｇｏｎｏｒｒｈｏｅａｅにおいて、以下の部分ＤＮＡ配列を同定した（配列番号２４
８７）：
【化４７２１】
2004500801.tif 003872
【化４７２２】
2004500801.tif 003873
これは、アミノ酸配列（配列番号２４８８；ＯＲＦ７３３）に対応する：
【化４７２３】
2004500801.tif 003874
Ｎ．ｍｅｎｉｎｇｉｔｉｄｉｓにおいて、以下の部分ＤＮＡ配列を同定した（配列番号２
４８９）：
【化４７２４】
2004500801.tif 003875
これは、アミノ酸配列（配列番号２４９０；ＯＲＦ７３３）に対応する：
【化４７２５】
2004500801.tif 003876
このアミノ酸配列のコンピュータ分析は、以下の結果を導いた：
Ｎ．ｍｅｎｉｎｇｉｔｉｄｉｓ  ｍｅｎＡ  ｗｉｔｈ  ｍｅｎＢ由来の推定ＯＲＦとの相
同性
ＯＲＦ７３３は、Ｎ．ｇｏｎｏｒｒｈｏｅａｅ由来の推定ＯＲＦ（ＯＲＦ７３３．ａ）と
の１２３アミノ酸の重複にわたって、９４．３％の同一性を示す：
【化４７２６】
2004500801.tif 003877
Ｎ．ｍｅｎｉｎｇｉｔｉｄｉｓにおいて、以下の部分ＤＮＡ配列を同定した（配列番号２
４９１）：
【化４７２７】
2004500801.tif 003878
これは、アミノ酸配列（配列番号２４９２；ＯＲＦ７３３．ａ）に対応する：
【化４７２８】
2004500801.tif 003879
【化４７２９】
2004500801.tif 003880
Ｎ．ｇｏｎｏｒｒｈｏｅａｅにおいて、以下の部分ＤＮＡ配列を同定した（配列番号２４
９３）：
【化４７３０】
2004500801.tif 003881
これは、アミノ酸配列（配列番号２４９４；ＯＲＦ７３４．ｎｇ）に対応する：
【化４７３１】
2004500801.tif 003882
Ｎ．ｍｅｎｉｎｇｉｔｉｄｉｓにおいて、以下の部分ＤＮＡ配列を同定した（配列番号２
４９５）：
【化４７３２】
2004500801.tif 003883
これは、アミノ酸配列（配列番号２４９６；ＯＲＦ７３４）に対応する：
【化４７３３】
2004500801.tif 003884
【化４７３４】
2004500801.tif 003885
Ｎ．ｍｅｎｉｎｇｉｔｉｄｉｓにおいて、以下の部分ＤＮＡ配列を同定した（配列番号２
４９７）：
【化４７３５】
2004500801.tif 003886
これは、アミノ酸配列（配列番号２４９８；ＯＲＦ７３４．ａ）に対応する：
【化４７３６】
2004500801.tif 003887
Ｎ．ｍｅｎｉｎｇｉｔｉｄｉｓにおいて、以下の部分ＤＮＡ配列を同定した（配列番号２
４９９）：
【化４７３７】
2004500801.tif 003888
【化４７３８】
2004500801.tif 003889
これは、アミノ酸配列（配列番号２５００；ＯＲＦ７３５）に対応する：
【化４７３９】
2004500801.tif 003890
Ｎ．ｍｅｎｉｎｇｉｔｉｄｉｓにおいて、以下の部分ＤＮＡ配列を同定した（配列番号２
５０１）：
【化４７４０】
2004500801.tif 003891
これは、アミノ酸配列（配列番号２５０２；ＯＲＦ７３５．ａ）に対応する：
【化４７４１】
2004500801.tif 003892
Ｎ．ｇｏｎｏｒｒｈｏｅａｅにおいて、以下の部分ＤＮＡ配列を同定した（配列番号２５
０３）：
【化４７４２】
2004500801.tif 003893
【化４７４３】
2004500801.tif 003894
これは、アミノ酸配列（配列番号２５０４；ＯＲＦ７３６）に対応する：
【化４７４４】
2004500801.tif 003895
Ｎ．ｍｅｎｉｎｇｉｔｉｄｉｓにおいて、以下の部分ＤＮＡ配列を同定した（配列番号２
５０５）：
【化４７４５】
2004500801.tif 003896
これは、アミノ酸配列（配列番号２５０６；ＯＲＦ７３６）に対応する：
【化４７４６】
2004500801.tif 003897
このアミノ酸配列のコンピュータ分析は、以下の結果を導いた：
Ｎ．ｍｅｎｉｎｇｉｔｉｄｉｓ  ｍｅｎＡ  ｗｉｔｈ  ｍｅｎＢ由来の推定ＯＲＦとの相
同性
ＯＲＦ７３６は、Ｎ．ｇｏｎｏｒｒｈｏｅａｅ由来の推定ＯＲＦ（ＯＲＦ７３６．ｎｇ）
との２５８アミノ酸の重複にわたって、９７．７％の同一性を示す：
【化４７４７】
2004500801.tif 003898
【化４７４８】
2004500801.tif 003899
Ｎ．ｍｅｎｉｎｇｉｔｉｄｉｓにおいて、以下の部分ＤＮＡ配列を同定した（配列番号２
５０７）：
【化４７４９】
2004500801.tif 003900
これは、アミノ酸配列（配列番号２５０８；ＯＲＦ７３６．ａ）に対応する：
【化４７５０】
2004500801.tif 003901
【化４７５１】
2004500801.tif 003902
Ｎ．ｇｏｎｏｒｒｈｏｅａｅにおいて、以下の部分ＤＮＡ配列を同定した（配列番号２５
０９）：
【化４７５２】
2004500801.tif 003903
これは、アミノ酸配列（配列番号２５１０；ＯＲＦ７３７）に対応する：
【化４７５３】
2004500801.tif 003904
Ｎ．ｍｅｎｉｎｇｉｔｉｄｉｓにおいて、以下の部分ＤＮＡ配列を同定した（配列番号２
５１１）：
【化４７５４】
2004500801.tif 003905
これは、アミノ酸配列（配列番号２５１２；ＯＲＦ７３７）に対応する：
【化４７５５】
2004500801.tif 003906
このアミノ酸配列のコンピュータ分析は、以下の結果を導いた：
Ｎ．ｍｅｎｉｎｇｉｔｉｄｉｓ  ｍｅｎＡ  ｗｉｔｈ  ｍｅｎＢ由来の推定ＯＲＦとの相
同性
ＯＲＦ７３７は、Ｎ．ｇｏｎｏｒｒｈｏｅａｅ由来の推定ＯＲＦ（ＯＲＦ７３７．ａ）と
の１０８アミノ酸の重複にわたって、９５．４％の同一性を示す：
【化４７５６】
2004500801.tif 003907
Ｎ．ｍｅｎｉｎｇｉｔｉｄｉｓにおいて、以下の部分ＤＮＡ配列を同定した（配列番号２
５１３）：
【化４７５７】
2004500801.tif 003908
これは、アミノ酸配列（配列番号２５１４；ＯＲＦ７３７．ａ）に対応する：
【化４７５８】
2004500801.tif 003909
Ｎ．ｇｏｎｏｒｒｈｏｅａｅにおいて、以下の部分ＤＮＡ配列を同定した（配列番号２５
１５）：
【化４７５９】
2004500801.tif 003910
【化４７６０】
2004500801.tif 003911
これは、アミノ酸配列（配列番号２５１６；ＯＲＦ７３８）に対応する：
【化４７６１】
2004500801.tif 003912
Ｎ．ｍｅｎｉｎｇｉｔｉｄｉｓにおいて、以下の部分ＤＮＡ配列を同定した（配列番号２
５１７）：
【化４７６２】
2004500801.tif 003913
これは、アミノ酸配列（配列番号２５１８；ＯＲＦ７３８）に対応する：
【化４７６３】
2004500801.tif 003914
【化４７６４】
2004500801.tif 003915
このアミノ酸配列のコンピュータ分析は、以下の結果を導いた：
Ｎ．ｍｅｎｉｎｇｉｔｉｄｉｓ  ｍｅｎＡ  ｗｉｔｈ  ｍｅｎＢ由来の推定ＯＲＦとの相
同性
ＯＲＦ７３８は、Ｎ．ｇｏｎｏｒｒｈｏｅａｅ由来の推定ＯＲＦ（ＯＲＦ７３８．ａ）と
の６０４アミノ酸の重複にわたって、９５．０％の同一性を示す：
【化４７６５】
2004500801.tif 003916
【化４７６６】
2004500801.tif 003917
Ｎ．ｍｅｎｉｎｇｉｔｉｄｉｓにおいて、以下の部分ＤＮＡ配列を同定した（配列番号２
５１９）：
【化４７６７】
2004500801.tif 003918
これは、アミノ酸配列（配列番号２５２０；ＯＲＦ７３８．ａ）に対応する：
【化４７６８】
2004500801.tif 003919
【化４７６９】
2004500801.tif 003920
【化４７７０】
2004500801.tif 003921
Ｎ．ｇｏｎｏｒｒｈｏｅａｅにおいて、以下の部分ＤＮＡ配列を同定した（配列番号２５
２１）：
【化４７７１】
2004500801.tif 003922
これは、アミノ酸配列（配列番号２５２２；ＯＲＦ７３９）に対応する：
【化４７７２】
2004500801.tif 003923
Ｎ．ｍｅｎｉｎｇｉｔｉｄｉｓにおいて、以下の部分ＤＮＡ配列を同定した（配列番号２
５２３）：
【化４７７３】
2004500801.tif 003924
これは、アミノ酸配列（配列番号２５２４；ＯＲＦ７３９）に対応する：
【化４７７４】
2004500801.tif 003925
このアミノ酸配列のコンピュータ分析は、以下の結果を導いた：
Ｎ．ｍｅｎｉｎｇｉｔｉｄｉｓ  ｍｅｎＡ  ｗｉｔｈ  ｍｅｎＢ由来の推定ＯＲＦとの相
同性
ＯＲＦ７３９は、Ｎ．ｇｏｎｏｒｒｈｏｅａｅ由来の推定ＯＲＦ（ＯＲＦ７３９．ａ）と
の１９７アミノ酸の重複にわたって、８６．３％の同一性を示す：
【化４７７５】
2004500801.tif 003926
【化４７７６】
2004500801.tif 003927
Ｎ．ｍｅｎｉｎｇｉｔｉｄｉｓにおいて、以下の部分ＤＮＡ配列を同定した（配列番号２
５２５）：
【化４７７７】
2004500801.tif 003928
これは、アミノ酸配列（配列番号２５２６；ＯＲＦ７３９．ａ）に対応する：
【化４７７８】
2004500801.tif 003929
【化４７７９】
2004500801.tif 003930
Ｎ．ｇｏｎｏｒｒｈｏｅａｅにおいて、以下の部分ＤＮＡ配列を同定した（配列番号２５
２７）：
【化４７８０】
2004500801.tif 003931
これは、アミノ酸配列（配列番号２５２８；ＯＲＦ７４０．ｎｇ）に対応する：
【化４７８１】
2004500801.tif 003932
Ｎ．ｍｅｎｉｎｇｉｔｉｄｉｓにおいて、以下の部分ＤＮＡ配列を同定した（配列番号２
５２９）：
【化４７８２】
2004500801.tif 003933
これは、アミノ酸配列（配列番号２５３０；ＯＲＦ７４０）に対応する：
【化４７８３】
2004500801.tif 003934
Ｎ．ｍｅｎｉｎｇｉｔｉｄｉｓにおいて、以下の部分ＤＮＡ配列を同定した（配列番号２
５３１）：
【化４７８４】
2004500801.tif 003935
これは、アミノ酸配列（配列番号２５３２；ＯＲＦ７４０．ａ）に対応する：
【化４７８５】
2004500801.tif 003936
【化４７８６】
2004500801.tif 003937
Ｎ．ｇｏｎｏｒｒｈｏｅａｅにおいて、以下の部分ＤＮＡ配列を同定した（配列番号２５
３３）：
【化４７８７】
2004500801.tif 003938
これは、アミノ酸配列（配列番号２５３４；ＯＲＦ７４１．ｎｇ）に対応する：
【化４７８８】
2004500801.tif 003939
Ｎ．ｍｅｎｉｎｇｉｔｉｄｉｓにおいて、以下の部分ＤＮＡ配列を同定した（配列番号２
５３５）：
【化４７８９】
2004500801.tif 003940
これは、アミノ酸配列（配列番号２５３６；ＯＲＦ７４１）に対応する：
【化４７９０】
2004500801.tif 003941
【化４７９１】
2004500801.tif 003942
Ｎ．ｍｅｎｉｎｇｉｔｉｄｉｓにおいて、以下の部分ＤＮＡ配列を同定した（配列番号２
５３７）：
【化４７９２】
2004500801.tif 003943
これは、アミノ酸配列（配列番号２５３８；ＯＲＦ７４１．ａ）に対応する：
【化４７９３】
2004500801.tif 003944
【化４７９４】
2004500801.tif 003945
Ｎ．ｍｅｎｉｎｇｉｔｉｄｉｓにおいて、以下の部分ＤＮＡ配列を同定した（配列番号２
５３９）：
【化４７９５】
2004500801.tif 003946
【化４７９６】
2004500801.tif 003947
これは、アミノ酸配列（配列番号２５４０；ＯＲＦ７４２）に対応する：
【化４７９７】
2004500801.tif 003948
Ｎ．ｍｅｎｉｎｇｉｔｉｄｉｓにおいて、以下の部分ＤＮＡ配列を同定した（配列番号２
５４１）：
【化４７９８】
2004500801.tif 003949
【化４７９９】
2004500801.tif 003950
これは、アミノ酸配列（配列番号２５４２；ＯＲＦ７４２．ａ）に対応する：
【化４８００】
2004500801.tif 003951
【化４８０１】
2004500801.tif 003952
【化４８０２】
2004500801.tif 003953
Ｎ．ｍｅｎｉｎｇｉｔｉｄｉｓにおいて、以下の部分ＤＮＡ配列を同定した（配列番号２
５４３）：
【化４８０３】
2004500801.tif 003954
これは、アミノ酸配列（配列番号２５４４；ＯＲＦ７４３）に対応する：
【化４８０４】
2004500801.tif 003955
Ｎ．ｍｅｎｉｎｇｉｔｉｄｉｓにおいて、以下の部分ＤＮＡ配列を同定した（配列番号２
５４５）：
【化４８０５】
2004500801.tif 003956
【化４８０６】
2004500801.tif 003957
これは、アミノ酸配列（配列番号２５４６；ＯＲＦ７４３．ａ）に対応する：
【化４８０７】
2004500801.tif 003958
Ｎ．ｍｅｎｉｎｇｉｔｉｄｉｓにおいて、以下の部分ＤＮＡ配列を同定した（配列番号２
５４７）：
【化４８０８】
2004500801.tif 003959
【化４８０９】
2004500801.tif 003960
これは、アミノ酸配列（配列番号２５４８；ＯＲＦ７４４）に対応する：
【化４８１０】
2004500801.tif 003961
Ｎ．ｍｅｎｉｎｇｉｔｉｄｉｓにおいて、以下の部分ＤＮＡ配列を同定した（配列番号２
５４９）：
【化４８１１】
2004500801.tif 003962
これは、アミノ酸配列（配列番号２５５０；ＯＲＦ７４５）に対応する：
【化４８１２】
2004500801.tif 003963
Ｎ．ｇｏｎｏｒｒｈｏｅａｅにおいて、以下の部分ＤＮＡ配列を同定した（配列番号２５
５１）：
【化４８１３】
2004500801.tif 003964
【化４８１４】
2004500801.tif 003965
これは、アミノ酸配列（配列番号２５５２；ＯＲＦ７４６．ｎｇ）に対応する：
【化４８１５】
2004500801.tif 003966
Ｎ．ｍｅｎｉｎｇｉｔｉｄｉｓにおいて、以下の部分ＤＮＡ配列を同定した（配列番号２
５５３）：
【化４８１６】
2004500801.tif 003967
これは、アミノ酸配列（配列番号２５５４；ＯＲＦ７４６）に対応する：
【化４８１７】
2004500801.tif 003968
このアミノ酸配列のコンピュータ分析は、以下の結果を導いた：
Ｎ．ｇｏｎｏｒｒｈｏｅａｅ由来の推定ＯＲＦとの相同性
ＯＲＦ７４６は、Ｎ．ｇｏｎｏｒｒｈｏｅａｅ由来の推定ＯＲＦ（ＯＲＦ７４６）との３
４６アミノ酸の重複にわたって、８９．９％の同一性を示す：
【化４８１８】
2004500801.tif 003969
【化４８１９】
2004500801.tif 003970
Ｎ．ｍｅｎｉｎｇｉｔｉｄｉｓにおいて、以下の部分ＤＮＡ配列を同定した（配列番号２
５５５）：
【化４８２０】
2004500801.tif 003971
これは、アミノ酸配列（配列番号２５５６；ＯＲＦ７４６．ａ）に対応する：
【化４８２１】
2004500801.tif 003972
このアミノ酸配列のコンピュータ分析は、以下の結果を導いた：
Ｎ．ｍｅｎｉｎｇｉｔｉｄｉｓ由来の推定ＯＲＦとの相同性
ＯＲＦ７４６は、Ｎ．ｍｅｎｉｎｇｉｔｉｄｉｓ由来の推定ＯＲＦ（ＯＲＦ７４６）との
３３２アミノ酸の重複にわたって、９９．７％の同一性を示す：
【化４８２２】
2004500801.tif 003973
【化４８２３】
2004500801.tif 003974
Ｎ．ｍｅｎｉｎｇｉｔｉｄｉｓにおいて、以下の部分ＤＮＡ配列を同定した（配列番号２
５５７）：
【化４８２４】
2004500801.tif 003975
これは、アミノ酸配列（配列番号２５５８；ＯＲＦ７４７）に対応する：
【化４８２５】
2004500801.tif 003976
Ｎ．ｍｅｎｉｎｇｉｔｉｄｉｓにおいて、以下の部分ＤＮＡ配列を同定した（配列番号２
５５９）：
【化４８２６】
2004500801.tif 003977
これは、アミノ酸配列（配列番号２５６０；ＯＲＦ７４７．ａ）に対応する：
【化４８２７】
2004500801.tif 003978
このアミノ酸配列のコンピュータ分析は、以下の結果を導いた：
Ｎ．ｍｅｎｉｎｇｉｔｉｄｉｓ由来の推定ＯＲＦとの相同性
ＯＲＦ７４７は、Ｎ．ｍｅｎｉｎｇｉｔｉｄｉｓ由来の推定ＯＲＦ（ＯＲＦ７４６）との
１０２アミノ酸の重複にわたって、９７．１％の同一性を示す：
【化４８２８】
2004500801.tif 003979
Ｎ．ｇｏｎｏｒｒｈｏｅａｅにおいて、以下の部分ＤＮＡ配列を同定した（配列番号２５
６１）：
【化４８２９】
2004500801.tif 003980
これは、アミノ酸配列（配列番号２５６２；ＯＲＦ７４８．ｎｇ）に対応する：
【化４８３０】
2004500801.tif 003981
【化４８３１】
2004500801.tif 003982
Ｎ．ｍｅｎｉｎｇｉｔｉｄｉｓにおいて、以下の部分ＤＮＡ配列を同定した（配列番号２
５６３）：
【化４８３２】
2004500801.tif 003983
これは、アミノ酸配列（配列番号２５６４；ＯＲＦ７４８）に対応する：
【化４８３３】
2004500801.tif 003984
このアミノ酸配列のコンピュータ分析は、以下の結果を導いた：
Ｎ．ｇｏｎｏｒｒｈｏｅａｅ由来の推定ＯＲＦとの相同性
ＯＲＦ７４８は、Ｎ．ｇｏｎｏｒｒｈｏｅａｅ由来の推定ＯＲＦ（ＯＲＦ７４８）との４
２１アミノ酸の重複にわたって、９５．０％の同一性を示す：
【化４８３４】
2004500801.tif 003985
【化４８３５】
2004500801.tif 003986
Ｎ．ｍｅｎｉｎｇｉｔｉｄｉｓにおいて、以下の部分ＤＮＡ配列を同定した（配列番号２
５６５）：
【化４８３６】
2004500801.tif 003987
これは、アミノ酸配列（配列番号２５６６；ＯＲＦ７４８．ａ）に対応する；
【化４８３７】
2004500801.tif 003988
このアミノ酸配列のコンピュータ分析は、以下の結果を導いた：
Ｎ．ｍｅｎｉｎｇｉｔｉｄｉｓ由来の推定ＯＲＦとの相同性
ＯＲＦ７４８は、Ｎ．ｍｅｎｉｎｇｉｔｉｄｉｓ由来の推定ＯＲＦ（ＯＲＦ７４８）との
４２１アミノ酸の重複にわたって、９９．０％の同一性を示す：
【化４８３８】
2004500801.tif 003989
Ｎ．ｇｏｎｏｒｒｈｏｅａｅにおいて、以下の部分ＤＮＡ配列を同定した（配列番号２５
６７）：
【化４８３９】
2004500801.tif 003990
【化４８４０】
2004500801.tif 003991
これは、アミノ酸配列（配列番号２５６８；ＯＲＦ７４９．ｎｇ）に対応する：
【化４８４１】
2004500801.tif 003992
Ｎ．ｍｅｎｉｎｇｉｔｉｄｉｓにおいて、以下の部分ＤＮＡ配列を同定した（配列番号２
５６９）；
【化４８４２】
2004500801.tif 003993
これは、アミノ酸配列（配列番号２５７０；ＯＲＦ７４９）に対応する：
【化４８４３】
2004500801.tif 003994
このアミノ酸配列のコンピュータ分析は、以下の結果を導いた：
Ｎ．ｇｏｎｏｒｒｈｏｅａｅ由来の推定ＯＲＦとの相同性
ＯＲＦ７４９は、Ｎ．ｇｏｎｏｒｒｈｏｅａｅ由来の推定ＯＲＦ（ＯＲＦ７４９）との３
８８アミノ酸の重複にわたって、９６．１％の同一性を示す：
【化４８４４】
2004500801.tif 003995
【化４８４５】
2004500801.tif 003996
Ｎ．ｍｅｎｉｎｇｉｔｉｄｉｓにおいて、以下の部分ＤＮＡ配列を同定した（配列番号２
５７１）：
【化４８４６】
2004500801.tif 003997
これは、アミノ酸配列（配列番号２５７２；ＯＲＦ７４９．ａ）に対応する：
【化４８４７】
2004500801.tif 003998
【化４８４８】
2004500801.tif 003999
このアミノ酸配列のコンピュータ分析は、以下の結果を導いた：
Ｎ．ｍｅｎｉｎｇｉｔｉｄｉｓ由来の推定ＯＲＦとの相同性
ＯＲＦ７４９は、Ｎ．ｍｅｎｉｎｇｉｔｉｄｉｓ由来の推定ＯＲＦ（ＯＲＦ７４９）との
３８８アミノ酸の重複にわたって、９９．７％の同一性を示す：
【化４８４９】
2004500801.tif 004000
Ｎ．ｇｏｎｏｒｒｈｏｅａｅにおいて、以下の部分ＤＮＡ配列を同定した（配列番号２５
７３）：
【化４８５０】
2004500801.tif 004001
【化４８５１】
2004500801.tif 004002
これは、アミノ酸配列（配列番号２５７４；ＯＲＦ７５０．ｎｇ）に対応する：
【化４８５２】
2004500801.tif 004003
Ｎ．ｍｅｎｉｎｇｉｔｉｄｉｓにおいて、以下の部分ＤＮＡ配列を同定した（配列番号２
５７５）：
【化４８５３】
2004500801.tif 004004
これは、アミノ酸配列（配列番号２５７６；ＯＲＦ７５０）に対応する：
【化４８５４】
2004500801.tif 004005
このアミノ酸配列のコンピュータ分析は、以下の結果を導いた：
Ｎ．ｇｏｎｏｒｒｈｏｅａｅ由来の推定ＯＲＦとの相同性
ＯＲＦ７５０は、Ｎ．ｇｏｎｏｒｒｈｏｅａｅ由来の推定ＯＲＦ（ＯＲＦ７５０）との３
２２アミノ酸の重複にわたって、９３．８％の同一性を示す：
【化４８５５】
2004500801.tif 004006
【化４８５６】
2004500801.tif 004007
Ｎ．ｍｅｎｉｎｇｉｔｉｄｉｓにおいて、以下の部分ＤＮＡ配列を同定した（配列番号２
５７７）：
【化４８５７】
2004500801.tif 004008
これは、アミノ酸配列（配列番号２５７８；ＯＲＦ７５０．ａ）に対応する：
【化４８５８】
2004500801.tif 004009
このアミノ酸配列のコンピュータ分析は、以下の結果を導いた：
Ｎ．ｍｅｎｉｎｇｉｔｉｄｉｓ由来の推定ＯＲＦとの相同性
ＯＲＦ７５０は、Ｎ．ｇｏｎｏｒｒｈｏｅａｅ由来の推定ＯＲＦ（ＯＲＦ７５０）との３
２１アミノ酸の重複にわたって、９８．８％の同一性を示す：
【化４８５９】
2004500801.tif 004010
【化４８６０】
2004500801.tif 004011
Ｎ．ｍｅｎｉｎｇｉｔｉｄｉｓにおいて、以下の部分ＤＮＡ配列を同定した（配列番号２
５７９）：
【化４８６１】
2004500801.tif 004012
これは、アミノ酸配列（配列番号２５８０；ＯＲＦ７５１）に対応する：
【化４８６２】
2004500801.tif 004013
【化４８６３】
2004500801.tif 004014
Ｎ．ｍｅｎｉｎｇｉｔｉｄｉｓにおいて、以下の部分ＤＮＡ配列を同定した（配列番号２
５８１）：
【化４８６４】
2004500801.tif 004015
これは、アミノ酸配列（配列番号２５８２；ＯＲＦ７５２）に対応する：
【化４８６５】
2004500801.tif 004016
Ｎ．ｍｅｎｉｎｇｉｔｉｄｉｓにおいて、以下の部分ＤＮＡ配列を同定した（配列番号２
５８３）：
【化４８６６】
2004500801.tif 004017
【化４８６７】
2004500801.tif 004018
これは、アミノ酸配列（配列番号２５８４；ＯＲＦ７５２−１）に対応する：
【化４８６８】
2004500801.tif 004019
Ｎ．ｍｅｎｉｎｇｉｔｉｄｉｓにおいて、以下の部分ＤＮＡ配列を同定した（配列番号２
５８５）：
【化４８６９】
2004500801.tif 004020
これは、アミノ酸配列（配列番号２５８６；ＯＲＦ７５３）に対応する：
【化４８７０】
2004500801.tif 004021
【化４８７１】
2004500801.tif 004022
Ｎ．ｍｅｎｉｎｇｉｔｉｄｉｓにおいて、以下の部分ＤＮＡ配列を同定した（配列番号２
５８７）：
【化４８７２】
2004500801.tif 004023
これは、アミノ酸配列（配列番号２５８８；ＯＲＦ７５４）に対応する：
【化４８７３】
2004500801.tif 004024
Ｎ．ｍｅｎｉｎｇｉｔｉｄｉｓにおいて、以下の部分ＤＮＡ配列を同定した（配列番号２
５８９）：
【化４８７４】
2004500801.tif 004025
これは、アミノ酸配列（配列番号２５９０；ＯＲＦ７５５）に対応する：
【化４８７５】
2004500801.tif 004026
Ｎ．ｍｅｎｉｎｇｉｔｉｄｉｓにおいて、以下の部分ＤＮＡ配列を同定した（配列番号２
５９１）：
【化４８７６】
2004500801.tif 004027
これは、アミノ酸配列（配列番号２５９２；ＯＲＦ７５６）に対応する：
【化４８７７】
2004500801.tif 004028
Ｎ．ｍｅｎｉｎｇｉｔｉｄｉｓにおいて、以下の部分ＤＮＡ配列を同定した（配列番号２
５９３）：
【化４８７８】
2004500801.tif 004029
これは、アミノ酸配列（配列番号２５９４；ＯＲＦ７５６．ａ）に対応する：
【化４８７９】
2004500801.tif 004030
【化４８８０】
2004500801.tif 004031
Ｎ．ｍｅｎｉｎｇｉｔｉｄｉｓにおいて、以下の部分ＤＮＡ配列を同定した（配列番号２
５９５）：
【化４８８１】
2004500801.tif 004032
これは、アミノ酸配列（配列番号２５９６；ＯＲＦ７５７）に対応する：
【化４８８２】
20㐰〵㠰㄰琮晩ꃂ〰〴㌳⼼㹡⼼䥄㹖ਊ볯躼뷯薽뷯覽뷯螽뷯钽뷯蒽뷯鎽臣誁臣ꚁ胣ꖻ룤꺁菩蚈볯꺼볯超裥銂郥骮臣龁볯超裥ꪕ迥銼戼㹲閼볯鞼볯骼戼㹲㰊䥄㹖胣隌볯颼볯鎼胣㲑䐯噉ਾ䐼噉㰾⁡牨晥∽〲㐰〵㠰㄰琮晩㸢〲㐰〵㠰㄰琮晩ꃂ〰〴㐳⼼㹡⼼䥄㹖ਊ臣貂臣膀苣龃菣뢅藩鞈볯超裥ꪕ迥銼볯馼볯鮼볯늼볯鞼볯颼볯ꮁ꿥鲿臣讂볯㲚牢ਾ䐼噉邀賥钼볯颼볯醀⼼䥄㹖㰊䥄㹖愼栠敲㵦㈢〰㔴〰〸⸱楴≦㈾〰㔴〰〸⸱楴쉦゠㐰㌰㰵愯㰾䐯噉ਾ꺼볯趽뷯躽뷯躽뷯覽뷯覽뷯覽뷯ꮁ臣蒁臣膀믤许臣ꢃ裥꒼볯ꆼ藩鞈苣貐껥鞁臣袼藩鞈闧랏볯㲒牢ਾ볯馼볯覼볯㲚牢ਾ䐼噉邀賥钼볯颼볯醀⼼䥄㹖㰊䥄㹖愼栠敲㵦㈢〰㔴〰〸⸱楴≦㈾〰㔴〰〸⸱楴쉦゠㐰㌰㰶愯㰾䐯噉ਾ鎁苣꾁胣ꊂ菣躃藩超裥袼藩鞈闧랏볯隼볯邼볯꾼볯ꚼ볯閼볯躼뷯覼臣뺯뿥馁苣骼戼㹲㰊䥄㹖胣隌볯颼볯隼胣㲑䐯噉ਾ䐼噉㰾⁡牨晥∽〲㐰〵㠰㄰琮晩㸢〲㐰〵㠰㄰琮晩ꃂ〰〴㜳⼼㹡⼼䥄㹖ਊ볯躼뷯薽뷯覽뷯螽뷯钽뷯蒽뷯鎽臣誁臣ꚁ胣ꖻ룤꺁菩蚈볯꺼볯超裥銂郥骮臣龁볯超裥ꪕ迥銼戼㹲隼볯醼볯骼戼㹲㰊䥄㹖胣隌볯颼볯鞼胣㲑䐯噉ਾ䐼噉㰾⁡牨晥∽〲㐰〵㠰㄰琮晩㸢〲㐰〵㠰㄰琮晩ꃂ〰〴㠳⼼㹡⼼䥄㹖ਊ䐼噉邀賥钼볯颼볯醀⼼䥄㹖㰊䥄㹖愼栠敲㵦㈢〰㔴〰〸⸱楴≦㈾〰㔴〰〸⸱楴쉦゠㐰㌰㰹愯㰾䐯噉ਾ㰊䥄㹖胣隌볯颼볯馼胣㲑䐯噉ਾ䐼噉㰾⁡牨晥∽〲㐰〵㠰㄰琮晩㸢〲㐰〵㠰㄰琮晩ꃂ〰〴〴⼼㹡⼼䥄㹖ਊ臣貂臣膀苣龃菣뢅藩鞈볯超裥ꪕ迥銼볯邼볯鮼볯늼볯鞼볯馼볯ꮁ꿥鲿臣讂볯㲚牢ਾ䐼噉邀賥钼볯馼볯醀⼼䥄㹖㰊䥄㹖愼栠敲㵦㈢〰㔴〰〸⸱楴≦㈾〰㔴〰〸⸱楴쉦゠㐰㐰㰱愯㰾䐯噉ਾ꺼볯螽뷯躽뷯銽뷯袽뷯薽뷯薽臣誁臣ꚁ胣ꖻ룤꺁菩蚈볯꺼볯超裥銂郥骮臣龁볯超裥ꪕ迥銼볯㲖牢ਾ볯鎼볯骼戼㹲㰊䥄㹖胣隌볯颼볯醼胣㲑䐯噉ਾ䐼噉㰾⁡牨晥∽〲㐰〵㠰㄰琮晩㸢〲㐰〵㠰㄰琮晩ꃂ〰〴㈴⼼㹡⼼䥄㹖ਊ臣貂臣膀苣龃菣뢅藩鞈볯超裥ꪕ迥銼볯邼볯鮼볯늼볯鞼볯邼볯躽뷯覼臣뺯뿥馁苣骼戼㹲㰊䥄㹖胣隌볯颼볯銼胣㲑䐯噉ਾ䐼噉㰾⁡牨晥∽〲㐰〵㠰㄰琮晩㸢〲㐰〵㠰㄰琮晩ꃂ〰〴㌴⼼㹡⼼䥄㹖ਊ볯躼뷯薽뷯覽뷯螽뷯钽뷯蒽뷯鎽臣誁臣ꚁ胣ꖻ룤꺁菩蚈볯꺼볯超裥銂郥骮臣龁볯超裥ꪕ迥銼戼㹲隼볯閼볯骼戼㹲㰊䥄㹖胣隌볯颼볯鎼胣㲑䐯噉ਾ䐼噉㰾⁡牨晥∽〲㐰〵㠰㄰琮晩㸢〲㐰〵㠰㄰琮晩ꃂ〰〴㐴⼼㹡⼼䥄㹖ਊ臣貂臣膀苣龃菣뢅藩鞈볯超裥ꪕ迥銼볯邼볯鮼볯늼볯鞼볯邼볯ꮁ꿥鲿臣讂볯㲚牢ਾ䐼噉邀賥钼볯馼볯醀⼼䥄㹖㰊䥄㹖愼栠敲㵦㈢〰㔴〰〸⸱楴≦㈾〰㔴〰〸⸱楴쉦゠㐰㐰㰵愯㰾䐯噉ਾ㰊䥄㹖胣隌볯颼볯閼胣㲑䐯噉ਾ䐼噉㰾⁡牨晥∽〲㐰〵㠰㄰琮晩㸢〲㐰〵㠰㄰琮晩ꃂ〰〴㘴⼼㹡⼼䥄㹖ਊ볯躼뷯薽뷯覽뷯螽뷯钽뷯蒽뷯鎽臣誁臣ꚁ胣ꖻ룤꺁菩蚈볯꺼볯超裥銂郥骮臣龁볯超裥ꪕ迥銼戼㹲隼볯鞼볯骼戼㹲㰊䥄㹖胣隌볯颼볯隼胣㲑䐯噉ਾ���噉㰾⁡牨晥∽〲㐰〵㠰㄰琮晩㸢〲㐰〵㠰㄰琮晩ꃂ〰〴㜴⼼㹡⼼䥄㹖ਊ䐼噉邀賥钼볯馼볯醀⼼䥄㹖㰊䥄㹖愼栠敲㵦㈢〰㔴〰〸⸱楴≦㈾〰㔴〰〸⸱楴쉦゠㐰㐰㰸愯㰾䐯噉ਾ 鎁苣꾁胣ꊂ菣躃藩超裥袼藩鞈闧랏볯隼볯颼볯꾼볯ꚼ볯隼볯覼臣뺯뿥馁苣骼戼㹲㰊䥄㹖胣隌볯颼볯颼胣㲑䐯噉ਾ䐼噉㰾⁡牨晥∽〲㐰〵㠰㄰琮晩㸢〲㐰〵㠰㄰琮晩ꃂ〰〴㤴⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯馼볯骼戼㹲㰊䥄㹖胣隌볯颼볯馼胣㲑䐯噉ਾ䐼噉㰾⁡牨晥∽〲㐰〵㠰㄰琮晩㸢〲㐰〵㠰㄰琮晩ꃂ〰〴〵⼼㹡⼼䥄㹖ਊ䐼噉邀賥钼볯邼볯醀⼼䥄㹖㰊䥄㹖愼栠敲㵦㈢〰㔴〰〸⸱楴≦㈾〰㔴〰〸⸱楴쉦゠㐰㔰㰱愯㰾䐯噉ਾ 鎁苣꾁胣ꊂ菣躃藩超裥袼藩鞈闧랏볯隼볯邼볯꾼볯ꚼ볯隼볯躼뷯覼臣뺯뿥馁苣骼戼㹲㰊䥄㹖胣隌볯馼볯醼胣㲑䐯噉ਾ䐼噉㰾⁡牨晥∽〲㐰〵㠰㄰琮晩㸢〲㐰〵㠰㄰琮晩ꃂ〰〴㈵⼼㹡⼼䥄㹖ਊ䐼噉邀賥钼볯邼볯醀⼼䥄㹖㰊䥄㹖愼栠敲㵦㈢〰㔴〰〸⸱楴≦㈾〰㔴〰〸⸱楴쉦゠㐰㔰㰳愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯醼볯覼볯㲚牢ਾ䐼噉邀賥钼볯邼볯醀⼼䥄㹖㰊䥄㹖愼栠敲㵦㈢〰㔴〰〸⸱楴≦㈾〰㔴〰〸⸱楴쉦゠㐰㔰㰴愯㰾䐯噉ਾ 鎁苣꾁胣ꊂ菣躃藩超裥袼藩鞈闧랏볯隼볯銼볯꾼볯ꚼ볯隼볯覼臣뺯뿥馁苣骼戼㹲㰊䥄㹖胣隌볯馼볯钼胣㲑䐯噉ਾ䐼噉㰾⁡牨晥∽〲㐰〵㠰㄰琮晩㸢〲㐰〵㠰㄰琮晩ꃂ〰〴㔵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯鎼볯骼戼㹲㰊䥄㹖胣隌볯馼볯閼胣㲑䐯噉ਾ䐼噉㰾⁡牨晥∽〲㐰〵㠰㄰琮晩㸢〲㐰〵㠰㄰琮晩ꃂ〰〴㘵⼼㹡⼼䥄㹖ਊ䐼噉邀賥钼볯邼볯醀⼼䥄㹖㰊䥄㹖愼栠敲㵦㈢〰㔴〰〸⸱楴≦㈾〰㔴〰〸⸱楴쉦゠㐰㔰㰷愯㰾䐯噉ਾ 鎁苣꾁胣ꊂ菣躃藩超裥袼藩鞈闧랏볯隼볯钼볯꾼볯ꚼ볯隼볯躼뷯覼臣뺯뿥馁苣骼戼㹲㰊䥄㹖胣隌볯馼볯鞼胣㲑䐯噉ਾ䐼噉㰾⁡牨晥∽〲㐰〵㠰㄰琮晩㸢〲㐰〵㠰㄰琮晩ꃂ〰〴㠵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯閼볯骼戼㹲㰊䥄㹖胣隌볯馼볯颼胣㲑䐯噉ਾ䐼噉㰾⁡牨晥∽〲㐰〵㠰㄰琮晩㸢〲㐰〵㠰㄰琮晩ꃂ〰〴㤵⼼㹡⼼䥄㹖ਊ†臣貂臣膀苣龃菣뢅藩鞈볯超裥ꪕ迥銼볯醼볯鮼볯늼볯鞼볯鎼볯ꮁ꿥鲿臣讂볯㲚牢ਾ䐼噉邀賥钼볯邼볯醀⼼䥄㹖㰊䥄㹖愼栠敲㵦㈢〰㔴〰〸⸱楴≦㈾〰㔴〰〸⸱楴쉦゠㐰㘰㰰愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯醼볯覼볯㲚牢ਾ䐼噉邀賥钼볯醼볯醀⼼䥄㹖㰊䥄㹖愼栠敲㵦㈢〰㔴〰〸⸱楴≦㈾〰㔴〰〸⸱楴쉦゠㐰㘰㰱愯㰾䐯噉ਾ 鎁苣꾁胣ꊂ菣躃藩超裥���袼藩鞈闧랏볯隼볯颼볯꾼볯ꚼ볯隼볯躼뷯覼臣뺯뿥馁苣骼戼㹲㰊䥄㹖胣隌볯馼볯醼胣㲑䐯噉ਾ䐼噉㰾⁡牨晥∽〲㐰〵㠰㄰琮晩㸢〲㐰〵㠰㄰琮晩ꃂ〰〴㈶⼼㹡⼼䥄㹖ਊ䐼噉邀賥钼볯醼볯醀⼼䥄㹖㰊䥄㹖愼栠敲㵦㈢〰㔴〰〸⸱楴≦㈾〰㔴〰〸⸱楴쉦゠㐰㘰㰳愯㰾䐯噉ਾ㰊䥄㹖胣隌볯馼볯鎼胣㲑䐯噉ਾ䐼噉㰾⁡牨晥∽〲㐰〵㠰㄰琮晩㸢〲㐰〵㠰㄰琮晩ꃂ〰〴㐶⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯馼볯骼戼㹲㰊䥄㹖胣隌볯馼볯钼胣㲑䐯噉ਾ䐼噉㰾⁡牨晥∽〲㐰〵㠰㄰琮晩㸢〲㐰〵㠰㄰琮晩ꃂ〰〴㔶⼼㹡⼼䥄㹖ਊ†臣貂臣膀苣龃菣뢅藩鞈볯超裥ꪕ迥銼볯銼볯鮼볯늼볯鞼볯钼볯ꮁ꿥鲿臣讂볯㲚牢ਾ䐼噉邀賥钼볯醼볯醀⼼䥄㹖㰊䥄㹖愼栠敲㵦㈢〰㔴〰〸⸱楴≦㈾〰㔴〰〸⸱楴쉦゠㐰㘰㰶愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯銼볯覼볯㲚牢ਾ䐼噉邀賥钼볯醼볯醀⼼䥄㹖㰊䥄㹖愼栠敲㵦㈢〰㔴〰〸⸱楴≦㈾〰㔴〰〸⸱楴쉦゠㐰㘰㰷愯㰾䐯噉ਾ㰊䥄㹖胣隌볯馼볯鞼胣㲑䐯噉ਾ䐼噉㰾⁡牨晥∽〲㐰〵㠰㄰琮晩㸢〲㐰〵㠰㄰琮晩ꃂ〰〴㠶⼼㹡⼼䥄㹖ਊ†臣貂臣膀苣龃菣뢅藩鞈볯超裥ꪕ迥銼볯銼볯鮼볯늼볯鞼볯钼볯膽볯ꮁ꿥鲿臣讂볯㲚牢ਾ䐼噉邀賥钼볯醼볯醀⼼䥄㹖㰊䥄㹖愼栠敲㵦㈢〰㔴〰〸⸱楴≦㈾〰㔴〰〸⸱楴쉦゠㐰㘰㰹愯㰾䐯噉ਾ㰊䥄㹖胣隌볯馼볯馼胣㲑䐯噉ਾ䐼噉㰾⁡牨晥∽〲㐰〵㠰㄰琮晩㸢〲㐰〵㠰㄰琮晩ꃂ〰〴〷⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯鎼볯骼戼㹲㰊䥄㹖胣隌볯馼볯馼뷯醀⼼䥄㹖㰊䥄㹖愼栠敲㵦㈢〰㔴〰〸⸱楴≦㈾〰㔴〰〸⸱楴쉦゠㐰㜰㰱愯㰾䐯噉ਾ 鎁苣꾁胣ꊂ菣躃藩超裥袼藩鞈闧랏볯隼볯钼볯꾼볯ꚼ볯隼볯覼臣뺯뿥馁苣骼戼㹲㰊䥄㹖胣隌볯馼볯邼胣㲑䐯噉ਾ䐼噉㰾⁡牨晥∽〲㐰〵㠰㄰琮晩㸢〲㐰〵㠰㄰琮晩ꃂ〰〴㈷⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯閼볯骼戼㹲㰊䥄㹖胣隌볯馼볯醼胣㲑䐯噉ਾ䐼噉㰾⁡牨晥∽〲㐰〵㠰㄰琮晩㸢〲㐰〵㠰㄰琮晩ꃂ〰〴㌷⼼㹡⼼䥄㹖ਊ臣貂臣膀苣龃菣뢅藩鞈볯超裥ꪕ迥銼볯銼볯鮼볯늼볯鞼볯閼볯膽볯ꮁ꿥鲿臣讂볯㲚牢ਾ䐼噉邀賥钼볯銼볯醀⼼䥄㹖㰊䥄㹖愼栠敲㵦㈢〰㔴〰〸⸱楴≦㈾〰㔴〰〸⸱楴쉦゠㐰㜰㰴愯㰾䐯噉ਾ㰊䥄㹖胣隌볯馼볯鎼胣㲑䐯噉ਾ䐼噉㰾⁡牨晥∽〲㐰〵㠰㄰琮晩㸢〲㐰〵㠰㄰琮晩ꃂ〰〴㔷⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯薽뷯覽뷯螽뷯钽뷯蒽뷯鎽铧ꖝ臣袺룦閁苣讂볯늼볯ꢁ臣뢛郥Ꞁ戼㹲꾼볯ꚼ볯隼볯꾁胣꺼볯趽뷯躽뷯躽뷯覽뷯覽뷯覽뷯놔鷦꺁볯늼볯袼볯���늼볯鞼볯閼볯ꢁ볯邼볯㲙牢ਾ苣龃菣뢅臣ꪂ菣邃菣ꦃ菣鞃臣辂臣ꎁ臣膀볯隼볯醼볯薼臣貐룤Ꞁ苣몤臣骼戼㹲㰊䥄㹖胣隌볯馼볯钼胣㲑䐯噉ਾ䐼噉㰾⁡牨晥∽〲㐰〵㠰㄰琮晩㸢〲㐰〵㠰㄰琮晩ꃂ〰〴㘷⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯銼볯覼볯㲚牢ਾ䐼噉邀賥钼볯銼볯醀⼼䥄㹖㰊䥄㹖愼栠敲㵦㈢〰㔴〰〸⸱楴≦㈾〰㔴〰〸⸱楴쉦゠㐰㜰㰷愯㰾䐯噉ਾ 鎁苣꾁胣ꊂ菣躃藩超裥袼藩鞈闧랏볯隼볯颼볯꾼볯ꚼ볯隼볯躼뷯螽볯ꮁ꿥鲿臣讂볯㲚牢ਾ䐼噉邀賥钼볯銼볯醀⼼䥄㹖㰊䥄㹖愼栠敲㵦㈢〰㔴〰〸⸱楴≦㈾〰㔴〰〸⸱楴쉦゠㐰㜰㰸愯㰾䐯噉ਾ㰊䥄㹖胣隌볯馼볯鞼胣㲑䐯噉ਾ䐼噉㰾⁡牨晥∽〲㐰〵㠰㄰琮晩㸢〲㐰〵㠰㄰琮晩ꃂ〰〴㤷⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯馼볯骼戼㹲㰊䥄㹖胣隌볯馼볯颼胣㲑䐯噉ਾ䐼噉㰾⁡牨晥∽〲㐰〵㠰㄰琮晩㸢〲㐰〵㠰㄰琮晩ꃂ〰〴〸⼼㹡⼼䥄㹖ਊ†臣貂臣膀苣龃菣뢅藩鞈볯超裥ꪕ迥銼볯鎼볯鮼볯늼볯鞼볯鞼볯ꮁ꿥鲿臣讂볯㲚牢ਾ䐼噉邀賥钼볯銼볯醀⼼䥄㹖㰊䥄㹖愼栠敲㵦㈢〰㔴〰〸⸱楴≦㈾〰㔴〰〸⸱楴쉦゠㐰㠰㰱愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯隼볯꾁胣꺼볯螽뷯躽뷯銽뷯袽뷯薽뷯薽铧ꖝ臣꾼볯ꚼ볯꾼볯ꚼ볯隼볯覼臣銼볯钼苣㲢牢ਾ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯馼볯邼胣㲑䐯噉ਾ䐼噉㰾⁡牨晥∽〲㐰〵㠰㄰琮晩㸢〲㐰〵㠰㄰琮晩ꃂ〰〴㈸⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯醼볯骼戼㹲㰊䥄㹖胣隌볯馼볯醼胣㲑䐯噉ਾ䐼噉㰾⁡牨晥∽〲㐰〵㠰㄰琮晩㸢〲㐰〵㠰㄰琮晩ꃂ〰〴㌸⼼㹡⼼䥄㹖ਊ䐼噉邀賥钼볯鎼볯醀⼼䥄㹖㰊䥄㹖愼栠敲㵦㈢〰㔴〰〸⸱楴≦㈾〰㔴〰〸⸱楴쉦゠㐰㠰㰴愯㰾䐯噉ਾ 鎁苣꾁胣ꊂ菣躃藩超裥袼藩鞈闧랏볯隼볯銼볯꾼볯ꚼ볯隼볯躼뷯覼臣뺯뿥馁苣骼戼㹲㰊䥄㹖胣隌볯馼볯鎼胣㲑䐯噉ਾ䐼噉㰾⁡牨晥∽〲㐰〵㠰㄰琮晩㸢〲㐰〵㠰㄰琮晩ꃂ〰〴㔸⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯薽뷯覽뷯螽뷯钽뷯蒽뷯鎽铧ꖝ臣袺룦閁苣讂볯늼볯ꢁ臣뢛郥Ꞁ戼㹲꾼볯ꚼ볯隼볯꾁胣꺼볯趽뷯躽뷯躽뷯覽뷯覽뷯覽뷯놔鷦꺁볯늼볯袼볯늼볯鞼볯鞼볯ꢁ볯醼볯㲔牢ਾ苣龃菣뢅臣ꪂ菣邃菣ꦃ菣鞃臣辂臣ꎁ臣膀볯隼볯鞼볯꺁郥肸胦銂ꓧ馁볯㲚牢ਾ䐼噉邀賥钼볯鎼볯醀⼼䥄㹖㰊䥄㹖愼栠敲㵦㈢〰㔴〰〸⸱���≦㈾〰㔴〰〸⸱楴쉦゠㐰㠰㰶愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲隼볯鎼볯骼戼㹲㰊䥄㹖胣隌볯馼볯閼胣㲑䐯噉ਾ䐼噉㰾⁡牨晥∽〲㐰〵㠰㄰琮晩㸢〲㐰〵㠰㄰琮晩ꃂ〰〴㜸⼼㹡⼼䥄㹖ਊ†臣貂臣膀苣龃菣뢅藩鞈볯超裥ꪕ迥銼볯鎼볯鮼볯늼볯鞼볯颼볯躽뷯覼臣뺯뿥馁苣骼戼㹲㰊䥄㹖胣隌볯馼볯隼胣㲑䐯噉ਾ䐼噉㰾⁡牨晥∽〲㐰〵㠰㄰琮晩㸢〲㐰〵㠰㄰琮晩ꃂ〰〴㠸⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯閼볯骼戼㹲㰊䥄㹖胣隌볯馼볯鞼胣㲑䐯噉ਾ䐼噉㰾⁡牨晥∽〲㐰〵㠰㄰琮晩㸢〲㐰〵㠰㄰琮晩ꃂ〰〴㤸⼼㹡⼼䥄㹖ਊ䐼噉邀賥钼볯鎼볯醀⼼䥄㹖㰊䥄㹖愼栠敲㵦㈢〰㔴〰〸⸱楴≦㈾〰㔴〰〸⸱楴쉦゠㐰㤰㰰愯㰾䐯噉ਾ 鎁苣꾁胣ꊂ菣躃藩超裥袼藩鞈闧랏볯隼볯隼볯꾼볯ꚼ볯隼볯覼臣뺯뿥馁苣骼戼㹲㰊䥄㹖胣隌볯馼볯馼胣㲑䐯噉ਾ䐼噉㰾⁡牨晥∽〲㐰〵㠰㄰琮晩㸢〲㐰〵㠰㄰琮晩ꃂ〰〴ㄹ⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯鞼볯颼臣膀볯躼뷯辽뷯辽뷯銽뷯辽뷯膽뷯놔鷦꺁볯늼볯袼볯늼볯鞼볯颼볯ꢁ볯醼볯ꊂ戼㹲龃菣뢅臣ꪂ菣邃菣ꦃ菣鞃臣辂臣ꎁ臣膀볯隼볯隼볯꺁郥肸胦銂ꓧ馁볯㲚牢ਾ䐼噉邀賥钼볯钼볯醀⼼䥄㹖㰊䥄㹖愼栠敲㵦㈢〰㔴〰〸⸱楴≦㈾〰㔴〰〸⸱楴쉦゠㐰㤰㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鎼볯覼볯㲚牢ਾ䐼噉邀賥钼볯钼볯醀⼼䥄㹖㰊䥄㹖愼栠敲㵦㈢〰㔴〰〸⸱楴≦㈾〰㔴〰〸⸱楴쉦゠㐰㤰㰳愯㰾䐯噉ਾ 鎁苣꾁胣ꊂ菣躃藩超裥袼藩鞈闧랏볯隼볯颼볯꾼볯ꚼ볯隼볯躼뷯覼臣뺯뿥馁苣骼戼㹲㰊䥄㹖胣隌볯馼볯銼胣㲑䐯噉ਾ䐼噉㰾⁡牨晥∽〲㐰〵㠰㄰琮晩㸢〲㐰〵㠰㄰琮晩ꃂ〰〴㐹⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯薽뷯覽뷯螽뷯钽뷯蒽뷯鎽铧ꖝ臣袺룦閁苣讂볯늼볯ꢁ臣뢛郥Ꞁ戼㹲꾼볯ꚼ볯隼볯꾁胣꺼볯趽뷯躽뷯躽뷯覽뷯覽뷯覽뷯놔鷦꺁볯늼볯袼볯늼볯鞼볯颼볯ꢁ볯醼볯㲙牢ਾ苣龃菣뢅臣ꪂ菣邃菣ꦃ菣鞃臣辂臣ꎁ臣膀볯馼볯銼볯꺁郥肸胦銂ꓧ馁볯㲚牢ਾ䐼噉邀賥钼볯钼볯醀⼼䥄㹖㰊䥄㹖愼栠敲㵦㈢〰㔴〰〸⸱楴≦㈾〰㔴〰〸⸱楴쉦゠㐰㤰㰵愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲隼볯馼볯骼戼㹲㰊䥄㹖胣隌볯馼볯钼胣㲑䐯噉ਾ䐼噉㰾⁡牨晥∽〲㐰〵㠰㄰琮晩㸢〲㐰〵㠰㄰琮晩ꃂ〰〴㘹⼼㹡⼼䥄㹖ਊ†臣貂臣���苣龃菣뢅藩鞈볯超裥ꪕ迥銼볯钼볯鮼볯늼볯鞼볯馼볯躽뷯覼臣뺯뿥馁苣骼戼㹲㰊䥄㹖胣隌볯馼볯閼胣㲑䐯噉ਾ䐼噉㰾⁡牨晥∽〲㐰〵㠰㄰琮晩㸢〲㐰〵㠰㄰琮晩ꃂ〰〴㜹⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯醼볯骼戼㹲㰊䥄㹖胣隌볯馼볯隼胣㲑䐯噉ਾ䐼噉㰾⁡牨晥∽〲㐰〵㠰㄰琮晩㸢〲㐰〵㠰㄰琮晩ꃂ〰〴㠹⼼㹡⼼䥄㹖ਊ䐼噉邀賥钼볯钼볯醀⼼䥄㹖㰊䥄㹖愼栠敲㵦㈢〰㔴〰〸⸱楴≦㈾〰㔴〰〸⸱楴쉦゠㐰㤰㰹愯㰾䐯噉ਾ 鎁苣꾁胣ꊂ菣躃藩超裥袼藩鞈闧랏볯隼볯銼볯꾼볯ꚼ볯隼볯覼臣뺯뿥馁苣骼戼㹲㰊䥄㹖胣隌볯馼볯颼胣㲑䐯噉ਾ䐼噉㰾⁡牨晥∽〲㐰〵㠰㄰琮晩㸢〲㐰〵㠰㄰琮晩ꃂ〰ㄴ〰⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯鞼볯馼臣膀볯躼뷯辽뷯辽뷯銽뷯辽뷯膽뷯놔鷦꺁볯늼볯袼볯늼볯鞼볯馼볯ꢁ볯銼볯ꊂ戼㹲龃菣뢅臣ꪂ菣邃菣ꦃ菣鞃臣辂臣ꎁ臣膀볯閼볯醼볯꺁郥肸胦銂ꓧ馁볯㲚牢ਾ䐼噉邀賥钼볯钼볯醀⼼䥄㹖㰊䥄㹖愼栠敲㵦㈢〰㔴〰〸⸱楴≦㈾〰㔴〰〸⸱楴쉦゠㐰〱㰱愯㰾䐯噉ਾ㰊䥄㹖胣隌볯馼볯邼胣㲑䐯噉ਾ䐼噉㰾⁡牨晥∽〲㐰〵㠰㄰琮晩㸢〲㐰〵㠰㄰琮晩ꃂ〰ㄴ㈰⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯鎼볯骼戼㹲㰊䥄㹖胣隌볯馼볯醼胣㲑䐯噉ਾ䐼噉㰾⁡牨晥∽〲㐰〵㠰㄰琮晩㸢〲㐰〵㠰㄰琮晩ꃂ〰ㄴ㌰⼼㹡⼼䥄㹖ਊ†臣貂臣膀苣龃菣뢅藩鞈볯超裥ꪕ迥銼볯钼볯鮼볯늼볯鞼볯馼볯膽볯ꮁ꿥鲿臣讂볯㲚牢ਾ䐼噉邀賥钼볯閼볯醀⼼䥄㹖㰊䥄㹖愼栠敲㵦㈢〰㔴〰〸⸱楴≦㈾〰㔴〰〸⸱楴쉦゠㐰〱㰴愯㰾䐯噉ਾ 鎁臣ꊂ菣躃藩꺁苣뎃菣ꖃ菣뾂꟨邞臣邵黦銂믤许臣몤臣骼戼㹲꺼볯趽뷯躽뷯躽뷯覽뷯覽뷯覽뷯놔鷦꺁뫤겸臣貂苣꾼볯ꚼ臣꺁鯧貐胦㲧牢ਾ볯늼볯鞼볯馼臣膀볯躼뷯薽뷯覽뷯螽뷯钽뷯蒽뷯鎽铧ꖝ臣꾼볯ꚼ볯꾼볯ꚼ볯隼볯覼臣钼볯邼戼㹲ꊂ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯馼볯鎼胣㲑䐯噉ਾ䐼噉㰾⁡牨晥∽〲㐰〵㠰㄰琮晩㸢〲㐰〵㠰㄰琮晩ꃂ〰ㄴ㔰⼼㹡⼼䥄㹖ਊ䐼噉邀賥钼볯閼볯醀⼼䥄㹖㰊䥄㹖愼栠敲㵦㈢〰㔴〰〸⸱楴≦㈾〰㔴〰〸⸱楴쉦゠㐰〱㰶愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲隼볯閼볯骼戼㹲㰊䥄㹖胣隌볯馼볯閼胣㲑䐯噉ਾ䐼噉㰾⁡牨晥∽〲㐰〵㠰㄰琮晩㸢〲㐰〵㠰㄰琮晩ꃂ〰ㄴ㜰⼼㹡⼼䥄㹖ਊ臣貂臣膀苣龃菣뢅藩鞈볯超裥ꪕ迥銼볯钼볯鮼볯늼볯鞼볯邼볯躽뷯覼臣뺯뿥馁苣骼戼���㰊䥄㹖胣隌볯馼볯隼胣㲑䐯噉ਾ䐼噉㰾⁡牨晥∽〲㐰〵㠰㄰琮晩㸢〲㐰〵㠰㄰琮晩ꃂ〰ㄴ㠰⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯鞼볯骼戼㹲㰊䥄㹖胣隌볯馼볯鞼胣㲑䐯噉ਾ䐼噉㰾⁡牨晥∽〲㐰〵㠰㄰琮晩㸢〲㐰〵㠰㄰琮晩ꃂ〰ㄴ㤰⼼㹡⼼䥄㹖ਊ䐼噉邀賥钼볯閼볯醀⼼䥄㹖㰊䥄㹖愼栠敲㵦㈢〰㔴〰〸⸱楴≦㈾〰㔴〰〸⸱楴쉦゠㐰ㄱ㰰愯㰾䐯噉ਾ 鎁苣꾁胣ꊂ菣躃藩超裥袼藩鞈闧랏볯隼볯颼볯꾼볯ꚼ볯鞼볯覼臣뺯뿥馁苣骼戼㹲㰊䥄㹖胣隌볯馼볯馼胣㲑䐯噉ਾ䐼噉㰾⁡牨晥∽〲㐰〵㠰㄰琮晩㸢〲㐰〵㠰㄰琮晩ꃂ〰ㄴㄱ⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯鞼볯邼臣膀볯躼뷯辽뷯辽뷯銽뷯辽뷯膽뷯놔鷦꺁볯늼볯袼볯늼볯鞼볯邼볯ꢁ볯颼볯ꊂ戼㹲龃菣뢅臣ꪂ菣邃菣ꦃ菣鞃臣辂臣ꎁ臣膀볯鎼볯閼볯꺁郥肸胦銂ꓧ馁볯㲚牢ਾ䐼噉邀賥钼볯隼볯醀⼼䥄㹖㰊䥄㹖愼栠敲㵦㈢〰㔴〰〸⸱楴≦㈾〰㔴〰〸⸱楴쉦゠㐰ㄱ㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯钼볯覼볯㲚牢ਾ䐼噉邀賥钼볯隼볯醀⼼䥄㹖㰊䥄㹖愼栠敲㵦㈢〰㔴〰〸⸱楴≦㈾〰㔴〰〸⸱楴쉦゠㐰ㄱ㰳愯㰾䐯噉ਾ 鎁苣꾁胣ꊂ菣躃藩超裥袼藩鞈闧랏볯隼볯邼볯꾼볯ꚼ볯鞼볯躼뷯覼臣뺯뿥馁苣骼戼㹲㰊䥄㹖胣隌볯馼볯銼胣㲑䐯噉ਾ䐼噉㰾⁡牨晥∽〲㐰〵㠰㄰琮晩㸢〲㐰〵㠰㄰琮晩ꃂ〰ㄴ㐱⼼㹡⼼䥄㹖ਊ䐼噉邀賥钼볯隼볯醀⼼䥄㹖㰊䥄㹖愼栠敲㵦㈢〰㔴〰〸⸱楴≦㈾〰㔴〰〸⸱楴쉦゠㐰ㄱ㰵愯㰾䐯噉ਾ 鎁臣ꊂ菣躃藩꺁苣뎃菣ꖃ菣뾂꟨邞臣邵黦銂믤许臣몤臣骼戼㹲꺼볯趽뷯躽뷯躽뷯覽뷯覽뷯覽뷯놔鷦꺁뫤겸臣貂苣꾼볯ꚼ臣꺁鯧貐胦㲧牢ਾ볯늼볯鞼볯邼臣膀볯躼뷯薽뷯覽뷯螽뷯钽뷯蒽뷯鎽铧ꖝ臣꾼볯ꚼ볯꾼볯ꚼ볯鞼볯覼臣醼볯隼戼㹲ꊂ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯馼볯钼胣㲑䐯噉ਾ䐼噉㰾⁡牨晥∽〲㐰〵㠰㄰琮晩㸢〲㐰〵㠰㄰琮晩ꃂ〰ㄴ㘱⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯閼볯覼볯㲚牢ਾ䐼噉邀賥钼볯隼볯醀⼼䥄㹖㰊䥄㹖愼栠敲㵦㈢〰㔴〰〸⸱楴≦㈾〰㔴〰〸⸱楴쉦゠㐰ㄱ㰷愯㰾䐯噉ਾ㰊䥄㹖胣隌볯馼볯隼胣㲑䐯噉ਾ䐼噉㰾⁡牨晥∽〲㐰〵㠰㄰琮晩㸢〲㐰〵㠰㄰琮晩ꃂ〰ㄴ㠱⼼㹡⼼䥄㹖ਊ†臣貂臣膀苣龃菣뢅藩鞈볯超裥ꪕ迥銼볯閼볯鮼볯늼볯鞼볯醼볯躽뷯覼臣뺯뿥馁苣骼戼㹲㰊䥄㹖胣隌볯馼볯鞼胣㲑䐯噉ਾ䐼噉㰾⁡牨晥∽〲㐰〵㠰㄰琮晩㸢〲㐰〵㠰㄰琮晩ꃂ〰ㄴ㤱⼼㹡⼼䥄㹖���†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯鎼볯骼戼㹲㰊䥄㹖胣隌볯馼볯颼胣㲑䐯噉ਾ䐼噉㰾⁡牨晥∽〲㐰〵㠰㄰琮晩㸢〲㐰〵㠰㄰琮晩ꃂ〰ㄴ〲⼼㹡⼼䥄㹖ਊ臣貂臣膀苣龃菣뢅藩鞈볯超裥ꪕ迥銼볯閼볯鮼볯늼볯鞼볯醼볯ꮁ꿥鲿臣讂볯㲚牢ਾ䐼噉邀賥钼볯隼볯醀⼼䥄㹖㰊䥄㹖愼栠敲㵦㈢〰㔴〰〸⸱楴≦㈾〰㔴〰〸⸱楴쉦゠㐰㈱㰱愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯鞼볯꾁胣꺼볯螽뷯躽뷯銽뷯袽뷯薽뷯薽铧ꖝ臣꾼볯ꚼ볯꾼볯ꚼ볯鞼볯覼臣鞼볯钼苣㲢牢ਾ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯馼볯邼胣㲑䐯噉ਾ䐼噉㰾⁡牨晥∽〲㐰〵㠰㄰琮晩㸢〲㐰〵㠰㄰琮晩ꃂ〰ㄴ㈲⼼㹡⼼䥄㹖ਊ䐼噉邀賥钼볯鞼볯醀⼼䥄㹖㰊䥄㹖愼栠敲㵦㈢〰㔴〰〸⸱楴≦㈾〰㔴〰〸⸱楴쉦゠㐰㈱㰳愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯閼볯覼볯㲚牢ਾ䐼噉邀賥钼볯鞼볯醀⼼䥄㹖㰊䥄㹖愼栠敲㵦㈢〰㔴〰〸⸱楴≦㈾〰㔴〰〸⸱楴쉦゠㐰㈱㰴愯㰾䐯噉ਾ 鎁苣꾁胣ꊂ菣躃藩超裥袼藩鞈闧랏볯隼볯隼볯꾼볯ꚼ볯鞼볯躼뷯覼臣뺯뿥馁苣骼戼㹲㰊䥄㹖胣隌볯馼볯鎼胣㲑䐯噉ਾ䐼噉㰾⁡牨晥∽〲㐰〵㠰㄰琮晩㸢〲㐰〵㠰㄰琮晩ꃂ〰ㄴ㔲⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯薽뷯覽뷯螽뷯钽뷯蒽뷯鎽铧ꖝ臣袺룦閁苣讂볯늼볯ꢁ臣뢛郥Ꞁ戼㹲꾼볯ꚼ볯鞼볯꾁胣꺼볯趽뷯躽뷯躽뷯覽뷯覽뷯覽뷯놔鷦꺁볯늼볯袼볯늼볯鞼볯醼볯ꢁ볯邼볯㲔牢ਾ苣龃菣뢅臣ꪂ菣邃菣ꦃ菣鞃臣辂臣ꎁ臣膀볯颼볯馼볯꺁郥肸胦銂ꓧ馁볯㲚牢ਾ䐼噉邀賥钼볯鞼볯醀⼼䥄㹖㰊䥄㹖愼栠敲㵦㈢〰㔴〰〸⸱楴≦㈾〰㔴〰〸⸱楴쉦゠㐰㈱㰶愯㰾䐯噉ਾ㰊䥄㹖胣隌볯馼볯閼胣㲑䐯噉ਾ䐼噉㰾⁡牨晥∽〲㐰〵㠰㄰琮晩㸢〲㐰〵㠰㄰琮晩ꃂ〰ㄴ㜲⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯閼볯覼볯㲚牢ਾ䐼噉邀賥钼볯鞼볯醀⼼䥄㹖㰊䥄㹖愼栠敲㵦㈢〰㔴〰〸⸱楴≦㈾〰㔴〰〸⸱楴쉦゠㐰㈱㰸愯㰾䐯噉ਾ 鎁苣꾁胣ꊂ菣躃藩超裥袼藩鞈闧랏볯隼볯颼볯꾼볯ꚼ볯鞼볯躼뷯螽볯ꮁ꿥鲿臣讂볯㲚牢ਾ䐼噉邀賥钼볯鞼볯醀⼼䥄㹖㰊䥄㹖愼栠敲㵦㈢〰㔴〰〸⸱楴≦㈾〰㔴〰〸⸱楴쉦゠㐰㈱㰹愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯閼볯覼볯㲚牢ਾ䐼噉邀賥钼볯鞼볯醀⼼䥄㹖㰊䥄㹖愼栠敲㵦㈢���㔴〰〸⸱楴≦㈾〰㔴〰〸⸱楴쉦゠㐰㌱㰰愯㰾䐯噉ਾ㰊䥄㹖胣隌볯馼볯馼胣㲑䐯噉ਾ䐼噉㰾⁡牨晥∽〲㐰〵㠰㄰琮晩㸢〲㐰〵㠰㄰琮晩ꃂ〰ㄴㄳ⼼㹡⼼䥄㹖ਊ†臣貂臣膀苣龃菣뢅藩鞈볯超裥ꪕ迥銼볯隼볯鮼볯늼볯鞼볯銼볯ꮁ꿥鲿臣讂볯㲚牢ਾ䐼噉邀賥钼볯颼볯醀⼼䥄㹖㰊䥄㹖愼栠敲㵦㈢〰㔴〰〸⸱楴≦㈾〰㔴〰〸⸱楴쉦゠㐰㌱㰲愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯鞼볯꾁胣꺼볯螽뷯躽뷯銽뷯袽뷯薽뷯薽铧ꖝ臣꾼볯ꚼ볯꾼볯ꚼ볯鞼볯覼臣銼볯颼苣㲢牢ਾ菣躃藩꺁苣벃菣벃菣莃菣ꮁ苣龁臣ꚁ胣颼볯躼볯薼臣貐룤Ꞁ苣몤臣骼戼㹲㰊䥄㹖胣隌볯馼볯醼胣㲑䐯噉ਾ䐼噉㰾⁡牨晥∽〲㐰〵㠰㄰琮晩㸢〲㐰〵㠰㄰琮晩ꃂ〰ㄴ㌳⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯醼볯骼戼㹲㰊䥄㹖胣隌볯馼볯銼胣㲑䐯噉ਾ䐼噉㰾⁡牨晥∽〲㐰〵㠰㄰琮晩㸢〲㐰〵㠰㄰琮晩ꃂ〰ㄴ㐳⼼㹡⼼䥄㹖ਊ†臣貂臣膀苣龃菣뢅藩鞈볯超裥ꪕ迥銼볯隼볯鮼볯늼볯鞼볯銼볯膽볯ꮁ꿥鲿臣讂볯㲚牢ਾ䐼噉邀賥钼볯颼볯醀⼼䥄㹖㰊䥄㹖愼栠敲㵦㈢〰㔴〰〸⸱楴≦㈾〰㔴〰〸⸱楴쉦゠㐰㌱㰵愯㰾䐯噉ਾ 鎁臣ꊂ菣躃藩꺁苣뎃菣ꖃ菣뾂꟨邞臣邵黦銂믤许臣몤臣骼戼㹲꺼볯趽뷯躽뷯躽뷯覽뷯覽뷯覽뷯놔鷦꺁뫤겸臣貂苣꾼볯ꚼ臣꺁鯧貐胦㲧牢ਾ볯늼볯鞼볯銼臣膀볯躼뷯薽뷯覽뷯螽뷯钽뷯蒽뷯鎽铧ꖝ臣꾼볯ꚼ볯꾼볯ꚼ볯鞼볯覼臣銼볯颼戼㹲ꊂ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯馼볯钼胣㲑䐯噉ਾ䐼噉㰾⁡牨晥∽〲㐰〵㠰㄰琮晩㸢〲㐰〵㠰㄰琮晩ꃂ〰ㄴ㘳⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯鎼볯骼戼㹲㰊䥄㹖胣隌볯馼볯閼胣㲑䐯噉ਾ䐼噉㰾⁡牨晥∽〲㐰〵㠰㄰琮晩㸢〲㐰〵㠰㄰琮晩ꃂ〰ㄴ㜳⼼㹡⼼䥄㹖ਊ†臣貂臣膀苣龃菣뢅藩鞈볯超裥ꪕ迥銼볯隼볯鮼볯늼볯鞼볯鎼볯ꮁ꿥鲿臣讂볯㲚牢ਾ䐼噉邀賥钼볯颼볯醀⼼䥄㹖㰊䥄㹖愼栠敲㵦㈢〰㔴〰〸⸱楴≦㈾〰㔴〰〸⸱楴쉦゠㐰㌱㰸愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲隼볯閼볯骼戼㹲㰊䥄㹖胣隌볯馼볯鞼胣㲑䐯噉ਾ䐼噉㰾⁡牨晥∽〲㐰〵㠰㄰琮晩㸢〲㐰〵㠰㄰琮晩ꃂ〰ㄴ㤳⼼㹡⼼䥄㹖ਊ†臣貂臣膀苣龃菣뢅藩鞈볯超裥ꪕ迥銼볯隼볯鮼볯늼볯鞼볯钼볯躽뷯覼臣뺯뿥馁苣骼戼㹲㰊䥄㹖胣隌볯馼볯颼胣㲑䐯噉ਾ䐼噉㰾⁡牨晥∽〲㐰〵㠰㄰琮晩㸢〲㐰〵㠰㄰琮晩ꃂ〰ㄴ〴⼼㹡⼼䥄㹖ਊ†믤许臣ꢃ裥蒚볯꺼볯超裥꾁胣���꺼볯趽뷯躽뷯躽뷯覽뷯覽뷯覽뷯궸臣貐껥閁苣龁볯超裥ꪕ迥㲷牢ਾ볯隼볯鞼볯骼戼㹲㰊䥄㹖胣隌볯馼볯馼胣㲑䐯噉ਾ䐼噉㰾⁡牨晥∽〲㐰〵㠰㄰琮晩㸢〲㐰〵㠰㄰琮晩ꃂ〰ㄴㄴ⼼㹡⼼䥄㹖ਊ†臣貂臣膀苣龃菣뢅藩鞈볯超裥ꪕ迥銼볯隼볯鮼볯늼볯鞼볯钼볯ꮁ꿥鲿臣讂볯㲚牢ਾ䐼噉邀賥钼볯馼볯醀⼼䥄㹖㰊䥄㹖愼栠敲㵦㈢〰㔴〰〸⸱楴≦㈾〰㔴〰〸⸱楴쉦゠㐰㐱㰲愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯鞼볯꾁胣꺼볯螽뷯躽뷯銽뷯袽뷯薽뷯薽铧ꖝ臣꾼볯ꚼ볯꾼볯ꚼ볯鞼볯覼臣銼볯鞼苣㲢牢ਾ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯馼볯醼胣㲑䐯噉ਾ䐼噉㰾⁡牨晥∽〲㐰〵㠰㄰琮晩㸢〲㐰〵㠰㄰琮晩ꃂ〰ㄴ㌴⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯馼볯骼戼㹲㰊䥄㹖胣隌볯馼볯銼胣㲑䐯噉ਾ䐼噉㰾⁡牨晥∽〲㐰〵㠰㄰琮晩㸢〲㐰〵㠰㄰琮晩ꃂ〰ㄴ㐴⼼㹡⼼䥄㹖ਊ†臣貂臣膀苣龃菣뢅藩鞈볯超裥ꪕ迥銼볯鞼볯鮼볯늼볯鞼볯钼볯膽볯ꮁ꿥鲿臣讂볯㲚牢ਾ䐼噉邀賥钼볯馼볯醀⼼䥄㹖㰊䥄㹖愼栠敲㵦㈢〰㔴〰〸⸱楴≦㈾〰㔴〰〸⸱楴쉦゠㐰㐱㰵愯㰾䐯噉ਾ 鎁臣ꊂ菣躃藩꺁苣뎃菣ꖃ菣뾂꟨邞臣邵黦銂믤许臣몤臣骼戼㹲꺼볯趽뷯躽뷯躽뷯覽뷯覽뷯覽뷯놔鷦꺁뫤겸臣貂苣꾼볯ꚼ臣꺁鯧貐胦㲧牢ਾ볯늼볯鞼볯钼臣膀볯躼뷯薽뷯覽뷯螽뷯钽뷯蒽뷯鎽铧ꖝ臣꾼볯ꚼ볯꾼볯ꚼ볯鞼볯覼臣銼볯颼戼㹲ꊂ菣躃藩꺁苣벃菣벃菣莃菣ꮁ苣龁臣ꚁ胣颼볯躼볯薼臣貐룤Ꞁ苣몤臣骼戼㹲㰊䥄㹖胣隌볯馼볯钼胣㲑䐯噉ਾ䐼噉㰾⁡牨晥∽〲㐰〵㠰㄰琮晩㸢〲㐰〵㠰㄰琮晩ꃂ〰ㄴ㘴⼼㹡⼼䥄㹖ਊ䐼噉邀賥钼볯馼볯醀⼼䥄㹖㰊䥄㹖愼栠敲㵦㈢〰㔴〰〸⸱楴≦㈾〰㔴〰〸⸱楴쉦゠㐰㐱㰷愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鞼볯覼볯㲚牢ਾ䐼噉邀賥钼볯馼볯醀⼼䥄㹖㰊䥄㹖愼栠敲㵦㈢〰㔴〰〸⸱楴≦㈾〰㔴〰〸⸱楴쉦゠㐰㐱㰸愯㰾䐯噉ਾ 鎁苣꾁胣ꊂ菣躃藩超裥袼藩鞈闧랏볯隼볯銼볯꾼볯ꚼ볯馼볯覼臣뺯뿥馁苣骼戼㹲㰊䥄㹖胣隌볯馼볯鞼胣㲑䐯噉ਾ䐼噉㰾⁡牨晥∽〲㐰〵㠰㄰琮晩㸢〲㐰〵㠰㄰琮晩ꃂ〰ㄴ㤴⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯鎼볯骼戼㹲㰊䥄㹖胣隌볯馼볯颼胣㲑䐯噉ਾ䐼噉㰾⁡牨晥∽〲㐰〵㠰㄰琮晩㸢〲㐰〵㠰㄰琮晩ꃂ〰ㄴ〵⼼㹡⼼䥄㹖ਊ䐼噉邀賥钼볯馼볯醀⼼䥄㹖㰊䥄㹖愼栠敲㵦㈢〰㔴〰〸⸱楴≦㈾〰㔴〰〸⸱楴쉦゠㐰㔱㰱愯㰾䐯噉��� 鎁苣꾁胣ꊂ菣躃藩超裥袼藩鞈闧랏볯隼볯钼볯꾼볯ꚼ볯馼볯躼뷯覼臣뺯뿥馁苣骼戼㹲㰊䥄㹖胣隌볯邼볯邼胣㲑䐯噉ਾ䐼噉㰾⁡牨晥∽〲㐰〵㠰㄰琮晩㸢〲㐰〵㠰㄰琮晩ꃂ〰ㄴ㈵⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯薽뷯覽뷯螽뷯钽뷯蒽뷯鎽铧ꖝ臣袺룦閁苣讂볯늼볯ꢁ臣뢛郥Ꞁ戼㹲꾼볯ꚼ볯馼볯꾁胣꺼볯趽뷯躽뷯躽뷯覽뷯覽뷯覽뷯놔鷦꺁볯늼볯袼볯늼볯鞼볯邼볯ꢁ볯钼볯㲒牢ਾ苣龃菣뢅臣ꪂ菣邃菣ꦃ菣鞃臣辂臣ꎁ臣膀볯颼볯銼볯꺁郥肸胦銂ꓧ馁볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔱㰳愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲隼볯閼볯骼戼㹲㰊䥄㹖胣隌볯邼볯銼胣㲑䐯噉ਾ䐼噉㰾⁡牨晥∽〲㐰〵㠰㄰琮晩㸢〲㐰〵㠰㄰琮晩ꃂ〰ㄴ㐵⼼㹡⼼䥄㹖ਊ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔱㰵愯㰾䐯噉ਾ 鎁苣꾁胣ꊂ菣躃藩超裥袼藩鞈闧랏볯隼볯隼볯꾼볯ꚼ볯馼볯躼뷯螽볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔱㰶愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鞼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔱㰷愯㰾䐯噉ਾ㰊䥄㹖胣隌볯邼볯隼胣㲑䐯噉ਾ䐼噉㰾⁡牨晥∽〲㐰〵㠰㄰琮晩㸢〲㐰〵㠰㄰琮晩ꃂ〰ㄴ㠵⼼㹡⼼䥄㹖ਊ†臣貂臣膀苣龃菣뢅藩鞈볯超裥ꪕ迥銼볯鞼볯鮼볯늼볯鞼볯醼볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔱㰹愯㰾䐯噉ਾ㰊䥄㹖胣隌볯邼볯颼胣㲑䐯噉ਾ䐼噉㰾⁡牨晥∽〲㐰〵㠰㄰琮晩㸢〲㐰〵㠰㄰琮晩ꃂ〰ㄴ〶⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯馼볯骼戼㹲㰊䥄㹖胣隌볯邼볯馼胣㲑䐯噉ਾ䐼噉㰾⁡牨晥∽〲㐰〵㠰㄰琮晩㸢〲㐰〵㠰㄰琮晩ꃂ〰ㄴㄶ⼼㹡⼼䥄㹖ਊ†臣貂臣膀苣龃菣뢅藩鞈볯超裥ꪕ迥銼볯颼볯鮼볯늼볯鞼볯醼볯膽볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘱㰲愯㰾䐯噉ਾ㰊䥄㹖胣隌볯邼볯醼胣㲑䐯噉ਾ䐼噉㰾⁡牨晥∽〲㐰〵㠰㄰琮晩㸢〲㐰〵㠰㄰琮晩ꃂ〰ㄴ㌶⼼㹡⼼䥄㹖ਊ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘱㰴愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲隼볯醼볯骼戼㹲㰊䥄㹖胣隌볯邼볯鎼胣㲑䐯噉ਾ䐼噉㰾���牨晥∽〲㐰〵㠰㄰琮晩㸢〲㐰〵㠰㄰琮晩ꃂ〰ㄴ㔶⼼㹡⼼䥄㹖ਊ†臣貂臣膀苣龃菣뢅藩鞈볯超裥ꪕ迥銼볯颼볯鮼볯늼볯鞼볯銼볯躽뷯覼臣뺯뿥馁苣骼戼㹲㰊䥄㹖胣隌볯邼볯钼胣㲑䐯噉ਾ䐼噉㰾⁡牨晥∽〲㐰〵㠰㄰琮晩㸢〲㐰〵㠰㄰琮晩ꃂ〰ㄴ㘶⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯鎼볯骼戼㹲㰊䥄㹖胣隌볯邼볯閼胣㲑䐯噉ਾ䐼噉㰾⁡牨晥∽〲㐰〵㠰㄰琮晩㸢〲㐰〵㠰㄰琮晩ꃂ〰ㄴ㜶⼼㹡⼼䥄㹖ਊ臣貂臣膀苣龃菣뢅藩鞈볯超裥ꪕ迥銼볯颼볯鮼볯늼볯鞼볯銼볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘱㰸愯㰾䐯噉ਾ㰊䥄㹖胣隌볯邼볯鞼胣㲑䐯噉ਾ䐼噉㰾⁡牨晥∽〲㐰〵㠰㄰琮晩㸢〲㐰〵㠰㄰琮晩ꃂ〰ㄴ㤶⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯閼볯骼戼㹲㰊䥄㹖胣隌볯邼볯颼胣㲑䐯噉ਾ䐼噉㰾⁡牨晥∽〲㐰〵㠰㄰琮晩㸢〲㐰〵㠰㄰琮晩ꃂ〰ㄴ〷⼼㹡⼼䥄㹖ਊ†臣貂臣膀苣龃菣뢅藩鞈볯超裥ꪕ迥銼볯颼볯鮼볯늼볯鞼볯銼볯膽볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜱㰱愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲隼볯鞼볯骼戼㹲㰊䥄㹖胣隌볯邼볯馼뷯醀⼼䥄㹖㰊䥄㹖愼栠敲㵦㈢〰㔴〰〸⸱楴≦㈾〰㔴〰〸⸱楴쉦゠㐰㜱㰲愯㰾䐯噉ਾ㰊䥄㹖胣隌볯邼볯邼胣㲑䐯噉ਾ䐼噉㰾⁡牨晥∽〲㐰〵㠰㄰琮晩㸢〲㐰〵㠰㄰琮晩ꃂ〰ㄴ㌷⼼㹡⼼䥄㹖ਊ†臣貂臣膀苣龃菣뢅藩鞈볯超裥ꪕ迥銼볯颼볯鮼볯늼볯鞼볯鎼볯躽뷯覼臣뺯뿥馁苣骼戼㹲㰊䥄㹖胣隌볯邼볯醼胣㲑䐯噉ਾ䐼噉㰾⁡牨晥∽〲㐰〵㠰㄰琮晩㸢〲㐰〵㠰㄰琮晩ꃂ〰ㄴ㐷⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯隼볯馼볯骼戼㹲㰊䥄㹖胣隌볯邼볯銼胣㲑䐯噉ਾ䐼噉㰾⁡牨晥∽〲㐰〵㠰㄰琮晩㸢〲㐰〵㠰㄰琮晩ꃂ〰ㄴ㔷⼼㹡⼼䥄㹖ਊ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜱㰶愯㰾䐯噉ਾ 鎁苣꾁胣ꊂ菣躃藩超裥袼藩鞈闧랏볯隼볯邼볯꾼볯ꚼ볯馼볯覼臣뺯뿥馁苣骼戼㹲㰊䥄㹖胣隌볯邼볯钼胣㲑䐯噉ਾ䐼噉㰾⁡牨晥∽〲㐰〵㠰㄰琮晩㸢〲㐰〵㠰㄰琮晩ꃂ〰ㄴ㜷⼼㹡⼼䥄㹖ਊ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜱㰸愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯馼볯覼볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜱㰹愯㰾䐯噉ਾ 鎁苣꾁胣ꊂ菣躃藩���裥袼藩鞈闧랏볯隼볯銼볯꾼볯ꚼ볯馼볯躼뷯覼臣뺯뿥馁苣骼戼㹲㰊䥄㹖胣隌볯邼볯鞼胣㲑䐯噉ਾ䐼噉㰾⁡牨晥∽〲㐰〵㠰㄰琮晩㸢〲㐰〵㠰㄰琮晩ꃂ〰ㄴ〸⼼㹡⼼䥄㹖ਊ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠱㰱愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲隼볯鎼볯骼戼㹲㰊䥄㹖胣隌볯邼볯馼胣㲑䐯噉ਾ䐼噉㰾⁡牨晥∽〲㐰〵㠰㄰琮晩㸢〲㐰〵㠰㄰琮晩ꃂ〰ㄴ㈸⼼㹡⼼䥄㹖ਊ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠱㰳愯㰾䐯噉ਾ 鎁苣꾁胣ꊂ菣躃藩超裥袼藩鞈闧랏볯隼볯钼볯꾼볯ꚼ볯馼볯躼뷯螽볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠱㰴愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯馼볯覼볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠱㰵愯㰾䐯噉ਾ 鎁苣꾁胣ꊂ菣躃藩超裥袼藩鞈闧랏볯隼볯隼볯꾼볯ꚼ볯馼볯覼臣뺯뿥馁苣骼戼㹲㰊䥄㹖胣隌볯邼볯鎼胣㲑䐯噉ਾ䐼噉㰾⁡牨晥∽〲㐰〵㠰㄰琮晩㸢〲㐰〵㠰㄰琮晩ꃂ〰ㄴ㘸⼼㹡⼼䥄㹖ਊ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠱㰷愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯馼볯覼볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠱㰸愯㰾䐯噉ਾ㰊䥄㹖胣隌볯邼볯隼胣㲑䐯噉ਾ䐼噉㰾⁡牨晥∽〲㐰〵㠰㄰琮晩㸢〲㐰〵㠰㄰琮晩ꃂ〰ㄴ㤸⼼㹡⼼䥄㹖ਊ†臣貂臣膀苣龃菣뢅藩鞈볯超裥ꪕ迥銼볯馼볯鮼볯늼볯鞼볯钼볯膽볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤱㰰愯㰾䐯噉ਾ㰊䥄㹖胣隌볯邼볯颼胣㲑䐯噉ਾ䐼噉㰾⁡牨晥∽〲㐰〵㠰㄰琮晩㸢〲㐰〵㠰㄰琮晩ꃂ〰ㄴㄹ⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯馼볯覼볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤱㰲愯㰾䐯噉ਾ 鎁苣꾁胣ꊂ菣躃藩超裥袼藩鞈闧랏볯鞼볯邼볯꾼볯ꚼ볯邼볯躼뷯螽볯ꮁ꿥鲿臣讂볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤱㰳愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯邼볯覼볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤱㰴愯㰾䐯噉ਾ㰊䥄㹖胣隌볯���邼볯銼胣㲑䐯噉ਾ䐼噉㰾⁡牨晥∽〲㐰〵㠰㄰琮晩㸢〲㐰〵㠰㄰琮晩ꃂ〰ㄴ㔹⼼㹡⼼䥄㹖ਊ†臣貂臣膀苣龃菣뢅藩鞈볯超裥ꪕ迥銼볯邼볯鮼볯늼볯馼볯邼볯ꮁ꿥鲿臣讂볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤱㰶愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯邼볯꾁胣꺼볯螽뷯躽뷯銽뷯袽뷯薽뷯薽铧ꖝ臣꾼볯ꚼ볯꾼볯ꚼ볯邼볯覼臣鎼볯隼苣㲢牢ਾ菣躃藩꺁苣벃菣벃菣莃菣ꮁ苣龁臣ꚁ胣颼볯躼볯薼臣貐룤Ꞁ苣몤臣骼戼㹲㰊䥄㹖胣隌볯邼볯钼胣㲑䐯噉ਾ䐼噉㰾⁡牨晥∽〲㐰〵㠰㄰琮晩㸢〲㐰〵㠰㄰琮晩ꃂ〰ㄴ㜹⼼㹡⼼䥄㹖ਊ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤱㰸愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯邼볯覼볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤱㰹愯㰾䐯噉ਾ 鎁苣꾁胣ꊂ菣躃藩超裥袼藩鞈闧랏볯鞼볯钼볯꾼볯ꚼ볯邼볯躼뷯覼臣뺯뿥馁苣骼戼㹲㰊䥄㹖胣隌볯邼볯鞼胣㲑䐯噉ਾ䐼噉㰾⁡牨晥∽〲㐰〵㠰㄰琮晩㸢〲㐰〵㠰㄰琮晩ꃂ〰㈴〰⼼㹡⼼䥄㹖ਊ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰〲㰱愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯邼볯覼볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰〲㰲愯㰾䐯噉ਾ 鎁苣꾁胣ꊂ菣躃藩超裥袼藩鞈闧랏볯鞼볯隼볯꾼볯ꚼ볯邼볯覼臣뺯뿥馁苣骼戼㹲㰊䥄㹖胣隌볯邼볯邼胣㲑䐯噉ਾ䐼噉㰾⁡牨晥∽〲㐰〵㠰㄰琮晩㸢〲㐰〵㠰㄰琮晩ꃂ〰㈴㌰⼼㹡⼼䥄㹖ਊ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〲㰴愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯邼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〲㰵愯㰾䐯噉ਾ 鎁苣꾁胣ꊂ菣躃藩超裥袼藩鞈闧랏볯鞼볯颼볯꾼볯ꚼ볯邼볯躼뷯覼臣뺯뿥馁苣骼戼㹲㰊䥄㹖胣隌볯邼볯鎼胣㲑䐯噉ਾ䐼噉㰾⁡牨晥∽〲㐰〵㠰㄰琮晩㸢〲㐰〵㠰㄰琮晩ꃂ〰㈴㘰⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯邼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〲㰷愯㰾䐯噉ਾ 鎁苣꾁胣ꊂ菣躃藩超裥袼藩鞈闧랏볯鞼볯邼볯꾼볯���ꚼ볯邼볯躼뷯螽볯ꮁ꿥鲿臣讂볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〲㰸愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯醼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〲㰹愯㰾䐯噉ਾ 鎁苣꾁胣ꊂ菣躃藩超裥袼藩鞈闧랏볯鞼볯銼볯꾼볯ꚼ볯邼볯覼臣뺯뿥馁苣骼戼㹲㰊䥄㹖胣隌볯邼볯鞼胣㲑䐯噉ਾ䐼噉㰾⁡牨晥∽〲㐰〵㠰㄰琮晩㸢〲㐰〵㠰㄰琮晩ꃂ〰㈴〱⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯銼臣膀볯躼뷯辽뷯辽뷯銽뷯辽뷯膽뷯놔鷦꺁볯늼볯袼볯늼볯馼볯銼볯躽뷯覼臣鎼戼㹲钼볯ꊂ菣躃藩꺁苣벃菣벃菣莃菣ꮁ苣龁臣ꚁ胣颼볯躼볯薼臣貐룤Ꞁ苣몤臣骼戼㹲㰊䥄㹖胣隌볯邼볯颼胣㲑䐯噉ਾ䐼噉㰾⁡牨晥∽〲㐰〵㠰㄰琮晩㸢〲㐰〵㠰㄰琮晩ꃂ〰㈴ㄱ⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯鎼볯骼戼㹲㰊䥄㹖胣隌볯邼볯馼胣㲑䐯噉ਾ䐼噉㰾⁡牨晥∽〲㐰〵㠰㄰琮晩㸢〲㐰〵㠰㄰琮晩ꃂ〰㈴㈱⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄲ㰳愯㰾䐯噉ਾ 鎁苣꾁胣ꊂ菣躃藩超裥袼藩鞈闧랏볯鞼볯钼볯꾼볯ꚼ볯邼볯躼뷯覼臣뺯뿥馁苣骼戼㹲㰊䥄㹖胣隌볯邼볯醼胣㲑䐯噉ਾ䐼噉㰾⁡牨晥∽〲㐰〵㠰㄰琮晩㸢〲㐰〵㠰㄰琮晩ꃂ〰㈴㐱⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄲ㰵愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯閼볯骼戼㹲㰊䥄㹖胣隌볯邼볯鎼胣㲑䐯噉ਾ䐼噉㰾⁡牨晥∽〲㐰〵㠰㄰琮晩㸢〲㐰〵㠰㄰琮晩ꃂ〰㈴㘱⼼㹡⼼䥄㹖ਊ†臣貂臣膀苣龃菣뢅藩鞈볯超裥ꪕ迥銼볯醼볯鮼볯늼볯馼볯鎼볯躽뷯覼臣뺯뿥馁苣骼戼㹲㰊䥄㹖胣隌볯邼볯钼胣㲑䐯噉ਾ䐼噉㰾⁡牨晥∽〲㐰〵㠰㄰琮晩㸢〲㐰〵㠰㄰琮晩ꃂ〰㈴㜱⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯鞼볯骼戼㹲㰊䥄㹖胣隌볯邼볯閼胣㲑䐯噉ਾ䐼噉㰾⁡牨晥∽〲㐰〵㠰㄰琮晩㸢〲㐰〵㠰㄰琮晩ꃂ〰㈴㠱⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄲ㰹愯㰾䐯噉ਾ 鎁苣꾁胣ꊂ菣躃藩超裥袼藩鞈闧랏볯鞼볯颼볯꾼볯ꚼ볯邼볯覼臣뺯뿥馁苣骼戼㹲㰊䥄㹖胣隌볯邼볯鞼胣㲑䐯噉ਾ䐼噉㰾⁡牨晥∽〲㐰〵㠰㄰琮晩㸢〲㐰〵㠰㄰琮晩ꃂ〰㈴〲⼼㹡⼼���㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯鎼臣膀볯躼뷯辽뷯辽뷯銽뷯辽뷯膽뷯놔鷦꺁볯늼볯袼볯늼볯馼볯鎼볯躽뷯覼臣閼戼㹲醼볯ꊂ菣躃藩꺁苣벃菣벃菣莃菣ꮁ苣龁臣ꚁ胣钼볯躼볯薼臣貐룤Ꞁ苣몤臣骼戼㹲㰊䥄㹖胣隌볯邼볯颼胣㲑䐯噉ਾ䐼噉㰾⁡牨晥∽〲㐰〵㠰㄰琮晩㸢〲㐰〵㠰㄰琮晩ꃂ〰㈴ㄲ⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈲㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯醼볯覼볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈲㰳愯㰾䐯噉ਾ㰊䥄㹖胣隌볯邼볯醼胣㲑䐯噉ਾ䐼噉㰾⁡牨晥∽〲㐰〵㠰㄰琮晩㸢〲㐰〵㠰㄰琮晩ꃂ〰㈴㐲⼼㹡⼼䥄㹖ਊ†臣貂臣膀苣龃菣뢅藩鞈볯超裥ꪕ迥銼볯銼볯鮼볯늼볯馼볯鎼볯膽볯ꮁ꿥鲿臣讂볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈲㰵愯㰾䐯噉ਾ㰊䥄㹖胣隌볯邼볯鎼胣㲑䐯噉ਾ䐼噉㰾⁡牨晥∽〲㐰〵㠰㄰琮晩㸢〲㐰〵㠰㄰琮晩ꃂ〰㈴㘲⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯銼볯覼볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈲㰷愯㰾䐯噉ਾ 鎁苣꾁胣ꊂ菣躃藩超裥袼藩鞈闧랏볯鞼볯銼볯꾼볯ꚼ볯邼볯躼뷯螽볯ꮁ꿥鲿臣讂볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈲㰸愯㰾䐯噉ਾ㰊䥄㹖胣隌볯邼볯隼胣㲑䐯噉ਾ䐼噉㰾⁡牨晥∽〲㐰〵㠰㄰琮晩㸢〲㐰〵㠰㄰琮晩ꃂ〰㈴㤲⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯鎼볯骼戼㹲㰊䥄㹖胣隌볯邼볯鞼胣㲑䐯噉ਾ䐼噉㰾⁡牨晥∽〲㐰〵㠰㄰琮晩㸢〲㐰〵㠰㄰琮晩ꃂ〰㈴〳⼼㹡⼼䥄㹖ਊ†臣貂臣膀苣龃菣뢅藩鞈볯超裥ꪕ迥銼볯銼볯鮼볯늼볯馼볯钼볯ꮁ꿥鲿臣讂볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌲㰱愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯邼볯꾁胣꺼볯螽뷯躽뷯銽뷯袽뷯薽뷯薽铧ꖝ臣꾼볯ꚼ볯꾼볯ꚼ볯邼볯躼뷯螽볯ꢁ볯㲔牢ਾ볯隼苣龃菣뢅臣ꪂ菣邃菣ꦃ菣鞃臣辂臣ꎁ臣膀볯邼볯钼볯꺁郥肸胦銂ꓧ馁볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠���㌲㰲愯㰾䐯噉ਾ㰊䥄㹖胣隌볯邼볯邼胣㲑䐯噉ਾ䐼噉㰾⁡牨晥∽〲㐰〵㠰㄰琮晩㸢〲㐰〵㠰㄰琮晩ꃂ〰㈴㌳⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯閼볯骼戼㹲㰊䥄㹖胣隌볯邼볯醼胣㲑䐯噉ਾ䐼噉㰾⁡牨晥∽〲㐰〵㠰㄰琮晩㸢〲㐰〵㠰㄰琮晩ꃂ〰㈴㐳⼼㹡⼼䥄㹖ਊ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌲㰵愯㰾䐯噉ਾ 鎁苣꾁胣ꊂ菣躃藩超裥袼藩鞈闧랏볯鞼볯隼볯꾼볯ꚼ볯邼볯躼뷯覼臣뺯뿥馁苣骼戼㹲㰊䥄㹖胣隌볯邼볯鎼胣㲑䐯噉ਾ䐼噉㰾⁡牨晥∽〲㐰〵㠰㄰琮晩㸢〲㐰〵㠰㄰琮晩ꃂ〰㈴㘳⼼㹡⼼䥄㹖ਊ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌲㰷愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯銼볯覼볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌲㰸愯㰾䐯噉ਾ 鎁苣꾁胣ꊂ菣躃藩超裥袼藩鞈闧랏볯鞼볯颼볯꾼볯ꚼ볯邼볯覼臣뺯뿥馁苣骼戼㹲㰊䥄㹖胣隌볯邼볯隼胣㲑䐯噉ਾ䐼噉㰾⁡牨晥∽〲㐰〵㠰㄰琮晩㸢〲㐰〵㠰㄰琮晩ꃂ〰㈴㤳⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯銼볯覼볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐲㰰愯㰾䐯噉ਾ 鎁苣꾁胣ꊂ菣躃藩超裥袼藩鞈闧랏볯鞼볯邼볯꾼볯ꚼ볯邼볯躼뷯螽볯ꮁ꿥鲿臣讂볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐲㰱愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鎼볯覼볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐲㰲愯㰾䐯噉ਾ 鎁苣꾁胣ꊂ菣躃藩超裥袼藩鞈闧랏볯鞼볯銼볯꾼볯ꚼ볯邼볯覼臣뺯뿥馁苣骼戼㹲㰊䥄㹖胣隌볯邼볯邼胣㲑䐯噉ਾ䐼噉㰾⁡牨晥∽〲㐰〵㠰㄰琮晩㸢〲㐰〵㠰㄰琮晩ꃂ〰㈴㌴⼼㹡⼼䥄㹖ਊ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐲㰴愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯邼볯꾁胣꺼볯螽뷯躽뷯銽뷯袽뷯薽뷯薽铧ꖝ臣꾼볯ꚼ볯꾼볯ꚼ볯邼볯躼뷯螽볯ꢁ볯㲑牢ਾ볯隼苣龃菣뢅臣ꪂ菣邃菣ꦃ菣鞃臣辂臣ꎁ臣膀볯銼볯馼볯꺁郥肸胦銂ꓧ馁볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐲㰵愯㰾䐯噉ਾ ꖻ룤꺁菩蚈髧꒼볯���ꆼ藩鞈臣膀볯躼뷯薽뷯覽뷯螽뷯钽뷯蒽뷯鎽룤ꞁ郥骮臣貂臣袼藩鞈闧랏戼㹲銼볯鎼볯覼볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐲㰶愯㰾䐯噉ਾ 鎁苣꾁胣ꊂ菣躃藩超裥袼藩鞈闧랏볯鞼볯钼볯꾼볯ꚼ볯邼볯躼뷯覼臣뺯뿥馁苣骼戼㹲㰊䥄㹖胣隌볯邼볯钼胣㲑䐯噉ਾ䐼噉㰾⁡牨晥∽〲㐰〵㠰㄰琮晩㸢〲㐰〵㠰㄰琮晩ꃂ〰㈴㜴⼼㹡⼼䥄㹖ਊ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐲㰸愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯閼볯骼戼㹲㰊䥄㹖胣隌볯邼볯隼胣㲑䐯噉ਾ䐼噉㰾⁡牨晥∽〲㐰〵㠰㄰琮晩㸢〲㐰〵㠰㄰琮晩ꃂ〰㈴㤴⼼㹡⼼䥄㹖ਊ†臣貂臣膀苣龃菣뢅藩鞈볯超裥ꪕ迥銼볯鎼볯鮼볯늼볯馼볯颼볯躽뷯覼臣뺯뿥馁苣骼戼㹲㰊䥄㹖胣隌볯邼볯鞼胣㲑䐯噉ਾ䐼噉㰾⁡牨晥∽〲㐰〵㠰㄰琮晩㸢〲㐰〵㠰㄰琮晩ꃂ〰㈴〵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯鞼볯骼戼㹲㰊䥄㹖胣隌볯邼볯颼胣㲑䐯噉ਾ䐼噉㰾⁡牨晥∽〲㐰〵㠰㄰琮晩㸢〲㐰〵㠰㄰琮晩ꃂ〰㈴ㄵ⼼㹡⼼䥄㹖ਊ†臣貂臣膀苣龃菣뢅藩鞈볯超裥ꪕ迥銼볯鎼볯鮼볯늼볯馼볯颼볯ꮁ꿥鲿臣讂볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㔲㰲愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯邼볯꾁胣꺼볯螽뷯躽뷯銽뷯袽뷯薽뷯薽铧ꖝ臣꾼볯ꚼ볯꾼볯ꚼ볯邼볯躼뷯螽볯ꢁ볯㲑牢ਾ볯隼苣龃菣뢅臣ꪂ菣邃菣ꦃ菣鞃臣辂臣ꎁ臣膀볯鎼볯钼볯꺁郥肸胦銂ꓧ馁볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔲㰳愯㰾䐯噉ਾ㰊䥄㹖胣隌볯醼볯醼胣㲑䐯噉ਾ䐼噉㰾⁡牨晥∽〲㐰〵㠰㄰琮晩㸢〲㐰〵㠰㄰琮晩ꃂ〰㈴㐵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯馼볯骼戼㹲㰊䥄㹖胣隌볯醼볯銼胣㲑䐯噉ਾ䐼噉㰾⁡牨晥∽〲㐰〵㠰㄰琮晩㸢〲㐰〵㠰㄰琮晩ꃂ〰㈴㔵⼼㹡⼼䥄㹖ਊ†臣貂臣膀苣龃菣뢅藩鞈볯超裥ꪕ迥銼볯钼볯鮼볯늼볯馼볯颼볯膽볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔲㰶愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯醼볯骼戼㹲㰊䥄㹖胣隌볯醼볯钼胣㲑䐯噉ਾ䐼噉㰾⁡牨晥∽〲㐰〵㠰㄰琮晩㸢〲㐰〵㠰㄰琮晩ꃂ〰㈴㜵⼼㹡⼼䥄㹖ਊ䐼噉邀賥閼���邼볯醀⼼䥄㹖㰊䥄㹖愼栠敲㵦㈢〰㔴〰〸⸱楴≦㈾〰㔴〰〸⸱楴쉦゠㐰㔲㰸愯㰾䐯噉ਾ 鎁苣꾁胣ꊂ菣躃藩超裥袼藩鞈闧랏볯鞼볯銼볯꾼볯ꚼ볯邼볯躼뷯螽볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔲㰹愯㰾䐯噉ਾꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏볯㲒牢ਾ볯钼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘲㰰愯㰾䐯噉ਾ 鎁苣꾁胣ꊂ菣躃藩超裥袼藩鞈闧랏볯鞼볯钼볯꾼볯ꚼ볯邼볯覼臣뺯뿥馁苣骼戼㹲㰊䥄㹖胣隌볯醼볯颼胣㲑䐯噉ਾ䐼噉㰾⁡牨晥∽〲㐰〵㠰㄰琮晩㸢〲㐰〵㠰㄰琮晩ꃂ〰㈴ㄶ⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯馼臣膀볯躼뷯辽뷯辽뷯銽뷯辽뷯膽뷯놔鷦꺁볯늼볯袼볯늼볯馼볯馼볯躽뷯覼臣馼戼㹲邼苣龃菣뢅臣ꪂ菣邃菣ꦃ菣鞃臣辂臣ꎁ臣膀볯鎼볯鎼볯꺁郥肸胦銂ꓧ馁볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘲㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯钼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘲㰳愯㰾䐯噉ਾ 鎁苣꾁胣ꊂ菣躃藩超裥袼藩鞈闧랏볯鞼볯隼볯꾼볯ꚼ볯邼볯躼뷯覼臣뺯뿥馁苣骼戼㹲㰊䥄㹖胣隌볯醼볯醼胣㲑䐯噉ਾ䐼噉㰾⁡牨晥∽〲㐰〵㠰㄰琮晩㸢〲㐰〵㠰㄰琮晩ꃂ〰㈴㐶⼼㹡⼼䥄㹖ਊ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘲㰵愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯钼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘲㰶愯㰾䐯噉ਾ 鎁苣꾁胣ꊂ菣躃藩超裥袼藩鞈闧랏볯鞼볯颼볯꾼볯ꚼ볯醼볯躼뷯螽볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘲㰷愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯钼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘲㰸愯㰾䐯噉ਾ 鎁苣꾁胣ꊂ菣躃藩超裥袼藩鞈闧랏볯鞼볯邼볯꾼볯ꚼ볯醼볯覼臣뺯뿥馁苣骼戼㹲㰊䥄㹖胣隌볯醼볯隼胣㲑䐯噉ਾ䐼噉㰾⁡牨晥∽〲㐰〵㠰㄰琮晩㸢〲㐰〵㠰㄰琮晩ꃂ〰㈴㤶⼼㹡⼼䥄㹖ਊ†臣꺁苣龃菣뢅臣뎂菣钃菣벃苣���ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯邼臣膀볯躼뷯辽뷯辽뷯銽뷯辽뷯膽뷯놔鷦꺁볯늼볯袼볯늼볯馼볯邼볯躽뷯覼臣馼戼㹲钼苣龃菣뢅臣ꪂ菣邃菣ꦃ菣鞃臣辂臣ꎁ臣膀볯隼볯颼볯꺁郥肸胦銂ꓧ馁볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜲㰰愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯閼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜲㰱愯㰾䐯噉ਾ 鎁苣꾁胣ꊂ菣躃藩超裥袼藩鞈闧랏볯鞼볯銼볯꾼볯ꚼ볯醼볯躼뷯覼臣뺯뿥馁苣骼戼㹲㰊䥄㹖胣隌볯醼볯馼胣㲑䐯噉ਾ䐼噉㰾⁡牨晥∽〲㐰〵㠰㄰琮晩㸢〲㐰〵㠰㄰琮晩ꃂ〰㈴㈷⼼㹡⼼䥄㹖ਊ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜲㰳愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯鎼볯骼戼㹲㰊䥄㹖胣隌볯醼볯醼胣㲑䐯噉ਾ䐼噉㰾⁡牨晥∽〲㐰〵㠰㄰琮晩㸢〲㐰〵㠰㄰琮晩ꃂ〰㈴㐷⼼㹡⼼䥄㹖ਊ†臣貂臣膀苣龃菣뢅藩鞈볯超裥ꪕ迥銼볯閼볯鮼볯늼볯馼볯醼볯躽뷯覼臣뺯뿥馁苣骼戼㹲㰊䥄㹖胣隌볯醼볯銼胣㲑䐯噉ਾ䐼噉㰾⁡牨晥∽〲㐰〵㠰㄰琮晩㸢〲㐰〵㠰㄰琮晩ꃂ〰㈴㔷⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯閼볯骼戼㹲㰊䥄㹖胣隌볯醼볯鎼胣㲑䐯噉ਾ䐼噉㰾⁡牨晥∽〲㐰〵㠰㄰琮晩㸢〲㐰〵㠰㄰琮晩ꃂ〰㈴㘷⼼㹡⼼䥄㹖ਊ†臣貂臣膀苣龃菣뢅藩鞈볯超裥ꪕ迥銼볯閼볯鮼볯늼볯馼볯醼볯ꮁ꿥鲿臣讂볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜲㰷愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯醼볯꾁胣꺼볯螽뷯躽뷯銽뷯袽뷯薽뷯薽铧ꖝ臣꾼볯ꚼ볯꾼볯ꚼ볯醼볯躼뷯螽볯ꢁ볯㲑牢ਾ볯钼苣龃菣뢅臣ꪂ菣邃菣ꦃ菣鞃臣辂臣ꎁ臣膀볯馼볯钼볯꺁郥肸胦銂ꓧ馁볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜲㰸愯㰾䐯噉ਾ㰊䥄㹖胣隌볯醼볯隼胣㲑䐯噉ਾ䐼噉㰾⁡牨晥∽〲㐰〵㠰㄰琮晩㸢〲㐰〵㠰㄰琮晩ꃂ〰㈴㤷⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯鞼볯骼戼㹲㰊䥄㹖胣隌볯醼볯鞼胣㲑䐯噉ਾ䐼噉㰾⁡牨晥∽〲㐰〵㠰㄰琮晩㸢〲㐰〵㠰㄰琮晩ꃂ���㈴〸⼼㹡⼼䥄㹖ਊ†臣貂臣膀苣龃菣뢅藩鞈볯超裥ꪕ迥銼볯閼볯鮼볯늼볯馼볯醼볯膽볯ꮁ꿥鲿臣讂볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠲㰱愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯馼볯骼戼㹲㰊䥄㹖胣隌볯醼볯馼胣㲑䐯噉ਾ䐼噉㰾⁡牨晥∽〲㐰〵㠰㄰琮晩㸢〲㐰〵㠰㄰琮晩ꃂ〰㈴㈸⼼㹡⼼䥄㹖ਊ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠲㰳愯㰾䐯噉ਾ 鎁苣꾁胣ꊂ菣躃藩超裥袼藩鞈闧랏볯鞼볯邼볯꾼볯ꚼ볯醼볯躼뷯螽볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠲㰴愯㰾䐯噉ਾ †믤许臣ꢃ裥蒚볯꺼볯超裥꾁胣꺼볯趽뷯躽뷯躽뷯覽뷯覽뷯覽뷯궸臣貐껥閁苣龁볯超裥ꪕ戼㹲랏볯鞼볯醼볯骼戼㹲㰊䥄㹖胣隌볯醼볯銼胣㲑䐯噉ਾ䐼噉㰾⁡牨晥∽〲㐰〵㠰㄰琮晩㸢〲㐰〵㠰㄰琮晩ꃂ〰㈴㔸⼼㹡⼼䥄㹖ਊ†臣貂臣膀苣龃菣뢅藩鞈볯超裥ꪕ迥銼볯隼볯鮼볯늼볯馼볯銼볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠲㰶愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯醼볯꾁胣꺼볯螽뷯躽뷯銽뷯袽뷯薽뷯薽铧ꖝ臣꾼볯ꚼ볯꾼볯ꚼ볯醼볯躼뷯螽볯ꢁ볯㲑牢ਾ볯隼苣龃菣뢅臣ꪂ菣邃菣ꦃ菣鞃臣辂臣ꎁ臣膀볯醼볯颼볯꺁郥肸胦銂ꓧ馁볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠲㰷愯㰾䐯噉ਾ㰊䥄㹖胣隌볯醼볯閼胣㲑䐯噉ਾ䐼噉㰾⁡牨晥∽〲㐰〵㠰㄰琮晩㸢〲㐰〵㠰㄰琮晩ꃂ〰㈴㠸⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯鎼볯骼戼㹲㰊䥄㹖胣隌볯醼볯隼胣㲑䐯噉ਾ䐼噉㰾⁡牨晥∽〲㐰〵㠰㄰琮晩㸢〲㐰〵㠰㄰琮晩ꃂ〰㈴㤸⼼㹡⼼䥄㹖ਊ†臣貂臣膀苣龃菣뢅藩鞈볯超裥ꪕ迥銼볯隼볯鮼볯늼볯馼볯銼볯膽볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤲㰰愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯閼볯骼戼㹲㰊䥄㹖胣隌볯醼볯颼胣㲑䐯噉ਾ䐼噉㰾⁡牨晥∽〲㐰〵㠰㄰琮晩㸢〲㐰〵㠰㄰琮晩ꃂ〰㈴ㄹ⼼㹡⼼䥄㹖ਊ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤲㰲愯㰾䐯噉ਾ 鎁苣꾁胣ꊂ菣躃藩超裥袼藩鞈闧랏볯鞼볯隼볯꾼볯ꚼ볯醼볯躼뷯螽볯ꮁ꿥鲿臣讂볯㲚牢ਾ䐼���邀賥閼볯钼볯醀⼼䥄㹖㰊䥄㹖愼栠敲㵦㈢〰㔴〰〸⸱楴≦㈾〰㔴〰〸⸱楴쉦゠㐰㤲㰳愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯隼볯覼볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤲㰴愯㰾䐯噉ਾ 鎁苣꾁胣ꊂ菣躃藩超裥袼藩鞈闧랏볯鞼볯颼볯꾼볯ꚼ볯醼볯覼臣뺯뿥馁苣骼戼㹲㰊䥄㹖胣隌볯醼볯銼胣㲑䐯噉ਾ䐼噉㰾⁡牨晥∽〲㐰〵㠰㄰琮晩㸢〲㐰〵㠰㄰琮晩ꃂ〰㈴㔹⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯鎼臣膀볯躼뷯辽뷯辽뷯銽뷯辽뷯膽뷯놔鷦꺁볯늼볯袼볯늼볯馼볯鎼볯躽뷯覼臣銼戼㹲鞼볯ꊂ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯醼볯鎼胣㲑䐯噉ਾ䐼噉㰾⁡牨晥∽〲㐰〵㠰㄰琮晩㸢〲㐰〵㠰㄰琮晩ꃂ〰㈴㘹⼼㹡⼼䥄㹖ਊ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤲㰷愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯隼볯覼볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤲㰸愯㰾䐯噉ਾ 鎁苣꾁胣ꊂ菣躃藩超裥袼藩鞈闧랏볯鞼볯邼볯꾼볯ꚼ볯醼볯躼뷯覼臣뺯뿥馁苣骼戼㹲㰊䥄㹖胣隌볯醼볯隼胣㲑䐯噉ਾ䐼噉㰾⁡牨晥∽〲㐰〵㠰㄰琮晩㸢〲㐰〵㠰㄰琮晩ꃂ〰㈴㤹⼼㹡⼼䥄㹖ਊ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰〳㰰愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯醼볯骼戼㹲㰊䥄㹖胣隌볯醼볯颼胣㲑䐯噉ਾ䐼噉㰾⁡牨晥∽〲㐰〵㠰㄰琮晩㸢〲㐰〵㠰㄰琮晩ꃂ〰㌴㄰⼼㹡⼼䥄㹖ਊ†臣貂臣膀苣龃菣뢅藩鞈볯超裥ꪕ迥銼볯鞼볯鮼볯늼볯馼볯钼볯躽뷯覼臣뺯뿥馁苣骼戼㹲㰊䥄㹖胣隌볯醼볯馼胣㲑䐯噉ਾ䐼噉㰾⁡牨晥∽〲㐰〵㠰㄰琮晩㸢〲㐰〵㠰㄰琮晩ꃂ〰㌴㈰⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯鎼볯骼戼㹲㰊䥄㹖胣隌볯醼볯邼胣㲑䐯噉ਾ䐼噉㰾⁡牨晥∽〲㐰〵㠰㄰琮晩㸢〲㐰〵㠰㄰琮晩ꃂ〰㌴㌰⼼㹡⼼䥄㹖ਊ†臣貂臣膀苣龃菣뢅藩鞈볯超裥ꪕ迥銼볯鞼볯鮼볯늼볯馼볯钼볯ꮁ꿥鲿臣讂볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〳㰴愯㰾䐯噉ਾ㰊䥄㹖胣隌볯醼볯銼胣㲑䐯噉ਾ䐼噉㰾⁡牨晥∽〲㐰〵㠰㄰琮晩㸢〲㐰〵㠰㄰琮晩ꃂ〰㌴㔰⼼㹡⼼䥄㹖ਊ†臣꺁苣龃菣뢅臣뎂菣钃菣벃苣ꎧ���꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯钼臣膀볯躼뷯辽뷯辽뷯銽뷯辽뷯膽뷯놔鷦꺁볯늼볯袼볯늼볯馼볯钼볯躽뷯覼臣銼戼㹲钼볯ꊂ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯醼볯鎼胣㲑䐯噉ਾ䐼噉㰾⁡牨晥∽〲㐰〵㠰㄰琮晩㸢〲㐰〵㠰㄰琮晩ꃂ〰㌴㘰⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯閼볯骼戼㹲㰊䥄㹖胣隌볯醼볯钼胣㲑䐯噉ਾ䐼噉㰾⁡牨晥∽〲㐰〵㠰㄰琮晩㸢〲㐰〵㠰㄰琮晩ꃂ〰㌴㜰⼼㹡⼼䥄㹖ਊ†臣貂臣膀苣龃菣뢅藩鞈볯超裥ꪕ迥銼볯鞼볯鮼볯늼볯馼볯钼볯膽볯ꮁ꿥鲿臣讂볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〳㰸愯㰾䐯噉ਾ㰊䥄㹖胣隌볯醼볯隼胣㲑䐯噉ਾ䐼噉㰾⁡牨晥∽〲㐰〵㠰㄰琮晩㸢〲㐰〵㠰㄰琮晩ꃂ〰㌴㤰⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯鞼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰ㄳ㰰愯㰾䐯噉ਾ 鎁苣꾁胣ꊂ菣躃藩超裥袼藩鞈闧랏볯鞼볯颼볯꾼볯ꚼ볯醼볯躼뷯螽볯ꮁ꿥鲿臣讂볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰ㄳ㰱愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鞼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰ㄳ㰲愯㰾䐯噉ਾ㰊䥄㹖胣隌볯醼볯邼胣㲑䐯噉ਾ䐼噉㰾⁡牨晥∽〲㐰〵㠰㄰琮晩㸢〲㐰〵㠰㄰琮晩ꃂ〰㌴㌱⼼㹡⼼䥄㹖ਊ†臣貂臣膀苣龃菣뢅藩鞈볯超裥ꪕ迥銼볯颼볯鮼볯늼볯馼볯閼볯ꮁ꿥鲿臣讂볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄳ㰴愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯醼볯꾁胣꺼볯螽뷯躽뷯銽뷯袽뷯薽뷯薽铧ꖝ臣꾼볯ꚼ볯꾼볯ꚼ볯醼볯躼뷯螽볯ꢁ볯㲑牢ਾ볯钼苣龃菣뢅臣ꪂ菣邃菣ꦃ菣鞃臣辂臣ꎁ臣膀볯鞼볯邼볯꺁郥肸胦銂ꓧ馁볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄳ㰵愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯颼볯覼볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠���ㄳ㰶愯㰾䐯噉ਾ 鎁苣꾁胣ꊂ菣躃藩超裥袼藩鞈闧랏볯鞼볯銼볯꾼볯ꚼ볯醼볯躼뷯覼臣뺯뿥馁苣骼戼㹲㰊䥄㹖胣隌볯醼볯钼胣㲑䐯噉ਾ䐼噉㰾⁡牨晥∽〲㐰〵㠰㄰琮晩㸢〲㐰〵㠰㄰琮晩ꃂ〰㌴㜱⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄳ㰸愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯鎼볯骼戼㹲㰊䥄㹖胣隌볯醼볯隼胣㲑䐯噉ਾ䐼噉㰾⁡牨晥∽〲㐰〵㠰㄰琮晩㸢〲㐰〵㠰㄰琮晩ꃂ〰㌴㤱⼼㹡⼼䥄㹖ਊ†臣貂臣膀苣龃菣뢅藩鞈볯超裥ꪕ迥銼볯颼볯鮼볯늼볯馼볯鞼볯躽뷯覼臣뺯뿥馁苣骼戼㹲㰊䥄㹖胣隌볯醼볯鞼胣㲑䐯噉ਾ䐼噉㰾⁡牨晥∽〲㐰〵㠰㄰琮晩㸢〲㐰〵㠰㄰琮晩ꃂ〰㌴〲⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯閼볯骼戼㹲㰊䥄㹖胣隌볯醼볯颼胣㲑䐯噉ਾ䐼噉㰾⁡牨晥∽〲㐰〵㠰㄰琮晩㸢〲㐰〵㠰㄰琮晩ꃂ〰㌴ㄲ⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈳㰲愯㰾䐯噉ਾ 鎁苣꾁胣ꊂ菣躃藩超裥袼藩鞈闧랏볯鞼볯隼볯꾼볯ꚼ볯醼볯覼臣뺯뿥馁苣骼戼㹲㰊䥄㹖胣隌볯醼볯邼胣㲑䐯噉ਾ䐼噉㰾⁡牨晥∽〲㐰〵㠰㄰琮晩㸢〲㐰〵㠰㄰琮晩ꃂ〰㌴㌲⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯鞼臣膀볯躼뷯辽뷯辽뷯銽뷯辽뷯膽뷯놔鷦꺁볯늼볯袼볯늼볯馼볯鞼볯躽뷯覼臣鎼戼㹲鞼볯ꊂ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯醼볯醼胣㲑䐯噉ਾ䐼噉㰾⁡牨晥∽〲㐰〵㠰㄰琮晩㸢〲㐰〵㠰㄰琮晩ꃂ〰㌴㐲⼼㹡⼼䥄㹖ਊ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈳㰵愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯颼볯覼볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈳㰶愯㰾䐯噉ਾ 鎁苣꾁胣ꊂ菣躃藩超裥袼藩鞈闧랏볯鞼볯颼볯꾼볯ꚼ볯醼볯躼뷯覼臣뺯뿥馁苣骼戼㹲㰊䥄㹖胣隌볯醼볯钼胣㲑䐯噉ਾ䐼噉㰾⁡牨晥∽〲㐰〵㠰㄰琮晩㸢〲㐰〵㠰㄰琮晩ꃂ〰㌴㜲⼼㹡⼼䥄㹖ਊ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈳㰸愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯馼볯骼戼㹲㰊䥄㹖胣隌볯醼볯隼胣㲑䐯噉ਾ䐼噉㰾⁡牨晥∽〲㐰〵㠰㄰琮晩㸢〲㐰〵㠰㄰琮晩ꃂ〰㌴㤲⼼㹡⼼䥄㹖ਊ†臣貂臣膀苣龃菣���뢅藩鞈볯超裥ꪕ迥銼볯馼볯鮼볯늼볯馼볯馼볯躽뷯覼臣뺯뿥馁苣骼戼㹲㰊䥄㹖胣隌볯醼볯鞼胣㲑䐯噉ਾ䐼噉㰾⁡牨晥∽〲㐰〵㠰㄰琮晩㸢〲㐰〵㠰㄰琮晩ꃂ〰㌴〳⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯醼볯骼戼㹲㰊䥄㹖胣隌볯醼볯颼胣㲑䐯噉ਾ䐼噉㰾⁡牨晥∽〲㐰〵㠰㄰琮晩㸢〲㐰〵㠰㄰琮晩ꃂ〰㌴ㄳ⼼㹡⼼䥄㹖ਊ†臣貂臣膀苣龃菣뢅藩鞈볯超裥ꪕ迥銼볯馼볯鮼볯늼볯馼볯馼볯ꮁ꿥鲿臣讂볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌳㰲愯㰾䐯噉ਾ㰊䥄㹖胣隌볯醼볯邼胣㲑䐯噉ਾ䐼噉㰾⁡牨晥∽〲㐰〵㠰㄰琮晩㸢〲㐰〵㠰㄰琮晩ꃂ〰㌴㌳⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯鎼볯骼戼㹲㰊䥄㹖胣隌볯醼볯醼胣㲑䐯噉ਾ䐼噉㰾⁡牨晥∽〲㐰〵㠰㄰琮晩㸢〲㐰〵㠰㄰琮晩ꃂ〰㌴㐳⼼㹡⼼䥄㹖ਊ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌳㰵愯㰾䐯噉ਾ 鎁苣꾁胣ꊂ菣躃藩超裥袼藩鞈闧랏볯鞼볯钼볯꾼볯ꚼ볯醼볯躼뷯覼臣뺯뿥馁苣骼戼㹲㰊䥄㹖胣隌볯醼볯鎼胣㲑䐯噉ਾ䐼噉㰾⁡牨晥∽〲㐰〵㠰㄰琮晩㸢〲㐰〵㠰㄰琮晩ꃂ〰㌴㘳⼼㹡⼼䥄㹖ਊ†볯꾼볯ꚼ볯醼볯꺁駧뺏볯㲉牢ਾ†껥붖뻤醼臣風볨閁苣龁볯늼볯馼볯馼臣ꒁ臣ꚁ臣鞃菣ꒂ菣벃苣뾽铧鞁臣膀볯늼볯銂뷤꺽믤㲘牢ਾ臣鞁胣鶁臣ꚁ苣궃菣讃菣낂臣龁胣鎁臣超裥꾁胣뎛볯莼臣誁臣ꚁ迦鮾臣貂苣袂臣ꮁ胣뺲ꏨ閁戼㹲貂胣鶁臣ꚁ볯躼뷯辽뷯覽룤ꞁ駧뺏臣貂臣芀볯늼볯馼볯馼臣ꪦ냦Ꞁ菣궃菣袃胣鞊軥Ꞁ賦낕胣㲁牢ਾ臣袂臣ꆸꛨ銪胦颠鿥銂胣뎛볯莼룤ꮁ迦鮾臣讂胣ꆼ볯낼볯ꦼ菣궃苣ꦃ菣꾁胣ꢎ껥꺁볯내菨ꢂ戼㹲钃菣벃菣銂뫤겸臣讂臣膂臣뾽铧閁苣ꚁ臣讂볯Ꞽ뷯辽苣袼볯馼볯馼볯ꪼ볯ꦼ뷯趽뷯躽뷯貽볯㲎牢ਾ볯钼볯骼볯邼볯鞼볯늼뷯芽뷯銽뷯鎽苣袼볯馼볯隼볯ꆼ볯꒼볯₳늼뷯鎽†볯閽뷯膽뷯₎늼뷯㲅牢ਾ뷯銽뷯隽뷯銽뷯鎽뷯鎽†볯銼볯閼볯鎼볯놼뷯膽뷯馽뷯覂볯醼볯馼볯覼볯莽뷯躽뷯₄ꪼ†볯㲩牢ਾ뷯趽뷯躽뷯貽†ꏨ몁†볯醼볯馼볯芀볯늼볯馼볯馼臣뢠藩超裥꾁胣邏ꓧꎼ볯ꮁ臣蒁臣邏뻤閁戼㹲貂苣芀戼㹲 ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲鞼볯閼볯骼戼㹲㰊䥄㹖胣隌볯醼볯钼胣㲑䐯噉ਾ䐼噉㰾⁡牨晥∽〲㐰〵㠰㄰琮晩㸢〲㐰〵㠰㄰琮晩ꃂ〰㌴㜳⼼㹡⼼䥄㹖ਊ†臣貂臣膀苣龃菣뢅藩鞈볯超裥ꪕ迥銼볯馼볯鮼볯늼볯馼볯邼볯躽뷯覼臣뺯뿥馁苣骼戼㹲㰊䥄㹖胣隌볯醼볯閼胣㲑䐯噉ਾ䐼噉㰾⁡牨晥���〲㐰〵㠰㄰琮晩㸢〲㐰〵㠰㄰琮晩ꃂ〰㌴㠳⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯鞼볯骼戼㹲㰊䥄㹖胣隌볯醼볯隼胣㲑䐯噉ਾ䐼噉㰾⁡牨晥∽〲㐰〵㠰㄰琮晩㸢〲㐰〵㠰㄰琮晩ꃂ〰㌴㤳⼼㹡⼼䥄㹖ਊ†臣貂臣膀苣龃菣뢅藩鞈볯超裥ꪕ迥銼볯馼볯鮼볯늼볯馼볯邼볯ꮁ꿥鲿臣讂볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐳㰰愯㰾䐯噉ਾ㰊䥄㹖胣隌볯醼볯颼胣㲑䐯噉ਾ䐼噉㰾⁡牨晥∽〲㐰〵㠰㄰琮晩㸢〲㐰〵㠰㄰琮晩ꃂ〰㌴ㄴ⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯邼臣膀볯躼뷯辽뷯辽뷯銽뷯辽뷯膽뷯놔鷦꺁볯늼볯袼볯늼볯馼볯邼볯躽뷯覼臣銼戼㹲邼볯ꊂ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯醼볯馼胣㲑䐯噉ਾ䐼噉㰾⁡牨晥∽〲㐰〵㠰㄰琮晩㸢〲㐰〵㠰㄰琮晩ꃂ〰㌴㈴⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯鞼볯馼볯骼戼㹲㰊䥄㹖胣隌볯醼볯邼胣㲑䐯噉ਾ䐼噉㰾⁡牨晥∽〲㐰〵㠰㄰琮晩㸢〲㐰〵㠰㄰琮晩ꃂ〰㌴㌴⼼㹡⼼䥄㹖ਊ†臣貂臣膀苣龃菣뢅藩鞈볯超裥ꪕ迥銼볯邼볯鮼볯늼볯馼볯邼볯膽볯ꮁ꿥鲿臣讂볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐳㰴愯㰾䐯噉ਾ㰊䥄㹖胣隌볯醼볯銼胣㲑䐯噉ਾ䐼噉㰾⁡牨晥∽〲㐰〵㠰㄰琮晩㸢〲㐰〵㠰㄰琮晩ꃂ〰㌴㔴⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯邼볯覼볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐳㰶愯㰾䐯噉ਾ 鎁苣꾁胣ꊂ菣躃藩超裥袼藩鞈闧랏볯颼볯銼볯꾼볯ꚼ볯銼볯銈볯躼뷯螽볯ꮁ꿥鲿臣讂볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐳㰷愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯邼볯覼볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐳㰸愯㰾䐯噉ਾ㰊䥄㹖胣隌볯醼볯隼胣㲑䐯噉ਾ䐼噉㰾⁡牨晥∽〲㐰〵㠰㄰琮晩㸢〲㐰〵㠰㄰琮晩ꃂ〰㌴㤴⼼㹡⼼䥄㹖ਊ†臣貂臣膀苣龃菣뢅藩鞈볯超裥ꪕ迥銼볯邼볯鮼볯늼볯馼볯邼裢醼볯ꮁ꿥鲿臣讂볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㔳㰰愯㰾䐯噉ਾ ꖻ룤꺁菩蚈髧꒼볯ꆼ藩鞈臣膀볯躼뷯薽뷯覽뷯螽뷯钽뷯���뷯鎽룤ꞁ郥骮臣貂臣袼藩鞈闧랏戼㹲銼볯邼볯覼볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㔳㰱愯㰾䐯噉ਾ 鎁苣꾁胣ꊂ菣躃藩超裥袼藩鞈闧랏볯颼볯隼볯꾼볯ꚼ볯銼볯銈볯躼뷯覼臣뺯뿥馁苣骼戼㹲㰊䥄㹖胣隌볯醼볯馼胣㲑䐯噉ਾ䐼噉㰾⁡牨晥∽〲㐰〵㠰㄰琮晩㸢〲㐰〵㠰㄰琮晩ꃂ〰㌴㈵⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯邼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔳㰳愯㰾䐯噉ਾ 鎁苣꾁胣ꊂ菣躃藩超裥袼藩鞈闧랏볯颼볯颼볯꾼볯ꚼ볯銼볯躼뷯螽볯ꮁ꿥鲿臣讂볯㲚牢ਾ䐼噉邀賥閼볯邼볯膽胣㲑䐯噉ਾ䐼噉㰾⁡牨晥∽〲㐰〵㠰㄰琮晩㸢〲㐰〵㠰㄰琮晩ꃂ〰㌴㐵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯馼볯骼戼㹲㰊䥄㹖胣隌볯銼볯邼뷯醀⼼䥄㹖㰊䥄㹖愼栠敲㵦㈢〰㔴〰〸⸱楴≦㈾〰㔴〰〸⸱楴쉦゠㐰㔳㰵愯㰾䐯噉ਾ㰊䥄㹖胣隌볯銼볯醼胣㲑䐯噉ਾ䐼噉㰾⁡牨晥∽〲㐰〵㠰㄰琮晩㸢〲㐰〵㠰㄰琮晩ꃂ〰㌴㘵⼼㹡⼼䥄㹖ਊ†臣貂臣膀苣龃菣뢅藩鞈볯超裥ꪕ迥銼볯醼볯鮼볯늼볯馼볯醼볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔳㰷愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯銼볯꾁胣꺼볯螽뷯躽뷯銽뷯袽뷯薽뷯薽铧ꖝ臣꾼볯ꚼ볯꾼볯ꚼ볯銼볯躼뷯螽볯ꢁ볯㲑牢ਾ볯銼苣龃菣뢅臣ꪂ菣邃菣ꦃ菣鞃臣辂臣ꎁ臣膀볯閼볯鞼볯꺁郥肸胦銂ꓧ馁볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔳㰸愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯醼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔳㰹愯㰾䐯噉ਾ 鎁苣꾁胣ꊂ菣躃藩超裥袼藩鞈闧랏볯颼볯銼볯꾼볯ꚼ볯銼볯躼뷯覼臣뺯뿥馁苣骼戼㹲㰊䥄㹖胣隌볯銼볯閼胣㲑䐯噉ਾ䐼噉㰾⁡牨晥∽〲㐰〵㠰㄰琮晩㸢〲㐰〵㠰㄰琮晩ꃂ〰㌴〶⼼㹡⼼䥄㹖ਊ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘳㰱愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲颼볯鎼볯骼戼㹲㰊䥄㹖胣隌볯銼볯鞼胣㲑䐯噉ਾ䐼噉㰾⁡牨晥∽〲㐰〵㠰㄰琮晩㸢〲㐰〵㠰㄰琮晩ꃂ〰㌴㈶⼼㹡⼼䥄㹖ਊ†臣貂臣膀苣龃菣뢅藩鞈볯超裥ꪕ迥銼볯���醼볯鮼볯늼볯馼볯銼볯躽뷯覼臣뺯뿥馁苣骼戼㹲㰊䥄㹖胣隌볯銼볯颼胣㲑䐯噉ਾ䐼噉㰾⁡牨晥∽〲㐰〵㠰㄰琮晩㸢〲㐰〵㠰㄰琮晩ꃂ〰㌴㌶⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯閼볯骼戼㹲㰊䥄㹖胣隌볯銼볯馼胣㲑䐯噉ਾ䐼噉㰾⁡牨晥∽〲㐰〵㠰㄰琮晩㸢〲㐰〵㠰㄰琮晩ꃂ〰㌴㐶⼼㹡⼼䥄㹖ਊ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘳㰵愯㰾䐯噉ਾ 鎁苣꾁胣ꊂ菣躃藩超裥袼藩鞈闧랏볯颼볯隼볯꾼볯ꚼ볯銼볯覼臣뺯뿥馁苣骼戼㹲㰊䥄㹖胣隌볯銼볯醼胣㲑䐯噉ਾ䐼噉㰾⁡牨晥∽〲㐰〵㠰㄰琮晩㸢〲㐰〵㠰㄰琮晩ꃂ〰㌴㘶⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯銼臣膀볯躼뷯辽뷯辽뷯銽뷯辽뷯膽뷯놔鷦꺁볯늼볯袼볯늼볯馼볯銼볯躽뷯覼臣鎼戼㹲隼볯ꊂ菣躃藩꺁苣벃菣벃菣莃菣ꮁ苣龁臣ꚁ胣馼볯躼볯薼臣貐룤Ꞁ苣몤臣骼戼㹲㰊䥄㹖胣隌볯銼볯銼胣㲑䐯噉ਾ䐼噉㰾⁡牨晥∽〲㐰〵㠰㄰琮晩㸢〲㐰〵㠰㄰琮晩ꃂ〰㌴㜶⼼㹡⼼䥄㹖ਊ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘳㰸愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯醼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘳㰹愯㰾䐯噉ਾ 鎁苣꾁胣ꊂ菣躃藩超裥袼藩鞈闧랏볯颼볯颼볯꾼볯ꚼ볯銼볯躼뷯覼臣뺯뿥馁苣骼戼㹲㰊䥄㹖胣隌볯銼볯閼胣㲑䐯噉ਾ䐼噉㰾⁡牨晥∽〲㐰〵㠰㄰琮晩㸢〲㐰〵㠰㄰琮晩ꃂ〰㌴〷⼼㹡⼼䥄㹖ਊ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜳㰱愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲颼볯馼볯骼戼㹲㰊䥄㹖胣隌볯銼볯鞼胣㲑䐯噉ਾ䐼噉㰾⁡牨晥∽〲㐰〵㠰㄰琮晩㸢〲㐰〵㠰㄰琮晩ꃂ〰㌴㈷⼼㹡⼼䥄㹖ਊ†臣貂臣膀苣龃菣뢅藩鞈볯超裥ꪕ迥銼볯銼볯鮼볯늼볯馼볯鎼볯躽뷯覼臣뺯뿥馁苣骼戼㹲㰊䥄㹖胣隌볯銼볯颼胣㲑䐯噉ਾ䐼噉㰾⁡牨晥∽〲㐰〵㠰㄰琮晩㸢〲㐰〵㠰㄰琮晩ꃂ〰㌴㌷⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯醼볯骼戼㹲㰊䥄㹖胣隌볯銼볯馼胣㲑䐯噉ਾ䐼噉㰾⁡牨晥∽〲㐰〵㠰㄰琮晩㸢〲㐰〵㠰㄰琮晩ꃂ〰㌴㐷⼼㹡⼼䥄㹖ਊ†臣貂臣膀苣龃菣뢅藩鞈볯超裥ꪕ迥銼볯銼볯鮼볯늼볯馼볯鎼볯ꮁ꿥鲿臣讂볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴���゠㐰㜳㰵愯㰾䐯噉ਾ 鎁臣ꊂ菣躃藩꺁苣뎃菣ꖃ菣뾂꟨邞臣邵黦銂믤许臣몤臣骼戼㹲꺼볯螽뷯躽뷯銽뷯袽뷯薽뷯薽铧ꖝ臣袺룦閁苣讂볯늼볯ꢁ臣뢛郥Ꞁ戼㹲꾼볯ꚼ볯銼볯꾁胣꺼볯螽뷯躽뷯銽뷯袽뷯薽뷯薽铧ꖝ臣꾼볯ꚼ볯꾼볯ꚼ볯銼볯躼뷯螽볯ꢁ볯㲑牢ਾ볯鞼苣龃菣뢅臣ꪂ菣邃菣ꦃ菣鞃臣辂臣ꎁ臣膀볯颼볯颼볯꺁郥肸胦銂ꓧ馁볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜳㰶愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯銼볯覼볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜳㰷愯㰾䐯噉ਾ 鎁苣꾁胣ꊂ菣躃藩超裥袼藩鞈闧랏볯颼볯钼볯꾼볯ꚼ볯銼볯躼뷯覼臣뺯뿥馁苣骼戼㹲㰊䥄㹖胣隌볯銼볯鎼胣㲑䐯噉ਾ䐼噉㰾⁡牨晥∽〲㐰〵㠰㄰琮晩㸢〲㐰〵㠰㄰琮晩ꃂ〰㌴㠷⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯銼볯覼볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜳㰹愯㰾䐯噉ਾ 鎁苣꾁胣ꊂ菣躃藩超裥袼藩鞈闧랏볯颼볯隼볯꾼볯ꚼ볯銼볯躼뷯螽볯ꮁ꿥鲿臣讂볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠳㰰愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯銼볯覼볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠳㰱愯㰾䐯噉ਾ 鎁苣꾁胣ꊂ菣躃藩超裥袼藩鞈闧랏볯颼볯颼볯꾼볯ꚼ볯銼볯覼臣뺯뿥馁苣骼戼㹲㰊䥄㹖胣隌볯銼볯鞼胣㲑䐯噉ਾ䐼噉㰾⁡牨晥∽〲㐰〵㠰㄰琮晩㸢〲㐰〵㠰㄰琮晩ꃂ〰㌴㈸⼼㹡⼼䥄㹖ਊ†臣꺁苣龃菣뢅臣뎂菣钃菣벃苣ꎧ黦꺁뗧鲞苣ꖻ룤ꮁꓧ馁볯㲚牢ਾ볯躼뷯辽뷯辽뷯銽뷯辽뷯膽뷯놔鷦꺁뫤겸臣貂苣꾼볯ꚼ臣꺁鯧貐胦㲧牢ਾ볯늼볯馼볯閼臣膀볯躼뷯辽뷯辽뷯銽뷯辽뷯膽뷯놔鷦꺁볯늼볯袼볯늼볯馼볯閼볯躽뷯覼臣閼戼㹲邼苣龃菣뢅臣ꪂ菣邃菣ꦃ菣鞃臣辂臣ꎁ臣膀볯钼볯邼볯꺁郥肸胦銂ꓧ馁볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠳㰳愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲颼볯馼볯骼戼㹲㰊䥄㹖胣隌볯銼볯馼胣㲑䐯噉ਾ䐼噉㰾⁡牨晥∽〲㐰〵㠰㄰琮晩㸢〲㐰〵㠰㄰琮晩ꃂ〰㌴㐸⼼㹡⼼䥄㹖ਊ†臣貂臣膀苣龃菣뢅藩鞈볯超裥ꪕ迥銼볯鎼볯鮼볯늼볯馼볯閼裢醼볯躽뷯覼臣뺯뿥馁苣骼戼���㰊䥄㹖胣隌볯銼볯邼胣㲑䐯噉ਾ䐼噉㰾⁡牨晥∽〲㐰〵㠰㄰琮晩㸢〲㐰〵㠰㄰琮晩ꃂ〰㌴㔸⼼㹡⼼䥄㹖ਊ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠳㰶愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鎼볯覼볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠳㰷愯㰾䐯噉ਾ 鎁苣꾁胣ꊂ菣躃藩超裥袼藩鞈闧랏볯颼볯銼볯꾼볯ꚼ볯銼볯銈볯覼臣뺯뿥馁苣骼戼㹲㰊䥄㹖胣隌볯銼볯鎼胣㲑䐯噉ਾ䐼噉㰾⁡牨晥∽〲㐰〵㠰㄰琮晩㸢〲㐰〵㠰㄰琮晩ꃂ〰㌴㠸⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯鎼볯骼戼㹲㰊䥄㹖胣隌볯銼볯钼胣㲑䐯噉ਾ䐼噉㰾⁡牨晥∽〲㐰〵㠰㄰琮晩㸢〲㐰〵㠰㄰琮晩ꃂ〰㌴㤸⼼㹡⼼䥄㹖ਊ†臣貂臣膀苣龃菣뢅藩鞈볯超裥ꪕ迥銼볯鎼볯鮼볯늼볯馼볯閼裢醼볯膽볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤳㰰愯㰾䐯噉ਾ㰊䥄㹖胣隌볯銼볯隼胣㲑䐯噉ਾ䐼噉㰾⁡牨晥∽〲㐰〵㠰㄰琮晩㸢〲㐰〵㠰㄰琮晩ꃂ〰㌴ㄹ⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯鎼볯覼볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤳㰲愯㰾䐯噉ਾ 鎁苣꾁胣ꊂ菣躃藩超裥袼藩鞈闧랏볯颼볯隼볯꾼볯ꚼ볯銼볯躼뷯螽볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤳㰳愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鎼볯覼볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤳㰴愯㰾䐯噉ਾ 鎁苣꾁胣ꊂ菣躃藩超裥袼藩鞈闧랏볯颼볯颼볯꾼볯ꚼ볯銼볯覼臣뺯뿥馁苣骼戼㹲㰊䥄㹖胣隌볯銼볯邼胣㲑䐯噉ਾ䐼噉㰾⁡牨晥∽〲㐰〵㠰㄰琮晩㸢〲㐰〵㠰㄰琮晩ꃂ〰㌴㔹⼼㹡⼼䥄㹖ਊ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤳㰶愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲颼볯馼볯骼戼㹲㰊䥄㹖胣隌볯銼볯銼胣㲑䐯噉ਾ䐼噉㰾⁡牨晥∽〲㐰〵㠰㄰琮晩㸢〲㐰〵㠰㄰琮晩ꃂ〰㌴㜹⼼㹡⼼䥄㹖ਊ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤳㰸愯㰾䐯噉ਾ 鎁苣꾁胣ꊂ菣躃藩超裥袼藩鞈闧랏볯颼볯邼볯꾼볯ꚼ볯銼볯躼뷯螽볯ꮁ꿥鲿臣讂볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱���쉦゠㐰㤳㰹愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯钼볯覼볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰〴㰰愯㰾䐯噉ਾ 鎁苣꾁胣ꊂ菣躃藩超裥袼藩鞈闧랏볯颼볯銼볯꾼볯ꚼ볯銼볯覼臣뺯뿥馁苣骼戼㹲㰊䥄㹖胣隌볯銼볯隼胣㲑䐯噉ਾ䐼噉㰾⁡牨晥∽〲㐰〵㠰㄰琮晩㸢〲㐰〵㠰㄰琮晩ꃂ〰㐴㄰⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ†볯늼볯馼볯鞼臣膀볯躼뷯辽뷯辽뷯銽뷯辽뷯膽뷯놔鷦꺁볯늼볯袼볯늼볯馼볯鞼볯躽뷯覼臣㲨牢ਾ볯钼볯ꊂ菣躃藩趇ꓨꮁ苣龁臣ꚁ볯钼볯銼볯꺁郥肸胦銂ꓧ馁볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰〴㰲愯㰾䐯噉ਾ㰊䥄㹖胣隌볯銼볯颼胣㲑䐯噉ਾ䐼噉㰾⁡牨晥∽〲㐰〵㠰㄰琮晩㸢〲㐰〵㠰㄰琮晩ꃂ〰㐴㌰⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯鎼볯骼戼㹲㰊䥄㹖胣隌볯銼볯馼胣㲑䐯噉ਾ䐼噉㰾⁡牨晥∽〲㐰〵㠰㄰琮晩㸢〲㐰〵㠰㄰琮晩ꃂ〰㐴㐰⼼㹡⼼䥄㹖ਊ†臣貂臣膀苣龃菣뢅藩鞈볯超裥ꪕ迥銼볯钼볯鮼볯늼볯馼볯鞼볯膽볯ꮁ꿥鲿臣讂볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〴㰵愯㰾䐯噉ਾ㰊䥄㹖胣隌볯銼볯醼胣㲑䐯噉ਾ䐼噉㰾⁡牨晥∽〲㐰〵㠰㄰琮晩㸢〲㐰〵㠰㄰琮晩ꃂ〰㐴㘰⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯钼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〴㰷愯㰾䐯噉ਾ 鎁苣꾁胣ꊂ菣躃藩超裥袼藩鞈闧랏볯颼볯隼볯꾼볯ꚼ볯銼볯躼뷯螽볯ꮁ꿥鲿臣讂볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〴㰸愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯钼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〴㰹愯㰾䐯噉ਾ㰊䥄㹖胣隌볯銼볯閼胣㲑䐯噉ਾ䐼噉㰾⁡牨晥∽〲㐰〵㠰㄰琮晩㸢〲㐰〵㠰㄰琮晩ꃂ〰㐴〱⼼㹡⼼䥄㹖ਊ†臣貂臣膀苣龃菣뢅藩鞈볯超裥ꪕ迥銼볯钼볯鮼볯늼볯馼볯馼볯ꮁ꿥鲿臣讂볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰ㄴ㰱愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯���뷯袽뷯薽뷯薽铧ꖝ臣ꢎ껥꾼볯ꚼ臣꺁鯧貐胦覼戼㹲 꾼볯ꚼ볯銼볯꾁胣꺼볯螽뷯躽뷯銽뷯袽뷯薽뷯薽铧ꖝ臣ꢎ껥꾼볯ꚼ볯꾼볯ꚼ볯銼볯躼뷯螽戼㹲覼臣钼볯鞼苣龃菣뢅蟩螤臣辂臣ꎁ臣馼볯躼볯薼臣貐룤Ꞁ苣몤臣骼戼㹲㰊䥄㹖胣隌볯銼볯鞼胣㲑䐯噉ਾ䐼噉㰾⁡牨晥∽〲㐰〵㠰㄰琮晩㸢〲㐰〵㠰㄰琮晩ꃂ〰㐴㈱⼼㹡⼼䥄㹖ਊ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰ㄴ㰳愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯钼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰ㄴ㰴愯㰾䐯噉ਾ鎁苣꾁胣ꊂ菣躃藩超裥袼藩鞈闧랏볯颼볯邼볯꾼볯ꚼ볯銼볯躼뷯覼臣뺯뿥馁苣骼戼㹲㰊䥄㹖胣隌볯銼볯邼胣㲑䐯噉ਾ䐼噉㰾⁡牨晥∽〲㐰〵㠰㄰琮晩㸢〲㐰〵㠰㄰琮晩ꃂ〰㐴㔱⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄴ㰶愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯閼볯覼볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄴ㰷愯㰾䐯噉ਾ 鎁苣꾁胣ꊂ菣躃藩超裥袼藩鞈闧랏볯颼볯銼볯꾼볯ꚼ볯鎼볯覼臣뺯뿥馁苣骼戼㹲㰊䥄㹖胣隌볯銼볯鎼胣㲑䐯噉ਾ䐼噉㰾⁡牨晥∽〲㐰〵㠰㄰琮晩㸢〲㐰〵㠰㄰琮晩ꃂ〰㐴㠱⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯閼볯覼볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄴ㰹愯㰾䐯噉ਾ 鎁苣꾁胣ꊂ菣躃藩超裥袼藩鞈闧랏볯颼볯钼볯꾼볯ꚼ볯鎼볯銈볯躼뷯螽볯ꮁ꿥鲿臣讂볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈴㰰愯㰾䐯噉ਾ㰊䥄㹖胣隌볯銼볯隼胣㲑䐯噉ਾ䐼噉㰾⁡牨晥∽〲㐰〵㠰㄰琮晩㸢〲㐰〵㠰㄰琮晩ꃂ〰㐴ㄲ⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯閼볯骼戼㹲㰊䥄㹖胣隌볯銼볯鞼胣㲑䐯噉ਾ䐼噉㰾⁡牨晥∽〲㐰〵㠰㄰琮晩㸢〲㐰〵㠰㄰琮晩ꃂ〰㐴㈲⼼㹡⼼䥄㹖ਊ†臣貂臣膀苣龃菣뢅藩鞈볯超裥ꪕ迥銼볯閼볯鮼볯늼볯馼볯邼裢醼볯ꮁ꿥鲿臣讂볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈴㰳愯㰾䐯噉ਾ㰊䥄㹖胣隌볯銼볯馼胣㲑䐯噉ਾ䐼噉㰾⁡牨晥∽〲㐰〵㠰㄰琮晩㸢〲㐰〵㠰㄰琮晩ꃂ〰㐴㐲⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯閼볯覼볯㲚牢ਾ䐼噉邀���閼볯鞼볯醀⼼䥄㹖㰊䥄㹖愼栠敲㵦㈢〰㔴〰〸⸱楴≦㈾〰㔴〰〸⸱楴쉦゠㐰㈴㰵愯㰾䐯噉ਾ 鎁苣꾁胣ꊂ菣躃藩超裥袼藩鞈闧랏볯颼볯颼볯꾼볯ꚼ볯鎼볯躼뷯螽볯ꮁ꿥鲿臣讂볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈴㰶愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯閼볯覼볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈴㰷愯㰾䐯噉ਾ 鎁苣꾁胣ꊂ菣躃藩超裥袼藩鞈闧랏볯颼볯邼볯꾼볯ꚼ볯鎼볯覼臣뺯뿥馁苣骼戼㹲㰊䥄㹖胣隌볯銼볯鎼胣㲑䐯噉ਾ䐼噉㰾⁡牨晥∽〲㐰〵㠰㄰琮晩㸢〲㐰〵㠰㄰琮晩ꃂ〰㐴㠲⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ†볯늼볯馼볯醼臣膀볯躼뷯辽뷯辽뷯銽뷯辽뷯膽뷯놔鷦꺁軦骮볯늼볯袼볯늼볯馼볯醼볯躽뷯㲇牢ਾ볯ꢁ볯颼볯ꊂ菣躃藩趇ꓨꮁ苣龁臣ꚁ볯醼볯馼볯꺁郥肸胦銂ꓧ馁볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈴㰹愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯隼볯覼볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌴㰰愯㰾䐯噉ਾ㰊䥄㹖胣隌볯銼볯隼胣㲑䐯噉ਾ䐼噉㰾⁡牨晥∽〲㐰〵㠰㄰琮晩㸢〲㐰〵㠰㄰琮晩ꃂ〰㐴ㄳ⼼㹡⼼䥄㹖ਊ†臣貂臣膀苣龃菣뢅藩鞈볯超裥ꪕ迥銼볯隼볯鮼볯늼볯馼볯醼볯膽볯ꮁ꿥鲿臣讂볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌴㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯隼볯覼볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌴㰳愯㰾䐯噉ਾ 鎁苣꾁胣ꊂ菣躃藩超裥袼藩鞈闧랏볯颼볯钼볯꾼볯ꚼ볯鎼볯覼臣뺯뿥馁苣骼戼㹲㰊䥄㹖胣隌볯銼볯馼胣㲑䐯噉ਾ䐼噉㰾⁡牨晥∽〲㐰〵㠰㄰琮晩㸢〲㐰〵㠰㄰琮晩ꃂ〰㐴㐳⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ†볯늼볯馼볯銼臣膀볯躼뷯辽뷯辽뷯銽뷯辽뷯膽뷯놔鷦꺁軦骮볯늼볯袼볯늼볯馼볯銼볯躽뷯㲇牢ਾ볯ꢁ甼砠汭獮樺㵰栢瑴㩰⼯睷⹷灪⹯潧樮≰‾††㰠甯ꊂ菣躃藩趇ꓨꮁ苣龁臣ꚁ甼砠汭獮樺㵰栢瑴㩰⼯睷⹷灪⹯潧樮≰‾††㰠甯薼臣貐룤Ꞁ苣몤臣骼戼㹲 ꖻ룤꺁���蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯隼볯覼볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌴㰵愯㰾䐯噉ਾ㰊䥄㹖胣隌볯銼볯醼胣㲑䐯噉ਾ䐼噉㰾⁡牨晥∽〲㐰〵㠰㄰琮晩㸢〲㐰〵㠰㄰琮晩ꃂ〰㐴㘳⼼㹡⼼䥄㹖ਊ†臣貂臣膀苣龃菣뢅藩鞈볯超裥ꪕ迥銼볯隼볯鮼볯늼볯馼볯钼볯躽뷯覼臣뺯뿥馁苣骼戼㹲㰊䥄㹖胣隌볯銼볯銼胣㲑䐯噉ਾ䐼噉㰾⁡牨晥∽〲㐰〵㠰㄰琮晩㸢〲㐰〵㠰㄰琮晩ꃂ〰㐴㜳⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯鞼볯骼戼㹲㰊䥄㹖胣隌볯銼볯鎼胣㲑䐯噉ਾ䐼噉㰾⁡牨晥∽〲㐰〵㠰㄰琮晩㸢〲㐰〵㠰㄰琮晩ꃂ〰㐴㠳⼼㹡⼼䥄㹖ਊ†臣貂臣膀苣龃菣뢅藩鞈볯超裥ꪕ迥銼볯隼볯鮼볯늼볯馼볯钼볯ꮁ꿥鲿臣讂볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌴㰹愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯鎼볯꾁胣꺼볯螽뷯躽뷯銽뷯袽뷯薽뷯薽铧ꖝ臣ꢎ껥꾼볯ꚼ볯꾼볯ꚼ볯鎼볯躼뷯螽戼㹲覼臣銼볯閼苣龃菣뢅蟩螤臣辂臣ꎁ臣馼볯躼볯薼臣貐룤Ꞁ苣몤臣骼戼㹲㰊䥄㹖胣隌볯銼볯閼胣㲑䐯噉ਾ䐼噉㰾⁡牨晥∽〲㐰〵㠰㄰琮晩㸢〲㐰〵㠰㄰琮晩ꃂ〰㐴〴⼼㹡⼼䥄㹖ਊ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐴㰱愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯隼볯覼볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐴㰲愯㰾䐯噉ਾ 鎁苣꾁胣ꊂ菣躃藩超裥袼藩鞈闧랏볯颼볯邼볯꾼볯ꚼ볯鎼볯躼뷯覼臣뺯뿥馁苣骼戼㹲㰊䥄㹖胣隌볯銼볯颼胣㲑䐯噉ਾ䐼噉㰾⁡牨晥∽〲㐰〵㠰㄰琮晩㸢〲㐰〵㠰㄰琮晩ꃂ〰㐴㌴⼼㹡⼼䥄㹖ਊ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐴㰴愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鞼볯覼볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐴㰵愯㰾䐯噉ਾ 鎁苣꾁胣ꊂ菣躃藩超裥袼藩鞈闧랏볯颼볯銼볯꾼볯ꚼ볯鎼볯覼臣뺯뿥馁苣骼戼㹲㰊䥄㹖胣隌볯銼볯醼胣㲑䐯噉ਾ䐼噉㰾⁡牨晥∽〲㐰〵㠰㄰琮晩㸢〲㐰〵㠰㄰琮晩ꃂ〰㐴㘴⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯鎼볯骼戼㹲���䥄㹖胣隌볯銼볯銼胣㲑䐯噉ਾ䐼噉㰾⁡牨晥∽〲㐰〵㠰㄰琮晩㸢〲㐰〵㠰㄰琮晩ꃂ〰㐴㜴⼼㹡⼼䥄㹖ਊ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐴㰸愯㰾䐯噉ਾ 鎁苣꾁胣ꊂ菣躃藩超裥袼藩鞈闧랏볯颼볯钼볯꾼볯ꚼ볯鎼볯躼뷯覼臣뺯뿥馁苣骼戼㹲㰊䥄㹖胣隌볯銼볯钼胣㲑䐯噉ਾ䐼噉㰾⁡牨晥∽〲㐰〵㠰㄰琮晩㸢〲㐰〵㠰㄰琮晩ꃂ〰㐴㤴⼼㹡⼼䥄㹖ਊ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㔴㰰愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲颼볯閼볯骼戼㹲㰊䥄㹖胣隌볯銼볯隼胣㲑䐯噉ਾ䐼噉㰾⁡牨晥∽〲㐰〵㠰㄰琮晩㸢〲㐰〵㠰㄰琮晩ꃂ〰㐴ㄵ⼼㹡⼼䥄㹖ਊ†臣貂臣膀苣龃菣뢅藩鞈볯超裥ꪕ迥銼볯鞼볯鮼볯늼볯馼볯隼볯躽뷯覼臣뺯뿥馁苣骼戼㹲㰊䥄㹖胣隌볯銼볯鞼胣㲑䐯噉ਾ䐼噉㰾⁡牨晥∽〲㐰〵㠰㄰琮晩㸢〲㐰〵㠰㄰琮晩ꃂ〰㐴㈵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯鞼볯骼戼㹲㰊䥄㹖胣隌볯銼볯颼胣㲑䐯噉ਾ䐼噉㰾⁡牨晥∽〲㐰〵㠰㄰琮晩㸢〲㐰〵㠰㄰琮晩ꃂ〰㐴㌵⼼㹡⼼䥄㹖ਊ†臣貂臣膀苣龃菣뢅藩鞈볯超裥ꪕ迥銼볯鞼볯鮼볯늼볯馼볯隼볯ꮁ꿥鲿臣讂볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㔴㰴愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯鎼볯꾁胣꺼볯螽뷯躽뷯銽뷯袽뷯薽뷯薽铧ꖝ臣ꢎ껥꾼볯ꚼ볯꾼볯ꚼ볯鎼볯躼뷯螽戼㹲覼臣醼볯颼苣龃菣뢅蟩螤臣辂臣ꎁ臣馼볯躼볯薼臣貐룤Ꞁ苣몤臣骼戼㹲㰊䥄㹖胣隌볯鎼볯邼胣㲑䐯噉ਾ䐼噉㰾⁡牨晥∽〲㐰〵㠰㄰琮晩㸢〲㐰〵㠰㄰琮晩ꃂ〰㐴㔵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯馼볯骼戼㹲㰊䥄㹖胣隌볯鎼볯醼胣㲑䐯噉ਾ䐼噉㰾⁡牨晥∽〲㐰〵㠰㄰琮晩㸢〲㐰〵㠰㄰琮晩ꃂ〰㐴㘵⼼㹡⼼䥄㹖ਊ†臣貂臣膀苣龃菣뢅藩鞈볯超裥ꪕ迥銼볯颼볯鮼볯늼볯馼볯隼볯膽볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔴㰷愯㰾䐯噉ਾ㰊䥄㹖胣隌볯鎼볯鎼胣㲑䐯噉ਾ䐼噉㰾⁡牨晥∽〲㐰〵㠰㄰琮晩㸢〲㐰〵㠰㄰琮晩ꃂ〰㐴㠵⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯颼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔴㰹愯㰾䐯噉ਾ 鎁苣꾁胣ꊂ菣躃藩超裥袼藩���鞈闧랏볯颼볯銼볯꾼볯ꚼ볯鎼볯銈볯躼뷯螽볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘴㰰愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯颼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘴㰱愯㰾䐯噉ਾ 鎁苣꾁胣ꊂ菣躃藩超裥袼藩鞈闧랏볯颼볯钼볯꾼볯ꚼ볯鎼볯銈볯覼臣뺯뿥馁苣骼戼㹲㰊䥄㹖胣隌볯鎼볯鞼胣㲑䐯噉ਾ䐼噉㰾⁡牨晥∽〲㐰〵㠰㄰琮晩㸢〲㐰〵㠰㄰琮晩ꃂ〰㐴㈶⼼㹡⼼䥄㹖ਊ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘴㰳愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯颼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘴㰴愯㰾䐯噉ਾ 鎁苣꾁胣ꊂ菣躃藩超裥袼藩鞈闧랏볯颼볯隼볯꾼볯ꚼ볯鎼볯銈볯躼뷯覼臣뺯뿥馁苣骼戼㹲㰊䥄㹖胣隌볯鎼볯邼胣㲑䐯噉ਾ䐼噉㰾⁡牨晥∽〲㐰〵㠰㄰琮晩㸢〲㐰〵㠰㄰琮晩ꃂ〰㐴㔶⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯颼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘴㰶愯㰾䐯噉ਾ㰊䥄㹖胣隌볯鎼볯銼胣㲑䐯噉ਾ䐼噉㰾⁡牨晥∽〲㐰〵㠰㄰琮晩㸢〲㐰〵㠰㄰琮晩ꃂ〰㐴㜶⼼㹡⼼䥄㹖ਊ†臣貂臣膀苣龃菣뢅藩鞈볯超裥ꪕ迥銼볯颼볯鮼볯늼볯馼볯鞼볯躽뷯覼臣뺯뿥馁苣骼戼㹲㰊䥄㹖胣隌볯鎼볯鎼胣㲑䐯噉ਾ䐼噉㰾⁡牨晥∽〲㐰〵㠰㄰琮晩㸢〲㐰〵㠰㄰琮晩ꃂ〰㐴㠶⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯馼볯骼戼㹲㰊䥄㹖胣隌볯鎼볯钼胣㲑䐯噉ਾ䐼噉㰾⁡牨晥∽〲㐰〵㠰㄰琮晩㸢〲㐰〵㠰㄰琮晩ꃂ〰㐴㤶⼼㹡⼼䥄㹖ਊ†臣貂臣膀苣龃菣뢅藩鞈볯超裥ꪕ迥銼볯馼볯鮼볯늼볯馼볯鞼볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜴㰰愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯鎼볯꾁胣꺼볯螽뷯躽뷯銽뷯袽뷯薽뷯薽铧ꖝ臣ꢎ껥꾼볯ꚼ볯꾼볯ꚼ볯鎼볯躼뷯螽戼㹲覼臣銼볯馼苣龃菣뢅蟩螤臣辂臣ꎁ臣颼볯躼볯薼臣貐룤Ꞁ苣몤臣骼戼㹲㰊䥄㹖胣隌볯鎼볯隼胣㲑䐯噉ਾ䐼噉㰾⁡牨晥∽〲㐰〵㠰㄰琮晩㸢〲㐰〵㠰㄰琮晩ꃂ〰㐴ㄷ⼼㹡⼼䥄㹖ਊ䐼噉邀賥閼볯醼볯醀⼼䥄㹖㰊䥄㹖愼栠���㵦㈢〰㔴〰〸⸱楴≦㈾〰㔴〰〸⸱楴쉦゠㐰㜴㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯馼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜴㰳愯㰾䐯噉ਾ 鎁苣꾁胣ꊂ菣躃藩超裥袼藩鞈闧랏볯颼볯銼볯꾼볯ꚼ볯鎼볯躼뷯覼臣뺯뿥馁苣骼戼㹲㰊䥄㹖胣隌볯鎼볯馼胣㲑䐯噉ਾ䐼噉㰾⁡牨晥∽〲㐰〵㠰㄰琮晩㸢〲㐰〵㠰㄰琮晩ꃂ〰㐴㐷⼼㹡⼼䥄㹖ਊ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜴㰵愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯馼볯覼볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜴㰶愯㰾䐯噉ਾ 鎁苣꾁胣ꊂ菣躃藩超裥袼藩鞈闧랏볯颼볯钼볯꾼볯ꚼ볯鎼볯覼臣뺯뿥馁苣骼戼㹲㰊䥄㹖胣隌볯鎼볯銼胣㲑䐯噉ਾ䐼噉㰾⁡牨晥∽〲㐰〵㠰㄰琮晩㸢〲㐰〵㠰㄰琮晩ꃂ〰㐴㜷⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯颼볯閼볯骼戼㹲㰊䥄㹖胣隌볯鎼볯鎼胣㲑䐯噉ਾ䐼噉㰾⁡牨晥∽〲㐰〵㠰㄰琮晩㸢〲㐰〵㠰㄰琮晩ꃂ〰㐴㠷⼼㹡⼼䥄㹖ਊ†臣貂臣膀苣龃菣뢅藩鞈볯超裥ꪕ迥銼볯馼볯鮼볯늼볯馼볯馼膽볯ꮁ꿥鲿臣讂볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜴㰹愯㰾䐯噉ਾ㰊䥄㹖胣隌볯鎼볯閼胣㲑䐯噉ਾ䐼噉㰾⁡牨晥∽〲㐰〵㠰㄰琮晩㸢〲㐰〵㠰㄰琮晩ꃂ〰㐴〸⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯馼볯覼볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠴㰱愯㰾䐯噉ਾ 鎁苣꾁胣ꊂ菣躃藩超裥袼藩鞈闧랏볯颼볯颼볯꾼볯ꚼ볯閼볯⺐뷯螽볯ꮁ꿥鲿臣讂볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠴㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯馼볯覼볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠴㰳愯㰾䐯噉ਾ 鎁苣꾁胣ꊂ菣躃藩超裥袼藩鞈闧랏볯馼볯邼볯꾼볯ꚼ볯閼볯覼臣뺯뿥馁苣骼戼㹲㰊䥄㹖胣隌볯鎼볯馼胣㲑䐯噉ਾ䐼噉㰾⁡牨晥∽〲㐰〵㠰㄰琮晩㸢〲㐰〵㠰㄰琮晩ꃂ〰㐴㐸⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ†볯늼볯馼볯邼臣膀볯躼뷯辽뷯辽���銽뷯辽뷯膽뷯놔鷦꺁軦骮볯늼볯袼볯늼볯馼볯邼볯ꢁ볯㲑牢ਾ볯銼苣龃菣뢅蟩螤臣辂臣ꎁ臣颼볯躼볯薼臣貐룤Ꞁ苣몤臣骼戼㹲㰊䥄㹖胣隌볯鎼볯邼胣㲑䐯噉ਾ䐼噉㰾⁡牨晥∽〲㐰〵㠰㄰琮晩㸢〲㐰〵㠰㄰琮晩ꃂ〰㐴㔸⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯醼볯骼戼㹲㰊䥄㹖胣隌볯鎼볯醼胣㲑䐯噉ਾ䐼噉㰾⁡牨晥∽〲㐰〵㠰㄰琮晩㸢〲㐰〵㠰㄰琮晩ꃂ〰㐴㘸⼼㹡⼼䥄㹖ਊ†臣貂臣膀苣龃菣뢅藩鞈볯超裥ꪕ迥銼볯邼볯鮼볯늼볯馼볯邼膽볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠴㰷愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯趽뷯躽뷯躽뷯覽뷯覽뷯覽뷯놔鷦꺁軦骮볯늼볯ꢁ臣뢛郥Ꞁ볯㲉牢ਾ†볯늼볯馼볯邼臣膀볯躼뷯薽뷯覽뷯螽뷯钽뷯蒽뷯鎽铧ꖝ臣ꢎ껥꾼볯ꚼ볯꾼볯ꚼ볯閼볯覼臣㲨牢ਾ볯邼볯ꊂ菣躃藩趇ꓨꮁ苣龁臣ꚁ볯邼볯躼볯薼臣貐룤Ꞁ苣몤臣骼戼㹲㰊䥄㹖胣隌볯鎼볯鎼胣㲑䐯噉ਾ䐼噉㰾⁡牨晥∽〲㐰〵㠰㄰琮晩㸢〲㐰〵㠰㄰琮晩ꃂ〰㐴㠸⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯邼볯覼볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠴㰹愯㰾䐯噉ਾ 鎁苣꾁胣ꊂ菣躃藩超裥袼藩鞈闧랏볯馼볯钼볯꾼볯ꚼ볯閼볯⺑뷯螽볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤴㰰愯㰾䐯噉ਾ㰊䥄㹖胣隌볯鎼볯隼胣㲑䐯噉ਾ䐼噉㰾⁡牨晥∽〲㐰〵㠰㄰琮晩㸢〲㐰〵㠰㄰琮晩ꃂ〰㐴ㄹ⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯閼볯骼戼㹲㰊䥄㹖胣隌볯鎼볯鞼胣㲑䐯噉ਾ䐼噉㰾⁡牨晥∽〲㐰〵㠰㄰琮晩㸢〲㐰〵㠰㄰琮晩ꃂ〰㐴㈹⼼㹡⼼䥄㹖ਊ†臣貂臣膀苣龃菣뢅藩鞈볯超裥ꪕ迥銼볯邼볯鮼볯늼볯鞼볯醼볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤴㰳愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯閼볯꾁胣꺼볯螽뷯躽뷯銽뷯袽뷯薽뷯薽铧ꖝ臣ꢎ껥꾼볯ꚼ볯꾼볯ꚼ볯閼볯覼臣隼戼㹲醼볯ꊂ菣躃藩趇ꓨꮁ苣龁臣ꚁ볯颼볯隼볯꺁郥肸胦銂ꓧ馁볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤴㰴愯㰾䐯噉ਾ ꖻ룤꺁菩蚈髧꒼볯ꆼ藩���鞈臣膀볯躼뷯薽뷯覽뷯螽뷯钽뷯蒽뷯鎽룤ꞁ郥骮臣貂臣袼藩鞈闧랏戼㹲銼볯邼볯覼볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤴㰵愯㰾䐯噉ਾ 鎁苣꾁胣ꊂ菣躃藩超裥袼藩鞈闧랏볯馼볯颼볯꾼볯ꚼ볯閼볯躼뷯覼臣뺯뿥馁苣骼戼㹲㰊䥄㹖胣隌볯鎼볯醼胣㲑䐯噉ਾ䐼噉㰾⁡牨晥∽〲㐰〵㠰㄰琮晩㸢〲㐰〵㠰㄰琮晩ꃂ〰㐴㘹⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ†볯늼볯馼볯醼臣膀볯躼뷯辽뷯辽뷯銽뷯辽뷯膽뷯놔鷦꺁軦骮볯늼볯袼볯늼볯馼볯醼볯ꢁ볯㲖牢ਾ볯钼苣龃菣뢅蟩螤臣辂臣ꎁ臣馼볯躼볯薼臣貐룤Ꞁ苣몤臣骼戼㹲㰊䥄㹖胣隌볯鎼볯銼胣㲑䐯噉ਾ䐼噉㰾⁡牨晥∽〲㐰〵㠰㄰琮晩㸢〲㐰〵㠰㄰琮晩ꃂ〰㐴㜹⼼㹡⼼䥄㹖ਊ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤴㰸愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲馼볯馼볯骼戼㹲㰊䥄㹖胣隌볯鎼볯钼胣㲑䐯噉ਾ䐼噉㰾⁡牨晥∽〲㐰〵㠰㄰琮晩㸢〲㐰〵㠰㄰琮晩ꃂ〰㐴㤹⼼㹡⼼䥄㹖ਊ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰〵㰰愯㰾䐯噉ਾ 鎁苣꾁胣ꊂ菣躃藩超裥袼藩鞈闧랏볯馼볯邼볯꾼볯ꚼ볯閼볯躼뷯螽볯ꮁ꿥鲿臣讂볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰〵㰱愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯醼볯覼볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰〵㰲愯㰾䐯噉ਾ 鎁苣꾁胣ꊂ菣躃藩超裥袼藩鞈闧랏볯馼볯銼볯꾼볯ꚼ볯閼볯覼臣뺯뿥馁苣骼戼㹲㰊䥄㹖胣隌볯鎼볯颼胣㲑䐯噉ਾ䐼噉㰾⁡牨晥∽〲㐰〵㠰㄰琮晩㸢〲㐰〵㠰㄰琮晩ꃂ〰㔴㌰⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ†볯늼볯馼볯銼臣膀볯躼뷯辽뷯辽뷯銽뷯辽뷯膽뷯놔鷦꺁軦骮볯늼볯袼볯늼볯馼볯銼볯ꢁ볯㲒牢ਾ볯醼苣龃菣뢅蟩螤臣辂臣ꎁ臣馼볯躼볯薼臣貐룤Ꞁ苣몤臣骼戼㹲㰊䥄㹖胣隌볯鎼볯馼胣㲑䐯噉ਾ䐼噉㰾⁡牨晥∽〲㐰〵㠰㄰琮晩㸢〲㐰〵㠰㄰琮晩ꃂ〰㔴㐰⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯鎼볯骼戼㹲㰊䥄㹖胣隌볯鎼볯邼胣㲑䐯噉ਾ䐼噉㰾⁡牨晥∽〲㐰〵㠰㄰琮晩㸢〲㐰〵㠰㄰琮晩ꃂ〰㔴���⼼㹡⼼䥄㹖ਊ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〵㰶愯㰾䐯噉ਾ 鎁苣꾁胣ꊂ菣躃藩超裥袼藩鞈闧랏볯馼볯钼볯꾼볯ꚼ볯閼볯躼뷯覼臣뺯뿥馁苣骼戼㹲㰊䥄㹖胣隌볯鎼볯銼胣㲑䐯噉ਾ䐼噉㰾⁡牨晥∽〲㐰〵㠰㄰琮晩㸢〲㐰〵㠰㄰琮晩ꃂ〰㔴㜰⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯薽뷯覽뷯螽뷯钽뷯蒽뷯鎽铧ꖝ臣ꢎ껥꾼볯ꚼ臣꺁鯧貐胦覼戼㹲 꾼볯ꚼ볯閼볯꾁胣꺼볯趽뷯躽뷯躽뷯覽뷯覽뷯覽뷯놔鷦꺁軦骮볯늼볯袼볯늼볯馼볯銼볯ꢁ戼㹲銼볯颼苣龃菣뢅蟩螤臣辂臣ꎁ臣馼볯躼볯薼臣貐룤Ꞁ苣몤臣骼戼㹲㰊䥄㹖胣隌볯鎼볯鎼胣㲑䐯噉ਾ䐼噉㰾⁡牨晥∽〲㐰〵㠰㄰琮晩㸢〲㐰〵㠰㄰琮晩ꃂ〰㔴㠰⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯醼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〵㰹愯㰾䐯噉ਾ 鎁苣꾁胣ꊂ菣躃藩超裥袼藩鞈闧랏볯馼볯隼볯꾼볯ꚼ볯閼볯躼뷯螽볯ꮁ꿥鲿臣讂볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰ㄵ㰰愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯醼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰ㄵ㰱愯㰾䐯噉ਾ 鎁苣꾁胣ꊂ菣躃藩超裥袼藩鞈闧랏볯馼볯颼볯꾼볯ꚼ볯閼볯覼臣뺯뿥馁苣骼戼㹲㰊䥄㹖胣隌볯鎼볯鞼胣㲑䐯噉ਾ䐼噉㰾⁡牨晥∽〲㐰〵㠰㄰琮晩㸢〲㐰〵㠰㄰琮晩ꃂ〰㔴㈱⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ†볯늼볯馼볯鎼臣膀볯躼뷯辽뷯辽뷯銽뷯辽뷯膽뷯놔鷦꺁軦骮볯늼볯袼볯늼볯馼볯鎼볯ꢁ볯㲑牢ਾ볯鞼苣龃菣뢅蟩螤臣辂臣ꎁ臣馼볯躼볯薼臣貐룤Ꞁ苣몤臣骼戼㹲㰊䥄㹖胣隌볯鎼볯颼胣㲑䐯噉ਾ䐼噉㰾⁡牨晥∽〲㐰〵㠰㄰琮晩㸢〲㐰〵㠰㄰琮晩ꃂ〰㔴㌱⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯馼볯骼戼㹲㰊䥄㹖胣隌볯鎼볯馼胣㲑䐯噉ਾ䐼噉㰾⁡牨晥∽〲㐰〵㠰㄰琮晩㸢〲㐰〵㠰㄰琮晩ꃂ〰㔴㐱⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄵ㰵愯㰾䐯噉ਾ 鎁苣꾁胣ꊂ菣躃藩超裥袼藩鞈闧랏볯馼볯邼볯꾼볯ꚼ볯閼볯躼뷯覼臣뺯뿥馁苣骼戼㹲㰊䥄㹖胣隌볯鎼볯醼胣㲑䐯噉ਾ䐼噉㰾⁡牨晥∽〲㐰〵㠰㄰琮晩㸢〲㐰���㠰㄰琮晩ꃂ〰㔴㘱⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯薽뷯覽뷯螽뷯钽뷯蒽뷯鎽铧ꖝ臣ꢎ껥꾼볯ꚼ臣꺁鯧貐胦覼戼㹲 꾼볯ꚼ볯閼볯꾁胣꺼볯趽뷯躽뷯躽뷯覽뷯覽뷯覽뷯놔鷦꺁軦骮볯늼볯袼볯늼볯馼볯鎼볯ꢁ戼㹲醼볯鞼苣龃菣뢅蟩螤臣辂臣ꎁ臣馼볯躼볯薼臣貐룤Ꞁ苣몤臣骼戼㹲㰊䥄㹖胣隌볯鎼볯銼胣㲑䐯噉ਾ䐼噉㰾⁡牨晥∽〲㐰〵㠰㄰琮晩㸢〲㐰〵㠰㄰琮晩ꃂ〰㔴㜱⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯醼볯骼戼㹲㰊䥄㹖胣隌볯鎼볯鎼胣㲑䐯噉ਾ䐼噉㰾⁡牨晥∽〲㐰〵㠰㄰琮晩㸢〲㐰〵㠰㄰琮晩ꃂ〰㔴㠱⼼㹡⼼䥄㹖ਊ†臣貂臣膀苣龃菣뢅藩鞈볯超裥ꪕ迥銼볯銼볯鮼볯늼볯馼볯钼볯ꮁ꿥鲿臣讂볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄵ㰹愯㰾䐯噉ਾ㰊䥄㹖胣隌볯鎼볯閼胣㲑䐯噉ਾ䐼噉㰾⁡牨晥∽〲㐰〵㠰㄰琮晩㸢〲㐰〵㠰㄰琮晩ꃂ〰㔴〲⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯銼볯覼볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈵㰱愯㰾䐯噉ਾ 鎁苣꾁胣ꊂ菣躃藩超裥袼藩鞈闧랏볯馼볯钼볯꾼볯ꚼ볯閼볯躼뷯螽볯ꮁ꿥鲿臣讂볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈵㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯銼볯覼볯㲚牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈵㰳愯㰾䐯噉ਾ 鎁苣꾁胣ꊂ菣躃藩超裥袼藩鞈闧랏볯馼볯隼볯꾼볯ꚼ볯閼볯覼臣뺯뿥馁苣骼戼㹲㰊䥄㹖胣隌볯鎼볯馼胣㲑䐯噉ਾ䐼噉㰾⁡牨晥∽〲㐰〵㠰㄰琮晩㸢〲㐰〵㠰㄰琮晩ꃂ〰㔴㐲⼼㹡⼼䥄㹖ਊ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈵㰵愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯閼볯꾁胣꺼볯螽뷯躽뷯銽뷯袽뷯薽뷯薽铧ꖝ臣ꢎ껥꾼볯ꚼ볯꾼볯ꚼ볯閼볯覼臣鎼戼㹲鎼볯ꊂ菣躃藩趇ꓨꮁ苣龁臣ꚁ볯閼볯銼볯꺁郥肸胦銂ꓧ馁볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈵㰶愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯銼볯覼볯㲚牢ਾ䐼噉邀賥閼볯鞼볯���醀⼼䥄㹖㰊䥄㹖愼栠敲㵦㈢〰㔴〰〸⸱楴≦㈾〰㔴〰〸⸱楴쉦゠㐰㈵㰷愯㰾䐯噉ਾ㰊䥄㹖胣隌볯鎼볯鎼胣㲑䐯噉ਾ䐼噉㰾⁡牨晥∽〲㐰〵㠰㄰琮晩㸢〲㐰〵㠰㄰琮晩ꃂ〰㔴㠲⼼㹡⼼䥄㹖ਊ†臣貂臣膀苣龃菣뢅藩鞈볯超裥ꪕ迥銼볯銼볯鮼볯늼볯馼볯鞼볯膽볯ꮁ꿥鲿臣讂볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈵㰹愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯趽뷯躽뷯躽뷯覽뷯覽뷯覽뷯놔鷦꺁軦骮볯늼볯ꢁ臣뢛郥Ꞁ볯㲉牢ਾ†볯늼볯馼볯鞼臣膀볯躼뷯薽뷯覽뷯螽뷯钽뷯蒽뷯鎽铧ꖝ臣ꢎ껥꾼볯ꚼ볯꾼볯ꚼ볯閼볯覼臣㲨牢ਾ볯鞼볯ꊂ菣躃藩趇ꓨꮁ苣龁臣ꚁ볯隼볯鎼볯꺁郥肸胦銂ꓧ馁볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌵㰰愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲馼볯馼볯骼戼㹲㰊䥄㹖胣隌볯鎼볯隼胣㲑䐯噉ਾ䐼噉㰾⁡牨晥∽〲㐰〵㠰㄰琮晩㸢〲㐰〵㠰㄰琮晩ꃂ〰㔴ㄳ⼼㹡⼼䥄㹖ਊ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌵㰲愯㰾䐯噉ਾ 鎁苣꾁胣ꊂ菣躃藩超裥袼藩鞈闧랏볯馼볯邼볯꾼볯ꚼ볯閼볯躼뷯螽볯ꮁ꿥鲿臣讂볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌵㰳愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鎼볯覼볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌵㰴愯㰾䐯噉ਾ㰊䥄㹖胣隌볯鎼볯邼胣㲑䐯噉ਾ䐼噉㰾⁡牨晥∽〲㐰〵㠰㄰琮晩㸢〲㐰〵㠰㄰琮晩ꃂ〰㔴㔳⼼㹡⼼䥄㹖ਊ†臣貂臣膀苣龃菣뢅藩鞈볯超裥ꪕ迥銼볯鎼볯鮼볯늼볯馼볯颼볯ꮁ꿥鲿臣讂볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌵㰶愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯閼볯꾁胣꺼볯螽뷯躽뷯銽뷯袽뷯薽뷯薽铧ꖝ臣ꢎ껥꾼볯ꚼ볯꾼볯ꚼ볯閼볯覼臣颼戼㹲邼볯ꊂ菣躃藩趇ꓨꮁ苣龁臣ꚁ볯馼볯鎼볯꺁郥肸胦銂ꓧ馁볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌵㰷愯㰾䐯噉ਾ㰊䥄㹖胣隌볯鎼볯鎼胣㲑䐯噉ਾ䐼噉㰾⁡牨晥∽〲㐰〵㠰㄰琮晩㸢〲㐰〵㠰㄰琮晩ꃂ〰㔴㠳⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯鎼볯骼戼㹲㰊䥄㹖胣隌볯鎼볯���胣㲑䐯噉ਾ䐼噉㰾⁡牨晥∽〲㐰〵㠰㄰琮晩㸢〲㐰〵㠰㄰琮晩ꃂ〰㔴㤳⼼㹡⼼䥄㹖ਊ†臣貂臣膀苣龃菣뢅藩鞈볯超裥ꪕ迥銼볯鎼볯鮼볯늼볯馼볯颼볯膽볯ꮁ꿥鲿臣讂볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐵㰰愯㰾䐯噉ਾ㰊䥄㹖胣隌볯鎼볯隼胣㲑䐯噉ਾ䐼噉㰾⁡牨晥∽〲㐰〵㠰㄰琮晩㸢〲㐰〵㠰㄰琮晩ꃂ〰㔴ㄴ⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯薽뷯覽뷯螽뷯钽뷯蒽뷯鎽铧ꖝ臣ꢎ껥꾼볯ꚼ臣꺁鯧貐胦覼戼㹲 꾼볯ꚼ볯閼볯꾁胣꺼볯趽뷯躽뷯躽뷯覽뷯覽뷯覽뷯놔鷦꺁軦骮볯늼볯袼볯늼볯馼볯鞼볯ꢁ戼㹲鎼볯鞼苣龃菣뢅蟩螤臣辂臣ꎁ臣馼볯躼볯薼臣貐룤Ꞁ苣몤臣骼戼㹲㰊䥄㹖胣隌볯鎼볯鞼胣㲑䐯噉ਾ䐼噉㰾⁡牨晥∽〲㐰〵㠰㄰琮晩㸢〲㐰〵㠰㄰琮晩ꃂ〰㔴㈴⼼㹡⼼䥄㹖ਊ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐵㰳愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲馼볯閼볯骼戼㹲㰊䥄㹖胣隌볯鎼볯馼胣㲑䐯噉ਾ䐼噉㰾⁡牨晥∽〲㐰〵㠰㄰琮晩㸢〲㐰〵㠰㄰琮晩ꃂ〰㔴㐴⼼㹡⼼䥄㹖ਊ†臣貂臣膀苣龃菣뢅藩鞈볯超裥ꪕ迥銼볯鎼볯鮼볯늼볯馼볯馼볯躽뷯覼臣뺯뿥馁苣骼戼㹲㰊䥄㹖胣隌볯鎼볯邼胣㲑䐯噉ਾ䐼噉㰾⁡牨晥∽〲㐰〵㠰㄰琮晩㸢〲㐰〵㠰㄰琮晩ꃂ〰㔴㔴⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯鞼볯骼戼㹲㰊䥄㹖胣隌볯鎼볯醼胣㲑䐯噉ਾ䐼噉㰾⁡牨晥∽〲㐰〵㠰㄰琮晩㸢〲㐰〵㠰㄰琮晩ꃂ〰㔴㘴⼼㹡⼼䥄㹖ਊ†臣貂臣膀苣龃菣뢅藩鞈볯超裥ꪕ迥銼볯鎼볯鮼볯늼볯馼볯馼볯ꮁ꿥鲿臣讂볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐵㰷愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯閼볯꾁胣꺼볯螽뷯躽뷯銽뷯袽뷯薽뷯薽铧ꖝ臣ꢎ껥꾼볯ꚼ볯꾼볯ꚼ볯閼볯覼臣醼戼㹲邼볯ꊂ菣躃藩趇ꓨꮁ苣龁臣ꚁ볯閼볯钼볯꺁郥肸胦銂ꓧ馁볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐵㰸愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯鎼볯覼볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐵㰹愯㰾䐯噉ਾ 鎁苣꾁胣ꊂ菣躃藩超裥袼藩鞈闧랏볯馼볯邼볯꾼볯ꚼ볯閼볯躼뷯覼臣뺯뿥馁苣骼戼㹲㰊䥄㹖���隌볯鎼볯閼胣㲑䐯噉ਾ䐼噉㰾⁡牨晥∽〲㐰〵㠰㄰琮晩㸢〲㐰〵㠰㄰琮晩ꃂ〰㔴〵⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯薽뷯覽뷯螽뷯钽뷯蒽뷯鎽铧ꖝ臣ꢎ껥꾼볯ꚼ臣꺁鯧貐胦覼戼㹲 꾼볯ꚼ볯閼볯꾁胣꺼볯趽뷯躽뷯躽뷯覽뷯覽뷯覽뷯놔鷦꺁軦骮볯늼볯袼볯늼볯馼볯馼볯ꢁ戼㹲醼볯颼苣龃菣뢅蟩螤臣辂臣ꎁ臣馼볯躼볯薼臣貐룤Ꞁ苣몤臣骼戼㹲㰊䥄㹖胣隌볯鎼볯隼胣㲑䐯噉ਾ䐼噉㰾⁡牨晥∽〲㐰〵㠰㄰琮晩㸢〲㐰〵㠰㄰琮晩ꃂ〰㔴ㄵ⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯醼볯骼戼㹲㰊䥄㹖胣隌볯鎼볯鞼胣㲑䐯噉ਾ䐼噉㰾⁡牨晥∽〲㐰〵㠰㄰琮晩㸢〲㐰〵㠰㄰琮晩ꃂ〰㔴㈵⼼㹡⼼䥄㹖ਊ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㔵㰳愯㰾䐯噉ਾ 鎁苣꾁胣ꊂ菣躃藩超裥袼藩鞈闧랏볯馼볯銼볯꾼볯ꚼ볯隼볯覼臣뺯뿥馁苣骼戼㹲㰊䥄㹖胣隌볯鎼볯馼胣㲑䐯噉ਾ䐼噉㰾⁡牨晥∽〲㐰〵㠰㄰琮晩㸢〲㐰〵㠰㄰琮晩ꃂ〰㔴㐵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯鎼볯骼戼㹲㰊䥄㹖胣隌볯钼볯邼胣㲑䐯噉ਾ䐼噉㰾⁡牨晥∽〲㐰〵㠰㄰琮晩㸢〲㐰〵㠰㄰琮晩ꃂ〰㔴㔵⼼㹡⼼䥄㹖ਊ†臣貂臣膀苣龃菣뢅藩鞈볯超裥ꪕ迥馼볯邼볯꾼볯ꚼ볯馼볯钼볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔵㰶愯㰾䐯噉ਾ㰊䥄㹖胣隌볯钼볯銼胣㲑䐯噉ਾ䐼噉㰾⁡牨晥∽〲㐰〵㠰㄰琮晩㸢〲㐰〵㠰㄰琮晩ꃂ〰㔴㜵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯閼볯骼戼㹲㰊䥄㹖胣隌볯钼볯鎼胣㲑䐯噉ਾ䐼噉㰾⁡牨晥∽〲㐰〵㠰㄰琮晩㸢〲㐰〵㠰㄰琮晩ꃂ〰㔴㠵⼼㹡⼼䥄㹖ਊ†臣貂臣膀苣龃菣뢅藩鞈볯超裥ꪕ迥銼볯钼볯鮼볯늼볯馼볯銼볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔵㰹愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯钼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘵㰰愯㰾䐯噉ਾ㰊䥄㹖胣隌볯钼볯隼胣㲑䐯噉ਾ䐼噉㰾⁡牨晥∽〲㐰〵㠰㄰琮晩㸢〲㐰〵㠰㄰琮晩ꃂ〰㔴ㄶ⼼㹡⼼䥄㹖ਊ†臣貂臣膀苣龃菣뢅藩鞈볯超裥ꪕ迥銼볯钼볯鮼볯늼볯馼볯銼볯膽볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘵㰲愯㰾䐯噉ਾ㰊䥄㹖胣隌볯钼볯颼胣㲑䐯噉ਾ䐼噉㰾⁡牨晥∽〲㐰〵㠰���琮晩㸢〲㐰〵㠰㄰琮晩ꃂ〰㔴㌶⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯钼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘵㰴愯㰾䐯噉ਾ 鎁苣꾁胣ꊂ菣躃藩超裥袼藩鞈闧랏볯馼볯邼볯꾼볯ꚼ볯鞼볯躼뷯螽볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘵㰵愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯閼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘵㰶愯㰾䐯噉ਾ㰊䥄㹖胣隌볯钼볯銼胣㲑䐯噉ਾ䐼噉㰾⁡牨晥∽〲㐰〵㠰㄰琮晩㸢〲㐰〵㠰㄰琮晩ꃂ〰㔴㜶⼼㹡⼼䥄㹖ਊ†臣貂臣膀苣龃菣뢅藩鞈볯超裥ꪕ迥銼볯閼볯鮼볯늼볯馼볯鎼볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘵㰸愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯鞼볯꾁胣꺼볯螽뷯躽뷯銽뷯袽뷯薽뷯薽铧ꖝ臣ꢎ껥꾼볯ꚼ볯꾼볯ꚼ볯鞼볯⺓뷯螽戼㹲覼臣銼볯钼苣龃菣뢅蟩螤臣辂臣ꎁ臣馼볯躼볯薼臣貐룤Ꞁ苣몤臣骼戼㹲㰊䥄㹖胣隌볯钼볯钼胣㲑䐯噉ਾ䐼噉㰾⁡牨晥∽〲㐰〵㠰㄰琮晩㸢〲㐰〵㠰㄰琮晩ꃂ〰㔴㤶⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯鎼볯骼戼㹲㰊䥄㹖胣隌볯钼볯閼胣㲑䐯噉ਾ䐼噉㰾⁡牨晥∽〲㐰〵㠰㄰琮晩㸢〲㐰〵㠰㄰琮晩ꃂ〰㔴〷⼼㹡⼼䥄㹖ਊ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜵㰱愯㰾䐯噉ਾ 鎁苣꾁胣ꊂ菣躃藩超裥袼藩鞈闧랏볯馼볯钼볯꾼볯ꚼ볯鞼볯躼뷯覼臣뺯뿥馁苣骼戼㹲㰊䥄㹖胣隌볯钼볯鞼胣㲑䐯噉ਾ䐼噉㰾⁡牨晥∽〲㐰〵㠰㄰琮晩㸢〲㐰〵㠰㄰琮晩ꃂ〰㔴㈷⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯閼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜵㰳愯㰾䐯噉ਾ 鎁苣꾁胣ꊂ菣躃藩超裥袼藩鞈闧랏볯馼볯隼볯꾼볯ꚼ볯颼볯躼뷯螽볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜵㰴愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯閼볯覼볯㲚牢ਾ䐼噉邀賥閼볯銼볯醀⼼䥄㹖㰊䥄㹖愼栠���㵦㈢〰㔴〰〸⸱楴≦㈾〰㔴〰〸⸱楴쉦゠㐰㜵㰵愯㰾䐯噉ਾ 鎁苣꾁胣ꊂ菣躃藩超裥袼藩鞈闧랏볯馼볯颼볯꾼볯ꚼ볯颼볯覼臣뺯뿥馁苣骼戼㹲㰊䥄㹖胣隌볯钼볯醼胣㲑䐯噉ਾ䐼噉㰾⁡牨晥∽〲㐰〵㠰㄰琮晩㸢〲㐰〵㠰㄰琮晩ꃂ〰㔴㘷⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯馼볯骼戼㹲㰊䥄㹖胣隌볯钼볯銼胣㲑䐯噉ਾ䐼噉㰾⁡牨晥∽〲㐰〵㠰㄰琮晩㸢〲㐰〵㠰㄰琮晩ꃂ〰㔴㜷⼼㹡⼼䥄㹖ਊ†臣貂臣膀苣龃菣뢅藩鞈볯超裥ꪕ迥銼볯隼볯鮼볯늼볯馼볯醼볯膽볯ꮁ꿥鲿臣讂볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜵㰸愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲馼볯醼볯骼戼㹲㰊䥄㹖胣隌볯钼볯钼胣㲑䐯噉ਾ䐼噉㰾⁡牨晥∽〲㐰〵㠰㄰琮晩㸢〲㐰〵㠰㄰琮晩ꃂ〰㔴㤷⼼㹡⼼䥄㹖ਊ†臣貂臣膀苣龃菣뢅藩鞈볯超裥ꪕ迥銼볯隼볯鮼볯늼볯馼볯銼볯躽뷯覼臣뺯뿥馁苣骼戼㹲㰊䥄㹖胣隌볯钼볯閼胣㲑䐯噉ਾ䐼噉㰾⁡牨晥∽〲㐰〵㠰㄰琮晩㸢〲㐰〵㠰㄰琮晩ꃂ〰㔴〸⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯鎼볯骼戼㹲㰊䥄㹖胣隌볯钼볯隼胣㲑䐯噉ਾ䐼噉㰾⁡牨晥∽〲㐰〵㠰㄰琮晩㸢〲㐰〵㠰㄰琮晩ꃂ〰㔴ㄸ⼼㹡⼼䥄㹖ਊ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠵㰲愯㰾䐯噉ਾ 鎁苣꾁胣ꊂ菣躃藩超裥袼藩鞈闧랏볯馼볯钼볯꾼볯ꚼ볯颼볯覼臣뺯뿥馁苣骼戼㹲㰊䥄㹖胣隌볯钼볯颼胣㲑䐯噉ਾ䐼噉㰾⁡牨晥∽〲㐰〵㠰㄰琮晩㸢〲㐰〵㠰㄰琮晩ꃂ〰㔴㌸⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠵㰴愯㰾䐯噉ਾ㰊䥄㹖胣隌볯钼볯邼胣㲑䐯噉ਾ䐼噉㰾⁡牨晥∽〲㐰〵㠰㄰琮晩㸢〲㐰〵㠰㄰琮晩ꃂ〰㔴㔸⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯閼볯骼戼㹲㰊䥄㹖胣隌볯钼볯醼胣㲑䐯噉ਾ䐼噉㰾⁡牨晥∽〲㐰〵㠰㄰琮晩㸢〲㐰〵㠰㄰琮晩ꃂ〰㔴㘸⼼㹡⼼䥄㹖ਊ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠵㰷愯㰾䐯噉ਾ 鎁苣꾁胣ꊂ菣躃藩超裥袼藩鞈闧랏볯馼볯隼볯꾼볯ꚼ볯颼볯躼뷯覼臣뺯뿥馁苣骼戼㹲㰊䥄㹖胣隌볯钼볯鎼胣㲑䐯噉ਾ䐼噉㰾⁡牨晥∽〲㐰〵㠰㄰琮晩㸢〲㐰〵㠰㄰琮晩ꃂ〰㔴㠸⼼㹡⼼䥄㹖ਊ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㠵㰹愯㰾���噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲馼볯鞼볯骼戼㹲㰊䥄㹖胣隌볯钼볯閼胣㲑䐯噉ਾ䐼噉㰾⁡牨晥∽〲㐰〵㠰㄰琮晩㸢〲㐰〵㠰㄰琮晩ꃂ〰㔴〹⼼㹡⼼䥄㹖ਊ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤵㰱愯㰾䐯噉ਾ 鎁苣꾁胣ꊂ菣躃藩超裥袼藩鞈闧랏볯馼볯颼볯꾼볯ꚼ볯颼볯躼뷯螽볯ꮁ꿥鲿臣讂볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤵㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯隼볯覼볯㲚牢ਾ䐼噉邀賥閼볯鎼볯醀⼼䥄㹖㰊䥄㹖愼栠敲㵦㈢〰㔴〰〸⸱楴≦㈾〰㔴〰〸⸱楴쉦゠㐰㤵㰳愯㰾䐯噉ਾ 鎁苣꾁胣ꊂ菣躃藩超裥袼藩鞈闧랏볯馼볯邼볯꾼볯ꚼ볯颼볯覼臣뺯뿥馁苣骼戼㹲㰊䥄㹖胣隌볯钼볯馼胣㲑䐯噉ਾ䐼噉㰾⁡牨晥∽〲㐰〵㠰㄰琮晩㸢〲㐰〵㠰㄰琮晩ꃂ〰㔴㐹⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤵㰵愯㰾䐯噉ਾ㰊䥄㹖胣隌볯钼볯醼胣㲑䐯噉ਾ䐼噉㰾⁡牨晥∽〲㐰〵㠰㄰琮晩㸢〲㐰〵㠰㄰琮晩ꃂ〰㔴㘹⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯醼볯骼戼㹲㰊䥄㹖胣隌볯钼볯銼胣㲑䐯噉ਾ䐼噉㰾⁡牨晥∽〲㐰〵㠰㄰琮晩㸢〲㐰〵㠰㄰琮晩ꃂ〰㔴㜹⼼㹡⼼䥄㹖ਊ†臣貂臣膀苣龃菣뢅藩鞈볯超裥ꪕ迥銼볯鞼볯鮼볯늼볯馼볯隼볯膽볯ꮁ꿥鲿臣讂볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰㤵㰸愯㰾䐯噉ਾ㰊䥄㹖胣隌볯钼볯钼胣㲑䐯噉ਾ䐼噉㰾⁡牨晥∽〲㐰〵㠰㄰琮晩㸢〲㐰〵㠰㄰琮晩ꃂ〰㔴㤹⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯鞼볯覼볯㲚牢ਾ䐼噉邀賥閼볯钼볯醀⼼䥄㹖㰊䥄㹖愼栠敲㵦㈢〰㔴〰〸⸱楴≦㈾〰㔴〰〸⸱楴쉦゠㐰〶㰰愯㰾䐯噉ਾ㰊䥄㹖胣隌볯钼볯隼胣㲑䐯噉ਾ䐼噉㰾⁡牨晥∽〲㐰〵㠰㄰琮晩㸢〲㐰〵㠰㄰琮晩ꃂ〰㘴㄰⼼㹡⼼䥄㹖ਊ†臣貂臣膀苣龃菣뢅藩鞈볯超裥ꪕ迥銼볯鞼볯鮼볯늼볯馼볯鞼볯躽뷯覼臣뺯뿥馁苣骼戼㹲㰊䥄㹖胣隌볯钼볯鞼胣㲑䐯噉ਾ䐼噉㰾⁡牨晥∽〲㐰〵㠰㄰琮晩㸢〲㐰〵㠰㄰琮晩ꃂ〰㘴㈰⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯閼볯骼戼㹲㰊䥄㹖胣隌볯钼볯颼胣㲑䐯噉ਾ䐼噉㰾⁡牨晥∽〲㐰〵㠰㄰琮晩㸢〲㐰〵㠰㄰琮晩ꃂ〰㘴㌰⼼㹡⼼䥄㹖ਊ���噉邀賥閼볯钼볯醀⼼䥄㹖㰊䥄㹖愼栠敲㵦㈢〰㔴〰〸⸱楴≦㈾〰㔴〰〸⸱楴쉦゠㐰〶㰴愯㰾䐯噉ਾ 鎁苣꾁胣ꊂ菣躃藩超裥袼藩鞈闧랏볯馼볯隼볯꾼볯ꚼ볯颼볯覼臣뺯뿥馁苣骼戼㹲㰊䥄㹖胣隌볯钼볯邼胣㲑䐯噉ਾ䐼噉㰾⁡牨晥∽〲㐰〵㠰㄰琮晩㸢〲㐰〵㠰㄰琮晩ꃂ〰㘴㔰⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〶㰶愯㰾䐯噉ਾ㰊䥄㹖胣隌볯钼볯銼胣㲑䐯噉ਾ䐼噉㰾⁡牨晥∽〲㐰〵㠰㄰琮晩㸢〲㐰〵㠰㄰琮晩ꃂ〰㘴㜰⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯鞼볯骼戼㹲㰊䥄㹖胣隌볯钼볯鎼胣㲑䐯噉ਾ䐼噉㰾⁡牨晥∽〲㐰〵㠰㄰琮晩㸢〲㐰〵㠰㄰琮晩ꃂ〰㘴㠰⼼㹡⼼䥄㹖ਊ†臣貂臣膀苣龃菣뢅藩鞈볯超裥ꪕ迥閼볯邼볯꾼볯ꚼ볯馼볯颼膽볯ꮁ꿥鲿臣讂볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰〶㰹愯㰾䐯噉ਾ㰊䥄㹖胣隌볯钼볯閼胣㲑䐯噉ਾ䐼噉㰾⁡牨晥∽〲㐰〵㠰㄰琮晩㸢〲㐰〵㠰㄰琮晩ꃂ〰㘴〱⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯鞼볯覼볯㲚牢ਾ䐼噉邀賥閼볯閼볯醀⼼䥄㹖㰊䥄㹖愼栠敲㵦㈢〰㔴〰〸⸱楴≦㈾〰㔴〰〸⸱楴쉦゠㐰ㄶ㰱愯㰾䐯噉ਾ㰊䥄㹖胣隌볯钼볯鞼胣㲑䐯噉ਾ䐼噉㰾⁡牨晥∽〲㐰〵㠰㄰琮晩㸢〲㐰〵㠰㄰琮晩ꃂ〰㘴㈱⼼㹡⼼䥄㹖ਊ†臣貂臣膀苣龃菣뢅藩鞈볯超裥ꪕ迥銼볯颼볯鮼볯늼볯馼볯颼躽뷯覼臣뺯뿥馁苣骼戼㹲㰊䥄㹖胣隌볯钼볯颼胣㲑䐯噉ਾ䐼噉㰾⁡牨晥∽〲㐰〵㠰㄰琮晩㸢〲㐰〵㠰㄰琮晩ꃂ〰㘴㌱⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯醼볯骼戼㹲㰊䥄㹖胣隌볯钼볯馼胣㲑䐯噉ਾ䐼噉㰾⁡牨晥∽〲㐰〵㠰㄰琮晩㸢〲㐰〵㠰㄰琮晩ꃂ〰㘴㐱⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄶ㰵愯㰾䐯噉ਾ 鎁苣꾁胣ꊂ菣躃藩超裥袼藩鞈闧랏볯馼볯銼볯꾼볯ꚼ볯颼볯覼臣뺯뿥馁苣骼戼㹲㰊䥄㹖胣隌볯钼볯醼胣㲑䐯噉ਾ䐼噉㰾⁡牨晥∽〲㐰〵㠰㄰琮晩㸢〲㐰〵㠰㄰琮晩ꃂ〰㘴㘱⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰ㄶ㰷愯㰾䐯噉ਾ㰊䥄㹖胣隌볯钼볯鎼胣㲑䐯噉ਾ䐼噉㰾⁡牨晥∽〲㐰〵㠰㄰琮晩㸢〲㐰〵㠰㄰琮晩ꃂ〰㘴㠱⼼㹡⼼䥄㹖ਊ†믤许臣ꢃ裥蒚볯꺼���超裥꾁胣꺼볯趽뷯躽뷯躽뷯覽뷯覽뷯覽뷯궸臣貐껥閁苣龁볯超裥ꪕ迥㲷牢ਾ볯馼볯鎼볯骼戼㹲㰊䥄㹖胣隌볯钼볯钼胣㲑䐯噉ਾ䐼噉㰾⁡牨晥∽〲㐰〵㠰㄰琮晩㸢〲㐰〵㠰㄰琮晩ꃂ〰㘴㤱⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈶㰰愯㰾䐯噉ਾ 鎁苣꾁胣ꊂ菣躃藩超裥袼藩鞈闧랏볯馼볯钼볯꾼볯ꚼ볯颼볯躼뷯覼臣뺯뿥馁苣骼戼㹲㰊䥄㹖胣隌볯钼볯隼胣㲑䐯噉ਾ䐼噉㰾⁡牨晥∽〲㐰〵㠰㄰琮晩㸢〲㐰〵㠰㄰琮晩ꃂ〰㘴ㄲ⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈶㰲愯㰾䐯噉ਾ ꖻ룤꺁菩蚈髧꒼볯ꆼ藩鞈臣膀볯躼뷯辽뷯辽뷯銽뷯辽뷯膽뷯궸臣貐껥閁苣龁볯超裥ꪕ迥銼戼㹲馼볯閼볯骼戼㹲㰊䥄㹖胣隌볯钼볯颼胣㲑䐯噉ਾ䐼噉㰾⁡牨晥∽〲㐰〵㠰㄰琮晩㸢〲㐰〵㠰㄰琮晩ꃂ〰㘴㌲⼼㹡⼼䥄㹖ਊ䐼噉邀賥閼볯隼볯醀⼼䥄㹖㰊䥄㹖愼栠敲㵦㈢〰㔴〰〸⸱楴≦㈾〰㔴〰〸⸱楴쉦゠㐰㈶㰴愯㰾䐯噉ਾ 鎁苣꾁胣ꊂ菣躃藩超裥袼藩鞈闧랏볯馼볯隼볯꾼볯ꚼ볯颼볯躼뷯螽볯ꮁ꿥鲿臣讂볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈶㰵愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯颼볯覼볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈶㰶愯㰾䐯噉ਾ 鎁苣꾁胣ꊂ菣躃藩超裥袼藩鞈闧랏볯馼볯颼볯꾼볯ꚼ볯颼볯覼臣뺯뿥馁苣骼戼㹲㰊䥄㹖胣隌볯钼볯銼胣㲑䐯噉ਾ䐼噉㰾⁡牨晥∽〲㐰〵㠰㄰琮晩㸢〲㐰〵㠰㄰琮晩ꃂ〰㘴㜲⼼㹡⼼䥄㹖ਊ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㈶㰸愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲㰊䥄㹖胣隌볯钼볯钼胣㲑䐯噉ਾ䐼噉㰾⁡牨晥∽〲㐰〵㠰㄰琮晩㸢〲㐰〵㠰㄰琮晩ꃂ〰㘴㤲⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯馼볯馼볯骼戼㹲㰊䥄㹖胣隌볯钼볯閼胣㲑䐯噉ਾ䐼噉㰾⁡牨晥∽〲㐰〵㠰㄰琮晩㸢〲㐰〵㠰㄰琮晩ꃂ〰㘴〳⼼㹡⼼䥄㹖ਊ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌶㰱愯㰾䐯噉ਾ 鎁苣꾁胣ꊂ菣躃藩超裥袼藩鞈闧랏볯馼볯邼볯꾼볯ꚼ볯颼볯躼뷯覼臣뺯뿥馁苣骼戼㹲㰊䥄㹖胣隌볯钼볯鞼胣㲑䐯噉ਾ䐼噉㰾⁡牨晥∽〲㐰〵㠰㄰琮晩㸢〲㐰〵㠰㄰琮晩ꃂ〰㘴㈳⼼㹡⼼䥄㹖ਊ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌶㰳愯㰾䐯噉ਾ ꖻ룤꺁菩蚈髧꒼볯ꆼ藩鞈臣膀볯躼뷯薽뷯覽뷯螽뷯钽뷯蒽뷯鎽���ꞁ郥骮臣貂臣袼藩鞈闧랏戼㹲銼볯馼볯覼볯㲚牢ਾ䐼噉邀賥閼볯鞼볯醀⼼䥄㹖㰊䥄㹖愼栠敲㵦㈢〰㔴〰〸⸱楴≦㈾〰㔴〰〸⸱楴쉦゠㐰㌶㰴愯㰾䐯噉ਾ 鎁苣꾁胣ꊂ菣躃藩超裥袼藩鞈闧랏볯馼볯銼볯꾼볯ꚼ볯馼볯覼臣뺯뿥馁苣骼戼㹲㰊䥄㹖胣隌볯钼볯邼胣㲑䐯噉ਾ䐼噉㰾⁡牨晥∽〲㐰〵㠰㄰琮晩㸢〲㐰〵㠰㄰琮晩ꃂ〰㘴㔳⼼㹡⼼䥄㹖ਊ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌶㰶愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯馼볯覼볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌶㰷愯㰾䐯噉ਾ 鎁苣꾁胣ꊂ菣躃藩超裥袼藩鞈闧랏볯馼볯钼볯꾼볯ꚼ볯馼볯躼뷯覼臣뺯뿥馁苣骼戼㹲㰊䥄㹖胣隌볯钼볯鎼胣㲑䐯噉ਾ䐼噉㰾⁡牨晥∽〲㐰〵㠰㄰琮晩㸢〲㐰〵㠰㄰琮晩ꃂ〰㘴㠳⼼㹡⼼䥄㹖ਊ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㌶㰹愯㰾䐯噉ਾ㰊䥄㹖胣隌볯钼볯閼胣㲑䐯噉ਾ䐼噉㰾⁡牨晥∽〲㐰〵㠰㄰琮晩㸢〲㐰〵㠰㄰琮晩ꃂ〰㘴〴⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲒牢ਾ볯馼볯覼볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐶㰱愯㰾䐯噉ਾ 鎁苣꾁胣ꊂ菣躃藩超裥袼藩鞈闧랏볯馼볯隼볯꾼볯ꚼ볯馼볯躼뷯螽볯ꮁ꿥鲿臣讂볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐶㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯馼볯覼볯㲚牢ਾ䐼噉邀賥閼볯颼볯醀⼼䥄㹖㰊䥄㹖愼栠敲㵦㈢〰㔴〰〸⸱楴≦㈾〰㔴〰〸⸱楴쉦゠㐰㐶㰳愯㰾䐯噉ਾ 鎁苣꾁胣ꊂ菣躃藩超裥袼藩鞈闧랏볯馼볯颼볯꾼볯ꚼ볯馼볯覼臣뺯뿥馁苣骼戼㹲㰊䥄㹖胣隌볯钼볯馼胣㲑䐯噉ਾ䐼噉㰾⁡牨晥∽〲㐰〵㠰㄰琮晩㸢〲㐰〵㠰㄰琮晩ꃂ〰㘴㐴⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ†볯늼볯馼볯銼臣膀볯躼뷯辽뷯辽뷯銽뷯辽뷯膽뷯놔鷦꺁軦骮볯늼볯袼볯늼볯馼볯銼볯ꢁ볯㲒牢ਾ볯鎼苣龃菣뢅蟩螤臣辂臣ꎁ臣馼볯躼볯薼臣貐룤Ꞁ苣몤臣骼戼㹲㰊䥄㹖胣隌볯钼볯邼胣㲑䐯噉ਾ䐼噉㰾⁡牨晥∽〲㐰〵㠰㄰琮晩㸢〲㐰〵㠰㄰琮晩ꃂ〰㘴㔴⼼㹡⼼䥄㹖ਊ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐶㰶愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲銼볯馼���覼볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐶㰷愯㰾䐯噉ਾ 鎁苣꾁胣ꊂ菣躃藩超裥袼藩鞈闧랏볯邼볯邼볯꾼볯ꚼ볯馼볯躼뷯覼臣뺯뿥馁苣骼戼㹲㰊䥄㹖胣隌볯钼볯鎼胣㲑䐯噉ਾ䐼噉㰾⁡牨晥∽〲㐰〵㠰㄰琮晩㸢〲㐰〵㠰㄰琮晩ꃂ〰㘴㠴⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯薽뷯覽뷯螽뷯钽뷯蒽뷯鎽铧ꖝ臣ꢎ껥꾼볯ꚼ臣꺁鯧貐胦覼戼㹲 꾼볯ꚼ볯馼볯꾁胣꺼볯趽뷯躽뷯躽뷯覽뷯覽뷯覽뷯놔鷦꺁軦骮볯늼볯袼볯늼볯馼볯銼볯ꢁ戼㹲銼볯鎼苣龃菣뢅蟩螤臣辂臣ꎁ臣醼볯邼볯邼볯꺁郥肸胦銂ꓧ馁볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㐶㰹愯㰾䐯噉ਾ㰊䥄㹖胣隌볯钼볯閼胣㲑䐯噉ਾ䐼噉㰾⁡牨晥∽〲㐰〵㠰㄰琮晩㸢〲㐰〵㠰㄰琮晩ꃂ〰㘴〵⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲓牢ਾ볯邼볯覼볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㔶㰱愯㰾䐯噉ਾ 鎁苣꾁胣ꊂ菣躃藩超裥袼藩鞈闧랏볯邼볯銼볯꾼볯ꚼ볯馼볯躼뷯螽볯ꮁ꿥鲿臣讂볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㔶㰲愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲鎼볯邼볯覼볯㲚牢ਾ䐼噉邀賥閼볯馼볯醀⼼䥄㹖㰊䥄㹖愼栠敲㵦㈢〰㔴〰〸⸱楴≦㈾〰㔴〰〸⸱楴쉦゠㐰㔶㰳愯㰾䐯噉ਾ 鎁苣꾁胣ꊂ菣躃藩超裥袼藩鞈闧랏볯邼볯钼볯꾼볯ꚼ볯馼볯覼臣뺯뿥馁苣骼戼㹲㰊䥄㹖胣隌볯钼볯馼胣㲑䐯噉ਾ䐼噉㰾⁡牨晥∽〲㐰〵㠰㄰琮晩㸢〲㐰〵㠰㄰琮晩ꃂ〰㘴㐵⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯辽뷯辽뷯銽뷯辽뷯膽뷯놔鷦꺁軦骮볯늼볯ꢁ臣뢛郥Ꞁ볯㲉牢ਾ†볯늼볯馼볯鎼臣膀볯躼뷯辽뷯辽뷯銽뷯辽뷯膽뷯놔鷦꺁軦骮볯늼볯袼볯늼볯馼볯鎼볯ꢁ볯㲒牢ਾ볯颼苣龃菣뢅蟩螤臣辂臣ꎁ臣馼볯躼볯薼臣貐룤Ꞁ苣몤臣骼戼㹲㰊䥄㹖胣隌볯閼볯邼胣㲑䐯噉ਾ䐼噉㰾⁡牨晥∽〲㐰〵㠰㄰琮晩㸢〲㐰〵㠰㄰琮晩ꃂ〰㘴㔵⼼㹡⼼䥄㹖ਊ†믤许臣ꢃ裥蒚볯꺼볯超裥꾁胣꺼볯趽뷯躽뷯躽뷯覽뷯覽뷯覽뷯궸臣貐껥閁苣龁볯超裥ꪕ迥㲷牢ਾ볯邼볯閼볯骼戼㹲㰊䥄㹖胣隌볯閼볯醼胣㲑䐯噉ਾ䐼噉㰾⁡牨晥∽〲㐰〵㠰㄰琮晩㸢〲㐰〵㠰㄰琮晩ꃂ〰㘴㘵⼼㹡⼼䥄㹖ਊ†臣貂臣膀苣龃菣뢅藩鞈볯超裥ꪕ迥鎼볯邼볯鮼볯늼볯馼볯鎼볯膽볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾���㔴〰〸⸱楴쉦゠㐰㔶㰷愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯趽뷯躽뷯躽뷯覽뷯覽뷯覽뷯놔鷦꺁軦骮볯늼볯ꢁ臣뢛郥Ꞁ볯㲉牢ਾ†볯늼볯馼볯鎼臣膀볯躼뷯薽뷯覽뷯螽뷯钽뷯蒽뷯鎽铧ꖝ臣ꢎ껥꾼볯ꚼ볯꾼볯ꚼ볯馼볯覼臣㲨牢ਾ볯钼볯ꊂ菣躃藩趇ꓨꮁ苣龁臣ꚁ볯鞼볯隼볯꺁郥肸胦銂ꓧ馁볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㔶㰸愯㰾䐯噉ਾ㰊䥄㹖胣隌볯閼볯钼胣㲑䐯噉ਾ䐼噉㰾⁡牨晥∽〲㐰〵㠰㄰琮晩㸢〲㐰〵㠰㄰琮晩ꃂ〰㘴㤵⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲓牢ਾ볯邼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘶㰰愯㰾䐯噉ਾ 鎁苣꾁胣ꊂ菣躃藩超裥袼藩鞈闧랏볯邼볯颼볯꾼볯ꚼ볯馼볯躼뷯螽볯ꮁ꿥鲿臣讂볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘶㰱愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲鎼볯邼볯覼볯㲚牢ਾ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘶㰲愯㰾䐯噉ਾ 鎁苣꾁胣ꊂ菣躃藩超裥袼藩鞈闧랏볯邼볯邼볯꾼볯ꚼ볯馼볯覼臣뺯뿥馁苣骼戼㹲㰊䥄㹖胣隌볯閼볯颼胣㲑䐯噉ਾ䐼噉㰾⁡牨晥∽〲㐰〵㠰㄰琮晩㸢〲㐰〵㠰㄰琮晩ꃂ〰㘴㌶⼼㹡⼼䥄㹖ਊ䐼噉邀賥閼볯邼볯醀⼼䥄㹖㰊䥄㹖愼栠敲㵦㈢〰㔴〰〸⸱楴≦㈾〰㔴〰〸⸱楴쉦゠㐰㘶㰴愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯馼볯꾁胣꺼볯螽뷯躽뷯銽뷯袽뷯薽뷯薽铧ꖝ臣ꢎ껥꾼볯ꚼ볯꾼볯ꚼ볯馼볯覼臣銼戼㹲邼볯ꊂ菣躃藩趇ꓨꮁ苣龁臣ꚁ볯颼볯醼볯꺁郥肸胦銂ꓧ馁볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘶㰵愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲鎼볯醼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘶㰶愯㰾䐯噉ਾ 鎁苣꾁胣ꊂ菣躃藩超裥袼藩鞈闧랏볯邼볯銼볯꾼볯ꚼ볯馼볯躼뷯覼臣뺯뿥馁苣骼戼㹲㰊䥄㹖胣隌볯閼볯銼胣㲑䐯噉ਾ䐼噉㰾⁡牨晥∽〲㐰〵㠰㄰琮晩㸢〲㐰〵㠰㄰琮晩ꃂ〰㘴㜶⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯薽뷯覽뷯螽뷯钽뷯蒽뷯鎽铧ꖝ臣ꢎ껥���볯ꚼ臣꺁鯧貐胦覼戼㹲 꾼볯ꚼ볯馼볯꾁胣꺼볯趽뷯躽뷯躽뷯覽뷯覽뷯覽뷯놔鷦꺁軦骮볯늼볯袼볯늼볯馼볯隼볯ꢁ戼㹲銼볯鞼苣龃菣뢅蟩螤臣辂臣ꎁ臣醼볯邼볯邼볯꺁郥肸胦銂ꓧ馁볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㘶㰸愯㰾䐯噉ਾ㰊䥄㹖胣隌볯閼볯钼胣㲑䐯噉ਾ䐼噉㰾⁡牨晥∽〲㐰〵㠰㄰琮晩㸢〲㐰〵㠰㄰琮晩ꃂ〰㘴㤶⼼㹡⼼䥄㹖ਊ†믤许臣ꢃ裥蒚볯꺼볯超裥꾁胣꺼볯螽뷯躽뷯銽뷯袽뷯薽뷯薽룤ꞁ郥骮臣貂臣袼藩鞈闧랏볯㲓牢ਾ볯醼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜶㰰愯㰾䐯噉ਾ 鎁苣꾁胣ꊂ菣躃藩超裥袼藩鞈闧랏볯邼볯钼볯꾼볯ꚼ볯馼볯躼뷯螽볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜶㰱愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲鎼볯醼볯覼볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜶㰲愯㰾䐯噉ਾ㰊䥄㹖胣隌볯閼볯颼胣㲑䐯噉ਾ䐼噉㰾⁡牨晥∽〲㐰〵㠰㄰琮晩㸢〲㐰〵㠰㄰琮晩ꃂ〰㘴㌷⼼㹡⼼䥄㹖ਊ†臣貂臣膀苣龃菣뢅藩鞈볯超裥ꪕ迥鎼볯醼볯鮼볯늼볯馼볯鞼볯ꮁ꿥鲿臣讂볯㲚牢ਾ䐼噉邀賥閼볯醼볯醀⼼䥄㹖㰊䥄㹖愼栠敲㵦㈢〰㔴〰〸⸱楴≦㈾〰㔴〰〸⸱楴쉦゠㐰㜶㰴愯㰾䐯噉ਾ 鎁臣ꊂ菣躃藩超裥꺁苣뎃菣ꖃ菣뾂菣ꎧ黦꾁胣ꖻ룤꺁뗧鲞苣躸臣龁볯㲚牢ਾ†볯꺼볯螽뷯躽뷯銽뷯袽뷯薽뷯薽铧ꖝ臣ꢎ껥꾼볯ꚼ臣꺁鯧貐胦覼戼㹲 꾼볯ꚼ볯馼볯꾁胣꺼볯螽뷯躽뷯銽뷯袽뷯薽뷯薽铧ꖝ臣ꢎ껥꾼볯ꚼ볯꾼볯ꚼ볯馼볯覼臣鎼戼㹲閼볯ꊂ菣躃藩趇ꓨꮁ苣龁臣ꚁ볯隼볯邼볯꺁郥肸胦銂ꓧ馁볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜶㰵愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲鎼볯醼볯覼볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜶㰶愯㰾䐯噉ਾ 鎁苣꾁胣ꊂ菣躃藩超裥袼藩鞈闧랏볯邼볯颼볯꾼볯ꚼ볯馼볯躼뷯覼臣뺯뿥馁苣骼戼㹲㰊䥄㹖胣隌볯閼볯銼胣㲑䐯噉ਾ䐼噉㰾⁡牨晥∽〲㐰〵㠰㄰琮晩㸢〲㐰〵㠰㄰琮晩ꃂ〰㘴㜷⼼㹡⼼䥄㹖ਊ†臣꺁苣龃菣뢅藩鞈臣뎂菣钃菣벃苣벃꟨邞臣膀믤许臣邵黦銂룤袁臣骼戼㹲 袼볯躼뷯薽뷯覽뷯螽뷯钽뷯蒽뷯鎽铧ꖝ臣ꢎ껥꾼볯ꚼ臣꺁鯧貐胦覼戼㹲 꾼볯ꚼ볯馼볯꾁胣꺼볯趽뷯躽뷯躽뷯覽뷯覽뷯覽뷯놔鷦꺁軦骮볯늼볯袼볯늼볯馼볯鞼볯ꢁ戼㹲钼볯鞼苣龃菣뢅蟩螤臣辂臣���ꎁ臣馼볯躼볯薼臣貐룤Ꞁ苣몤臣骼戼㹲㰊䥄㹖胣隌볯閼볯鎼胣㲑䐯噉ਾ䐼噉㰾⁡牨晥∽〲㐰〵㠰㄰琮晩㸢〲㐰〵㠰㄰琮晩ꃂ〰㘴㠷⼼㹡⼼䥄㹖ਊ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㜶㰹愯㰾䐯噉ਾ ꖻ룤꺁菩蚈髧꒼볯ꆼ藩鞈臣膀볯躼뷯薽뷯覽뷯螽뷯钽뷯蒽뷯鎽룤ꞁ郥骮臣貂臣袼藩鞈闧랏戼㹲鎼볯醼볯覼볯㲚牢ਾ䐼噉邀賥閼볯銼볯醀⼼䥄㹖㰊䥄㹖愼栠敲㵦㈢〰㔴〰〸⸱楴≦㈾〰㔴〰〸⸱楴쉦゠㐰㠶㰰愯㰾䐯噉ਾ 鎁苣꾁胣ꊂ菣躃藩超裥袼藩鞈闧랏볯邼볯邼볯꾼볯ꚼ볯馼볯覼臣뺯뿥馁苣骼戼㹲㰊䥄㹖胣隌볯閼볯隼胣㲑䐯噉ਾ䐼噉㰾⁡牨晥∽〲㐰〵㠰㄰琮晩㸢〲㐰〵㠰㄰琮晩ꃂ〰㘴ㄸ⼼㹡⼼䥄㹖ਊ†觥낿臣龮雦设臣膀鳦몙飦銂뻤몤臣讂臣ꢁ臣辄鯥閁苣膀鳦몙飦銂駩骮臣讂臣ꢁ臣辄鯥閁苣㲌牢ਾ臣蒁胣㲂牢ਾ戼㹲㰊牢ਾਊ⼼潢祤ਾ⼼瑨汭ਾ